(57)【要約】本発明は、植物プレニルプロテアーゼポリペプチドをコードする新規ポリヌクレオチド、その断片および相同体を提供する。また、当該ポリペプチドを産生するためのベクター、宿主細胞、抗体、および組換え方法も提供する。本発明はさらに、植物プロモーターをコードする新規ポリヌクレオチド、ポリペプチド、その断片および相同体を提供する。本発明はさらに、これらの新規植物ポリペプチドを、同定、予防、および／または様々な植物病害および／または障害に対する抵抗性（特に干ばつ抵抗性）の付与に適用する方法に関する。
2004521610.tif 000002
【特許請求の範囲】
【請求項１】
プレニルプロテアーゼをコードする単離された核酸であって、
ａ）配列番号１のポリヌクレオチド、
ｂ）配列番号３のポリヌクレオチド、
ｃ）配列番号５のポリヌクレオチド、
ｄ）配列番号７のポリヌクレオチド、
ｅ）配列番号９のポリヌクレオチド、
ｆ）配列番号２のポリペプチドをコードするポリヌクレオチド、
ｇ）配列番号４のポリペプチドをコードするポリヌクレオチド、
ｈ）配列番号６のポリペプチドをコードするポリヌクレオチド、
ｉ）配列番号８のポリペプチドをコードするポリヌクレオチド、
ｊ）配列番号１０のポリペプチドをコードするポリヌクレオチド、
ｋ）前記ａ）〜ｊ）のいずれかの少なくとも６０個の連続したヌクレオチドを含むポリヌクレオチド、
ｌ）配列番号１、３、５、７、または９のヌクレオチド配列と少なくとも７０％配列同一性を有するポリヌクレオチド、
ｍ）配列番号２、４、６、８、または１０のポリペプチドと少なくとも７０％配列同一性を有するポリペプチドをコードするポリヌクレオチド、および
ｎ）ａ）〜ｍ）のいずれかのポリヌクレオチドに相補的なポリヌクレオチド、からなる群から選択されるポリヌクレオチドを含む前記核酸。
【請求項２】
前記核酸が、配列番号２のポリペプチドをコードするポリヌクレオチドを含む、請求項１に記載のプレニルプロテアーゼをコードする核酸。
【請求項３】
前記核酸が、配列番号４のポリペプチドをコードするポリヌクレオチドを含む、請求項１に記載のプレニルプロテアーゼをコードする核酸。
【請求項４】
前記核酸が、配列番号６のポリペプチドをコードするポリヌクレオチドを含む、請求項１に記載のプレニルプロテアーゼをコードする核酸。
【請求項５】
前記核酸が、配列番号８のポリペプチドをコードするポリヌクレオチドを含む、請求項１に記載のプレニルプロテアーゼをコードする核酸。
【請求項６】
前記核酸が、配列番号１０のポリペプチドをコードするポリヌクレオチドを含む、請求項１に記載のプレニルプロテアーゼをコードする核酸。
【請求項７】
前記核酸が、配列番号２、４、６、８、または１０のポリペプチドと少なくとも９０％配列同一性を有するポリペプチドをコードするポリヌクレオチドを含む、請求項１に記載のプレニルプロテアーゼをコードする核酸。
【請求項８】
前記核酸が、請求項１のａ）〜ｊ）のポリヌクレオチドのいずれかの少なくとも６０個の連続したヌクレオチドを含む、請求項１に記載のプレニルプロテアーゼをコードする核酸。
【請求項９】
前記核酸が、配列番号１、３、５、７、または９のヌクレオチド配列と少なくとも９０％配列同一性を有するポリヌクレオチドを含む、請求項１に記載のプレニルプロテアーゼをコードする核酸。
【請求項１０】
請求項１に記載の核酸を含むベクター。
【請求項１１】
前記核酸が、植物において環境ストレス応答のモジュレーターとして機能するポリペプチドをコードする、請求項１に記載のプレニルプロテアーゼをコードする核酸。
【請求項１２】
植物中の前記核酸の過小発現が、環境ストレスに対する植物の耐性を増加させる、請求項１に記載のプレニルプロテアーゼをコードする核酸。
【請求項１３】
前記環境ストレスが、干ばつである、請求項１２に記載のプレニルプロテアーゼをコードする核酸。
【請求項１４】
前記核酸が、タンパク質のファルネシル化において機能するポリペプチドをコードする、請求項１に記載のプレニルプロテアーゼをコードする核酸。
【請求項１５】
ａ）配列番号１、３、５、７、または９のポリヌクレオチドを含む第２の核酸、および
ｂ）配列番号２、４、６、８、または１０のポリペプチドをコードする第２の核酸
からなる群から選択される第２の核酸に、ストリンジェントな条件下でハイブリダイズする第１の単離された核酸であって、植物において環境ストレス応答のモジュレーターとして機能するポリペプチドをコードする第１の核酸。
【請求項１６】
請求項１に記載のプレニルプロテアーゼをコードする核酸を含むトランスジェニック植物細胞。
【請求項１７】
請求項１６に記載の植物細胞を含むトランスジェニック植物。
【請求項１８】
前記植物が、単子葉植物である、請求項１７に記載の植物。
【請求項１９】
前記植物が、双子葉植物である、請求項１７に記載の植物。
【請求項２０】
前記植物が、トウモロコシ、コムギ、ライムギ、オートムギ、ライコムギ、イネ、オオムギ、ダイズ、ラッカセイ、ワタ、セイヨウアブラナ、カノラ、イモノキ、コショウ、ヒマワリ、マンジュギク、ナス科植物、ジャガイモ、タバコ、ナス、トマト、ソラマメ種、エンドウマメ、アルファルファ、コーヒー、カカオ、チャ、ヤナギ種、ギネアアブラヤシ、ココナッツ、多年草、および飼料穀物からなる群から選択される、請求項１７に記載の植物。
【請求項２１】
請求項１７に記載の植物により産生される植物種子。
【請求項２２】
前記種子が、前記種子の野生型種と比較して、環境ストレスに対する耐性増加のための純粋品種改良である、請求項２１に記載の種子。
【請求項２３】
植物中のプレニルプロテアーゼをコードする核酸の発現を改変させることを含む、環境ストレスに対する植物の耐性を調節する方法であって、前記核酸が、
ａ）配列番号１のポリヌクレオチド、
ｂ）配列番号３のポリヌクレオチド、
ｃ）配列番号５のポリヌクレオチド、
ｄ）配列番号７のポリヌクレオチド、
ｅ）配列番号９のポリヌクレオチド、
ｆ）配列番号２のポリペプチドをコードするポリヌクレオチド、
ｇ）配列番号４のポリペプチドをコードするポリヌクレオチド、
ｈ）配列番号６のポリペプチドをコードするポリヌクレオチド、
ｉ）配列番号８のポリペプチドをコードするポリヌクレオチド、
ｊ）配列番号１０のポリペプチドをコードするポリヌクレオチド、
ｋ）前記ａ）〜ｊ）のいずれかの少なくとも６０個の連続したヌクレオチドを含むポリヌクレオチド、
ｌ）配列番号１、３、５、７、または９のヌクレオチド配列と少なくとも７０％配列同一性を有するポリヌクレオチド、
ｍ）配列番号２、４、６、８、または１０のポリペプチドと少なくとも７０％配列同一性を有するポリペプチドをコードするポリヌクレオチド、および
ｎ）ａ）〜ｍ）のいずれかのポリヌクレオチドに相補的なポリヌクレオチド、からなる群から選択される方法。
【請求項２４】
前記環境ストレスが、高塩度、干ばつ、および温度からなる群から選択される、請求項２３に記載の方法。
【請求項２５】
前記核酸が、配列番号２のポリペプチドをコードするポリヌクレオチドを含む、請求項２３に記載の方法。
【請求項２６】
前記核酸が、配列番号４のポリペプチドをコードするポリヌクレオチドを含む、請求項２３に記載の方法。
【請求項２７】
前記核酸が、配列番号６のポリペプチドをコードするポリヌクレオチドを含む、請求項２３に記載の方法。
【請求項２８】
前記核酸が、配列番号８のポリペプチドをコードするポリヌクレオチドを含む、請求項２３に記載の方法。
【請求項２９】
前記核酸が、配列番号１０のポリペプチドをコードするポリヌクレオチドを含む、請求項２３に記載の方法。
【請求項３０】
前記核酸が、配列番号２、４、６、８、または１０のポリペプチドと少なくとも９０％配列同一性を有するポリペプチドをコードするポリヌクレオチドを含む、請求項２３に記載の方法。
【請求項３１】
前記核酸が、ａ）〜ｊ）のポリヌクレオチドのいずれかの少なくとも６０個の連続したヌクレオチドを含む、請求項２３に記載の方法。
【請求項３２】
前記核酸が、配列番号１、３、５、７、または９のヌクレオチド配列と少なくとも９０％配列同一性を有するポリヌクレオチドを含む、請求項２３に記載の方法。
【請求項３３】
前記植物のストレス耐性が、前記植物中の前記核酸の発現を減少させることで増加する、請求項２３に記載の方法。
【請求項３４】
前記核酸が、タンパク質のファルネシル化において機能するポリペプチドをコードする、請求項２３に記載の方法。
【請求項３５】
前記植物が、トランスジェニックではない、請求項２３に記載の方法。
【請求項３６】
前記植物が、トランスジェニックである、請求項２３に記載の方法。
【請求項３７】
前記植物が、前記核酸の発現を誘導するプロモーターで形質転換される、請求項３６に記載の方法。
【請求項３８】
前記プロモーターが、組織特異的である、請求項３７に記載の方法。
【請求項３９】
前記プロモーターが、発生的に調節される、請求項３７に記載の方法。
【請求項４０】
プレニルプロテアーゼをコードする核酸を含有するトランスジェニック植物を産生する方法であって、前記植物が、前記植物の野生型種と比較して環境ストレスに対する耐性が増加しており、前記方法は、前記核酸を含む発現ベクターで植物細胞を形質転換することと、該植物細胞から前記トランスジェニック植物を生成することとを含み、前記核酸が、
ａ）配列番号１のポリヌクレオチド、
ｂ）配列番号３のポリヌクレオチド、
ｃ）配列番号５のポリヌクレオチド、
ｄ）配列番号７のポリヌクレオチド、
ｅ）配列番号９のポリヌクレオチド、
ｆ）配列番号２のポリペプチドをコードするポリヌクレオチド、
ｇ）配列番号４のポリペプチドをコードするポリヌクレオチド、
ｈ）配列番号６のポリペプチドをコードするポリヌクレオチド、
ｉ）配列番号８のポリペプチドをコードするポリヌクレオチド、
ｊ）配列番号１０のポリペプチドをコードするポリヌクレオチド、
ｋ）前記ａ）〜ｊ）のいずれかの少なくとも６０個の連続したヌクレオチドを含むポリヌクレオチド、
ｌ）配列番号１、３、５、７、または９のヌクレオチド配列と少なくとも７０％配列同一性を有するポリヌクレオチド、
ｍ）配列番号２、４、６、８、または１０のポリペプチドと少なくとも７０％配列同一性を有するポリペプチドをコードするポリヌクレオチド、および
ｎ）ａ）〜ｍ）のいずれかのポリヌクレオチドに相補的なポリヌクレオチド、からなる群から選択される方法。
【請求項４１】
前記環境ストレスが、高塩度、干ばつおよび低温からなる群から選択される、請求項４０に記載の方法。
【請求項４２】
前記植物が、単子葉植物である、請求項４０に記載の方法。
【請求項４３】
前記植物が、双子葉植物である、請求項４０に記載の方法。
【請求項４４】
前記植物が、トウモロコシ、コムギ、ライムギ、オートムギ、ライコムギ、イネ、オオムギ、ダイズ、ラッカセイ、ワタ、セイヨウアブラナ、カノラ、イモノキ、コショウ、ヒマワリ、マンジュギク、ナス科植物、ジャガイモ、タバコ、ナス、トマト、ソラマメ種、エンドウマメ、アルファルファ、コーヒー、カカオ、チャ、ヤナギ種、ギネアアブラヤシ、ココナッツ、多年草、および飼料穀物からなる群から選択される、請求項４０に記載の方法。
【請求項４５】
前記核酸が、配列番号２のポリペプチドをコードするポリヌクレオチドを含む、請求項４４に記載の方法。
【請求項４６】
前記核酸が、配列番号４のポリペプチドをコードするポリヌクレオチドを含む、請求項４４に記載の方法。
【請求項４７】
前記核酸が、配列番号６のポリペプチドをコードするポリヌクレオチドを含む、請求項４４に記載の方法。
【請求項４８】
前記核酸が、配列番号８のポリペプチドをコードするポリヌクレオチドを含む、請求項４４に記載の方法。
【請求項４９】
前記核酸が、配列番号１０のポリペプチドをコードするポリヌクレオチドを含む、請求項４４に記載の方法。
【請求項５０】
前記核酸が、配列番号２、４、６、８、または１０のポリペプチドと少なくとも９０％配列同一性を有するポリペプチドをコードするポリヌクレオチドを含む、請求項４４に記載の方法。
【請求項５１】
前記核酸が、ａ）〜ｊ）のポリヌクレオチドのいずれかの少なくとも６０個の連続したヌクレオチドを含む、請求項４４に記載の方法。
【請求項５２】
前記核酸が、配列番号１、３、５、７、または９のヌクレオチド配列と少なくとも９０％配列同一性を有するポリヌクレオチドを含む、請求項４４に記載の方法。
【請求項５３】
前記植物のストレス耐性が、前記植物中の前記核酸の発現を減少させることで増加する、請求項４４に記載の方法。
【請求項５４】
前記核酸が、タンパク質のファルネシル化において機能するポリペプチドをコードする、請求項４４に記載の方法。
【請求項５５】
前記植物が、前記核酸の発現を誘導するプロモーターで形質転換される、請求項４４に記載の方法。
【請求項５６】
前記プロモーターが、組織特異的である、請求項５５に記載の方法。
【請求項５７】
前記プロモーターが、発生的に調節される、請求項５５に記載の方法。
【請求項５８】
プロモーターをコードする単離された核酸であって、
ａ）配列番号１１のポリヌクレオチド、
ｂ）前記ａ）の少なくとも６０個の連続したヌクレオチドを含むポリヌクレオチド、
ｃ）配列番号１１のポリヌクレオチド配列と少なくとも７０％配列同一性を有するポリヌクレオチド、および
ｄ）ａ）〜ｃ）のいずれかのポリヌクレオチドに相補的なポリヌクレオチド、からなる群から選択されるポリヌクレオチドを含む前記核酸。
【請求項５９】
前記核酸が、配列番号１１のポリペプチドをコードするポリヌクレオチドを含む、請求項５８に記載のプロモーターをコードする核酸。
【請求項６０】
前記核酸が、請求項５８のａ）〜ｃ）のポリヌクレオチドのいずれかの少なくとも６０個の連続したヌクレオチドを含む、請求項５８に記載のプロモーター。
【請求項６１】
前記核酸が、配列番号１１のヌクレオチド配列と少なくとも９０％配列同一性を有するポリヌクレオチドを含む、請求項１に記載のプロモーターをコードする核酸。
【請求項６２】
請求項５８に記載の核酸を含むベクター。
【請求項６３】
前記核酸が、植物において環境ストレス応答のモジュレーターとして機能する、請求項５８に記載のプロモーターをコードする核酸。
【請求項６４】
植物中の前記核酸の過小プロモーションが、環境ストレスに対する植物の耐性を増加させる、請求項５８に記載のプロモーターをコードする核酸。
【請求項６５】
前記環境ストレスが、干ばつである、請求項６４に記載のプロモーターをコードする核酸。
【請求項６６】
配列番号１１のポリヌクレオチドを含む第２の核酸に、ストリンジェントな条件下でハイブリダイズする第１の単離された核酸。
【請求項６７】
請求項５８に記載のプロモーターをコードする核酸を含むトランスジェニック植物細胞。
【請求項６８】
請求項６７に記載の植物細胞を含むトランスジェニック植物。
【請求項６９】
前記植物が、単子葉植物である、請求項６８に記載の植物。
【請求項７０】
前記植物が、双子葉植物である、請求項６８に記載の植物。
【請求項７１】
前記植物が、トウモロコシ、コムギ、ライムギ、オートムギ、ライコムギ、イネ、オオムギ、ダイズ、ラッカセイ、ワタ、セイヨウアブラナ、カノラ、イモノキ、コショウ、ヒマワリ、マンジュギク、ナス科植物、ジャガイモ、タバコ、ナス、トマト、ソラマメ種、エンドウマメ、アルファルファ、コーヒー、カカオ、チャ、ヤナギ種、ギネアアブラヤシ、ココナッツ、多年草、および飼料穀物からなる群から選択される、請求項６８に記載の植物。
【請求項７２】
請求項６８に記載の植物により産生される植物種子。
【請求項７３】
前記種子が、前記種子の野生型種と比較して、環境ストレスに対する耐性増加のための純粋品種改良である、請求項７２に記載の種子。
【請求項７４】
植物中のプロモーターをコードする核酸の発現を改変させることを含む、環境ストレスに対する植物の耐性を調節する方法であって、前記核酸が、
ａ）配列番号１１のポリヌクレオチド、
ｂ）前記ａ）の少なくとも６０個の連続したヌクレオチドを含むポリヌクレオチド、
ｃ）配列番号１１のポリヌクレオチド配列と少なくとも７０％配列同一性を有するポリヌクレオチド、
ｄ）ａ）〜ｃ）のいずれかのポリヌクレオチドに相補的なポリヌクレオチド、からなる群から選択される方法。
【請求項７５】
前記環境ストレスが、高塩度、干ばつ、および温度からなる群から選択される、請求項７４に記載の方法。
【請求項７６】
前記核酸はが、配列番号１１のポリヌクレオチドを含む、請求項７４に記載の方法。
【請求項７７】
前記核酸が、ａ）〜ｃ）のポリヌクレオチドのいずれかの少なくとも６０個の連続したヌクレオチドを含む、請求項７４に記載の方法。
【請求項７８】
前記核酸が、配列番号１１のヌクレオチド配列と少なくとも９０％配列同一性を有するポリヌクレオチドを含む、請求項７４に記載の方法。
【請求項７９】
前記植物のストレス耐性が、前記植物中の前記核酸の発現を減少させることで増加する、請求項７４に記載の方法。
【請求項８０】
前記植物が、トランスジェニックではない、請求項７４に記載の方法。
【請求項８１】
前記植物が、トランスジェニックである、請求項７４に記載の方法。
【請求項８２】
前記プロモーターが、組織特異的である、請求項７４に記載の方法。
【請求項８３】
前記プロモーターが、発生的に調節される、請求項７４に記載の方法。
【請求項８４】
プロモーターをコードする核酸を含有するトランスジェニック植物を産生する方法であって、前記植物が、前記植物の野生型種と比較して環境ストレスに対する耐性が増加しており、前記方法が、前記核酸を含む発現ベクターで植物細胞を形質転換することと、該植物細胞から前記トランスジェニック植物を生成することとを含み、前記核酸が、
ａ）配列番号１１のポリヌクレオチド、
ｂ）前記ａ）の少なくとも６０個の連続したヌクレオチドを含むポリヌクレオチド、
ｃ）配列番号１１のポリヌクレオチド配列と少なくとも７０％配列同一性を有するポリヌクレオチド、
ｄ）ａ）〜ｃ）のいずれかのポリヌクレオチドに相補的なポリヌクレオチド、からなる群から選択される方法。
【請求項８５】
前記環境ストレスが、高塩度、干ばつおよび低温からなる群から選択される、請求項８４に記載の方法。
【請求項８６】
前記植物が、単子葉植物である、請求項８４に記載の方法。
【請求項８７】
前記植物が、双子葉植物である、請求項８４に記載の方法。
【請求項８８】
前記植物が、トウモロコシ、コムギ、ライムギ、オートムギ、ライコムギ、イネ、オオムギ、ダイズ、ラッカセイ、ワタ、セイヨウアブラナ、カノラ、イモノキ、コショウ、ヒマワリ、マンジュギク、ナス科植物、ジャガイモ、タバコ、ナス、トマト、ソラマメ種、エンドウマメ、アルファルファ、コーヒー、カカオ、チャ、ヤナギ種、ギネアアブラヤシ、ココナッツ、多年草、および飼料穀物からなる群から選択される、請求項８４に記載の方法。
【請求項８９】
前記核酸が、配列番号１１のポリヌクレオチドを含む、請求項８４に記載の方法。
【請求項９０】
前記核酸が、ａ）〜ｃ）のポリヌクレオチドのいずれかの少なくとも６０個の連続したヌクレオチドを含む、請求項８４に記載の方法。
【請求項９１】
前記核酸が、配列番号１１のヌクレオチド配列と少なくとも９０％配列同一性を有するポリヌクレオチドを含む、請求項８４に記載の方法。
【請求項９２】
前記植物のストレス耐性が、前記植物中の前記核酸の発現を減少させることで増加する、請求項８４に記載の方法。
【請求項９３】
前記プロモーターが、組織特異的である、請求項８４に記載の方法。
【請求項９４】
前記プロモーターが、発生的に調節される、請求項８４に記載の方法。
【発明の詳細な説明】
【０００１】
［発明の分野］
本発明は、植物プレニルプロテアーゼポリペプチドをコードする新規ポリヌクレオチド、その断片および相同体を提供する。また、上記ポリペプチドを産生するためのベクター、宿主細胞、抗体、および組換え方法も提供する。本発明はさらに、これらの新規植物ポリペプチドを、同定、予防、および／または様々な植物病害および／または障害に対する抵抗性（特に干ばつ抵抗性）の付与に、および／または種子貯蔵化合物、特に油、糖およびタンパク質の量を操作するのに適用する方法に関する。
【０００２】
［発明の背景］
干ばつは、植物の成長および生産性を最も制限する要因の１つである。ダイズ、トウモロコシ、イネ、およびワタのような作物における干ばつ続きによる収穫高および収量高の損失は、重大な経済的要因を表す。さらに、干ばつはまた、世界中の多くの国々で食物不足を招く。干ばつに対して耐性をもつ作物の開発は、これらの不都合な状況のいくつかを軽減する可能性を有する戦略である。
【０００３】
干ばつに対して耐性を示す植物の新たな系統を開発するための伝統的な植物品種改良戦略は、比較的時間がかかり、かつ所望の商業的系統と交雑させるのに特異的な耐性系統が必要である。したがって、干ばつ耐性および遠い関係の植物種間での交雑での不適合性のための限定された生殖質資源は、従来の品種改良で遭遇する重大な問題を象徴する。対照的に、植物遺伝子形質転換および特定の発現パターンを施された有用な遺伝子の有用性により、トランスジェニックアプローチを用いて干ばつ耐性植物を生成することが可能である。
【０００４】
植物は、それらの生活様式全体中で、環境の水含量が減少した状態にさらされる。たいていの植物は、これら乾燥条件に対してそれら自身を防御する戦略を進化させてきた。しかしながら、干ばつ状態の過酷さおよび期間がひどい場合、ほとんどの植物の植物発生、成長および収量高に対する影響が強い。
【０００５】
干ばつストレス植物の生理学は、正常な条件下での植物成長と比較して劇的に変化している。変化およびそれらの原因の多くが特性化されていないままである。アブシジン酸（ＡＢＡ）は、乾燥知覚と細胞変化との間のプロセスを媒介するのに中心的な役割を果たす。ＡＢＡは、細胞乾燥の開始時に直ちに増加する。この増加により気孔が閉鎖し、それにより蒸散による水の損失を減少させる。
【０００６】
種子中の貯蔵脂質は、炭水化物由来の前駆物質から合成される。植物は、細胞質ゾル中の完全解糖経路を有し（Ｐｌａｘｔｏｎ １９９６， Ａｎｎ． Ｒｅｖ． Ｐｌａｎｔ Ｐｈｙｓｉｏｌ Ｐｌａｎｔ Ｍｏｌ． Ｂｉｏｌ． ４７： １８５−２１４）、完全経路がセイヨウアブラナの色素体中にも存在することが示されている（Ｋａｎｇ ＆ Ｒａｗｓｔｈｏｒｎｅ １９９４， Ｐｌａｎｔ Ｊ．６： ７９５−８０５）。ショ糖は、炭素およびエネルギーの主要源であり、葉から発生中の種子へと輸送される。種子の貯蔵時期中に、ショ糖は細胞質ゾル中で変換されて、代謝性前駆物質グルコース−６−リン酸およびピルビン酸塩を供給する。これらは、色素体へ輸送され、脂肪酸合成のための主要前駆物質として作用するアセチルＣｏＡへ変換される。脂質、細胞酸およびデンプンの代謝の酵素工程に関与する核酸が幾つかクローニングおよび同定されたが、依然として同定されるべきかかる植物核酸が多数存在する可能性が高い。幾つかの脂肪種子植物および他の突然変異植物の表現型分析により、植物脂質代謝に関与する他の推定タンパク質が明らかとなったが、これらのタンパク質のゲノム位置あるいはそれらをコードする核酸配列について、従来技術にはいまだ記載されていない。
【０００７】
キナーゼおよびホスファターゼによるタンパク質リン酸化の調節は、細胞制御の普遍的機構として受け入れられており（Ｃｏｈｅｎ １９９２， Ｔｒｅｎｄｓ Ｂｉｏｃｈｅｍ． Ｓｃｉ． １７：４０８−４１３）、Ｃａ２＋およびカルモジュリンシグナルは、Ｃａ２＋およびカルモジュリン依存性キナーゼならびにホスファターゼにより伝達されることが多い（Ｒｏｂｅｒｔｓ ＆ Ｈａｒｍｏｎ １９９２， Ａｎｎｕ． Ｒｅｖ． Ｐｌａｎｔ Ｐｈｙｓｉｏｌ． Ｐｌａｎｔ Ｍｏｌ． Ｂｉｏｌ． ４３：３７５−４１４）。タンパク質ホスファターゼ阻害剤であるオカダ酸は、ジベレリン酸（ＧＡ）およびアビシジン酸（ＡＢＡ）経路の両方に影響を及ぼすことがわかっている（Ｋｕｏ ｅｔ ａｌ． １９９６， Ｐｌａｎｔ Ｃｅｌｌ． ８： ２５９−２６９）。ＧＡおよびＡＢＡのシグナル伝達の分子機序はあまり理解されていないままであるが、２つの植物ホルモンが、種子発生の調節プロセス全体に関与していることが十分に確立されているようである（例えば、Ｒｉｔｃｈｉｅ ＆ Ｇｉｌｒｏｙ １９９８， Ｐｌａｎｔ Ｐｈｙｓｉｏｌ． １１６： ７６５−７７６； Ａｒｅｎａｓ−Ｈｕｅｒｔｅｒｏ ｅｔ ａｌ． ２０００， Ｇｅｎｅｓ Ｄｅｖ． １４： ２９８５−２０９６）。同様に、植物ホルモンエチレン（例えば、Ｚｈｏｕ ｅｔ ａｌ． １９９８， Ｐｒｏｃ． Ｎａｔｌ． Ａｃａｄ． Ｓｃｉ． ＵＳＡ ９５： １０２９４−１０２９９； Ｂｅａｕｄｏｉｎ ｅｔ ａｌ． ２０００， Ｐｌａｎｔ Ｃｅｌｌ ２０００： １１０３−１１１５）、およびオーキシン（例えば、Ｃｏｌｏｎ−Ｃａｒｍｏｎａ ｅｔ ａｌ． ２０００， Ｐｌａｎｔ Ｐｈｙｉｏｌ． １２４： １７２８−１７３８）は、同様に植物発生の制御に関与する。
【０００８】
タンパク質へのＣ末端性１５炭素鎖の付加、続くプロセシングであるタンパク質ファルネシル化は、乾燥シグナル伝達鎖（１）中のＡＢＡの媒介の役割に極めて重要であると同定されている。すなわち、タンパク質ファルネシル化は、ＡＢＡ誘導性気孔閉鎖、したがって水の損失制御に必要とされる。
【０００９】
タンパク質ファルネシル化は、図１に示されているような３工程酵素反応である。ｅｒａ１アラビドプシス突然変異体の干ばつ耐性表現型は、タンパク質ファルネシル化経路における第１の酵素である、酵素ファルネシルトランスフェラーゼ（ＦＴａｓｅ）のβサブユニットにおけるヌル突然変異に起因する。
【００１０】
現在では、タンパク質ファルネシル化に関与した他の酵素、すなわちプレニルプロテアーゼ（ＰｒＰａｓｅ）およびメチラーゼのクローンに相当する配列について、植物の文献中には記載されていない。したがって、乾燥条件（例えば、干ばつ）に耐性をもつ植物を生成する別の好機として、これらのタンパク質ファルネシル化酵素をコードする植物遺伝子を同定することが、当該技術分野では必要である。
【００１１】
［発明の簡単な概要］
本発明は、フィスコミトレラ・パテンス（Ｐｈｙｓｃｏｍｉｔｒｅｌｌａ ｐａｔｅｎｓ）、アラビドプシス・サリアナ（Ａｒａｂｉｄｏｐｓｉｓ ｔｈａｌｉａｎａ）、ダイズ（Ｇｌｙｃｉｎｅ ｍａｘ）、およびトウモロコシ（Ｚｅａ ｍａｙｓ）由来の、完全に活性なプレニルペプチダーゼポリペプチドまたはそれらの断片のいずれかをコードする新規ポリヌクレオチドを提供する。
【００１２】
本発明はさらに、干ばつ耐性植物を操作するための一般的な方法を提供する。上記方法は一般に、全植物に適用可能である。
【００１３】
さらに、アラビドプシス（Ａｒａｂｉｄｏｐｓｉｓ）ＦＴａｓｅ遺伝子のプロモーターを提供する。このプロモーターは、孔辺細胞で最も強力に発現され、すなわち、それは、孔辺細胞特異的プロモーターである。
【００１４】
本発明の別の態様は、酵母で大量のアラビドプシスＰｒＰａｓｅを産生するのに使用される酵母発現ベクターを提供する。
【００１５】
さらに、本発明では、アラビドプシス、セイヨウアブラナ、ダイズ、およびトウモロコシ植物を形質転換するのに使用する形質転換ベクターについて記載する。
【００１６】
本発明のポリペプチドをコードするポリヌクレオチドのＡＴＣＣによる寄託もまた、本発明に含まれる。
【００１７】
さらに、本発明は、増大した植物防御、干ばつ耐性、塩耐性、紫外線（ｕｖ）耐性、増大した花形成、テルペン合成、および油、糖およびタンパク質のような種子貯蔵化合物の増加した形成を含むが、これらに限定されない所望の形質を有するトランスジェニック植物を創出するために、本発明のポリヌクレオチドおよびポリペプチドを適用する方法を提供する。
【００１８】
本発明は、アラビドプシスＵＳＰ遺伝子のプロモーターを提供する。このプロモーターは、種子発生段階中に最も強力に発現され、すなわち、それは、種子特異的プロモーターである。本発明は、本発明のポリペプチドに特異的な抗体を提供する。さらに、本発明は、機能的および形態学的の両方で、植物の表現型を調節するために、本発明の抗体を使用する方法を提供する。最後に、本発明は、本発明のポリヌクレオチドおよび／またはポリペプチドの機能をより格別に精密化する方法を提供する。
【００１９】
本発明は、５個の植物由来ＰｒＰａｓｅの単離ポリヌクレオチドおよびポリペプチド配列を提供することで、ある程度当該技術分野での必要性を満足させる。すなわち、本発明者等は、コケ（Ｐｈｙｓｃｏｍｉｔｒｅｌｌａ ｐａｔｅｎｓ）由来のＰｒＰａｓｅ配列、アラビドプシス・サリアナ由来の２つのＰｒＰａｓｅ配列、ダイズ（Ｇｌｙｃｉｎｅ ｍａｘ）由来の１つのＰｒＰａｓｅ、およびトウモロコシ（Ｚｅａ ｍａｙｓ）由来の１つのＰｒＰａｓｅについて記載する。
【００２０】
さらに、本発明は、アラビドプシス植物中のＰｒＰａｓｅ  ｍＲＮＡ量の減少（すなわち、ＰｒＰａｓｅ遺伝子発現の減少）が、非形質転換対照植物と比較した場合に、干ばつ耐性の増加と直接的に相関することを示唆する初めての結果を提供する。本発明は、ＰｒＰａｓｅ発現の減少により生成された干ばつ耐性のセイヨウアブラナ、ダイズ、およびトウモロコシ植物品種を操作する方法について記載する。
【００２１】
ヒトから下等植物に及ぶ真核生物中のＰｒＰａｓｅ活性の保存は、ＰｒＰａｓｅ酵素が必須酵素であり、真核細胞すべてに存在することを強く示唆している。したがって、干ばつ耐性植物を操作する記載の方法は、一般に植物全体に提供可能であるはずである。
【００２２】
アラビドプシスＰｒＰａｓｅに関するこれまでに記載されたＯＲＦ（ＡＦ００７２６９（ＧｅｎＢａｎｋアクセッション番号、遺伝子＝”Ａ＿ＩＧ００２ＮＯ１．２１）、２４９７９〜２８０７６）は、コンピュータプログラム（Ｇｅｎｅｆｉｎｄｅｒ（Ｐ．Ｇｒｅｅｎ ａｎｄ Ｌ．Ｈｉｌｌｉｅｒ， ｗｗｗ．ｎｃｂｉ．ｎｌｍ．ｇｏｖ））により予測され、ＧｅｎＢａｎｋデータベースに登録された。それは、図１３に示すようなこの遺伝子に関する実際のＯＲＦを反映していない。このことは、ＡｔＰｒＰａｓｅ１〜２の両方が新規の遺伝子であることを明らかに示している。
【００２３】
植物シャペロンのファルネシル化は、ストレス応答におけるこれらのタンパク質の生物学的機能と確実に関わりがあった。ファルネシル化経路の過剰発現は、熱、干ばつおよび塩ストレスに対する耐性を増加させた。さらに、タンパク質ファルネシル化はまた、細胞周期の制御の正の調節に関与している。タンパク質ファルネシル化の増加は、細胞増殖を増加させ、最終的には成長の増加と種子貯蔵化合物蓄積の増加を引き起こす。
【００２４】
さらに、本発明は、植物ＰｒＰａｓｅポリペプチドをコードする新規ポリヌクレオチド、その断片および相同体を提供する。また、上記ポリペプチドを産生するためのベクター、宿主細胞、抗体、および組換え方法も提供する。本発明はさらに、これらの新規植物ポリペプチドを、同定、防止、および／または様々な植物病害および／または障害に対する抵抗性の付与に、および／または種子貯蔵化合物量の増加に提供する方法に関する。
【００２５】
［発明の詳細な説明］
本発明は、以下の本発明の好ましい実施形態の詳細な説明、および本明細書中に含まれる実施例を参照して、より容易に理解され得る。
【００２６】
本発明の一態様は、フィスコミトレラ・パテンス、アラビドプシス・サリアナ、ダイズ、およびトウモロコシ由来の酵素ＰｒＰａｓｅの完全な活性ポリペプチドまたはその一部をコードする単離された核酸分子に関する。さらに、本発明は、上述のクローンに由来する核酸断片に関する。同様に、ハイブリダイゼーション実験で、プローブとして上述の核酸断片を用いて単離することができる上述の生物ならびに他の生物の核酸由来の他の核酸断片に関する。
【００２７】
本発明は、干ばつ耐性植物を操作するために、および／または植物の種子中の貯蔵化合物の量を増加させるために、ＰｒＰａｓｅ遺伝子活性を減少させることを用いる原理について記載する。この戦略は、アラビドプシス・サリアナ、セイヨウアブラナ、ダイズ、およびトウモロコシに関して本発明で実証してきたが、その適用は、これらの植物に制限されない。これを実現するための唯一の条件は、標的植物から相当するＰｒＰａｓｅ遺伝子を単離することである。他の植物から相当するＰｒＰａｓｅ遺伝子を単離するための上述のクローンの使用は、当業者によって理解される。
【００２８】
ＰｒＰａｓｅの減少は、以下の例（但しこれらに限定はされない）：（ａ）アンチセンス遺伝子発現抑圧、（ｂ）ＰｒＰａｓｅの標的抗体、および（ｃ）例えばジンクフィンガー由来の転写因子による標的操作プロモーター抑圧の１つにより達成することができる。
【００２９】
本発明の別の態様では、アラビドプシスＰｒＰａｓｅのプロモーターについて記載する。このプロモーターは、孔辺細胞特異的であり、干ばつ耐性および植物のガス交換の調節のような形質を操作するのに使用することができる。
【００３０】
本発明は、特に植物起源由来のこれまで未知のＰｒＰａｓｅクローンを用いて、作物植物における干ばつ耐性を操作するための新たな戦略を提供することで、従来技術に大いに貢献することができる。これは、形質転換した植物細胞、好ましくは孔辺細胞（但しこれに限定されない）中の上記遺伝子の発現を減少させることで達成される。
【００３１】
さらに、細菌シャペロンＤｎａＪのファルネシル化は、高温での細菌成長に不可欠である（Ｗｉｃｋｎｅｒ， Ｓ． ｅｔ ａｌ １９９１ Ｎａｔｕｒｅ ３５０：１６５−７）。このシャペロンのファルネシル化は、その完全な活性に必要とされる。植物アトリプレクス・ヌムラリア（Ａｔｒｉｐｌｅｘ ｎｕｍｍｕｌａｒｉａ）では、ＡＮＪ１が、ＤｎａＪの相同体であり、熱および塩処理により誘導される（Ｚｈｕ， Ｊ．−Ｋ． ｅｔ ａｌ １９９３ Ｔｈｅ Ｐｌａｎｔ Ｃｅｌｌ ５：３４１−９）。この酵素は、ファルネシル化の標的である。植物シャペロンのファルネシル化の増加は、これらの酵素のより高い生物活性をもたらし、したがって植物ストレス耐性の増加を引き起こすことがわかっている。したがって、本発明のポリヌクレオチドおよびポリペプチド（それらのアゴニストおよび／または断片を含む）には、植物における熱、干ばつおよび塩ストレスに対する抵抗性を付与することを含む用途がある。あるいは、本発明のアンタゴニストには、植物における熱、干ばつ、および塩ストレスを含むが、これらに限定されない生物的および／または非生物的ストレスに対する植物の感受性を調節することを含む用途がある。好ましくは、本発明のアンタゴニストは、熱、干ばつ、および塩ストレスに対する植物抵抗性を増加させる。一実施形態では、構成的プロモーター（例えば、３５Ｓ、または本明細書中に開示する他のプロモーター）を用いた植物内の本発明のＰｒＰａｓｅポリペプチドの過剰発現（但し孔辺細胞中ではない）は、植物の干ばつおよび塩耐性を改善するのに有用であろう。
【００３２】
タンパク質ファルネシル化は、細胞周期の制御と正に関与している（Ｚｉｅｇｅｌｈｏｆｆｅｒ ｅｔ ａｌ ２０００ ＰＮＡＳ ９７：７６３３−８）。タンパク質ファルネシル化に関与した遺伝子、すなわちファルネシルトランスフェラーゼの突然変異は、アラビドプシス植物において細胞増殖の阻害をもたらす（Ｂｏｎｅｔｔａ ｅｔ ａｌ． ２０００ Ｐｌａｎｔａ ２１１：１８２−９０）。ファルネシル化経路の植物における構成的過剰発現、すなわちプレニルペプチダーゼの過剰発現は、細胞増殖の増加、植物成長の増加をもたらす。本発明のポリヌクレオチドおよびポリペプチド（それらのアゴニストおよび／または断片を含む）には、植物成長、および潜在的に植物の収量高の調節、好ましくは植物成長の増加を含む用途がある。さらに、本発明のアンタゴニストには、植物成長および／または収量高の調節、より好ましくは植物および収量高の増加を含む用途があり得る。さらに別の実施形態では、構成的プロモーター（例えば、３５Ｓ、または本明細書中に開示する他のプロモーター）を用いた本発明のＰｒＰａｓｅポリペプチドの過剰発現は、細胞分裂を促進することで、植物成長を増加させるのに有用であり得る。
【００３３】
上記ポリヌクレオチドは、分析、特性化および農学的用途のために組換えタンパク質を発現するために、本発明のポリペプチドに対する抗体を誘起するために組換えタンパク質を発現するために、相当するタンパク質が発現される（例えば優先的に、または非優先的に）組織用マーカーとして、サザンゲル上のハイブリダイゼーションマーカーとして、品種改良援助用の遺伝子マーカーとして、ＲＦＬＰマーカーとして、遺伝子型同定（例えば、変種等）用のマーカーとして使用することができ、またコードタンパク質は、非常に最低限でも、分子量マーカーとして使用することができる。
【００３４】
本発明のポリヌクレオチドはまた、染色体を同定するための染色体マーカーまたはタグとして（ラベルされた場合）、染色体内の関連遺伝子位置をマッピングするために、または対立遺伝子変異体および／または自発的突然変異もしくは生物的突然変異を同定するための突然変異植物の内因性ＤＮＡ配列に対する比較参照として有用でもある。
【００３５】
本発明のポリヌクレオチドはまた、遺伝子フィンガープリンティングに、「遺伝子チップ」または他の支持体への結合用オリゴマーを選択および作製する（特定遺伝子に関する発現パターンの検査を含む）のに、イントロンおよび／またはエクソン境界を識別するために、スプライスおよび／または対立遺伝子変異体を同定するために、また発生段階、病害状態および／または栄養素レベルの同定のための診断ツールとして有用でもある。
【００３６】
本発明は、ストリンジェントなまたは非ストリンジェントないずれかの条件下で、本発明のポリヌクレオチドにハイブリダイズするポリヌクレオチドを含む。かかるハイブリダイゼーションは、本発明のポリヌクレオチドのオルソログ、相同体、対立遺伝子変異体、変異体、および／または突然変異体を同定するために使用してもよい。さらに、本発明のポリヌクレオチドは、本発明のポリヌクレオチド配列に対するオリゴヌクレオチドを用いて、かつ植物細胞または組織試料にＰＣＲを実施することにより、本発明のポリヌクレオチドのオルソログ、相同体、対立変異体、変異体、および／または突然変異体をクローニングするのに使用してもよい。
【００３７】
本発明は、本発明のポリペプチドおよびポリヌクレオチドに結合する（例えば、受容体−リガンド相互作用で）タンパク質、核酸、または他の分子の同定を含む。本発明のポリヌクレオチドは、相互作用トラップアッセイ（例えば、Ｏｚｅｎｂｅｒｇｅｒ ａｎｄ Ｙｏｕｎｇ （Ｍｏｌ Ｅｎｄｏｃｒｉｎｏｌ．， ９（１０）：１３２１−９， （１９９５）、およびＡｎｎ Ｎ Ｙ Ａｃａｄ Ｓｃｉ．， ７；７６６：２７９−８１， （１９９５））に記載されるような）で使用することもできる。
【００３８】
本発明のポリヌクレオチドおよびポリペプチドの潜在的な用途は、栄養補給（例えば、アミノ酸サプリメントとして）、炭素源として、窒素源として、炭水化物源として）、植物防御活性の調節、シグナル伝達の調節、代謝産物輸送（例えば、炭素、窒素流量等）の調節、抗生物質ストレス耐性および／または抵抗性（水、干ばつ、寒冷、塩等）の付与、生体異物ストレス耐性および／または抵抗性の付与、および発生制御（例えば、収量高、開花期等）を含む。
【００３９】
本発明のポリヌクレオチドおよびポリペプチドは、本発明のポリヌクレオチドに相当する完全長ｃＤＮＡおよび／またはゲノムＤＮＡの同定および単離用プローブとして、新規関連ＤＮＡ配列をハイブリダイズおよび発見するためのプローブとして、この配列または関連配列のポジショナルクローニング用プローブとして、他の新規ポリヌクレオチドを発見するプロセス中の既知の遺伝子を「サブトラクトアウト（ｓｕｂｔｒａｃｔ ｏｕｔ）」するためのプローブとして、遺伝子発現を定量化するためのプローブとして、およびマイクロアレイ用プローブとして有用である。
【００４０】
さらに、本発明のポリヌクレオチドおよびポリペプチドは、１個、２個、３個、４個、５個、６個、７個、８個、またはそれ以上の膜ドメインを含み得る。
【００４１】
また、好ましい実施形態では、本発明は、本発明のポリヌクレオチドおよびポリペプチドの生物学的機能をさらに精密化する方法を提供する。
【００４２】
具体的には、本発明は、本発明のポリヌクレオチドおよびポリペプチドを用いて、本発明のオルソログ、相同体、変異体、および／または対立遺伝子変異体を同定する方法を提供する。また、本発明のポリヌクレオチドおよびポリペプチドを用いて、本発明の全コード領域、本発明の非コード領域、本発明の調節配列、および本発明の分泌形態、成熟形態、プロ形態、プレプロ形態を同定する方法を提供する。
【００４３】
好ましい実施形態では、本発明は、本発明のポリヌクレオチドおよびポリペプチドに固有のグルコシル化部位の同定、ならびにタンパク質フォールディングの増強、タンパク質凝集の阻害、細胞小器官への細胞内輸送の調節、タンパク質分解性に対する抵抗性の増加、タンパク質抗原性の調節、および細胞間接着の媒介を含むが、これらに限定されない多数の所望の特性のための上記部位の続く改変、欠失および／または付加の方法を提供する。
【００４４】
さらに好ましい実施形態では、所望の構造特性、機能特性、および／または物理特性を有する新規変異体を創出および同定する試みで分子進化を用いて、本発明のポリヌクレオチドおよびポリペプチドを進化する方法を提供する。
【００４５】
さらに好ましい実施形態では、本発明は、機能の帰属を引き出すのに現在利用可能な他の実験方法および手順を提供する。これらの手順としては、アレイ上でのクローンのスポッティング、マイクロアレイ技術、ＰＣＲベースの方法、およびプライマーあるいはハイブリッドパートナーを構築するための本発明者等のクローンからの配列情報を使用することができる他の手順が挙げられるが、これらに限定されない。
【００４６】
本明細書で使用する場合、「環境ストレス」という用語は、任意の最適下限の成長条件を指し、塩度、干ばつ、温度、金属、化学物質、病原性ストレスおよび酸化的ストレスに関する最適下限の条件、またはそれらの組合せが挙げられるが、これらに限定されない。好ましい実施形態において、環境ストレスは、塩度、干ばつ、あるいは温度であるか、またはそれらの組合せ、特に高塩度、低水分含量または温度、あるいはそれの組合せであり得る。明細書中および特許請求の範囲で使用する場合、「単数の記載（ａ， ａｎ）」は、それが使用される状況に応じて、１つまたは複数を意味し得ることも理解されよう。したがって、例えば、「細胞（単数）」に対する言及は、少なくとも１つの細胞が利用され得ることを意味することができる。
【００４７】
また本明細書中で使用する場合、「核酸」および「ポリヌクレオチド」という用語は、直鎖状もしくは分岐状の一本鎖または二本鎖のＲＮＡあるいはＤＮＡ、またはそれらのハイブリッドを指す。この用語はまた、ＲＮＡ／ＤＮＡハイブリッドも含む。これらの用語はまた、遺伝子のコード領域の３’および５’末端の両方に位置する非翻訳配列、すなわち遺伝子のコード領域の５’末端から上流の配列の少なくとも約１０００個のヌクレオチド、および遺伝子のコード領域の３’末端から下流の配列の少なくとも約２００個のヌクレオチドを含む。イノシン、５−メチルシトシン、６−メチルアデニン、ヒポキサンチン等のようなあまり一般的でない塩基も、アンチセンス、ｄｓＲＮＡおよびリボザイムの対形成に使用することができる。例えば、ウリジンおよびシチジンのＣ−５プロピン類縁体を含有するポリヌクレオチドは、高親和性でＲＮＡと結合し、遺伝子発現の強力なアンチセンス阻害剤であることがわかっている。ホスホジエステルバックボーン、またはＲＮＡのリボース糖基中の２’−ヒドロキシへの修飾のような他の修飾も行うことができる。アンチセンスポリヌクレオチドおよびリボザイムは、完全にリボヌクレオチドから構成され得るか、あるいは混合リボヌクレオチドおよびデオキシリボヌクレオチドを含有することができる。本発明のポリヌクレオチドは、ゲノム調製、ｃＤＮＡ調製、ｉｎ  ｖｉｔｒｏ合成、ＲＴ−ＰＣＲおよびｉｎ  ｖｉｔｒｏまたはｉｎ  ｖｉｖｏ転写を含む任意の手段により生産してもよい。
【００４８】
「単離」核酸分子は、核酸の自然源に存在する他の核酸分子（すなわち、他のポリペプチドをコードする配列）から実質的に分離されているものである。好ましくは、「単離」核酸は、その自然に存在するレプリコン中の核酸に自然に隣接する配列（すなわち、核酸の５’末端および３’末端に位置する配列）のいくつかを含まない。例えば、クローニングされた核酸は、単離されているとみなされる。様々な実施形態では、単離ＰＰＳＲＰ核酸分子は、約５ｋｂ、４ｋｂ、３ｋｂ、２ｋｂ、１ｋｂ、０．５ｋｂ、または０．１ｋｂ未満の、核酸が由来する細胞のゲノムＤＮＡ中の核酸分子に自然に隣接するヌクレオチド配列を含有することができる。核酸はまた、ヒトの介入によりすでに変更された場合、またはその自然部位ではない遺伝子座もしくは位置に位置する場合、あるいは農業的感染（ａｇｒｏｉｎｆｅｃｔｉｏｎ）により細胞に導入される場合にも、単離されているとみなされる。さらに、ｃＤＮＡ分子のような「単離された」核酸分子は、それが自然に関連する他の細胞物質、または組換え技法により産生される場合の培地、あるいは化学的に合成する場合に化学物質前駆体または他の化学物質の幾つかを含み得ない。
【００４９】
具体的には、ｉｎ  ｖｉｔｒｏ核酸調製物として、またはトランスフェクト／形質転換宿主細胞調節物（ここで、宿主細胞は、ｉｎ  ｖｉｔｒｏ異種調節物であるか、または単一コロニーの異種集団として平板培養される）として存在する、自然に存在する染色体（染色体拡散（ｓｐｒｅａｄ）のような）、人工染色体ライブラリー、ゲノムライブラリー、およびｃＤＮＡライブラリーは、「単離された核酸」の定義から排除される。また具体的には、特定の核酸が、ベクター分子中の核酸挿入物数の５％未満を構成する上述のライブラリーは排除される。さらに具体的には、全細胞ゲノムＤＮＡまたは全細胞ＲＮＡ調節物（機械的にせん断したか、あるいは酵素的に消化した全細胞調製物を含む）は排除される。さらにいっそう具体的には、ｉｎ  ｖｉｔｒｏ調製物として、または電気泳動で分離される異種混合物（ここで、本発明の核酸は、電気泳動媒質中で異種核酸からさらに分離されなかった（例えば、アガロースゲルまたはナイロンブロット中の異種バンド集団からの単一バンドを切除することでさらに分離すること））として見出される全細胞抽出物は排除される。
【００５０】
本発明のポリヌクレオチドおよびポリペプチド
遺伝子番号１によりコードされるポリペプチドの特徴
配列番号１（図２）に従うポリヌクレオチド配列によりコードされ、および／または寄託クローンＰｐＰｒＰａｓｅ１内に含まれるポリヌクレオチドによりコードされる配列番号２（図３）として提供されるこの遺伝子のポリペプチドは、ヒトおよび酵母プレニルペプチダーゼの両方に対してヌクレオチドおよびアミノ酸レベルでの有意な相同性を有する（図１２Ａ〜Ｄを参照）。相同性に基づいて、本発明のポリペプチドは、プレニルペプチダーゼとともに少なくとも幾つかの生物学活性を共有し得る。本発明のポリヌクレオチドおよびポリペプチドには、植物に対する干ばつ耐性および／または塩耐性を付与することを含むが、これらに限定されない用途がある。このポリヌクレオチドにはまた、完全長ＰｐＰｒＰａｓｅ１を同定することを含む用途がある。さらに、本発明のポリペプチドに対するアンタゴニストは、殺真菌用途で有用であり得る。
【００５１】
細菌シャペロンＤｎａＪのファルネシル化は、高温での細菌成長に不可欠である（Ｗｉｃｋｎｅｒ， Ｓ． ｅｔ ａｌ １９９１ Ｎａｔｕｒｅ ３５０：１６５−７）。このシャペロンのファルネシル化は、その完全な活性に必要とされる。植物アトリプレクス・ヌムラリア（Ａｔｒｉｐｌｅｘ ｎｕｍｍｕｌａｒｉａ）では、ＡＮＪ１が、ＤｎａＪの相同体であり、熱および塩処理により誘導される（Ｚｈｕ， Ｊ．−Ｋ． ｅｔ ａｌ １９９３ Ｔｈｅ Ｐｌａｎｔ Ｃｅｌｌ ５：３４１−９）。この酵素は、ファルネシル化の標的である。植物シャペロンのファルネシル化の増加は、これらの酵素のより高い生物活性をもたらし、したがって植物ストレス耐性の増加を引き起こすことがわかっている。したがって、本発明のポリヌクレオチドおよびポリペプチド（それらのアゴニストおよび／または断片を含む）には、植物における熱、干ばつ、および塩ストレスに対する抵抗性を付与することを含む用途がある。あるいは、本発明のアンタゴニストには、植物における熱、干ばつ、および塩ストレスを含むが、これらに限定されない生物的および／非生物的ストレスに対する植物の感受性を調節することを含む用途がある。好ましくは、本発明のアンタゴニストは、熱、干ばつ、および塩ストレスに対する植物抵抗性を増加させる。一実施形態では、構成的プロモーター（例えば、３５Ｓ、または本明細書中に開示する他のプロモーター）を用いた植物内の本発明のＰｒＰａｓｅポリペプチドの過剰発現（但し孔辺細胞中ではない）は、植物の干ばつおよび塩耐性を改善するのに有用であろう。
【００５２】
タンパク質ファルネシル化は、細胞周期の制御と正に関与している（Ｚｉｅｇｅｌｈｏｆｆｅｒ ｅｔ ａｌ ２０００ ＰＮＡＳ ９７：７６３３−８）。タンパク質ファルネシル化に関与した遺伝子、すなわちファルネシルトランスフェラーゼの突然変異は、アラビドプシス植物において細胞増殖の阻害をもたらす（Ｂｏｎｅｔｔａ ｅｔ ａｌ． ２０００ Ｐｌａｎｔａ ２１１：１８２−９０）。ファルネシル化経路の植物における構成的過剰発現、すなわちプレニルペプチダーゼの過剰発現は、細胞増殖の増加、植物成長の増加をもたらす。本発明のポリヌクレオチドおよびポリペプチド（それらのアゴニストおよび／または断片を含む）には、植物成長、および潜在的に植物の収量高の調節、好ましくは植物成長の増加を含む用途がある。さらに、本発明のアンタゴニストには、植物成長および／または収量高の調節、それを通して好ましくは植物成長および収量高の増加を含む用途があり得る。さらに別の実施形態では、構成的プロモーター（例えば、３５Ｓ、または本明細書中に開示する他のプロモーター）を用いた本発明のＰｐＰｒＰａｓｅ１ポリペプチドの過剰発現は、細胞分裂を促進することで、植物成長を増加させるのに有用であり得る。
【００５３】
コードポリペプチドは、プレニルプロテアーゼとともに少なくとも幾つかの生物活性を共有し得ると考えられるが、このクローンの正確な生物学的機能を決定する多数の方法が、当該技術分野で既知であるか、または本明細書中の他の箇所に記載されている。簡潔に述べると、このクローンの機能は、マイクロアレイ方法論を適用することで決定し得る。本発明の他のクローンに加えてＰｐＰｒＰａａｓｅ１クローンを、発現プロファイリング用のマイクロチップ上に配列し得る。どのポリヌクレオチドプローブがスライドにハイブリダイズするのに使用されるかに応じて、特定遺伝子の発現の変化は、研究される条件に基づいて、この遺伝子の機能に対するさらなる洞察を提供し得る。例えば、使用するポリヌクレオチドプローブが、冷却処理した組織に由来する場合の発現レベルで観察される増加または減少は、例えば、寒冷耐性を調節する際の機能を示し得る。ＰｐＰｒＰａｓｅ１の場合では、水を与えない組織、あるいは他の生物的または非生物的ストレス（熱、干ばつ、高光量、高塩等）によりストレスを加えた組織は、プローブを調製するためにＲＮＡを抽出するのに使用されるはずである。
【００５４】
さらに、タンパク質の機能は、例えば、定量的ＰＣＲ方法論を適用することで評価してもよい。リアルタイム定量的ＰＣＲは、例えば植物発生周期全体にわたって特定の遺伝子の発現を追跡する能力を提供する。定量的ＰＣＲ方法論は、ほんのわずかな量の、各発生上重要な段階（３日発芽苗木、１週齢苗木［根、新芽、および茎］、開花開始前の根、葉および茎、花［種々の部分］、および／または発生中の胚）からの組織が、かかる実験を実施するのに必要なだけである。したがって、このポリペプチドの生物学的機能を精密化するための定量的ＰＣＲ方法論の適用は、本発明に包含される。また、配列番号１（図２）として提供されるポリヌクレオチド配列に相当する定量的ＰＣＲプローブも本発明に包含される。
【００５５】
タンパク質の機能はまた、酵母中の相補性アッセイにより評価してもよい。例えば、ＰｐＰｒＰａｓｅ１クローンの場合では、プレニルプロテアーゼ活性を欠損した酵母を形質転換し、それの成長する能力を評価することは、ＰｐＰｒＰａｓｅ１クローンが、プレニルプロテアーゼ活性を有するという説得力のある証拠を提供する。本発明のポリヌクレオチドおよびポリペプチドの機能を評価するのに使用し得るさらなるアッセイ条件および方法は、当該技術分野で既知であり、その幾つかが、本明細書中の他の箇所に開示されている。
【００５６】
あるいは、コードポリペプチドの生物学的機能は、シネコシスティス（Ｓｙｎｅｃｏｓｙｓｔｉｓ）でこのポリペプチドの相同体を崩壊させることで決定してもよい。シアノバクテリア（青緑色藻類）は、植物葉緑体の前駆物質とみなされる。それは、光合成系および植物の代謝プロセスを連想させる多くの他の代謝プロセスの両方を保有する。これらのプロセスは、多くの市販の除草剤の対象とされることが多く、この生物は、多くの種類の除草剤の作用機序の研究で広範に使用されている。シネコシスティスは、最良に研究されたシアノバクテリアの１つである。シアノバクテリアに共通する特徴の多くに加え、それは、多くの他の付加的利点を提供する。シネコシスティスは、自然に存在する遺伝子形質転換系を有しており、したがって、よく特性化された系のうちのいくつか（Ｓ．セレビシエ（Ｓ．ｃｅｒｅｖｉｓｉａｅ）、大腸菌）に適用可能である強力かつ複雑な遺伝子および分子操作（例えば、標的遺伝子崩壊、遺伝子置換等）を引き起こす。最も重要なことには、シネコシスティスの完全なゲノム配列情報の有用性は、所定の遺伝子（複数可）の迅速な同定およびクローニングのための手段、ならびに遺伝子および分子手段による遺伝子機能の解明をもたらす。
【００５７】
さらに、このポリペプチドの生物学的機能は、アンチセンスおよび／またはセンス方法論の適用、およびそれにより得られるトランスジェニック植物の生成により決定してもよい。トランスジェニック植物中のセンスまたはアンチセンス配向での特定遺伝子の発現は、当該特定遺伝子のそれぞれより高いまたは低い発現レベルを引き起こすことができる。遺伝子の内因性発現レベルの変更は、特定の表現型の観察を引き起こすことができ、続いてその特定の表現型は、遺伝子の機能での徴候を得るのに使用することができる。遺伝子は、強力な遍在性プロモーターを用いていつでも植物のあらゆる細胞で過剰発現または過小発現され得るか、あるいはそれは、十分に特性化された組織特異的プロモーター（すなわち、根プロモーター、または花特異的プロモーター）を用いて植物の１つまたは複数の別個の部分で発現され得るか、あるいはそれは、誘導性および／または発生的に調節されるプロモーターを用いて発生の特定の時期で発現され得る。
【００５８】
ＰｐＰｒＰａｓｅ１トランスジェニック植物の場合では、正常な成長条件で表現型が明らかでない場合、ストレス条件（水の欠乏、高塩の存在、あるいは寒冷、熱、干ばつ、高光量等のような他の生物的または非生物的ストレス）下で植物を観察することにより、遺伝子機能の理解がもたらされ得る。種子貯蔵化合物の場合には、油、糖およびタンパク質の生化学的分析（実施例３４を参照）は、遺伝子の機能の理解をもたらし得る。したがって、ポリペプチドの生物学的機能を精密化するためのトランスジェニック植物の創出への、アンチセンスおよび／またはセンス方法論の適用は、本発明に包含される。
【００５９】
好ましい実施形態では、以下のＮ末端欠失突然変異体は、本発明に包含される：Ｌ１−Ｄ３９４、Ｋ２−Ｄ３９４、Ｌ３−Ｄ３９４、Ｓ４−Ｄ３９４、Ｎ５−Ｄ３９４、Ｌ６−Ｄ３９４、Ｐ７−Ｄ３９４、Ａ８−Ｄ３９４、Ｐ９−Ｄ３９４、Ｌ１０−Ｄ３９４、Ｋ１１−Ｄ３９４、Ｇ１２−Ｄ３９４、Ｉ１３−Ｄ３９４、Ｖ１４−Ｄ３９４、Ｓ１５−Ｄ３９４、Ｑ１６−Ｄ３９４、Ｅ１７−Ｄ３９４、Ｋ１８−Ｄ３９４、Ｆ１９−Ｄ３９４、Ｅ２０−Ｄ３９４、Ｋ２１−Ｄ３９４、Ａ２２−Ｄ３９４、Ｑ２３−Ｄ３９４、Ａ２４−Ｄ３９４、Ｙ２５−Ｄ３９４、Ｓ２６−Ｄ３９４、Ｌ２７−Ｄ３９４、Ｄ２８−Ｄ３９４、Ｋ２９−Ｄ３９４、Ｓ３０−Ｄ３９４、Ｒ３１−Ｄ３９４、Ｆ３２−Ｄ３９４、Ｈ３３−Ｄ３９４、Ｆ３４−Ｄ３９４、Ｖ３５−Ｄ３９４、Ｈ３６−Ｄ３９４、Ａ３７−Ｄ３９４、Ａ３８−Ｄ３９４、Ｖ３９−Ｄ３９４、Ｎ４０−Ｄ３９４、Ｉ４１−Ｄ３９４、Ｖ４２−Ｄ３９４、Ｅ４３−Ｄ３９４、Ｅ４４−Ｄ３９４、Ｓ４５−Ｄ３９４、Ａ４６−Ｄ３９４、Ｉ４７−Ｄ３９４、Ｌ４８−Ｄ３９４、Ｌ４９−Ｄ３９４、Ｌ５０−Ｄ３９４、Ｇ５１−Ｄ３９４、Ｌ５２−Ｄ３９４、Ｌ５３−Ｄ３９４、Ｐ５４−Ｄ３９４、Ｗ５５−Ｄ３９４、Ａ５６−Ｄ３９４、Ｗ５７−Ｄ３９４、Ｄ５８−Ｄ３９４、Ｋ５９−Ｄ３９４、Ｓ６０−Ｄ３９４、Ｇ６１−Ｄ３９４、Ｓ６２−Ｄ３９４、Ｌ６３−Ｄ３９４、Ｖ６４−Ｄ３９４、Ｇ６５−Ｄ３９４、Ｋ６６−Ｄ３９４、Ｌ６７−Ｄ３９４、Ｇ６８−Ｄ３９４、Ｆ６９−Ｄ３９４、Ｄ７０−Ｄ３９４、Ｅ７１−Ｄ３９４、Ｋ７２−Ｄ３９４、Ｓ７３−Ｄ３９４、Ｅ７４−Ｄ３９４、Ｉ７５−Ｄ３９４、Ｌ７６−Ｄ３９４、Ｑ７７−Ｄ３９４、Ｔ７８−Ｄ３９４、Ｌ７９−Ｄ３９４、Ｓ８０−Ｄ３９４、Ｆ８１−Ｄ３９４、Ｌ８２−Ｄ３９４、Ａ８３−Ｄ３９４、Ｖ８４−Ｄ３９４、Ｔ８５−Ｄ３９４、Ｔ８６−Ｄ３９４、Ｌ８７−Ｄ３９４、Ｗ８８−Ｄ３９４、Ｓ８９−Ｄ３９４、Ｑ９０−Ｄ３９４、Ｉ９１−Ｄ３９４、Ｌ９２−Ｄ３９４、Ｅ９３−Ｄ３９４、Ｌ９４−Ｄ３９４、Ｐ９５−Ｄ３９４、Ｆ９６−Ｄ３９４、Ｓ９７−Ｄ３９４、Ｌ９８−Ｄ３９４、Ｙ９９−Ｄ３９４、Ｓ１００−Ｄ３９４、Ｔ１０１−Ｄ３９４、Ｆ１０２−Ｄ３９４、Ｖ１０３−Ｄ３９４、Ｉ１０４−Ｄ３９４、Ｅ１０５−Ｄ３９４、Ａ１０６−Ｄ３９４、Ｒ１０７−Ｄ３９４、Ｈ１０８−Ｄ３９４、Ｇ１０９−Ｄ３９４、Ｆ１１０−Ｄ３９４、Ｎ１１１−Ｄ３９４、Ｋ１１２−Ｄ３９４、Ｑ１１３−Ｄ３９４、Ｔ１１４−Ｄ３９４、Ｉ１１５−Ｄ３９４、Ｗ１１６−Ｄ３９４、Ｌ１１７−Ｄ３９４、Ｆ１１８−Ｄ３９４、Ｌ１１９−Ｄ３９４、Ｒ１２０−Ｄ３９４、Ｄ１２１−Ｄ３９４、Ｍ１２２−Ｄ３９４、Ｉ１２３−Ｄ３９４、Ｍ１２４−Ｄ３９４、Ｇｌ２５−Ｄ３９４、Ｌ１２６−Ｄ３９４、Ａ１２７−Ｄ３９４、Ｌ１２８−Ｄ３９４、Ｍ１２９−Ｄ３９４、Ｍ１３０−Ｄ３９４、Ｖ１３１−Ｄ３９４、Ｖ１３２−Ｄ３９４、Ｇ１３３−Ｄ３９４、Ｐ１３４−Ｄ３９４、Ｐ１３５−Ｄ３９４、Ｉ１３６−Ｄ３９４、Ｖ１３７−Ｄ３９４、Ｓ１３８−Ｄ３９４、Ａ１３９−Ｄ３９４、Ｉ１４０−Ｄ３９４、Ｉ１４１−Ｄ３９４、Ｙ１４２−Ｄ３９４、Ｉ１４３−Ｄ３９４、Ｖ１４４−Ｄ３９４、Ｑ１４５−Ｄ３９４、Ｎ１４６−Ｄ３９４、Ｇ１４７−Ｄ３９４、Ｇ１４８−Ｄ３９４、Ｐ１４９−Ｄ３９４、Ｙ１５０−Ｄ３９４、Ｌ１５１−Ｄ３９４、Ａ１５２−Ｄ３９４、Ｌ１５３−Ｄ３９４、Ｙ１５４−Ｄ３９４、Ｌ１５５−Ｄ３９４、Ｗ１５６−Ｄ３９４、Ａ１５７−Ｄ３９４、Ｆｌ５８−Ｄ３９４、Ｍｌ５９−Ｄ３９４、Ｌ１６０−Ｄ３９４、Ｌ１６１−Ｄ３９４、Ｌ１６２−Ｄ３９４、Ｓ１６３−Ｄ３９４、Ｌ１６４−Ｄ３９４、Ｖ１６５−Ｄ３９４、Ｌ１６６−Ｄ３９４、Ｍ１６７−Ｄ３９４、Ａ１６８−Ｄ３９４、Ｌ１６９−Ｄ３９４、Ｙ１７０−Ｄ３９４、Ｐ１７１−Ｄ３９４、Ｖ１７２−Ｄ３９４、Ｌ１７３−Ｄ３９４、Ｉ１７４−Ｄ３９４、Ａ１７５−Ｄ３９４、Ｐ１７６−Ｄ３９４、Ｌ１７７−Ｄ３９４、Ｆ１７８−Ｄ３９４、Ｎ１７９−Ｄ３９４、Ｔ１８０−Ｄ３９４、Ｆ１８１−Ｄ３９４、Ｔ１８２−Ｄ３９４、Ｐ１８３−Ｄ３９４、Ｌ１８４−Ｄ３９４、Ｐ１８５−Ｄ３９４、Ｅ１８６−Ｄ３９４、Ｇ１８７−Ｄ３９４、Ｑ１８８−Ｄ３９４、Ｌ１８９−Ｄ３９４、Ｒ１９０−Ｄ３９４、Ａ１９１−Ｄ３９４、Ｋ１９２−Ｄ３９４、Ｉ１９３−Ｄ３９４、Ｅ１９４−Ｄ３９４、Ｋ１９５−Ｄ３９４、Ｌ１９６−Ｄ３９４、Ａ１９７−Ｄ３９４、Ｓ１９８−Ｄ３９４、Ｓ１９９−Ｄ３９４、Ｌ２００−Ｄ３９４、Ｄ２０１−Ｄ３９４、Ｆ２０２−Ｄ３９４、Ｐ２０３−Ｄ３９４、Ｌ２０４−Ｄ３９４、Ｋ２０５−Ｄ３９４、Ｋ２０６−Ｄ３９４、Ｌ２０７−Ｄ３９４、Ｆ２０８−Ｄ３９４、Ｖ２０９−Ｄ３９４、Ｉ２１０−Ｄ３９４、Ｄ２１１−Ｄ３９４、Ｇ２１２−Ｄ３９４、Ｓ２１３−Ｄ３９４、Ｔ２１４−Ｄ３９４、Ｒ２１５−Ｄ３９４、Ｓ２１６−Ｄ３９４、Ｓ２１７−Ｄ３９４、Ｈ２１８−Ｄ３９４、Ｓ２１９−Ｄ３９４、Ｎ２２０−Ｄ３９４、Ａ２２１−Ｄ３９４、Ｙ２２２−０３９４、Ｍ２２３−Ｄ３９４、Ｙ２２４−Ｄ３９４、Ｇ２２５−Ｄ３９４、Ｆ２２６−Ｄ３９４、Ｙ２２７−Ｄ３９４、Ｎ２２８−Ｄ３９４、Ｓ２２９−Ｄ３９４、Ｋ２３０−Ｄ３９４、Ｒ２３１−Ｄ３９４、Ｉ２３２−Ｄ３９４、Ｖ２３３−Ｄ３９４、Ｌ２３４−Ｄ３９４、Ｙ２３５−Ｄ３９４、Ｄ２３６−Ｄ３９４、Ｔ２３７−Ｄ３９４、Ｌ２３８−Ｄ３９４、Ｉ２３９−Ｄ３９４、Ｓ２４０−Ｄ３９４、Ｑ２４１−Ｄ３９４、Ｃ２４２−Ｄ３９４、Ｋ２４３−Ｄ３９４、Ｎ２４４−Ｄ３９４、Ｅ２４５−Ｄ３９４、Ｅ２４６−Ｄ３９４、Ｅ２４７−Ｄ３９４、Ｖ２４８−Ｄ３９４、Ｖ２４９−Ｄ３９４、Ａ２５０−Ｄ３９４、Ｖ２５１−Ｄ３９４、Ｉ２５２−Ｄ３９４、Ａ２５３−Ｄ３９４、Ｈ２５４−Ｄ３９４、Ｅ２５５−Ｄ３９４、Ｌ２５６−Ｄ３９４、Ｇ２５７−Ｄ３９４、Ｈ２５８−Ｄ３９４、Ｗ２５９−Ｄ３９４、Ｋ２６０−Ｄ３９４、Ｌ２６１−Ｄ３９４、Ｓ２６２−Ｄ３９４、Ｈ２６３−Ｄ３９４、Ｔ２６４−Ｄ３９４、Ｍ２６５−Ｄ３９４、Ｙ２６６−Ｄ３９４、Ｓ２６７−Ｄ３９４、Ｆ２６８−Ｄ３９４、Ｌ２６９−Ｄ３９４、Ａ２７０−Ｄ３９４、Ｍ２７１−Ｄ３９４、Ｑ２７２−Ｄ３９４、Ｖ２７３−Ｄ３９４、Ｌ２７４−Ｄ３９４、Ｔ２７５−Ｄ３９４、Ｌ２７６−Ｄ３９４、Ｌ２７７−Ｄ３９４、Ｑ２７８−Ｄ３９４、Ｆ２７９−Ｄ３９４、Ｇ２８０−Ｄ３９４、Ｇ２８１−Ｄ３９４、Ｙ２８２−Ｄ３９４、Ｔ２８３−Ｄ３９４、Ｌ２８４−Ｄ３９４、Ｖ２８５−Ｄ３９４、Ｒ２８６−Ｄ３９４、Ｎ２８７−Ｄ３９４、Ｓ２８８−Ｄ３９４、Ｓ２８９−Ｄ３９４、Ｇ２９０−Ｄ３９４、Ｌ２９１−Ｄ３９４、Ｆ２９２−Ｄ３９４、Ｌ２９３−Ｄ３９４、Ｓ２９４−Ｄ３９４、Ｆ２９５−Ｄ３９４、Ｇ２９６−Ｄ３９４、Ｆ２９７−Ｄ３９４、Ｓ２９８−Ｄ３９４、Ｔ２９９−Ｄ３９４、Ｑ３００−Ｄ３９４、Ｐ３０１−Ｄ３９４、Ｖ３０２−Ｄ３９４、Ｌ３０３−Ｄ３９４、Ｉ３０４−Ｄ３９４、Ｇ３０５−Ｄ３９４、Ｌ３０６−Ｄ３９４、Ｉ３０７−Ｄ３９４、Ｌ３０８−Ｄ３９４、Ｆ３０９−Ｄ３９４、Ｑ３１０−Ｄ３９４、Ｈ３１１−Ｄ３９４、Ｔ３１２−Ｄ３９４、Ｉ３１３−Ｄ３９４、Ｍ３１４−Ｄ３９４、Ｐ３１５−Ｄ３９４、Ｆ３１６−Ｄ３９４、Ｈ３１７−Ｄ３９４、Ｈ３１８−Ｄ３９４、Ｌ３１９−Ｄ３９４、Ｖ３２０−Ｄ３９４、Ｓ３２１−Ｄ３９４、Ｆ３２２−Ｄ３９４、Ａ３２３−Ｄ３９４、Ｌ３２４−Ｄ３９４、Ｎ３２５−Ｄ３９４、Ｌ３２６−Ｄ３９４、Ｌ３２７−Ｄ３９４、Ｓ３２８−Ｄ３９４、Ｒ３２９−Ｄ３９４、Ａ３３０−Ｄ３９４、Ｆ３３１−Ｄ３９４、Ｅ３３２−Ｄ３９４、Ｆ３３３−Ｄ３９４、Ｑ３３４−Ｄ３９４、Ａ３３５−Ｄ３９４、Ｄ３３６−Ｄ３９４、Ａ３３７−Ｄ３９４、Ｆ３３８−Ｄ３９４、Ａ３３９−Ｄ３９４、Ｒ３４０−Ｄ３９４、Ｓ３４１−Ｄ３９４、Ｌ３４２−Ｄ３９４、Ｇ３４３−Ｄ３９４、Ｙ３４４−Ｄ３９４、Ｒ３４５−Ｄ３９４、Ｅ３４６−Ｄ３９４、Ｐ３４７−Ｄ３９４、Ｌ３４８−Ｄ３９４、Ｒ３４９−Ｄ３９４、Ａ３５０−Ｄ３９４、Ｇ３５１−Ｄ３９４、Ｌ３５２−Ｄ３９４、Ｉ３５３−Ｄ３９４、Ｋ３５４−Ｄ３９４、Ｌ３５５−Ｄ３９４、Ｑ３５６−Ｄ３９４、Ｅ３５７−Ｄ３９４、Ｅ３５８−Ｄ３９４、Ｎ３５９−Ｄ３９４、Ｌ３６０−Ｄ３９４、Ｓ３６１−Ｄ３９４、Ａ３６２−Ｄ３９４、Ｍ３６３−Ｄ３９４、Ｎ３６４−Ｄ３９４、Ｔ３６５−Ｄ３９４、Ｄ３６６−Ｄ３９４、Ｐ３６７−Ｄ３９４、Ｗ３６８−Ｄ３９４、Ｙ３６９−Ｄ３９４、Ｓ３７０−Ｄ３９４、Ａ３７１−Ｄ３９４、Ｙ３７２−Ｄ３９４、Ｈ３７３−Ｄ３９４、Ｈ３７４−Ｄ３９４、Ｓ３７５−Ｄ３９４、Ｈ３７６−Ｄ３９４、Ｐ３７７−Ｄ３９４、Ｐ３７８−Ｄ３９４、Ｌ３７９−Ｄ３９４、Ｖ３８０−Ｄ３９４、Ｅ３８１−Ｄ３９４、Ｒ３８２−Ｄ３９４、Ｌ３８３−Ｄ３９４、Ｑ３８４−Ｄ３９４、Ａ３８５−Ｄ３９４、Ｌ３８６−Ｄ３９４、Ｄ３８７−Ｄ３９４、Ｅ３８８−Ｄ３９４（配列番号２）。これらのポリペプチドをコードするポリヌクレオチド配列も提供される。
【００６０】
好ましい実施形態では、以下のＣ末端欠失突然変異体は、本発明に包含される：Ｌ１−Ｄ３９４、Ｌ１−Ｔ３９３、Ｌ１−Ｋ３９２、Ｌ１−Ｋ３９１、Ｌ１−Ｓ３９０、Ｌ１−Ｔ３８９、Ｌ１−Ｅ３８８、Ｌ１−Ｄ３８７、Ｌ１−Ｌ３８６、Ｌ１−Ａ３８５、Ｌ１−Ｑ３８４、Ｌ１−Ｌ３８３、Ｌ１−Ｒ３８２、Ｌ１−Ｅ３８１、Ｌ１−Ｖ３８０、Ｌ１−Ｌ３７９、Ｌ１−Ｐ３７８、Ｌ１−Ｐ３７７、Ｌ１−Ｈ３７６、Ｌ１−Ｓ３７５、Ｌ１−Ｈ３７４、Ｌ１−Ｈ３７３、Ｌ１−Ｙ３７２、Ｌ１−Ａ３７１、Ｌ１−Ｓ３７０、Ｌ１−Ｙ３６９、Ｌ１−Ｗ３６８、Ｌ１−Ｐ３６７、Ｌ１−Ｄ３６６、Ｌ１−Ｔ３６５、Ｌ１−Ｎ３６４、Ｌ１−Ｍ３６３、Ｌ１−Ａ３６２、Ｌ１−Ｓ３６１、Ｌ１−Ｌ３６０、Ｌ１−Ｎ３５９、Ｌ１−Ｅ３５８、Ｌ１−Ｅ３５７、Ｌ１−Ｑ３５６、Ｌ１−Ｌ３５５、Ｌ１−Ｋ３５４、Ｌ１−Ｉ３５３、Ｌ１−Ｌ３５２、Ｌ１−Ｇ３５１、Ｌ１−Ａ３５０、Ｌ１−Ｒ３４９、Ｌ１−Ｌ３４８、Ｌ１−Ｐ３４７、Ｌ１−Ｅ３４６、Ｌ１−Ｒ３４５、Ｌ１−Ｙ３４４、Ｌ１−Ｇ３４３、Ｌ１−Ｌ３４２、Ｌ１−Ｓ３４１、Ｌ１−Ｒ３４０、Ｌ１−Ａ３３９、Ｌ１−Ｆ３３８、Ｌ１−Ａ３３７、Ｌ１？Ｄ３３６、Ｌ１−Ａ３３５、Ｌ１−Ｑ３３４、Ｌ１−Ｆ３３３、Ｌ１−Ｅ３３２、Ｌ１−Ｆ３３１、Ｌ１−Ａ３３０、Ｌ１−Ｒ３２９、Ｌ１−Ｓ３２８、Ｌ１−Ｌ３２７、Ｌ１−Ｌ３２６、Ｌ１−Ｎ３２５、Ｌ１−Ｌ３２４、Ｌ１−Ａ３２３、Ｌ１−Ｆ３２２、Ｌ１−Ｓ３２１、Ｌ１−Ｖ３２０、Ｌ１−Ｌ３１９、Ｌ１−Ｈ３１８、Ｌ１−Ｈ３１７、Ｌ１−Ｆ３１６、Ｌ１−Ｐ３１５、Ｌ１−Ｍ３１４、Ｌ１−Ｉ３１３、Ｌ１−Ｔ３１２、Ｌ１−Ｈ３１１、Ｌ１−Ｑ３１０、Ｌ１−Ｆ３０９、Ｌ１−Ｌ３０８、Ｌ１−Ｉ３０７、Ｌ１−Ｌ３０６、Ｌ１−Ｇ３０５、Ｌ１−Ｉ３０４、Ｌ１−Ｌ３０３、Ｌ１−Ｖ３０２、Ｌ１−Ｐ３０１、Ｌ１−Ｑ３００、Ｌ１−Ｔ２９９、Ｌ１−Ｓ２９８、Ｌ１−Ｆ２９７、Ｌ１−Ｇ２９６、Ｌ１−Ｆ２９５、Ｌ１−Ｓ２９４、Ｌ１−Ｌ２９３、Ｌ１−Ｆ２９２、Ｌ１−Ｌ２９１、Ｌ１−Ｇ２９０、Ｌ１−Ｓ２８９、Ｌ１−Ｓ２８８、Ｌ１−Ｎ２８７、Ｌ１−Ｒ２８６、Ｌ１−Ｖ２８５、Ｌ１−Ｌ２８４、Ｌ１−Ｔ２８３、Ｌ１−Ｙ２８２、Ｌ１−Ｇ２８１、Ｌ１−Ｇ２８０、Ｌ１−Ｆ２７９、Ｌ１−Ｑ２７８、Ｌ１−Ｌ２７７、Ｌ１−Ｌ２７６、Ｌ１−Ｔ２７５、Ｌ１−Ｌ２７４、Ｌ１−Ｖ２７３、Ｌ１−Ｑ２７２、Ｌ１−Ｍ２７１、Ｌ１−Ａ２７０、Ｌ１−Ｌ２６９、Ｌ１−Ｆ２６８、Ｌ１−Ｓ２６７、Ｌ１−Ｙ２６６、Ｌ１−Ｍ２６５、Ｌ１−Ｔ２６４、Ｌ１−Ｈ２６３、Ｌ１−Ｓ２６２、Ｌ１−Ｌ２６１、Ｌ１−Ｋ２６０、Ｌ１−Ｗ２５９、Ｌ１−Ｈ２５８、Ｌ１−Ｇ２５７、Ｌ１−Ｌ２５６、Ｌ１−Ｅ２５５、Ｌ１−Ｈ２５４、Ｌ１−Ａ２５３、Ｌ１−Ｉ２５２、Ｌ１−Ｖ２５１、Ｌ１−Ａ２５０、Ｌ１−Ｖ２４９、Ｌ１−Ｖ２４８、Ｌ１−Ｅ２４７、Ｌ１−Ｅ２４６、Ｌ１−Ｅ２４５、Ｌ１−Ｎ２４４、Ｌ１−Ｋ２４３、Ｌ１−Ｃ２４２、Ｌ１−Ｑ２４１、Ｌ１−Ｓ２４０、Ｌ１−Ｉ２３９、Ｌ１−Ｌ２３８、Ｌ１−Ｔ２３７、Ｌ１−Ｄ２３６、Ｌ１−Ｙ２３５、Ｌ１−Ｌ２３４、Ｌ１−Ｖ２３３、Ｌ１−Ｉ２３２、Ｌ１−Ｒ２３１、Ｌ１−Ｋ２３０、Ｌ１−Ｓ２２９、Ｌ１−Ｎ２２８、Ｌ１−Ｙ２２７、Ｌ１−Ｆ２２６、Ｌ１−Ｇ２２５、Ｌ１−Ｙ２２４、Ｌ１−Ｍ２２３、Ｌ１−Ｙ２２２、Ｌ１−Ａ２２１、Ｌ１−Ｎ２２０、Ｌ１−Ｓ２１９、Ｌ１−Ｈ２１８、Ｌ１−Ｓ２１７、Ｌ１−Ｓ２１６、Ｌ１−Ｒ２１５、Ｌ１−Ｔ２１４、Ｌ１−Ｓ２１３、Ｌ１−Ｇ２１２、Ｌ１−Ｄ２１１、Ｌ１−Ｉ２１０、Ｌ１−Ｖ２０９、Ｌ１−Ｆ２０８、Ｌ１−Ｌ２０７、Ｌｌ−Ｋ２０６、Ｌ１−Ｋ２０５、Ｌ１−Ｌ２０４、Ｌ１−Ｐ２０３、Ｌ１−Ｆ２０２、Ｌ１−Ｄ２０ｌ、Ｌｌ−Ｌ２００、Ｌ１−Ｓ１９９、Ｌ１−Ｓ１９８、Ｌ１−Ａ１９７、Ｌ１−Ｌ１９６、Ｌ１−Ｋ１９５、Ｌ１−Ｅ１９４、Ｌ１−Ｉ１９３、Ｌ１−Ｋ１９２、Ｌ１−Ａ１９１、Ｌ１−Ｒ１９０、Ｌ１−Ｌ１８９、Ｌ１−Ｑ１８８、Ｌ１−Ｇ１８７、Ｌ１−Ｅ１８６、Ｌ１−Ｐ１８５、Ｌ１−Ｌ１８４、Ｌ１−Ｐ１８３、Ｌ１−Ｔ１８２、Ｌ１−Ｆ１８１、Ｌ１−Ｔ１８０、Ｌ１−Ｆ１７９、Ｌ１−Ｆ１７８、Ｌ１−Ｌ１７７、Ｌ１−Ｐ１７６、Ｌ１−Ａ１７５、Ｌ１−Ｉ１７４、Ｌ１−Ｌ１７３、Ｌ１−Ｖ１７２、Ｌｌ−Ｐ１７１、Ｌ１−Ｙ１７０、Ｌ１−Ｌ１６９、Ｌ１−Ａ１６８、Ｌ１−Ｍ１６７、Ｌ１−Ｌ１６６、Ｌ１−Ｖ１６５、Ｌ１−Ｌ１６４、Ｌ１−Ｓ１６３、Ｌ１−Ｌ１６２、Ｌ１−Ｌ１６１、Ｌ１−Ｌ１６０、Ｌ１−Ｍ１５９、Ｌ１−Ｆ１５８、Ｌ１−Ａ１５７、Ｌ１−Ｗ１５６、Ｌ１−Ｌ１５５、Ｌ１−Ｙ１５４、Ｌ１−Ｌ１５３、Ｌ１−Ａ１５２、Ｌ１−Ｌ１５１、Ｌ１−Ｙ１５０、Ｌ１−Ｐ１４９、Ｌ１−Ｇ１４８、Ｌ１−Ｇ１４７、Ｌ１−Ｎ１４６、Ｌ１−Ｑ１４５、Ｌ１−Ｖ１４４、Ｌ１−Ｉ１４３、Ｌ１−Ｙ１４２、Ｌ１−Ｉ１４１、Ｌ１−Ｉ１４０、Ｌ１−Ａ１３９、Ｌ１−Ｓ１３８、Ｌ１−Ｖ１３７、Ｌ１−Ｉ１３６、Ｌ１−Ｐ１３５、Ｌ１−Ｐ１３４、Ｌ１−Ｇ１３３、Ｌ１−Ｖ１３２、Ｌ１−Ｖ１３１、Ｌ１−Ｍ１３０、Ｌ１−Ｍ１２９、Ｌ１−Ｌ１２８、Ｌ１−Ａ１２７、Ｌ１−Ｌ１２６、Ｌ１−Ｇ１２５、Ｌ１−Ｍ１２４、Ｌ１−Ｉ１２３、Ｌ１−Ｍ１２２、Ｌ１−Ｄ１２１、Ｌ１−Ｒ１２０、Ｌ１−Ｌ１１９、Ｌ１−Ｆ１１８、Ｌ１−Ｌ１１７、Ｌ１−Ｗ１１６、Ｌ１−Ｉ１１５、Ｌ１−Ｔ１１４、Ｌ１−Ｑ１１３、Ｌ１−Ｋ１１２、Ｌ１−Ｎ１１１、Ｌ１−Ｆ１１０、Ｌ１−Ｇ１０９、Ｌ１−Ｈ１０８、Ｌ１−Ｒ１０７、Ｌ１−Ａ１０６、Ｌ１−Ｅ１０５、Ｌ１−Ｉ１０４、Ｌ１−Ｖ１０３、Ｌ１−Ｆ１０２、Ｌ１−Ｔ１０１、Ｌ１−Ｓ１００、Ｌ１−Ｙ９９、Ｌ１−Ｌ９８、Ｌ１−Ｓ９７、Ｌ１−Ｆ９６、Ｌ１−Ｐ９５、Ｌ１−Ｌ９４、Ｌ１−Ｅ９３、Ｌ１−Ｌ９２、Ｌ１−Ｉ９１、Ｌ１−Ｑ９０、Ｌ１−Ｓ８９、Ｌ１−Ｗ８８、Ｌ１−Ｌ８７、Ｌ１−Ｔ８６、Ｌ１−Ｔ８５、Ｌ１−Ｖ８４、Ｌ１−Ａ８３、Ｌ１−Ｌ８２、Ｌ１−Ｆ８１、Ｌ１−Ｓ８０、Ｌ１−Ｌ７９、Ｌ１−Ｔ７８、Ｌ１−Ｑ７７、Ｌ１−Ｌ７６、Ｌ１−Ｉ７５、Ｌ１−Ｅ７４、Ｌ１−Ｓ７３、Ｌ１−Ｋ７２、Ｌ１−Ｅ７１、Ｌ１−Ｄ７０、Ｌ１−Ｆ６９、Ｌ１−Ｇ６８、Ｌ１−Ｌ６７、Ｌ１−Ｋ６６、Ｌ１−Ｇ６５、Ｌ１−Ｖ６４、Ｌ１−Ｌ６３、Ｌ１−Ｓ６２、Ｌ１−Ｇ６１、Ｌ１−Ｓ６０、Ｌ１−Ｋ５９、Ｌ１−Ｄ５８、Ｌ１−Ｗ５７、Ｌ１−Ａ５６、Ｌ１−Ｗ５５、Ｌ１−Ｐ５４、Ｌ１−Ｌ５３、Ｌ１−Ｌ５２、Ｌ１−Ｇ５１、Ｌ１−Ｌ５０、Ｌ１−Ｌ４９、Ｌ１−Ｌ４８、Ｌ１−Ｉ４７、Ｌ１−Ａ４６、Ｌ１−Ｓ４５、Ｌ１−Ｅ４４、Ｌ１−Ｅ４３、Ｌ１−Ｖ４２、Ｌ１−Ｉ４１、Ｌ１−Ｎ４０、Ｌ１−Ｖ３９、Ｌ１−Ａ３８、Ｌ１−Ａ３７、Ｌ１−Ｈ３６、Ｌ１−Ｖ３５、Ｌ１−Ｆ３４、Ｌ１−Ｈ３３、Ｌ１−Ｆ３２、Ｌ１−Ｒ３１、Ｌ１−Ｓ３０、Ｌ１−Ｋ２９、Ｌ１−Ｄ２８、Ｌ１−Ｌ２７、Ｌ１−Ｓ２６、Ｌ１−Ｙ２５、Ｌ１−Ａ２４、Ｌ１−Ｑ２３、Ｌ１−Ａ２２、Ｌ１−Ｋ２１、Ｌ１−Ｅ２０、Ｌ１−Ｆ１９、Ｌｂ−Ｋ１８、Ｌ１−Ｅ１７、Ｌ１−Ｑ１６、Ｌ１−Ｓ１５、Ｌ１−Ｖ１４、Ｌ１−Ｉ１３、Ｌ１−Ｇ１２、Ｌ１−Ｋ１１、Ｌ１−Ｌ１０、Ｌ１−Ｐ９、Ｌ１−Ａ８、Ｌ１−Ｐ７（配列番号２）。これらのポリペプチドをコードするポリヌクレオチド配列も提供される。
【００６１】
ＥＳＴ配列のような多くのポリヌクレオチド配列は、配列データベースにより公的に利用可能およびアクセス可能である。これらの配列の幾つかは、配列番号１に関連しており、本発明の考案前に公的に利用可能であった場合がある。好ましくは、かかる関連ポリヌクレオチドは、本発明の範囲から具体的に排除される。すべての関連配列を撤去することは、厄介である。したがって、好ましくは、ａ〜ｂの一般式（ここで、ａは、配列番号１の１〜１３９８間の任意の整数であり、ｂは、１５〜１３９８間の整数であり、ａとｂの両方が、配列番号１に示すヌクレオチド残基の位置に対応し、ｂは、ａ＋１４以上である）で示されるヌクレオチド配列を含む１つまたは複数のポリヌクレオチドは本発明から排除される。
【００６２】
遺伝子番号２によりコードされるポリペプチドの特徴
配列番号３（図４）に従うポリヌクレオチド配列によりコードされ、および／または寄託クローンＡｔＰｒＰａｓｅ１内に含まれるポリヌクレオチドによりコードされる配列番号４（図５）として提供されるこの遺伝子のポリペプチドは、ヒトおよび酵母プレニルペプチダーゼの両方に対してヌクレオチドおよびアミノ酸レベルでの有意な相同性を有する（図１２Ａ〜Ｄを参照）。相同性に基づいて、本発明のポリペプチドは、プレニルペプチダーゼとともに少なくとも幾つかの生物学活性を共有し得る。アゴニストを含む本発明のポリヌクレオチドおよびポリペプチドには、植物、特にアラビドプシスに対する干ばつ耐性および／または塩耐性を付与することを含むが、これらに限定されない用途がある。さらに、本発明のポリペプチドに対するアンタゴニストも、植物、特にアラビドプシスに対する干ばつ耐性および／または塩耐性を付与する際に有用であり得る。
【００６３】
好ましい実施形態では、本発明は、ＡｔＰｒＰａｓｅ１遺伝子のプロモーター（配列番号１１、図１５Ａ〜Ｂ）も含む。このプロモーターには、植物孔辺細胞に所定の遺伝子の発現を誘導することを含むが、これに限定されない用途がある。所定の遺伝子は、当該技術分野で既知の他の遺伝子および／または本明細書中に開示する他の遺伝子のほかに、植物に対して内因性の任意の遺伝子、非植物由来遺伝子（例えば、ウイルス遺伝子、哺乳動物遺伝子、ヒト遺伝子、合成遺伝子、分子的進化遺伝子、細菌遺伝子、真菌遺伝子等）、レポーター遺伝子、マーカー遺伝子、所望の入力（ｉｎｐｕｔ）形質、所望の出力（ｏｕｔｐｕｔ）形質、植物中に特定の表現型を付与することが可能な遺伝子、本発明の１つまたは複数の遺伝子、抗体遺伝子、本発明のポリペプチドに対する抗体遺伝子、アンチセンス遺伝子であってもよい。
【００６４】
細菌シャペロンＤｎａＪのファルネシル化は、高温での細菌成長に不可欠である（Ｗｉｃｋｎｅｒ， Ｓ． ｅｔ ａｌ １９９１ Ｎａｔｕｒｅ ３５０：１６５−７）。このシャペロンのファルネシル化は、その完全な活性に必要とされる。植物アトリプレクス・ヌムラリア（Ａｔｒｉｐｌｅｘ ｎｕｍｍｕｌａｒｉａ）では、ＡＮＪ１が、ＤｎａＪの相同体であり、熱および塩処理により誘導される（Ｚｈｕ， Ｊ．−Ｋ． ｅｔ ａｌ １９９３ Ｔｈｅ Ｐｌａｎｔ Ｃｅｌｌ ５：３４１−９）。この酵素は、ファルネシル化の標的である。植物シャペロンのファルネシル化の増加は、これらの酵素のより高い生物活性をもたらし、したがって植物ストレス耐性の増加を引き起こすことがわかっている。したがって、本発明のポリヌクレオチドおよびポリペプチド（それらのアゴニストおよび／または断片を含む）には、植物における熱、干ばつ、および塩ストレスに対する抵抗性を付与することを含む用途がある。あるいは、本発明のアンタゴニストには、植物における熱、干ばつ、および塩ストレスを含むが、これらに限定されない生物的および／または非生物的ストレスに対する植物の感受性を調節することを含む用途があり得る。好ましくは、本発明のアンタゴニストは、熱、干ばつ、および塩ストレスに対する植物抵抗性を増加させる。一実施形態では、構成的プロモーター（例えば、３５Ｓ、または本明細書中に開示する他のプロモーター）を用いた植物内の本発明のＡｔＰｒＰａｓｅ１ポリペプチドの過剰発現（但し孔辺細胞中ではない）は、植物の干ばつおよび塩耐性を改善するのに有用であろう。
【００６５】
タンパク質ファルネシル化は、細胞周期の制御と正に関与している（Ｚｉｅｇｅｌｈｏｆｆｅｒ ｅｔ ａｌ ２０００ ＰＮＡＳ ９７：７６３３−８）。タンパク質ファルネシル化に関与した遺伝子、すなわちファルネシルトランスフェラーゼの突然変異は、アラビドプシス植物において細胞増殖の阻害をもたらす（Ｂｏｎｅｔｔａ ｅｔ ａｌ． ２０００ Ｐｌａｎｔａ ２１１：１８２−９０）。ファルネシル化経路の植物における構成的過剰発現、すなわちプレニルペプチダーゼの過剰発現は、細胞増殖の増加、植物成長の増加をもたらす。本発明のポリヌクレオチドおよびポリペプチド（それらのアゴニストおよび／または断片を含む）には、植物成長、および潜在的に植物の収量高の調節、好ましくは植物成長の増加を含む用途がある。さらに、本発明のアンタゴニストには、植物成長および／または収量高の調節、それを通して好ましくは植物成長および収量高の増加を含む用途があり得る。さらに別の実施形態では、構成的プロモーター（例えば、３５Ｓ、または本明細書中に開示する他のプロモーター）を用いた本発明のＰｒＰａｓｅポリペプチドの過剰発現は、細胞分裂を促進することで、植物成長を増加させるのに有用であり得る。
【００６６】
コードポリペプチドは、プレニルプロテアーゼとともに少なくとも幾つかの生物活性を共有し得ると考えられるが、このクローンの正確な生物学的機能を決定する多数の方法が、当該技術分野で既知であるか、または本明細書中の他の箇所に記載されている。簡潔に述べると、このクローンの機能は、マイクロアレイ方法論を適用することで決定し得る。本発明の他のクローンに加えてＡｔＰｒＰａａｓｅ１クローンを、発現プロファイリング用のマイクロチップ上に配列し得る。どのポリヌクレオチドプローブがスライドにハイブリダイズするのに使用されるかに応じて、特定遺伝子の発現の変化は、研究される条件に基づいて、この遺伝子の機能に対するさらなる洞察を提供し得る。例えば、使用するポリヌクレオチドプローブが、冷却処理した組織に由来する場合の発現レベルで観察される増加または減少は、例えば、寒冷耐性を調節する際の機能を示し得る。ＡｔＰｒＰａｓｅ１の場合では、水を与えない組織、あるいは他の生物的または非生物的ストレス（熱、干ばつ、高光量、高塩等）によりストレスを加えた組織は、プローブを調製するためにＲＮＡを抽出するのに使用されるはずである。
【００６７】
さらに、タンパク質の機能は、例えば、定量的ＰＣＲ方法論を適用することで評価してもよい。内因性定量的ＰＣＲは、例えば植物発生周期全体にわたって特定の遺伝子の発現を追跡する能力を提供する。ＰＣＲ方法論は、ほんのわずかな量の、各発生上重要な段階（３日発芽苗木、１週齢苗木［根、新芽、および茎］、開花開始前の根、葉および茎、花［種々の部分］、および／または発生中の胚）からの組織が、かかる実験を実施するのに必要なだけである。したがって、このポリペプチドの生物学的機能を精密化するための定量的ＰＣＲ方法論の適用は、本発明に包含される。また、配列番号３（図４）として提供されるポリヌクレオチド配列に相当する定量的ＰＣＲプローブも本発明に包含される。
【００６８】
タンパク質の機能はまた、酵母中の相補性アッセイにより評価してもよい。例えば、ＡｔＰｒＰａｓｅ１クローンの場合では、プレニルプロテアーゼ活性を欠損した酵母を形質転換し、それの成長する能力を評価することは、ＡｔＰｒＰａｓｅ１クローンが、プレニルプロテアーゼ活性を有するという説得力のある証拠を提供する。本発明のポリヌクレオチドおよびポリペプチドの機能を評価するのに使用し得るさらなるアッセイ条件および方法は、当該技術分野で既知であり、その幾つかが、本明細書中の他の箇所に開示されている。
【００６９】
あるいは、コードポリペプチドの生物学的機能は、シネコシスティス（Ｓｙｎｅｃｏｓｙｓｔｉｓ）でこのポリペプチドの相同体を崩壊させることで決定してもよい。シアノバクテリア（青緑色藻類）は、植物葉緑体の前駆物質とみなされる。それは、光合成系および植物の代謝プロセスを連想させる多くの他の代謝プロセスの両方を保有する。これらのプロセスは、多くの市販の除草剤の対象とされることが多く、この生物は、多くの種類の除草剤の作用機序の研究で広範に使用されている。シネコシスティスは、最良に研究されたシアノバクテリアの１つである。シアノバクテリアに共通する特徴の多くに加え、それは、多くの他の付加的利点を提供する。シネコシスティスは、自然に存在する遺伝子形質転換系を有しており、したがって、よく特性化された系のうちのいくつか（セレビシエ（Ｓ．ｃｅｒｅｖｉｓｉａｅ）、大腸菌）に適用可能である強力かつ複雑な遺伝子および分子操作（例えば、標的遺伝子崩壊、遺伝子置換等）を引き起こす。最も重要なことには、シネコシスティスの完全なゲノム配列情報の有用性は、所定の遺伝子（複数可）の迅速な同定およびクローニングのための手段、ならびに遺伝子および分子手段による遺伝子機能の解明をもたらす。
【００７０】
さらに、このポリペプチドの生物学的機能は、アンチセンスおよび／またはセンス方法論の適用、およびそれにより得られるトランスジェニック植物の生成により決定してもよい。トランスジェニック植物中のセンスまたはアンチセンス配向での特定遺伝子の発現は、当該特定遺伝子のそれぞれより高いまたは低い発現レベルを引き起こすことができる。遺伝子の内因性発現レベルの変更は、特定の表現型の観察を引き起こすことができ、続いてその特定の表現型は、遺伝子の機能での徴候を得るのに使用することができる。遺伝子は、強力な遍在性プロモーターを用いていつでも植物のあらゆる細胞で過剰発現または過小発現され得るか、あるいはそれは、十分に特性化された組織特異的プロモーター（すなわち、根プロモーター、または花特異的プロモーター、あるいは種子特異的プロモータ）を用いて植物の１つまたは複数の別個の部分で発現され得るか、あるいはそれは、誘導性および／または発生的に調節されるプロモーターを用いて発生の特定の時期で発現され得る。
【００７１】
ＡｔＰｒＰａｓｅ１トランスジェニック植物の場合では、正常な成長条件で表現型が明らかでない場合、ストレス条件（水の欠乏、高塩の存在、あるいは寒冷、熱、干ばつ、高光量等のような他の生物的または非生物的ストレス）下で植物を観察することにより、あるいは種子貯蔵化合物の生化学的分析により、遺伝子機能の理解がもらされ得る。したがって、ポリペプチドの生物学的機能を精密化するためのトランスジェニック植物の創出への、アンチセンスおよび／またはセンス方法論の適用は、本発明に包含される。
【００７２】
好ましい実施形態では、以下のＮ末端欠失突然変異体は、本発明に包含される：Ｍ１−Ｄ４２４、Ａ２−Ｄ４２４、Ｉ３−Ｄ４２４、Ｐ４−Ｄ４２４、Ｆ５−Ｄ４２４、Ｍ６−Ｄ４２４、Ｅ７−Ｄ４２４、Ｔ８−Ｄ４２４、Ｖ９−Ｄ４２４、Ｖ１０−Ｄ４２４、Ｇ１１−Ｄ４２４、Ｆ１２−Ｄ４２４、Ｍ１３−Ｄ４２４、Ｉ１４−Ｄ４２４、Ｖ１５−Ｄ４２４、Ｍ１６−Ｄ４２４、Ｙ１７−Ｄ４２４、Ｉ１８−Ｄ４２４、Ｆ１９−Ｄ４２４、Ｅ２０−Ｄ４２４、Ｔ２１−Ｄ４２４、Ｙ２２−Ｄ４２４、Ｌ２３−Ｄ４２４、Ｄ２４−Ｄ４２４、Ｌ２５−Ｄ４２４、Ｒ２６−Ｄ４２４、Ｑ２７−Ｄ４２４、Ｌ２８−Ｄ４２４、Ｔ２９−Ｄ４２４、Ａ３０−Ｄ４２４、Ｌ３１−Ｄ４２４、Ｋ３２−Ｄ４２４、Ｌ３３−Ｄ４２４、Ｐ３４−Ｄ４２４、Ｔ３５−Ｄ４２４、Ｌ３６−Ｄ４２４、Ｐ３７−Ｄ４２４、Ｋ３８−Ｄ４２４、Ｔ３９−Ｄ４２４、Ｌ４０−Ｄ４２４、Ｖ４１−Ｄ４２４、Ｇ４２−Ｄ４２４、Ｖ４３−Ｄ４２４、Ｉ４４−Ｄ４２４、Ｓ４５−Ｄ４２４、Ｑ４６−Ｄ４２４、Ｅ４７−Ｄ４２４、Ｋ４８−Ｄ４２４、Ｆ４９−Ｄ４２４、Ｅ５０−Ｄ４２４、Ｋ５１−Ｄ４２４、Ｓ５２−Ｄ４２４、Ｒ５３−Ｄ４２４、Ａ５４−Ｄ４２４、Ｙ５５−０４２４、Ｓ５６−Ｄ４２４、Ｌ５７−Ｄ４２４、Ｄ５８−Ｄ４２４、Ｋ５９−Ｄ４２４、Ｓ６０−Ｄ４２４、Ｙ６１−Ｄ４２４、Ｆ６２−０４２４、Ｈ６３−Ｄ４２４、Ｆ６４−Ｄ４２４、Ｖ６５−Ｄ４２４、Ｈ６６−Ｄ４２４、Ｅ６７−Ｄ４２４、Ｆ６８−Ｄ４２４、Ｖ６９−Ｄ４２４、Ｔ７０−Ｄ４２４、Ｉ７１−Ｄ４２４、Ｌ７２−Ｄ４２４、Ｍ７３−Ｄ４２４、Ｄ７４−Ｄ４２４、Ｓ７５−Ｄ４２４、Ａ７６−Ｄ４２４、Ｉ７７−Ｄ４２４、Ｌ７８−Ｄ４２４、Ｆ７９−Ｄ４２４、Ｆ８０−Ｄ４２４、Ｇ８１−Ｄ４２４、Ｉ８２−Ｄ４２４、Ｌ８３−Ｄ４２４、Ｐ８４−Ｄ４２４、Ｗ８５−Ｄ４２４、Ｆ８６−Ｄ４２４、Ｗ８７−Ｄ４２４、Ｋ８８−Ｄ４２４、Ｍ８９−Ｄ４２４、Ｓ９０−Ｄ４２４、Ｇ９１−Ｄ４２４、Ａ９２−Ｄ４２４、Ｖ９３−Ｄ４２４、Ｌ９４−Ｄ４２４、Ｐ９５−Ｄ４２４、Ｒ９６−Ｄ４２４、Ｌ９７−Ｄ４２４、Ｇ９８−Ｄ４２４、Ｌ９９−Ｄ４２４、Ｄ１００−Ｄ４２４、Ｐ１０１−Ｄ４２４、Ｅｌ０２−Ｄ４２４、Ｎ１０３−Ｄ４２４、Ｅｌ０４−Ｄ４２４、Ｉ１０５−Ｄ４２４、Ｌ１０６−Ｄ４２４、Ｈ１０７−Ｄ４２４、Ｔ１０８−Ｄ４２４、Ｌ１０９−Ｄ４２４、Ｓ１１０−Ｄ４２４、Ｆ１１１−Ｄ４２４、Ｌ１１２−Ｄ４２４、Ａ１１３−Ｄ４２４、Ｇ１１４−Ｄ４２４、Ｖ１１５−Ｄ４２４、Ｍ１１６−Ｄ４２４、Ｔ１１７−Ｄ４２４、Ｗ１１８−Ｄ４２４、Ｓ１１９−Ｄ４２４、Ｑ１２０−Ｄ４２４、Ｉ１２１−Ｄ４２４、Ｔ１２２−Ｄ４２４、Ｄ１２３−Ｄ４２４、Ｌ１２４−Ｄ４２４、Ｐ１２５−Ｄ４２４、Ｆ１２６−Ｄ４２４、Ｓ１２７−Ｄ４２４、Ｌ１２８−Ｄ４２４、Ｙ１２９−Ｄ４２４、Ｓ１３０−Ｄ４２４、Ｔ１３１−Ｄ４２４、Ｆ１３２−Ｄ４２４、Ｖ１３３−Ｄ４２４、Ｉ１３４−Ｄ４２４、Ｅ１３５−Ｄ４２４、Ｓ１３６−Ｄ４２４、Ｒ１３７−Ｄ４２４、Ｈ１３８−Ｄ４２４、Ｇ１３９−Ｄ４２４、Ｆ１４０−Ｄ４２４、Ｎ１４１−Ｄ４２４、ＫＩ４２−Ｄ４２４、Ｑ１４３−Ｄ４２４、Ｔ１４４−０４２４、Ｉ１４５−Ｄ４２４、Ｗ１４６−Ｄ４２４、Ｍ１４７−Ｄ４２４、Ｆ１４８−Ｄ４２４、Ｉ１４９−Ｄ４２４、Ｒ１５０−Ｄ４２４、Ｄ１５１−Ｄ４２４、Ｍ１５２−Ｄ４２４、Ｉ１５３−Ｄ４２４、Ｋ１５４−Ｄ４２４、Ｇ１５５−Ｄ４２４、Ｔ１５６−Ｄ４２４、Ｆ１５７−０４２４、Ｌ１５８−Ｄ４２４、Ｓ１５９−Ｄ４２４、Ｖ１６０−Ｄ４２４、Ｉ１６１−Ｄ４２４、Ｌ１６２−Ｄ４２４、Ｇ１６３−Ｄ４２４、Ｐ１６４−Ｄ４２４、Ｐ１６５−Ｄ４２４、Ｉ１６６−Ｄ４２４、Ｖ１６７−Ｄ４２４、Ａ１６８−Ｄ４２４、Ａ１６９−Ｄ４２４、Ｉ１７０−Ｄ４２４、Ｉ１７１−Ｄ４２４、Ｆ１７２−Ｄ４２４、Ｉ１７３−Ｄ４２４、Ｖ１７４−Ｄ４２４、Ｑ１７５−Ｄ４２４、Ｋ１７６−Ｄ４２４、Ｇ１７７−Ｄ４２４、Ｇ１７８−Ｄ４２４、Ｐ１７９−Ｄ４２４、Ｙ１８０−Ｄ４２４、Ｌ１８１−Ｄ４２４、Ａ１８２−Ｄ４２４、Ｉ１８３−Ｄ４２４、Ｙ１８４−Ｄ４２４、Ｌ１８５−Ｄ４２４、Ｗ１８６−Ｄ４２４、Ａ１８７−Ｄ４２４、Ｆ１８８−Ｄ４２４、Ｍ１８９−Ｄ４２４、Ｆ１９０−Ｄ４２４、Ｉ１９１−Ｄ４２４、Ｌ１９２−Ｄ４２４、Ｓ１９３−Ｄ４２４、Ｌ１９４−Ｄ４２４、Ｖ１９５−Ｄ４２４、Ｍ１９６−Ｄ４２４、Ｍ１９７−Ｄ４２４、Ｔ１９８−Ｄ４２４、Ｉ１９９−Ｄ４２４、Ｙ２００−Ｄ４２４、Ｐ２０１−Ｄ４２４、Ｖ２０２−Ｄ４２４、Ｌ２０３−Ｄ４２４、Ｉ２０４−Ｄ４２４、Ａ２０５−Ｄ４２４、Ｐ２０６−Ｄ４２４、Ｌ２０７−Ｄ４２４、Ｆ２０８−Ｄ４２４、Ｎ２０９−Ｄ４２４、Ｋ２１０−Ｄ４２４、Ｆ２１１−Ｄ４２４、Ｔ２１２−Ｄ４２４、Ｐ２１３−Ｄ４２４、Ｌ２１４−Ｄ４２４、Ｐ２１５−Ｄ４２４、Ｄ２１６−Ｄ４２４、Ｇ２１７−Ｄ４２４、Ｄ２１８−Ｄ４２４、Ｌ２１９−Ｄ４２４、Ｒ２２０−Ｄ４２４、Ｅ２２１−Ｄ４２４、Ｋ２２２−Ｄ４２４、Ｉ２２３−Ｄ４２４、Ｅ２２４−Ｄ４２４、Ｋ２２５−Ｄ４２４、Ｌ２２６−Ｄ４２４、Ａ２２７−Ｄ４２４、Ｓ２２８−Ｄ４２４、Ｓ２２９−Ｄ４２４、Ｌ２３０−Ｄ４２４、Ｋ２３１−Ｄ４２４、Ｆ２３２−Ｄ４２４、Ｐ２３３−Ｄ４２４、Ｌ２３４−Ｄ４２４、Ｋ２３５−Ｄ４２４、Ｋ２３６−Ｄ４２４、Ｌ２３７−Ｄ４２４、Ｆ２３８−Ｄ４２４、Ｖ２３９−Ｄ４２４、Ｖ２４０−Ｄ４２４、Ｄ２４１−Ｄ４２４、Ｇ２４２−Ｄ４２４、Ｓ２４３−Ｄ４２４、Ｔ２４４−Ｄ４２４、Ｒ２４５−Ｄ４２４、Ｓ２４６−Ｄ４２４、Ｓ２４７−Ｄ４２４、Ｈ２４８−Ｄ４２４、Ｓ２４９−Ｄ４２４、Ｎ２５０−Ｄ４２４、Ａ２５１−Ｄ４２４、Ｙ２５２−Ｄ４２４、Ｍ２５３−Ｄ４２４、Ｙ２５４−Ｄ４２４、Ｇ２５５−Ｄ４２４、Ｆ２５６−Ｄ４２４、Ｆ２５７−Ｄ４２４、Ｋ２５８−Ｄ４２４、Ｎ２５９−Ｄ４２４、Ｋ２６０−Ｄ４２４、Ｒ２６１−Ｄ４２４、Ｉ２６２−Ｄ４２４、Ｖ２６３−Ｄ４２４、Ｌ２６４−Ｄ４２４、Ｙ２６５−Ｄ４２４、Ｄ２６６−Ｄ４２４、Ｔ２６７−Ｄ４２４、Ｌ２６８−Ｄ４２４、Ｉ２６９−Ｄ４２４、Ｑ２７０−Ｄ４２４、Ｑ２７１−Ｄ４２４、Ｃ２７２−Ｄ４２４、Ｋ２７３−Ｄ４２４、Ｎ２７４−Ｄ４２４、Ｅ２７５−Ｄ４２４、Ｄ２７６−Ｄ４２４、Ｅ２７７−Ｄ４２４、Ｉ２７８−Ｄ４２４、Ｖ２７９−Ｄ４２４、Ａ２８０−Ｄ４２４、Ｖ２８１−Ｄ４２４、Ｉ２８２−Ｄ４２４、Ａ２８３−Ｄ４２４、Ｈ２８４−Ｄ４２４、Ｅ２８５−Ｄ４２４、Ｌ２８６−Ｄ４２４、Ｇ２８７−Ｄ４２４、Ｈ２８８−Ｄ４２４、Ｗ２８９−Ｄ４２４、Ｋ２９０−Ｄ４２４、Ｌ２９１−Ｄ４２４、Ｎ２９２−Ｄ４２４、Ｈ２９３−Ｄ４２４、Ｔ２９４−Ｄ４２４、Ｔ２９５−Ｄ４２４、Ｙ２９６−Ｄ４２４、Ｓ２９７−Ｄ４２４、Ｆ２９８−０４２４、Ｉ２９９−Ｄ４２４、Ａ３００−Ｄ４２４、Ｖ３０１−Ｄ４２４、Ｑ３０２−Ｄ４２４、Ｉ３０３−Ｄ４２４、Ｌ３０４−Ｄ４２４、Ａ３０５−Ｄ４２４、Ｆ３０６−Ｄ４２４、Ｌ３０７−Ｄ４２４、Ｑ３０８−Ｄ４２４、Ｆ３０９−Ｄ４２４、Ｇ３１０−Ｄ４２４、Ｇ３１１−Ｄ４２４、Ｙ３１２−Ｄ４２４、Ｔ３１３−Ｄ４２４、Ｌ３１４−Ｄ４２４、Ｖ３１５−Ｄ４２４、Ｒ３１６−Ｄ４２４、Ｎ３１７−Ｄ４２４、Ｓ３１８−Ｄ４２４、Ｔ３１９−Ｄ４２４、Ｄ３２０−Ｄ４２４、Ｌ３２１−Ｄ４２４、Ｆ３２２−Ｄ４２４、Ｒ３２３−Ｄ４２４、Ｓ３２４−Ｄ４２４、Ｆ３２５−Ｄ４２４、Ｇ３２６−Ｄ４２４、Ｆ３２７−Ｄ４２４、Ｄ３２８−Ｄ４２４、Ｔ３２９−Ｄ４２４、Ｑ３３０−Ｄ４２４、Ｐ３３１−Ｄ４２４、Ｖ３３２−Ｄ４２４、Ｌ３３３−Ｄ４２４、Ｉ３３４−Ｄ４２４、Ｇ３３５−Ｄ４２４、Ｌ３３６−Ｄ４２４、Ｉ３３７−Ｄ４２４、Ｉ３３８−Ｄ４２４、Ｆ３３９−Ｄ４２４、Ｑ３４０−Ｄ４２４、Ｈ３４１−Ｄ４２４、Ｔ３４２−Ｄ４２４、Ｖ３４３−Ｄ４２４、Ｉ３４４−Ｄ４２４、Ｐ３４５−Ｄ４２４、Ｌ３４６−Ｄ４２４、Ｑ３４７−Ｄ４２４、Ｈ３４８−Ｄ４２４、Ｐ３４９−Ｄ４２４、Ｖ３５０−Ｄ４２４、Ｓ３５１−Ｄ４２４、Ｆ３５２−Ｄ４２４、Ｇ３５３−Ｄ４２４、Ｌ３５４−Ｄ４２４、Ｎ３５５−Ｄ４２４、Ｌ３５６−Ｄ４２４、Ｖ３５７−Ｄ４２４、Ｓ３５８−Ｄ４２４、Ｒ３５９−Ｄ４２４、Ａ３６０−Ｄ４２４、Ｆ３６１−Ｄ４２４、Ｅ３６２−Ｄ４２４、Ｆ３６３−Ｄ４２４、Ｑ３６４−Ｄ４２４、Ａ３６５−Ｄ４２４、Ｄ３６６−Ｄ４２４、Ａ３６７−Ｄ４２４、Ｆ３６８−Ｄ４２４、Ａ３６９−Ｄ４２４、Ｖ３７０−Ｄ４２４、Ｋ３７１−Ｄ４２４、Ｌ３７２−Ｄ４２４、Ｇ３７３−Ｄ４２４、Ｙ３７４−Ｄ４２４、Ａ３７５−Ｄ４２４、Ｋ３７６−Ｄ４２４、Ｄ３７７−Ｄ４２４、Ｌ３７８−Ｄ４２４、Ｒ３７９−Ｄ４２４、Ｐ３８０−０４２４、Ｔ３８１−Ｄ４２４、Ｌ３８２−Ｄ４２４、Ｖ３８３−Ｄ４２４、Ｋ３８４−Ｄ４２４、Ｌ３８５−Ｄ４２４、Ｑ３８６−Ｄ４２４、Ｅ３８７−Ｄ４２４、Ｅ３８８−Ｄ４２４、Ｎ３８９−Ｄ４２４、Ｌ３９０−Ｄ４２４、Ｓ３９１−Ｄ４２４、Ａ３９２−Ｄ４２４、Ｍ３９３−Ｄ４２４、Ｎ３９４−Ｄ４２４、Ｔ３９５−Ｄ４２４、Ｄ３９６−Ｄ４２４、Ｐ３９７−Ｄ４２４、Ｌ３９８−Ｄ４２４、Ｙ３９９−Ｄ４２４、Ｓ４００−Ｄ４２４、Ａ４０１−Ｄ４２４、Ｙ４０２−Ｄ４２４、Ｈ４０３−Ｄ４２４、Ｙ４０４−Ｄ４２４、Ｓ４０５−Ｄ４２４、Ｈ４０６−Ｄ４２４、Ｐ４０７−Ｄ４２４、Ｐ４０８−０４２４、Ｌ４０９−Ｄ４２４、Ｖ４１０−Ｄ４２４、Ｅ４ｌ１−Ｄ４２４、Ｒ４１２−Ｄ４２４、Ｌ４１３−Ｄ４２４、Ｒ４１４−Ｄ４２４、Ａ４１５−Ｄ４２４、Ｉ４１６−Ｄ４２４、Ｄ４１７−Ｄ４２４、Ｇ４１８−Ｄ４２４（配列番号４）。これらのポリペプチドをコードするポリヌクレオチド配列も提供される。
【００７３】
好ましい実施形態では、以下のＣ末端欠失突然変異体は、本発明に包含される：Ｍ１−Ｄ４２４、Ｍ１−Ｔ４２３、Ｍ１−Ｋ４２２、Ｍ１−Ｋ４２１、Ｍ１−Ｄ４２０、Ｍ１−Ｅ４１９、Ｍ１−Ｇ４１８、Ｍ１−Ｄ４１７、Ｍ１−Ｉ４１６、Ｍ１−Ａ４１５、Ｍ１−Ｒ４１４、Ｍ１−Ｌ４１３、Ｍ１−Ｒ４１２、Ｍ１−Ｅ４１１、Ｍ１−Ｖ４１０、Ｍ１−Ｌ４０９、Ｍ１−Ｐ４０８、Ｍ１−Ｐ４０７、Ｍ１−Ｈ４０６、Ｍ１−Ｓ４０５、Ｍ１−Ｙ４０４、Ｍ１−Ｈ４０３、Ｍ１−Ｙ４０２、Ｍ１−Ａ４０１、Ｍ１−Ｓ４００、Ｍ１−Ｙ３９９、Ｍ１−Ｌ３９８、Ｍ１−Ｐ３９７、Ｍ１−Ｄ３９６、Ｍ１−Ｔ３９５、Ｍ１−Ｎ３９４、Ｍ１−Ｍ３９３、Ｍ１−Ａ３９２、Ｍｂ−Ｓ３９１、Ｍ１−Ｌ３９０、Ｍ１−Ｎ３８９、Ｍ１−Ｅ３８８、Ｍ１−Ｅ３８７、Ｍ１−Ｑ３８６、Ｍ１−Ｌ３８５、Ｍ１−Ｋ３８４、Ｍ１−Ｖ３８３、Ｍ１−Ｌ３８２、Ｍ１−Ｔ３８１、Ｍ１−Ｐ３８０、Ｍ１−Ｒ３７９、Ｍ１−Ｌ３７８、Ｍ１−Ｄ３７７、Ｍ１−Ｋ３７６、Ｍ１−Ａ３７５、Ｍ１−Ｙ３７４、Ｍ１−Ｇ３７３、Ｍ１−Ｌ３７２、Ｍ１−Ｋ３７１、Ｍ１−Ｖ３７０、Ｍ１−Ａ３６９、Ｍ１−Ｆ３６８、Ｍ１−Ａ３６７、Ｍ１−Ｄ３６６、Ｍ１−Ａ３６５、Ｍ１−Ｑ３６４、Ｍ１−Ｆ３６３、Ｍ１−Ｅ３６２、Ｍ１−Ｆ３６１、Ｍ１−Ａ３６０、Ｍ１−Ｒ３５９、Ｍ１−Ｓ３５８、Ｍ１−Ｖ３５７、Ｍ１−Ｌ３５６、Ｍ１−Ｎ３５５、Ｍ１−Ｌ３５４、Ｍ１−Ｇ３５３、Ｍ１−Ｆ３５２、Ｍ１−Ｓ３５１、Ｍ１−Ｖ３５０、Ｍ１−Ｐ３４９、Ｍ１−Ｈ３４８、Ｍ１−Ｑ３４７、Ｍ１−Ｌ３４６、Ｍ１−Ｐ３４５、Ｍ１−Ｉ３４４、Ｍ１−Ｖ３４３、Ｍ１−Ｔ３４２、Ｍ１−Ｈ３４１、Ｍ１−Ｑ３４０、Ｍ１−Ｆ３３９、Ｍ１−Ｉ３３８、Ｍ１−Ｉ３３７、Ｍ１−Ｌ３３６、Ｍ１−Ｇ３３５、Ｍ１−Ｉ３３４、Ｍ１−Ｌ３３３、Ｍ１−Ｖ３３２、Ｍ１−Ｐ３３１、Ｍ１−Ｑ３３０、Ｍ１−Ｔ３２９、Ｍ１−Ｄ３２８、Ｍ１−Ｆ３２７、Ｍ１−Ｇ３２６、Ｍ１−Ｆ３２５、Ｍ１−Ｓ３２４、Ｍ１−Ｒ３２３、Ｍ１−Ｆ３２２、Ｍ１−Ｌ３２１、Ｍ１−Ｄ３２０、Ｍ１−Ｔ３１９、Ｍ１−Ｓ３１８、Ｍ１−Ｎ３１７、Ｍ１−Ｒ３１６、Ｍ１−Ｖ３１５、Ｍ１−Ｌ３１４、Ｍ１−Ｔ３１３、Ｍ１−Ｙ３１２、Ｍ１−Ｇ３１１、Ｍ１−Ｇ３１０、Ｍ１−Ｆ３０９、Ｍ１−Ｑ３０８、Ｍ１−Ｌ３０７、Ｍ１−Ｆ３０６、Ｍ１−Ａ３０５、Ｍ１−Ｌ３０４、Ｍ１−Ｉ３０３、Ｍ１−Ｑ３０２、Ｍ１−Ｖ３０１、Ｍ１−Ａ３００、Ｍ１−Ｉ２９９、Ｍ１−Ｆ２９８、Ｍ１−Ｓ２９７、Ｍ１−Ｙ２９６、Ｍ１−Ｔ２９５、Ｍ１−Ｔ２９４、Ｍ１−Ｈ２９３、Ｍ１−Ｎ２９２、Ｍ１−Ｌ２９１、Ｍ１−Ｋ２９０、Ｍ１−Ｗ２８９、Ｍ１−Ｈ２８８、Ｍ１−Ｇ２８７、Ｍ１−Ｌ２８６、Ｍ１−Ｅ２８５、Ｍ１−Ｈ２８４、Ｍ１−Ａ２８３、Ｍ１−Ｉ２８２、Ｍ１−Ｖ２８１、Ｍ１−Ａ２８０、Ｍ１−Ｖ２７９、Ｍ１−Ｉ２７８、Ｍ１−Ｅ２７７、Ｍ１−Ｄ２７６、Ｍ１−Ｅ２７５、Ｍ１−Ｎ２７４、Ｍ１−Ｋ２７３、Ｍ１−Ｃ２７２、Ｍ１−Ｑ２７１、Ｍ１−Ｑ２７０、Ｍ１−Ｉ２６９、Ｍ１−Ｌ２６８、Ｍ１−Ｔ２６７、Ｍ１−Ｄ２６６、Ｍ１−Ｙ２６５、Ｍ１−Ｌ２６４、Ｍ１−Ｖ２６３、Ｍ１−Ｉ２６２、Ｍｂ−Ｒ２６１、Ｍ１−Ｋ２６０、Ｍ１−Ｎ２５９、Ｍ１−Ｋ２５８、Ｍ１−Ｆ２５７、Ｍ１−Ｆ２５６、Ｍ１−Ｇ２５５、Ｍ１−Ｙ２５４、Ｍ１−Ｍ２５３、Ｍ１−Ｙ２５２、Ｍ１−Ａ２５１、Ｍ１−Ｎ２５０、Ｍ１−Ｓ２４９、Ｍ１−Ｈ２４８、Ｍ１−Ｓ２４７、Ｍ１−Ｓ２４６、Ｍ１−Ｒ２４５、Ｍ１−Ｔ２４４、Ｍ１−Ｓ２４３、Ｍ１−Ｇ２４２、Ｍ１−Ｄ２４１、Ｍ１−Ｖ２４０、Ｍ１−Ｖ２３９、Ｍ１−Ｆ２３８、Ｍ１−Ｌ２３７、Ｍ１−Ｋ２３６、Ｍ１−Ｋ２３５、Ｍ１−Ｌ２３４、Ｍ１−Ｐ２３３、Ｍ１−Ｆ２３２、Ｍ１−Ｋ２３１、Ｍ１−Ｌ２３０、Ｍ１−Ｓ２２９、Ｍ１−Ｓ２２８、Ｍ１−Ａ２２７、Ｍ１−Ｌ２２６、Ｍ１−Ｋ２２５、Ｍ１−Ｅ２２４、Ｍ１−Ｉ２２３、Ｍ１−Ｋ２２２、Ｍ１−Ｅ２２１、Ｍ１−Ｒ２２０、Ｍ１−Ｌ２１９、Ｍ１−Ｄ２１８、Ｍ１−Ｇ２１７、Ｍ１−Ｄ２１６、Ｍ１−Ｐ２１５、Ｍ１−Ｌ２１４、Ｍ１−Ｐ２１３、Ｍ１−Ｔ２１２、Ｍ１−Ｆ２１１、Ｍ１−Ｋ２１０、Ｍ１−Ｎ２０９、Ｍ１−Ｆ２０８、Ｍ１−Ｌ２０７、Ｍ１−Ｐ２０６、Ｍ１−Ａ２０５、Ｍ１−Ｌ２０４、Ｍ１−Ｌ２０３、Ｍ１−Ｖ２０２、Ｍ１−Ｐ２０１、Ｍ１−Ｙ２００、Ｍ１−Ｉ１９９、Ｍ１−Ｔ１９８、Ｍ１−Ｍ１９７、Ｍ１−Ｍ１９６、Ｍ１−Ｖ１９５、Ｍ１−Ｌ１９４、Ｍ１−Ｓ１９３、Ｍ１−Ｌ１９２、Ｍ１−Ｉ１９１、Ｍ１−Ｆ１９０、Ｍ１−Ｍ１８９、Ｍｂ−Ｆ１８８、Ｍ１−Ａ１８７、Ｍ１−Ｗ１８６、Ｍ１−Ｌ１８５、Ｍ１−Ｙ１８４、Ｍ１−Ｉ１８３、Ｍ１−Ａ１８２、Ｍ１−Ｌ１８１、Ｍ１−Ｙ１８０、Ｍ１−Ｐ１７９、Ｍ１−Ｇ１７８、Ｍ１−Ｇ１７７、Ｍ１−Ｋ１７６、Ｍ１−Ｑ１７５、Ｍ１−Ｖ１７４、Ｍ１−Ｉ１７３、Ｍ１−Ｆ１７２、Ｍ１−Ｉ１７１、Ｍ１−Ｉ１７０、Ｍ１−Ａ１６９、Ｍ１−Ａｌ６８、Ｍ１−Ｖ１６７、Ｍ１−Ｉ１６６、Ｍ１−Ｐ１６５、Ｍ１−Ｐｌ６４、Ｍ１−Ｇ１６３、Ｍ１−Ｌ１６２、Ｍ１−Ｉ１６ｌ、Ｍ１−Ｖ１６０、Ｍ１−Ｓ１５９、Ｍ１−Ｌ１５８、Ｍ１−Ｆ１５７、Ｍ１−Ｔ１５６、Ｍ１−Ｇ１５５、Ｍ１−Ｋ１５４、Ｍ１−Ｉ１５３、Ｍ１−Ｍ１５２、Ｍ１−Ｄ１５１、Ｍ１−Ｒ１５０、Ｍ１−Ｉ１４９、Ｍ１−Ｆ１４８、Ｍ１−Ｍ１４７、Ｍ１−Ｗ１４６、Ｍ１−Ｉ１４５、Ｍ１−Ｔ１４４、Ｍ１−Ｑ１４３、Ｍ１−Ｋ１４２、Ｍ１−Ｎ１４１、Ｍ１−Ｆ１４０、Ｍ１−Ｇ１３９、Ｍ１−Ｈ１３８、Ｍ１−Ｒｌ３７、Ｍ１−Ｓ１３６、Ｍ１−Ｅ１３５、Ｍ１−Ｉ１３４、Ｍ１−Ｖ１３３、Ｍ１−Ｆ１３２、Ｍ１−Ｔ１３１、Ｍ１−Ｓ１３０、Ｍ１−Ｙ１２９、Ｍ１−Ｌ１２８、Ｍ１−Ｓ１２７、Ｍ１−Ｆ１２６、Ｍ１−Ｐ１２５、Ｍ１−Ｌ１２４、Ｍ１−Ｄ１２３、Ｍ１−Ｔ１２２、Ｍ１−Ｉ１２１、Ｍ１−Ｑ１２０、Ｍ１−Ｓ１１９、Ｍ１−Ｗ１ｌ８、Ｍ１−Ｔ１１７、Ｍ１−Ｍ１１６、Ｍ１−Ｖ１１５、Ｍ１−Ｇ１１４、Ｍ１−Ａ１１３、Ｍ１−Ｌ１１２、Ｍ１−Ｆ１１１、Ｍ１−Ｓ１１０、Ｍ１−Ｌ１０９、Ｍ１−Ｔ１０８、Ｍ１−Ｈ１０７、Ｍ１−Ｌ１０６、Ｍ１−Ｉ１０５、Ｍ１−Ｅ１０４、Ｍ１−Ｎ１０３、Ｍ１−Ｅ１０２、Ｍ１−Ｐ１０１、Ｍ１−Ｄ１００、Ｍ１−Ｌ９９、Ｍ１−Ｇ９８、Ｍ１−Ｌ９７、Ｍ１−Ｒ９６、Ｍ１−Ｐ９５、Ｍ１−Ｌ９４、Ｍ１−Ｖ９３、Ｍ１−Ａ９２、Ｍ１−Ｇ９１、１４１−Ｓ９０、Ｍ１−Ｍ８９、Ｍ１−Ｋ８８、Ｍ１−Ｗ８７、Ｍ１−Ｆ８６、Ｍ１−Ｗ８５、Ｍ１−Ｐ８４、Ｍ１−Ｌ８３、Ｍ１−Ｉ８２、Ｍ１−Ｇ８１、Ｍ１−Ｆ８０、Ｍ１−Ｆ７９、Ｍ１−Ｌ７８、Ｍ１−Ｉ７７、Ｍ１−Ａ７６、Ｍ１−Ｓ７５、Ｍ１−Ｄ７４、Ｍ１−Ｍ７３、Ｍ１−Ｌ７２、Ｍ１−Ｉ７１、Ｍ１−Ｔ７０、Ｍ１−Ｖ６９、Ｍｂ−Ｆ６８、Ｍ１−Ｅ６７、Ｍ１−Ｈ６６、Ｍ１−Ｖ６５、Ｍ１−Ｆ６４、Ｍ１−Ｈ６３、Ｍ１−Ｆ６２、Ｍ１−Ｙ６１、Ｍ１−Ｓ６０、Ｍ１−Ｋ５９、Ｍ１−Ｄ５８、Ｍ１−Ｌ５７、Ｍ１−Ｓ５６、Ｍ１−Ｙ５５、Ｍ１−Ａ５４、Ｍ１−Ｒ５３、Ｍ１−Ｓ５２、Ｍ１−Ｋ５１、Ｍ１−Ｅ５０、Ｍ１−Ｆ４９、Ｍ１−Ｋ４８、Ｍ１−Ｅ４７、Ｍ１−Ｑ４６、Ｍ１−Ｓ４５、Ｍ１−Ｉ４４、Ｍ１−Ｖ４３、Ｍ１−Ｇ４２、Ｍ１−Ｖ４１、Ｍ１−Ｌ４０、Ｍ１−Ｔ３９、Ｍ１−Ｋ３８、Ｍ１−Ｐ３７、Ｍ１−Ｌ３６、Ｍ１−Ｔ３５、Ｍ１−Ｐ３４、Ｍ１−Ｌ３３、Ｍ１−Ｋ３２、Ｍ１−Ｌ３１、Ｍ１−Ａ３０、Ｍ１−Ｔ２９、Ｍ１−Ｌ２８、Ｍ１−Ｑ２７、Ｍ１−Ｒ２６、Ｍ１−Ｌ２５、Ｍ１−Ｄ２４、Ｍ１−Ｌ２３、Ｍ１−Ｙ２２、Ｍ１−Ｔ２１、Ｍ１−Ｅ２０、Ｍ１−Ｆ１９、Ｍ１−Ｉ１８、Ｍ１−Ｙ１７、Ｍ１−Ｍ１６、Ｍ１−Ｖ１５、Ｍ１−Ｉ１４、Ｍ１−−Ｍ１３、Ｍ１−Ｆ１２、Ｍ１−Ｇ１１、Ｍ１−Ｖ１０、Ｍ１−Ｖ９、Ｍ１−Ｔ８、Ｍ１−Ｅ７（配列番号４）。これらのポリペプチドをコードするポリヌクレオチド配列も提供される。
【００７４】
ＥＳＴ配列のような多くのポリヌクレオチド配列は、配列データベースにより公的に利用可能およびアクセス可能である。これらの配列の幾つかは、配列番号３に関連しており、本発明の創作前に公的に利用可能であった場合がある。好ましくは、かかる関連ポリヌクレオチドは、本発明の範囲から具体的に排除される。すべての関連配列を撤去することは、厄介である。したがって、好ましくは、ａ〜ｂの一般式（ここで、ａは、配列番号３の１〜１２７５の任意の整数であり、ｂは、１５〜１２７５の整数であり、ａとｂの両方が、配列番号３に示すヌクレオチド残基の位置に対応し、ｂは、ａ＋１４以上である）で示されるヌクレオチド配列を含む１つまたは複数のポリヌクレオチドは本発明から排除される。
【００７５】
遺伝子番号３によりコードされるポリペプチドの特徴
配列番号５（図６）に従うポリヌクレオチド配列によりコードされ、および／または寄託クローンＡｔＰｒＰａｓｅ２内に含まれるポリヌクレオチドによりコードされる配列番号６（図７）として提供されるこの遺伝子のポリペプチドは、ヒトおよび酵母プレニルペプチダーゼの両方に対してヌクレオチドおよびアミノ酸レベルでの有意な相同性を有する（図１２Ａ〜Ｄを参照）。相同性に基づいて、本発明のポリペプチドは、プレニルペプチダーゼとともに少なくとも幾つかの生物学活性を共有し得る。アンタゴニストを含む、本発明のポリヌクレオチドおよびポリペプチドには、植物、特にアラビドプシスに対する干ばつ耐性および／または塩耐性を付与することを含むが、これらに限定されない用途がある。さらに、本発明のポリペプチドに対するアンタゴニストも、植物、特にアラビドプシスに対する干ばつ耐性および／または塩耐性を付与する際に、および／または種子貯蔵化合物量を増加させるのに有用であり得る。
【００７６】
細菌シャペロンＤｎａＪのファルネシル化は、高温での細菌成長に不可欠である（Ｗｉｃｋｎｅｒ， Ｓ． ｅｔ ａｌ １９９１ Ｎａｔｕｒｅ ３５０：１６５−７）。このシャペロンのファルネシル化は、その完全な活性に必要とされる。植物アトリプレクス・ヌムラリア（Ａｔｒｉｐｌｅｘ ｎｕｍｍｕｌａｒｉａ）では、ＡＮＪ１が、ＤｎａＪの相同体であり、熱および塩処理により誘導される（Ｚｈｕ， Ｊ．−Ｋ． ｅｔ ａｌ １９９３ Ｔｈｅ Ｐｌａｎｔ Ｃｅｌｌ ５：３４１−９）。この酵素は、ファルネシル化の標的である。植物シャペロンのファルネシル化の増加は、これらのより高い生物活性をもたらし、したがって植物ストレス耐性の増加を引き起こすことがわかっている。したがって、本発明のポリヌクレオチドおよびポリペプチド（それらのアゴニストおよび／または断片を含む）には、植物における熱、干ばつおよび塩ストレスに対する抵抗性を付与することを含む用途がある。あるいは、本発明のアンタゴニストには、植物における熱、干ばつ、および塩ストレスを含むが、これらに限定されない生物的および／または非生物的ストレスに対する植物の感受性を調節することを含む用途がある。好ましくは、本発明のアンタゴニストは、熱、干ばつ、および塩ストレスに対する植物抵抗性を増加させる。一実施形態では、構成的プロモーター（例えば、３５Ｓ、または本明細書中に開示する他のプロモーター）を用いた植物内の本発明のＰｒＰａｓｅポリペプチドの過剰発現（但し孔辺細胞中ではない）は、植物の干ばつおよび塩耐性を改善するのに有用であろう。
【００７７】
タンパク質ファルネシル化は、細胞周期の制御と正に関与している（Ｚｉｅｇｅｌｈｏｆｆｅｒ ｅｔ ａｌ ２０００ ＰＮＡＳ ９７：７６３３−８）。タンパク質ファルネシル化に関与した遺伝子、すなわちファルネシルトランスフェラーゼの突然変異は、アラビドプシス植物において細胞増殖の阻害をもたらす（Ｂｏｎｅｔｔａ ｅｔ ａｌ． ２０００ Ｐｌａｎｔａ ２１１：１８２−９０）。ファルネシル化経路の植物における構成的過剰発現、すなわちプレニルペプチダーゼの過剰発現は、細胞増殖の増加、植物成長の増加をもたらす。本発明のポリヌクレオチドおよびポリペプチド（それらのアゴニストおよび／または断片を含む）には、植物成長、および潜在的に植物の収量高の調節、好ましくは植物成長の増加を含む用途がある。さらに、本発明のアンタゴニストには、植物成長および／または収量高の調節、それを通して好ましくは植物成長および収量高の増加を含む用途があり得る。さらに別の実施形態では、構成的プロモーター（例えば、３５Ｓ、または本明細書中に開示する他のプロモーター）を用いた本発明のＡｔＰｒＰａｓｅ２ポリペプチドの過剰発現は、細胞分裂を促進することで、植物成長を増加させるのに有用であり得る。
【００７８】
コードポリペプチドは、プレニルプロテアーゼとともに少なくとも幾つかの生物活性を共有し得ると考えられるが、このクローンの正確な生物学的機能を決定する多数の方法が、当該技術分野で既知であるか、または本明細書中の他の箇所に記載されている。簡潔に述べると、このクローンの機能は、マイクロアレイ方法論を適用することで決定し得る。本発明の他のクローンに加えてＡｔＰｒＰａａｓｅ２クローンを、発現プロファイリング用のマイクロチップ上に配列し得る。どのポリヌクレオチドプローブがスライドにハイブリダイズするのに使用されるかに応じて、特定遺伝子の発現の変化は、研究される条件に基づいて、この遺伝子の機能に対するさらなる洞察を提供し得る。例えば、使用するポリヌクレオチドプローブが、冷却処理した組織に由来する場合の発現レベルで観察される増加または減少は、例えば、寒冷耐性を調節する際の機能を示し得る。ＡｔＰｒＰａｓｅ２の場合では、水を与えない組織、あるいは他の生物的または非生物的ストレス（熱、干ばつ、高光量、高塩等）によりストレスを加えた組織は、プローブを調製するためにＲＮＡを抽出するのに使用されるはずである。
【００７９】
さらに、タンパク質の機能は、例えば、定量的ＰＣＲ方法論を提供することで評価してもよい。リアルタイム定量的ＰＣＲは、例えば植物発生周期全体にわたって特定の遺伝子の発現を追跡する能力を提供する。定量的ＰＣＲ方法論は、ほんのわずかな量の、各発生上重要な段階（３日発芽苗木、１週齢苗木［根、新芽、および茎］、開花開始前の根、葉および茎、花［種々の部分］、および／または発生中の胚）からの組織が、かかる実験を実施するのに必要なだけである。したがって、このポリペプチドの生物学的機能を精密化するための定量的ＰＣＲ方法論の適用は、本発明に包含される。また、配列番号５（図６）として提供されるポリヌクレオチド配列に相当する定量的ＰＣＲプローブも本発明に包含される。
【００８０】
タンパク質の機能はまた、酵母中の相補性アッセイにより評価してもよい。例えば、ＡｔＰｒＰａｓｅ２クローンの場合では、プレニルプロテアーゼ活性を欠損した酵母を形質転換し、それの成長する能力を評価することは、ＡｔＰｒＰａｓｅ２クローンが、プレニルプロテアーゼ活性を有するという説得力のある証拠を提供する。本発明のポリヌクレオチドおよびポリペプチドの機能を評価するのに使用し得るさらなるアッセイ条件および方法は、当該技術分野で既知であり、その幾つかが、本明細書中の他の箇所に開示されている。
【００８１】
あるいは、コードポリペプチドの生物学的機能は、シネコシスティス（Ｓｙｎｅｃｏｓｙｓｔｉｓ）でこのポリペプチドの相同体を崩壊させることで決定してもよい。シアノバクテリア（青緑色藻類）は、植物葉緑体の前駆物質とみなされる。それは、光合成系および植物の代謝プロセスを連想させる多くの他の代謝プロセスの両方を保有する。これらのプロセスは、多くの市販の除草剤の対象とされることが多く、この生物は、多くの種類の除草剤の作用機序の研究で広範に使用されている。シネコシスティスは、最良に研究されたシアノバクテリアの１つである。シアノバクテリアに共通する特徴の多くに加え、それは、多くの他の付加的利点を提供する。シネコシスティスは、自然に存在する遺伝子形質転換系を有しており、したがって、よく特性化された系のうちのいくつか（セレビシエ（Ｓ．ｃｅｒｅｖｉｓｉａｅ）、大腸菌）に適用可能である。強力かつ複雑な遺伝子および分子操作（例えば、標的遺伝子崩壊、遺伝子置換等）を引き起こす。最も重要なことには、シネコシスティスの完全なゲノム配列情報の有用性は、所定の遺伝子（複数可）の迅速な同定およびクローニングのための手段、ならびに遺伝子および分子手段による遺伝子機能の解明をもたらす。
【００８２】
さらに、このポリペプチドの生物学的機能は、アンチセンスおよび／またはセンス方法論の適用、およびそれにより得られるトランスジェニック植物の生成により決定してもよい。トランスジェニック植物中のセンスまたはアンチセンス配向での特定遺伝子の発現は、当該特定遺伝子のそれぞれより高いまたは低い発現レベルを引き起こすことができる。遺伝子の内因性発現レベルの変更は、特定の表現型の観察を引き起こすことができ、続いてその特定の表現型は、遺伝子の機能での徴候を得るのに使用することができる。遺伝子は、強力な遍在性プロモーターを用いていつでも植物のあらゆる細胞で過剰発現または過小発現され得るか、あるいはそれは、十分に特性化された組織特異的プロモーター（すなわち、根プロモーター、または花特異的プロモーター）を用いて植物の１つまたは複数の別個の部分で発現され得るか、あるいはそれは、誘導性および／または発生的に調節されるプロモーターを用いて発生の特定の時期で発現され得る。
【００８３】
ＡｔＰｒＰａｓｅ２トランスジェニック植物の場合では、正常な成長条件で表現型が明らかでない場合、ストレス条件（水の欠乏、高塩の存在、あるいは寒冷、熱、干ばつ、高光量等のような他の生物的または非生物的ストレス）下で植物を観察することにより、または、種子貯蔵化合物（油、糖およびタンパク質など）の生化学的分析により、遺伝子の機能の理解につながり得る。したがって、ポリペプチドの生物学的機能を精密化するためのトランスジェニック植物の創出への、アンチセンスおよび／またはセンス方法論の適用は、本発明に包含される。
【００８４】
好ましい実施形態では、以下のＮ末端欠失突然変異体は、本発明に包含される：Ｍ１−Ｄ４２４、Ａ２−Ｄ４２４、Ｉ３−Ｄ４２４、Ｐ４−Ｄ４２４、Ｆ５−Ｄ４２４、Ｍ６−Ｄ４２４、Ｅ７−Ｄ４２４、Ｔ８−Ｄ４２４、Ｖ９−Ｄ４２４、Ｖ１０−Ｄ４２４、Ｇ１１−Ｄ４２４、Ｆ１２−Ｄ４２４、Ｍ１３−Ｄ４２４、Ｉ１４−Ｄ４２４、Ｖ１５−Ｄ４２４、Ｍ１６−Ｄ４２４、Ｙ１７−Ｄ４２４、Ｉ１８−Ｄ４２４、Ｆ１９−Ｄ４２４、Ｅ２０−Ｄ４２４、Ｔ２１−Ｄ４２４、Ｙ２２−Ｄ４２４、Ｌ２３−０４２４、Ｄ２４−Ｄ４２４、Ｌ２５−Ｄ４２４、Ｒ２６−Ｄ４２４、Ｑ２７−Ｄ４２４、Ｌ２８−Ｄ４２４、Ｔ２９−Ｄ４２４、Ａ３０−Ｄ４２４、Ｌ３１−Ｄ４２４、Ｋ３２−Ｄ４２４、Ｌ３３−Ｄ４２４、Ｐ３４−Ｄ４２４、Ｔ３５−Ｄ４２４、Ｌ３６−Ｄ４２４、Ｐ３７−Ｄ４２４、Ｋ３８−Ｄ４２４、Ｔ３９−Ｄ４２４、Ｌ４０−Ｄ４２４、Ｖ４１−Ｄ４２４、Ｇ４２−Ｄ４２４、Ｖ４３−Ｄ４２４、Ｉ４４−Ｄ４２４、Ｓ４５−Ｄ４２４、Ｑ４６−Ｄ４２４、Ｅ４７−Ｄ４２４、Ｋ４８−Ｄ４２４、Ｆ４９−Ｄ４２４、Ｅ５０−Ｄ４２４、Ｋ５１−Ｄ４２４、Ｓ５２−Ｄ４２４、Ｒ５３−Ｄ４２４、Ａ５４−Ｄ４２４、Ｙ５５−Ｄ４２４、Ｓ５６−Ｄ４２４、Ｌ５７−Ｄ４２４、Ｄ５８−Ｄ４２４、Ｋ５９−Ｄ４２４、Ｓ６０−Ｄ４２４、Ｙ６１−Ｄ４２４、Ｆ６２−Ｄ４２４、Ｈ６３−Ｄ４２４、Ｆ６４−Ｄ４２４、Ｖ６５−Ｄ４２４、Ｈ６６−Ｄ４２４、Ｅ６７−Ｄ４２４、Ｆ６８−Ｄ４２４、Ｖ６９−Ｄ４２４、Ｔ７０−Ｄ４２４、Ｉ７１−Ｄ４２４、Ｌ７２−Ｄ４２４、Ｍ７３−Ｄ４２４、Ｄ７４−Ｄ４２４、Ｓ７５−Ｄ４２４、Ａ７６−Ｄ４２４、Ｔ７７−Ｄ４２４、Ｌ７８−Ｄ４２４、Ｆ７９−Ｄ４２４、Ｆ８０−Ｄ４２４、Ｇ８１−Ｄ４２４、Ｉ８２−Ｄ４２４、Ｌ８３−Ｄ４２４、Ｐ８４−Ｄ４２４、Ｗ８５−Ｄ４２４、Ｆ８６−Ｄ４２４、Ｗ８７−Ｄ４２４、Ｋ８８−Ｄ４２４、Ｍ８９−Ｄ４２４、Ｓ９０−Ｄ４２４、Ｇ９１−Ｄ４２４、Ａ９２−Ｄ４２４、Ｖ９３−Ｄ４２４、Ｌ９４−Ｄ４２４、Ｐ９５−Ｄ４２４、Ｒ９６−Ｄ４２４、Ｌ９７−Ｄ４２４、Ｇ９８−Ｄ４２４、Ｌ９９−Ｄ４２４、Ｄ１００−Ｄ４２４、Ｐ１０１−Ｄ４２４、Ｅｌ０２−Ｄ４２４、Ｎ１０３−Ｄ４２４、Ｅ１０４−Ｄ４２４、Ｉ１０５−Ｄ４２４、Ｌ１０６−Ｄ４２４、Ｈ１０７−Ｄ４２４、Ｔ１０８−Ｄ４２４、Ｌ１０９−Ｄ４２４、Ｓ１１０−Ｄ４２４、Ｆ１１１−Ｄ４２４、Ｌ１１２−Ｄ４２４、Ａ１１３−Ｄ４２４、Ｇ１１４−Ｄ４２４、Ｖ１１５−Ｄ４２４、Ｍ１１６−Ｄ４２４、Ｔ１１７−Ｄ４２４、Ｗ１１８−Ｄ４２４、Ｓ１１９−Ｄ４２４、Ｑ１２０−Ｄ４２４、Ｉ１２１−Ｄ４２４、Ｔ１２２−Ｄ４２４、Ｄ１２３−Ｄ４２４、Ｌ１２４−Ｄ４２４、Ｐ１２５−Ｄ４２４、Ｆ１２６−Ｄ４２４、Ｓ１２７−Ｄ４２４、Ｌ１２８−Ｄ４２４、Ｙ１２９−Ｄ４２４、Ｓ１３０−Ｄ４２４、Ｔ１３１−Ｄ４２４、Ｆ１３２−Ｄ４２４、Ｖｌ３３−Ｄ４２４、Ｉ１３４−Ｄ４２４、Ｅ１３５−Ｄ４２４、Ｓ１３６−Ｄ４２４、Ｒ１３７−Ｄ４２４、Ｈ１３８−Ｄ４２４、Ｇ１３９−Ｄ４２４、Ｆ１４０−Ｄ４２４、Ｎ１４１−Ｄ４２４、Ｋ１４２−Ｄ４２４、Ｑ１４３−Ｄ４２４、Ｔ１４４−Ｄ４２４、Ｉ１４５−Ｄ４２４、Ｗ１４６−Ｄ４２４、Ｍ１４７−Ｄ４２４、Ｆ１４８−Ｄ４２４、Ｉ１４９−Ｄ４２４、Ｒ１５０−Ｄ４２４、Ｄ１５１−Ｄ４２４、Ｍ１５２−Ｄ４２４、Ｉ１５３−Ｄ４２４、Ｋ１５４−Ｄ４２４、Ｇ１５５−Ｄ４２４、Ｔ１５６−Ｄ４２４、Ｆ１５７−Ｄ４２４、Ｌ１５８−Ｄ４２４、Ｓ１５９−Ｄ４２４、Ｖ１６０−Ｄ４２４、Ｉ１６１−Ｄ４２４、Ｌ１６２−Ｄ４２４、Ｇ１６３−Ｄ４２４、Ｐ１６４−Ｄ４２４、Ｐ１６５−Ｄ４２４、Ｉ１６６−Ｄ４２４、Ｖ１６７−Ｄ４２４、Ａ１６８−Ｄ４２４、Ａ１６９−Ｄ４２４、Ｉ１７０−Ｄ４２４、Ｉ１７１−Ｄ４２４、Ｆ１７２−Ｄ４２４、Ｉ１７３−Ｄ４２４、Ｖ１７４−Ｄ４２４、Ｑ１７５−Ｄ４２４、Ｋ１７６−Ｄ４２４、Ｇ１７７−Ｄ４２４、Ｇ１７８−Ｄ４２４、Ｐ１７９−Ｄ４２４、Ｙ１８０−Ｄ４２４、Ｌ１８１−Ｄ４２４、Ａ１８２−Ｄ４２４、Ｉ１８３−Ｄ４２４、Ｙ１８４−Ｄ４２４、Ｌ１８５−Ｄ４２４、Ｗ１８６−Ｄ４２４、Ａ１８７−Ｄ４２４、Ｆ１８８−Ｄ４２４、Ｍ１８９−Ｄ４２４、Ｐ１９０−Ｄ４２４、Ｉ１９１−Ｄ４２４、Ｌ１９２−Ｄ４２４、Ｓ１９３−Ｄ４２４、Ｌ１９４−Ｄ４２４、Ｖ１９５−Ｄ４２４、Ｍ１９６−Ｄ４２４、Ｍ１９７−Ｄ４２４、Ｔ１９８−Ｄ４２４、Ｉ１９９−Ｄ４２４、Ｙ２００−Ｄ４２４、Ｐ２０１−Ｄ４２４、Ｖ２０２−Ｄ４２４、Ｌ２０３−Ｄ４２４、Ｉ２０４−Ｄ４２４、Ａ２０５−Ｄ４２４、Ｐ２０６−Ｄ４２４、Ｌ２０７−Ｄ４２４、Ｆ２０８−Ｄ４２４、Ｎ２０９−Ｄ４２４、Ｋ２１０−Ｄ４２４、Ｆ２１１−Ｄ４２４、Ｔ２１２−Ｄ４２４、Ｐ２１３−Ｄ４２４、Ｌ２１４−Ｄ４２４、Ｐ２１５−Ｄ４２４、Ｄ２１６−Ｄ４２４、Ｇ２１７−Ｄ４２４、Ｄ２１８−Ｄ４２４、Ｌ２１９−Ｄ４２４、Ｒ２２０−Ｄ４２４、Ｅ２２１−Ｄ４２４、Ｋ２２２−Ｄ４２４、Ｉ２２３−Ｄ４２４、Ｅ２２４−Ｄ４２４、Ｋ２２５−Ｄ４２４、Ｌ２２６−Ｄ４２４、Ａ２２７−Ｄ４２４、Ｓ２２８−Ｄ４２４、Ｓ２２９−Ｄ４２４、Ｌ２３０−Ｄ４２４、Ｋ２３１−Ｄ４２４、Ｆ２３２−Ｄ４２４、Ｐ２３３−Ｄ４２４、Ｌ２３４−Ｄ４２４、Ｋ２３５−Ｄ４２４、Ｋ２３６−Ｄ４２４、Ｌ２３７−０４２４、Ｆ２３８−Ｄ４２４、Ｖ２３９−Ｄ４２４、Ｖ２４０−Ｄ４２４、Ｄ２４１−Ｄ４２４、Ｇ２４２−Ｄ４２４、Ｓ２４３−Ｄ４２４、Ｔ２４４−Ｄ４２４、Ｒ２４５−Ｄ４２４、Ｓ２４６−Ｄ４２４、Ｓ２４７−Ｄ４２４、Ｈ２４８−Ｄ４２４、Ｓ２４９−Ｄ４２４、Ｎ２５０−Ｄ４２４、Ａ２５１−Ｄ４２４、Ｙ２５２−０４２４、Ｍ２５３−Ｄ４２４、Ｙ２５４−Ｄ４２４、Ｇ２５５−Ｄ４２４、Ｆ２５６−Ｄ４２４、Ｆ２５７−Ｄ４２４、Ｋ２５８−Ｄ４２４、Ｎ２５９−Ｄ４２４、Ｋ２６０−Ｄ４２４、Ｒ２６１−Ｄ４２４、Ｉ２６２−Ｄ４２４、Ｖ２６３−Ｄ４２４、Ｌ２６４−Ｄ４２４、Ｙ２６５−Ｄ４２４、Ｄ２６６−Ｄ４２４、Ｔ２６７−Ｄ４２４、Ｌ２６８−Ｄ４２４、Ｉ２６９−Ｄ４２４、Ｑ２７０−Ｄ４２４、Ｑ２７１−Ｄ４２４、Ｃ２７２−Ｄ４２４、Ｋ２７３−Ｄ４２４、Ｎ２７４−Ｄ４２４、Ｅ２７５−Ｄ４２４、Ｄ２７６−Ｄ４２４、Ｅ２７７−Ｄ４２４、Ｉ２７８−Ｄ４２４、Ｖ２７９−Ｄ４２４、Ａ２８０−Ｄ４２４、Ｖ２８１−Ｄ４２４、Ｉ２８２−Ｄ４２４、Ａ２８３−Ｄ４２４、Ｈ２８４−Ｄ４２４、Ｅ２８５−Ｄ４２４、Ｌ２８６−Ｄ４２４、Ｇ２８７−Ｄ４２４、Ｈ２８８−Ｄ４２４、Ｗ２８９−Ｄ４２４、Ｋ２９０−Ｄ４２４、Ｌ２９１−Ｄ４２４、Ｎ２９２−Ｄ４２４、Ｈ２９３−Ｄ４２４、Ｔ２９４−Ｄ４２４、Ｔ２９５−Ｄ４２４、Ｙ２９６−Ｄ４２４、Ｓ２９７−Ｄ４２４、Ｆ２９８−０４２４、Ｉ２９９−Ｄ４２４、Ａ３００−Ｄ４２４、Ｖ３０１−Ｄ４２４、Ｑ３０２−Ｄ４２４、Ｉ３０３−Ｄ４２４、Ｌ３０４−Ｄ４２４、Ａ３０５−Ｄ４２４、Ｆ３０６−Ｄ４２４、Ｌ３０７−Ｄ４２４、Ｑ３０８−Ｄ４２４、Ｆ３０９−Ｄ４２４、Ｇ３１０−Ｄ４２４、Ｇ３１１−０４２４、Ｙ３１２−Ｄ４２４、Ｔ３１３−Ｄ４２４、Ｌ３１４−Ｄ４２４、Ｖ３１５−Ｄ４２４、Ｒ３１６−Ｄ４２４、Ｎ３１７−Ｄ４２４、Ｓ３１８−Ｄ４２４、Ｔ３１９−Ｄ４２４、Ｄ３２０−Ｄ４２４、Ｌ３２１−Ｄ４２４、Ｆ３２２−Ｄ４２４、Ｒ３２３−Ｄ４２４、Ｓ３２４−Ｄ４２４、Ｆ３２５−Ｄ４２４、Ｇ３２６−Ｄ４２４、Ｆ３２７−Ｄ４２４、Ｄ３２８−Ｄ４２４、Ｔ３２９−Ｄ４２４、Ｑ３３０−Ｄ４２４、Ｐ３３１−Ｄ４２４、Ｖ３３２−Ｄ４２４、Ｌ３３３−Ｄ４２４、Ｉ３３４−Ｄ４２４、Ｇ３３５−Ｄ４２４、Ｌ３３６−Ｄ４２４、Ｉ３３７−Ｄ４２４、Ｉ３３８−Ｄ４２４、Ｆ３３９−Ｄ４２４、Ｑ３４０−Ｄ４２４、Ｈ３４１−Ｄ４２４、Ｔ３４２−Ｄ４２４、Ｖ３４３−０４２４、Ｉ３４４−Ｄ４２４、Ｐ３４５−Ｄ４２４、Ｌ３４６−Ｄ４２４、Ｑ３４７−Ｄ４２４、Ｈ３４８−Ｄ４２４、Ｌ３４９−Ｄ４２４、Ｖ３５０−Ｄ４２４、Ｓ３５１−Ｄ４２４、Ｆ３５２−Ｄ４２４、Ｇ３５３−Ｄ４２４、Ｌ３５４−Ｄ４２４、Ｎ３５５−Ｄ４２４、Ｌ３５６−Ｄ４２４、Ｖ３５７−Ｄ４２４、Ｓ３５８−Ｄ４２４、Ｒ３５９−Ｄ４２４、Ａ３６０−Ｄ４２４、Ｆ３６１−Ｄ４２４、Ｅ３６２−Ｄ４２４、Ｐ３６３−Ｄ４２４、Ｑ３６４−Ｄ４２４、Ａ３６５−Ｄ４２４、Ｄ３６６−Ｄ４２４、Ａ３６７−Ｄ４２４、Ｆ３６８−Ｄ４２４、Ａ３６９−Ｄ４２４、Ｖ３７０−Ｄ４２４、Ｋ３７１−Ｄ４２４、Ｌ３７２−Ｄ４２４、Ｇ３７３−Ｄ４２４、Ｙ３７４−Ｄ４２４、Ａ３７５−Ｄ４２４、Ｋ３７６−Ｄ４２４、Ｄ３７７−Ｄ４２４、Ｌ３７８−Ｄ４２４、Ｒ３７９−Ｄ４２４、Ｐ３８０−Ｄ４２４、Ａ３８１−Ｄ４２４、Ｌ３８２−Ｄ４２４、Ｖ３８３−Ｄ４２４、Ｋ３８４−Ｄ４２４、Ｌ３８５−Ｄ４２４、Ｑ３８６−Ｄ４２４、Ｅ３８７−Ｄ４２４、Ｅ３８８−Ｄ４２４、Ｎ３８９−Ｄ４２４、Ｌ３９０−Ｄ４２４、Ｓ３９１−Ｄ４２４、Ａ３９２−Ｄ４２４、Ｍ３９３−Ｄ４２４、Ｎ３９４−Ｄ４２４、Ｔ３９５−Ｄ４２４、Ｄ３９６−Ｄ４２４、Ｌ３９７−Ｄ４２４、Ｌ３９８−Ｄ４２４、Ｙ３９９−Ｄ４２４、Ｓ４００−Ｄ４２４、Ａ４０１−Ｄ４２４、Ｙ４０２−Ｄ４２４、Ｈ４０３−Ｄ４２４、Ｙ４０４−Ｄ４２４、Ｓ４０５−Ｄ４２４、Ｈ４０６−Ｄ４２４、Ｐ４０７−Ｄ４２４、Ｐ４０８−Ｄ４２４、Ｌ４０９−Ｄ４２４、Ｖ４１０−Ｄ４２４、Ｅ４１１−Ｄ４２４、Ｒ４１２−Ｄ４２４、Ｌ４１３−Ｄ４２４、Ｒ４１４−Ｄ４２４、Ａ４１５−Ｄ４２４、Ｉ４１６−Ｄ４２４、Ｄ４１７−Ｄ４２４、Ｇ４１８−Ｄ４２４（配列番号６）。これらのポリペプチドをコードするポリヌクレオチド配列も提供される。
【００８５】
好ましい実施形態では、以下のＣ末端欠失突然変異体は、本発明により包含される：Ｍ１−Ｄ４２４、Ｍ１−Ｔ４２３、Ｍ１−Ｋ４２２、Ｍ１−Ｋ４２１、Ｍ１−Ｄ４２０、Ｍ１−Ｅ４１９、Ｍ１−Ｇ４１８、Ｍ１−Ｄ４１７、Ｍ１−Ｉ４１６、Ｍ１−Ａ４１５、Ｍ１−Ｒ４１４、Ｍ１−Ｌ４１３、Ｍ１−Ｒ４１２、Ｍ１−Ｅ４１１、Ｍ１−Ｖ４１０、Ｍ１−Ｌ４０９、Ｍ１−Ｐ４０８、Ｍ１−Ｐ４０７、Ｍ１−Ｈ４０６、Ｍ１−Ｓ４０５、Ｍ１−Ｙ４０４、Ｍ１−Ｈ４０３、Ｍ１−Ｙ４０２、Ｍ１−Ａ４０１、Ｍ１−Ｓ４００、Ｍ１−Ｙ３９９、Ｍ１−Ｌ３９８、Ｍ１−Ｌ３９７、Ｍ１−Ｄ３９６、Ｍ１−Ｔ３９５、Ｍ１−Ｎ３９４、Ｍ１−Ｍ３９３、Ｍ１−Ａ３９２、Ｍ１−Ｓ３９１、Ｍ１−Ｌ３９０、Ｍ１−Ｎ３８９、Ｍ１−Ｅ３８８、Ｍ１−Ｅ３８７、Ｍ１−Ｑ３８６、Ｍ１−Ｌ３８５、Ｍ１−Ｋ３８４、Ｍ１−Ｖ３８３、Ｍ１−Ｌ３８２、Ｍ１−Ａ３８１、Ｍ１−Ｐ３８０、Ｍ１−Ｒ３７９、Ｍ１−Ｌ３７８、Ｍ１−Ｄ３７７、Ｍ１−Ｋ３７６、Ｍ１−Ａ３７５、Ｍ１−Ｙ３７４、Ｍ１−Ｇ３７３、Ｍ１−Ｌ３７２、Ｍ１−Ｋ３７１、Ｍ１−Ｖ３７０、Ｍ１−Ａ３６９、Ｍ１−Ｆ３６８、Ｍ１−Ａ３６７、Ｍ１−Ｄ３６６、Ｍ１−Ａ３６５、Ｍ１−Ｑ３６４、Ｍ１−Ｆ３６３、Ｍ１−Ｅ３６２、Ｍ１−Ｆ３６１、Ｍ１−Ａ３６０、Ｍ１−Ｒ３５９、Ｍ１−Ｓ３５８、Ｍ１−Ｖ３５７、Ｍ１−Ｌ３５６、Ｍ１−Ｎ３５５、Ｍ１−Ｌ３５４、Ｍ１−Ｇ３５３、Ｍ１−Ｆ３５２、Ｍ１−Ｓ３５１、Ｍ１−Ｖ３５０、Ｍ１−Ｌ３４９、Ｍ１−Ｈ３４８、Ｍ１−Ｑ３４７、Ｍ１−Ｌ３４６、Ｍ１−Ｐ３４５、Ｍ１−Ｉ３４４、Ｍ１−Ｖ３４３、Ｍ１−Ｔ３４２、Ｍ１−Ｈ３４１、Ｍ１−Ｑ３４０、Ｍ１−Ｆ３３９、Ｍ１−Ｉ３３８、Ｍ１−Ｉ３３７、Ｍ１−Ｌ３３６、Ｍ１−Ｇ３３５、Ｍ１−Ｉ３３４、Ｍ１−Ｌ３３３、Ｍ１−Ｖ３３２、Ｍ１−Ｐ３３１、Ｍ１−Ｑ３３０、Ｍ１−Ｔ３２９、Ｍ１−Ｄ３２８、Ｍ１−Ｆ３２７、Ｍ１−Ｇ３２６、Ｍ１−Ｆ３２５、Ｍ１−Ｓ３２４、Ｍ１−Ｒ３２３、Ｍ１−Ｆ３２２、Ｍ１−Ｌ３２１、Ｍ１−Ｄ３２０、Ｍ１−Ｔ３１９、Ｍ１−Ｓ３１８、Ｍ１−Ｎ３１７、Ｍ１−Ｒ３１６、Ｍ１−Ｖ３１５、Ｍ１−Ｌ３１４、Ｍ１−Ｔ３１３、Ｍ１−Ｙ３１２、Ｍ１−Ｇ３１１、Ｍ１−Ｇ３１０、Ｍ１−Ｆ３０９、Ｍ１−Ｑ３０８、Ｍ１−Ｌ３０７、Ｍ１−Ｆ３０６、Ｍ１−Ａ３０５、Ｍ１−Ｌ３０４、Ｍ１−Ｉ３０３、Ｍ１−Ｑ３０２、Ｍ１−Ｖ３０１、Ｍ１−Ａ３００、Ｍ１−Ｉ２９９、Ｍ１−Ｆ２９８、Ｍ１−Ｓ２９７、Ｍ１−Ｙ２９６、Ｍ１−Ｔ２９５、Ｍ１−Ｔ２９４、Ｍ１−Ｈ２９３、Ｍ１−Ｎ２９２、Ｍ１−Ｌ２９１、Ｍ１−Ｋ２９０、Ｍ１−Ｗ２８９、Ｍ１−Ｈ２８８、Ｍ１−Ｇ２８７、Ｍ１−Ｌ２８６、Ｍ１−Ｅ２８５、Ｍ１−Ｈ２８４、Ｍ１−Ａ２８３、Ｍ１−Ｉ２８２、Ｍ１−Ｖ２８１、Ｍ１−Ａ２８０、Ｍ１−Ｖ２７９、Ｍ１−Ｉ２７８、Ｍ１−Ｅ２７７、Ｍ１−Ｄ２７６、Ｍ１−Ｅ２７５、Ｍ１−Ｎ２７４、Ｍ１−Ｋ２７３、Ｍ１−Ｃ２７２、Ｍ１−Ｑ２７１、Ｍ１−Ｑ２７０、Ｍ１−Ｉ２６９、Ｍ１−Ｌ２６８、Ｍ１−Ｔ２６７、Ｍ１−Ｄ２６６、Ｍ１−Ｙ２６５、Ｍ１−Ｌ２６４、Ｍ１−Ｖ２６３、Ｍ１−Ｉ２６２、Ｍ１−Ｒ２６１、Ｍ１−Ｋ２６０、Ｍ１−Ｎ２５９、Ｍ１−Ｋ２５８、Ｍ１−Ｆ２５７、Ｍ１−Ｆ２５６、Ｍ１−Ｇ２５５、Ｍ１−Ｙ２５４、Ｍ１−Ｍ２５３、Ｍ１−Ｙ２５２、Ｍ１−Ａ２５１、Ｍ１−Ｎ２５０、Ｍ１−Ｓ２４９、Ｍ１−Ｈ２４８、Ｍ１−Ｓ２４７、Ｍ１−Ｓ２４６、Ｍ１−Ｒ２４５、Ｍ１−Ｔ２４４、Ｍ１−Ｓ２４３、Ｍ１−Ｇ２４２、Ｍ１−Ｄ２４１、Ｍ１−Ｖ２４０、Ｍ１−Ｖ２３９、Ｍ１−Ｆ２３８、Ｍ１−Ｌ２３７、Ｍ１−Ｋ２３６、Ｍ１−Ｋ２３５、Ｍ１−Ｌ２３４、Ｍ１−Ｐ２３３、Ｍ１−Ｆ２３２、Ｍ１−Ｋ２３１、Ｍ１−Ｌ２３０、Ｍ１−Ｓ２２９、Ｍ１−Ｓ２２８、Ｍ１−Ａ２２７、Ｍ１−Ｌ２２６、Ｍ１−Ｋ２２５、Ｍ１−Ｅ２２４、Ｍ１−Ｉ２２３、Ｍ１−Ｋ２２２、Ｍ１−Ｅ２２１、Ｍ１−Ｒ２２０、Ｍ１−Ｌ２１９、Ｍ１−Ｄ２１８、Ｍ１−Ｇ２１７、Ｍ１−Ｄ２１６、Ｍ１−Ｐ２１５、Ｍ１−Ｌ２１４、Ｍ１−Ｐ２１３、Ｍ１−Ｔ２１２、Ｍ１−Ｆ２１１、Ｍ１−Ｋ２１０、Ｍ１−Ｎ２０９、Ｍ１−Ｆ２０８、Ｍ１−Ｌ２０７、Ｍ１−Ｐ２０６、Ｍ１−Ａ２０５、Ｍ１−Ｉ２０４、Ｍ１−Ｌ２０３、Ｍ１−Ｖ２０２、Ｍ１−Ｐ２０１、Ｍ１−Ｙ２００、Ｍ１−Ｉ１９９、Ｍ１−Ｔ１９８、Ｍ１−Ｍ１９７、Ｍ１−Ｍ１９６、Ｍ１−Ｖ１９５、Ｍ１−Ｌ１９４、Ｍ１−Ｓ１９３、Ｍ１−Ｌ１９２、Ｍ１−Ｉ１９１、Ｍ１−Ｆ１９０、Ｍ１−Ｍ１８９、Ｍ１−Ｆ１８８、Ｍ１−Ａ１８７、Ｍ１−Ｗ１８６、Ｍ１−Ｌ１８５、Ｍ１−Ｙ１８４、Ｍ１−Ｉ１８３、Ｍ１−Ａ１８２、Ｍ１−Ｌ１８１、Ｍ１−Ｙ１８０、Ｍ１−Ｐ１７９、Ｍ１−Ｇ１７８、Ｍ１−Ｇ１７７、Ｍ１−Ｋ１７６、Ｍ１−Ｑ１７５、Ｍ１−Ｖ１７４、Ｍ１−Ｉ１７３、Ｍ１−Ｆ１７２、Ｍ１−Ｉ１７１、Ｍ１−Ｉ１７０、Ｍ１−Ａ１６９、Ｍ１−Ａ１６８、Ｍ１−Ｖ１６７、Ｍ１−Ｉ１６６、Ｍ１−Ｐ１６５、Ｍ１−Ｐ１６４、Ｍ１−Ｇ１６３、Ｍ１−Ｌ１６２、Ｍ１−Ｉ１６１、Ｍ１−Ｖ１６０、Ｍ１−Ｓ１５９、Ｍ１−Ｌ１５８、Ｍ１−Ｆ１５７、Ｍ１−Ｔ１５６、Ｍ１−Ｇ１５５、Ｍ１−Ｋ１５４、Ｍ１−Ｉ１５３、Ｍ１−Ｍ１５２、Ｍ１−Ｄ１５１、Ｍ１−Ｒ１５０、Ｍ１−Ｉ１４９、Ｍ１−Ｆ１４８、Ｍ１−Ｍ１４７、Ｍ１−Ｗ１４６、Ｍ１−Ｉ１４５、Ｍ１−Ｔ１４４、Ｍ１−Ｑ１４３、Ｍ１−Ｋ１４２、Ｍ１−Ｎ１４１、Ｍ１−Ｆ１４０、Ｍ１−Ｇ１３９、Ｍ１−Ｈ１３８、Ｍ１−Ｒ１３７、Ｍ１−Ｓ１３６、Ｍ１−Ｅ１３５、Ｍ１−Ｉ１３４、Ｍ１−Ｖ１３３、Ｍ１−Ｆ１３２、Ｍ１−Ｔ１３１、Ｍ１−Ｓ１３０、Ｍ１−Ｙ１２９、Ｍ１−Ｌ１２８、Ｍ１−Ｓ１２７、Ｍ１−Ｆ１２６、Ｍ１−Ｐ１２５、Ｍ１−Ｌ１２４、Ｍ１−Ｄ１２３、Ｍ１−Ｔ１２２、Ｍ１−Ｉ１２１、Ｍ１−Ｑ１２０、Ｍ１−Ｓ１１９、Ｍ１−Ｗ１１８、Ｍ１−Ｔ１１７、Ｍ１−Ｍ１１６、Ｍ１−Ｖ１１５、Ｍ１−Ｇ１１４、Ｍ１−Ａ１１３、Ｍ１−Ｌ１１２、Ｍ１−Ｆ１１１、Ｍ１−Ｓ１１０、Ｍ１−Ｌ１０９、Ｍ１−Ｔ１０８、Ｍ１−Ｈ１０７、Ｍ１−Ｌ１０６、Ｍ１−Ｉ１０５、Ｍ１−Ｅ１０４、Ｍ１−Ｎ１０３、Ｍ１−Ｅ１０２、Ｍ１−Ｐ１０１、Ｍ１−Ｄ１００、Ｍ１−Ｌ９９、Ｍ１−Ｇ９８、Ｍ１−Ｌ９７、Ｍ１−Ｒ９６、Ｍ１−Ｐ９５、Ｍ１−Ｌ９４、Ｍ１−Ｖ９３、Ｍ１−Ａ９２、Ｍ１−Ｇ９１、Ｍ１−Ｓ９０、Ｍ１−Ｍ８９、Ｍ１−Ｋ８８、Ｍ１−Ｗ８７、Ｍ１−Ｆ８６、Ｍ１−Ｗ８５、Ｍ１−Ｐ８４、Ｍ１−Ｌ８３、Ｍ１−Ｉ８２、Ｍ１−Ｇ８１、Ｍ１−Ｆ８０、Ｍ１−Ｆ７９、Ｍ１−Ｌ７８、Ｍ１−Ｉ７７、Ｍ１−Ａ７６、Ｍ１−Ｓ７５、Ｍ１−Ｄ７４、Ｍ１−Ｍ７３、Ｍ１−Ｌ７２、Ｍ１−Ｉ７１、Ｍ１−Ｔ７０、Ｍ１−Ｖ６９、Ｍ１−Ｆ６８、Ｍ１−Ｅ６７、Ｍ１−Ｈ６６、Ｍ１−Ｖ６５、Ｍ１−Ｆ６４、Ｍ１−Ｈ６３、Ｍ１−Ｆ６２、Ｍ１−Ｙ６１、Ｍ１−Ｓ６０、Ｍ１−Ｋ５９、Ｍ１−Ｄ５８、Ｍ１−Ｌ５７、Ｍ１−Ｓ５６、Ｍ１−Ｙ５５、Ｍ１−Ａ５４、Ｍ１−Ｒ５３、Ｍ１−Ｓ５２、Ｍ１−Ｋ５１、Ｍ１−Ｅ５０、Ｍ１−Ｆ４９、Ｍ１−Ｋ４８、Ｍ１−Ｅ４７、Ｍ１−Ｑ４６、Ｍ１−Ｓ４５、Ｍ１−Ｉ４４、Ｍ１−Ｖ４３、Ｍ１−Ｇ４２、Ｍ１−Ｖ４１、Ｍ１−Ｌ４０、Ｍ１−Ｔ３９、Ｍ１−Ｋ３８、Ｍ１−Ｐ３７、Ｍ１−Ｌ３６、Ｍ１−Ｔ３５、Ｍ１−Ｐ３４、Ｍ１−Ｌ３３、Ｍ１−Ｋ３２、Ｍ１−Ｌ３１、Ｍ１−Ａ３０、Ｍ１−Ｔ２９、Ｍ１−Ｌ２８、Ｍ１−Ｑ２７、Ｍ１−Ｒ２６、Ｍ１−Ｌ２５、Ｍ１−Ｄ２４、Ｍ１−Ｌ２３、Ｍ１−Ｙ２２、Ｍ１−Ｔ２１、Ｍ１−Ｅ２０、Ｍ１−Ｆ１９、Ｍ１−Ｉ１８、Ｍ１−Ｙ１７、Ｍ１−Ｍ１６、Ｍ１−Ｖ１５、Ｍ１−Ｉ１４、Ｍ１−Ｍ１３、Ｍ１−Ｆ１２、Ｍ１−Ｇ１１、Ｍ１−Ｖ１０、Ｍ１−Ｖ９、Ｍ１−Ｔ８、Ｍ１−Ｅ７（配列番号６）。これらのポリペプチドをコードするポリヌクレオチド配列も提供される。
【００８６】
ＥＳＴ配列のような多くのポリヌクレオチド配列は、配列データベースにより公的に利用可能およびアクセス可能である。これらの配列の幾つかは、配列番号５に関連しており、本発明の考案前に公的に利用可能であった場合がある。好ましくは、かかる関連ポリヌクレオチドは、本発明の範囲から具体的に排除される。すべての関連配列を列挙することは、厄介である。したがって、好ましくは、ａ〜ｂの一般式（ここで、ａは、配列番号５の１〜１２７５の任意の整数であり、ｂは、１５〜１２７５の整数であり、ａとｂの両方が、配列番号５に示すヌクレオチド残基の位置に対応し、ｂは、ａ＋１４以上である）で示されるヌクレオチド配列を含む１つまたは複数のポリヌクレオチドは本発明から排除される。
【００８７】
遺伝子番号４によりコードされるポリペプチドの特徴
配列番号７（図８）に従うポリヌクレオチド配列によりコードされ、および／または寄託クローンＧｍＰｒＰａｓｅ１内に含まれるポリヌクレオチドによりコードされる、配列番号８（図９）として提供されるこの遺伝子のポリペプチドは、ヒトおよび酵母プレニルペプチダーゼの両方に対してヌクレオチドおよびアミノ酸レベルでの有意な相同性を有する（図１２Ａ〜Ｄを参照）。相同性に基づいて、本発明のポリペプチドは、プレニルペプチダーゼとともに少なくとも幾つかの生物学活性を共有し得る。本発明のポリヌクレオチドおよびポリペプチド（アゴニストを含む）には、植物、特にアラビドプシスに対する干ばつ耐性および／または塩耐性を付与することを含むが、これらに限定されない用途がある。あるいは、本発明のポリペプチドに対するアンタゴニストも、植物、特にアラビドプシスに対する干ばつ耐性および／または塩耐性を付与する際に有用であり得る。
【００８８】
細菌シャペロンＤｎａＪのファルネシル化は、高温での細菌成長に不可欠である（Ｗｉｃｋｎｅｒ， Ｓ． ｅｔ ａｌ １９９１ Ｎａｔｕｒｅ ３５０：１６５−７）。このシャペロンのファルネシル化は、その完全な活性に必要とされる。植物アトリプレクス・ヌムラリアＡｔｒｉｐｌｅｘ ｎｕｍｍｕｌａｒｉａでは、ＡＮＪ１が、ＤｎａＪの相同体であり、熱および塩処理により誘導される（Ｚｈｕ， Ｊ．−Ｋ． ｅｔ ａｌ １９９３ Ｔｈｅ Ｐｌａｎｔ Ｃｅｌｌ ５：３４１−９）。この酵素は、ファルネシル化の標的である。植物シャペロンのファルネシル化の増加は、これらの酵素のより高い生物活性をもたらし、したがって植物ストレス耐性の増加を引き起こすことがわかっている。したがって、本発明のポリヌクレオチドおよびポリペプチド（それらのアゴニストおよび／断片を含む）には、植物における熱、干ばつおよび塩ストレスに対する抵抗性を付与することを含む用途がある。あるいは、本発明のアンタゴニストには、植物における熱、干ばつ、および塩ストレスを含むが、これらに限定されない生物的および／非生物的ストレスに対する植物の感受性を調節することを含む用途があり得る。好ましくは、本発明のアンタゴニストは、熱、干ばつ、および塩ストレスに対する植物抵抗性を増加させる。一実施形態では、構成的プロモーター（例えば、３５Ｓ、または本明細書中に開示する他のプロモーター）を用いた植物内の本発明のＰｒＰａｓｅポリペプチドの過剰発現（但し孔辺細胞中ではない）は、植物の干ばつおよび塩耐性を改善するのに有用であろう。
【００８９】
別の実施形態では、種子特異的プロモーター（例えば、未知の種子タンパク質、ＵＳＰ、プロモーター）を用いた植物内での本発明のＰｒＰａｓｅポリペプチドの過剰発現は、種子貯蔵化合物の量を増大するのに有用である。さらに、本発明のアンタゴニストには、種子貯蔵化合物の量を調節することを含む用途があり得る。
【００９０】
タンパク質ファルネシル化は、細胞周期の制御と正に関与している（Ｚｉｅｇｅｌｈｏｆｆｅｒ ｅｔ ａｌ ２０００ ＰＮＡＳ ９７：７６３３−８）。タンパク質ファルネシル化に関与した遺伝子、すなわちファルネシルトランスフェラーゼの突然変異は、アラビドプシス植物において細胞増殖の阻害をもたらす（Ｂｏｎｅｔｔａ ｅｔ ａｌ． ２０００ Ｐｌａｎｔａ ２１１：１８２−９０）。ファルネシル化経路の植物における構成的過剰発現、すなわちプレニルペプチダーゼの過剰発現は、細胞増殖の増加、植物成長の増加をもたらす。本発明のポリヌクレオチドおよびポリペプチド（それらのアゴニストおよび／断片を含む）には、植物成長、および潜在的に植物の収量高の調節、好ましくは植物成長の増加を含む用途がある。さらに、本発明のアンタゴニストには、植物成長および／収量高の調節、それを通して好ましくは植物および収量高の増加を含む用途があり得る。さらに別の実施形態では、構成的プロモーター（例えば、３５Ｓ、または本明細書中に開示する他のプロモーター）を用いた本発明のＧｍＰｒＰａｓｅポリペプチドの過剰発現は、細胞分裂を促進することで、植物成長を増加させるのに有用であり得る。
【００９１】
コードポリペプチドは、プレニルプロテアーゼとともに少なくとも幾つかの生物活性を共有し得ると考えられるが、このクローンの正確な生物学的機能を決定する多数の方法が、当該技術分野で既知であるか、または本明細書中の他の箇所に記載されている。簡潔に述べると、このクローンの機能は、マイクロアレイ方法論を適用することで決定し得る。本発明の他のクローンに加えてＧｍＰｒＰａａｓｅ１クローンを、発現プロファイリング用のマイクロチップ上に配列し得る。どのポリヌクレオチドプローブがスライドにハイブリダイズするのに使用されるかに応じて、特定遺伝子の発現の変化は、研究される条件に基づいて、この遺伝子の機能に対するさらなる洞察を提供し得る。例えば、使用するポリヌクレオチドプローブが、冷却処理した組織に由来する場合の発現レベルで観察される増加または減少は、例えば、寒冷耐性を調節する際の機能を示し得る。ＧｍＰｒＰａｓｅ１の場合では、水を与えない組織、あるいは他の生物的または非生物的ストレス（熱、干ばつ、高光量、高塩等）によりストレスを加えた組織は、プローブを調製するためにＲＮＡを抽出するのに使用され得る。さらに、種子発生の異なる段階（初期、中期、後期）がプローブを調製するためにＲＮＡを抽出するのに使用され得る。
【００９２】
さらに、タンパク質の機能は、例えば、定量的ＰＣＲ方法論を適用することで評価してもよい。リアルタイム定量的ＰＣＲは、例えば植物発生周期全体にわたって特定の遺伝子の発現を追跡する能力を提供する。定量的ＰＣＲ方法論は、ほんのわずかな量の、各発生上重要な段階（３日発芽苗木、１週齢苗木［根、新芽、および茎］、開花開始前の根、葉および茎、花［種々の部分］、および／または発生中の胚）からの組織が、かかる実験を実施するのに必要なだけである。したがって、このポリペプチドの生物学的機能を精密化するための定量的ＰＣＲ方法論の適用は、本発明に包含される。また、配列番号７（図８）として提供されるポリヌクレオチド配列に相当する定量的ＰＣＲプローブも本発明に包含される。
【００９３】
タンパク質の機能はまた、酵母中の相補性アッセイにより評価してもよい。例えば、ＧｍＰｒＰａｓｅ１クローンの場合では、プレニルプロテアーゼ活性を欠損した酵母を形質転換し、それの成長する能力を評価することは、ＧｍＰｒＰａｓｅ１クローンが、プレニルプロテアーゼ活性を有するという説得力のある証拠を提供する。本発明のポリヌクレオチドおよびポリペプチドの機能を評価するのに使用し得るさらなるアッセイ条件および方法は、当該技術分野で既知であり、その幾つかが、本明細書中の他の箇所に開示されている。
【００９４】
あるいは、コードポリペプチドの生物学的機能は、シネコシスティス（Ｓｙｎｅｃｈｏｓｙｓｔｉｓ）でこのポリペプチドの相同体を崩壊させることで決定してもよい。シアノバクテリア（青緑色藻類）は、植物葉緑体の祖先とみなされる。それは、植物合成系および植物の代謝プロセスを連想させる多くの他の代謝プロセスの両方を保有する。これらのプロセスは、多くの市販の除草剤を対象としており、この生物は、多くの種類の除草剤の作用機序の研究で広範に使用されている。シネコシスティスは、最良に研究されたシアノバクテリアの１つである。シアノバクテリアに共通する特徴の多くに加え、それは、多くの他の付加的利点を提供する。シネコシスティスは、自然に存在する遺伝子形質転換系を有しており、したがって、よく特性化された系のうちのいくつか（セレビシエ（Ｓ．ｃｅｒｅｖｉｓｉａｅ）、大腸菌）に適用可能である。強力かつ複雑な遺伝子および分子操作（例えば、標的遺伝子崩壊、遺伝子置換等）を引き起こす。最も重要なことには、シネコシスティスの完全なゲノム配列情報の有用性は、所定の遺伝子（複数可）の迅速な同定およびクローニングのための手段、ならびに遺伝子および分子手段による遺伝子機能の解明をもたらす。
【００９５】
さらに、このポリペプチドの生物学的機能は、アンチセンスおよび／またはセンス方法論の適用、およびそれにより得られるトランスジェニック植物の生成により決定してもよい。トランスジェニック植物中のセンスまたはアンチセンス配向での特定遺伝子の発現は、当該特定遺伝子のそれぞれより高いまたは低い発現レベルを引き起こすことができる。遺伝子の内因性発現レベルの変更は、特定の表現型の観察を引き起こすことができ、続いてその特定の表現型は、遺伝子の機能での徴候を駆動するのに使用することができる。遺伝子は、強力な遍在性プロモーターを用いていつでも植物のあらゆる細胞で過剰発現または過小発現され得るか、あるいはそれは、十分に特性化された組織特異的プロモーター（すなわち、根プロモーター、または花特異的プロモーター、または種子特異的プロモータ）を用いて植物の１つまたは複数の別個の部分で発現され得るか、あるいはそれは、誘導性および／または発生的に調節されるプロモーターを用いて発生の特定の時期で発現され得る。
【００９６】
ＧｍＰｒＰａｓｅ１トランスジェニック植物の場合では、正常な成長条件で表現型が明らかでない場合、ストレス条件（水の欠乏、高塩の存在、あるいは寒冷、熱、干ばつ、高光量等のような他の生物的または非生物的ストレス）下で植物を観察することにより、遺伝子機能の理解がもらされ得る。あるいは種子貯蔵化合物の場合には、油、糖およびタンパク質の量の生化学的分析は、遺伝子の機能の理解をもたらし得る。したがって、ポリペプチドの生物学的機能を精密化するためのトランスジェニック植物の創出への、アンチセンスおよび／またはセンス方法論の適用は、本発明に包含される。
【００９７】
好ましい実施形態では、以下のＮ末端欠失突然変異体は、本発明に包含される：Ｍ１−Ｃ４００、Ａ２−Ｃ４００、Ｆ３−Ｃ４００、Ｐ４−Ｃ４００、Ｙ５−Ｃ４００、Ｍ６−Ｃ４００、Ｅ７−Ｃ４００、Ａ８−Ｃ４００、Ｖ９−Ｃ４００、Ｖ１０−Ｃ４００、Ｇ１１−Ｃ４００、Ｆ１２−Ｃ４００、Ｍ１３−Ｃ４００、Ｉ１４−Ｃ４００、Ｌ１５−Ｃ４００、Ｍ１６−Ｃ４００、Ｙ１７−Ｃ４００、Ｉ１８−Ｃ４００、Ｆ１９−Ｃ４００、Ｅ２０−Ｃ４００、Ｔ２１−Ｃ４００、Ｙ２２−Ｃ４００、Ｌ２３−Ｃ４００、Ｄ２４−Ｃ４００、Ｖ２５−Ｃ４００、Ｒ２６−Ｃ４００、Ｑ２７−Ｃ４００、Ｈ２８−Ｃ４００、Ｒ２９−Ｃ４００、Ａ３０−Ｃ４００、Ｌ３１−Ｃ４００、Ｋ３２−Ｃ４００、Ｌ３３−Ｃ４００、Ｐ３４−Ｃ４００、Ｔ３５−Ｃ４００、Ｌ３６−Ｃ４００、Ｐ３７−Ｃ４００、Ｋ３８−Ｃ４００、Ｔ３９−Ｃ４００、Ｌ４０−Ｃ４００、Ｅ４１−Ｃ４００、Ｇ４２−Ｃ４００、Ｖ４３−Ｃ４００、Ｉ４４−Ｃ４００、Ｓ４５−Ｃ４００、Ｑ４６−Ｃ４００、Ｅ４７−Ｃ４００、Ｋ４８−Ｃ４００、Ｆ４９−Ｃ４００、Ｅ５０−Ｃ４００、Ｋ５１−Ｃ４００、Ｓ５２−Ｃ４００、Ｒ５３−Ｃ４００、Ａ５４−Ｃ４００、Ｙ５５−Ｃ４００、Ｓ５６−Ｃ４００、Ｌ５７−Ｃ４００、Ｄ５８−Ｃ４００、Ｋ５９−Ｃ４００、Ｓ６０−Ｃ４００、Ｈ６１−Ｃ４００、Ｆ６２−Ｃ４００、Ｈ６３−Ｃ４００、Ｆ６４−Ｃ４００、Ｖ６５−Ｃ４００、Ｈ６６−Ｃ４００、Ｅ６７−Ｃ４００、Ｆ６８−Ｃ４００、Ｖ６９−Ｃ４００、Ｔ７０−Ｃ４００、Ｉ７１−Ｃ４００、Ｖ７２−Ｃ４００、Ｔ７３−Ｃ４００、Ｄ７４−Ｃ４００、Ｓ７５−Ｃ４００、Ｔ７６−Ｃ４００、Ｉ７７−Ｃ４００、Ｌ７８−Ｃ４００、Ｙ７９−Ｃ４００、Ｆ８０−Ｃ４００、Ｇ８１−Ｃ４００、Ｖ８２−Ｃ４００、Ｌ８３−Ｃ４００、Ｐ８４−Ｃ４００、Ｗ８５−Ｃ４００、Ｆ８６−Ｃ４００、Ｗ８７−Ｃ４００、Ｋ８８−Ｃ４００、Ｋ８９−Ｃ４００、Ｓ９０−Ｃ４００、Ｇ９１−Ｃ４００、Ｄ９２−Ｃ４００、Ｆ９３−Ｃ４Ｏ０、Ｍ９４−Ｃ４００、Ｔ９５−Ｃ４００、Ｉ９６−Ｃ４００、Ａ９７−Ｃ４００、Ｇ９８−Ｃ４００、Ｆ９９−Ｃ４００、Ｎ１００−Ｃ４００、Ａ１０１−Ｃ４００、Ｅ１０２−Ｃ４００、Ｎ１０３−Ｃ４００、Ｅ１０４−Ｃ４００、Ｉ１０５−Ｃ４００、Ｌ１０６−Ｃ４００、Ｈ１０７−Ｃ４００、Ｔ１０８−Ｃ４００、Ｌ１０９−Ｃ４００、Ａ１１０−Ｃ４００、Ｆ１１１−Ｃ４００、Ｌ１１２−Ｃ４００、Ａ１１３−Ｃ４００、Ｇ１１４−Ｃ４００、Ｌ１１５−Ｃ４００、Ｍ１１６−Ｃ４００、Ｉ１１７−Ｃ４００、Ｗ１１８−Ｃ４００、Ｓ１１９−Ｃ４００、Ｑ１２０−Ｃ４００、Ｉ１２１−Ｃ４００、Ｔ１２２−Ｃ４００、Ｄ１２３−Ｃ４００、Ｌ１２４−Ｃ４００、Ｐ１２５−Ｃ４００、Ｆ１２６−Ｃ４００、Ｓ１２７−Ｃ４００、Ｌ１２８−Ｃ４００、Ｙ１２９−Ｃ４００、Ｓ１３０−Ｃ４００、Ｔ１３１−Ｃ４００、Ｆ１３２−Ｃ４００、Ｖ１３３−Ｃ４００、Ｉ１３４−Ｃ４００、Ｅ１３５−Ｃ４００、Ａ１３６−Ｃ４００、Ｒ１３７−Ｃ４００、Ｈ１３８−Ｃ４００、Ｇ１３９−Ｃ４００、Ｆ１４０−Ｃ４００、Ｎ１４１−Ｃ４００、Ｋ１４２−Ｃ４００、Ｑ１４３−Ｃ４００、Ｔ１４４−Ｃ４００、Ｐ１４５−Ｃ４００、Ｗ１４６−Ｃ４００、Ｌ１４７−Ｃ４００、Ｆ１４８−Ｃ４００、Ｆ１４９−Ｃ４００、Ｒ１５０−Ｃ４００、Ｄ１５１−Ｃ４００、Ｍ１５２−Ｃ４００、Ｌ１５３−Ｃ４００、Ｋ１５４−Ｃ４００、Ｇ１５５−Ｃ４００、Ｉ１５６−Ｃ４００、Ｆ１５７−Ｃ４００、Ｌ１５８−Ｃ４００、Ｓ１５９−Ｃ４００、Ｖ１６０−Ｃ４００、Ｉ１６１−Ｃ４００、Ｉ１６２−Ｃ４００、Ｇ１６３−Ｃ４００、Ｐ１６４−Ｃ４００、Ｐ１６５−Ｃ４００、Ｉ１６６−０４００、Ｖ１６７−Ｃ４００、Ａ１６８−Ｃ４００、Ａ１６９−Ｃ４００、Ｉ１７０−Ｃ４００、Ｉ１７１−Ｃ４００、Ｖ１７２−Ｃ４００、Ｉ１７３−Ｃ４００、Ｖ１７４−Ｃ４００、Ｑ１７５−Ｃ４００、Ｋ１７６−Ｃ４００、Ｇ１７７−Ｃ４００、Ｇ１７８−Ｃ４００、Ｐ１７９−Ｃ４００、Ｙ１８０−Ｃ４００、Ｌ１８１−Ｃ４００、Ａ１８２−Ｃ４００、Ｉ１８３−Ｃ４００、Ｙ１８４−Ｃ４００、Ｌ１８５−Ｃ４００、Ｗ１８６−Ｃ４００、Ｖ１８７−Ｃ４００、Ｆ１８８−Ｃ４００、Ｔ１８９−Ｃ４００、Ｆ１９０−Ｃ４００、Ｇ１９１−Ｃ４００、Ｌ１９２−Ｃ４００、Ｓ１９３−Ｃ４００、Ｉ１９４−Ｃ４００、Ｖ１９５−Ｃ４００、Ｍ１９６−Ｃ４００、Ｍ１９７−Ｃ４００、Ｔ１９８−Ｃ４００、Ｌ１９９−Ｃ４００、Ｙ２００−Ｃ４００、Ｐ２０１−Ｃ４００、Ｖ２０２−Ｃ４００、Ｌ２０３−Ｃ４００、Ｉ２０４−Ｃ４００、Ａ２０５−Ｃ４００、Ｐ２０６−Ｃ４００、Ｌ２０７−Ｃ４００、Ｆ２０８−Ｃ４００、Ｎ２０９−Ｃ４００、Ｋ２１０−Ｃ４００、Ｆ２１１−Ｃ４００、Ｔ２１２−Ｃ４００、Ｐ２１３−Ｃ４００、Ｌ２１４−Ｃ４００、Ｐ２１５−Ｃ４００、Ｄ２１６−Ｃ４００、Ｇ２１７−Ｃ４００、Ｑ２１８−Ｃ４００、Ｌ２１９−Ｃ４００、Ｒ２２０−Ｃ４００、Ｅ２２１−Ｃ４００、Ｋ２２２−Ｃ４００、Ｉ２２３−Ｃ４００、Ｅ２２４−Ｃ４００、Ｋ２２５−Ｃ４００、Ｌ２２６−Ｃ４００、Ａ２２７−Ｃ４００、Ｓ２２８−Ｃ４００、Ｓ２２９−Ｃ４００、Ｌ２３０−Ｃ４００、Ｎ２３１−Ｃ４００、Ｙ２３２−Ｃ４００、Ｐ２３３−Ｃ４００、Ｌ２３４−Ｃ４００、Ｋ２３５−Ｃ４００、Ｋ２３６−Ｃ４００、Ｌ２３７−Ｃ４００、Ｆ２３８−Ｃ４００、Ｖ２３９−Ｃ４００、Ｖ２４０−Ｃ４００、Ｄ２４１−Ｃ４００、Ｇ２４２−Ｃ４００、Ｓ２４３−Ｃ４００、Ｔ２４４−Ｃ４００、Ｒ２４５−Ｃ４００、Ｓ２４６−Ｃ４００、Ｓ２４７−Ｃ４００、Ｈ２４８−Ｃ４００、Ｓ２４９−Ｃ４００、Ｎ２５０−Ｃ４００、Ａ２５１−Ｃ４００、Ｙ２５２−Ｃ４００、Ｍ２５３−Ｃ４００、Ｙ２５４−Ｃ４００、Ｇ２５５−Ｃ４００、Ｆ２５６−Ｃ４００、Ｆ２５７−Ｃ４００、Ｋ２５８−Ｃ４００、Ｎ２５９−Ｃ４００、Ｋ２６０−Ｃ４００、Ｒ２６１−Ｃ４００、Ｉ２６２−Ｃ４００、Ｖ２６３−Ｃ４００、Ｌ２６４−Ｃ４００、Ｙ２６５−Ｃ４００、Ｄ２６６−ｄ４００、Ｔ２６７−Ｃ４００、Ｌ２６８−Ｃ４００、Ｉ２６９−Ｃ４００、Ｑ２７０−Ｃ４００、Ｑ２７１−Ｃ４００、Ｃ２７２−Ｃ４００、Ｋ２７３−Ｃ４００、Ｄ２７４−Ｃ４００、Ｄ２７５−Ｃ４００、Ｅ２７６−Ｃ４００、Ｅ２７７−Ｃ４００、Ｉ２７８−Ｃ４００、Ｖ２７９−Ｃ４００、Ａ２８０−Ｃ４００、Ｖ２８１−Ｃ４００、Ｉ２８２−Ｃ４００、Ａ２８３−Ｃ４００、Ｈ２８４−Ｃ４００、Ｅ２８５−Ｃ４００、Ｌ２８６−Ｃ４００、Ｇ２８７−Ｃ４００、Ｈ２８８−Ｃ４００、Ｗ２８９−Ｃ４００、Ｋ２９０−Ｃ４００、Ｌ２９１−Ｃ４００、Ｎ２９２−Ｃ４００、Ｈ２９３−Ｃ４００、Ｔ２９４−Ｃ４００、Ｖ２９５−Ｃ４００、Ｙ２９６−Ｃ４００、Ｔ２９７−Ｃ４００、Ｆ２９８−Ｃ４００、Ｖ２９９−Ｃ４００、Ａ３００−Ｃ４００、Ｍ３０１−Ｃ４００、Ｑ３０２−Ｃ４００、Ｉ３０３−Ｃ４００、Ｌ３０４−Ｃ４００、Ｔ３０５−Ｃ４００、Ｌ３０６−Ｃ４００、Ｌ３０７−Ｃ４００、Ｑ３０８−Ｃ４００、Ｆ３０９−Ｃ４００、Ｇ３１０−Ｃ４００、Ｇ３１１−Ｃ４００、Ｙ３１２−Ｃ４００、Ｔ３１３−Ｃ４００、Ｌ３１４−Ｃ４００、Ｖ３１５−Ｃ４００、Ｒ３１６−Ｃ４００、Ｎ３１７−Ｃ４００、Ｓ３１８−Ｃ４００、Ａ３１９−Ｃ４００、Ｄ３２０−Ｃ４００、Ｌ３２１−Ｃ４００、Ｙ３２２−Ｃ４００、Ｒ３２３−Ｃ４００、Ｓ３２４−Ｃ４００、Ｆ３２５−Ｃ４００、Ｇ３２６−Ｃ４００、Ｆ３２７−Ｃ４００、Ｄ３２８−Ｃ４００、Ｔ３２９−Ｃ４００、Ｑ３３０−Ｃ４００、Ｐ３３１−Ｃ４００、Ｖ３３２−Ｃ４００、Ｌ３３３−Ｃ４００、Ｉ３３４−Ｃ４００、Ｇ３３５−Ｃ４００、Ｌ３３６−Ｃ４００、Ｉ３３７−Ｃ４００、Ｉ３３８−Ｃ４００、Ｆ３３９−Ｃ４００、Ｑ３４０−Ｃ４００、Ｈ３４１−Ｃ４００、Ｔ３４２−Ｃ４００、Ｖ３４３−Ｃ４００、Ｉ３４４−Ｃ４００、Ｐ３４５−Ｃ４００、Ｌ３４６−Ｃ４００、Ｑ３４７−Ｃ４００、Ｑ３４８−Ｃ４００、Ｌ３４９−Ｃ４００、Ｖ３５０−Ｃ４００、Ｓ３５１−Ｃ４００、Ｆ３５２−Ｃ４００、Ｇ３５３−Ｃ４００、Ｌ３５４−Ｃ４００、Ｎ３５５−Ｃ４００、Ｌ３５６−Ｃ４００、Ｖ３５７−Ｃ４００、Ｓ３５８−Ｃ４００、Ｒ３５９−Ｃ４００、Ｓ３６０−Ｃ４００、Ｆ３６１−Ｃ４００、Ｅ３６２−Ｃ４００、Ｆ３６３−Ｃ４００、Ｑ３６４−Ｃ４００、Ａ３６５−Ｃ４００、Ｄ３６６−Ｃ４００、Ｇ３６７−Ｃ４００、Ｆ３６８−Ｃ４００、Ａ３６９−Ｃ４００、Ｋ３７０−Ｃ４００、Ｋ３７１−Ｃ４００、Ｌ３７２−Ｃ４００、Ｇ３７３−Ｃ４００、Ｙ３７４−Ｃ４００、Ａ３７５−Ｃ４００、Ｓ３７６−Ｃ４００、Ｇ３７７−Ｃ４００、Ｌ３７８−Ｃ４００、Ｒ３７９−Ｃ４００、Ｇ３８０−Ｃ４００、Ｇ３８１−Ｃ４００、Ｌ３８２−Ｃ４００、Ｖ３８３−Ｃ４００、Ｋ３８４−Ｃ４００、Ｌ３８５−Ｃ４００、Ｑ３８６−Ｃ４００、Ｅ３８７−Ｃ４００、Ｅ３８８−Ｃ４００、Ｎ３８９−Ｃ４００、Ｌ３９０−０４００、Ｓ３９Ｉ−Ｃ４００、Ａ３９２−Ｃ４００、Ｍ３９３−Ｃ４００、Ｎ３９４−Ｃ４００（配列番号８）。これらのポリペプチドをコードするポリヌクレオチド配列も提供される。
【００９８】
好ましい実施形態では、以下のＣ末端欠失突然変異体は、本発明に包含される：Ｍ１−Ｃ４００、Ｍ１−Ｓ３９９、Ｍ１−Ｃ３９８、Ｍ１−Ｐ３９７、Ｍ１−Ｄ３９６、Ｍ１−Ｔ３９５、Ｍ１−Ｎ３９４、Ｍ１−Ｍ３９３、Ｍ１−Ａ３９２、Ｍ１−Ｓ３９１、Ｍ１−Ｌ３９０、Ｍ１−Ｎ３８９、Ｍ１−Ｅ３８８、Ｍ１−Ｅ３８７、Ｍ１−Ｑ３８６、Ｍ１−Ｌ３８５、Ｍ１−Ｋ３８４、Ｍ１−Ｖ３８３、Ｍ１−Ｌ３８２、Ｍ１−Ｇ３８１、Ｍ１−Ｇ３８０、Ｍ１−Ｒ３７９、Ｍ１−Ｌ３７８、Ｍ１−Ｇ３７７、Ｍ１−Ｓ３７６、Ｍ１−Ａ３７５、Ｍ１−Ｙ３７４、Ｍ１−Ｇ３７３、Ｍ１−Ｌ３７２、Ｍ１−Ｋ３７１、Ｍ１−Ｋ３７０、Ｍ１−Ａ３６９、Ｍ１−Ｆ３６８、Ｍ１−Ｇ３６７、Ｍ１−Ｄ３６６、Ｍ１−Ａ３６５、Ｍ１−Ｑ３６４、Ｍ１−Ｆ３６３、Ｍ１−Ｅ３６２、Ｍ１−Ｆ３６１、Ｍ１−Ｓ３６０、Ｍ１−Ｒ３５９、Ｍ１−Ｓ３５８、Ｍ１−Ｖ３５７、Ｍ１−Ｌ３５６、Ｍ１−Ｎ３５５、Ｍ１−Ｌ３５４、Ｍ１−Ｇ３５３、Ｍ１−Ｆ３５２、Ｍ１−Ｓ３５１、Ｍ１−Ｖ３５０、Ｍ１−Ｌ３４９、Ｍ１−Ｑ３４８、Ｍ１−Ｑ３４７、Ｍ１−Ｌ３４６、Ｍ１−Ｐ３４５、Ｍ１−Ｉ３４４、Ｍ１−Ｖ３４３、Ｍ１−Ｔ３４２、Ｍ１−Ｈ３４１、Ｍ１−Ｑ３４０、Ｍ１−Ｆ３３９、Ｍ１−Ｉ３３８、Ｍ１−Ｉ３３７、Ｍ１−Ｌ３３６、Ｍ１−Ｇ３３５、Ｍ１−Ｉ３３４、Ｍ１−Ｌ３３３、Ｍ１−Ｖ３３２、Ｍ１−Ｐ３３１、Ｍ１−Ｑ３３０、Ｍ１−Ｔ３２９、Ｍ１−Ｄ３２８、Ｍ１−Ｆ３２７、Ｍ１−Ｇ３２６、Ｍ１−Ｆ３２５、Ｍ１−Ｓ３２４、Ｍ１−Ｒ３２３、Ｍ１−Ｙ３２２、Ｍ１−Ｌ３２１、Ｍ１−Ｄ３２０、Ｍ１−Ａ３１９、Ｍ１−Ｓ３１８、Ｍ１−Ｎ３１７、Ｍ１−Ｒ３１６、Ｍ１−Ｖ３１５、Ｍ１−Ｌ３１４、Ｍ１−Ｔ３１３、Ｍ１−Ｙ３１２、Ｍ１−Ｇ３１１、Ｍ１−Ｇ３１０、Ｍ１−Ｆ３０９、Ｍ１−Ｑ３０８、Ｍ１−Ｌ３０７、Ｍ１−Ｌ３０６、Ｍ１−Ｔ３０５、Ｍ１−Ｌ３０４、Ｍ１−Ｉ３０３、Ｍ１−Ｑ３０２、Ｍ１−Ｍ３０１、Ｍ１−Ａ３００、Ｍ１−Ｖ２９９、Ｍ１−Ｆ２９８、Ｍ１−Ｔ２９７、Ｍ１−Ｙ２９６、Ｍ１−Ｖ２９５、Ｍ１−Ｔ２９４、Ｍ１−Ｈ２９３、Ｍ１−Ｎ２９２、Ｍ１−Ｌ２９１、Ｍ１−Ｋ２９０、Ｍ１−Ｗ２８９、Ｍ１−Ｈ２８８、Ｍ１−Ｇ２８７、Ｍ１−Ｌ２８６、Ｍ１−Ｅ２８５、Ｍ１−Ｈ２８４、Ｍ１−Ａ２８３、Ｍ１−Ｉ２８２、Ｍ１−Ｖ２８１、Ｍ１−Ａ２８０、Ｍ１−Ｖ２７９、Ｍ１−Ｉ２７８、Ｍ１−Ｅ２７７、Ｍ１−Ｅ２７６、Ｍ１−Ｄ２７５、Ｍ１−Ｄ２７４、Ｍ１−Ｋ２７３、Ｍ１−Ｃ２７２、Ｍ１−Ｑ２７１、Ｍ１−Ｑ２７０、Ｍ１−Ｉ２６９、Ｍ１−Ｌ２６８、Ｍ１−Ｔ２６７、Ｍ１−Ｄ２６６、Ｍ１−Ｙ２６５、Ｍ１−Ｌ２６４、Ｍ１−Ｖ２６３、Ｍ１−Ｉ２６２、Ｍ１−Ｒ２６１、Ｍ１−Ｋ２６０、Ｍ１−Ｎ２５９、Ｍ１−Ｋ２５８、Ｍ１−Ｆ２５７、Ｍ１−Ｆ２５６、Ｍ１−Ｇ２５５、Ｍ１−Ｙ２５４、Ｍ１−Ｍ２５３、Ｍ１−Ｙ２５２、Ｍ１−Ａ２５１、Ｍ１−Ｎ２５０、Ｍ１−Ｓ２４９、Ｍ１−Ｈ２４８、Ｍ１−Ｓ２４７、Ｍ１−Ｓ２４６、Ｍ１−Ｒ２４５、Ｍ１−Ｔ２４４、Ｍ１−Ｓ２４３、Ｍ１−Ｇ２４２、Ｍ１−Ｄ２４１、Ｍ１−Ｖ２４０、Ｍ１−Ｖ２３９、Ｍ１−Ｆ２３８、Ｍ１−Ｌ２３７、Ｍ１−Ｋ２３６、Ｍ１−Ｋ２３５、Ｍ１−Ｌ２３４、Ｍ１−Ｐ２３３、Ｍ１−Ｙ２３２、Ｍ１−Ｎ２３１、Ｍ１−Ｌ２３０、Ｍ１−Ｓ２２９、Ｍ１−Ｓ２２８、Ｍ１−Ａ２２７、Ｍ１−Ｌ２２６、Ｍ１−Ｋ２２５、Ｍ１−Ｅ２２４、Ｍ１−Ｉ２２３、Ｍ１−Ｋ２２２、Ｍ１−Ｅ２２１、Ｍ１−Ｒ２２０、Ｍ１−Ｌ２１９、Ｍ１−Ｑ２１８、Ｍ１−Ｇ２１７、Ｍ１−Ｄ２１６、Ｍ１−Ｐ２１５、Ｍ１−Ｌ２１４、Ｍ１−Ｐ２１３、Ｍ１−Ｔ２１２、Ｍ１−Ｆ２１１、Ｍ１−Ｋ２１０、Ｍ１−Ｎ２０９、Ｍ１−Ｆ２０８、Ｍ１−Ｌ２０７、Ｍ１−Ｐ２０６、Ｍ１−Ａ２０５、Ｍ１−Ｉ２０４、Ｍ１−Ｌ２０３、Ｍ１−Ｖ２０２、Ｍ１−Ｐ２０１、Ｍ１−Ｙ２００、Ｍ１−Ｌ１９９、Ｍ１−Ｔ１９８、Ｍ１−Ｍ１９７、Ｍ１−Ｍ１９６、Ｍ１−Ｖ１９５、Ｍ１−Ｉ１９４、Ｍ１−Ｓ１９３、Ｍ１−Ｌ１９２、Ｍ１−Ｇ１９１、Ｍ１−Ｆ１９０、Ｍ１−Ｔ１８９、Ｍ１−Ｆ１８８、Ｍ１−Ｖ１８７、Ｍ１−Ｗ１８６、Ｍ１−Ｌ１８５、Ｍ１−Ｙ１８４、Ｍ１−Ｉ１８３、Ｍ１−Ａ１８２、Ｍ１−Ｌ１８１、Ｍ１−Ｙ１８０、Ｍ１−Ｐ１７９、Ｍ１−Ｇ１７８、Ｍ１−Ｇ１７７、Ｍ１−Ｋ１７６、Ｍ１−Ｑ１７５、Ｍ１−Ｖ１７４、Ｍ１−Ｉ１７３、Ｍ１−Ｖ１７２、Ｍ１−Ｉ１７１、Ｍ１−Ｉ１７０、Ｍ１−Ａ１６９、Ｍ１−Ａ１６８、Ｍ１−Ｖ１６７、Ｍ１−Ｉ１６６、Ｍ１−Ｐ１６５、Ｍ１−Ｐ１６４、Ｍ１−Ｇ１６３、Ｍ１−Ｉ１６２、Ｍ１−Ｉ１６１、Ｍ１−Ｖ１６０、Ｍ１−Ｓ１５９、Ｍ１−Ｌ１５８、Ｍ１−Ｆ１５７、Ｍ１−Ｉ１５６、Ｍ１−Ｇ１５５、Ｍ１−Ｋ１５４、ＭＩ−Ｌ１５３、Ｍ１−Ｍ１５２、Ｍ１−Ｄ１５１、Ｍ１−Ｒ１５０、Ｍ１−Ｆ１４９、Ｍ１−Ｆ１４８、Ｍ１−Ｌ１４７、Ｍ１−Ｗ１４６、Ｍ１−Ｐ１４５、Ｍ１−Ｔ１４４、Ｍ１−Ｑ１４３、Ｍ１−Ｋ１４２、Ｍ１−Ｎ１４１、Ｍ１−Ｆ１４０、Ｍ１−Ｇ１３９、Ｍ１−Ｈ１３８、Ｍ１−Ｒ１３７、Ｍ１−Ａ１３６、Ｍ１−Ｅ１３５、Ｍ１−Ｉ１３４、Ｍ１−Ｖ１３３、Ｍ１−Ｆ１３２、Ｍ１−Ｔ１３１、Ｍ１−Ｓ１３０、Ｍ１−Ｙ１２９、Ｍ１−Ｌ１２８、Ｍ１−Ｓ１２７、Ｍ１−Ｆ１２６、Ｍ１−Ｐ１２５、Ｍ１−Ｌ１２４、Ｍ１−Ｄ１２３、Ｍ１−Ｔ１２２、Ｍ１−Ｉ１２１、Ｍ１−Ｑ１２０、Ｍ１−Ｓ１１９、Ｍ１−Ｗ１１８、Ｍ１−Ｉ１１７、Ｍ１−Ｍ１１６、Ｍ１−Ｌ１１５、Ｍ１−Ｇ１１４、Ｍ１−Ａ１１３、Ｍ１−Ｌ１１２、Ｍ１−Ｆ１１１、Ｍ１−Ａ１１０、Ｍ１−Ｌ１０９、Ｍ１−Ｔ１０８、Ｍ１−Ｈ１０７、Ｍ１−Ｌ１０６、Ｍ１−Ｉ１０５、Ｍ１−Ｅ１０４、Ｍ１−Ｎ１０３、Ｍ１−Ｅ１０２、Ｍ１−Ａ１０１、Ｍ１−Ｎ１００、Ｍ１−Ｆ９９、Ｍ１−Ｇ９８、Ｍ１−Ａ９７、Ｍ１−Ｉ９６、Ｍ１−Ｔ９５、Ｍ１−Ｍ９４、Ｍ１−Ｆ９３、Ｍ１−Ｄ９２、Ｍ１−Ｇ９１、Ｍ１−Ｓ９０、Ｍ１−Ｋ８９、Ｍ１−Ｋ８８、Ｍ１−Ｗ８７、Ｍ１−Ｆ８６、Ｍ１−Ｗ８５、Ｍ１−Ｐ８４、Ｍ１−Ｌ８３、Ｍ１−Ｖ８２、Ｍ１−Ｇ８１、Ｍ１−Ｆ８０、Ｍ１−Ｙ７９、Ｍ１−Ｌ７８、Ｍ１−Ｉ７７、Ｍ１−Ｔ７６、Ｍ１−Ｓ７５、Ｍ１−Ｄ７４、Ｍ１−Ｔ７３、Ｍ１−Ｖ７２、Ｍ１−Ｉ７１、Ｍ１−Ｔ７０、Ｍ１−Ｖ６９、Ｍ１−Ｆ６８、Ｍ１−Ｅ６７、Ｍ１−Ｈ６６、Ｍ１−Ｖ６５、Ｍ１−Ｆ６４、Ｍ１−Ｈ６３、Ｍ１−Ｆ６２、Ｍ１−Ｈ６１、Ｍ１−Ｓ６０、Ｍ１−Ｋ５９、Ｍ１−Ｄ５８、Ｍ１−Ｌ５７、Ｍ１−Ｓ５６、Ｍ１−Ｙ５５、Ｍ１−Ａ５４、Ｍ１−Ｒ５３、Ｍ１−Ｓ５２、Ｍ１−Ｋ５１、Ｍ１−Ｅ５０、Ｍ１−Ｆ４９、Ｍ１−Ｋ４８、Ｍ１−Ｅ４７、Ｍ１−Ｑ４６、Ｍ１−Ｓ４５、Ｍ１−Ｉ４４、Ｍ１−Ｖ４３、Ｍ１−Ｇ４２、Ｍ１−Ｅ４１、Ｍ１−Ｌ４０、Ｍ１−Ｔ３９、Ｍ１−Ｋ３８、Ｍ１−Ｐ３７、Ｍ１−Ｌ３６、Ｍ１−Ｔ３５、Ｍ１−Ｐ３４、Ｍ１−Ｌ３３、Ｍ１−Ｋ３２、Ｍ１−Ｌ３１、Ｍ１−Ａ３０、Ｍ１−Ｒ２９、Ｍ１−Ｈ２８、Ｍ１−Ｑ２７、Ｍ１−Ｒ２６、Ｍ１−Ｖ２５、Ｍ１−Ｄ２４、Ｍ１−Ｌ２３、Ｍ１−Ｙ２２、Ｍ１−Ｔ２１、Ｍ１−Ｅ２０、Ｍ１−Ｆ１９、Ｍ１−Ｉ１８、Ｍ１−Ｙ１７、Ｍ１−Ｍ１６、Ｍ１−Ｌ１５、Ｍ１−Ｉ１４、Ｍ１−Ｍ１３、Ｍ１−Ｆ１２、Ｍ１−Ｇ１１、Ｍ１−Ｖ１０、Ｍ１−Ｖ９、Ｍ１−Ａ８、Ｍ１−Ｅ７（配列番号８）。これらのポリペプチドをコードするポリヌクレオチド配列も提供される。
【００９９】
ＥＳＴ配列のような多くのポリヌクレオチド配列は、配列データベースにより公的に利用可能およびアクセス可能である。これらの配列の幾つかは、配列番号７に関連しており、本発明の考案前に公的に利用可能であった場合がある。好ましくは、かかる関連ポリヌクレオチドは、本発明の範囲から具体的に排除される。すべての関連配列を列挙することは、厄介である。したがって、好ましくは、ａ〜ｂの一般式（ここで、ａは、配列番号７の１〜１４７３の任意の整数であり、ｂは、１５〜１４３４の整数であり、ａとｂの両方が、配列番号７に示すヌクレオチド残基の位置に対応し、ｂは、ａ＋１４以上である）で示されるヌクレオチド配列を含む１つまたは複数のポリヌクレオチドは本発明から排除される。
【０１００】
遺伝子番号５によりコードされるポリペプチドの特徴
配列番号９（図１０）に従うポリヌクレオチド配列によりコードされ、および／または寄託クローンＺｍＰｒＰａｓｅ１内に含まれるポリヌクレオチドによりコードされる配列番号１０（図１１）として提供されるこの遺伝子のポリペプチドは、ヒトおよび酵母プレニルペプチダーゼの両方に対してヌクレオチドおよびアミノ酸レベルでの有意な相同性を有する（図１２Ａ〜Ｄを参照）。相同性に基づいて、本発明のポリヌクレオチドは、プレニルペプチダーゼとに少なくとも幾つかの生物学活性を共有し得る。本発明のポリヌクレオチドおよびポリペプチドには、そのアゴニストおよび／または断片も加え）植物に対する干ばつ耐性および／または塩耐性を付与することを含むが、これらに限定されない用途がある。ポリヌクレオチドも、全長のＺｍＰｒＰａｓｅ１を同定することを含む用途を有する。さらに、本発明のポリペプチドに対するアンタゴニストも、植物、に対する干ばつ耐性および／または塩耐性を付与する際に有用であり得る。
【０１０１】
細菌シャペロンＤｎａＪのファルネシル化は、高温での細菌成長に不可欠である（Ｗｉｃｋｎｅｒ， Ｓ． ｅｔ ａｌ １９９１， Ｎａｔｕｒｅ ３５０：１６５−７）。このシャペロンのファルネシル化は、その完全な活性に必要とされる。植物アトリプレクス・ヌムラリアＡｔｒｉｐｌｅｘ ｎｕｍｍｕｌａｒｉａでは、ＡＮＪ１が、ＤｎａＪの相同体であり、熱および塩処理により誘導される（Ｚｈｕ， Ｊ．−Ｋ． ｅｔ ａｌ １９９３ Ｔｈｅ Ｐｌａｎｔ Ｃｅｌｌ ５：３４１−９）。この酵素は、ファルネシル化の標的である。植物シャペロンのファルネシル化の増加は、これらの酵素のより高い生物活性をもたらし、したがって植物ストレス耐性の増加を引き起こすことがわかっている。したがって、本発明のポリヌクレオチドおよびポリペプチド（それらのアゴニストおよび／断片を含む）には、植物における熱、干ばつおよび塩ストレスに対する抵抗性を付与することを含む用途がある。あるいは、本発明のアンタゴニストには、植物における熱、干ばつ、および塩ストレスを含むが、これらに限定されない生物的および／非生物的ストレスに対する植物の感受性を調節することを含む用途がある。好ましくは、本発明のアンタゴニストは、熱、干ばつ、および塩ストレスに対する植物抵抗性を増加させる。一実施形態では、構成的プロモーター（例えば、３５Ｓ、または本明細書中に開示する他のプロモーター）を用いた植物内の本発明のＰｒＰａｓｅポリペプチドの過剰発現（但し孔辺細胞中ではない）は、植物の干ばつおよび塩耐性を改善するのに有用であろう。
【０１０２】
タンパク質ファルネシル化は、細胞周期の制御と正に関与している（Ｚｉｅｇｅｌｈｏｆｆｅｒ ｅｔ ａｌ ２０００ ＰＮＡＳ ９７：７６３３−８）。タンパク質ファルネシル化に関与した遺伝子、すなわちファルネシルトランスフェラーゼの突然変異は、アラビドプシス植物において細胞増殖の阻害をもたらす（Ｂｏｎｅｔｔａ ｅｔ ａｌ． ２０００ Ｐｌａｎｔａ ２１１：１８２−９０）。ファルネシル化経路の植物における構成的過剰発現、すなわちプレニルペプチダーゼの過剰発現は、細胞増殖の増加、植物成長の増加をもたらす。本発明のポリヌクレオチドおよびポリペプチド（それらのアゴニストおよび／または断片を含む）には、植物成長、および潜在的に植物の収量高の調節、好ましくは植物成長の増加を含む用途がある。さらに、本発明のアンタゴニストには、植物成長および／または収量高の調節（より好ましくは植物および収量高の増加を介する）含む用途があり得る。さらに別の実施形態では、構成的プロモーター（例えば、３５Ｓ、または本明細書中に開示する他のプロモーター）を用いた本発明のＰｒＰａｓｅポリペプチドの過剰発現は、細胞分裂を促進することで、植物成長を増加させるのに有用であり得る。
【０１０３】
コードポリペプチドは、プレニルプロテアーゼとに少なくとも幾つかの生物活性を共有し得ると考えられるが、このクローンの正確な生物学的機能を決定する多数の方法が、当該技術分野で既知であるか、または本明細書中の他の箇所に記載されている。簡潔に述べると、このクローンの機能は、マイクロアレイ方法論を適用することで決定し得る。本発明の他のクローンに加えてＺｍＰｒＰａａｓｅ１クローンを、発現プロファイリング用のマイクロチップ上に配列し得る。どのポリヌクレオチドプローブがスライドにハイブリダイズするのに使用されるかに応じて、特定遺伝子の発現の変化は、研究される条件に基づいて、この遺伝子の機能に対するさらなる洞察を提供し得る。例えば、使用するポリヌクレオチドプローブが、冷却処理した組織に由来する場合の発現レベルで観察される増加または減少は、寒冷耐性を調節する際の機能を示し得る。ＺｍＰｒＰａｓｅ１の場合では、水を与えない組織、あるいは他の生物的または非生物的ストレス（熱、干ばつ、高光量、高塩等）によりストレスを加えた組織は、プローブを調製するためにＲＮＡを抽出するのに使用されるはずである。
【０１０４】
さらに、タンパク質の機能は、例えば、定量的ＰＣＲ方法論を提供することで評価してもよい。リアルタイム定量的ＰＣＲは、例えば植物発生周期全体にわたって特定の遺伝子の発現を追跡する能力を提供する。定量的ＰＣＲ方法論は、ほんのわずかな量の、各発生上重要な段階（３日発芽苗木、１週齢苗木［根、新芽、および茎］、開花開始前の根、葉および茎、花［種々の部分］、および／または発生中の胚）からの組織が、かかる実験を実施するのに必要なだけである。したがって、このポリペプチドの生物学的機能を精密化するための定量的ＰＣＲ方法論の適用は、本発明に包含される。また、配列番号９（図１０）として提供されるポリヌクレオチド配列に相当する定量的ＰＣＲプローブも本発明に包含される。
【０１０５】
タンパク質の機能はまた、酵母中の相補性アッセイにより評価してもよい。例えば、ＺｍＰｒＰａｓｅクローン１の場合では、プレニルプロテアーゼ活性を欠損した酵母を形質転換し、それの成長する能力を評価することは、ＺｍＰｒＰａｓｅ１クローンが、プレニルプロテアーゼ活性を有するという説得力のある証拠を提供する。本発明のポリヌクレオチドおよびポリペプチドの機能を評価するのに使用し得るさらなるアッセイ条件および方法は、当該技術分野で既知であり、その幾つかが、本明細書中の他の箇所に開示されている。
【０１０６】
あるいは、コードポリペプチドの生物学的機能は、シネコシスティス（Ｓｙｎｅｃｈｏｓｙｓｔｉｓ）でこのポリペプチドの相同体を崩壊させることで決定してもよい。シアノバクテリア（青緑色藻類）は、植物葉緑体の前駆物質とみなされる。それは、光合成系および植物の代謝プロセスを連想させる多くの他の代謝プロセスの両方を保有する。これらのプロセスは、市販の除草剤の対象であることが多く、この生物は、多くの種類の除草剤の作用機序に研究で広範に使用されている。シネコシスティスは、最良に研究されたシアノバクテリアの１つである。シアノバクテリアに共通する特徴の多くに加え、それは、多くの他の付加的利点を提供する。シネコシスティスは、自然に存在する遺伝子形質転換系を有しており、したがって、よく特性化された系のうちのいくつか（Ｓ．セレビシエ（Ｓ．ｃｅｒｅｖｉｓｉａｅ）、大腸菌）に適用可能である強力かつ複雑な遺伝子および分子操作（例えば、標的遺伝子崩壊、遺伝子置換等）を引き起こす。最も重要なことには、シネコシスティスの完全なゲノム配列情報の有用性は、所定の遺伝子（複数可）の迅速な同定およびクローニングのための手段、ならびに遺伝子敵および分子的手段による遺伝子機能の解明をもたらす。
【０１０７】
さらに、このポリペプチドの生物学的機能は、アンチセンスおよび／またはセンス方法論の適用、およびそれにより得られるトランスジェニック植物の生成により決定してもよい。トランスジェニック植物中のセンスまたはアンチセンス配向での特定遺伝子の発現は、当該特定遺伝子のそれぞれより高いまたは低い発現レベルを引き起こすことができる。遺伝子の内因性発現レベルの変更は、特定の表現型の観察を引き起こすことができ、続いてその特定の表現型は、遺伝子の機能についての徴候を駆動するのに使用することができる。遺伝子は、強力な遍在性プロモーターを用いていつでも植物のあらゆる細胞で過剰発現または過小発現され得るか、あるいはそれは、十分に特性化された組織特異的プロモーター（すなわち、根プロモーター、または花特異的プロモーター）を用いて植物の１つまたは複数の別個の部分で発現され得るか、あるいはそれは、誘導性および／または発生的に調節されるプロモーターを用いて発生の特定の時期で発現され得る。
【０１０８】
ＺｍＰｒＰａｓｅ１トランスジェニック植物の場合では、正常な成長条件で表現型が明らかでない場合、ストレス条件（水の欠乏、高塩の存在、あるいは寒冷、熱、干ばつ、高光量等のような他の生物的または非生物的ストレス）下で植物を観察することにより、遺伝子機能の理解がもらされ得る。種子貯蔵化合物の場合には、油、糖およびタンパク質の生化学的分析（実施例３４を参照）は、遺伝子の機能の理解をもたらし得る。したがって、ポリペプチドの生物学的機能を精密化するためのトランスジェニック植物の創出への、アンチセンスおよび／またはセンス方法論の適用は、本発明に包含される。
【０１０９】
好ましい実施形態では、以下のＮ末端欠失突然変異体は、本発明に包含される：Ｔ１−Ｄ３２９、Ｒ２−Ｄ３２９、Ｌ３−Ｄ３２９、Ｓ４−Ｄ３２９、Ａ５−Ｄ３２９、Ｅ６−Ｄ３２９、Ｎ７−Ｄ３２９、Ｅ８−Ｄ３２９、Ｉ９−Ｄ３２９、Ｉ１０−Ｄ３２９、Ｈ１１−Ｄ３２９、Ｔ１２−Ｄ３２９、Ｌ１３−Ｄ３２９、Ａ１４−Ｄ３２９、Ｆ１５−Ｄ３２９、Ｌ１６−Ｄ３２９、Ａ１７−Ｄ３２９、Ｇ１８−Ｄ３２９、Ｓ１９−Ｄ３２９、Ｍ２０−Ｄ３２９、Ｖ２１−Ｄ３２９、Ｗ２２−Ｄ３２９、Ｓ２３−Ｄ３２９、Ｑ２４−Ｄ３２９、Ｉ２５−Ｄ３２９、Ｔ２６−Ｄ３２９、Ｄ２７−Ｄ３２９、Ｌ２８−Ｄ３２９、Ｐ２９−Ｄ３２９、Ｆ３０−Ｄ３２９、Ｓ３１−Ｄ３２９、Ｌ３２−Ｄ３２９、Ｙ３３−Ｄ３２９、Ｓ３４−Ｄ３２９、Ｔ３５−Ｄ３２９、Ｆ３６−Ｄ３２９、Ｖ３７−Ｄ３２９、Ｉ３８−Ｄ３２９、Ｅ３９−Ｄ３２９、Ａ４０−Ｄ３２９、Ｒ４１−Ｄ３２９、Ｈ４２−Ｄ３２９、Ｇ４３−Ｄ３２９、Ｆ４４−Ｄ３２９、Ｎ４５−Ｄ３２９、Ｋ４６−Ｄ３２９、Ｑ４７−Ｄ３２９、Ｔ４８−Ｄ３２９、Ｉ４９−Ｄ３２９、Ｗ５０−Ｄ３２９、Ｌ５１−Ｄ３２９、Ｆ５２−Ｄ３２９、Ｉ５３−Ｄ３２９、Ｒ５４−Ｄ３２９、Ｄ５５−Ｄ３２９、Ｍ５６−Ｄ３２９、Ｉ５７−Ｄ３２９、Ｋ５８−Ｄ３２９、Ｇ５９−Ｄ３２９、Ｉ６０−Ｄ３２９、Ｌ６１−Ｄ３２９、Ｌ６２−Ｄ３２９、Ｓ６３−Ｄ３２９、Ｍ６４−Ｄ３２９、Ｉ６５−Ｄ３２９、Ｌ６６−Ｄ３２９、Ｇ６７−Ｄ３２９、Ｐ６８−Ｄ３２９、Ｐ６９−Ｄ３２９、Ｉ７０−Ｄ３２９、Ｖ７１−Ｄ３２９、Ａ７２−Ｄ３２９、Ａ７３−Ｄ３２９、Ｉ７４−Ｄ３２９、Ｉ７５−Ｄ３２９、Ｙ７６−Ｄ３２９、Ｉ７７−Ｄ３２９、Ｖ７８−Ｄ３２９、Ｑ７９−Ｄ３２９、Ｉ８０−Ｄ３２９、Ｇ８１−Ｄ３２９、Ｇ８２−Ｄ３２９、Ｐ８３−Ｄ３２９、Ｙ８４−Ｄ３２９、Ｌ８５−Ｄ３２９、Ａ８６−Ｄ３２９、Ｉ８７−Ｄ３２９、Ｙ８８−Ｄ３２９、Ｌ８９−Ｄ３２９、Ｗ９０−Ｄ３２９、Ｇ９１−Ｄ３２９、Ｆ９２−Ｄ３２９、Ｍ９３−Ｄ３２９、Ｆ９４−Ｄ３２９、Ｖ９５−Ｄ３２９、Ｌ９６−Ｄ３２９、Ａ９７−Ｄ３２９、Ｌ９８−Ｄ３２９、Ｌ９９−Ｄ３２９、Ｍ１００−Ｄ３２９、Ｍ１０１−Ｄ３２９、Ｔ１０２−Ｄ３２９、Ｉ１０３−Ｄ３２９、Ｙ１０４−Ｄ３２９、Ｐ１０５−Ｄ３２９、Ｉ１０６−Ｄ３２９、Ｖ１０７−Ｄ３２９、Ｉ１０８−Ｄ３２９、Ａ１０９−Ｄ３２９、Ｐ１１０−Ｄ３２９、Ｌ１１１−Ｄ３２９、Ｆ１１２−Ｄ３２９、Ｎ１１３−Ｄ３２９、Ｋ１１４−Ｄ３２９、Ｆ１１５−Ｄ３２９、Ｔ１１６−Ｄ３２９、Ｐ１１７−Ｄ３２９、Ｌ１１８−Ｄ３２９、Ｐ１１９−Ｄ３２９、Ｅ１２０−Ｄ３２９、Ｇ１２１−Ｄ３２９、Ｖ１２２−Ｄ３２９、Ｌ１２３−Ｄ３２９、Ｒ１２４−Ｄ３２９、Ｅ１２５−Ｄ３２９、Ｋ１２６−Ｄ３２９、Ｉ１２７−Ｄ３２９、Ｅ１２８−Ｄ３２９、Ｋ１２９−Ｄ３２９、Ｌ１３０−Ｄ３２９、Ａ１３１−Ｄ３２９、Ａ１３２−Ｄ３２９、Ｓ１３３−Ｄ３２９、Ｌ１３４−Ｄ３２９、Ｋ１３５−Ｄ３２９、Ｆ１３６−Ｄ３２９、Ｐ１３７−１１３２９、Ｌ１３８−Ｄ３２９、Ｋ１３９−Ｄ３２９、Ｋ１４０−Ｄ３２９、Ｌ１４１−Ｄ３２９、Ｆ１４２−Ｄ３２９、Ｖ１４３−Ｄ３２９、Ｖ１４４−Ｄ３２９、Ｄ１４５−Ｄ３２９、Ｇ１４６−Ｄ３２９、Ｓ１４７−Ｄ３２９、Ｔ１４８−Ｄ３２９、Ｒ１４９−Ｄ３２９、Ｓ１５０−Ｄ３２９、Ｓ１５１−Ｄ３２９、Ｈ１５２−Ｄ３２９、Ｓ１５３−Ｄ３２９、Ｎ１５４−Ｄ３２９、Ａ１５５−０３２９、Ｙ１５６−Ｄ３２９、Ｍ１５７−Ｄ３２９、Ｙ１５８−Ｄ３２９、Ｇ１５９−Ｄ３２９、Ｆ１６０−Ｄ３２９、Ｆ１６１−Ｄ３２９、Ｋ１６２−Ｄ３２９、Ｎ１６３−Ｄ３２９、Ｋ１６４−Ｄ３２９、Ｒ１６５−Ｄ３２９、Ｉ１６６−Ｄ３２９、Ｖ１６７−Ｄ３２９、Ｌ１６８−Ｄ３２９、Ｙ１６９−Ｄ３２９、Ｄ１７０−Ｄ３２９、Ｔ１７１−Ｄ３２９、Ｌ１７２−Ｄ３２９、Ｉ１７３−Ｄ３２９、Ｑ１７４−Ｄ３２９、Ｑ１７５−Ｄ３２９、Ｃ１７６−Ｄ３２９、Ｓ１７７−Ｄ３２９、Ｎ１７８−Ｄ３２９、Ｅ１７９−Ｄ３２９、Ｄ１８０−Ｄ３２９、Ｅ１８１−Ｄ３２９、Ｉ１８２−Ｄ３２９、Ｖ１８３−Ｄ３２９、Ｓ１８４−Ｄ３２９、Ｖ１８５−Ｄ３２９、Ｉ１８６−Ｄ３２９、Ａ１８７−Ｄ３２９、Ｈ１８８−Ｄ３２９、Ｅ１８９−Ｄ３２９、Ｌ１９０−Ｄ３２９、Ｇ１９１−Ｄ３２９、Ｈ１９２−Ｄ３２９、Ｗ１９３−Ｄ３２９、Ｋ１９４−Ｄ３２９、Ｌ１９５−Ｄ３２９、Ｎ１９６−Ｄ３２９、Ｈ１９７−Ｄ３２９、Ｔ１９８−Ｄ３２９、Ｖ１９９−Ｄ３２９、Ｙ２００−Ｄ３２９、Ｓ２０１−Ｄ３２９、Ｆ２０２−Ｄ３２９、Ｖ２０３−Ｄ３２９、Ａ２０４−Ｄ３２９、Ｖ２０５−Ｄ３２９、Ｑ２０６−Ｄ３２９、Ｌ２０７−Ｄ３２９、Ｌ２０８−Ｄ３２９、Ｍ２０９−Ｄ３２９、Ｆ２１０−Ｄ３２９、Ｌ２１１−Ｄ３２９、Ｑ２１２−Ｄ３２９、Ｆ２１３−Ｄ３２９、Ｇ２１４−Ｄ３２９、Ｇ２１５−Ｄ３２９、Ｙ２１６−Ｄ３２９、Ｔ２１７−Ｄ３２９、Ｌ２１８−Ｄ３２９、Ｖ２１９−Ｄ３２９、Ｒ２２０−Ｄ３２９、Ｓ２２１−Ｄ３２９、Ｓ２２２−Ｄ３２９、Ｋ２２３−Ｄ３２９、Ｄ２２４−Ｄ３２９、Ｌ２２５−Ｄ３２９、Ｆ２２６−Ｄ３２９、Ｇ２２７−Ｄ３２９、Ｓ２２８−Ｄ３２９、Ｆ２２９−Ｄ３２９、Ｇ２３０−Ｄ３２９、Ｆ２３１−Ｄ３２９、Ｋ２３２−Ｄ３２９、Ｄ２３３−Ｄ３２９、Ｑ２３４−Ｄ３２９、Ｐ２３５−Ｄ３２９、Ｖ２３６−Ｄ３２９、Ｉ２３７−Ｄ３２９、Ｉ２３８−Ｄ３２９、Ｇ２３９−Ｄ３２９、Ｌ２４０−Ｄ３２９、Ｉ２４１−Ｄ３２９、Ｉ２４２−Ｄ３２９、Ｆ２４３−Ｄ３２９、Ｐ２４４−Ｄ３２９、Ｈ２４５−Ｄ３２９、Ｔ２４６−Ｄ３２９、Ｉ２４７−Ｄ３２９、Ｉ２４８−Ｄ３２９、Ｐ２４９−Ｄ３２９、Ｉ２５０−Ｄ３２９、Ｑ２５１−Ｄ３２９、Ｈ２５２−Ｄ３２９、Ｌ２５３−Ｄ３２９、Ｌ２５４−Ｄ３２９、Ｓ２５５−Ｄ３２９、Ｆ２５６−Ｄ３２９、Ｒ２５７−Ｄ３２９、Ｌ２５８−Ｄ３２９、Ｎ２５９−Ｄ３２９、Ｌ２６０−Ｄ３２９、Ｖ２６１−Ｄ３２９、Ｓ２６２−Ｄ３２９、Ｒ２６３−Ｄ３２９、Ａ２６４−Ｄ３２９、Ｆ２６５−Ｄ３２９、Ｅ２６６−Ｄ３２９、Ｆ２６７−Ｄ３２９、Ｑ２６８−Ｄ３２９、Ａ２６９−Ｄ３２９、Ｄ２７０−Ｄ３２９、Ａ２７１−Ｄ３２９、Ｆ２７２−Ｄ３２９、Ａ２７３−Ｄ３２９、Ｋ２７４−Ｄ３２９、Ｎ２７５−Ｄ３２９、Ｌ２７６−Ｄ３２９、Ｇ２７７−Ｄ３２９、Ｙ２７８−Ｄ３２９、Ａ２７９−Ｄ３２９、Ｐ２８０−Ｄ３２９、Ｑ２８１−Ｄ３２９、Ｌ２８２−Ｄ３２９、Ｒ２８３−Ｄ３２９、Ａ２８４−Ｄ３２９、Ａ２８５−Ｄ３２９、Ｌ２８６−Ｄ３２９、Ｖ２８７−Ｄ３２９、Ｋ２８８−Ｄ３２９、Ｌ２８９−Ｄ３２９、Ｑ２９０−Ｄ３２９、Ｅ２９１−Ｄ３２９、Ｅ２９２−Ｄ３２９、Ｎ２９３−Ｄ３２９、Ｌ２９４−Ｄ３２９、Ｓ２９５−Ｄ３２９、Ａ２９６−Ｄ３２９、Ｍ２９７−Ｄ３２９、Ｎ２９８−Ｄ３２９、Ｔ２９９−Ｄ３２９、Ｄ３００−Ｄ３２９、Ｐ３０１−Ｄ３２９、Ｗ３０２−Ｄ３２９、Ｙ３０３−Ｄ３２９、Ｓ３０４−Ｄ３２９、Ａ３０５−Ｄ３２９、Ｙ３０６−Ｄ３２９、Ｈ３０７−Ｄ３２９、Ｙ３０８−Ｄ３２９、Ｓ３０９−Ｄ３２９、Ｈ３１０−Ｄ３２９、Ｐ３１１−０３２９、Ｐ３１２−Ｄ３２９、Ｌ３１３−Ｄ３２９、Ｖ３１４−Ｄ３２９、Ｅ３１５−Ｄ３２９、Ｒ３１６−Ｄ３２９、Ｌ３１７−Ｄ３２９、Ｑ３１８−Ｄ３２９、Ａ３１９−Ｄ３２９、Ｌ３２０−Ｄ３２９、Ｅ３２１−Ｄ３２９、Ｄ３２２−Ｄ３２９、Ｓ３２３−Ｄ３２９（配列番号１０）。これらのポリペプチドをコードするポリヌクレオチド配列も提供される。
【０１１０】
好ましい実施形態では、以下のＣ末端欠失突然変異体は、本発明に包含される：Ｔ１−Ｄ３２９、Ｔ１−Ｅ３２８、Ｔ１−Ｋ３２７、Ｔ１−Ｋ３２６、Ｔ１−Ｄ３２５、Ｔ１−Ｄ３２４、Ｔ１−Ｓ３２３、Ｔ１−Ｄ３２２、Ｔ１−Ｅ３２１、Ｔ１−Ｌ３２０、Ｔ１−Ａ３１９、Ｔ１−Ｑ３１８、Ｔ１−Ｌ３１７、Ｔ１−Ｒ３１６、Ｔ１−Ｅ３１５、Ｔ１−Ｖ３１４、Ｔ１−Ｌ３１３、Ｔ１−Ｐ３１２、Ｔ１−Ｐ３１１、Ｔ１−Ｈ３１０、Ｔ１−Ｓ３０９、Ｔ１−Ｙ３０８、Ｔ１−Ｈ３０７、Ｔ１−Ｙ３０６、Ｔ１−Ａ３０５、Ｔ１−Ｓ３０４、Ｔ１−Ｙ３０３、Ｔ１−Ｗ３０２、Ｔ１−Ｐ３０１、Ｔ１−Ｄ３００、Ｔ１−Ｔ２９９、Ｔ１−Ｎ２９８、Ｔ１−Ｍ２９７、Ｔ１−Ａ２９６、Ｔ１−Ｓ２９５、Ｔ１−Ｌ２９４、Ｔ１−Ｎ２９３、Ｔ１−Ｅ２９２、Ｔ１−Ｅ２９１、Ｔ１−Ｑ２９０、Ｔ１−Ｌ２８９、Ｔ１−Ｋ２８８、Ｔ１−Ｖ２８７、Ｔ１−Ｌ２８６、Ｔ１−Ａ２８５、Ｔ１−Ａ２８４、Ｔ１−Ｒ２８３、Ｔ１−Ｌ２８２、Ｔ１−Ｑ２８１、Ｔ１−Ｐ２８０、Ｔ１−Ａ２７９、Ｔ１−Ｙ２７８、Ｔ１−Ｇ２７７、Ｔ１−Ｌ２７６、Ｔ１−Ｎ２７５、Ｔ１−Ｋ２７４、Ｔ１−Ａ２７３、Ｔ１−Ｆ２７２、Ｔ１−Ａ２７１、Ｔ１−Ｄ２７０、Ｔ１−Ａ２６９、Ｔ１−Ｑ２６８、Ｔ１−Ｆ２６７、Ｔ１−Ｅ２６６、Ｔ１−Ｆ２６５、Ｔ１−Ａ２６４、Ｔ１−Ｒ２６３、Ｔ１−Ｓ２６２、Ｔ１−Ｖ２６１、Ｔ１−Ｌ２６０、Ｔ１−Ｎ２５９、Ｔ１−Ｌ２５８、Ｔ１−Ｒ２５７、Ｔ１−Ｆ２５６、Ｔ１−Ｓ２５５、Ｔ１−Ｌ２５４、Ｔ１−Ｌ２５３、Ｔ１−Ｈ２５２、Ｔ１−Ｑ２５１、Ｔ１−Ｉ２５０、Ｔ１−Ｐ２４９、Ｔ１−Ｉ２４８、Ｔ１−Ｉ２４７、Ｔ１−Ｔ２４６、Ｔ１−Ｈ２４５、Ｔ１−Ｐ２４４、Ｔ１−Ｆ２４３、Ｔ１−Ｉ２４２、Ｔ１−Ｉ２４１、Ｔ１−Ｌ２４０、Ｔ１−Ｇ２３９、Ｔ１−Ｉ２３８、Ｔ１−Ｉ２３７、Ｔ１−Ｖ２３６、Ｔ１−Ｐ２３５、Ｔ１−Ｑ２３４、Ｔ１−Ｄ２３３、Ｔ１−Ｋ２３２、Ｔ１−Ｆ２３１、Ｔ１−Ｇ２３０、Ｔ１−Ｆ２２９、Ｔ１−Ｓ２２８、Ｔ１−Ｇ２２７、Ｔ１−Ｆ２２６、Ｔ１−Ｌ２２５、Ｔ１−Ｄ２２４、Ｔ１−Ｋ２２３、Ｔ１−Ｓ２２２、Ｔ１−Ｓ２２１、Ｔ１−Ｒ２２０、Ｔ１−Ｖ２１９、Ｔ１−Ｌ２１８、Ｔ１−Ｔ２１７、Ｔ１−Ｙ２１６、Ｔ１−Ｇ２１５、Ｔ１−Ｇ２１４、Ｔ１−Ｆ２１３、Ｔ１−Ｑ２１２、Ｔ１−Ｌ２１１、Ｔ１−Ｆ２１０、Ｔ１−Ｍ２０９、Ｔ１−Ｌ２０８、Ｔ１−Ｌ２０７、Ｔ１−Ｑ２０６、Ｔ１−Ｖ２０５、Ｔ１−Ａ２０４、Ｔ１−Ｖ２０３、Ｔ１−Ｆ２０２、Ｔ１−Ｓ２０１、Ｔ１−Ｙ２００、Ｔ１−Ｖ１９９、Ｔ１−Ｔ１９８、Ｔ１−Ｈ１９７、Ｔ１−Ｎ１９６、Ｔ１−Ｌ１９５、Ｔ１−Ｋ１９４、Ｔ１−Ｗ１９３、Ｔ１−Ｈ１９２、Ｔ１−Ｇ１９１、Ｔ１−Ｌ１９０、Ｔ１−Ｅ１８９、Ｔ１−Ｈ１８８、Ｔ１−Ａ１８７、Ｔ１−Ｉ１８６、Ｔ１−Ｖ１８５、Ｔ１−Ｓ１８４、Ｔ１−Ｖ１８３、Ｔ１−Ｉ１８２、Ｔ１−Ｅ１８１、Ｔ１−Ｄ１８０、Ｔ１−Ｅ１７９、Ｔ１−Ｎ１７８、Ｔ１−Ｓ１７７、Ｔ１−Ｃ１７６、Ｔ１−Ｑ１７５、Ｔ１−Ｑ１７４、Ｔ１−Ｉ１７３、Ｔ１−Ｌ１７２、Ｔ１−Ｔ１７１、Ｔ１−Ｄ１７０、Ｔ１−Ｙ１６９、Ｔ１−Ｌ１６８、Ｔ１−Ｖ１６７、Ｔ１−Ｉ１６６、Ｔ１−Ｒ１６５、Ｔ１−Ｋ１６４、Ｔ１−Ｎ１６３、Ｔ１−Ｋ１６２、Ｔ１−Ｆ１６１、Ｔ１−Ｆ１６０、Ｔ１−Ｇ１５９、Ｔ１−Ｙ１５８、Ｔ１−Ｍ１５７、Ｔ１−Ｙ１５６、Ｔ１−Ａ１５５、Ｔ１−Ｎ１５４、Ｔ１−Ｓ１５３、Ｔ１−Ｈ１５２、Ｔ１−Ｓ１５１、Ｔ１−Ｓ１５０、Ｔ１−Ｒ１４９、Ｔ１−Ｔ１４８、Ｔ１−Ｓ１４７、Ｔ１−Ｇ１４６、Ｔ１−Ｄ１４５、Ｔ１−Ｖ１４４、Ｔ１−Ｖ１４３、Ｔ１−Ｆ１４２、Ｔ１−Ｌ１４１、Ｔ１−Ｋ１４０、Ｔ１−Ｋ１３９、Ｔ１−Ｌ１３８、Ｔ１−Ｐ１３７、Ｔ１−Ｆ１３６、Ｔ１−Ｋ１３５、Ｔ１−Ｌ１３４、Ｔ１−Ｓ１３３、Ｔ１−Ａ１３２、Ｔ１−Ａ１３１、Ｔ１−Ｌ１３０、Ｔ１−Ｋ１２９、Ｔ１−Ｅ１２８、Ｔ１−Ｉ１２７、Ｔ１−Ｋ１２６、Ｔ１−Ｅ１２５、Ｔ１−Ｒ１２４、Ｔ１−Ｌ１２３、Ｔ１−Ｖ１２２、Ｔ１−Ｇ１２１、Ｔ１−Ｅ１２０、Ｔ１−Ｐ１１９、Ｔ１−Ｌ１１８、Ｔ１−Ｐ１１７、Ｔ１−Ｔ１１６、Ｔ１−Ｆ１１５、Ｔ１−Ｋ１１４、Ｔ１−Ｎ１１３、Ｔ１−Ｆ１１２、Ｔ１−Ｌ１１１、Ｔ１−Ｐ１１０、Ｔ１−Ａ１０９、Ｔ１−Ｉ１０８、Ｔ１−Ｖ１０７、Ｔ１−Ｉ１０６、Ｔ１？Ｐ１０５、Ｔ１−Ｙ１０４、Ｔ１−Ｉ１０３、Ｔ１−Ｔ１０２、Ｔ１−Ｍ１０１、Ｔ１−Ｍ１００、Ｔ１−Ｌ９９、Ｔ１−Ｌ９８、Ｔ１−Ａ９７、Ｔ１−Ｌ９６、Ｔ１−Ｖ９５、Ｔ１−Ｆ９４、Ｔ１−Ｍ９３、Ｔ１−Ｆ９２、Ｔ１−Ｇ９１、Ｔ１−Ｗ９０、Ｔ１−Ｌ８９、Ｔ１−Ｙ８８、Ｔ１−Ｉ８７、Ｔ１−Ａ８６、Ｔ１−Ｌ８５、Ｔ１−Ｙ８４、Ｔ１−Ｐ８３、Ｔ１−Ｇ８２、Ｔ１−Ｇ８１、Ｔ１−Ｉ８０、Ｔ１−Ｑ７９、Ｔ１−Ｖ７８、Ｔ１−Ｉ７７、Ｔ１−Ｙ７６、Ｔ１−Ｉ７５、Ｔ１−Ｉ７４、Ｔ１−Ａ７３、Ｔ１−Ａ７２、Ｔ１−Ｖ７１、Ｔ１−Ｉ７０、Ｔ１−Ｐ６９、Ｔ１−Ｐ６８、Ｔ１−Ｇ６７、Ｔ１−Ｌ６６、Ｔ１−Ｉ６５、Ｔ１−Ｍ６４、Ｔ１−Ｓ６３、Ｔ１−Ｌ６２、Ｔ１−Ｌ６１、Ｔ１−Ｉ６０、Ｔ１−Ｇ５９、Ｔ１−Ｋ５８、Ｔ１−Ｉ５７、Ｔ１−Ｍ５６、Ｔ１−Ｄ５５、Ｔ１−Ｒ５４、Ｔ１−Ｉ５３、Ｔ１−Ｆ５２、Ｔ１−Ｌ５１、Ｔ１−Ｗ５０、Ｔ１−Ｉ４９、Ｔ１−Ｔ４８、Ｔ１−Ｑ４７、Ｔ１−Ｋ４６、Ｔ１−Ｎ４５、Ｔ１−Ｆ４４、Ｔ１−Ｇ４３、Ｔ１−Ｈ４２、Ｔ１−Ｒ４１、Ｔ１−Ａ４０、Ｔ１−Ｅ３９、Ｔ１−Ｉ３８、Ｔ１−Ｖ３７、Ｔ１−Ｆ３６、Ｔ１−Ｔ３５、Ｔ１−Ｓ３４、Ｔ１−Ｙ３３、Ｔ１−Ｌ３２、Ｔ１−Ｓ３１、Ｔ１−Ｆ３０、Ｔ１−Ｐ２９、Ｔ１−Ｌ２８、Ｔ１−Ｄ２７、Ｔ１−Ｔ２６、Ｔ１−Ｉ２５、Ｔ１−Ｑ２４、Ｔ１−Ｓ２３、Ｔ１−Ｗ２２、Ｔ１−Ｖ２１、Ｔ１−Ｍ２０、Ｔ１−Ｓ１９、Ｔ１−Ｇ１８、Ｔ１−Ａ１７、Ｔ１−Ｌ１６、Ｔ１−Ｆ１５、Ｔ１−Ａ１４、Ｔ１−Ｌ１３、Ｔ１Ｔ１２、Ｔ１−Ｈ１１、Ｔ１−Ｉ１０、Ｔ１−Ｉ９、Ｔ１−Ｅ８、Ｔ１−Ｎ７（配列番号１０）。これらのポリペプチドをコードするポリヌクレオチド配列も提供される。
【０１１１】
ＥＳＴ配列のような多くのポリヌクレオチド配列は、配列データベースにより公的に利用可能およびアクセス可能である。これらの配列の幾つかは、配列番号９に関連しており、本発明の考案前に公的に利用可能であった場合がある。好ましくは、かかる関連ポリヌクレオチドは、本発明の範囲から具体的に排除される。すべての関連配列を列挙することは、厄介である。したがって、好ましくは、ａ〜ｂの一般式（ここで、ａは、配列番号９の１〜１３０１の任意の整数であり、ｂは、１５〜１３０１の整数であり、ａとｂの両方が、配列番号９に示すヌクレオチド残基の位置に対応し、ｂは、ａ＋１４以上である）で示されるヌクレオチド配列を含む１つまたは複数のポリヌクレオチドは本発明から排除される。
【０１１２】
【表１】
2004521610.tif 000003
【０１１３】
第１表は、上述の各「遺伝子番号」に相当する情報を要約している。「ヌクレオチド配列番号Ｘ」として特定されたヌクレオチド配列は、第１表で特定された「ｃＤＮＡクローン識別番号」から、また場合によってはさらなる関連ＤＮＡクローンから得られる部分的相同性（「重複」）配列から構築された。重複配列は、高複製の単一連続配列（通常各ヌクレオチド位置にある幾つかの重複配列）へと構築され、配列番号Ｘとして特定される最終配列を生じた。
【０１１４】
ｃＤＮＡクローン識別番号は、記載の日に寄託され、「ＡＴＣＣ寄託番号Ｚおよび日付」で列挙される相当する寄託番号が付与された。「ベクター」は、ｃＤＮＡクローン識別番号に含まれるベクターの型を指す。ｐＣＲ２．１は、Ｉｎｖｉｔｒｏｇｅｎ， Ｉｎｃから得られた。
【０１１５】
「クローンの総ヌクレオチド配列」は、「遺伝子番号」で特定されるクローンコンティグ中のヌクレオチドの総数を指す。寄託したクローンは、配列番号Ｘの配列のすべてまたはほとんどを含有し得る。推定開始コドン（メチオニン）
の配列番号Ｘのヌクレオチド位置は、「ＯＲＦの開始コドンの５’ヌクレオチド」として特定される。
【０１１６】
メチオニンから開始する翻訳アミノ酸配列は、「アミノ酸配列番号Ｙ」として特定されるが、他のリーディングフレームもまた、既知の分子生物学的技法を用いて容易に翻訳され得る。これらの代替的オープンリーディングフレームにより産生されるポリペプチドは、本発明により具体的に意図される。
【０１１７】
配列番号Ｙのオープンリーディングフレーム内のアミノ酸の総数は、「ＯＲＦの総アミノ酸」として特定される。
【０１１８】
配列番号Ｘ（ここで、Ｘは、配列表に開示したポリヌクレオチド配列のいずれであり得る）、および翻訳配列番号Ｙ（ここで、Ｙは、配列表に開示したポリペプチド配列のいずれかであり得る）は、当該技術分野で既知であり、かつ以下にさらに記載する様々な用途に十分に正確であり、またそうでなければその用途に適している。例えば、配列番号Ｘは、配列番号Ｘに含まれる核酸配列または寄託クローンに含まれるｃＤＮＡを検出する核酸ハイブリダイゼーションプローブを設計するのに有用である。これらのプローブはまた、生物学的試料中の核酸分子にハイブリダイズし、それにより本発明の様々な法医学的および診断の方法が可能となるであろう。同様に、配列番号Ｙから特定されるポリペプチドは、例えば、そのポリペプチドを含有するタンパク質、および第１表で特定されるｃＤＮＡクローンによりコードされるタンパク質に特異的に結合する抗体を生成するのに使用してもよい。
【０１１９】
そうは言っても、シーケンシング反応により生成するＤＮＡ配列は、シーケンシング誤差を含み得る。誤差は、誤認ヌクレオチドとして、あるいは生成ＤＮＡ配列中のヌクレオチドの挿入または欠失として存在する。誤って挿入または欠失されたヌクレオチドは、予測アミノ酸配列のリーディングフレーム中にフレームシフトを引き起こし得る。これらの場合では、生成ＤＮＡ配列は、実際のＤＮＡ配列に対して９９．９％を上回って同一である（例えば、１０００塩基を超えるオープンリーデングフレーム中に１塩基の挿入または欠失）にもかかわらず、予測アミノ酸配列は、実際のアミノ酸配列と異なる。
【０１２０】
したがって、ヌクレオチド配列またはアミノ酸配列中の正確さを要する用途に関して、本発明は、配列番号Ｘとして特定される生成ヌクレオチド配列および配列番号Ｙとして特定されると予測翻訳アミノ酸配列だけでなく、第１表に記載するように、ＡＴＣＣに寄託した本発明のｃＤＮＡを含有するプラスミドＤＮＡの試料もまた提供する。各寄託クローンのヌクレオチド配列は、既知の方法にしたがって寄託クローンをシーケンシングすることで容易に決定することができる。続いて、予測アミノ酸配列は、かかる寄託物から確証することができる。さらに、特定のクローンにコードされるタンパク質のアミノ酸配列は、ペプチドシーケンシングにより、あるいは寄託ｃＤＮＡを含有する適切な宿主中でタンパク質を発現させ、タンパク質を収集し、その配列を決定することで、直接的に決定することもできる。
【０１２１】
本発明はまた、配列番号Ｘ、配列番号Ｙ、または寄託クローンに相当する遺伝子に関する。相当する遺伝子は、本明細書中に開示する配列情報を用いて、既知の方法に従って単離することができる。かかる方法は、開示配列からプローブまたはプライマーを調製し、ゲノム物質の適切な供給源から相当する遺伝子を同定または増幅することを含む。
【０１２２】
種相同体、対立遺伝子変異体、および／またはオルソログもまた、本発明で提供される。当業者は、本明細書中に開示した配列またはＡＴＣＣに寄託したクローン由来の配列によって、当該技術分野で既知の手順を用いて、配列番号Ｘ、配列番号Ｙ、または寄託クローンに相当する遺伝子の完全長遺伝子（完全長コード領域を含むが、これらに限定されない）、対立遺伝子変異体、スプライス変異体、オルソログ、および／または種相同体に相当するポリヌクレオチド配列を得ることができる。例えば、対立遺伝子変異体、および／または種相同体は、本明細書中で提供する配列の５’、３’または内部領域に相当する適切なプローブまたはプライマーを作製し、対立遺伝子変異体、および／または所望の相同体に関して適切な核酸源をスクリーニングすることにより単離および特定してもよい。
【０１２３】
本発明のポリペプチドは、任意の適切な様式で調製することができる。かかるポリペプチドとしては、自然に存在する単離ポリペプチド、組換え的に産生されるポリペプチド、合成的に生産されるポリペプチド、またはこれらの方法の組合せにより生産されるポリペプチドが挙げられる。かかるポリペプチドを調製する手段は、当該技術分野で十分に理解されている。
【０１２４】
ポリペプチドは、タンパク質の形態であってもよく、あるいは融合タンパク質のような大型タンパク質の一部であってもよい（下記参照）。分泌配列またはリーダー配列、プロ配列、精製を助長する配列（例えば、複数のヒスチジン残基）、あるいは組換え産生中の安定性のためのさらなる配列を含有するさらなるアミノ酸配列を含むことが好適である場合が多い。
【０１２５】
本発明のポリペプチドは、好ましくは単離形態で提供され、好ましくは実質的に精製されている。組換え的産生型のポリペプチドは、本明細書中に記載の技法、あるいはそうでなければ当該技術分野で既知の技法（例えば、Ｓｍｉｔｈ ａｎｄ Ｊｏｈｎｓｏｎ， Ｇｅｎｅ ６７：３１−４０ （１９８８）に記載される一段法のような）を用いて実質的に精製することができる。本発明のポリペプチドはまた、本明細書中に記載のプロトコル、あるいはそうでなければ当該技術分野で既知のプロトコル（例えば、完全長形態のタンパク質に対して誘起される本発明の抗体のような）を用いて、自然源、合成源、または組換え源から精製することができる。
【０１２６】
本発明は、配列番号Ｘとして特定される配列、および／またはＡＴＣＣ寄託番号Ｚで提供されるｃＤＮＡを含むか、あるいはそれらから構成されるポリヌクレオチドを提供する。本発明はまた、配列番号Ｙとして特定される配列、および／またはＡＴＣＣ寄託番号Ｚで提供されるｃＤＮＡにコードされるポリペプチドを含むか、あるいはそれらから構成されるポリペプチドも提供する。本発明はまた、配列番号Ｙのポリペプチド配列、および／またはＡＴＣＣ寄託番号Ｚに含まれるｃＤＮＡにコードされるポリペプチド配列を含むか、あるいはそれらから構成されるポリペプチドをコードするポリヌクレオチドも提供する。
【０１２７】
好ましくは、本発明は、配列番号Ｘとして特定される配列、および／またはＡＴＣＣ寄託番号：で提供されるｃＤＮＡを含むか、あるいはそれらから構成され、５メガ塩基対、１メガ塩基対、０．５メガ塩基対、０．１メガ塩基対、５０，０００塩基対、２０，０００塩基対、または１０，０００塩基対長のポリヌクレオチド配列以下のポリヌクレオチドに関する。
【０１２８】
本発明は、本明細書中に開示する本発明のポリヌクレオチド配列に相補的な配列を有するポリヌクレオチドを含む。かかる配列は、配列番号Ｘとして開示される配列、寄託物に含まれる配列、および／または配列番号Ｙとして開示される配列をコードする核酸配列に相補的であってもよい。
【０１２９】
本発明はまた、好ましくは低ストリンジェントな条件下で、より好ましくはストリンジェントな条件下で、最も好ましくは高ストリンジェントな条件下で、本明細書中に記載のポリヌクレオチドにハイブリダイズすることが可能なポリヌクレオチドを含む。ストリンジェントな条件の例を以下の第２表に示す：高ストリンジェントな条件は、少なくとも例えば条件Ａ〜Ｆ程度ストリンジェントである条件であり、ストリンジェントな条件は、少なくとも例えば、条件Ｇ〜Ｌ程度ストリンジェントである条件であり、低ストリンジェントな条件は、少なくとも例えば条件Ｍ〜Ｒ程度ストリンジェントである条件である。
【０１３０】
【表２】
2004521610.tif 000004
2004521610.tif 000005
【０１３１】
※※：「ハイブリッド長」は、ハイブリダイズ用ポリヌクレオチドのハイブリダイズした領域（複数可）に関する予想長である。未知の配列のポリヌクレオチドをハイブリダイズさせる場合、ハイブリッドは、本発明のハイブリダイズ用ポリヌクレオチドのハイブリッドであると仮定される。既知の配列のポリヌクレオチドをハイブリダイズさせる場合、ハイブリッド長は、ポリヌクレオチド配列を整列させ、最適な配列相補性の領域（単数または複数）を同定することで決定することができる。２つまたはそれ以上のポリヌクレオチド配列を整列させ、および／または２つのポリヌクレオチド配列間の％同一性を決定する方法は、当該技術分野で既知である（例えば、ｔｈｅ ＤＮＡ＊ＳｔａｒのＭｅＧＡｌｉｇｎプログラムのプログラム一式等）。
【０１３２】
※：ＳＳＰＥ（１×ＳＳＰＥは、０．１５Ｍ  ＮａＣｌ、１０ｍＭ  ＮａＨ２ＰＯ４、および１．２５ｍＭ  ＥＤＴＡ、ｐＨ７．４である）は、ハイブリダイゼーション緩衝液および洗浄緩衝液中のＳＳＣ（１×ＳＳＣは、０．１５Ｍ  ＮａＣｌ、および１５ｍＭ  クエン酸ナトリウム）に代わって置き換えることができる。洗浄は、ハイブリダイゼーションが完了した後に、１５分間実施する。ハイブリダイゼーションおよび洗浄は、５×デンハルト試薬、０．５〜１．０％ＳＤＳ、１００μｇ／ｍｌ変性断片化サケ精子ＤＮＡ、０．５％ピロリン酸ナトリウム、および最大５０％のホルムアミドをさらに含んでもよい。
【０１３３】
＊Ｔｂ〜Ｔｒ：５０塩基対未満の塩基対長であると予測されるハイブリッドのためのハイブリダイゼーション温度は、ハイブリッドの融解温度Ｔｍより５〜１０℃低くすべきである。ここでＴｍは、以下の方程式に従って決定される。１８未満の塩基対長のハイブリッドに関しては、Ｔｍ（℃）＝２（Ａ＋Ｔ塩基の数）＋４（Ｇ＋Ｃ塩基の数）である。１８〜４９の塩基対長のハイブリッドに関しては、Ｔｍ（℃）＝８１．５＋１６．６（ｌｏｇ１０［Ｎａ＋］）＋０．４１（％Ｇ＋Ｃ）−（６００／Ｎ）（式中、Ｎは、ハイブリッド中の塩基数であり、［Ｎａ＋］は、ハイブリダイゼーション緩衝液中のナトリウムイオン濃度（１×ＳＳＣについての［Ｎａ＋］＝０．１６５Ｍである）である）である。
【０１３４】
±：本発明は、任意の１つまたはそれ以上のＤＮＡまたはＲＮＡハイブリッドパートナーを、ＰＮＡまたは修飾ポリヌクレオチドで置換することを含む。かかる修飾ポリヌクレオチドは当該技術分野で既知であり、また本明細書中の他の箇所でより具体的に記載している。
【０１３５】
ポリヌクレオチドハイブリダイゼーションに関するストリンジェントな条件のさらなる例は、例えば、Ｓａｍｂｒｏｏｋ， Ｊ．， Ｅ．Ｆ． Ｆｒｉｔｓｃｈ， ａｎｄ Ｔ． Ｍａｎｉａｔｉｓ， １９８９， Ｍｏｌｅｃｕｌａｒ Ｃｌｏｎｉｎｇ： Ａ Ｌａｂｏｒａｔｏｒｙ Ｍａｎｕａｌ， Ｃｏｌｄ Ｓｐｒｉｎｇ Ｈａｒｂｏｒ Ｌａｔｏｒａｔｏｒｙ Ｐｒｅｓｓ， Ｃｏｌｄ Ｓｐｒｉｎｇ Ｈａｒｂｏｒ， ＮＹ， ｃｈａｐｔｅｒ ９ ａｎｄ １１、およびＣｕｒｒｅｎｔ Ｐｒｏｔｏｃｏｌｓ ｉｎ Ｍｏｌｅｃｕｌａｒ Ｂｉｏｌｏｇｙ， １９９５， Ｆ．Ｍ． Ａｕｓｂｅｌ ｅｔ ａｌ．， ｅｄｓ， Ｊｏｈｎ Ｗｉｌｅｙ ａｎｄ Ｓｏｎｓ， Ｉｎｃ．， Ｓｅｃｔｉｏｎｓ ２．１０ ａｎｄ ６．３−６．４に提供され、それは参照により本明細書に援用される。
【０１３６】
好ましくは、かかるハイブリダイゼーション用ポリヌクレオチドは、それらがハイブリダイズする本発明のポリヌクレオチドと、少なくとも７０％配列同一性（より好ましくは、少なくとも８０％同一性、最も好ましくは少なくとも９０％または９５％同一性）を有し、ここで配列同一性は、配列ギャップを最小限に抑えながら、重複および同一性を最大限になるように整列する場合に、ハイブリダイズ用ポリヌクレオチドの配列と比較することで決定される。同一性の決定は当該技術分野で既知であり、本明細書中の他の個所でより具体的に議論する。
【０１３７】
本発明は、本発明のポリヌクレオチド配列、ＡＴＣＣに寄託したクローン、および／または本発明のポリペプチドをコードするｃＤＮＡに対するＰＣＲ方法論の適用を含む。核酸の増幅用のＰＣＲ技法は、米国特許第４，６８３，１９５号およびＳａｉｋｉ ｅｔ ａｌ．， Ｓｃｉｅｎｃｅ， ２３９：４８７−４９１ （１９８８）に記載されている。ＰＣＲは例えば、以下の鋳型核酸の変性工程（二重鎖の場合）、標的へのプライマーのアニーリング工程、および重合工程を包含し得る。増幅反応中にプローブされるか、または鋳型として使用される核酸は、ゲノムＤＮＡ、ｃＤＮＡ、ＲＮＡ、またはＰＮＡであってもよい。ＰＣＲは、ゲノムＤＮＡ、特定ＲＮＡ配列、および／またはｍＲＮＡから転写されたｃＤＮＡ由来の特定配列を増幅するのに使用してもよい。特定の方法パラメータを含むＰＣＲ技法の一般用途に関する参照文献としては、Ｍｕｌｌｉｓ ｅｔ ａｌ．， Ｃｏｌｄ Ｓｐｒｉｎｇ Ｈａｒｂｏｒ Ｓｙｍｐ． Ｑｕａｎｔ． Ｂｉｏｌ．， ５１：２６３， （１９８７）， Ｅｈｒｌｉｃｈ （ｅｄ）， ＰＣＲ Ｔｅｃｈｎｏｌｏｇｙ， Ｓｔｏｃｋｔｏｎ Ｐｒｅｓｓ， ＮＹ， １９８９、Ｅｈｒｌｉｃｈ ｅｔ ａｌ．， Ｓｃｉｅｎｃｅ， ２５２： １６４３−１６５０， （１９９１）、および「ＰＣＲ Ｐｒｏｔｏｃｏｌｓ， Ａ Ｇｕｉｄｅ ｔｏ Ｍｅｔｈｏｄｓ ａｎｄ Ａｐｐｌｉｃａｔｉｏｎｓ」， Ｅｄｓ．， Ｉｎｎｉｓ ｅｔ ａｌ．， Ａｃａｄｅｍｉｃ Ｐｒｅｓｓ， Ｎｅｗ Ｙｏｒｋ， （１９９０）が挙げられる。
【０１３８】
シグナル配列
本発明はまた、配列番号Ｙのポリペプチド配列を含むか、あるいはそれから構成されるポリペプチド、配列番号Ｘとして記載されるポリヌクレオチドにコードされるポリペプチド、および／または寄託クローン中のｃＤＮＡにコードされるポリペプチド配列の成熟形態を含む。本発明はまた、例えば配列番号Ｘのポリヌクレオチド配列、および／または寄託クローンのｃＤＮＡに提供されるポリヌクレオチド配列のような、本発明の成熟形態をコードするポリヌクレオチドを含む。
【０１３９】
シグナル仮説によれば、真核細胞により分泌されるタンパク質は、粗面小胞体を通って成長中のタンパク質鎖の搬出がいったん開始されると、成熟タンパク質から切断されるシグナルまたは分泌リーダー配列を有する。たいていの真核細胞は、同じ特異性で分泌タンパク質を切断する。しかしながら、場合によっては、分泌タンパク質の切断は、完全に均一ではなく、タンパク質の２つまたはそれ以上の成熟種を生じる結果となる。さらに、分泌タンパク質の切断特異性は、最終的に完全タンパク質の一次構造により決定され、すなわちそれはポリペプチドのアミノ酸配列に固有であることが長い間知られてきた。
【０１４０】
タンパク質がシグナル配列、ならびにその配列に関する切断点を有するかどうかを予測する方法が利用可能である。例えば、ＭｃＧｅｏｃｈ， Ｖｉｒｕｓ Ｒｅｓ． ３：２７１−２８６ （１９８５）の方法は、完全（未切断）タンパク質の短いＮ末端荷電領域および続く非荷電領域からの情報を使用する。ｖｏｎ Ｈｅｉｎｊｅ， Ｎｕｃｌｅｉｃ Ａｃｉｄｓ Ｒｅｓ． １４：４６８３−４６９０ （１９８６）の方法は、切断部位周囲の残基、典型的に−１３〜＋２の残基（ここで、＋１は、分泌タンパク質のアミノ末端を示す）からの情報を使用する。これらの方法それぞれに関する既知の哺乳動物分泌タンパク質の切断点の予測の精度は、７５〜８０％の範囲である（上述のｖｏｎ Ｈｅｉｎｊｅ）。しかしながら、この２つの方法は、必ずしも所定のタンパク質に関して同じ予測切断点（複数可）を生じるとは限らない。
【０１４１】
切断部位のほかに、シグナル配列の位置を同定する確立された方法は、Ｈｅｎｒｉｋ Ｎｉｅｌｓｅｎ ｅｔ ａｌ．， Ｐｒｏｔｅｉｎ Ｅｎｇｉｎｅｅｒｉｎｇ １０：１−６ （１９９７）により開発されたＳｉｇｎａｌＰプログラム（ｖ１．１）であった。このプログラムは、ｖｏｎ Ｈｅｉｎｊｅにより開発されたアルゴリズムによるものであるが、予測精度を高めるさらなるパラメータを提供する。
【０１４２】
さらに最近では、隠しマルコフモデル（ｈｉｄｄｅｎ Ｍａｒｋｏｖ ｍｏｄｅｌ）が開発され（Ｈ． Ｎｅｉｌｓｏｎ， ｅｔ ａｌ．， Ｉｓｍｂ １９９８； ６：１２２−３０）、より最新のＳｉｇｎａｌＰ（ｖ２．０）に組み込まれている。この新たな方法は、シグナルペプチドと非切断シグナルアンカーとを識別することで、切断部位を同定する能力を高める。本発明は、本発明のポリペプチド配列のいずれかに対して、切断部位を含むシグナルペプチド位置の予測に対する本明細書中に開示した方法を適用することを含む。
【０１４３】
しかしながら、当業者が理解するように、切断部位は時として生物によって多様であり、絶対的確信で予測することはできない。したがって、本発明のポリペプチドは、シグナル配列を含有してもよい。シグナル配列を含む本発明のポリペプチドは、予測切断点の５残基内（すなわち、＋もしくは−５残基、または好ましくは−５、−４、−３、−２、−１、＋１、＋２、＋３、＋４もしくは＋５残基で）から開始するＮ末端を有する。同様に、場合によっては、分泌配列からのシグナル配列は完全に一様ではなく、１つを超える分泌種を生じることも理解される。これらのポリペプチド、およびかかるポリペプチドをコードするポリヌクレオチドは、本発明により意図される。
【０１４４】
さらに、上記分析で同定されるシグナル配列は、自然に存在するシグナル配列を必ずしも予測するわけではない。例えば、自然に存在するシグナル配列は、予測シグナル配列からさらに上流にある場合がある。しかしながら、予測シグナル配列は、分泌タンパク質をＥＲに誘導することが可能である可能性が高い。それにもかかわらず、本発明は、哺乳動物細胞（例えば、以下に記載のＣＯＳ細胞）中での、配列番号Ｘのポリヌクレオチド配列、および／または寄託クローンのｃＤＮＡに含まれるポリヌクレオチド配列の発現により産生される成熟タンパク質を提供する。これらのポリペプチド、およびかかるポリペプチドをコードするポリヌクレオチドは、本発明により意図される。
【０１４５】
ポリヌクレオチドおよびポリペプチド変異体
本発明は、配列番号Ｘで本明細書中に開示されるポリヌクレオチド配列、それらに対する相補鎖、および／または寄託クローンに含まれるｃＤＮＡ配列の変異体（例えば、対立遺伝子変異体、オルソログ等）を含む。
【０１４６】
本発明はまた、配列番号Ｙで開示されるか、または寄託クローンにコードされるポリペプチド配列、および／またはその断片の変異体を含む。
【０１４７】
「変異体」は、本発明のポリヌクレオチドまたはポリペプチドとは異なるが、それらの本質的特性を維持するポリヌクレオチドまたはポリペプチドを指す。一般に、変異体は、本発明のポリヌクレオチドまたはポリペプチドに全体的に密接に類似しており、かつ多くの領域でそれらと同一である。
【０１４８】
本発明はまた、以下の非限定的な例：配列番号Ｘ中の配列のコード領域のヌクレオチド配列、上記コード領域の相補鎖、寄託クローンのｃＤＮＡで提供されるポリヌクレオチド配列、上記寄託クローンの相補鎖、配列番号Ｙとして特定されるポリペプチドをコードするポリヌクレオチド配列、寄託クローンで提供されるｃＤＮＡのポリペプチドをコードするポリヌクレオチド配列に対して、少なくとも７０％、８０％、８５％、９０％、９１％、９２％、９３％、９４％、９５％、９６％、９７％、９８％、または９９％同一であるポリヌクレオチド配列を含むか、あるいはそれから構成されるポリヌクレオチド配列に関する。本発明はまた、本明細書中に提供されるポリヌクレオチド配列のいずれかのポリヌクレオチド断片も含む。
【０１４９】
本発明は、ストリンジェントなまたは低ストリンジェントなハイブリダイゼーション条件下で、上述のポリヌクレオチド断片を含む本発明の提供したポリヌクレオチド配列のいずれにもハイブリダイズするポリヌクレオチド配列を含む。本発明のポリヌクレオチド配列にハイブリダイズするポリヌクレオチド配列にコードされるポリペプチドもまた、本発明に包含される。
【０１５０】
本発明は、以下の非限定的な例：配列番号Ｙとして特定されるポリペプチド配列、寄託クローンで提供されるｃＤＮＡにコードされるポリペプチド配列、および本明細書中に提供されるポリペプチド配列のいずれかのポリペプチド断片に対して、少なくとも７０、８０％、９８％、９０％、９１％、９２％、９３％、９４％、９５％、９６％、９７％、９８％、または９９％同一であるアミノ酸配列を含むか、あるいはそれから構成されるポリペプチド配列を含む。
【０１５１】
本発明の参照ヌクレオチド配列に対して、少なくとも例えば９５％「同一である」ヌクレオチド配列を有する核酸とは、ヌクレオチド配列がポリペプチドをコードする参照ヌクレオチド配列の各１００個のヌクレオチド当たり５個以下の点突然変異を含み得る以外は、核酸のヌクレオチド配列が参照配列と同一であることを意図する。換言すると、参照ヌクレオチド配列に対して少なくとも９５％同一であるヌクレオチド配列を有する核酸を得るために、参照配列中のヌクレオチドの５％以下が、欠失されるか、または別のヌクレオチドで置換されてもよく、あるいは参照配列中の総ヌクレオチドの５％以下のヌクレオチド数を参照配列に挿入してもよい。クエリー配列は、第１表に参照した全配列、ＯＲＦ（オープンリーディングフレーム）、または本明細書中に記載するような任意の指定断片であってもよい。
【０１５２】
実際に、任意の特定核酸分子またはポリペプチドが本発明のヌクレオチド配列に対して少なくとも７０％、８０％、８５％、９０％、９１％、９２％、９３％、９４％、９５％、９６％、９７％、９８％、または９９％同一であるかどうかは、既知のコンピュータプログラムを用いて慣例的に決定することができる。クエリー配列（本発明の配列）と対象配列との間の最良の全体的なマッチ（これはまた包括的配列アラインメントとも呼ぶ）を決定する好ましい方法は、ＣＬＵＳＴＡＬＷコンピュータプログラム（Ｔｈｏｍｐｓｏｎ， Ｊ．Ｄ．， ｅｔ ａｌ．， Ｎｕｃｌｅｉｃ Ａｃｉｄｓ Ｒｅｓｅａｒｃｈ， ２（２２）：４６７３−４６８０， （１９９４））を用いて決定することができ、このプログラムは、Ｈｉｇｇｉｎｓ， Ｄ．Ｇ． ｅｔ ａｌ．， Ｃｏｍｐｕｔｅｒ Ａｐｐｌｉｃａｔｉｏｎ ｉｎ ｔｈｅ Ｂｉｏｓｃｉｅｎｃｅｓ （ＣＡＢＩＯＳ）， ８（２）：１８９−１９１， （１９９２）のアルゴリズムに基づいている。配列アラインメントでは、クエリーおよび対象配列はともにＤＮＡ配列である。ＲＮＡ配列は、ＵをＴに変換して比較することができる。上記の包括的配列アラインメントの結果は、％同一性である。％同一性を算出するためのＤＮＡ配列のＣＬＵＳＴＡＬＷアラインメントで使用される好ましいパラメータは、マトリックス＝ＢＬＯＳＵＭ、ｋ−ｔｕｐｌｅ＝１、ＴｏｐＤｉａｇｏｎａｌ数＝５、ギャップペナルティ＝３、ギャップ開始ペナルティ＝１０、ギャップ伸長ペナルティ＝０、スコアリング方法＝Ｐｅｒｃｅｎｔ、ウインドウサイズ＝５または対象ヌクレオチド配列長（短いほう）である。
【０１５３】
内部欠失によらず、対象配列が、５’または３’欠失が理由でクエリー配列よりも短い場合、手動補正が結果に対してなされなくてはならない。これは、ＣＬＵＳＴＡＬＷプログラムは％同一性を算出する際に対象配列の５’および３’末端切断を考慮しないためである。クエリー配列に対して５’または３’末端で切断された対象配列に関して、％同一性は、クエリー配列の総塩基のパーセントとして、適合／整列されていない対象配列の５’および３’であるクエリー配列の塩基数を算出することで補正される。ヌクレオチドが適合／整列されているかどうかは、ＣＬＵＳＴＬＷ配列アラインメントの結果により決定される。次にこのパーセントを、指定パラメータを用いて上記ＣＬＵＳＴＡＬＷプログラムで算出される％同一性から差し引いて、最終的な％同一性スコアに到達する。この補正スコアは、本発明の目的のために使用され得るものである。クエリー配列と適合／整列されない、ＣＬＵＳＴＡＬＷアラインメントにより表示される対象配列の５’および３’塩基の外側の塩基のみが、％同一性スコアを手動で調節する目的で算出される。
【０１５４】
例えば、９０塩基の対象配列は、％同一性を決定するために１００塩基のクエリー配列に対して整列させる。欠失は、対象配列の５’末端で起き、したがって、ＣＬＵＳＴＡＬＷアラインメントは、５’末端にある最初の１０塩基のマッチ／アラインメントを示さない。１０個の不対塩基は、配列の１０％（クエリー配列中の適合していない５’および３’末端にある塩基数／塩基の総数）を表し、したがって１０％は、ＣＬＵＳＴＡＬＷプログラムにより算出される％同一性スコアから差し引かれる。残りの９０塩基が完全に適合される場合、最終％同一性は、９０％であろう。別の例では、９０塩基の対象配列を１００塩基のクエリー配列と比較する。今度は、欠失は内部欠失であり、その結果クエリーと適合／整列しない対象配列の５’または３’末端上の塩基は存在しない。この場合では、ＣＬＵＳＴＡＬＷにより算出される％同一性は手動で補正されない。繰り返して言うと、クエリー配列と適合／整列しない対象配列の塩基５’および３’のみが手動で補正される。他の手動補正は、本発明の目的には必要とされない。
【０１５５】
本発明のクエリーアミノ酸配列に対して、少なくとも例えば９５％「同一である」アミノ酸配列を有するポリペプチドとは、対象ポリペプチド配列がクエリーアミノ酸配列の各１００個のアミノ酸当たり５個以下のアミノ酸変更を含み得る以外は、対象ポリペプチドのアミノ酸配列がクエリー配列と同一であることを意図する。換言すると、クエリーアミノ酸配列に対して少なくとも９５％同一であるアミノ酸配列を有するポリペプチドを得るために、対象配列中のアミノ酸残基の５％以下が、挿入されるか、欠失されるか、または別のヌクレオチドで置換されてもよい。参照配列のこれらの変更は、参照アミノ酸配列のアミノもしくはカルボキシル末端位位置で、またはそれらの末端位置間のいずれかで、参照配列中の残基間のいずれかに独立して散在して、あるいは参照配列内の１つまたは複数の連続基中で起きてもよい。
【０１５６】
実際に、任意の特定ポリペプチドが、例えば第１表に参照したアミノ酸配列（配列番号Ｙ）、または寄託クローンに含まれるｃＤＮＡににコードされるアミノ酸配列に対して少なくとも７０％、８０％、８５％、９１％、９２％、９３％、９４％、９５％、９６％、９７％、９８％、または９９％同一であるかどうかは、既知のコンピュータプログラムを用いて慣例的に決定することができる。クエリー配列（本発明の配列）と対象配列との間の最良の全体的なマッチ（これはまた包括的配列アラインメントとも呼ぶ）を決定する好ましい方法は、ＣＬＵＳＴＡＬＷコンピュータプログラム（Ｔｈｏｍｐｓｏｎ， Ｊ．Ｄ．， ｅｔ ａｌ．， Ｎｕｃｌｅｉｃ Ａｃｉｄｓ Ｒｅｓｅａｒｃｈ， ２（２２）：４６７３−４６８０， （１９９４））を用いて決定することができ、このプログラムは、Ｈｉｇｇｉｎｓ， Ｄ．Ｇ．， ｅｔ ａｌ．， Ｃｏｍｐｕｔｅｒ Ａｐｐｌｉｃａｔｉｏｎｓ ｉｎ ｔｈｅ Ｂｉｏｓｃｉｅｎｃｅｓ （ＣＡＢＩＯＳ）， ８（２）：１８９−１９１， （１９９２）のアルゴリズムに基づいている。配列アラインメントでは、クエリーおよび対象配列はともにＤＮＡ配列である。ＲＮＡ配列は、ＵをＴに変換して比較することができる。上記の包括的配列アラインメントの結果は、％同一性である。％同一性を算出するためのＤＮＡ配列のＣＬＵＳＴＡＬＷアラインメントで使用される好ましいパラメータは、マトリックス＝ＢＬＯＳＵＭ、ｋ−ｔｕｐｌｅ＝１、ＴｏｐＤｉａｇｏｎａｌ数＝５、ギャップペナルティ＝３、ギャップオープンペナルティ＝１０、ギャップ伸長ペナルティ＝０、スコアリング方法＝Ｐｅｒｓｅｎｔ、ウインドウサイズ＝５または対象ヌクレオチド配列長（短いほう）である。
【０１５７】
対象配列が、内部欠失が理由ではなく、ＮまたはＣ末端欠失に起因してクエリー配列よりも短い場合、手動補正が結果に対してなされなくてはならない。これは、ＣＬＵＳＴＡＬＷプログラムは包括的％同一性を算出する際に対象配列のＮおよびＣ末端切断を考慮しないためである。クエリー配列に対してＮまたはＣ末端で切断された対象配列に関して、％同一性は、クエリー配列の総塩基のパーセントとして、相当する対象残基と適合／整列されていない対象配列のＮおよびＣ末端であるクエリー配列の残基数を算出することで補正される。残基が適合／整列されているかどうかは、ＣＬＵＳＴＡＬＷ配列アラインメントの結果により決定される。次にこのパーセントを、指定パラメータを用いて上記ＣＬＵＳＴＡＬＷプログラムで算出される％同一性から差し引いて、最終的な％同一性スコアに到達する。この最終的な％同一性スコアは、本発明の目的のために使用され得るものである。クエリー配列と適合／整列されない対象配列のＮおよびＣ末端に対する残基のみが、％同一性スコアを手動で調節する目的で算出される。すなわち、クエリー残基のみが、対象配列の最も遠いＮおよびＣ末端残基の外側に位置する。
【０１５８】
例えば、９０アミノ酸残基の対象配列は、％同一性を決定するために１００アミノ酸残基のクエリー配列に対して整列させる。欠失は、対象配列のＮ末端で起き、したがって、ＣＬＵＳＡＴＡＬＷアラインメントは、Ｎ末端にある最初の１０アミノ酸残基のマッチング／アラインメントを示さない。１０個の不対塩基は、配列の１０％（クエリー配列中の適合していないＮおよびＣ末端にあるアミノ酸残基数／アミノ酸残基の総数）を表し、したがって１０％は、ＣＬＵＳＴＡＬＷプログラムにより算出される％同一性スコアから差し引かれる。残りの９０アミノ酸残基が完全に適合される場合、最終％同一性は、９０％であろう。別の例では、９０アミノ酸残基の対象配列を１００アミノ酸残基のクエリー配列と比較する。今度は、欠失は内部欠失であり、その結果クエリーと適合／整列しない対象配列のＮまたはＣ末端の残基は存在しない。この場合では、ＣＬＵＳＴＡＬＷにより算出される％同一性は手動で補正されない。繰り返して言うと、クエリー配列と適合／整列されない、ＣＬＵＳＴＡＬＷアラインメントで表示される対象配列のＮおよびＣ末端の外側の残基位置のみが、手動で補正される。他の手動補正は、本発明の目的には必要とされない。
【０１５９】
変異体は、コード領域、非コード領域、またはその両方で変更を含み得る。特に好ましいのは、サイレント置換、付加または欠失を生じるが、コードポリペプチドの特性または活性を変化させない変更を含有するポリヌクレオチド変異体である。遺伝暗号の縮重に起因してサイレント置換を生じるヌクレオチド変異体はが好ましい。さらに、５〜１０個、１〜５個、または１〜２個のアミノ酸が、任意の組合せで置換、欠失または付加した変異体も好ましい。ポリヌクレオチド変異体は、様々な理由で、例えば特定の宿主のためにコドン表現を最適化する（大腸菌のような細菌宿主により好ましいものへｍＲＮＡ中のコドンを変化させる）ために産生することができる。
【０１６０】
自然に存在する変異体は「対立遺伝子変異体」と呼ばれ、それは、生物の染色体上の所定の遺伝子座を占有する遺伝子の幾つかの代替形態の１つを指す（Ｇｅｎｅｓ ＩＩ， Ｌｅｗｉｎ， Ｂ．， ｅｄ．， Ｊｏｈｎ Ｗｉｌｅｙ ＆ Ｓｏｎｓ， Ｎｅｗ Ｙｏｒｋ （１９８５））。これらの対立遺伝子変異体は、ポリヌクレオチドおよび／またはポリペプチドレベルのいずれかで変化することができ、本発明に包含される。あるいは、自然に存在しない変異体は、突然変異誘発技法により、または直接合成により生産し得る。
【０１６１】
タンパク質工学および組換えＤＮＡ技術の既知の方法を用いて、変異体は、本発明のポリペプチドの特徴を改善または変化させるために生成し得る。例えば、１つまたは複数のアミノ酸は、生物学的機能の実質的な損失なしで、タンパク質のＮ末端またはＣ末端から欠失させることができる。Ｒｏｎ ｅｔ ａｌ．， Ｊ． Ｂｉｏｌ． Ｃｈｅｍ． ２６８：２９８４−２９８８ （１９９３）の著者等は、３個、８個、または２７個のアミノ末端アミノ酸残基を欠失させた後でさえも、ヘパリン結合活性を有する変異ＫＧＦタンパク質を報告した。同様に、インターフェロンγは、このタンパク質のカルボキシル末端から８〜１０個のアミノ酸残基を欠失させた後に、最大で１０倍高い活性を示した（Ｄｏｂｅｌｉ ｅｔ ａｌ．， Ｊ． Ｂｉｏｔｅｃｈｎｏｌｉｇｙ ７：１９９−２１６ （１９８８））。
【０１６２】
さらに、十分な証拠が、変異体は多くの場合、自然に存在するタンパク質と類似した生物活性を保持することを実証する。例えば、Ｇａｙｌｅとその共同研究者等（Ｊ． Ｂｉｏｌ． Ｃｈｅｍ ２６８： ２２１０５−２２１１１ （１９９３））は、ヒトサイトカインＩＬ−１ａの広範な変異性分析を実施した。彼等は、ランダム突然変異誘発を用いて、分子の全長にわたって変異体１つ当たり２．５個のアミノ酸変化を平均とする３，５００個を超える別個のＩＬ−１ａ突然変異体を生成した。複数の突然変異が、あらゆるアミノ酸位置で検査された。研究者等は、「ほとんどの分子が［結合または生物活性］のいずれかに対してほとんど影響を及ぼさずに変化され得る」ことを見出した。実際に、検査した３，５００個を超えるヌクレオチド配列のうち２３個の特有のアミノ酸配列だけが、野生型と活性が有意に異なるタンパク質を生じた。
【０１６３】
さらに、ポリペプチドのＮ末端またはＣ末端から１つまたは複数のアミノ酸を欠失されることが、１つまたは複数の生物学的機能の改変または損失をもたらした場合でも、他の生物活性は依然として保持され得る。例えば、欠失変異体の、タンパク質を認識する抗体を誘発および／または結合する能力は、タンパク質の過半数未満の残基がＮ末端またはＣ末端から除去される場合に、保持される可能性が高い。タンパク質のＮまたはＣ末端残基を欠如する特定のポリペプチドがかかる免疫原活性を保持するかどうかは、本明細書中に記載する日常的な方法、およびそうでなければ当該技術分野で既知の方法により容易に決定することができる。
【０１６４】
したがって、本発明は、実質的な生物活性を示すポリペプチド変異体をさらに含む。かかる変異体には、活性にほとんど影響を及ぼさないように当該技術分野で既知の一般則にしたがって選択される欠失、挿入、逆位、反復、および置換が含まれる。例えば、表現型上サイレントなアミノ酸置換を作製する方法に関する手引きは、Ｂｏｗｉｅ ｅｔ ａｌ．， Ｓｃｉｅｎｃｅ ２４７： １３０６−１３１０ （１９９０）により提供され、そこで著者等は、変化に対するアミノ酸配列の許容度の研究のために２つの主要な戦略が存在することを示している。
【０１６５】
第１の戦略は、進化プロセス中の自然選択によるアミノ酸置換の許容度を利用する。種々の種のアミノ酸配列を比較することで、保存アミノ酸を同定することができる。これらの保存アミノ酸は、タンパク質の機能にとって重要である可能性が高い。対称的に、自然選択により置換が許容されたアミノ酸位置は、これらの位置が、タンパク質機能にとって重要でないことを示す。したがって、アミノ酸置換の許容は、タンパク質の生物活性を維持したままで改変させることができる。
【０１６６】
第２の戦略は、タンパク質機能にとって重要な領域を同定するために、クローニングした遺伝子の特定位置にアミノ酸変化を導入する遺伝子操作を使用する。例えば、部位特異的突然変異誘発またはアラニンスキャンニング突然変異誘発（分子中のあらゆる位置での単一アラニン突然変異の導入）を使用することができる（Ｃｕｎｎｉｎｇｈａｍ ａｎｄ Ｗｅｌｌｓ， Ｓｃｉｅｎｃｅ ２４４： １０８１−１０８５ （１９８９））。続いて、生じた突然変異分子を、生物活性に関して試験することができる。
【０１６７】
著者等が主張するように、これらの２つの戦略は、タンパク質がアミノ酸置換に驚くほど許容性があることを明らかにした。著者等はさらに、どのアミノ酸変化がタンパク質中のあるアミノ酸位置で許容性である可能性が高いかを示している。例えば、（タンパク質の三次構造内に）最も埋もれたアミノ酸残基は、非極性側鎖を要するのに対し、表面側鎖のわずかな特徴が一般に保存される。さらに、許容される保存アミノ酸置換は、ヒドロキシル残基ＳｅｒおよびＴｈｒの置き換え、酸性残基ＡｓｐおよびＧｌｕの置き換え、アミド残基ＡｓｎおよびＧｌｎの置き換え、塩基性残基Ｌｙｓ、ＡｒｇおよびＨｉｓの置き換え、芳香族残基Ｐｈｅ、ＴｙｒおよびＴｒｐの置き換え、ならびに小サイズアミノ酸Ａｌａ、Ｓｅｒ、Ｔｈｒ、ＭｅｔおよびＧｌｙの置き換えを含む。
【０１６８】
保存アミノ酸置換のほかに、本発明の変異体としては、以下の：（ｉ）非保存アミノ酸剤の１つまたは複数による置換（ここで、置換アミノ酸残基は遺伝暗号でコードされるものであってもそうでなくてもよい）、または（ｉｉ）置換基を有するアミノ酸残基の１つまたは複数による置換、または（ｉｉｉ）ポリペプチドの安定性および／または溶解性を増加させる化合物（例えば、ポリエチレングリコール）のような別の化合物との成熟ポリペプチドの融合、または（ｉｖ）例えばＩｇＧ  Ｆｃ融合領域ペプチド、またはリーダーもしくは分泌配列、あるいは精製を容易にする配列のようなさらなるアミノ酸とのポリペプチドの融合が挙げられるが、これらに限定されない。
【０１６９】
例えば、荷電アミノ酸の他の荷電アミノ酸または中性アミノ酸でのアミノ酸置換を含有するポリペプチド変異体は、凝集の低減のような改善された特徴を有するタンパク質を産生し得る。薬学的配合物の凝集は、凝集体の免疫原活性に起因して、活性を減少させ、クリアランスを高める（Ｐｉｎｃｋａｒｄ ｅｔ ａｌ．， Ｃｒｉｔ． Ｒｅｖ． Ｔｈｅｒａｐｅｕｔｉｃ Ｄｒｕｇ Ｃａｒｒｉｅｒ Ｓｙｓｔｅｍｓ １０：３０７−３７７ （１９９３））。
【０１７０】
さらに、本発明は、配列番号Ｘとして開示されるポリヌクレオチド、寄託したクローン配列、および／または配列番号Ｙとして開示されるポリペプチドをコードするｃＤＮＡに対して、分子進化（「ＤＮＡシャッフリング」）方法論を適用することにより創出されるポリペプチド変異体も含む。かかるＤＮＡシャッフリング技術は、当該技術分野で既知であり、本明細書中の他の箇所でより具体的に記載している（例えば、ＷＰＣ， Ｓｔｅｍｍｅｒ， ＰＮＡＳ， ９１：１０７４７， （１９９４）、および実施例２０）。
【０１７１】
本発明のさらなる実施形態は、少なくとも１個のアミノ酸置換であるが、５０個以下のアミノ酸置換、より好ましくは４０個以下のアミノ酸置換、いっそう好ましくは３０個以下のアミノ酸置換、さらにいっそう好ましくは２０個以下のアミノ酸置換を含有するアミノ酸配列を有する本発明のアミノ酸配列を含むポリペプチドに関する。当然のことながら、さらに好ましいためには、ペプチドまたはポリペプチドが、少なくとも１つであるが、１０個、９個、８個、７個、６個、５個、４個、３個、２個または１個のアミノ酸配列置換を含有する本発明のアミノ酸配列を含むアミノ酸配列を有することが非常に好ましい。特定の実施形態では、本発明のアミノ酸配列またはその断片中の付加、置換および／または欠失の数は、１〜５個、５〜１０個、５〜２５個、５〜５０個、１０〜５０個、または５０〜１５０個であり、保存アミノ酸置換が好ましい。
【０１７２】
ポリヌクレオチドおよびポリペプチド断片
本発明は、上述のポリヌクレオチドおよび／または断片にコードされる本発明のポリペプチドのほかに、本発明のポリヌクレオチドのポリヌクレオチド断片に関する。
【０１７３】
本発明では、「ポリヌクレオチド断片」は、寄託クローンに含まれるか、または寄託クローン中のｃＤＮＡにコードされるポリペプチドをコードする核酸配列の一部である核酸配列、配列番号Ｘで示される核酸配列またはそれに対する相補鎖の一部である核酸配列、あるいは配列番号Ｙのポリペプチドをコードするポリヌクレオチド配列の一部である核酸配列を有する短ポリヌクレオチドを指す。本発明のヌクレオチド断片は、好ましくは少なくとも約１５ヌクレオチド長、より好ましくは少なくとも約２０ヌクレオチド長、さらに好ましくは少なくとも約３０ヌクレオチド長、よりいっそう好ましくは少なくとも約４０ヌクレオチド長、少なくとも約５０ヌクレオチド長、少なくとも約７５ヌクレオチド長、または少なくとも約１５０ヌクレオチド長である。例えば「少なくとも２０ヌクレオチド長」の断片とは、寄託クローンに含まれるｃＤＮＡ配列、または配列番号Ｘに示されるヌクレオチド配列由来の２０個またはそれ以上の連続した塩基を含むことを意図する。この状況では、「約」は、特に列挙した値、および一方の末端または両方の末端にある数個（５個、４個、３個、２個、または１個）のヌクレオチドだけ大きいかまたは小さい値を含む。これらのヌクレオチド断片には、本明細書中で議論するように診断用プローブおよびプライマーとして（これらに限定されない）の用途がある。当然のことながら、巨大断片（例えば、５０個、１５０個、５００個、６００個、２０００個のヌクレオチド）が好ましい。
【０１７４】
さらに、本発明のポリヌクレオチド断片の代表例としては、例えば、配列番号Ｘのおおよそのヌクレオチド番号１〜５０、５１〜１００、１０１〜１５０、１５１〜２００、２０１〜２５０、２５１〜３００、３０１〜３５０、３５１〜４００、４０１〜４５０、４５１〜５００、５０１〜５５０、５５１〜６００、６５１〜７００、７０１〜７５０、７５１〜８００、８００〜８５０、８５１〜９００、９０１〜９５０、９５１〜１０００、１００１〜１０５０、１０５１〜１１００、１１０１〜１１５０、１１５１〜１２００、１２０１〜１２５０、１２５１〜１３００、１３０１〜１３５０、１３５１〜１４００、１４０１〜１４５０、１４５１〜１５００、１５０１〜１５５０、１５５１〜１６００、１６０１〜１６５０、１６５１〜１７００、１７０１〜１７５０、１７５１〜１８００、１８０１〜１８５０、１８５１〜１９００、１９０１〜１９５０、１９５１〜２０００、または２００１から末端の配列、もしくはそれらの相補鎖、または寄託クローンに含まれるｃＤＮＡを含むか、あるいはそれから構成される断片が挙げられる。この状況では、「約」は、特に列挙した値、および一方の末端または両方の末端にある数個（５個、４個、３個、２個、または１個）のヌクレオチドだけ大きいかまたは小さい範囲を含む。好ましくは、これらの断片は、生物活性を有するポリペプチドをコードする。より好ましくは、これらのポリヌクレオチドは、本明細書中で議論するように、プローブまたはプライマーとして使用することができる。また、これらのポリヌクレオチドにコードされるポリペプチドと同様に、ストリンジェントなハイブリダイゼーション条件または低ストリンジェントな条件下で、これらの核酸分子にハイブリダイズするポリヌクレオチドも、本発明に包含される。
【０１７５】
本発明では、「ポリペプチド断片」は、配列番号Ｙに含まれるか、寄託クローンに含まれるｃＤＮＡにコードされるアミノ酸配列の一部であるアミノ酸配列を指す。タンパク質（ポリペプチド）断片は、「独立していて」もよく、あるいは、断片がその一部または領域を形成する巨大ポリペプチド内に、最も好ましくは単一の連続した領域として含まれてもよい。本発明のポリペプチド断片の代表例としては、例えばコード領域のおおよそのアミノ酸番号１〜２０、２１〜４０、４１〜６０、６１〜８０、８１〜１００、１０２〜１２０、１２１〜１４０、１４１〜１６０、または１６１から末端を含むか、あるいはそれから構成される断片が挙げられる。さらに、ポリペプチド断片は、約２０、３０、４０、５０、６０、７０、８０、９０、１００、１１０、１２０、１３０、１４０、または１５０アミノ酸長であり得る。この状況では、「約」は、特に列挙した範囲または値、および一方の末端または両方の末端にある数個（５個、４個、３個、２個、または１個）のアミノ酸だけ大きいかまたは小さい範囲または値を含む。
【０１７６】
好ましいポリペプチド断片としては、完全長タンパク質が挙げられる。さらに好ましいポリペプチド断片としては、アミノ末端もしくはカルボキシ末端、またはその両方から連続した一連の欠失残基を有する完全長タンパク質が挙げられる。例えば、１〜６０の範囲の任意数のアミノ酸を、完全長ポリペプチドのアミノ末端から欠失させることができる。同様に、１〜３０の範囲の任意数のアミノ酸を、完全長タンパク質のカルボキシ末端から欠失させることができる。さらに、上記アミノおよびカルボキシ末端欠失の任意の組合せが好ましい。同様に、これらのポリペプチド断片をコードするポリヌクレオチドもまた好ましい。
【０１７７】
また、αヘリックスおよびαヘリックス形成領域、βシートおよびβシート形成領域、ターンおよびターン形成領域、コイルおよびコイル形成領域、親水性領域、疎水性領域、α両親媒性領域、β両親媒性領域、可動領域、表面形成領域、基質結合領域、および高抗原指数領域を含む断片のような構造ドメインまたは機能的ドメインを特徴とするポリペプチドおよびポリヌクレオチド断片も好ましい。保存ドメインの範疇にある配列番号Ｙのポリペプチド断片は、本発明により特に意図される。さらに、これらのドメインをコードするポリヌクレオチドも意図される。
【０１７８】
他の好ましいポリペプチド断片は、生物学的に活性な断片である。生物学的に活性な断片は、本発明のポリペプチドの活性と類似しているが、必ずしも同一であるとは限らない活性を示すものである。断片の生物活性には、改善された所望の活性、減少した望ましくない活性が含まれ得る。これらのポリペプチド断片をコードするポリヌクレオチドもまた本発明により包含される。
【０１７９】
好ましい実施形態では、本発明のポリヌクレオチド断片にコードされるポリペプチドにより示される機能的活性は、本発明の完全長ポリペプチドと典型的に関連した１つまたは複数の生物活性であり得る。これらの生物活性の実例としては、完全長タンパク質に結合する同じ抗体の少なくとも１つに結合する断片能力、完全長に結合する同じタンパク質の少なくとも１つと相互作用する断片能力、完全長タンパク質と同じ免疫応答の少なくとも１つを誘発する（すなわち、同じエピトープに特異的な抗体を創出する免疫系を引き起こす等）断片能力、完全長タンパク質と同じポリヌクレオチドの少なくとも１つに結合する断片能力、完全長タンパク質の受容体に結合する断片能力、完全長タンパク質のリガンドに結合する断片能力、および完全長タンパク質と多量体形成する（ｍｕｌｔｉｍｅｒｉｚｅ）する能力が挙げられる。しかしながら、当業者は、断片によっては、完全長タンパク質の生物活性にとって望ましいが、直接的に適切ではない生物活性を有する場合があることを理解するであろう。本発明のポリペプチド（その断片、変異体、誘導体、および類似体を含む）の機能的活性は、当業者に利用可能な多数の方法により決定することができ、その幾つかについて、本明細書中の他の個所で記載している。
【０１８０】
エピトープおよび抗体
本発明では、「エピトープ」は、生物、好ましくは動物または植物中の抗原／および／または免疫原活性を有するポリペプチド断片を指す。本発明の好ましい実施形態は、エピトープを含むポリペプチド断片、ならびにこの断片をコードするポリヌクレオチドに関連する。抗体が結合することができるタンパク質分子の領域は、「抗原エピトープ」と定義される。対照的に、「免疫原エピトープ」は、抗体応答（すなわち、動物において）または防御応答（すなわち、植物において）を誘発するタンパク質の一部として定義される（例えば、Ｇｅｙｓｏｎ ｅｔ ａｌ．， Ｐｒｏｃ． Ｎａｔｌ． Ａｃｅｄ． Ｓｃｉ． ＵＳＡ ８１：３９９８−４００２ （１９８３）を参照）。
【０１８１】
エピトープ断片は、当該技術分野で既知の従来の手段により生産し得る。免疫原性であるエピトープは、当該技術分野で既知の方法にしたがって抗体を誘発するのに有用であり得る。かかるエピトープは、アルブミンのような担体タンパク質と一緒に提示されてもよく、あるいはエピトープが十分な長さ（２５アミノ酸以上）である場合には担体なしで提示されてもよい。それにもかかわらず、８〜１０個程度と少ないアミノ酸を含むエピトープが、免疫応答を誘発することが見出された。本発明のエピトープは、変性ポリペプチドに由来する線状エピトープであり得る（例えば、ウェスタンブロットで見出されるような）。
【０１８２】
本発明では、抗原エピトープは、好ましくは、少なくとも７個、より好ましくは少なくとも９個、最も好ましくは約１５〜約３０個のアミノ酸を有する配列を含有する。抗原エピトープは、エピトープに特異的に結合する、モノクローナル抗体を含む抗体を誘起するのに有用である（例えば、Ｗｉｌｓｏｎ ｅｔ ａｌ．， Ｃｅｌｌ ３７：７６７−７７８ （１９８４）； Ｓｕｔｃｌｉｆｆｅ， Ｊ．Ｇ．， ｅｔ ａｌ．， Ｓｃｉｅｎｃｅ ２１９：６６０−６６６ （１９８３）を参照）。
【０１８３】
本明細書中で使用する場合、「抗体」（Ａｂ）または「モノクローナル抗体」（Ｍａｂ）という用語は、タンパク質に特異的に結合することが可能なインタクト分子、ならびに抗体断片（例えば、Ｆａｂ、およびＦ（ａｂ’）２断片のような）を含むことを意味する。ＦａｂおよびＦ（ａｂ’）２断片は、インタクト抗体のＦｃ断片を欠如し、動物または植物の循環からより迅速に排除され、インタクト抗体よりも少ない非特異的組織結合を有し得る（Ｗａｈｌ ｅｔ ａｌ．， Ｊ． Ｎｕｃｌ． Ｍｅｄ ２４： ３１６−３２５ （１９８３））。したがって、これらの断片、ならびにＦＡＢまたは他の免疫グロブリン発現ライブラリーの産物は好ましい。さらに、本発明の抗体には、キメラ抗体、単鎖抗体、およびヒト化抗体が含まれる。
【０１８４】
本発明はさらに、本発明のポリペプチド、ポリペプチド断片、およびポリペプチド変異体に特異的な抗体に関する。本発明の抗体としては、ポリクローナル抗体、モノクローナル抗体、ヒト化抗体、完全ヒト抗体、単一特異性抗体、二重特異性抗体、三重特異性抗体、異種結合体抗体、キメラ抗体、単鎖抗体、可変軽鎖抗体、可変重鎖抗体、１つまたは複数の相補性決定領域（ＣＤＲ）抗体、ファージディスプレイ由来抗体（Ｆａｂ発現ライブラリー由来のものなど）、抗イディオタイプ抗体、および酵素活性（すなわち触媒活性）を有する抗体が挙げられ得るが、これらに限定されない。本発明の抗体は、現在既知の抗体のアイソタイプ（例えば、ＩｇＤ、ＩｇＭ、ＩｇＥ、ＩｇＧ、ＩｇＹ、およびＩｇＡ等）、ヒトＩｇＡおよびＩｇＧサブクラス（例えば、ＩｇＧ１、ＩｇＧ２、ＩｇＧ３、ＩｇＧ４、ＩｇＡ１、またはＩｇＡ２）、またはマウスＩｇＡおよびＩｇＧサブクラス（例えば、ＩｇＧ１、ＩｇＧ２ａ、ＩｇＧ２ｂ、ＩｇＧ３、ＩｇＡ１、またはＩｇＡ２）のいずれかで構成されてもよい。
【０１８５】
本発明の抗体は、ポリクローナル抗体を含んでもよい。ポリクローナル抗体を調製する方法は、当業者に既知である（Ｈａｒｌｏｗ， ｅｔ ａｌ．， Ａｎｔｉｂｏｄｉｅｓ： Ａ Ｌａｂｏｒａｔｏｒｙ Ｍａｎｕａｌ， （Ｃｏｌｄ ｓｐｒｉｎｇ Ｈａｒｂｏｒ Ｌａｂｏｒａｔｏｒｙ Ｐｒｅｓｓ， ２ｎｄ ｅｄ． （１９８８）、これはその全体が参照により本明細書に援用される）。ポリクローナル抗体は、例えば免疫化剤、および望ましい場合にはアジュバントの１回または複数回の注射により、哺乳動物または鳥類で誘起され得る。本発明の目的では、「免疫化剤」は、異種ポリペプチドと本明細書中に記載するポリペプチドの他の形態との融合物のほかに、その断片、変異体、および／または誘導体を含む本発明のポリペプチドと定義され得る。
【０１８６】
典型的に、免疫化剤および／またはアジュバントは、複数回の皮下または腹腔内注射により哺乳動物に注射されるが、それらはまた、筋内的に、および／または静脈内により供給されてもよい。免疫化剤としては、本発明のポリペプチドまたは融合タンパク質、あるいはその変異体が挙げられ得る。ポリペプチドの性質（すなわち、％疎水性、％親水性、安定性、正味の電荷、等電点等）に応じて、免疫化される哺乳動物中で免疫原性であることが既知のタンパク質と免疫化剤を結合させることが有用であり得る。かかる結合は、共有結合を形成するように、本発明のポリペプチドおよび免疫原性タンパク質の両方に活性な化学官能基を誘導体化させることによるか、または融合タンパク質ベースの方法論による化学結合、あるいは当業者に既知の他の方法を含む。かかる免疫原性タンパク質の例としては、キーホールリンペットヘモシアニン、血清アルブミン、ウシサイログロブリン、およびダイズトリプシン阻害剤が挙げられるが、これらに限定されない。種々のアジュバントは、宿主種に応じて免疫学的応答を高めるのに使用してもよく、それはフロイント（完全および不完全）、水酸化アルミニウムのような鉱物ゲル、リゾレシチン、プルロニックポリオール、ポリアニオンのような界面活性物質、ペプチド、油乳濁液、キーホールリンペットヘモシアニン、ジニトロフェノール、ならびにＢＣＧおよびコリネバクテリウム・パルブム（Ｃｏｒｙｎｅｂａｃｔｅｒｉｕｍ ｐａｒｖｕｍ）のような潜在的に有用なヒトアジュバントを含むが、これらに限定されない。使用し得るアジュバントのさらなる例としては、ＭＰＬ−ＴＤＭアジュバント（モノホスホリルリピドＡ、合成ジコリノ酸ミコール酸トレハロース（ｔｒｅｈａｌｏｓｅ ｄｉｃｏｒｙｎｏｍｙｃｏｌａｔｅ）が挙げられる。免疫化プロトコルは、過度の実験を行うことなく当業者に選択され得る。
【０１８７】
本発明の抗体は、モノクローナル抗体を含んでもよい。モノクローナル抗体は、Ｋｏｈｌｅｒ ａｎｄ Ｍｉｌｓｔｅｉｎ， Ｎａｔｕｒｅ， ２５６：４９５ （１９７５）および米国特許第４，３７６，１１０号、Ｈａｒｌｏｗ， ｅｔ ａｌ．， Ａｎｔｉｂｏｄｉｅｓ： Ａ Ｌａｂｏｒａｔｏｒｙ Ｍａｎｕａｌ， （Ｃｏｌｄ ｓｐｒｉｎｇ Ｈａｒｂｏｒ Ｌａｂｏｒａｔｏｒｙ Ｐｒｅｓｓ， ２ｎｄ ｅｄ． （１９８８）、Ｈａｍｍｍｅｒｌｉｎｇ， ｅｔ ａｌ．， Ｍｏｎｏｃｌｏｎａｌ Ａｎｔｉｂｏｄｉｅｓ ａｎｄ Ｔ−Ｃｅｌｌ Ｈｙｂｒｉｄｏｍａｓ （Ｅｌｓｅｖｉｅｒ， Ｎ．Ｙ．， （１９８１））により記載される方法のようなハイブリドーマ方法、あるいは当業者に既知の他の方法を用いて調製してもよい。モノクローナル抗体を調製するのに使用してもよい方法の他の例としては、ヒトＢ細胞ハイブリドーマ技法（Ｋｏｓｂｏｒ ｅｔ ａｌ．， １９８３， Ｉｍｍｕｎｏｌｏｇｙ Ｔｏｄａｙ ４：７２； Ｃｏｌｅ ｅｔ ａｌ．， １９８３， Ｐｒｏｃ． Ｎａｔｌ． Ａｃａｄ． Ｓｃｉ． ＵＳＡ ８０：２０２６−２０３０）、およびＥＢＶハイブリドーマ技法（Ｃｏｌｅ ｅｔ ａｌ．， １９８５， Ｍｏｎｏｃｌｏｎａｌ Ａｎｔｉｂｏｄｉｅｓ Ａｎｄ Ｃａｎｃｅｒ Ｔｈｅｒａｐｙ， Ａｌａｎ Ｒ． Ｌｉｓｓ， Ｉｎｃ．， ｐｐ． ７７−９６）が挙げられるが、これらに限定されない。かかる抗体は、ＩｇＧ、ＩｇＭ、ＩｇＥ、ＩｇＡ、ＩｇＧを含む任意の免疫グロブリンクラス、およびそれらの任意のサブクラスであってもよい。本発明のｍＡｂを産生するハイブリドーマは、ｉｎ  ｖｉｔｒｏまたはｉｎ  ｖｉｖｏで培養してもよい。ｉｎ  ｖｉｖｏでの高力価のｍＡｂの産生が、これを現在好ましい産生方法としている。
【０１８８】
ハイブリドーマ方法では、マウス、ヒト化マウス、ヒト免疫系を有するマウス、ハムスター、または他の適切な宿主動物を典型的に免疫化剤で免疫化して、免疫化剤に特異的に結合する抗体を産生するか、または産生することが可能であるリンパ球を誘発する。あるいは、リンパ球は、ｉｎ  ｖｉｔｒｏで免疫化してもよい。
【０１８９】
免疫化剤は典型的に、本発明のポリペプチド、またはその融合タンパク質を含むであろう。一般に、ヒト起源の細胞が望ましい場合に末梢血リンパ球（「ＰＢＬ」）が使用され、あるいは非ヒト哺乳動物源が望ましい場合には脾細胞またはリンパ節細胞が使用される。次に、ポリエチレングリコールのような適切な融合剤を用いて、リンパ球を不死化細胞系と融合させて、ハイブリドーマ細胞を形成する（Ｇｏｄｉｎｇ， Ｍｏｎｏｃｌｏｎａｌ Ａｎｔｉｂｏｄｉｅｓ： Ｐｒｉｎｃｉｐｌｅｓ ａｎｄ Ｐｒａｃｔｉｃｅ， Ａｃａｄｅｍｉｃ Ｐｒｅｓｓ， （１９８６）， ｐｐ． ５９−１０３）。不死化細胞系は通常、形質転換した哺乳動物細胞、特にげっ歯類、ウシおよびヒト起源のミエローマ細胞である。通常、ラットまたはマウスのミエローマ細胞系が用いられる。ハイブリドーマ細胞を、好ましくは非融合不死化細胞の成長または生存を阻害する１つまたは複数の物質を含有する適切な培地で培養してもよい。例えば、親細胞が酵素ヒポキサンチングアニンホスホリボシルトランスフェラーゼ（ＨＧＰＲＴまたはＨＰＲＴ）を欠如する場合、ハイブリドーマ用の培地には典型的に、ヒポキサンチン、アミノプテリン、およびチミジンが含まれ（「ＨＡＴ培地」）、それらの物質が、ＨＧＰＲＴ欠損細胞に成長を阻止する。
【０１９０】
好ましい不死化細胞系は、効率的に融合し、選択した抗体産生細胞による抗体の安定な高レベル発現を支持し、ＨＡＴ培地のような培地に感受性が高いものである。より好ましい不死化細胞系は、マウスミエローマ系であり、それらは、例えば、Ｓａｌｋ Ｉｎｓｔｉｔｕｔｅ Ｃｅｌ Ｄｉｓｔｒｉｂｕｔｉｏｎ Ｃｅｎｔｅｒ， Ｓａｎ Ｄｉｅｇｏ， Ｃａｌｉｆｏｒｎｉａ、およびＡｍｅｒｉｃａｎ Ｔｙｐｅ Ｃｕｌｔｕｒｅ Ｃｏｌｅｃｔｉｏｎ， Ｍａｎａｓｓａｓ， Ｖｉｒｇｉｎｉａから入手することができる。明細書全体にわたって意味されるように、ヒトミエローマおよびマウス−ヒト異種ミエローマ細胞系もまた、ヒトモノクローナル抗体の産生のために記載されている（Ｋｏｚｂｏｒ， Ｊ． Ｉｍｍｕｎｏｌ．， １３３：３００１ （１９８４）； Ｂｒｏｄｅｕｒ ｅｔ ａｌ．， Ｍｏｎｏｃｌｏｎａｌ Ａｎｔｉｂｏｄｙ Ｐｒｏｄｕｃｔｉｏｎ Ｔｅｃｈｎｉｑｕｅｓ ａｎｄ Ａｐｐｌｉｃａｔｉｏｎｓ， Ｍａｒｃｅｌ Ｄｅｋｋｅｒ， Ｉｎｃ．， Ｎｅｗ Ｙｏｒｋ， （１９８７） ｐｐ．５１−６３）。
【０１９１】
次に、ハイブリドーマ細胞を培養する培地を、本発明のポリペプチドに対するモノクローナル抗体の存在に関してアッセイすることができる。好ましくは、ハイブリドーマ細胞により産生されるモノクローナル抗体の結合特異性は、免疫沈降によるか、あるいはラジオイムノアッセイ（ＲＩＡ）または酵素結合免疫吸着アッセイ（ＥＬＩＳＡ）のようなｉｎ  ｖｉｔｒｏ結合アッセイにより決定される。かかる技法は、当該技術分野で既知であり、当業者の範囲内である。モノクローナル結合親和性は、例えば、Ｍｕｎｓｏｎ ａｎｄ Ｐｏｌｌａｒｔ， Ａｎａｌ． Ｂｉｏｃｈｅｍ．， １０７：２２０ （１９８０）のスキャッチャード分析により決定することができる。
【０１９２】
所望のハイブリドーマ細胞が同定された後、クローンを、限界希釈手法によりサブクローニングし、標準的な方法により成長させてもよい（上述のＧｏｄｉｎｇ）。この目的のための適切な培地としては、例えば、ダルベッコ変法イーグル培地、およびＲＰＭＩ−１６４０が挙げられる。あるいは、ハイブリドーマ細胞は、哺乳動物中で腹水としてｉｎ  ｖｉｖｏで成長させてもよい。
【０１９３】
サブクローンにより分泌されるモノクローナル抗体は、例えばプロテインＡ−セファロース、ヒドロキシアパタイトクロマトグラフィ、ゲル排除クロマトグラフィ、ゲル電気泳動、透析、またはアフィニティクロマトグラフィのような従来の免疫グロブリン精製手順により、培地または腹水液から単離または精製してもよい。
【０１９４】
当業者は、モノクローナル抗体を産生するための様々な方法が当該技術分野に存在し、したがって、本発明はハイブリドーマにおけるそれらの有意の産生に限定されないことを認識するであろう。例えば、モノクローナル抗体は、米国特許第４，８１６，５６７号に記載されるような組換えＤＮＡ方法により作製されてもよい。この状況では、「モノクローナル抗体」という用語は、単一の真核生物クローン、ファージクローン、または原核生物クローンに由来する抗体を指す。本発明のモノクローナル抗体をコードするＤＮＡは、従来の手順を用いて（例えば、マウス抗体の重鎖および軽鎖、またはヒト、ヒト化もしくは他の供給源からの鎖などをコードする遺伝子に特異的に結合することが可能であるオリゴヌクレオチドプローブを用いることにより）、容易に単離およびシーケンシングすることができる。本発明のハイブリドーマ細胞は、かかるＤＮＡの好ましい供給源として作用する。いったん単離されると、ＤＮＡを発現ベクターに配置させてもよく、続いてそうしないと免疫グロブリンタンパク質を産生しないサルＣＯＳ細胞、チャイニーズハムスター卵巣（ＣＨＯ）細胞、またはミエローマ細胞のような宿主細胞にそれを形質転換して、組換え宿主細胞中でのモノクローナル抗体の合成を獲得する。ＤＮＡはまた、例えば相同性マウス配列の代わりにヒト重鎖および軽鎖定常ドメインのコード配列を置換されることにより（米国特許第４，８１６，５６７号、上述のＭｏｒｒｉｓｏｎ ｅｔ ａｌ．）、あるいは非免疫グロブリンポリペプチドのコード配列のすべてまたは一部を、免疫グロブリンコード配列に共有結合することで、修飾されてもよい。かかる非免疫グロブリンポリペプチドは、本発明の抗体の定常ドメインを置換することができ、あるいはキメラ二価抗体を創出するための本発明の抗体の１つの抗原組合せ部位の可変ドメインを置換することができる。
【０１９５】
抗体は、一価抗体であってもよい。一価抗体を調製する方法は当該技術分野で既知である。例えば、１つの方法は、免疫グロブリン軽鎖および修飾重鎖の組換え発現を含む。重鎖は、重鎖架橋を阻止するように、一般にＦｃ領域中の任意の点で切断される。あるいは、架橋を阻止するように、関連システイン残基を、別のアミノ酸残基で置換するか、または欠失させる。
【０１９６】
ｉｎ  ｖｉｔｒｏ方法もまた、一価抗体を調製するのに適切である。抗体を、その断片、特にＦａｂ断片を産生するために消化することは、当該技術分野で既知の日常的な技法を用いて達成することができる。
【０１９７】
本発明の抗体は、ヒト化抗体または完全ヒト（ヒト）抗体をさらに含んでもよい。非ヒト（例えば、マウス）抗体のヒト化形態は、非ヒト免疫グロブリンに由来する最少量の配列を含有する、キメラ免疫グロブリン、免疫グロブリン鎖またはその断片（例えば、抗体のＦｖ、Ｆａｂ、Ｆａｂ’、Ｆ（ａｂ’）２、または他の抗体結合サブ配列）である。ヒト化抗体としては、レシピエントの相補性決定領域（ＣＤＲ）からの残基が、所望の特異性、親和性および容量を有するマウス、ラットまたはウサギのような非ヒト種（ドナー抗体）のＣＤＲからの残基で置き換えられたヒト免疫グロブリン（レシピエント抗体）が挙げられる。数例では、ヒト免疫グロブリンのＦｖフレームワーク残基が、相当する非ヒト残基で置き換えられる。ヒト化抗体はまた、移入されたＣＤＲにもフレームワーク配列にもレシピエント抗体では見られない残基を含んでもよい。一般に、ヒト化抗体は、全てまたは実質的に全てのＣＤＲ領域が非ヒト免疫グロブリンのＣＤＲ領域に相当し、かつ全てまたは実質的に全てのＦＲ領域がヒト免疫グロブリンのコンセンサス配列のＦＲ領域である少なくとも１つ、典型的に２つの可変ドメインの実質的全てを含むであろう。ヒト化抗体はまた最適には、免疫グロブリンの定常領域（Ｆｃ）の少なくとも一部、典型的にはヒト免疫グロブリンの少なくとも一部を含むであろう（Ｊｏｎｅｓ ｅｔ ａｌ．， Ｎａｔｕｒｅ， ３２１： ５２２−５２５ （１９８６）； Ｒｉｅｃｈｍａｎｎ ｅｔ ａｌ．， Ｎａｔｕｒｅ ３３２：３２３−３２９ （１９８８） ａｎｄ Ｐｒｅｓｔａ， Ｃｕｒｒ． Ｏｐ． Ｓｔｒｕｃｔ． Ｂｉｏｌ．， ２：５９３−５９６ （１９９２））。
【０１９８】
非ヒト抗体をヒト化する方法は当該技術分野で既知である。一般に、ヒト化抗体は、非ヒトである供給源からそれに導入した１個または複数のアミノ酸残基を有する。これらの非ヒトアミノ酸残基は多くの場合、「移入（ｉｍｐｏｒｔ）」残基と呼ばれ、「移入」可変ドメインから典型的に取り出される。ヒト化は、Ｗｉｎｔｅｒと共同研究者等の方法に従って（Ｊｏｎｅｓ ｅｔ ａｌ．， Ｎａｔｕｒｅ， ３２１：５２２−５２５ （１９８６）； Ｒｅｉｃｈｍａｎ ｅｔ ａｌ．， Ｎａｔｕｒｅ， ３３２：３２３−３２７ （１９８８）； Ｖｅｒｈｏｅｙｅｎ ｅｔ ａｌ．， Ｓｃｉｅｎｃｅ， ２３９：１５３４−１５３６ （１９８８））、ヒト抗体の相当する配列をげっ歯類ＣＤＲ（複数または単数）配列で置換することで本質的に実施することができる。したがって、かかる「ヒト化」抗体は、インタクトヒト可変ドメインより実質的に少ないドメインが、非ヒト種由来の相当する配列で置換されたキメラ抗体であり（米国特許第４，８１６，５６７号）。実際には、ヒト化抗体は典型的に、幾つかのＣＤＲ残基および考え得る幾つかのＦＲ残基が、げっ歯類抗体中の類縁部位で置換されるヒト抗体である。
【０１９９】
ヒト抗体はまた、ファージディスプレイライブラリーを含む当該技術分野で既知の様々な技法を用いて産生することができる（Ｈｏｏｇｅｎｂｏｏｍ ａｎｄ Ｗｉｎｔｅｒ， Ｊ． Ｍｏｌ． Ｂｉｏｌ．， ２２７：３８１ （１９９１）； Ｍａｒｋｓ ｅｔ ａｌ．， Ｊ． Ｍｏｌ． Ｂｉｏｌ．， ２２２：５８１ （１９９１））。Ｃｏｌｅ等およびＢｏｅｒｄｅｒ等の技法も、ヒトモノクローナル抗体の調製に利用可能である（Ｃｏｌｅ ｅｔ ａｌ．， Ｍｏｎｏｃｌｏｎａｌ Ａｎｔｉｂｏｄｉｅｓ ａｎｄ Ｃａｎｃｅｒ Ｔｈｅｒａｐｙ， Ａｌａｎ Ｒ． Ｒｉｓｓ， （１９８５）； ａｎｄ Ｂｏｅｒｎｅｒ ｅｔ ａｌ．， Ｊ． Ｉｍｍｕｎｏｌ．， １４７（１）：８６−９５， （１９９１））。同様に、ヒト抗体は、内因性免疫グロブリン遺伝子を部分的または完全に不活性化したトランスジェニック動物、例えばマウスにヒト免疫グロブリン遺伝子座を導入することで作製することができる。攻撃時に、ヒト抗体産生が観察され、遺伝子再配列、構築、および抗体レパートリーの創出を含むすべての態様で、ヒト中に見られるものと非常に類似している。このアプローチは、例えば米国特許第５，５４５，８０７号、第５，５４５，８０６号、第５，５６９，８２５号、第５，６２５，１２６号、第５，６３３，４２５号、第５，６６１，１０６号、および以下の科学的刊行物：Ｍａｒｋｓ ｅｔ ａｌ．， Ｂｉｏｔｅｃｈｎｏｌ．， １０：７７９−７８３ （１９９２）； Ｌｏｎｂｅｒｇ ｅｔ ａｌ．， Ｎａｔｕｒｅ ３６８：８５６−８５９ （１９９４）； Ｆｉｓｈｗｉｌｄ ｅｔ ａｌ．， Ｎａｔｕｒｅ Ｂｉｏｔｅｃｈｎｏｌ．， １４：８４５−５１ （１９９６）； Ｎｅｕｂｅｒｇｅｒ， Ｎａｔｕｒｅ Ｂｉｏｔｅｃｈｎｏｌ．， １４：８２６ （１９９６）； Ｌｏｎｂｅｒｇ ａｎｄ Ｈｕｓｚｅｒ， Ｉｎｔｅｒｎ． Ｒｅｖ． Ｉｍｍｕｎｏｌ．， １３：６５−９３ （１９９５）に記載されている。
【０２００】
さらに、適切な生物活性を有するヒト抗体分子由来の遺伝子とともに適切な抗原特異性を有するマウス抗体分子由来の遺伝子をスプライシングすることで、「キメラ抗体」の産生用に開発された技法（Ｍｏｒｒｉｓｏｎ ｅｔ ａｌ．， １９８４， Ｐｒｏｃ． Ｎａｔｌ． Ａｃａｄ． Ｓｃｉ．， ８１：６８５１−６８５５； Ｎｅｕｂｅｒｇｅｒ ｅｔ ａｌ．， １９８４， Ｎａｔｕｒｅ， ３１２：６０４−６０８； Ｔａｋｅｄａ ｅｔ ａｌ．， １９８５， Ｎａｔｕｒｅ， ３１４：４５２−４５４）を使用することができる。キメラ抗体は、マウスｍＡｂに由来する可変領域とヒト免疫グロブリン定常領域を有するもののような、異なる部分が、異なる動物種に由来する分子である（例えば、Ｃａｂｉｌｌｙ ｅｔ ａｌ．， 米国特許第４，８１６，５６７号、およびＢｏｓｓ ｅｔ ａｌ．， 米国特許第４，８１６，３９７号を参照、ともにその全体が参照により本明細書に援用される）。
【０２０１】
本発明の抗体は、二重特異性抗体であってもよい。二重特異性抗体は、少なくとも２つの異なる抗原に結合特性を有するモノクローナル、好ましくはヒトまたはヒト化抗体である。本発明では、結合特異性の一方が本発明のポリペプチドに対して誘導されるものであってよく、他方が、任意の他の抗原、好ましくは細胞表面タンパク質、受容体、受容体サブユニット、組織特異的抗原、ウイルス由来タンパク質、ウイルスコードエンベロープタンパク質、細菌由来タンパク質、または細菌表面タンパク質等用であってもよい。
【０２０２】
二重特異性抗体を作製する方法は当該技術分野で既知である。伝統的に、二重特異性抗体の組換え産生は、２つの免疫グロブリン重鎖／軽鎖対の同時発現に基づくものであり、ここで２つの重鎖は、異なる特異性を有する（Ｍｉｌｓｔｅｉｎ ａｎｄ Ｃｕｅｌｌｏ， Ｎａｔｕｒｅ， ３０５：５３７−５３９ （１９８３）。免疫グロブリン重鎖および軽鎖のランダムな分類により、これらのハイブリドーマ（クアドローマ）は、１０個の異なる抗体分子の潜在的混合物を生じ、その中のたった１つが、正確な二重特異性構造を有する。正確な分子の精製は通常、アフィニティクロマトグラフィ工程により達成される。同様の手順が、１９９３年５月１３日に公開された国際公開第９３／０８８２９号、およびＴｒａｕｎｅｃｋｅｒ ｅｔ ａｌ．， ＥＭＢＯ Ｊ．， １０：３６５５−３６５９ （１９９１）に開示されている。
【０２０３】
所望の結合特異性（抗体−抗原組合せ部位）を有する抗体可変ドメインは、免疫グロブリン定常ドメイン配列に融合させることができる。融合は好ましくは、ヒンジ、ＣＨ２、およびＣＨ３領域の少なくとも一部を含む免疫グロブリン重鎖定常ドメインとによるものである。融合物の少なくとも１つに存在する軽鎖結合に必要な部位を含有する第１の重鎖定常領域（ＣＨ１）を有することが好ましい。免疫グロブリン重鎖融合物、および望ましい場合には免疫グロブリン軽鎖をコードするＤＮＡを、別個の発現ベクターに挿入して、適切な宿主生物に同時形質転換する。二重特異性抗体生成のさらなる詳細に関しては、例えば、Ｓｕｒｅｓｈ ｅｔ ａｌ．， Ｍｅｔｈ． Ｉｎ Ｅｎｚｙｍ， １２１：２１０ （１９８６）を参照されたい。
【０２０４】
異種結合体抗体も本発明により意図される。異種結合抗体は、２つの共有結合した抗体から構成される。かかる抗体は、例えば、不要の細胞に対して免疫系細胞が標的とするために（米国特許第４，６７６，９８０号）、またＨＩＶ感染の治療用に（国際公開第９１／００３６０号、国際公開第９２／２０３７３号、および欧州特許第０３０８９号）提唱されてきた。抗体は、架橋剤を含む方法を含む合成タンパク質化学で既知の方法を用いて、ｉｎ  ｖｉｔｒｏで調製し得ることが意図される。例えば、免疫毒素は、ジスルフィド交換反応を用いて、あるいはチオエステル結合を形成することにより構築され得る。この目的に適した試薬の例としては、イミノチオレートおよびメチル−４−メルカプトブチルイミデート、ならびに例えば米国特許第４，６７６，９８０号に開示されるものが挙げられる。
【０２０５】
本発明のポリペプチドに対する抗体の使用
本発明の抗体は、様々な有用性を有する。例えば、かかる抗体は、試料中の本発明のポリペプチドの存在または定量化を検出するための診断アッセイで使用され得る。かかる診断アッセイは、少なくとも２工程で構成され得る。第１に、試料を抗体にさらすことであり、ここで試料は、組織（例えば、動物、植物等）、生物学的液体（例えば、血液、尿、師部液、木部液、植物分泌等）、生物学的抽出物（例えば、組織または細胞ホモジネート等）、タンパク質マイクロチップ（例えば、Ａｒｅｎｋｏｖ Ｐ， ｅｔ ａｌ．， Ａｎａｌ Ｂｉｏｃｈｅｍ．， ２７８（２）：１２３−１３１ （２０００））、またはクロマトグラフィカラム等である。また第２工程は、基質に結合した抗体の定量化を含む。あるいは、上記方法は、抗体を、共有結合的に、静電的に、または逆転的に（ｒｅｖｅｒｓａｂｌｙ）、固体支持体に結合する第１の工程、および上記および本明細書中の他の箇所に定義するような試料を、結合性抗体にさらす第２の工程をさらに包含してもよい。
【０２０６】
競合結合アッセイ、直接または間接サンドイッチアッセイおよび不均一または均一相で行われる免疫沈降アッセイのような様々な診断アッセイ技法が当該技術分野で既知である（Ｚｏｌａ， Ｍｏｎｏｃｌｏｎａｌ Ａｎｔｉｂｏｄｉｅｓ： Ａ Ｍａｎｕａｌ ｏｆ Ｔｅｃｈｎｉｑｕｅｓ， ＣＲＣ Ｐｒｅｓｓ， Ｉｎｃ．， （１９８７）， ｐｐ１４７−１５８）。診断アッセイで使用される抗体は、検出可能部分で標識することができる。検出可能部分は、検出可能シグナルを直接的または間接的に発生することが可能であるべきである。例えば、検出可能部分は、２Ｈ、１４Ｃ、３２Ｐ、または１２５Ｉのような放射性同位体、フルオレセインイソチオシアネート、ローダミン、またはルシフェリンのような蛍光または化学発光化合物、アルカリホスファターゼ、β−グリコシダーゼ、グリーン蛍光タンパク質、またはホースラディッシュペルオキシダーゼのような酵素であり得る。Ｈｕｎｔｅｒ ｅｔ ａｌ．， Ｎａｔｕｒｅ， １４４：９４５ （１９６２）； Ｄａｆｖｉｄ ｅｔ ａｌ．， Ｂｉｏｃｈｅｍ．， １３：１０１４ （１９７４）； Ｐａｉｎ ｅｔ ａｌ．， Ｊ． Ｉｍｍｕｎｏｌ． Ｍｅｔｈｏ．， ４０：２１９（１９８１）；およびＮｙｇｒｅｎ， Ｊ． Ｈｉｓｔｏｃｈｅｍ． Ａｎｄ Ｃｙｔｏｃｈｅｍ．， ３０：４０７（１９８２）を含む、抗体に検出可能部分を結合する当該技術分野で既知の任意の方法が使用され得る。
【０２０７】
本発明のポリペプチドに対する抗体は、組換え細胞培養または自然源からのかかるポリペプチドの親和性精製に有用である。このプロセスで、当該技術分野で既知の方法を用いて、特定のポリペプチドに対する抗体を、セファデックス樹脂または濾紙のような適切な支持体上に固定化する。次に、固定化抗体を、精製されるべきポリペプチドを含有する試料と接触させた後、固定化抗体に結合した所望のポリペプチド以外の試料中の実質的に全ての物質を除去する適切な溶媒で支持体を洗浄する。最終的に、抗体から所望のポリペプチドを遊離させる別の適切な溶媒で支持体を洗浄する。
【０２０８】
本発明のポリペプチドに対する抗体は、動物のアレルギー反応を抑制するのに有用である。例えば、治療上許容可能な用量の本発明の抗体（単数または複数）、または本発明の抗体のカクテル、あるいは様々な供給源の他の抗体と合わせて投与することで、動物は、ある種の抗原、特に植物抗原の摂取時にアレルギー反応を誘発しない場合がある。例示的な例では、リコスペルシクム・エスクレンツム（Ｌｙｃｏｓｐｅｒｓｉｃｕｍ ｅｓｃｕｌｅｎｔｕｍ）からのトマトＬＥＡレクチンは、マウスにおいて経口および鼻腔内の両方で投与する場合に、強力な免疫応答を誘発することがわかった。したがって、ＬＥＡレクチンに対する抗体をマウスに投与することで、ＬＥＡレクチンは、免疫応答を誘発する前に循環から効率的に排除され得るため、ＬＥＡレクチンに対する免疫応答が減少するか、または完全に排除され得る（例えば、Ｌａｖｅｌｌｅ ＥＣ， ｅｔ ａｌ．， Ｉｍｍｕｎｏｌｏｇｙ． ９９（１）：３０−７， （２０００））。同様に、本発明のポリペプチド（このポリペプチドは、生物におけるアレルギーおよび／または免疫応答を誘発する潜在能力を有する）に対する抗体をコードする遺伝子をクローニングすること、およびそれが生物で発現される（例えば、構成的に、誘発的に等）ように上記抗体遺伝子で生物を形質転換することを想定することができる。したがって、生物は、かかる免疫／アレルギー反応性ポリペプチドの摂取または存在に起因するアレルギー反応に対して効果的に抵抗性をもつようになる。本発明の治療上の用途および／または遺伝子治療用途の詳細な記述は、本明細書中の他の箇所に提供される。
【０２０９】
あるいは、本発明の抗体は、植物で産生することができ（例えば、本発明のポリペプチドに対する抗体の遺伝子をクローニングし、植物内の抗体の構成的発現用の上記遺伝子を含む適切なベクターで植物を形質転換する）、続いてその植物を動物に摂取させ、それによりその抗体が誘導される特定抗原に対して、動物に一時的な免疫性を付与することができる（例えば、米国特許第５，９１４，１２３号、および第６，０３４，２９８号を参照）。
【０２１０】
別の実施形態では、本発明の抗体、好ましくはポリクローナル抗体、より好ましくはモノクローナル抗体、最も好ましくは単鎖抗体は、植物または生物中で、特定の遺伝子（単数または複数）の遺伝子発現を阻害する手段として使用することができる。例えば、２０００年２月３日に公開された国際公開第００／０５３９１号（Ｄｏｗ Ａｇｒｏｓｃｉｅｎｃｅｓ ＬＬＣ）を参照されたい。本発明の抗体に関するかかる方法の適用は、当該技術分野で既知であり、本明細書中の他の箇所でより具体的に記載している（例えば、実施例１４および１５を参照）。
【０２１１】
さらに別の実施形態では、本発明の抗体は、本発明のポリペプチドを多量体化するのに有用であり得る。例えば、あるタンパク質は、多量体状態で存在する場合に増大した生物活性を付与し得る（すなわち、増大した活性は、かかるタンパク質の増加した有効濃度に起因し得て、それによりより多くのタンパク質が局在化された位置で利用可能である）。
【０２１２】
融合タンパク質
本発明の任意のポリペプチドは、融合タンパク質を生成するのに使用することができる。例えば、本発明のポリペプチドは、第２のタンパク質に融合されると、抗原タグとして使用することができる。本発明のポリペプチドに対して誘起される抗体は、ポリペプチドに結合することで、第２のタンパク質を間接的に検出するために使用することができる。さらに、あるタンパク質は、輸送シグナルに基づいて細胞位置を標的とするため、本発明のポリペプチドは、他のタンパク質にいったん融合されれば、ターゲッティング分子として使用することができる。
【０２１３】
本発明のポリペプチドに融合することができるドメインの例には、異種シグナル配列だけでなく、他の異種機能領域も含まれる。融合は、かならずしも直接的である必要はなく、リンカー配列を介して行ってもよい。
【０２１４】
さらに、融合タンパク質はまた、本発明のポリペプチドの特徴を改善するように操作してもよい。例えば、宿主細胞からの精製または続く取り扱いおよび保管中の安定性および残留性を改善するために、さらなるアミノ酸、特に荷電アミノ酸の領域をポリペプチドのＮ末端に付加してもよい。精製を容易にするために、ペプチド部位をポリペプチドに付加してもよい。かかる領域は、ポリペプチドの最終調製前に除去され得る。同様に、ペプチド切断部位を、かかるペプチド部分間に導入することができ、さらにプロテアーゼ活性を施して、本発明のタンパク質から上記ペプチド（複数可）を除去することができる。ポリペプチドの取り扱いを容易にするために、ペプチド切断部位を含むペプチド部位を付加することは、当該技術分野ではごくありふれた日常的な技法である。
【０２１５】
さらに、断片、特にエピトープを含む本発明のポリペプチドは、免疫グロブリン（ＩｇＡ、ＩｇＥ、ＩｇＧ、ＩｇＭ）の定常部部分、またはそれらの一部（ＣＨ１、ＣＨ２、ＣＨ３およびそれらの任意の組合せ、全ドメインおよびその一部を含む）と組み合わせて、キメラポリペプチドを生じることができる。これらの融合タンパク質は、精製を容易とし、ｉｎ  ｖｉｖｏでの半減期の増加を示す。報告された一例には、ヒトＣＤ４−ポリペプチドの最初の２つのドメイン、および哺乳動物免疫グロブリンの重鎖または軽鎖の定常領域の様々なドメインから構成されるキメラタンパク質について記載されている（欧州特許第３９４，８２７号； Ｔｒａｕｎｅｃｋｅｒ ｅｔ ａｌ， Ｎａｔｕｒｅ ３３１：８４−８６ （１９８８））。ジスルフィド結合二量体構造（ＩｇＧに起因する）を有する融合タンパク質はまた、単量体分泌タンパク質またはタンパク質断片単独よりも、他の分子を結合および中和するのに効果的であり得る（Ｆｏｕｎｔｏｕｌａｋｉｓ ｅｔ ａｌ．， Ｊ． Ｂｉｏｃｈｅｍ． ２７０：３９５８−３９６４ （１９９５））。
【０２１６】
同様に、欧州第Ａ−０  ４６４  ５３３（カナダ特許対応物第２０４５８６９号）は、別のヒトタンパク質またはその一部とともに、免疫グロブリン分子の定常領域の様々な部分を含む融合タンパク質について開示している。多くの場合では、融合タンパク質中のＦｃ部分が、治療および診断に有益であり、したがって、例えば向上した薬物動態的特性をもたらすことができる（欧州特許第０２３２  ２６２号）。あるいは、融合タンパク質を発現、検出および精製した後にＦｃ部分を欠失させることが望ましい。例えば、融合タンパク質が免疫化用の抗原として使用される場合、Ｆｃ部分は、治療および診断を妨害し得る。創薬では、例えば、ｈＩＬ−５のアンタゴニストを同定するためのハイスループットスクリーニングアッセイの目的で、ＩＬ−５のようなヒトタンパク質をＦｃ部分と融合させている（Ｄ．Ｂｅｎｎｅｔｔ ｅｔ ａｌ．， Ｊ． Ｍｏｌｅｃｕｌａｒ Ｒｅｃｏｇｎｉｔｉｏｎ ８：５２−５８ （１９９５）； Ｋ． Ｊｏｈａｎｓｏｎ ｅｔ ａｌ．， Ｊ． Ｂｉｏｌ． Ｃｈｅｍ． ２７０：９４５９−９４７１ （１９９５）を参照）。
【０２１７】
さらに、本発明のポリペプチドは、マーカー配列（「タグ」とも称される）に融合させることができる。かかる「タグ」に特異的な抗体の利用可能性に起因して、本発明のポリペプチドに特異的な抗体は必要とされないため、本発明の融合ポリペプチドの精製、および／またはその同定は有意に促進される。かかる精製は、親和性精製の形態であってもよく、それによりエピトープタグに結合する抗タグ抗体または別のタイプの親和性マトリクス（例えば、流動カラムのマトリクスに付着された抗タグ抗体）が存在する。好ましい実施形態では、マーカーアミノ酸配列は、とりわけ、ｐＱＥベクター中に提供されるタグ（ＱＩＡＧＥＮ， Ｉｎｃ．， ９２５９ Ｅｔｏｎ Ａｖｅｎｕｅ， Ｃｈａｔｓｗｏｒｔｈ， ＣＡ， ９１３１１）のような６ヒスチジンペプチドであり、その多くが市販されている。Ｇｅｎｔｚ ｅｔ ａｌ．， Ｐｒｏｃ． Ｎａｔｌ． Ａｃａｄ． Ｓｃｉ． ＵＳＡ ８６：８２１−８２４ （１９８９）に記載されるように、例えば、６ヒスチジンは、融合タンパク質の利便性の高い精製を提供する。精製に有用な別のペプチドタグである「ＨＡ」タグは、インフルエンザ血球凝集素タンパク質に由来するエピトープに相当する（Ｗｉｌｓｏｎ ｅｔ ａｌ．， Ｃｅｌｌ ３７：７６７ （１９８４））。
【０２１８】
当業者は、本発明のポリペプチドの精製および／または同定に関して上述したタグと容易に置き換えることができる他の「タグ」の存在を認識するであろう（Ｊｏｎｅｓ Ｃ．， ｅｔ ａｌ．， Ｊ Ｃｈｒｏｍａｔｏｇｒ Ａ． ７０７（１）： ３−２２ （１９９５））。例えば、ｃ−ｍｙｃタグおよびそれに対する８Ｆ９、３Ｃ７、６Ｅ１０、Ｇ４ｍ  Ｂ７、および９Ｅ１０抗体（Ｅｖａｎ ｅｔ ａｌ．， Ｍｏｌｅｃｕｌａｒ ａｎｄ Ｃｅｌｌｕｌａｒ Ｂｉｏｌｏｇｙ ５：３６１０−３６１６ （１９８５））、単純ヘルペスウイルス糖タンパク質Ｄ（ｇＤ）タグおよびその抗体（Ｐａｂｏｒｓｋｙ ｅｔ ａｌ．， Ｐｒｏｔｅｉｎ Ｅｎｇｉｎｅｅｒｉｎｇ， ３（６）：５４７−５５３ （１９９０））、フラッグペプチド、すなわち、オクタペプチド配列ＤＹＫＤＤＤＤＫ（配列番号１７）（Ｈｏｐｐ ｅｔ ａｌ．， Ｂｉｏｔｅｃｈ． ６：１２０４−１２１０ （１９８８））、ＫＴ３エピトープペプチド（Ｍａｒｔｉｎ ｅｔ ａｌ．， Ｓｃｉｅｎｃｅ， ２５５：１９２−１９４ （１９９２））、α−チュブリンエピトープペプチド（Ｓｋｉｎｎｅｒ ｅｔ ａｌ．， Ｊ． Ｂｉｏｌ． Ｃｈｅｍ．， ２６６：１５１３６−１５１６６， （１９９１））、Ｔ７遺伝子１０タンパク質ペプチドタグ（Ｌｕｔｚ−Ｆｒｅｙｅｒｍｕｔｈ ｅｔ ａｌ．， Ｐｒｏｃ． Ｎａｔｌ． Ｓｃｉ． ＵＳＡ， ８７：６３６３−６３９７ （１９９０））、ＦＩＴＣエピトープ（Ｚｙｍｅｄ， Ｉｎｃ．）、ＧＦＰエピトープ（Ｚｙｍｅｄ， Ｉｎｃ．）、およびローダミンエピトープ（Ｚｙｍｅｄ， Ｉｎｃ．）。
【０２１９】
本発明はまた、本発明のポリペプチドに、９個以下のアルギニンアミノ酸の繰り返しシリーズのコード領域を結合することも含む。本発明はまた、９個以下のアルギニンアミノ酸の繰り返しシリーズで、本発明のポリペプチドを化学的に誘導体化することを含む。かかるタグは、ポリペプチドに結合されると、さらなる誘導体化または操作なしで、細胞の内部に化合物を接近させることが可能な普遍的パスとして作用することが最近わかっている（Ｗｅｎｄｅｒ， Ｐ．， ｅｔ ａｌ．、未公開データ）。
【０２２０】
本発明のポリペプチド（その断片および／または変異体を含む）を含むタンパク質融合物は、以下の非限定的な例：タンパク質の細胞下局在化、免疫沈降によるタンパク質−タンパク質相互作用の決定、アフィニティクロマトグラフィによるタンパク質の精製、タンパク質の機能的および／または構造的特性化に使用することができる。本発明はまた、エピトープ融合タンパク質に関して上述した使用のいずれかのための、ハプテン特異的抗体の適用を含む。例えば、本発明のポリペプチドは、ハプテン分子（例えば、ＤＮＰ（Ｚｙｍｅｄ， Ｉｎｃ．））を結合するように化学的に誘導体化することができる。かかるハプテンに特異的なモノクローナル抗体の利用可能性により、タンパク質は、例えば免疫沈降を用いて容易に精製することができる。
【０２２１】
本発明のポリペプチド（その断片および／または変異体を含む）、さらにかかるポリペプチド、断片および／変異体に対する抗体は、多数の既知であるがまだ決定されていない毒素（例えば、リシン、サポリン（Ｍａｓｈｉｂａ Ｈ， ｅｔ ａｌ．， Ａｎｎ Ｎ Ｙ Ａｃａｄ Ｓｃｉ． １９９９； ８８６：２３３−５）、ＨＣ毒素（Ｔｏｎｕｋａｒｉ ＮＪ， ｅｔ ａｌ．， Ｐｌａｎｔ Ｃｅｌｌ． ２０００ Ｆｅｂ； １２（２）：２３７−２４８）、ＢＴエンドトキシン、またはシュードモナスエンドトキシン）のいずれかに融合させてもよい。かかる融合物は、本発明のポリヌクレオチドに結合することが可能なリガンドまたはタンパク質が存在する所望の組織に毒素を送達するために使用することができる。
【０２２２】
本発明は、細胞中の特定位置に、特定植物組織に、および／または特定植物種に、毒素を送達するために、上記毒素への本発明のポリペプチド（その変異体および断片を含む）に対する抗体の融合を含む。かかる二官能性抗体は当該技術分野で既知であるが、産生方法に関する引用を含む、さらなる好適な融合について記載する概説が、Ｐ．Ｊ． Ｈｕｄｓｏｎ， Ｃｕｒｒ． Ｏｐｐ． Ｉｎ Ｉｍｍ． １１：５４８−５５７， （１９９９）に見出すことができ、この刊行物、さらにはそこに引用される参照文献は、その全体が参照により本明細書に援用される。この状況では、「毒素」という用語は、任意の異種タンパク質、小分子、放射性ヌクレオチド、細胞毒性薬剤、リポソーム、接着分子、糖タンパク質、リガンド、細胞または組織特異的リガンド、酵素、生理活性作用物質、生物学的応答改質剤、抗真菌剤、ホルモン、ステロイド、ビタミン、ペプチド、ペプチド類縁体、抗アレルギー剤、抗結節剤、抗ウイルス剤、抗生物質、抗原虫剤、キレート、放射性粒子、放射性イオン、Ｘ線造影剤、モノクローナル抗体、ポリクローナル抗体、および遺伝物質を含むように拡大し得る。本開示を鑑みて、当業者は、任意の特定の「毒素」は、本発明の化合物で使用することができるかどうかを決定することができる。上記に列挙した適切な「毒素」の例は、単なる例示であり、本発明で使用し得る「毒素」を限定するものと解釈されない。
【０２２３】
したがって、これらの上記融合物のいずれかは、本発明のポリヌクレオチドまたはポリペプチドを用いて操作することができる。
【０２２４】
ベクター、宿主細胞、およびタンパク質産生
本発明はまた、本発明のポリヌクレオチドを含有するベクター、宿主細胞、および組換え技法によるポリペプチドの産生に関する。ベクターは、例えば、ファージ、プラスミド、ウイルス、またはレトロウイルスベクターであってもよい。レトロウイルスベクターは、複製適格性であっても、あるいは複製欠陥性であってもよい。後者の場合には、ウイルス増殖は一般に、補完性宿主細胞でのみ起きる。
【０２２５】
ポリヌクレオチドは、宿主中での増殖用の選択マーカーを含有するベクターに連結され得る。一般に、プラスミドベクターは、リン酸カルシウム沈殿物のような沈殿物中で、あるいは荷電脂質との複合体中で導入される。ベクターがウイルスである場合、それは、適切なパッケージング細胞系を用いてｉｎ  ｖｉｔｒｏでパッケージングした後に、宿主細胞へと形質導入され得る。
【０２２６】
本発明のポリヌクレオチド挿入物は、幾つか例を挙げると、３５Ｓプロモーター、３４Ｓプロモーター、ＣＭＶプロモーター、ファージλＰＬプロモーター、大腸菌ｌａｃ、ｔｒｐ、ｐｈｏＡおよびｔａｃプロモーター、ＳＶ４０初期および後期プロモーター、およびレトロウイルスＬＴＲのプロモーターのような適切なプロモーターに作動的に連結するべきである。さらに、場合によっては、組織特異的または細胞型特異的プロモーターを本発明のポリヌクレオチドに作動可能に連結させることが望ましいか、または必要である場合がある。特定の組織または細胞型で選択的に発現される適切な植物発現可能プロモーターは当該技術分野で既知であり、種子特異的プロモーター（例えば、国際公開第８９／０３８８７）、器官原基特異的プロモーター（Ａｎ ｅｔ ａｌ．， Ｐｌａｎｔ Ｃｅｌｌ， ８：１５−３０， （１９９６））、茎特異的プロモーター（Ｋｅｌｌｅｒ ｅｔ ａｌ．， ＥＭＢＯ Ｊ．， ７：３６２５−３６３３， （１９８８））、葉特異的プロモーター（Ｈｕｄｓｐｅｔｈ ｅｔ ａｌ．， Ｐｌａｎｔ． Ｍｏｌ． Ｂｉｏｌ．， １２：５７９−５８９， （１９８９）、葉肉特異的プロモーター（例えば、光誘導性Ｒｕｂｉｓｃｏプロモーター）、根特異的プロモーター（Ｋｅｌｌｅｒ ｅｔ ａｌ．， Ｇｅｎｅｓ Ｄｅｖｅｌ．， ３：１６３９−１６４６， （１９８９））、塊茎特異的プロモーター（Ｋｅｉｌ ｅｔ ａｌ．， ＥＭＢＯ Ｊ．， ８：１３２３−１３３０， （１９８９））、維管束組織特異的プロモーター（Ｐｅｌｅｍａｎ ｅｔ ａｌ．， Ｇｅｎｅ， ８４：３５９−３６９， （１９８９））、分裂組織特異的プロモーター（例えば、ＳＨＯＯＴＭＥＲＩＳＴＥＭＬＥＳＳ（ＳＴＭ）遺伝子のプロモーター、Ｌｏｎｇ ｅｔ ａｌ．， Ｎａｔｕｒｅ， ３７９：６６−６９， （１９９６））、原基特異的プロモーター（例えば、アンティリヌム（Ａｎｔｉｒｒｈｉｎｕｍ）ＣｙｃＤ３ａ遺伝子プロモーター、Ｄｏｏｎａｎ ｅｔ ａｌ．， 「Ｐｌａｎｔ Ｃｅｌｌ Ｄｉｖｉｓｉｏｎ」（Ｆｒａｎｃｉｓ， Ｄｕｄｉｔｚ， ａｎｄ Ｉｎｚｅ， Ｅｄｓ）にて、Ｐｏｒｔｌａｎｄ Ｐｒｅｓｓ， Ｌｏｎｄｏｎ， （１９９８））、葯特異的プロモーター（国際公開第８９／１０３９６号、国際公開第９２／１３９５６号、および国際公開第９２／１３９５７号）、柱頭特異的プロモーター（国際公開第９１／０２０６８号）、デギスセンスゾーン（ｄｅｇｉｓｃｅｎｃｅ−ｚｏｎｅ）特異的プロモーター（国際公開第９７／１３８６５号）、種子特異的プロモーター（国際公開第８９／０３８８７号）等が挙げられるが、これらに限定されない。
【０２２７】
本発明のポリヌクレオチドに作動可能に連結してもよいさらなるプロモーターは、ＭｃＥｌｒｏｙ ａｎｄ Ｂｒｅｔｔｅｌ， Ｔｉｂｔｅｃｈ， Ｖｏｌ． １２， Ｆｅｂｒｕａｔｙ， １９９４に見出し得る。さらに、多数のプロモーターが、双子葉類の植物の形質転換に現在使用されている。これらのプロモーターは、多種多様の供給源に由来する。一般に使用されるプロモーターの一群は、アグロバクテリウム・チュメファシエンス（Ａｇｒｏｂａｃｔｅｒｉｕｍ ｔｕｍｅｆａｃｉｅｎｓ）から単離され、そこでそれらは、感染中に植物ゲノムに組み込まれるＴ−ＤＮＡセグメント上に保有されるオピンシンターゼ遺伝子の発現を駆動するために機能する。これらのプロモーターとして、オクトピンシンターゼ（ｏｃｓ）プロモーター（Ｌ． Ｃｏｍａｉ ｅｔ ａｌ．， １９８５； Ｃ． Ｗａｌｄｒｏｎ ｅｔ ａｌ．， １９８５）、マンノピンシンターゼ（ｍａｓ）プロモーター（Ｌ． Ｃｏｍａｉ ｅｔ ａｌ．， １９８５； Ｋ．Ｅ．ＭｃＢｒｉｄｅ ａｎｄ Ｋ．Ｒ． Ｓｕｍｍｅｒｆｅｌｔ， １９９０）、およびノパリンシンターゼ（ｎｏｓ）プロモーター（Ｍ．Ｗ．Ｂｅｖａｎ ｅｔ ａｌ．， １９８３； Ｌ．Ｈｅｒｒｅｒａ−Ｅｓｔｒｅｌｌａ ｅｔ ａｌ．， １９８３， Ｒ．Ｔ．Ｆｒａｌｅｙ ｅｔ ａｌ．， １９８３， Ｍ． Ｄｅ Ｂｌｏｃｋ ｅｔ ａｌ．， １９８４； Ｒ．Ｈａｉｎ ｅｔ ａｌ．， １９８５）が挙げられる。これらにプロモーターは、広範な植物組織で活性である。
【０２２８】
さらに、以下の刊行物に開示されるプロモーターもまた、本発明のポリヌクレオチドに作動可能に連結してもよい：米国特許第５，６２３，０６７号、第５，７１２，１１２号、第５，７２３，７５１号、第５，７２３，７５４号、第５，７２３，７５７号、第５，７４４，３３４号、第５，７５０，３８５号、第５，７５０，３９９号、第５，７６７，３６３号、第５，７８３，３９３号、第５，７８９，２１４号、第５，７９２，９２２号、第５，７９２，９３３号、第５，８０１，０２７号、第５，８０４，６９４号、第５，８１４，６１８号、第５，８２４，８５７号、第５，８２４，８６３号、第５，８２４，８６５号、第５，８２４，８６６号、第５，８２４，８７２号、および第５，９２９，３０２号、ならびに国際公開第９７／４９７２７号、第９８／００５３３号、第９８／０３６５５号、第９８／０７８４６号、第９８／０８９６１号、第９８／０８９６２号、９８／１０７３４号、第９８／１６６３４号、第９８／２２５９３号、第９８／３８２９５号、およｇび第９８／４４０９７号、ならびに欧州特許出願第０  ８４６  ７７０号。
【０２２９】
幾つかのウイルスプロモーターも、双子葉植物で異種遺伝子発現を駆動するのに使用され、本発明のポリヌクレオチドに作動可能に連結され得る。カリフラワーモザイクウイルス３５Ｓプロモーターは、ほとんど全ての組織での高レベルの遺伝子発現を付与するので、双子葉植物形質転換用に最も頻繁に使用されるプロモーターの１つである（Ｌ． Ｏｄｅｌｌ ｅｔ ａｌ．， １９８５； Ｄ．Ｗ． Ｏｗ ｅｔ ａｌ．， １９８６； Ｄ．Ｍ． Ｓｈａｈ ｅｔ ａｌ．， １９８６）。２つのタンデム３５Ｓプロモーター（Ｒ． Ｋａｙ ｅｔ ａｌ．， １９８７）、および３５Ｓプロモーターとタンデムなマンノピンシンターゼプロモーターから構成されるｍａｓ−３５Ｓプロモーター（Ｌ． Ｃｏｍａｉ ｅｔ ａｌ．， １９９０）を含むこのプロモーターの改変体も使用される。これらのプロモーターはともに、３５Ｓプロモーターの単一コピーよりも一層高レベルの遺伝子発現を駆動する。使用されている他のウイルスプロモーターとしては、カリフラワーモザイクウイルス１９Ｓプロモーター（Ｊ． Ｐａｓｚｋｏｗｓｋｉ ｅｔ ａｌ．， １９８４； Ｅ． Ｂａｌａｚｓ ｅｔ ａｌ．）、およびゴマノハグサモザイクウイルス由来の３４Ｓプロモーター（Ｍ． Ｓａｎｇｅｒ ｅｔ ａｌ．， １９９０）が挙げられる。
【０２３０】
あるいは、本発明のポリヌクレオチド挿入物は、当該技術分野で既知の多数の誘導プロモーターのいずれかに作動的に連結することができ、誘導プロモーターとしては、テトラサイクリン誘導プロモーター、小分子誘導プロモーター、光誘導プロモーター、化学化合物（例えば、毒性緩和剤、除草剤、グルココルチコイド等）、非生物ストレス誘導プロモーター（例えば、創傷、重金属、寒冷感受性プロモーター、熱感受性プロモーター、塩感受性プロモーター、干ばつ感受性プロモーター、低酸素誘導（例えば、欧州特許第１０１２３１７号に開示されるもの）等）、生物ストレスプロモーター（例えば、病原体またはペスト感染（真菌、ウイルス、細菌、昆虫、線虫、マイコプラスマ属、およびマイコプラスマ属様生物等を含む））が挙げられるが、これらに限定されない。本発明に適した植物発現可能誘導プロモーターは、線虫誘導プロモーター（例えば、国際公開第９２／２１７５７号、および／または欧州特許第１００７７０９号に開示されるもの）、真菌誘導プロモーター（国際公開第９３／１９１８８号、国際公開第９６／２８５６１号）、化学的誘導アラビドピシスＰＲ−１プロモーター（国際公開第９８／０３５３６号）、国際公開第９８／４５４４５号に開示される誘導プロモーター、米国特許第５，８０４，６９３号に開示される誘導プロモーター、米国特許第５，８２１，３９８号に開示されるトマト軟果実誘導プロモーター、デキサメタゾンのようなグルココルチコイドの適用後に抑制または活性化されるプロモーター、またはテトラサイクリンの適用後に抑制または活性化されるプロモーター（Ｇａｔｚ ｅｔ ａｌ．， ＰＮＡＳ ＵＳＡ， ８５：１３９４−１３９７， （１９８８））である。他の適切な誘導プロモーターは、当業者に既知であろう。
【０２３１】
さらに、本発明のポリヌクレオチド挿入物は、「人工」もしくはキメラプロモーターおよび転写因子に作動的に連結することができる。具体的に、人工プロモーターは、トランス作動性転写因子により認識されるシス作動性ＤＮＡ配列要素の任意の組合せを含み得るか、あるいはそれから構成され得る。好ましくは、シス作動性ＤＮＡ配列要素およびトランス作動性転写因子は、植物で作動可能である。さらに、かかる「人工」プロモーターのトランス作動性転写因子もまた、それ自体の設計で「人工」またはキメラであり得て、上記「人工」プロモーターに対する活性化因子またはリプレッサーとして作用することができる。例えば、本発明のキメラプロモーターは、オクトピンシンターゼ遺伝子（ＯＣＳ）、マトリクス結合領域（ＭＡＲ）等に由来する上流活性化配列を１つまたは複数、含むことができる。
【０２３２】
発現構築物はさらに、転写開始、終結用の部位、および転写領域中に翻訳用リボソーム結合部位を含有するであろう。構築物により発現される転写物のコード部分は、好ましくは、翻訳されるべきポリペプチドの最初の部分にある転写開始コドン、および終わりの部分に適切に位置する終結コドン（ＵＡＡ、ＵＧＡ、またはＵＡＧ）を含むであろう。
【０２３３】
発現構築物はさらに、発現構築物中に５’リーダー配列を含んでもよい。かかるリーダー配列は、翻訳を増大させるように作用することができる。翻訳リーダーは当該技術分野で既知であり、ピコルナウイルスリーダー（例えばＥＭＣＶリーダー（脳心筋炎５’非コード領域）（Ｅｌｒｏｙ−Ｓｔｅｉｎ， Ｏ．， Ｆｕｅｒｓｔ， Ｔ．Ｒ．， ａｎｄ Ｍｏｓｓ， Ｂ． （１９８９） ＰＮＡＳ ＵＳＡ， ８６：６１２６−６１３０））、ポチウイルス（ｐｏｔｙｖｉｒｕｓ）リーダー（例えばＴＥＶリーダー（タバコ腐食（Ｅｔｃｈ）ウイルス）（Ａｌｌｉｓｏｎ ｅｔ ａｌ． （１９８６））、ＭＤＭＶリーダー（トウモロコシ矮化モザイクウイルス）（Ｖｉｒｏｌｏｇｙ， １５４：９−２０）、およびヒト免疫グロブリン重鎖結合タンパク質（ＢｉＰ）（Ｍａｃｅｊａｋ， Ｄ．Ｇ．， ａｎｄ Ｓａｒｎｏｗ， Ｐ． （１９９１） Ｎａｔｕｒｅ， ３５３：９０−９４１）、アルファルファモザイクウイルスのコートタンパク質ｍＲＮＡ由来の非翻訳リーダー（ＡＭＶ  ＲＮＡ  ４）（Ｊｏｂｌｉｎｇ， Ｓ．Ａ．， ａｎｄ Ｇｅｈｒｋｅ， Ｌ．， （１９８７） Ｎａｔｕｒｅ， ３２５：６２２−６２５）、タバコモザイクウイルスリーダー（ＴＷ）（Ｇａｌｌｉｅ， Ｄ．Ｒ． ｅｔ ａｌ． （１９８９） Ｍｏｌｅｃｕｌａｒ Ｂｉｏｌｏｇｙ ｏｆ ＲＮＡ， ｐａｇｅｓ ２３７−２５６）、およびトウモロコシ白化斑点（ｃｈｌｏｒｏｔｉｃ ｍｏｔｔｌｅ）ウイルスリーダー（ＭＣＮＷ）（Ｌｏｍｍｅｌ， Ｓ．Ａ． ｅｔ ａｌ． （１９９１） Ｖｉｒｏｌｏｇｙ， ８１：３８２−３８５）が挙げられる。またＤｅｌｌａ−Ｃｉｏｐｐａ ｅｔ ａｌ． （１９８７） Ｐｌａｎｔ Ｐｈｙｓｉｏｌｏｇｙ， ８１９６５０６も参照されたい。翻訳を増大することが知られている他の方法、例えばイントロン等も利用することができる。
【０２３４】
記載するように、発現ベクターは、好ましくは、少なくとも１つの選択マーカーを含む。かかるマーカーとしては、真核細胞培養に関しては、ジヒドロ葉酸還元酵素、Ｇ４１８またはネオマイシン耐性、カナマイシン耐性、ハイグロマイシン耐性、ビアラホス耐性、スルホンアミド耐性、ストレプトマイシン耐性、スペクチノマイシン耐性、クロロスルフロン耐性、グリホスフェート耐性、およびメトトレキセート耐性、ならびに大腸菌および他の細菌での培養のためには、テトラサイクリン、カナマイシン、またはアンピシリン耐性遺伝子が挙げられるが、これらに限定されない。適切な宿主の代表例としては、大腸菌、ストレプトマイセス属、およびサルモネラ・チフィムリウム（Ｓａｉｍｏｎｅｌｌａ ｔｙｐｈｉｍｕｒｉｕｍ）細胞のような細菌細胞、酵母（例えば、サッカロミセス・セレビシエ（Ｓａｃｃｈａｒｏｍｙｃｅｓ ｃｅｒｅｖｉｓｉａｅ）またはピチア・パストリス（Ｐｉｃｈｉａ ｐａｓｔｏｒｉｓ）（ＡＴＣＣ受託番号第２０１１７８号））のような真菌細胞、ドロソフィア（Ｄｒｏｓｏｐｈｉｌａ）Ｓ２およびスポドプテラ（Ｓｐｏｄｏｐｔｅｒａ）Ｓｆ９細胞のような昆虫細胞、ＣＨＯ、ＣＯＳ、２９３およびボーズメラノーマのような動物細胞、植物細胞、具体的には第３表に列挙した植物のいずれかに由来する植物細胞および／または組織が挙げられるが、これらに限定されない。上述の宿主細胞に適切な培地および条件は当該技術分野で既知である。
【０２３５】
本発明のポリヌクレオチドおよびポリペプチドは、発現のために葉緑体またはアミロプラストを標的とすることができる。この様式では、発現構築物はさらに、本発明のポリヌクレオチドを葉緑体へ誘導するために、本発明のポリヌクレオチドに作動可能に連結される輸送ペプチドをコードするポリヌクレオチド配列を含有するであろう。かかる輸送ペプチドは当該技術分野で既知である。例えば、Ｖｏｎ Ｈｅｉｊｎｅ ｅｔ ａｌ． （１９９１） Ｐｌａｎｔ Ｍｏｌ． Ｂｉｏｌ． Ｒｅｐ． ９：１０４−１２６、Ｃｌａｒｋ ｅｔ ａｌ．（１９８９） Ｊ Ｂｉｏｌ． Ｃｈｅｍ． ２６４：１７５４４−１７５５０、ｄｅｌｌａ−Ｃｉｏｐｐａ ｅｔ ａｌ． （１９８７） Ｐｌａｎｔ Ｐｈｙｓｉｏｌ． ８４０６５０６０ Ｒ．ｏｍｅｒ ｅｔ ａｌ．， （１９９３） Ｂｉｏｃｈｅｍ． Ｂｉｏｐｈｙｓ． Ｒｅｓ Ｃｏｍｍｕｎ． １９６：１４１４−１４２１、およびＳｈａｈ ｅｔ ａｌ． （１９８６） Ｓｃｉｅｎｃｅ ２３３：４７８−４８１を参照されたい。
【０２３６】
発現構築物はまた、本発明のポリヌクレオチドに作動可能に連結される、核局在化シグナル（Ｋａｌｄｅｒｏｎ ｅｔ ａｌ．（１９８４） Ｃｅｌｌ ３９：４９９−５０９； ａｎｄ Ｌａｓｓｎｅｒ ｅｔ ａｌ． （１９９１） Ｐｌａｎｔ Ｍｏｌｅｃｕｌａｒ Ｂｉｏｌｏｇｙ １７：２２９−２３４）、植物翻訳コンセンサス配列（Ｊｏｓｈｉ， Ｃ．Ｐ． （１９８７） Ｎｕｃｌｅｉｃ Ａｃｉｄｓ Ｒｅｓｅａｒｃｈ １５：６６４３−６６５３）、イントロン（Ｌｕｅｈｒｓｅｎ ａｎｄ Ｗａｌｂｏｔ （１９９１） Ｍｏｌ． Ｇｅｎ． Ｇｅｎｅｔ． ２２５：８１−９３）等のような他の必須調節因子を含んでもよい。
【０２３７】
本発明のタンパク質またはポリペプチドをコードするポリヌクレオチド配列は、植物の遺伝子操作に特に有用であり得る。この様式では、本発明のポリヌクレオチドは、所定の植物での発現用の発現カセット中に提供される。適切である場合、遺伝子（複数可）は、形質転換植物での発現増加に関して最適化され得る。すなわち、ポリヌクレオチドを、特定の種に特異的な改善された発現用の植物に好ましいコドンを用いて合成することができる。植物に好ましい遺伝子を合成する方法は、当該技術分野で利用可能である。例えば、米国特許第５，３８０，８３１号、第５，４３６，３９１号、およびＭｕｒｒａｙ ｅｔ ａｌ． （１９８９） Ｎｕｃｌｅｉｃ Ａｃｉｄｓ Ｒｅｓ． １７：４７７−４９８（これらは、参照により本明細書に援用される）を参照されたい。
【０２３８】
所定のＤＮＡ配列が発現される種に応じて、植物に好ましいコドン、あるいは葉緑体に好ましいコドンを有する配列を合成することが望ましい場合がある。植物に好ましいコドンは、所定の特定植物種において最大量に発現されるタンパク質で最も高い頻度のコドンから決定され得る。例えば、欧州特許第０３５９４７２号、欧州特許第０３８５９６２号、国際公開第９１／１６４３２号、Ｐｅｒｌａｋ ｅｔ ａｌ． （１９９１） Ｐｒｏｃ． Ｎａｔｌ． Ａｃａｄ Ｓｃｉ． ＵＳＡ ８８：３３２４−３３２８、およびＭｕｒａｙ ｅｔ ａｌ． （１９８９） Ｎｕｃｌｅｉｃ Ａｃｉｄｓ Ｒｅｓｅａｒｃｈを参照されたい。この様式では、ポリヌクレオチド配列は、任意の植物での発現に関して最適化され得る。遺伝子配列のすべてまたは任意の部分は最適化されてもよく、または合成されてもよいことが認識される。すなわち、合成または部分的最適化配列もまた使用され得る。
【０２３９】
さらに、特定の標的細胞または組織内に高翻訳効率用に最適化されたコドンを含有するようにコードオポリヌクレオチド配列を合成することで、植物の特定標的細胞または組織において本発明のポリペプチドを選択的に発現させることが望ましい場合がある。かかる方法は当該技術分野で既知であり、ＰＣＴ国際公開第００／４２１９０号（これは、参照により本明細書に援用される）に具体的に提供される。
【０２４０】
細胞宿主での遺伝子発現を高めるためのさらなる配列改変が知られている。これらには、偽ポリアデニル化シグナル、エクソン−イントロンスプライス部位シグナル、トランスポゾン様反復をコードする配列、および遺伝子発現に有害であり得る他のかかる十分に特性化された配列の排除が含まれる。配列のＧ−Ｃ含量は、宿主細胞中で発現される既知の遺伝子に対する参照により算出される場合、既定の細胞宿主の平均レベルに調節され得る。可能な場合、配列を改変させて、予測ヘアピン二次ｍＲＮＡ構造を回避してもよい。
【０２４１】
細菌で使用するのに好ましいベクターとしては、ＱＩＡＧＥＮ， Ｉｎｃ．から入手可能なｐＱＥ７０、ｐＱＥ６０、およびｐＱＥ−９、Ｓｔｒａｔａｇｅｎｅ Ｃｌｏｎｉｎｇ Ｓｙｎｔｅｍｓ， Ｉｎｃ．から入手可能なｐＢｌｕｅｓｃｒｉｐｔベクター、Ｐｈａｇｅｓｃｒｉｐｔベクター、ｐＮＨ８Ａ、ｐＮＨ１６ａ、ｐＮＨ１８Ａ、ｐＮＨ４６Ａ、およびＰｈａｒｍａｃｉａ Ｂｉｏｔｅｃｈ， Ｉｎｃ．から入手可能なｐｔｒｃ９９ａ、ｐＫＫ２２３−３、ｐＫＫ２３３−３、ｐＤＲ５４０、ｐＲＩＴ５が挙げられる。好ましい真核ベクターには、Ｓｔｒａｔａｇｅｎｅから入手可能なｐＷＬＮＥＯ、ｐＳＶ２ＣＡＴ、ｐＯＧ４４、ｐＸＴ１およびｐＳＧ、およびＰｈａｒｍａｃｉａから入手可能なｐＳＶＫ３、ｐＢＰＶ、ｐＭＳＧ、およびｐＳＶＬがある。酵母系で使用するのに好ましい発現ベクターとしては、ｐＹＥＳ２、ｐＹＤ１、ｐＴＥＦ１／Ｚｅｏ、ｐＹＥＳ２／ＧＳ、ｐＰＩＣＺ、ｐＧＡＰＺ、ｐＧＡＰＺα、ｐＰＩＣ９、ｐＰＩＣ３．５、ｐＨＩＬ−Ｄ２、ｐＨＩＬ−Ｓ１、ｐＰＩＣ３．５Ｋ、ｐＰＩＣ９Ｋ、およびＰＡＯ８１５（すべてＩｎｖｉｔｒｏｇｅｎ， Ｃａｌｂａｄ， ＣＡから入手可能）が挙げられる。
【０２４２】
植物系で好ましい発現ベクターとしては、Ｂｉｎ１９（ＡＴＣＣ寄託番号第３７３２７号）、ＧＡ４３７（ＡＴＣＣ寄託番号第３７３５０号）、ｐＡＫ１００３（ＡＴＣＣ寄託番号第３７４２５号）、ｐＡＳ２０２２（ＡＴＣＣ寄託番号第３７４２６号）、ｐＡＳ２０２３（ＡＴＣＣ寄託番号第３７４２７号）、ｐＡＰ２０３４（ＡＴＣＣ寄託番号第３７４２８号）、ｐＣ２２（ＡＴＣＣ寄託番号第３７４９３号）、ｐＨＳ２４（ＡＴＣＣ寄託番号第３７８４１号）、ｐＨＳ８５（ＡＴＣＣ寄託番号第３７８４２号）、ｐＰＭ１（ＡＴＣＣ寄託番号第４０１７２号）、ｐＧＶ３１１１ＳＥ（ＡＴＣＣ寄託番号第５３２１３号）、ｐＣＧＮ９７８（ＡＴＣＣ寄託番号第６７０６４号）、ｐＦＬ６１（ＡＴＣＣ寄託番号第７７２１５号）、ｐＧＰＴＶ−ＫＡＮ（ＡＴＣＣ寄託番号第７７３８８号）、ｐＧＰＴＶ−ＨＲＴ（ＡＴＣＣ寄託番号第７７３８９号）、ｐＧＰＴＶ−ＤＨＦＲ（ＡＴＣＣ寄託番号第７７３９０号）、ｐＧＰＴＶ−ＢＡＲ（ＡＴＣＣ寄託番号第７７３９１号）、ｐＧＰＴＶ−ＢＬＥＯ（ＡＴＣＣ寄託番号第７７３９２号）、および／またはｐＰＥ１０００（ＡＴＣＣ寄託番号第８７５７３号）が挙げられるが、これらに限定されない。当業者は、上記ベクターのいずれかが、作動可能性に必要とされ得るように、特定要素を含むか、または欠失するように容易に改変することができることを理解されよう。他の適切なベクターは、当業者には容易に明らかであろう。
【０２４３】
宿主細胞への構築物の導入は、微粒子銃形質転換（Ｋｌｅｉｎ ｅｔ ａｌ．， Ｎａｔｕｒｅ， ３２７：７０−７３ （１９８７））、ＰＥＧ媒介性トランスフェクション（Ｐａｓｋｏｗｓｋｉ， ｅｔ ａｌ．， ＥＭＢＯ Ｊ．， ３：２７１７， （１９８４））、リン酸カルシウムトランスフェクション、ＤＥＡＥデキストラン媒介性トランスフェクション、カチオン性脂質媒介性トランスフェクション、エレクトロポレーション（Ｆｒｏｍｍ， ｅｔ ａｌ．， ＰＮＡＳ， ＵＳＡ， ８２：５８２４ （１９８５））、形質導入、感染、アグロバクテリウム・チュメファシエンス誘導性感染、または他の方法により達成することができる。かかる方法は、Ｄａｖｉｓ ｅｔ ａｌ．， Ｂａｓｉｃ Ｍｅｔｈｏｄｓ ｉｎ Ｍｏｌｅｃｕｌａｒ Ｂｉｏｌｏｇｙ （１９８６）のような多くの標準的な実験室マニュアルに記載されている。
【０２４４】
本発明のポリペプチドは、硫酸アンモニウムまたはエタノール沈殿、酸抽出、陰イオンまたは陽イオン交換クロマトグラフィ、ホスホセルロースクロマトグラフィ、疎水性相互作用クロマトグラフィ、アフィニティクロマトグラフィ、ヒドロキシルアパタイトクロマトグラフィ、およびレクチンクロマトグラフィを含む既知の方法により、組換え細胞培養物から回収および精製することができる。最も好ましくは、高速液体クロマトグラフィ（「ＨＰＬＣ」）が精製に使用される。
【０２４５】
本発明のポリペプチドはまた、体液、組織および細胞を含めた自然源から精製される産物（直接的に単離されようと、培養されようと）、化学合成手順の生成物、および例えば、細菌、酵母、高等植物、昆虫、および哺乳動物細胞を含む原核または真核宿主から組換え技法により産生される産物から回収することができる。
【０２４６】
組換え産生手順で使用する宿主に応じて、本発明のポリペプチドは、グリコシル化されてもよく、あるいはグリコシル化されなくてもよい。さらに、本発明のポリペプチドはまた、場合によっては宿主媒介性プロセスの結果として、開始改変メチオニン残基を含んでもよい。したがって、翻訳開始コドンにコードされるＮ末端メチオニンは一般に、全ての真核細胞中で翻訳後に任意のタンパク質から高効率で除去されることが当該技術分野で既知である。ほとんどのタンパク質上のＮ末端メチオニンはまたほとんどの原核生物で効率的に除去されるものの、幾つかのタンパク質に関しては、Ｎ末端メチオニンが共有結合するアミノ酸の性質に依存して、この原核除去プロセスが不十分である。
【０２４７】
本明細書中で議論するベクター構築物を含有する宿主細胞を含むだけでなく、本発明はまた、内因性遺伝物質（例えば、コード配列）を欠失または置換するように、および／または本発明のポリヌクレオチドと作動可能に結合され、内因性ポリヌクレオチドを活性化、変更および／または増幅する遺伝物質（例えば、異種ポリヌクレオチド配列）を含むように操作した一次、二次または不死化細胞も含む。例えば、当該技術分野で既知の技法を用いて、相同組換えにより異種制御領域（例えば、プロモーターおよび／またはエンハンサー）と内因性ポリヌクレオチド配列を作動可能に結合し、新規転写ユニットを形成させてもよい（例えば、１９９７年６月２４日に発行された米国特許第５，６４１，６７０号、１９９８年３月３１日に発行された米国特許第５，７３３，７６１号、１９９６年９月２６日に公開された国際公開第９６／２９４１１号、１９９４年８月４日に公開された国際公開第９４／１２６５０号、Ｋｏｌｌｅｒ ｅｔ ａｌ．， Ｐｒｏｃ． Ｎａｔｌ． Ａｃａｄ． Ｓｃｉ． ＵＳＡ ８６：８９３２−８９３５ （１９８９）、およびＺｉｊｌｓｔｒａ ｅｔ ａｌ．， Ｎａｔｕｒｅ ３４２：４３５−４３８ （１９８９）を参照、これらそれぞれの開示は、その全体が参照により援用される）。
【０２４８】
さらに、本発明のポリペプチド、類似体、誘導体、および／または断片は、化学的に合成することができる（例えば、Ｍｅｒｒｉｆｉｅｌｄ， １９６３， Ｊ． Ａｍｅｒ．Ｃｈｅｍ． Ｓｏｃ． ８５：２１４９−２１５６を参照）。例えば、ポリペプチドは、固相技法により合成し、樹脂から切り出し、高速液体クロマトグラフィで精製することができる（例えば、Ｃｒｅｉｇｈｔｏｎ， １９８３， Ｐｒｏｔｅｉｎｓ， Ｓｔｒｕｃｔｕｒｅｓ ａｎｄ Ｍｏｌｅｃｕｌａｒ Ｐｒｉｎｃｉｐｌｅｓ， Ｗ．Ｈ．Ｆｒｅｅｍａｎ ａｎｄ Ｃｏ．， Ｎ．Ｙ．， ｐｐ．５０−６０を参照）。ポリペプチドはまた、ペプチド合成機を用いて合成することもできる。合成ペプチド組成物は、アミノ酸分析またはシーケンシングにより確認され得る（例えば、エドマン分解法、Ｃｒｅｉｇｈｔｏｎ， １９８３， Ｐｒｏｔｅｉｎｓ， Ｓｔｒｕｃｔｕｒｅｓ ａｎｄ Ｍｏｌｅｃｕｌａｒ Ｐｒｉｎｃｉｐｌｅｓ， Ｗ．Ｈ． Ｆｒｅｅｍａｎ ａｎｄ Ｃｏ．， Ｎ．Ｙ．， ｐｐ．３４−４９を参照、質量分析ペプチドシーケンシング等）。さらに、望ましい場合、非古典的アミノ酸または化学的アミノ酸類似体を、本発明のポリペプチドへの置換または付加として導入することができる。非古典的アミノ酸としては、通常のアミノ酸のＤ異性体、２，４−ジアミノ酪酸、α−アミノイソ酪酸、４−アミノ酪酸、Ａｂｕ、２−アミノ酪酸、γ−Ａｂｕ、ε−Ａｈｘ、６−アミノヘキサン酸、Ａｉｂ、２−アミノイソ酪酸、３−アミノプロピオン酸、オルニチン、ノルロイシン、ノルバリン、ヒドロキシプロリン、サルコシン、シトルリン、システイン酸、ｔ−ブチルグリシン、ｔ−ブチルアラニン、フェニルグリシン、シクロへキシルアラニン、β−アラニン、フルオロアミノ酸、β−メチルアミノ酸、Ｃα−メチルアミノ酸、Ｎα−メチルアミノ酸のようなデザイナーアミノ酸、および概してアミノ酸類似体が挙げられるが、これらに限定されない。さらに、アミノ酸は、Ｄ（右旋性）またはＬ（左旋性）であり得る。
【０２４９】
本発明のポリペプチド配列の操作は、タンパク質レベルでなされてもよい。本発明のポリペプチド、その断片、例えば、グルコシル化、アセチル化、リン酸化、アミド化、既知の保護基／ブロック基による誘導体化、タンパク質分解性切断、抗体分子または他の細胞リガンドへの連結等により翻訳中または後に示差的に修飾した誘導体あるいは類似体が、本発明の範囲内に包含される。数多くの化学的修飾のいずれかは、臭化シアン、トリプシン、キモトリプシン、パパイン、Ｖ８プロテアーゼ、ＮａＢＨ４、アセチル化、ホルミル化、酸化、還元、ツニカマイシン存在下での代謝合成等による特定の化学的切断が挙げられるが、それらに限定されない既知の技法により実施され得る。
【０２５０】
さらに、本発明は、さらなる翻訳後修飾を包含し、さらなる翻訳後修飾としては、例えば、Ｎ結合もしくはＯ結合炭水化物部分または鎖の付加、事実上蛍光性、放射性同位体性、酵素性であり得る検出可能標識の付加、エピトープタグ化ペプチド断片（例えば、ＦＬＡＧ、ＨＡ、ＧＳＴ、チオレドキシン、マルトース結合タンパク質等）の付加、ビオチンおよび／またはストレプトアビジンのような親和性タグの結合、アミノ酸バックボーンへの化学部分の共有結合、ポリペプチド末端のＮまたはＣ末端プロセシング（例えば、タンパク質分解性プロセシング）、Ｎ末端メチオニン残基の欠失等が挙げられる。
【０２５１】
さらに、本発明は、本発明のポリペプチドの化学的誘導体化（好ましくはここで化学物質が親水性ポリマー残基である）を含む。誘導体を含む例示的な親水性ポリマーは、繰り返しユニットが１つまたは複数のヒドロキシ基を含有するポリマー（ポリヒドロキシポリマー）（例えば、ポリ（ビニルアルコール）を含む）、繰り返しユニットが１つまたは複数のアミノ基を含有するポリマー（ポリアミンポリマー）（例えば、ペプチド、ポリペプチド、タンパク質およびリポタンパク質（アルブミンおよび天然のリポタンパク質のような）を含む）、繰り返しユニットが１つまたは複数のカルボキシ基を含有するポリマー（ポリカルボキシポリマー）（例えば、カルボキシメチルセルロース、アルギン酸およびそれらの塩（アルギン酸ナトリウムおよびカルシウム）、グリコサミノグリカンおよびその塩（ヒアルロン酸塩を含む）、炭水化物のリン酸化およびスルホン化誘導体、インターロイキン−２およびインターフェロンのような遺伝物質、ならびにホスホロチオエートオリゴマーを含む）、および繰り返しユニットが１つまたは複数の糖類部分を含有するポリマー（多糖類ポリマー）（例えば、炭水化物を含む）を含むものであってもよい。
【０２５２】
親水性ポリマーの分子量は多様であってもよく、一般に約５０〜約５，０００，０００であり、約１００〜約５０，０００の分子量を有するポリマーが好ましい。より好ましいポリマーは、約１５０〜約１０，０００の分子量を有し、約２００〜約８，０００の分子量がよりいっそう好ましい。
【０２５３】
本発明のポリペプチドを誘導化するのに使用され得るさらなる好ましいポリマーとしては、例えば、ポリ（エチレングリコール）（ＰＥＧ）、ポリ（ビニルピロリドン）、ポリオキソマー（ｐｏｌｙｏｘｏｍｅｒ）、ポリソルベート、およびポリ（ビニルアルコール）が挙げられ、ＰＥＧポリマーは特に好ましい。ＰＥＧポリマーの中でも好ましいのは、約１００〜約１０，０００の分子量を有するＰＥＧポリマーである。より好ましくは、ＰＥＧポリマーは、約２００〜約８，０００の分子量を有し、それぞれ２，０００、５，０００および８，０００の分子量を有するＰＥＧ２，０００、ＰＥＧ５，０００、およびＰＥＧ８，０００がよりいっそう好ましい。上記に例示したもののほかに、他の適切な親水性ポリマーは、本開示に基づいて、当業者には容易に明らかであろう。一般に、使用するポリマーには、アルキル化またはアシル化反応により、本発明のポリペプチドに結合することができるポリマーが含まれ得る。
【０２５４】
上記に例示した様々なポリマーのように、ポリマー残基は、例えば本発明のポリペプチドにポリマー残基を結合することに典型的に関与するもの以外に官能基を含有してもよい。かかる官能性としては、例えばカルボキシル、アミン、ヒドロキシ、およびチオール基が挙げられる。ポリマー残基上のこれらの官能基は、望ましい場合には、一般にかかる官能基と反応性を有し、身体中の特定組織（例えば、罹患組織を含む）を標的とするのを助長することができる物質とさらに反応させることができる。さらなる官能基と反応させることができる例示的物質としては、例えば、タンパク質（抗体を含む）、炭水化物、ペプチド、糖ペプチド、糖脂質、レクチン、およびヌクレオチドが挙げられる。
【０２５５】
親水性ポリマー残基のほかに、本発明のポリペプチドを誘導体化するのに使用される化学物質は、糖類残基であり得る。誘導され得る例示的糖類としては、例えば、エリトロース、トレオース、リボース、アラビノース、キシロース、リキソース、フルクトース、ソルビトール、マンニトール、およびセドヘプツロースのような単糖類または糖アルコール（好ましい単糖類は、フルクトース、マンノース、キシロース、アラビノース、マンニトールおよびソルビトールである）、ならびにラクトース、スクロース、マルトースおよびセロビオースのような二糖類が挙げられる。他の糖類としては、例えば、イノシトールおよびガングリオシドヘッド基が挙げられる。上記に例示したもの以外に、他の適切な糖類は、本開示に基づいて、当業者には容易に明らかであろう。一般に、誘導体化に使用され得る糖類には、アルキル化またはアシル化により、本発明のポリペプチドに結合することができる糖類が含まれる。
【０２５６】
さらに、本発明はまた、例えば、脂質（カチオン脂質、アニオン脂質、重合脂質、荷電脂質、合成脂質、飽和脂質、不飽和脂質、および上記の任意の組合せ等を含む）、安定化剤による本発明のポリペプチドの誘導体化を含む。
【０２５７】
本発明は、例えば、安定化機能を供給し得る（例えば、溶液中でのポリペプチド半減期を高めるために、ポリペプチドをより水溶性にするために、ポリペプチド親水性または疎水性の性質を高めるために、等）化合物による本発明のポリペプチドの誘導体化を含む。安定化物質として有用なポリマーは、天然起源、半合成（改変天然）起源、または合成起源であってもよい。例示的な天然ポリマーとしては、天然に存在する多糖（例えば、アラビナン、フルクトカン、フカン、ガラクトカン、ガラクツロナン、グルカン、マンナン、キシラン（例えば、イヌリンのような）、レバン、フコイダン、カラゲナン、ガラクトカロロース（ｇａｌａｔｏｃａｒｏｌｏｓｅ）、ペクチン酸、ペクチン（アミロース、プルラン、グリコーゲン、アミロペクチンを含む）、セルロース、デキストラン、デキストリン、デキストロース、グルコース、ポリグルコース、ポリデキストロース、プスツラン（ｐｕｓｔｕｌａｎ）、キチン、アガロース、ケラチン、コンドロイチン、デルマタン、ヒアルロン酸、アルギン酸、キサンチンガム、デンプンのような）、および様々な他の天然ホモポリマーまたはヘテロポリマー（以下のアルドース、ケトース、酸またはアミン：エリトース、トレオース、リボース、アラビノース、キシロース、リキソース、アロース、アルトロース、グルコース、デキストロース、マンノース、グロース、イドース、ガラクトース、タロース、エリルトルロース、リブロース、キシルロース、プサイコース（ｐｓｉｃｏｓｅ）、フルクトース、ソルボース、タガトース、マンニトール、ソルビトール、ラクトース、スクロース、トレハロース、マルトース、セロビオース、グリシン、セリン、スレオニン、システイン、チロシン、アスパラギン、グルタミン、アスパラギン酸、グルタミン酸、リシン、アルギニン、ヒスチジン、グルクロン酸、グルコン酸、グルカン酸、ガラクトロン酸、マンヌロン酸、グルコサミン、ガラクトサミン、およびノイラミン酸、ならびにそれらの天然に存在する誘導体の１つまたは複数を含有するもの）が挙げられる。したがって、適切なポリマーとして、例えば、アルブミン、ポリアルギン酸、およびポリラクチド−コグリコリドポリマーのようなタンパク質が挙げられる。例示的半合成ポリマーとしては、カルボキシメチルセルロース、ヒドロキシメチルセルロース、ヒドロキシプロピルメチルセルロース、メチルセルロース、およびメトキシセルロースが挙げられる。例示的合成ポリマーとしては、ポリホスファゼン、ヒドロキシアパタイト、フルオロアパタイトポリマー、ポリエチレン（例えば、ポリエチレングリコール（例えば、ＢＡＳＦ， Ｐａｒｓｉｐｐａｎｙ， Ｎ．Ｊ．で市販されているＰｌｕｒｏｎｉｃｓ．Ｒ．Ｔ．Ｍ．と呼ばれる化合物類を含む）、ポリオキシエチレン、およびポリエチレンテレフタレートのような）、ポリプロピレン（例えば、ポリプロピレングリコールのような）、ポリウレタン（例えば、ポリビニルアルコール（ＰＶＡ）、ポリ塩化ビニル、およびポリビニルピロリドンのような）、ナイロンを含むポリアミド、ポリスチレン、ポリ乳酸、フッ化炭化水素ポリマー、フッ化カーボンポリマー（例えば、ポリテトラフルオロエチレンのような）、アク���レート、メタクリレート、およびポリメタクリル酸メチル、ならびにそれらの誘導体が挙げられる。安定化化合物としてポリマーを使用する、本発明の誘導体化ポリペプチドの調製方法は、米国特許第５，２０５，２９０号（Ｕｎｇｅｒ）（この開示は、その全体が参照により本明細書に援用される）に記載および言及されるもののような当該技術分野で既知の情報と併せて本開示を鑑みれば、当業者には容易に明らかであろう。
【０２５８】
さらに、本発明は、本発明のポリペプチドのさらなる修飾を含む。かかるさらなる修飾は、当該技術分野で既知であり、米国特許第６，０２８，０６６号（これは、その全体が参照により本明細書に援用される）で、誘導体化方法等のほかに具体的に提供される。
【０２５９】
ポリヌクレオチドの使用
本明細書中に特定したポリヌクレオチドはそれぞれ、試薬として多数の方法で使用することができる。以下の説明は、例示的であるとみなされるべきであり、既知の技法を利用している。
【０２６０】
本発明のポリヌクレオチドは、染色体同定に有用である。現在利用可能である実際の配列データ（反復多型）に基づく染色体作製用試薬が数少ないため、新規染色体マーカーを同定することが継続して必要とされている。本発明の各ポリヌクレオチドは、染色体マーカーとして使用することができる。
【０２６１】
簡潔に述べると、配列は、配列番号Ｘで示される配列由来のＰＣＲプライマー（好ましくは、１５〜２５ｂｐ）を調製することで染色体にマッピングすることができる。プライマーがゲノムＤＮＡ中の１つより多い予測エクソンにまたがらないように、コンピュータ解析を用いてプライマーを選択することができる。次に、これらのプライマーを、個々のヒト染色体を含有する体細胞ハイブリッドのＰＣＲスクリーニングに使用する。配列番号Ｘに相当するヒト遺伝子を含有するハイブリッドのみが、増幅断片をもたらす。
【０２６２】
同様に、体細胞ハイブリッドは、特定の染色体に対してポリヌクレオチドをマッピングする迅速なＰＣＲ方法を提供する。単一熱循環器を用いて、１日当たり３つまたはそれ以上のクローンを帰属することができる。さらに、ポリヌクレオチドの部分局在化が、特定染色体断片パネルにより達成することができる。使用することができる他の遺伝子マッピング戦略としては、ｉｎ  ｓｉｔｕハイブリダイゼーション、標識フローソート染色体によるプレスクリーニング、および染色体特異的ｃＤＮＡライブラリーを構築するためのハイブリダイゼーションによる事前選択が挙げられる。
【０２６３】
ポリヌクレオチドの正確な染色体位置はまた、中期染色体拡散の蛍光ｉｎ  ｓｉｔｕハイブリダイゼーション（ＦＩＳＨ）を用いて達成することができる。この技法は、５００または６００塩基程度と短いポリヌクレオチドを使用するが、２，０００〜４，０００ｂｐのポリヌクレオチドが好ましい。この技法の概説に関しては、Ｖｅｒｍａ ｅｔ ａｌ．， 「Ｈｕｍａｎ Ｃｈｒｏｍｏｓｏｍｅｓ： ａｓ Ｍａｎｕａｌ ｏｆ Ｂａｓｉｃ Ｔｅｃｈｎｉｑｕｅｓ」， Ｐｅｒｇａｍｏｎ Ｐｒｅｓｓ， Ｎｅｗ Ｙｏｒｋ （１９８８）を参照されたい。
【０２６４】
染色体マッピングに関して、ポリヌクレオチドは、別個に（当該染色体上の単一染色体または単一部位をマークするために）、またはパネルで（複数部位および／または複数染色体をマークするために）使用することができる。コード配列が遺伝子ファミリー内に保存される可能性がより高いことから、好ましいポリヌクレオチドは、ｃＤＮＡの非コード領域に相当し、したがって、染色体マッピング中にクロスハイブリダイゼーションの機会を増加させる。
【０２６５】
いったんポリヌクレオチドが正確な染色体位置にマッピングされたら、ポリヌクレオチドの物理的位置は連鎖分析に使用することができる。連鎖分析は、染色体位置と特定疾患の状態との間の共同相続を確立する。疾患マッピングデータは、当該技術分野で既知である。１メガ塩基マッピング分解能および２０ｋｂ当たり１つの遺伝子を仮定すると、疾患に関連する染色体領域に正確に局在化するｃＤＮＡは、潜在的原因遺伝子の５０〜５００分の１であり得る。
【０２６６】
したがって、いったん共同相続が確立されれば、冒された生物と冒されてない生物との間でのポリヌクレオチドと相当する遺伝子の差異を検査することができる。第１に、欠失または転座のような染色体の目に見える構造変化は、染色体拡散で、またはＰＣＲにより検査される。構造変化が見られない場合は、点突然変異の存在が確認される。冒された生物のいくつかまたは全てでが観察されるが、正常な生物では観察されない突然変異は、その突然変異が疾患を引き起こし得ることを示している。しかしながら、幾つかの正常な生物由来のポリペプチドおよび相当する遺伝子の完全シーケンシングが、多型と突然変異とを区別するのに必要である。新規多型が同定される場合、この多型ポリペプチドは、さらなる連鎖分析に使用することができる。
【０２６７】
さらに、冒されていない生物と比較した場合の冒された生物中の遺伝子の発現の増加または減少を、本発明のポリヌクレオチドを用いて評価することができる。これらの変化（変化した発現、染色体再配列、または突然変異）のいずれかを、診断または予後マーカーとして使用することができる。
【０２６８】
したがって、本発明はまた、生物由来の細胞または体液中の本発明のポリヌクレオチドの発現レベルを測定することと、ポリヌクレオチド発現レベルの標準的な発現と、測定した遺伝子発現レベルを比較することとを包含し、それにより標準と比較した遺伝子発現レベルの増加または減少が障害を示している、障害の診断中に有用な診断方法を提供する。
【０２６９】
「本発明のポリヌクレオチドの発現レベルを測定すること」とは、第１の生物学的試料中の本発明のポリペプチドレベル、またはポリヌクレオチドをコードするｍＲＮＡのレベルを、直接的（例えば、絶対的タンパク質レベルまたはｍＲＮＡレベルを決定あるいは推定することにより）もしくは相対的に（例えば、第２の生物学的試料中のポリペプチドまたはｍＲＮＡレベルと比較することにより）、定性的にまたは定量的に測定あるいは推定することを意図する。好ましくは、第１の生物学的試料中のポリペプチドレベルまたはｍＲＮＡレベルを測定または推定し、標準的なポリペプチドレベルまたはｍＲＮＡレベルと比較する。標準は、障害を有していない個体から得られる第２の生物学的試料から得られるか、または障害を有さない生物集団からのレベルの平均をとることで決定される。当該技術分野で理解されているように、標準的なポリペプチドレベルまたはｍＲＮＡレベルがいったん知られれば、それは、比較用の標準物質として繰り返し使用することができる。
【０２７０】
「生物学的試料」とは、本発明のポリペプチドまたはｍＲＮＡを含有する、生物から得られる任意の生物学的試料、体液、細胞系、組織培養物、または他の供給源を意図する。記載のように、生物学的試料としては、本発明のポリペプチドを含有する体液（例えば、以下の非限定的な例：師部、木部、分泌液、花蜜、根粒液、付着器液、腐爛液、菌こぶ液、果汁、毛状突起液、液胞液、色素体液、サイトゾル液、根滲出液、細胞間液等）、および本発明のポリペプチドを発現することが見出されている他の組織源（例えば、以下の非限定的な例：根、茎、頂端分裂組織、葉、花、ペダル等）が挙げられる。植物から組織生検材料および体液を獲得する方法は当該技術分野で既知である。例えば、植物細胞および組織の細胞間液を単離する方法は、例えば国際公開第００／０９７２５号に見出すことができる。生物学的試料がｍＲＮＡを包含すべきである場合、組織生検材料が好ましい供給源である。
【０２７１】
上記に提供した方法（複数可）は、好ましくは、ポリヌクレオチドおよび／またはポリペプチドを固体支持体に結合させた診断方法および／またはキットに適用させてもよい。１つの例示的な方法では、支持体は、米国特許第５，８３７，８３２号、第５，８７４，２１９号、および第５，８５６，１７４号に記載されうような「遺伝子チップ」または「生物学的チップ」であってもよい。さらに、本発明のポリヌクレオチドを結合させたかかる遺伝子チップを用いて、試験対象から単離したポリヌクレオチドにより、ポリヌクレオチド配列間の多型を特定してもよい。かかる多型（すなわち、それらの位置、ならびにそれらの存在）の知識は、増殖性疾患および状態を含む多くの障害に関して疾患遺伝子座を特定するのに有用である。かかる方法は、米国特許第５，８５８，６５９号、および第５，８５６，１０４号に記載されている。上述の米国特許は、その全体が参照により本明細書に援用される。
【０２７２】
本発明は、ペプチド核酸（ＰＮＡ）として、あるいは当該技術分野で既知の他の方法に従って、化学的に合成されるか、または再生される本発明のポリヌクレオチドを含む。ＰＮＡの使用は、ポリヌクレオチドが固体支持体または遺伝子チップ上に組み込まれる場合に好ましい形態として機能する。本発明の目的で、ペプチド核酸（ＰＮＡ）は、ポリアミド型のＤＮＡ類似体であり、アデニン、グアニン、チミン、およびシトシンの単量体ユニットが市販されている（Ｐｅｒｃｅｐｔｉｖｅ Ｂｉｏｓｙｓｔｅｍｓ）。リン、酸化リン、またはデオキシリボース誘導体のようなＤＮＡのある種の成分がＰＮＡには存在しない。Ｐ．Ｅ．Ｎｉｅｌｓｅｎ， Ｍ． Ｅｇｈｏｌｍ， Ｒ．Ｈ．Ｂｅｒｇ ａｎｄ Ｏ． Ｂｕｃｈａｒｄｔ， Ｓｃｉｅｎｃｅ ２５４， １４９７ （１９９１）、およびＭ． Ｅｇｈｏｌｍ， Ｏ． Ｂｕｃｈａｒｄｔ， Ｌ． Ｃｈｒｉｓｔｅｎｓｅｎ， Ｃ． Ｂｅｈｒｅｎｓ， Ｓ．Ｍ． Ｆｒｅｉｅｒ， Ｄ．Ａ．Ｄｒｉｖｅｒ， Ｒ．Ｈ． Ｂｅｒｇ， Ｓ．Ｋ．Ｋｉｍ， Ｂ． Ｎｏｒｄｅｎ， ａｎｄ Ｐ．Ｅ． Ｎｉｅｌｓｅｎ， Ｎａｔｕｒｅ ３６５， ６６６ （１９９３）により開示されるように、ＰＮＡは、相補ＤＮＡ鎖に特異的にかつ強固に結合し、ヌクレアーゼにより分解されない。実際に、ＰＮＡは、ＤＮＡ自身よりも強力にＤＮＡに結合する。これはおそらく、２つの鎖間に静電反発力が存在せず、またポリアミドバックボーンがより柔軟であるためである。この理由から、ＰＮＡ／ＤＮＡ二重鎖は、ＤＮＡ／ＤＮＡ二重鎖よりも広範なストリンジェントな条件下で結合し、多発性ハイブリダイゼーションを実施するのをより容易なものとする。ＰＮＡ／ＤＮＡハイブリッドのより強力な結合性に起因して、ＤＮＡの場合よりも小さいなプローブを使用することができる。さらに、ＰＮＡ／ＤＮＡ１５量体中の単一ミスマッチは、ＤＮＡ／ＤＮＡ１５量体二重鎖に関する４℃〜１６に対して、８℃〜２０℃融点（Ｔ．ｓｕｂ．ｍ）が低いため、単一塩基ミスマッチは、ＰＮＡ／ＤＮＡハイブリダイゼーションにより決定することができる可能性がより高い。また、ＰＮＡ中の電荷基の非存在は、ハイブリダイゼーションを低イオン強度で実施することができ、分析中の塩による考え得る妨害を減少させることができる。
【０２７３】
上述のほかに、ポリヌクレオチドは、三重らせん形成またはアンチセンスＤＮＡもしくはＲＮＡにより遺伝子発現を制御するのに使用することができる。アンチセンス技法は、例えば、Ｏｋａｎｏ， Ｊ． Ｎｅｕｒｏｃｈｅｍ． ５６：５６０ （１９９１）， 「Ｏｌｉｇｏｄｅｏｎｕｃｌｅｏｔｉｄｅｓ ａｓ Ａｎｔｉｓｅｎｓｅ Ｉｎｈｉｂｉｔｏｒｓ ｏｆ Ｇｅｎｅ Ｅｘｐｒｅｓｓｉｏｎｍ， ＣＲＣ Ｐｒｅｓｓ， Ｂｏｃａ Ｒａｔｏｎ， ＦＬ （１９８８）で議論されている。三重らせん形成は、例えば、Ｌｅｅ ｅｔ ａｌ．， Ｎｕｃｌｅｉｃ Ａｃｉｄｓ Ｒｅｓｅａｒｃｈ ６：３０７３（１９７９）； Ｃｏｏｎｅｙ ｅｔ ａｌ．， Ｓｃｉｅｎｃｅ ２４１：４５６ （１９９８）、およびＤｅｒｖａｎ ｅｔ ａｌ．， Ｓｃｉｅｎｃｅ ２５１： １３６０ （１９９１）で議論されている。両方法が、相補ＤＮＡまたはＲＮＡへのポリヌクレオチドの結合に依存する。これらの技法に関しては、好ましいポリヌクレオチドは通常、２０〜４０塩基長であり、かつ転写に関与した遺伝子領域（三重らせん、Ｌｅｅ ｅｔ ａｌ．， Ｎｕｃｌ． Ａｃｉｄｓ Ｒｅｓ． ６：３０７３ （１９７９）、Ｃｏｏｎｅｙ ｅｔ ａｌ．， Ｓｃｉｅｎｃｅ ２４１：４５６ （１９８８）、およびＤｅｒｖａｎ ｅｔ ａｌ．， Ｓｃｉｅｎｃｅ ２５１：１３６０ （１９９１）を参照）、またはｍＲＮＡ自体（アンチセンス、Ｏｋａｎｏ， Ｊ． Ｎｅｕｒｏｃｈｅｍ． ５６：５６０ （１９９１）； Ｏｌｉｇｏｄｅｏｘｙ−ｎｕｃｌｅｏｔｉｄｅｓ ａｓ Ａｎｔｉｓｅｎｓｅ Ｉｎｈｉｂｉｔｏｒｓ ｏｆ Ｇｅｎｅ Ｅｘｐｒｅｓｓｉｏｎ， ＣＲＣ Ｐｒｅｓｓ， Ｂｏｃａ Ｒａｔｏｎ， ＦＬ （１９８８））にいずれかに相補的なオリゴヌクレオチドである。三重らせん形成が、最適にはＤＮＡからのＲＮＡ転写のシャットオフをもたらす一方で、アンチセンスＲＮＡハイブリダイゼーションは、ｍＲＮＡのポリペプチドへの翻訳を阻止する。両技法は、モデル系で効果的であり、本明細書中に開示する情報は、疾患を治療または防止するための取り組みにおいてアンチセンスまたは三重らせんポリヌクレオチドを設計するのに使用することができる。
【０２７４】
本発明は、本発明の任意のオリゴヌクレオチド、アンチセンスオリゴヌクレオチド、三重らせんオリゴヌクレオチド、リボザイム、ＰＮＡオリゴヌクレオチド、および／またはポリヌクレオチドへの、５’末端、３’末端またはその中の任意の位置で作動可能に連結される核局在化シグナルの付加を含む。例えば、Ｇ． Ｃｕｔｒｏｎａ， ｅｔ ａｌ．， Ｎａｔ． Ｂｉｏｔｅｃｈ．， １８：３００−３０３， （２０００）（これは、参照により本明細書に援用される）を参照されたい。
【０２７５】
本発明のポリヌクレオチドはまた、遺伝子治療に有用である。遺伝子治療の目標の１つは、遺伝的欠陥を矯正するための取り組みにおいて、欠陥遺伝子を有する生物に正常な遺伝子を挿入することである。本発明に開示するポリヌクレオチドは、高精度の様式で、かかる遺伝的欠陥を標的とする手段を提供する。別の目標は、宿主ゲノムに存在しなかった新規遺伝子を挿入し、それにより宿主細胞に新たな形質を生じさせることである。一例では、本発明のポリヌクレオチド配列は、具体的に、例えば全身注射時に植物中に宿主細胞ミスマッチ修復機構を誘導するように設計された、上記配列に相当するキメラＲＮＡ／ＤＮＡオリゴヌクレオチドを構築するために使用してもよい（Ｂａｒｔｌｅｔｔ， Ｒ．Ｊ．， ｅｔ ａｌ．， Ｎａｔ． Ｂｉｏｔｅｃｈ， １８：６１５−６２２ （２０００）、これは、その全体が参照により本明細書に援用される）。かかるＲＮＡ／ＤＮＡオリゴヌクレオチドは、ある宿主株中の遺伝的欠陥を矯正するように、かつ／または植物に所望の形質を導入する（例えば、ある除草剤、殺虫剤、殺真菌剤等に対する抵抗性を付与し得る本発明のポリヌクレオチドに相当する内因性遺伝子内の特定多型の導入）ように設計することができる。あるいは、本発明のポリヌクレオチド配列は、具体的にある宿主株中の遺伝的欠陥を矯正するように、かつ／または植物宿主に所望の形質を導入する（例えば、ある除草剤、殺虫剤、殺真菌剤等に対する抵抗性を付与し得る本発明のポリヌクレオチドに相当する内因性遺伝子内の特定多型の導入）ように設計した、上記配列に相当する二重鎖オリゴヌクレオチドを構築するのに使用してもよい。二重鎖オリゴヌクレオチドを使用するかかる方法は当該技術分野で既知であり、本発明に包含される（欧州特許第１００７７１２号を参照、これはその全体が参照により本明細書に援用される）。
【０２７６】
ポリヌクレオチドはまた、微小の生物学的試料から生物を特定するのに有用である。例えば、米軍は、その職員を識別するために制限断片長多型（ＲＦＬＰ）の使用について検討中である。この技法では、個人のゲノムＤＮＡを、１つまたは複数の制限酵素で消化し、サザンブロット上でプローブして、職員を識別する特有のバンドが得られる。この方法は、確固たる識別を困難とする、損失、交換または盗難され得る「認識票（Ｄｏｇ Ｔａｇ）」の現在の制限で損害を受けることはない。本発明のポリヌクレオチドは、ＲＦＬＰ用のさらなるＤＮＡマーカーとして使用することができる。
【０２７７】
本発明のポリヌクレオチドはまた、生物ゲノムの選択部分の実際のベース・バイ・ベース（ｂａｓｅ−ｂｙ−ｂａｓｅ）ＤＮＡ配列を決定することで、ＲＦＬＰの代替物として使用することができる。これらの配列は、かかる選択ＤＮＡの増幅および単離用ＰＣＲプライマーを調製するのに使用することでき、続いてかかる選択ＤＮＡをシーケンシングすることができる。この技法を使用すれば、各生物は特有のＤＮＡ配列群を有するため、生物を特定することができる。生物に関する特有のＩＤデータベースがいったん確立されれば、極少量の組織試料から、その生物（生存しているか、または死んでいる）の明確な特定がなされ得る。同様に、本発明のポリヌクレオチドは、多型マーカー、さらには、形質転換もしくは非形質転換植物細胞および／または組織の特定として使用することができる。
【０２７８】
特定組織の供給源を特定することが可能な試薬も必要である。かかる必要性は、例えば、未知の起源の組織が提示される場合に浮上する。適切な試薬は、例えば、本発明の配列から調製される特定組織に特異的なＤＮＡプローブまたはプライマーを含むことができる。かかる試薬パネルは、種および／または器官型により組織を特定することができる。同様の様式で、これらの試薬は、汚染に関して組織培養物をスクリーニングするのに使用することができる。さらに、上述するように、かかる試薬は、形質転換もしくは非形質転換植物細胞および／または組織をスクリーニングおよび／または特定するために使用することができる。
【０２７９】
さらに、本発明のポリヌクレオチド、本発明のポリペプチドをコードするポリペプチド、寄託物に含まれるｃＤＮＡ（それらの変異体および／または断片を含む）は、植物中に以下の非限定的な形質：干ばつ耐性、ＵＶ耐性、花形成、テルペン合成、非生物的ストレス耐性、熱ストレス耐性、寒冷ストレス耐性、栄養分ストレス耐性、生体異物ストレス耐性、タンパク質貯蔵能力、油貯蔵能力、アミノ酸含有量、アミノ酸組成、炭水化物貯蔵能力、油組成、炭水化物含有量、炭水化物組成、繊維含有量、繊維組成、代謝産物含有量、代謝産物組成、ビタミン含有量、および／またはビタミン組成を調節、抑制、増加、減少または導入するのに有用であり得る。本発明のポリヌクレオチドはまた、植物収量高、植物発生、植物分化、根の成長、根の形態、植物の色、植物の香り、植物の風味、植物組織の味の良さ、植物感覚受容特性（植物浄化（ｐｈｙｔｏｒｅｍｅｄｉａｔｉｏｎ）で有用であり得る）、および／または植物防御において有用であり得る。さらに、本発明のポリペプチドはまた、植物栄養品（ｎｕｔｒｉｃｅｕｔｉｃａｌｓ）、医薬品、または植物医薬品（ｐｈｙｔｏｃｅｕｔｉｃａｌｓ）として作用する植物の能力を調製するのに有用であり得る。あるいは、本発明のポリペプチドはまた、内因性または外因性起源（例えば、別の植物種、ヒト、哺乳動物、動物または他の生物由来）のいずれかの植物栄養品、医薬品、または植物医薬品を生産する植物の能力を調製するのに有用であり得る。この状況で、「植物」という用語は、任意の植物細胞、植物組織、植物液、または植物容貌を意味するのに適用し得て、付着器、菌こぶ、、腐爛、および／または根粒を含むが、これらに限定されない植物感染構造が含まれる。この状況で、「調節」という用語は、上述し、また本明細書中の他の箇所で記載するような特定の形質もしくは性質の定性的または定量的増加、減少、導入、抑制、完全な損失、または過剰発現を意味するのに適用され得る。
【０２８０】
非常に軽くみても、本発明のポリヌクレオチドは、サザンゲルの分子量マーカーとして、特定の細胞型における特異的なｍＲＮＡの存在に関する診断プローブとして、新規ポリヌクレオチドを発見する過程で既知の配列を「差し引く（ｓｕｂｔｒａｃｔ−ｏｕｔ）」ためのプローブとして、「遺伝子チップ」または他の支持体に結合するためのオリゴマーを選択および作製するために、ＤＮＡ免疫化技法を用いて抗ＤＮＡ抗体を誘起するために、および免疫応答を誘発するための抗原として使用することができる。
【０２８１】
ポリペプチドの使用
本明細書中で特定したポリペプチドはそれぞれ、多数の方法で使用することができる。以下の説明は、例示的であるとみなされるべきであり、既知の技法を利用している。
【０２８２】
本発明のポリペプチドは、抗体ベースの技法を用いて、生物学的試料中のタンパク質レベルをアッセイするのに使用することができる。例えば、組織中のタンパク質発現は、古典的な免疫学的方法を用いて研究することができる（Ｊａｌｋａｎｅｎ， Ｍ．， ｅｔ ａｌ．， Ｊ． Ｃｅｌｌ． Ｂｉｏｌ． １０１：９７６−９８５ （１９８５）； Ｊａｌｋａｎｅｎ， Ｍ．， ｅｔ ａｌ．， Ｊ． Ｃｅｌｌ． Ｂｉｏｌ． １０５：３０８７−３０９６ （１９８７））。タンパク質遺伝子発現を検出するのに有用な他の抗体ベースの他の方法としては、酵素結合免疫吸着アッセイ（ＥＬＩＳＡ）およびラジオイムノアッセイ（ＲＩＡ）のようなイムノアッセイが挙げられる。適切な抗体アッセイ標識は当該技術分野で既知であり、グルコースオキシダーゼのような酵素標識、およびヨウ素（１２５Ｉ、１２１Ｉ）、炭素（１４Ｃ）、硫黄（３５Ｓ）、トリチウム（３Ｈ）、インジウム（１１２Ｉｎ）、およびテクネチウム（９９ｍＴｃ）のような放射性同位体、およびフルオレセインおよびローダミンのような蛍光標識、ならびにビオチンが挙げられる。
【０２８３】
生物学的試料中のタンパク質レベルをアッセイすることのほかに、タンパク質はまた、イメージングによりｉｎ  ｖｉｖｏで検出することもできる。タンパク質ｉｎ  ｖｉｖｏイメージング用抗体標識またはマーカーとしては、Ｘ線撮影、ＮＭＲまたはＥＳＲにより検出可能なものが挙げられる。Ｘ線撮影に関しては、適切な標識としては、検出可能な放射線を放出するが、明らかに対象体に有害でないバリウムまたはセシウムのような放射性同位体が挙げられる。ＮＭＲおよびＥＳＲに適したマーカーとしては、関連ハイブリドーマ用の栄養分の標識により抗体に組み込まれ得る、重水素のような検出可能な特徴的スピンを有するものが挙げられる。
【０２８４】
放射性同位体（例えば、１３１Ｉ、１１２Ｉｎ、９９ｍＴｃ）、放射能不伝導性（ｒａｄｉｏ−ｏｐａｑｕｅ）物質、または核磁気共鳴により検出可能な物質のような適切な検出可能なイメージング部分で標識したタンパク質特異的抗体または抗体断片は、生物に導入される（例えば、非経口的、皮下、または腹腔内）。対象体の大きさおよび使用するイメージングシステムが、診断画像を生成するのに必要なイメージング部分の量を決定することは理解されよう。放射性同位体部分の場合では、注射した放射活性の量は通常、約５〜２０ミリキューリーの９９ｍＴＣであろう。次に、標識抗体または抗体断片は、特定のタンパク質を含有する細胞の位置で優先的に蓄積されるであろう。ｉｎ  ｖｉｖｏ腫瘍イメージングは、Ｓ．Ｗ．Ｂｕｒｃｈｉｅｌ ｅｔ ａｌ．， 「Ｉｍｍｕｎｏｐｈａｒｍａｃｏｋｉｎｅｔｉｃｓ ｏｆ Ｒａｄｉｏｌａｂｅｌｅｄ Ａｎｔｉｂｏｄｉｅｓ ａｎｄ Ｔｈｅｉｒ Ｆｒａｇｍｅｎｔｓ」（Ｃｈａｐｔｅｒ １３ ｉｎ Ｔｕｍｏｒ Ｉｍａｇｉｎｇ： Ｔｈｅ Ｒａｄｉｏｃｈｅｍｉｃａｌ Ｄｅｔｅｃｔｉｏｎ ｏｆ Ｃａｎｃｅｒ， Ｓ．Ｗ． Ｂｕｒｃｈｉｅｌ ａｎｄ Ｂ．Ａ． Ｒｈｏｄｅｓ， ｅｄｓ．， Ｍａｓｓｏｎ Ｐｕｂｌｉｓｈｉｎｇ Ｉｎｃ． （１９８２））に記載されている。かかる方法は、植物にも同様に適用される。
【０２８５】
したがって、本発明は、障害の診断方法を提供し、この診断方法は、（ａ）生物の細胞または体液中の本発明のポリペプチドの発現をアッセイすることと、（ｂ）遺伝子発現レベルを標準的な遺伝子発現レベルとを比較することとを包含し、それにより標準的な発現レベルと比較した、アッセイしたポリペプチド遺伝子発現レベルの増加または減少が、障害を示している。
【０２８６】
さらに、本発明のポリペプチドは、疾患または疾患状態の治療、検出および／または防止に使用することができる。例えば、存在しないかまたは減少したレベルのポリペプチドを元に戻すための取り組み、存在しないかまたは減少したレベルの種々のポリペプチドを補充するための取り組み、直接的または間接的にポリペプチドの活性を阻害するための取り組み、直接的または間接的にポリペプチドの活性を活性化させる取り組み（例えば、受容体に結合させることで）、遊離リガンドと膜結合受容体を競合させることで膜結合受容体の活性を減少させるための取り組み、または所望の応答（例えば、分化、成長、老化、発芽等）を引き起こすための取り組みにおいて、生物に本発明のポリペプチドを投与することができる。
【０２８７】
同様に、本発明のポリペプチドに対する抗体もまた、疾患を治療、予防、および／または診断するのに使用することができる。例えば、本発明のポリペプチドに対する抗体の投与は、ポリペプチドを結合して、その過剰発現を減少させることができる。同様に、抗体の投与は、例えば膜に結合するポリペプチド（受容体）に結合することで、ポリペプチドを活性化することができる。
【０２８８】
非常に軽くみても、本発明のポリペプチドは、当業者に既知の方法を用いて、ＳＤＳ−ＰＡＧＥゲル上または分子ふるいゲル濾過カラムの分子量マーカーとして使用することができる。ポリペプチドはまた、抗体を誘起させるのに使用することができ、また宿主細胞の形質転換を評価する方法として、組換え細胞からのタンパク質発現を測定するのに使用される。さらに、本発明のポリペプチドは、以下の生物活性を試験するために使用することができる。
【０２８９】
トランスジェニック方法
本発明の別の態様は、障害、疾患および状態を治療または防止するための遺伝子治療方法である。遺伝子治療方法は、本発明のポリペプチドの発現を達成するために、生物、好ましくは植物に核酸（ＤＮＡ、ＲＮＡ、およびアンチセンスＤＮＡまたはＲＮＡ）配列を導入することに関する。この方法には、標的組織によるポリペプチドの発現に必要なプロモーターおよび任意の他の遺伝子要素に作動的に連結された本発明のポリペプチドをコードするポリヌクレオチドが必要である。かかるトランスジェニックおよび送達技法は当該技術分野で既知であり、例えば、国際公開第９０／１１０９２号（これは、参照により本明細書に援用される）を参照されたい。
【０２９０】
したがって、例えば、植物由来の細胞を、ｅｘ  ｖｉｖｏで本発明のポリヌクレオチドに作動可能に連結したプロモーターを含むポリヌクレオチド（ＤＮＡまたはＲＮＡ）で操作してもよく、欠損を「治療」するために植物に、操作した細胞を植物に導入し戻す。かかる方法は当該技術分野で既知であり、植物にも同様に適用可能である。例えば、Ｂｅｌｌｄｅｒｕｎ ｅｔ ａｌ．， Ｊ． Ｎａｔｌ． Ｃａｎｃｅｒ Ｉｎｓｔ．， ８５：２０７−２１６ （１９９３）、Ｆｅｒｒａｎｔｉｎｉ ｅｔ ａｌ．， Ｃａｎｃｅｒ Ｒｅｓｅａｒｃｈ， ５３：１０７−１１１２ （１９９３）、Ｆｅｒｒａｎｔｉｎｉ ｅｔ ａｌ．， Ｊ． Ｉｍｍｕｎｏｌｏｇｙ １５３：４６０４−４６１５ （１９９４）、Ｋａｉｄｏ， Ｔ．， ｅｔ ａｌ．， Ｉｎｔ． Ｊ． Ｃａｎｃｅｒ ６０：２２１−２２９ （１９９５）、Ｏｇｕｒａ ｅｔ ａｌ．， Ｃａｎｃｅｒ Ｒｅｓｅａｒｃｈ ５０：５１０２−５１０６ （１９９０）、Ｓａｎｔｏｄｏｎａｔｏ， ｅｔ ａｌ．， Ｈｕｍａｎ Ｇｅｎｅ Ｔｈｅｒａｐｙ ７：１−１０ （１９９６）、Ｓａｎｔｏｄｏｎａｔｏ， ｅｔ ａｌ．， Ｇｅｎｅ Ｔｈｅｒａｐｙ ４：１２４６−１２５５ （１９９７）、およびＺｈａｎｇ， ｅｔ ａｌ．， Ｃａｎｃｅｒ Ｇｅｎｅ Ｔｈｅｒａｐｙ ３：３１−３８ （１９９６）（これらは、参照により本明細書に援用される）を参照されたい。
【０２９１】
以下により詳述するように、ポリヌクレオチド構築物は、植物組織（頂端分裂組織、根、花、茎等）への微粒子銃注射のような、生物細胞へ物質を送達する任意の方法で送達することができる。ポリヌクレオチド構築物は、許容可能な液体または水性キャリア中で送達してもよい。
【０２９２】
一実施形態では、本発明のポリヌクレオチドは、裸のポリヌクレオチドとして送達される。「裸の」ポリヌクレオチド、ＤＮＡまたはＲＮＡという用語は、細胞への侵入を助長するか、促進するか、または容易とするように作用する任意の送達媒体（ウイルス配列、ウイルス粒子、リポソーム配合物、リポフェクチンまたは沈殿剤等を含む）を含まない配列を指す。しかしながら、本発明のポリヌクレオチドはまた、リポソーム配合物およびリポフェクチン配合物等で送達することもでき、当業者に既知の方法で調製することができる。かかる方法は、例えば米国特許第５，５９３，９７２号、第５，５８９，４６６号、および第５，５８０，８５９号（これらは、参照により本明細書に援用される）に記載されている。
【０２９３】
遺伝子治療方法で用いられる本発明のポリヌクレオチドベクター構築物は、好ましくは、宿主ゲノムに組み込まれない配列であり、またそれらは、複製を可能とする配列を含有しないであろう。あるいは、本発明のポリヌクレオチドベクター構築物は、宿主ゲノムに組み込まれてもよく、複製してもよい。適切なベクターとしては、Ｓｔｒａｔａｇｅｎｅから入手可能なｐＷＬＮＥＯ、ｐＳＶ２ＣＡＴ、ｐＯＧ４４、ｐＸＴ１、およびｐＳＧ、Ｐｈａｒｍａｃｉａから入手可能なｐＳＶＫ３、ｐＢＰＶ、ｐＭＳＧおよびｐＳＶＬ、ならびにＩｎｖｉｔｒｏｇｅｎから入手可能なｐＥＦ１／Ｖ５、ｐｃＤＮＡ３．１およびｐＲｃ／ＣＭＶ２が挙げられる。他の適切なベクターは、当業者には容易に明らかであろう。
【０２９４】
当業者に既知の任意の強力なプロモーターは、本発明のポリヌクレオチド配列の発現を駆動するのに使用することができる。適切なプロモーターとしては、３５Ｓ、３４Ｓ、およびアクチンプロモーター、そのほかに、当業者に既知の任意の他のプロモーターおよび／または本明細書中の他の箇所に記載のプロモーターが挙げられる。プロモーターは、本発明のポリヌクレオチドのための自然プロモーターであってもよい。
【０２９５】
他の遺伝子治療技法とは異なり、裸の核酸配列を標的細胞に導入する１つの主な利点は、細胞中のポリヌクレオチド合成の一過性の性質である。研究により、非複製ＤＮＡ配列は、６ヶ月以内の期間で所望のポリヌクレオチドの産生を提供するように細胞に導入することができることがわかっている。
【０２９６】
投与の好ましい経路は、組織の間質隙への非経口注射経路によるものである。しかしながら、他の非経口経路を使用してもよい。さらに、裸のＤＮＡ構築物を、直接注射により植物循環系に送達することができる。
【０２９７】
裸のポリヌクレオチドは、送達部位への直接針注射、局所投与、およびいわゆる「遺伝子銃」を含むが、これらに限定されない当該技術で既知の任意の方法で送達される。これらの送達方法は当該技術分野で既知である。
【０２９８】
構築物はまた、ウイルス配列、ウイルス粒子、リポソーム配合物、リポフェクチン、沈殿剤等のような送達媒体とともに送達してもよい。かかる送達方法は当該技術分野で既知である。
【０２９９】
ある実施形態では、本発明のポリヌクレオチド構築物は、リポソーム調製物と複合体形成させる。本発明で使用するためのリポソーム調製物としては、カチオン（正に帯電）、アニオン（負に帯電）、および中性調製物が挙げられる。しかしながら、カチオンリポソームとポリアニオン核酸との間でしっかりとした電荷複合体が形成され得るため、カチオンリポソームが特に好ましい。カチオンリポソームは、機能的形態で、プラスミドＤＮＡ（（Ｆｅｌｇｎｅｒ ｅｔ ａｌ．， Ｐｒｏｃ． Ｎａｔｌ． Ａｃａｄ． Ｓｃｉ． ＵＳＡ， ８４：７４１３−７４１６ （１９８７）、これは参照により本明細書に援用される）、ｍＲＮＡ（Ｍａｌｏｎｅ ｅｔ ａｌ．， Ｐｒｏｃ． Ｎａｔｌ． Ａｃａｄ． Ｓｃｉ． ＵＳＡ， ８６：６０７７−６０８１ （１９８９）、これは参照により本明細書に援用される）、および精製転写因子（Ｄｅｂｓ ｅｔ ａｌ．， Ｊ． Ｂｉｏｌｏ． Ｃｈｅｍ．， ２６５：１０１８９−１０１９２ （１９９０）、これは参照により本明細書に援用される）の細胞内送達を媒介することがわかっている。
【０３００】
カチオンリポソームは容易に入手可能である。例えば、Ｎ［（２，３−ジオレイルオキシ（プロピル］−Ｎ，Ｎ，Ｎ−トリエチルアンモニウム（ＤＯＴＭＡ）リポソームは特に有用であり、ＧＩＢＣＯ ＢＲＬ， Ｇｒａｎｄ Ｉｓｌａｎｄ， Ｎ．Ｙ．から、商品名リポフェクチンで入手可能である（また、Ｆｅｌｇｎｅｒ ｅｔ ａｌ．， Ｐｒｏｃ． Ｎａｔｌ Ａｃａｄ． Ｓｃｉ． ＵＳ， ８４：７４１３−７４１６ （１９８７）も参照、これは参照により本明細書に援用される）。他の市販のリポソームとしては、トランスフェクテイス（ｔｒａｎｓｆｅｃｔａｃｅ）（ＤＤＡＢ／ＤＯＰＥ）およびＤＯＴＡＰ／ＤＯＰＥ（Ｂｏｅｈｒｉｎｇｅｒ）が挙げられる。
【０３０１】
他のカチオンリポソームは、当該技術分野で既知の技法を用いて、容易に入手可能な物質から調製することができる。例えば、ＤＯＴＡＰ（１，２−ビス（オレオイルオキシ）−３−（トリメチルアンモニオ）プロパン）リポソームの合成の説明に関するＰＣＴ国際公開第９０／１１０９２号（これは、参照により本明細書に援用される）を参照されたい。ＤＯＴＭＡリポソームの調製は文献で説明されており、例えば、Ｆｅｌｇｎｅｒ ｅｔ ａｌ．， Ｐｒｏｃ． Ｎａｔｌ． Ａｃａｄ． Ｓｃｉ． ＵＳＡ， ８４：７４１３−７４１７（これは、参照により本明細書に援用される）を参照されたい。類似の方法を用いて、他のカチオン脂質物質からリポソームを調製することができる。
【０３０２】
同様に、アニオンおよび中性リポソームは、例えばＡｖａｎｔｉ Ｐｏｌａｒ Ｌｉｐｉｄｓ（Ｂｉｒｍｉｎｇｈａｍ， Ａｌａ．）から容易に入手可能であり、または容易に入手可能な物質を用いて容易に調製することができる。かかる物質としては、特に、ホスファチジルコリン、コレステロール、ホスファチジルエタノールアミン、ジオレオイルホスファチジルコリン（ＤＯＰＣ）、ジオレオイルホスファチジルグリセロール（ＤＯＰＧ）、ジオレオイルホスファチジルエタノールアミン（ＤＯＰＥ）が挙げられる。これらの物質はまた、適切な比でＤＯＴＭＡおよびＤＯＴＡＰ出発原料と混合することができる。
【０３０３】
これらの物質を用いてリポソームを作製する方法は当該技術分野で既知である。例えば、コレステロールを添加してまたは添加せずに、従来のリポソームを作製するために、市販のジオレオイルホスファチジルコリン（ＤＯＰＣ）、ジオレオイルホスファチジルグリセロール（ＤＯＰＧ）、およびジオレオイルホスファチジルエタノールアミン（ＤＯＰＥ）を様々な組合せで使用することができる。したがって、例えば、ＤＯＰＧおよびＤＯＰＣそれぞれ５０ｍｇを超音波処理用バイアルへの窒素ガス流下で乾燥させることで、ＤＯＰＧ／ＤＯＰＣベシクルを調製することができる。試料を真空ポンプ下に一晩置いて、翌日脱イオン水で水和させる。次に、倒置カップ（バス型）を備えたＨｅａｔ  Ｓｙｓｔｅｍｓモデル３５０ソニケーターを用いて、最大設定で、バスを１５ＥＣで循環させながら、ふたをしたバイアル中で２時間試料を超音波処理する。あるいは、負に帯電したベシクルは、多重膜ベシクルを生産するための超音波処理なしで、または別個のサイズの単層ベシクルを生産するためのヌクレオポア膜による放出により調製することができる。他の方法が既知であり、当業者に利用可能である。
【０３０４】
リポソームは、多重膜ベシクル（ＭＬＶ）、小単層ベシクル（ＳＵＶ）、または巨大単層ベシクル（ＬＵＶ）を含むことができるが、ＳＵＶが好ましい。様々なリポソーム−核酸複合体が、当該技術分野で既知の方法を用いて調製される。例えば、Ｓｔｒａｕｂｉｎｇｅｒ ｅｔ ａｌ．， Ｍｅｔｈｏｄｓ  ｏｆ Ｉｍｍｕｎｏｌｏｇｙ， １０１：５１２−５２７ （１９８３）（これは、参照により本明細書に援用される）を参照されたい。例えば、核酸を含有するＭＬＶは、ガラス管の壁上にリン脂質の薄膜を堆積させて、続いて被包される物質の溶液で水和することで調製することができる。ＳＵＶは、ＭＬＶの延長した超音波処理により調製され、単層リポソームの均質集団を生産する。取り込まれる物質を、予め形成したＭＬＶの懸濁液に添加して、超音波処理する。カチオン脂質を含有するリポソームを用いる場合、乾燥脂質膜を、滅菌水または等張緩衝溶液（例えば、１０ｍＭ  Ｔｒｉｓ／ＮａＣｌ）のような適切な溶液中に再懸濁させて、超音波処理し、続いて予め形成したリポソームを、ＤＮＡと直接混合する。リポソームおよびＤＮＡは、カチオンＤＮＡへの正に帯電したリポソームの結合により非常に安定な複合体を形成する。ＳＵＶは、小核酸断片とともに利用される。ＬＵＶは、当該技術分野で既知の多数の方法により調製される。一般に使用される方法としては、Ｃａ２＋−ＥＤＴＡキレート化（Ｐａｐａｈａｄｊｏｐｏｕｌｏｓ ｅｔ ａｌ．， Ｂｉｏｃｈｉｍ． Ｂｉｏｐｈｙｓ． Ａｃｔａ， ３９４：４８３ （１９７５）； Ｗｉｌｓｏｎ ｅｔ ａｌ．， Ｃｅｌｌ， １７：７７ （１９７９））、エーテル注入（Ｄｅａｍｅｒ ｅｔ ａｌ．， Ｂｉｏｃｈｉｍ． Ｂｉｏｐｈｙｓ． Ａｃｔａ， ４４３：６２９ （１９７６）； Ｏｓｔｒｏ ｅｔ ａｌ．， Ｂｉｏｃｈｅｍ． Ｂｉｏｐｈｙｓ． Ｒｅｓ． Ｃｏｍｍｕｎ．， ７６：８３６ （１９７７）； Ｆｒａｌｅｙ ｅｔ ａｌ．， Ｐｒｏｃ． Ｎａｔｌ． Ａｃａｄ． Ｓｃｉ． ＵＳＡ， ７６：３３４８ （１９７９））、洗浄剤透析（Ｅｎｏｃｈ ｅｔ ａｌ．， Ｐｒｏｃ． Ｎａｔｌ． Ａｃａｄ． Ｓｃｉ． ＵＳＡ， ７６：１４５ （１９７９）、および逆相蒸発（ＲＥＶ）（Ｆｒａｌｅｙ ｅｔ ａｌ．， Ｊ． Ｂｉｏｌ． Ｃｈｅｍ．， ２５５：１０４３１ （１９８０）； Ｓｚｏｋａ ｅｔ ａｌ．， Ｐｒｏｃ． Ｎａｔｌ． Ａｃａｄ． Ｓｃｉ． ＵＳＡ， ７５：１４５ （１９７８）； Ｓｃｈａｅｆｅｒ−Ｒｉｄｄｅｒ ｅｔ ａｌ．， Ｓｃｉｅｎｃｅ， ２１５：１６６ （１９８２））が挙げられる。これらは、参照により本明細書に援用される。
【０３０５】
一般に、ＤＮＡ対リポソームの比は、約１０：１〜約１：１０である。好ましくは、比は、約５：１〜約１：５である。より好ましくは、比は、約３：１〜約１：３である。さらにいっそう好ましくは、比は、約１：１である。米国特許代５，６７６，９５４号（これは、参照により本明細書に援用される）は、カチオンリポソームキャリアと複合体形成した遺伝物質のマウスへの注射について報告している。米国特許第４，８９７，３５５号、第４，９４６，７８７号、第５，０４９，３８６号、第５，４５９，１２７号、第５，５８９，４６６号、第５，６９３，６２２号、第５，５８０，８５９号、第５，７０３，０５５号、および国際公開第９４／９４６９号（これらは、参照により本明細書に援用される）は、ＤＮＡを細胞および哺乳動物へトランスフェクトするのに使用するカチオン脂質を提供する。米国特許第５，５８９，４６６号、第５，６９３，６２２号、第５，５８０，８５９号、第５，７０３，０５５号および国際公開第９４／９４９６号（これらは、参照により本明細書に援用される）は、ＤＮＡ−カチオン脂質複合体を哺乳動物へ送達する方法を提供する。かかる方法は、植物にも同様に適用可能であり、当業者の範囲内である。
【０３０６】
ある実施形態では、本発明のポリペプチドをコードする配列を含むＲＮＡを含有するレトロウイルス粒子を用いて、細胞をｅｘ  ｖｉｖｏまたはｉｎ  ｖｉｖｏで操作する。レトロウイルス組込みは、タバコゲノム内のパラレトロウイルス配列の同定に基づいて植物中で起きることが検出された。かかる組込みは、非常に限られた組込み部位で起きると決定されたため、かかるパラレトロウイルスは、本発明のポリヌクレオチドのための望ましい遺伝子形質転換媒体を務め得る（Ｊａｋｏｗｉｔｓｃｈ， Ｊ． ｅｔ ａｌ．， ＰＮＡＳ ９６（２３）：１３２４１−６ （１９９９））。
【０３０７】
レトロウイルスプラスミドベクターは、パッケージング細胞系を形質導入して、プロデューサー細胞系を形成するのに用いられる。トランスフェクトされ得るパッケージング細胞の例としては、Ｍｉｌｌｅｒ， Ｈｕｍａｎ Ｇｅｎｅ Ｔｈｅｒａｐｙ， １：５−１４（１９９０）（これは、その全体が参照により本明細書に援用される）に記載されるように、ＰＥ５０１、ＰＡ３１７、Ｒ−２、Ｒ−ＡＭ、ＰＡ１２、Ｔ１９−１４Ｘ、ＶＴ−１９−１７−Ｈ２、ＲＣＲＥ、ＲＣＲＩＰ、ＧＰ＋Ｅ−８６、ＧＰ＋ｅｎｖＡｍ１２、およびＤＡＮ細胞系が挙げられるが、これらに限定されない。ベクターは、当該技術分野で既知の任意の手段によりパッケージング細胞を形質導入し得る。かかる手段としては、エレクトロポレーション、リポソームの使用、およびＣａＰＯ４沈殿が挙げられるが、これらに限定されない。一代替法では、レトロウイルスプラスミドベクターをリポソームで被包するか、または脂質に結合させた後、宿主に投与してもよい。
【０３０８】
プロデューサー細胞系は、本発明のポリペプチドをコードするポリヌクレオチドを含む感染レトロウイルスベクター粒子を生成する。次に、かかるレトロウイルスベクター粒子を用いて、ｉｎ  ｖｉｔｒｏまたはｉｎ  ｖｉｖｏのいずれかで、真核細胞を形質導入してもよい。形質導入した真核細胞は、本発明のポリペプチドを発現するであろう。
【０３０９】
本発明はまた、植物の遺伝子形質転換に対する、レトロトランスポゾンの適用を含む。レトロトランスポゾンは、好ましくは、既知の植物宿主範囲を有するレトロトランスポゾンを表し、本発明のポリペプチドをコードするポリヌクレオチドを含む。多くのレトロトランスポゾンが当該技術分野で既知であり、その幾つかは、Ｂｅｎｎｅｔｚｅｎ ＪＬ， Ｔｒｅｎｄｓ Ｍｉｃｒｏｂｉｏｌ．， ４（９）：３４７−５３ （１９９６）（これは、参照により本明細書に援用される）に記載されている。
【０３１０】
別の遺伝子治療方法は、相同組換えにより異種制御領域および内因性ポリヌクレオチド配列（例えば、所定のポリペプチド配列をコードする）を作動可能に連結することを含む（例えば、１９９７年６月２４日に発行された米国特許第５，６４１，６７０号、１９９６年９月２６日に公開された国際公開第９６／２９４１１号、１９９４年８月４日に公開された国際公開第９４／１２６５０号、Ｋｏｌｌｅｒ ｅｔ ａｌ．， Ｐｒｏｃ． Ｎａｔｌ． Ａｃａｄ． Ｓｃｉ． ＵＳＡ， ８６：８９３２−８９３５ （１９８９）、およびＺｉｊｌｓｔｒａ ｅｔ ａｌ．， Ｎａｔｕｒｅ， ３４２：４３５−４３８ （１９８９）を参照）。この方法は、標的細胞に存在するが、細胞中では通常発現されないか、所望のレベルよりも低レベルで発現される遺伝子の活性化を含む。
【０３１１】
プロモーターに隣接するターゲッティング配列を有するプロモーターを含有すするポリヌクレオチド構築物は、当該技術分野で既知の標準的な技法を用いて作製される。適切なプロモーターは本明細書中に記載されている。ターゲッティング配列は、プロモーター−ターゲッティング配列の内因性配列との相同組換えを可能とするのに、内因性配列と十分に相補性である。ターゲッティング配列は、所望の内因性ポリヌクレオチド配列の５’末端の十分近くにあり、そこでプロモーターは、相同組換え時に内因性配列と作動可能に連結される。
【０３１２】
プロモーターおよびターゲッティング配列は、ＰＣＲを用いて増幅することができる。好ましくは、増幅プロモーターは、５’および３’末端上に別個の制限酵素部位を含有する。好ましくは、第１のターゲッティング配列の３’末端は、増幅プロモーターの５’末端と同じ制限酵素部位を含有し、第２のターゲッティング配列の５’末端は、増幅プロモーターの３’末端と同じ制限酵素を含有する。増幅プロモーターおよびターゲッティング配列は、一緒に消化および連結される。
【０３１３】
プロモーター−ターゲッティング配列構築物は、裸のポリヌクレオチドとして、あるいは上記により詳述するようなリポソーム、ウイルス配列、ウイルス粒子、全ウイルス、リポフェクチン、沈殿剤等のような形質転換促進剤と合わせて、細胞に送達される。Ｐプロモーターターゲッティング配列は、直接針注射、静脈内注射、局所投与、注入、粒子加速器を含めた任意の方法により送達することができる。この方法は、以下でより詳述する。
【０３１４】
プロモーター−ターゲッティング配列構築物は、細胞により取り込まれる。構築物と内因性配列間の相同組換えが起き、その結果内因性配列は、プロモーターの制御下に置かれる。次に、プロモーターは、内因性配列の発現を駆動する。
【０３１５】
好ましくは、本発明のポリペプチドをコードするポリヌクレオチドは、タンパク質分泌を促進する分泌シグナル配列を含有する。典型的に、シグナル配列は、コード領域の５’末端に向かって、または５’末端に、発現されるべきポリヌクレオチドのコード領域中に位置する。シグナル配列は、所定のポリヌクレオチドにとって同種または異種であってもよく、形質転換されるべき細胞とって同種または異種であってもよい。さらに、シグナル配列は、当該技術分野の方法を用いて科学的に合成してもよい。
【０３１６】
上述のポリヌクレオチド構築物のいずれかの任意の投与様式は、その様式が、治療効果を提供するのに十分な量で１つまたは複数の分子の発現をもたらす限り、使用することができる。これには、直接針注射、全身投与、注入、微粒子銃注射器、粒子加速器（すなわち、「遺伝子銃」）、ゲルフォームスポンジ堆積、他の市販の堆積物質、浸透圧ポンプ（例えば、Ａｌｚａミニポンプ）、およびデカンティングまたは局所塗布が包含される。例えば、裸のリン酸カルシウム沈殿プラスミドのラット肝臓およびラット脾臓への、またはタンパク質被覆プラスミドの門脈への直接注射により、ラット肝臓での外来遺伝子の発現が生じた（Ｋａｎｅｄａ ｅｔ ａｌ．， Ｓｃｉｅｎｃｅ， ２４３：３７５ （１９８９））。さらに、裸のＤＮＡの直接注射が植物で報告されており、本発明に包含される（Ｄａｖｅｙ ＭＲ， ｅｔ ａｌ．， Ｐｌａｎｔ Ｍｏｌ Ｂｉｏｌ， １３ （３）：２７３−８５ （１９８９）、およびＰｏｔｒｙｋｕｓ Ｉ， Ｃｉｂａ Ｆｏｕｎｄ Ｓｙｍｐ， １５４：１９８−２１２ （１９９０））。
【０３１７】
局所的投与の好ましい方法は、直接注射である。好ましくは、送達媒体と複合体形成させた本発明の組換え分子を、生物循環系（例えば、師部、木部等）区域に直接注射により、あるいはその内部で局所的に投与する。生物循環系の区域内部に局所的に組成物を投与するとは、生物循環系内へ、センチメートル、好ましくはミリメートルで組成物を注射することを指す。
【０３１８】
別の局所的投与の方法は、外科的創傷または移植にて、またはその周辺に、本発明のポリヌクレオチド構築物を接触させることである。例えば、ポリヌクレオチド構築物を、創傷内部の組織表面上にコーティングすることができ、あるいは構築物を、創傷内部の組織区域に注射することができる。
【０３１９】
全身投与で有効な治療用組成物としては、本発明の標的送達媒体と複合体形成した組換え分子が挙げられる。全身投与で使用するのに適した送達媒体は、特定部位に媒体をターゲッティングするためのリガンドを含むリポソームを含む。
【０３２０】
全身投与の好ましい方法としては、注射、エーロゾル、経皮（局所）送達が挙げられる。注射は、当該技術分野で標準的な方法を用いて実施することができる。エーロゾル送達もまた、当該技術分野で標準的な方法を用いて実施することができる（例えば、Ｓｔｒｉｂｌｉｎｇ ｅｔ ａｌ．， Ｐｒｏｃ． Ｎａｔｌ． Ａｃａｄ． Ｓｃｉ． ＵＳＡ， １８９：１１２７７−１１２８１ （１９９２）を参照、これは参照により本明細書に援用される）。局所送達は、皮膚を通過することが可能な親油性試薬（例えば、ＤＭＳＯ）と、本発明のポリヌクレオチド構築物を混合することで実施することができる。
【０３２１】
送達される物質の有効量の決定は、例えば物質の化学的構造および生物活性、植物または動物の年齢および体重、治療を必要とする正確な状態およびその重篤性、ならびに投与経路を含む多数の要因によって決まり得る。治療頻度は、適用１回当たり投与されるポリヌクレオチド構築物の量、ならびにポリヌクレオチドおよびポリペプチドの半減期（すなわち、適用の有効期間）のような多数の要因によって決まる。正確な量、適用回数、および適用の適時性は、所望の適用ごとに決定されるであろう。
【０３２２】
本発明の治療用組成物は、任意の生物、好ましくは植物に投与することができる。好ましい植物としては、以下の非限定的な例：オオムギ、オートムギ、ライムギ、モロコシ、エンドウ、ヒマワリ、タバコ、ワタ、ペチュニア、トマト、ブロッコリー、レタス、リンゴ、プラム、オレンジ、およびレモン、より好ましくは、イネ、トウモロコシ（ｍａｉｚｅ）、カノラ、コムギ、シュガービート（ｓｕｇｅｒｂｅｅｔ）、サトウキビ（ｓｕｇｅｒｃａｎｅ）、およびダイズ、さらには当該技術分野で既知の他の化合物および本明細書中の他の箇所で（例えば、第３表）より具体的に言及した他の植物が挙げられ得る。
【０３２３】
さらに、本発明は、本発明のポリヌクレオチドをコードする遺伝子を導入した、種子、生物、および植物を含むが、これらに限定されないトランスジェニック細胞を含む。本発明のポリヌクレオチド、本発明のポリペプチドをコードするポリヌクレオチド、寄託物に含まれるｃＤＮＡ、および／または断片、およびそれらの変異体を導入するのに適切なレシピエント植物の非限定的な例を、以下の第３表に列挙する：
【０３２４】
【表３】
2004521610.tif 000006
2004521610.tif 000007
2004521610.tif 000008
2004521610.tif 000009
2004521610.tif 000010
【０３２５】
生物活性
本発明のポリヌクレオチドもしくはポリペプチド、またはアゴニストもしくはアンタゴニストをアッセイで使用して、１つまたは複数の生物活性を試験することができる。これらのポリヌクレオチドおよびポリペプチドが特定のアッセイで活性を示す場合、これらの分子はこの生物活性に関連する疾患に関連し得る可能性がある。したがって、このポリヌクレオチドまたはポリペプチド、もしくはアゴニストまたはアンタゴニストを使用して、関連疾患を治療することができる。
【０３２６】
過増殖性障害
本発明のポリヌクレオチドもしくはポリペプチド、またはアゴニストもしくはアンタゴニストを使用して、過増殖性疾患、障害、および／または病態（腐爛、菌こぶ、腫瘍、付着器などが含まれるが、これらに限定されない）を検出し、予防し、かつ／または耐性を付与することができる。本発明のポリヌクレオチドもしくはポリペプチド、またはアゴニストもしくはアンタゴニストは、直接または間接的相互作用により障害の増殖を阻害することができる。あるいは、本発明のポリヌクレオチドもしくはポリペプチド、またはアゴニストもしくはアンタゴニストは、過増殖性障害を阻害することができる他の細胞を増殖することができる。
【０３２７】
１つの好ましい実施形態は、本発明、および／またはそのタンパク質融合物もしくはそれらの断片を使用した遺伝子治療によって異常な細胞分裂を阻害するために本発明のポリヌクレオチドを使用する。
【０３２８】
したがって、本発明は、異常増殖細胞への、上記発現を抑制する本発明のポリヌクレオチドの挿入による細胞増殖疾患、障害、および／または病態の治療または予防法を提供する。
【０３２９】
本発明の別の実施形態は、１つまたは複数の本発明の活性遺伝子コピーを異常増殖細胞に投与することを含む、生物の細胞増殖疾患、障害、および／または病態の治療または予防法を提供する。好ましい実施形態では、本発明のポリヌクレオチドは、該ポリヌクレオチドをコードするＤＮＡ配列の発現する際に有効な組換え発現ベクターを含むＤＮＡ構築物である。本発明の別の好ましい実施形態では、本発明のポリヌクレオチドをコードするＤＮＡ構築物を、レトロウイルスベクター、より好ましくは植物レトロトランスポゾンベースのベクターを使用して治療する細胞に挿入する。最も好ましい実施形態では、ウイルスベクターは欠陥ベクターであり、非増殖細胞を形質転換せずに増殖細胞のみを形質転換する。さらに、好ましい実施形態では、増殖細胞のみか、または他のポリヌクレオチドと組み合わせるか融合した増殖細胞に挿入した本発明のポリヌクレオチドを、次に、コードしたタンパク質産物の発現を誘導するように上記ポリヌクレオチドのプロモーター上流で作用する外部刺激（すなわち、磁気、特異的小分子、化学薬品、または薬物投与など）を介して調整することができる。このように、上記外部刺激に基づいて本発明の有利な治療効果を明白に調整する（すなわち、本発明の発現を増加、減少、または阻害する）ことができる。
【０３３０】
本発明のポリヌクレオチドは、増殖遺伝子または抗原の発現の抑制に有用であり得る。「増殖遺伝子発現の抑制」は、遺伝子の転写の抑制、遺伝子転写物（プレメッセージＲＮＡ）の分解、スプライシングの阻害、伝令ＲＮＡの破壊、タンパク質の翻訳後修飾の防止、タンパク質破壊、正常なタンパク質機能の阻害と意図する。
【０３３１】
異常増殖細胞への局所投与のために、本発明のポリヌクレオチドを、当業者に既知の任意の方法（形質転換、エレクトロポレーション、細胞の微量注入、またはリポソーム、リポフェクチンなどの媒体中、もしくは裸のポリヌクレオチドとして、または本明細書中に記載の任意の他の方法が含まれるが、これらに限定されない）によって投与することができる。本発明のポリヌクレオチドを、既知の遺伝子送達系（レトロウイルスベクター（Ｇｉｌｂｏａ，Ｊ．， Ｖｉｒｏｌｏｇｙ， ４４， ８４５ （１９８２）； Ｈｏｃｋｅ， Ｎａｔｕｒｅ， ３２０， ２７５ （１９８６）； Ｗｉｌｓｏｎ他， Ｐｒｏｃ． Ｎａｔｌ． Ａｃａｄ． Ｓｃｉ． ＵＳＡ， ８５； ３０１４）、ワクシニアウイルス系（Ｃｈａｋｒａｂａｒｔｙ他、Ｍｏｌ． Ｃｅｌｌ Ｂｉｏｌ． ５： ３４０３ （１９８５））、または当業者に既知の他の有効なＤＮＡ送達系（Ｙａｔｅｓ他、Ｎａｔｕｒｅ， ３１３； ８１２ （１９８５））などが含まれるが、これらに限定されない）によって送達させることができる。これらの参考文献は例示にすぎず、本明細書中で参考により援用される。異常増殖細胞を特異的に送達させるか形質転換して、非分裂細胞を省くために、当業者に既知のレトロウイルスまたは植物レトロトランスポゾンベースのベクター（当該技術分野においておよび本明細書のいずれかに記載されている）送達系を使用することが好ましい。宿主ＤＮＡ複製はレトロウイルスＤＮＡを組み込むのに必要であるので、その生活環に必要なレトロウイルス遺伝子の欠如によりレトロウイルスは自己複製することができない。本発明のポリヌクレオチドのためのこのようなレトロウイルス送達系使用により、遺伝子を標的し、異常増殖細胞に構築され、非分裂正常細胞を省く。
【０３３２】
本発明のポリヌクレオチドを、疾患部位に直接ニードル注入を誘導するために使用されるイメージングデバイスの使用によって植物体中の細胞増殖障害／疾患部位に直接送達させることができる。本発明のポリヌクレオチドを、移植時などに疾患部位に投与することもできる。
【０３３３】
「細胞増殖疾患」は、細胞、細胞群、または組織の単一または多局所異常増殖によって特徴付けられる器官、腔、または身体部分の任意の１つまたは任意の組み合わせに悪影響を及ぼす任意の疾患または障害を意味する。
【０３３４】
処理細胞増殖に対して生物学的阻害効果を有する限り、任意の量の本発明のポリヌクレオチドを投与することができる。さらに、１つを超える本発明のポリヌクレオチドを同一の部位に同時に投与可能である。「生物学的に阻害する」は、部分的または全体的成長阻害および細胞の増殖または成長速度の減少を意味する。生物学的阻害用量を、組織培養における標的もしくは異常増殖細胞成長、植物または細胞培養物における腫瘍成長に対する本発明のポリヌクレオチドの効果の評価、または当業者に既知の任意の他の方法によって決定することができる。
【０３３５】
本発明はさらに、植物に抗ポリペプチドおよび抗ヌクレオチド抗体を投与することを含む、１つまたは複数の記載の疾患、障害、および／または病態の検出、予防、および／または耐性の付与するための抗体ベースの治療に関する。抗ポリペプチドおよび抗ポリヌクレオチド抗体であるポリクローナルおよびモノクローナル抗体の作製法は、本明細書のいずれかに詳述されている。このような抗体を、当該技術分野で既知であるか本明細書中に記載の薬学的に許容可能な組成物中に含めることができる。
【０３３６】
本発明の抗体を治療で使用することができる方法の要網には、体内で局所的もしくは全身的に、または例えば補体（ＣＤＣ）またはエフェクター細胞（ＡＤＣＣ）によって媒介される抗体の直接的細胞傷害性により、本発明のポリヌクレオチドまたはポリペプチドを結合することが含まれる。これらのアプローチのいくつかを以下にさらに詳述する。本明細書中に記載の教示によって、当業者は、過度に実験を行うことなく診断、モニタリング、または治療のための本発明の抗体の使用法が分かるであろう。
【０３３７】
特に、本発明の抗体、断片、および誘導体は、本明細書中に記載の細胞増殖および／または分化疾患、障害、および／または病態を有するか発症している植物の検出、予防、および／または耐性の付与に有用である。このような治療は、単回用量または複数回用量の抗体またはその断片、誘導体、もしくは結合物を投与することを含む。
【０３３８】
本発明の抗体を、例えば抗体と相互作用するエフェクター細胞数または活性を増加させる、他のモノクローナル抗体もしくはキメラ抗体と、またはサイトカインもしくは植物成長因子と組み合わせて有利に使用することができる。
【０３３９】
本発明のポリヌクレオチドまたはポリペプチド（それらの断片を含む）に関連する疾患、障害、および／または病態に関する免疫アッセイおよび治療のために、本発明のポリペプチドまたはポリヌクレオチド、もしくはそれらの断片または領域に対して高親和性および／または強力なｉｎ  ｖｉｖｏでの阻害および／または中和抗体を使用することが好ましい。このような抗体、断片、または領域は、好ましくは，ポリヌクレオチドまたはポリペプチド（それらの断片を含む）に親和性を有する。好ましい結合親和性には、５×１０−６Ｍ、１０−６Ｍ、５×１０−７Ｍ、１０−７Ｍ、５×１０−８Ｍ、１０−８Ｍ、５×１０−９Ｍ、１０−９Ｍ、５×１０−１０Ｍ、１０−１０Ｍ、５×１０−１１Ｍ、１０−１１Ｍ、５×１０−１２Ｍ、１０−１２Ｍ、５×１０−１３Ｍ、１０−１３Ｍ、５×１０−１４Ｍ、１０−１４Ｍ、５×１０−１５Ｍ、および１０−１５Ｍ未満の解離定数（すなわちＫｄ）の結合親和性が含まれる。
【０３４０】
本発明のポリペプチド（タンパク質融合物を含む）またはそれらの断片は、アポトーシスの誘導を介した増殖細胞または組織の阻害に有用であり得る。上記ポリペプチドは、増殖性細胞および組織のアポトーシスを直接または間接的に誘導するように作用することができる。アポトーシスは植物で記載されており、これは動物におけるアポトーシス誘導に類似する機構を介して制御されると考えられる（例えば、ＬｏＳｃｈｉａｖｏ Ｆ．他、Ｅｕｒ Ｊ Ｃｅｌｌ Ｂｉｏｌ．， ７９（４）； ２９４−８ （２０００）、およびＴｉａｎ Ｒ他、ＦＥＢＳ Ｌｅｔｔ．、４７４（１）， １１−１５ （２０００）を参照）。
【０３４１】
さらに、本発明の別の実施形態では、上記ポリペプチドは、アポトーシスを活性化する他のタンパク質（例えば、カスパーゼ３、ポリ（ＡＤＰ−リボース）ポリメラーゼ（ＰＡＲＰ）など）の活性化などにおける他の機構によって、または上記タンパク質のみか、または小分子薬物またはアジュバント（アポプトニン、ガレクチン、チオレドキシン、抗炎症性タンパク質など）と組み合わせたタンパク質の発現の刺激によってアポトーシスを誘導することができる（例えば、Ｍｕｔａｎｔ Ｒｅｓ、 ４００（１−２）； ４４７−５５ （１９９８）、Ｍｅｄ Ｈｙｐｏｔｈｅｓｅｓ． ５０（５）： ４２３−３３ （１９９８）、Ｃｈｅｍ Ｂｉｏｌ Ｉｎｔｅｒａｃｔ． Ａｐｒ ２４； １１１−１１２： ２３−３４ （１９９８）、Ｊ． Ｍｏｌ Ｍｅｄ． ７６（６）： ４０２−１２ （１９９８）、 Ｉｎｔ Ｊ Ｔｉｓｓｕｅ Ｒｅａｃｔ； ２０（１）； ３−１５ （１９９８）（これらは全て本明細書中で参照により援用される）を参照）。
【０３４２】
別の実施形態では、本発明は、本発明のポリペプチドを含む組成物（例えば、異種ポリペプチド、異種核酸、毒素、またはプロドラッグに会合したポリペプチドまたはポリペプチド抗体を含む組成物）を、本発明のポリペプチドを発現する標的細胞へ送達する方法を提供する。本発明のポリペプチドまたはポリペプチド抗体を、疎水性、親水性、イオン性、および／または共有結合相互作用を介して異種ポリペプチド、異種核酸、毒素、またはプロドラッグに会合することができる。
【０３４３】
本発明のポリペプチド、融合するタンパク質、またはそれらの断片は、上記抗原および免疫原に対して、直接または間接的に増殖細胞または組織の免疫原性および／または抗原性の増強するのに有用である。
【０３４４】
感染症
感染作用物質は、植物の恒常性および／または細胞恒常性を維持する全能力を阻害し得る。例えば、感染因子は、植物の細胞分裂、分化、および発生；土壌からの水および無機塩類の吸収ならびにこれらの物質の植物全体への輸送；光合成および光合成産物の使用または保存領域への輸送；合成化合物の代謝；再生；および例えば越冬または再生のための植物栄養素の貯蔵を調節する能力を阻害し得る。
【０３４５】
疾患植物の罹患細胞および組織は、通常、疾患発症因作用物質によって脆弱化または破壊されている。したがって、このような感染細胞および組織の正常な生理学的機能を行う能力は、減少または完全に阻害されており、細胞死または植物死を招く。罹患組織の型により、罹患した生理学的機能が決定される。例えば、根の感染（例えば、根腐れ（ｒｏｏｔ ｒｏｔ））は土壌からの水および栄養素の吸収を妨害し、木部導管感染（例えば、立ち枯れ病（ｖａｓｃｕｌａｒ ｗｉｌｔｓ）、枝枯れ病（ｃａｎｋｅｒｓ）など）は樹冠への水および無機塩類の転流を妨害し、葉の感染（例えば、斑点病（ｌｅａｆ ｓｐｏｔｓ）、葉枯れ病（ｂｌｉｇｈｔｓ）、モザイク（ｍｏｓａｉｃｓ）など）は光合成を妨害し、皮層の感染（例えば、皮層枝枯れ病（ｃｏｒｔｉｃａｌ ｃａｎｋｅｒ）、篩部のウイルスまたはマイクプラズマ感染（ｖｉｒａｌ ａｎｄ ｍｙｃｏｐｌａｓｍａｌ ｉｎｆｅｃｔｉｏｎｓ ｏｆ ｐｈｌｏｅｍ）など）は光合成生成物の下方輸送を妨害し、花感染（例えば、細菌および真菌による葉枯れ病（ｂａｃｔｅｒｉａｌ ａｎｄ ｆｕｎｇａｌ ｂｌｉｇｈｔｓ）、ウイルス（ｖｉｒａｌ）、マイコプラズマ（ｍｙｃｏｐｌａｓｍａｌ）、および花への真菌感染（ｆｕｎｇａｌ ｉｎｆｅｃｔｉｏｎｓ ｏｆ ｆｌｏｗｅｒｓ））は再生を妨害し、果実感染（例えば、果実の腐敗（ｆｒｕｉｔ ｒｏｔ）など）は新規の植物のための再生または貯蔵栄養素の保存を妨害する。上記の感染特性および／または症状のリストは例示であり、本発明を制限すると解釈すべきではない。さらなる感染特性は当該技術分野で既知であり、そのいくつかを本明細書中のいずれかで記載する（例えば、Ａｇｒｉｏｓ， Ｇ． Ｎ．、「Ｐｌａｎｔ Ｐａｔｈｏｌｏｇｙ」、第３版、Ａｃａｄｅｍｉｃ Ｐｒｅｓｓ Ｉｎｃ．， （１９８８）、（その全体が本明細書中で参照により援用される）を参照）。
【０３４６】
ウイルスは、本発明のポリヌクレオチドもしくはポリペプチドおよび／またはアゴニストもしくはアンタゴニストによって検出、予防、および／または耐性を付与することができる疾患または特性を発症し得る感染作用物質の１つの例である。ウイルスの例には、以下のＤＮＡおよびＲＮＡウイルスおよびウイルス科が含まれるがこれらに限定されない：アルボウイルス（Ａｒｂｏｖｉｒｕｓ）、アデノウイルス（Ａｄｅｎｏｖｉｒｉｄａｅ）、アレナウイルス（Ａｒｅｎａｖｉｒｉｄａｅ）、アルテリウイルス（Ａｒｔｅｒｉｖｉｒｕｓ）、ビルナウイルス（Ｂｉｒｎａｖｉｒｉｄａｅ）、ブニヤウイルス（Ｂｕｎｙａｖｉｒｉｄａｅ）、カリシウイルス（Ｃａｌｉｃｉｖｉｒｉｄａｅ）、サーコウイルス（Ｃｉｒｃｏｖｉｒｉｄａｅ）、コロナウイルス（Ｃｏｒｏｎａｖｉｒｉｄａｅ）、デング熱ウイルス（Ｄｅｎｇｕｅ）、ＥＢＶ、ＨＩＶ、フラビウイルス（Ｆｌａｖｉｖｉｒｉｄａｅ）、ヘパドナウイルス（Ｈｅｐａｄｎａｖｉｒｉｄａｅ）（肝炎（Ｈｅｐａｔｉｔｉｓ））、ヘルペスウイルス（Ｈｅｒｐｅｓｖｉｒｉｄａｅ）（サイトメガロウイルス（Ｃｙｔｏｍｅｇａｌｏｖｉｒｕｓ）、単純ヘルペスウイルス（Ｈｅｒｐｅｓ Ｓｉｍｐｌｅｘ）、帯状疱疹ウイルス（Ｈｅｒｐｅｓ Ｚｏｓｔｅｒ）など）、モノネガウイルス科（Ｍｏｎｏｎｅｇａｖｉｒｕｓ）（例えば、パラミクソウイルス（Ｐａｒａｍｙｘｏｖｉｒｉｄａｅ）、麻疹ウイルス（Ｍｏｒｂｉｌｌｉｖｉｒｕｓ）、ラブドウイルス（Ｒｈａｂｄｏｖｉｒｉｄａｅ））、オルトミクソウイルス（Ｏｒｔｈｏｍｙｘｏｖｉｒｉｄａｅ）（例えば、インフルエンザＡ型ウイルス（Ｉｎｆｌｕｅｎｚａ Ａ）、インフルエンザＢ型ウイルス（Ｉｎｆｌｕｅｎｚａ Ｂ）、およびパラインフルエンザウイルス（ｐａｒａｉｎｆｌｕｅｎｚａ））、乳頭腫ウイルス（Ｐａｐｉｌｏｍａ ｖｉｒｕｓ）、パポバウイルス（Ｐａｐｏｖａｖｉｒｉｄａｅ）、パルボウイルス（Ｐａｒｖｏｖｉｒｉｄａｅ）、ピコルナウイルス（Ｐｉｃｏｒｎａｖｉｒｉｄａｅ）、ポックスウイルス（Ｐｏｘｖｉｒｉｄａｅ）（痘瘡ウイルス（Ｓｍａｌｌｐｏｘ）またはワクシニア（Ｖａｃｃｉｎｉａ）など）、レオウイルス（Ｒｅｏｖｉｒｉｄａｅ）（例えば、ロタウイルス（Ｒｏｔａｖｉｒｕｓ））、レトロウイルス（Ｒｅｔｒｏｖｉｒｉｄａｅ）（ＨＴＬＶ−Ｉ、ＨＴＬＶ−ＩＩ、レンチウイルス（Ｌｅｎｔｉｖｉｒｕｓ））、およびトガウイルス（Ｔｏｇａｖｉｒｉｄａｅ）（例えば、ルビウイルス（Ｒｕｂｉｖｉｒｕｓ））。さらなるウイルスの例には、以下が含まれるが、これらに限定されない：トバモウイルス類（Ｔｏｂａｍｏｖｉｒｕｓ ｇｒｏｕｐ）（例えば、タバコモザイクウイルス（Ｔｏｂａｃｃｏ Ｍｏｓａｉｃ））、トブラウイルス群（Ｔｏｂｒａｖｉｒｕｓ ｇｒｏｕｐ）（例えば、タバコ茎壊疽ウイルス（Ｔｏｂａｃｃｏ ｒａｔｔｌｅ ｖｉｒｕｓ））、ホルデイウイルス類（Ｈｏｒｄｅｉｖｉｒｕｓ ｇｒｏｕｐ）（例えば、バーレットストリップモザイクウイルス（Ｂａｒｌｅｔ ｓｔｒｉｐ ｍｏｓａｉｃ））、ポテクスウイルス類（Ｐｏｔｅｘｖｉｒｕｓ ｇｒｏｕｐ）（例えば、ジャガイモＸウイルス（Ｐｏｔａｔｏ ｖｉｒｕｓ Ｘ））、カーラウイルス類（Ｃａｒ��ａｖｉｒｕｓ ｇｒｏｕｐ）（例えば、カーネーションラテントウイルス（Ｃａｒｎａｔｉｏｎ ｌａｔｅｎｔ ｖｉｒｕｓ））、ポティウイルス類（Ｐｏｔｙｖｉｒｕｓ ｇｒｏｕｐ）（例えば、ジャガイモＹウイルス（Ｐｏｔａｔｏ ｖｉｒｕｓ Ｙ））、クロステロウイルス類（Ｃｌｏｓｔｅｒｏｖｉｒｕｓ ｇｒｏｕｐ（例えば、ビート黄斑ウイルス（ｂｅｅｔ ｙｅｌｌｏｗ ｖｉｒｕｓ））、メイズクロロティック萎縮ウイルス（Ｍａｉｚｅ ｃｈｌｏｒｏｔｉｃ ｄｗａｒｆ ｖｉｒｕｓ）、タバコ壊疽ウイルス（Ｔｐｂａｃｏ ｎｅｃｒｏｓｉｓ ｖｉｒｕｓ）、ティモウイルス類（Ｔｙｍｏｖｉｒｕｓ ｇｒｏｕｐ）（例えば、ダイコン黄斑モザイクウイルス（Ｔｕｒｎｉｐ ｙｅｌｌｏｗ ｍｏｓｉａｃ ｖｉｒｕｓ））、トンブスウイルス類（Ｔｏｍｂｕｓｖｉｒｕｓ ｇｒｏｕｐ）（例えば、トマト灌木矮化病ウイルス（Ｔｏｍａｔｏ ｂｕｓｈｙ ｓｔｕｎｔ ｖｉｒｕｓ））、ソベモウイルス類（Ｓｏｂｅｍｏｖｉｒｕｓ ｇｒｏｕｐ）（例えば、サザンビーンモザイクウイルス（Ｓｏｕｔｈｅｒｎ ｂｅａｎ ｍｏｓａｉｃ ｖｉｒｕｓ））、ルテオウイルス類（Ｌｕｔｅｏｖｉｒｕｓ ｇｒｏｕｐ）（例えば、オオムギ黄萎病ウイルス（Ｂａｒｌｅｙ ｙｅｌｌｏｗ ｄｗａｒｆ ｖｉｒｕｓ））、コモウイルス類（Ｃｏｍｏｖｉｒｕｓ ｇｒｏｕｐ）（例えば、ササゲモザイクウイルス（Ｃｏｗｐｅａ ｍｏｓａｉｃ ｖｉｒｕｓ））、ネポウイルス類（Ｎｅｐｏｖｉｒｕｓ ｇｒｏｕｐ）（例えば、タバコ輪斑ウイルス（Ｔｏｂａｃｃｏ ｒｉｎｇｓｐｏｔ ｖｉｒｕｓ））、エンドウ隆起生長モザイクウイルス（Ｐｅａ ｅｎａｔｉｏｎ ｍｏｓａｉｃ ｖｉｒｕｓ）、ダイアントウイルス類（Ｄｉａｎｔｈｏｖｉｒｕｓ ｇｒｏｕｐ）（例えば、カーネーション輪斑ウイルス（Ｃａｒｎａｔｉｏｎ ｒｉｎｇｓｐｏｔ ｖｉｒｕｓ））、ククモウイルス類（Ｃｕｃｕｍｏｖｉｒｕｓ ｇｒｏｕｐ）（例えば、キュウリモザイクウイルス（Ｃｕｃｕｍｂｅｒ ｍｏｓａｉｃ ｖｉｒｕｓ））、ブロモウイルス類（Ｂｒｏｍｏｖｉｒｕｓ ｇｒｏｕｐ）（例えば、ブロムモザイクウイルス（Ｂｒｏｍｅ ｍｏｓａｉｃ ｖｉｒｕｓ））、イラルウイルス（Ｉｌａｖｉｒｕｓ ｇｒｏｕｐ）（例えば、タバコ条斑ウイルス（Ｔｏｂａｃｃｏ ｓｔｒｅａｋ ｖｉｒｕｓ））、アルファルファモザイクウイルス（Ａｌｆａｌｆａ ｍｏｓａｉｃ ｖｉｒｕｓ）、トマト黄化壊疽ウイルス（Ｔｏｍａｔｔｏ ｓｐｏｔｔｅｒ ｗｉｌｔ ｖｉｒｕｓ）、ラブドウイルス科（Ｒｈａｂｄｏｖｉｒｉｄａｅ）（例えば、レタス壊疽黄斑ウイルス（Ｌｅｔｔｕｃｅ ｎｅｃｒｏｔｉｃ ｙｅｌｌｏｗ ｖｉｒｕｓ））、リオウイルス科（Ｒｉｏｖｉｒｉｄａｅ）（例えば、創傷腫瘍ウイルス（Ｗｏｕｎｄ ｔｕｍｏｒ ｖｉｒｕｓ））、ジェミニウイルス（Ｇｅｍｉｎｉｖｉｒｕｓ ｇｒｏｕｐ）（例えば、メイズ条斑ウイルス（Ｍａｉｚｅ ｓｔｒｅａｋ ｖｉｒｕｓ））、カリモウイルス（Ｃａｕｌｉｍｏｖｉｒｕｓ）（例えば、カリフラワーモザイクウイルス（Ｃａｕｌｉｆｌｏｗｅｒ ｍｏｓａｉｃ ｖｉｒｕｓ））。植物または動物に感染することができるさらなるウイルスは当該技術分野で既知である（例えば、上述のＧ． Ｎ．， Ａｇｒｉｏｓ、およびＪｏｎｅｓ， Ｔ． Ｃ．、「Ｖｅｔｅ���ｉｎａｒｙ Ｐａｔｈｏｌｏｇｙ」、第４版、Ｌｅａ ａｎｄ Ｆｅｂｉｇｅｒ， Ｐｈｉｌａｄｅｌｐｈｉａ （１９７２）を参照）。
【０３４７】
これらの科に含まれるウイルスは、種々の疾患または症状を引き起こすことができ、一般に、モザイク（ｍｏｓａｉｃｓ）、輪斑（ｒｉｎｇ ｓｐｏｔｓ）、矮化病（ｓｔｕｎｔｉｎｇ）、萎縮（ｄｗａｒｆｉｎｇ）、巻葉（ｌｅａｆ ｒｏｌｌ）、黄斑（ｙｅｌｌｏｗｉｎｇ）、条斑（ｓｔｒｅａｋｉｎｇ ｐｏｘ）、瘡痂病（ｐｏｘ）、隆起生長（ｅｎａｔｉｏｎ）、腫瘍（ｔｕｍｏｒｓ）、茎のピッティング（ｐｉｔｔｉｎｇ ｏｆ ｓｔｅｍ）、無胞子（ａｓｐｅｒｍｙ）、不稔（ｓｔｅｒｉｌｉｔｙ）、果実のピッティング（ｐｉｔｔｉｎｇ ｏｆ ｆｒｕｉｔ）、茎の平板化および歪曲（ｆｌａｔｔｅｎｉｎｇ ａｎｄ ｄｉｓｔｏｒｔｉｏｎ ｏｆ ｔｈｅ ｓｔｅｍ）が含まれるが、これらに限定されず、特に、タバコモザイク（ｔｏｂａｃｃｏ ｍｏｓａｉｃ）、エンドウモザイク（ｂｅａｎ ｍｏｓａｉｃ）、リンゴモザイク（ａｐｐｌｅ ｍｏｓａｉｃ）、エンドウ輪斑モザイク（ｐｅａｒ ｒｉｎｇ ｐａｔｔｅｒｎ ｍｏｓａｉｃ）、メイズ萎縮モザイク（ｍａｉｚｅ ｄｗａｒｆ ｍｏｓａｉｃ）、チューリップモザイク（ｔｕｌｉｐ ｂｒｅａｋｉｎｇ）、タバコ輪斑（ｔｏｂａｃｃｏ ｒｉｎｇｓｐｏｔ）、サクラ壊死輪斑（ｐｒｕｎｕｓ ｎｅｃｒｔｉｃ ｒｉｎｇｓｐｏｔ）、ニレ輪斑（ｅｌｍ ｒｉｎｇｓｐｏｔ）、キク輪斑（ｃｈｙｓａｎｔｈｅｍｕｍ ｒｉｎｇｓｐｏｔ）、ライラック輪斑（ｌｉｌａｃ ｒｉｎｇｓｐｏｔ）、ブルーベリー輪斑（ｂｌｕｅｂｅｒｒｙ ｒｉｎｇｓｐｏｔ）、ビート黄斑（ｂｅｅｔ ｙｅｌｌｏｗｓ）、コムギ条斑モザイク（ｗｈｅａｔ ｓｔｅａｋ ｍｏｓａｉｃ）、タバコエッチ（ｔｏｂａｃｃｏ ｅｔｃｈ）、葉脈隆起生長（ｖｅｉｎ ｅｎａｔｉｏｎ）、ベインクリアリング（ｖｅｉｎ ｃｌｅａｎｉｎｇ）、ベインバンディング（ｖｅｉｎ ｂａｎｄｉｎｇ）、葉脈壊死（ｖｅｉｎ ｎｅｃｒｏｓｉｓ）、ジャガイモ巻葉（ｐｏｔａｔｏ ｌｅａｆ ｒｏｌｌ）、ブドウ扇形葉（ｇｒａｐｅ ｆａｎ ｌｅａｆ）、トマトシューストリング（ｔｏｍａｔｏ ｓｈｏｅｓｔｒｉｎｇ）、矮化病（ｓｔｕｎｔｉｎｇ）、バナナ萎縮病（ｂａｎａｎａ ｂｕｎｃｈｙ ｔｏｐ）、カンキツトリステザ（ｃｉｔｒｕｓ ｔｒｉｓｔｅｚａ）、カカオ肥大（ｃｏｃａｏ ｓｗｏｌｌｅｎ ｓｈｏｏｔ）、茎ピッティング（ｓｔｅｍ ｐｉｔｔｉｎｇ）、リンゴ枝平板化（ａｐｐｌｅ ｆｌａｔ ｌｉｍｂ）、洋ナシ荒皮（ｐｅａｒ ｒｏｕｇｈ ｂａｒｋ）、茎壊死（ｓｔｅｍ ｎｅｃｒｏｓｉｓ）、接木褐色線（ｇｒａｆｔ ｂｒｏｗｎ ｌｉｎｅ）、チェリー黒色根瘤病（ｃｈｅｒｒｙ ｂｌａｃｋ ｃａｎｋｅｒ）、ニレ帯状根瘤病（ｅｌｍ ｚｏｎａｔｅ ｃａｎｋｅｒ）、カンキツ樹木擦傷（ｃｉｔｒｕｓ ｗｏｏｄｙ ｇａｌｌ）、クローバー創傷腫瘍（ｃｌｏｖｅｒ ｗｏｕｎｄ ｔｕｍｏｒ）、リンゴ茶褐色輪（ａｐｐｌｅ ｒｕｓｓｅｔ ｒｉｎｇ）、リンゴ葉柄痕（ａｐｐｌｅ ｓｃａｒ ｓｋｉｎ）、洋ナシ岩状穴（ｐｅａｒ ｓｔｏｎｙ ｐｉｔ）、黄化壊疽（ｓｐｏｔｔｅｄ ｗｉｌｔ）が含まれるが、これらに限定されない。ウイルスはまた、光合成の減少、葉あたりの葉緑素の減少、光合成の減少、葉あたりの葉緑素の減少、葉緑素効率の減少、植物ホルモン生成の減少、成長速度の減少、可溶性窒素の減少、炭水化物レベルの減少、呼吸の増加または減少、異常な植物代謝、水の転流の減少、栄養素保持時間の減少、蒸散量の増加、収率の減少、植物転写の調整、植物翻訳の調整および異常な細胞代謝を誘導し得る。ウイルス感染によって引き起こされるさらなる症状は、当該技術分野で既知である（例えば、上述のＧ． Ｎ． Ａｇｒｉｏｓ；Ｊｏｎｅｓ， Ｔ． Ｃ．、「Ｖｅｔｅｒｉｎａｒｙ Ｐａｔｈｏｌｏｇｙ」、第４版、Ｌｅａ ａｎｄ Ｆｅｂｉｇｅｒ， Ｐｈｉｌａｄｅｌｐｈｉａ （１９７２）；および「Ｖｉｒａｌ ａｎｄ Ｒｉｃｋｅｔｔｓｉａｌ Ｉｎｆｅｃｔｉｏｎｓ ｏｆ Ａｎｉｍａｌｓ」、Ｂｅｔｔｓ， Ａ． Ｏ． ａｎｄ Ｙｏｒｋ， Ｃ． Ｊ．編、Ａｃａｄｅｍｉｃ Ｐｒｅｓｓ， ＮＹ （１９６７）を参照）。本発明のポリヌクレオチドまたはポリペプチド、もしくはアゴニストもしくはアンタゴニストを直接または間接的に使用して、これらの任意の特性または疾患を検出し、予防し、かつ／または耐性を付与することができる。例えば、本発明のポリヌクレオチドまたはポリペプチドは、植物中でトランスジェニックに過剰発現する場合に障害または感染を直接阻害することができる。あるいは、例えば、本発明のポリヌクレオチドまたはポリペプチドは、ウイルスのある植物から別の植物への感染を伝播する能力を阻害することによって障害または感染を間接的に阻害することができる。
【０３４８】
上記で推測するように、植物ウイルス感染は、多数の機構（栄養繁殖を介した伝染、樹液を介した機械的伝播、種子による伝播、花粉による伝播、昆虫による伝播、ダニによる伝播、線虫による伝播、真菌による伝播、およびネナシカズラによる伝播が含まれるが、これらに限定されない）を介して伝播し得る。本発明のポリヌクレオチドまたはポリペプチド、もしくはアゴニストもしくはアンタゴニストを直接または間接的に使用して、任意のこれらのウイルス伝播機構を検出し、予防し、かつ／または耐性を付与することができる。
【０３４９】
同様に、植物または動物に疾患または症状を引き起こすことができる細菌作用物質を、本発明のポリヌクレオチドもしくはポリペプチドおよび／またはアゴニストもしくはアンタゴニストによって検出し、予防し、かつ／または植物に耐性を付与することができる。このような細菌作用物質の例には、以下が含まれるが、これらに限定されない：グラム陰性およびグラム陽性細菌ならびに細菌科および真菌：バチルス科（Ｂａｃｈｉｌｌａｃｅａｅ）（例えば、炭疽菌（Ａｎｔｈｒａｘ）、クロストリジウム（Ｃｌｏｓｔｒｉｄｉｕｍ））、バクテロイデス科（Ｂａｃｔｅｒｉｏｉｄａｃｅａｅ）、ブラストミセス症（Ｂｌａｓｔｏｍｙｃｏｓｉｓ）、ボルデテラ属（Ｂｏｒｄｅｔｅｌｌａ）、ボレリア属（Ｂｏｒｒｅｌｉａ）（例えば、Ｂｏｒｒｅｌｉａ  ｂｕｒｇｄｏｒｆｅｒｉ）、ブルセラ症（Ｂｒｕｃｅｌｌｏｓｉｓ）、カンジダ症（Ｃａｎｄｉｄｉａｓｉｓ）、カンピロバクター属（Ｃａｍｐｙｌｏｂａｃｔｅｒ）、コクシジオイデス症（Ｃｏｃｃｉｄｉｏｉｄｉｏｍｙｃｏｓｉｓ）、クリプトコックス症（Ｃｒｙｐｔｏｃｏｃｃｏｓｉｓ）、デルマトシコセス（Ｄｅｒｍａｔｏｃｙｃｏｓｅｓ）、大腸菌（例えば、毒素原性大腸菌（Ｅｎｔｅｒｏｔｏｘｉｇｅｎｉｃ Ｅ． ｃｏｌｉ）および腸管出血性大腸菌（Ｅｎｔｅｒｏｈｅｍｏｒｒｈａｇｉｃ Ｅ． ｃｏｌｉ））、腸内細菌科（Ｅｎｔｅｒｏｂａｃｔｅｒｉａｃｅａｅ）（クレブシエラ属（Ｋｌｅｂｉｓｉｅｌｌａ）、サルモネラ属（Ｓａｌｍｏｎｅｌｌａ）（例えば、サルモネラ・チフィ（Ｓａｌｍｏｎｅｌｌａ ｔｙｐｈｉ）およびサルモネラ・パラチフィ（Ｓａｌｍｏｎｅｌｌａ ｐａｒａｔｙｐｈｉ））、セラチア属（Ｓｅｒｒａｔｉａ）、エルシニア属（Ｙｅｒｓｉｎｉａ））、エリジペロスリックス属（Ｅｒｙｓｉｐｅｌｏｔｈｒｉｘ）、ヘリコバクター属（Ｈｅｌｉｃｏｂａｃｔｅｒ）、レジオネラ症（Ｌｅｇｉｏｎｅｌｌｏｓｉｓ）、レプトスピラ症（Ｌｅｐｔｏｓｐｉｒｏｓｉｓ）、リステリア属（Ｌｉｓｔｅｒｉａ）、マイコプラズマ目（Ｍｙｃｏｐｌａｓｍａｔａｌｅｓ）、マイコバクテリウム・レプラ（Ｍｙｃｏｂａｃｔｅｒｉｕｍ ｌｅｐｒａｅ）、ビブリオ・コレラ（Ｖｉｂｒｉｏ ｃｈｏｌｅｒａｅ）、ナイセリア科（Ｎｅｉｓｓｅｒｉａｃｅａｅ）（例えば、アシネトバクター属（Ａｃｉｎｅｔｏｂａｃｔｅｒ）、淋病（Ｇｏｎｏｒｒｈｅａ）、髄膜炎菌（Ｍｅｎｉｇｏｃｏｃｃａｌ））、メイセリア・メニンギチジス（Ｍｅｉｓｓｅｒｉａ ｍｅｎｉｎｇｉｔｉｄｉｓ）、パスツレラ科感染（Ｐａｓｔｅｒｕｒｅｌｌａｃｅａ Ｉｎｆｅｃｔｉｏｎｓ）（例えば、アクチノバチルス属（Ａｃｔｉｎｏｂａｃｉｌｌｕｓ）、ヘモフィルス属（Ｈｅａｍｏｐｈｉｌｕｓ）（例えば、ヘモフィラス・インフルエンザ  Ｂ型（Ｈｅａｍｏｐｈｉｌｕｓ ｉｎｆｌｕｅｎｚａ ｔｙｐｅＢ）  ）、パスツレラ属（Ｐａｓｔｅｕｒｅｌｌａ））、シュードモナス属（Ｐｓｅｕｄｏｍｏｎａｓ）、リケッチア科（Ｒｉｃｈｅｔｔｓｉａｃｅａｅ）、クラミジア科（Ｃｈｌａｍｙｄｉａｃｅａｅ）、梅毒菌（Ｓｙｐｈｉｌｉｓ）、赤痢菌（Ｓｈｉｇｅｌｌａ ｓｐｐ．）、ブドウ球菌（Ｓｔａｐｈｙｌｏｃｏｃｃａｌ）、髄膜炎菌（Ｍｅｎｉｎｇｉｏｃｏｃｃａ��）、肺炎球菌（Ｐｎｅｕｍｏｃｏｃｃａｌ）、および連鎖球菌（Ｓｔｒｅｐｔｏｃｏｃｃａｌ）（例えば、ストレプトコッカス・ニュウモニア（Ｓｔｒｅｐｔｏｃｏｃｃｕｓ ｐｎｅｕｍｏｎｉａｅ）およびＢ群連鎖球菌（Ｓｔｒｅｐｔｏｃｏｃｃｕｓ））。さらなる細菌作用物質の例には、例えば、アグロバクテリウム属（Ａｇｒｏｂａｃｔｅｒｉｕｍ）、クラビバクター属（Ｃｌａｖｉｂａｃｔｅｒ）、エルウィニア（Ｅｒｗｉｎｉａ）、シュードモナス属（Ｐｓｅｏｄｏｍｏｎａｓ）、キサントモナス属（Ｘａｎｔｈｏｍｏｎａｓ）、ストレプトミセス属（Ｓｔｒｅｐｔｏｍｙｃｅｓ）、キシレラ属（Ｘｙｌｅｌｌａ）、マイコプラズマ属（Ｍｙｃｏｐｌａｓｍ）、アコレプラズマ属（Ａｃｈｏｌｅｐｌａｓｍａ）、およびスピロプラズマ属（Ｓｐｉｒｏｐｌａｓｍａｓ）が含まれる。植物または動物に感染することができるさらなる細菌作用物質は、当該技術分野で既知である（例えば、上述のＧ． Ｎ．， Ａｇｒｉｏｓ、およびＪｏｎｅｓ， Ｔ． Ｃ．「Ｖｅｔｅｒｉｎａｒｙ Ｐａｔｈｏｌｏｇｙ」、第４版、Ｌｅａ ａｎｄ Ｆｅｂｉｇｅｒ， Ｐｈｉｌａｄｅｌｐｈｉａ （１９７２）を参照）。
【０３５０】
上記の科のいずれかに含まれる細菌作用物質は、一般に、以下に含まれるが、これらに限定されない種々の疾患または症状を起こし得る：葉の斑点（ｌｅａｆ ｓｐｏｔｓ）、葉枯れ病（ｌｅａｆ ｂｌｉｇｈｔｓ）、軟腐病（ｓｏｆｔ ｒｏｔｓ）（例えば、果実、根、および貯蔵器官など）、萎縮（ｗｉｌｔｓ）、肥大（ｏｖｅｒｇｒｏｗｔｈｓ）、瘡痂病（ｓｃａｂｓ）、根瘤病（ｃａｎｋｅｒｓ）、根粒（ｎｏｄｕｌｅｓ）、菌こぶ（ｇａｌｌｓ）、黄斑（ｙｅｌｌｏｗｉｎｇ）、篩部壊死（ｐｈｌｏｅｍ ｎｅｃｒｏｓｉｓ）、Ｘ病（Ｘ−ｄｉｓｅａｓｅ）、帯化（ｆａｓｃｉａｔｉｏｎ）、および毛状根（ｈａｉｒｙ ｒｏｏｔ）；特に、例えば、根頭癌腫病（ｃｒｏｗｎ ｇａｌｌ）、小枝擦傷（ｔｗｉｇ ｇａｌｌ）、茎擦傷（ｃａｎｅ ｇａｌｌ）、ジャガイモ輪腐病（ｐｏｔａｔｏ ｒｉｎｇ ｒｏｔ）、トマト根瘤病および萎縮（ｔｏｍａｔｏ ｃａｎｋｅｒ ａｎｄ ｗｉｌｔ）、バナナ萎縮芽枯れ病（ｂａｎａｎａ ｗｉｌｔ ｂｕｄ ｂｌａｓｔ）、挿し木腐敗（ｃｕｔｔｉｎｇ ｒｏｔ）、葉脈の黒化（ｂｌａｃｋ ｖｅｎａｔｉｏｎ）、球根の腐敗（ｂｕｌｂ ｒｏｔ）、柑橘類の根瘤病（ｃｉｔｒｕｓ ｃａｎｋｅｒ）、ウォールナッツ葉枯れ病（ｗａｌｎｕｔ ｂｌｉｇｈｔ）、ジャガイモ瘡痂病（ｐｏｔａｔｏ ｓｃａｂ）、サツマイモ土壌腐敗（ｓｗｅｅｔ ｐｏｔａｔｏ ｓｏｉｌ ｒｏｔ）、タバコ野火病（ｔｏｂａｃｃｏ ｗｉｌｄｆｉｒｅ）、インゲン葉焼病（ｂｅａｎ ｂｌｉｇｈｔ）、キュウリ角斑落葉病（ｃｕｃｕｍｂｅｒ ａｎｇｕｌａｒ ｌｅａｆ ｓｐｏｔ）、ワタ角斑落葉病（ｃｏｔｔｏｎ ａｎｇｕｌａｒ ｌｅａｆ ｓｐｏｔ）、穀物枯れ病（ｃｅｒｅａｌ ｂｌｉｇｈｔ）、芝草葉枯れ病（ｇｒａｓｓ ｂｌｉｇｈｔ）、トマト斑点細菌病（ｔｏｍａｔｏ ｂａｃｔｅｒｉａｌ ｓｐｏｔ）、トウガラシ斑点細菌病（ｐｅｐｐｅｒ ｂａｃｔｅｒｉａｌ ｓｐｏｔ）、石果斑点細菌病（ｓｔｏｎｅ ｆｒｕｉｔ ｂａｃｔｅｒｉａｌ ｓｐｏｔ）、細菌青枯れ病（ｂａｃｔｅｒｉａｌ ｖａｓｃｕｌａｒ ｗｉｌｔｓ）、ウリ青枯れ病（ｃｕｃｕｒｂｉｔ ｂａｃｔｅｒｉａｌ ｗｉｌｔ）、洋ナシ火傷病（ｐｅａｒ ｆｉｒｅ ｂｌｉｇｈｔ）、リンゴ火傷病（ａｐｐｌｅ ｆｉｒｅ ｂｌｉｇｈｔ）、ジャガイモ輪腐病（ｐｏｔａｔｏ ｒｉｎｇ ｒｏｔ）、ナス科植物のサザン青枯れ病（ｓｏｕｔｈｅｒｎ ｂａｃｔｅｒｉａｌ ｗｉｌｔ ｏｆ ｓｏｌａｎａｃｅｏｕｓ ｐｌａｎｔｓ）、バナナのモコ病（Ｍｏｋｏ ｄｉｓｅａｓｅ ｏｆ ｂａｎａｎａ）、石果樹脂病（ｇｕｍｍｏｓｉｓ ｏｆ ｓｔｏｎｅ ｆｒｕｉｔ ｔｒｅｅｓ）、ブドウのピアス病（Ｐｉｅｒｃｅ’ｓ Ｄｉｓｅａｓｅ ｏｆ ｇｒａｐｅ）、アーモンド葉焼け症（ａｌｍｏｎｄ ｌｅａｆ ｓｃｏｒｃｈ）、アルファルファ萎縮病（ａｌｆａｌｆａ ｄｗａｒｆ）、フォニー  ピーチ（ｐｈｏｎｙ ｐｅａｃｈ）、プラム黄条病（ｐｌｕｍ ｌｅａｆ ｓｃａｌｄ）、わい化病（ｒａｔｏｏｎ ｓｔｕｎｔｉｎｇ）、クローバークラブリーフ（ｃｌｏｖｅｒ ｃｌｕｂ ｌｅａｆ）、アスター萎黄病（ａｓｔｅｒ ｙｅｌｌｏｗｓ）、芽肥大症（ｂｉｇ ｂｕｄ）、リンゴ無性芽繁殖（ａｐｐｌｅ ｐｒｏｌｉｌｆｅｒａｔｉｏｎ）、モモ黄変（ｐｅａｃｈ ｙｅｌｌｏｗｓ）、リンゴ��ゴム状樹木（ａｐｐｌｅ ｒｕｂｂｅｒｙ ｗｏｏｄ）、洋ナシの減退、ニレ篩部壊死（ｅｌｍ ｐｈｌｏｅｍ ｎｅｃｒｏｓｉｓ）、ココナッツの致死的黄変（ｃｏｃｏｎｕｔ ｌｅｔｈａｌ ｙｅｌｌｏｗｉｎｇ）、カンキツ  タボーン（ｃｉｔｒｕｓ ｔｕｂｂｏｒｎ）、光合成の減少、葉あたりの葉緑素の減少、葉緑素効率の減少、植物ホルモン生成の減少、成長速度の減少、可溶性窒素の減少、炭水化物レベルの減少、呼吸の増加または減少、異常な植物代謝、水の転流の減少、栄養素保持時間の減少、蒸散量の増加、収率の減少、植物転写の調整、植物翻訳の調整および異常な細胞代謝、およびトウモロコシ矮化病（ｃｏｒｎ ｓｔｕｎｔ）。細菌によって引き起こされるさらなる症状および疾患は当該技術分野で既知である。（例えば、上述のＧ． Ｎ． Ａｇｒｉｏｓ、およびＪｏｎｅｓ， Ｔ． Ｃ．、「Ｖｅｔｅｒｉｎａｒｙ Ｐａｔｈｏｌｏｇｙ」、第４版、Ｌｅａ ａｎｄ Ｆｅｂｉｇｅｒ， Ｐｈｉｌａｄｅｌｐｈｉａ （１９７２）を参照）。本発明のポリヌクレオチドもまたはポリペプチド、もしくはアゴニストもしくはアンタゴニストを直接または間接的に使用して、これらの任意の性質または疾患を検出し、予防し、かつ／または耐性を付与することができる。
【０３５１】
同様に、植物または動物において疾患または症状を発症することができる真菌を、本発明のポリヌクレオチドもしくはポリペプチドおよび／またはアゴニストもしくはアンタゴニストによって検出し、予防し、そして／または植物に耐性を付与することができる。このような真菌の例には、以下が含まれるが、これらに限定されない：放線菌目（Ａｃｔｉｎｏｍｙｃｅｔａｌｅｓ）（例えば、コリネバクテリウム（Ｃｏｒｙｎｅｂａｃｔｅｒｉｕｍ）、マイコバクテリウム（Ｍｙｃｏｂａｃｔｅｒｉｕｍ）、ノカルジア（Ｎｏｒｃａｒｄｉａ））、クリプトコッカス・ネオフォルムス（Ｃｒｙｐｔｏｃｏｃｃｕｓ ｎｅｏｆｏｒｍａｎｓ）、アスペルギルス症（Ａｓｐｅｒｇｉｌｌｏｓｉｓ）、粘菌門（Ｍｙｘｏｍｙｃｏｔａ）（例えば、粘菌綱（Ｍｙｘｏｍｙｃｅｔｅｓ）（ススホコリ属（Ｆｕｌｉｇｏ）、Ｍｕｃｉｌｉａｇｏ、モジホコリ属（Ｐｈｙｓａｒｕｍ）、モジホコリ目（Ｐｈｙｓａｒａｌｅｓ）など）、およびネコブカビ綱（Ｐｌａｓｍｏｄｉｏｐｈｏｒｏｍｙｃｅｔｅｓ）（ネコブカビ属（Ｐｌａｓｍｏｄｉｏｐｈｏｒａ）（例えば、ピー・ブラシカ（Ｐ． ｂｒａｓｉｃａｅ））、ポリミキサ菌（Ｐｏｌｙｍｙｘａ）（例えば、ピー・グラミニス（Ｐ． ｇｒａｍｍｉｎｉｓ）など）、スポンゴスポラ（Ｓｐｏｎｇｏｓｐｏｒａ）（例えば、エス・スブテラネア（Ｓ． ｓｕｂｔｅｒａｎｅａ）など）））、真菌門（Ｅｕｍｙｃｏｔａ）（例えば、鞭毛菌類（Ｍａｓｔｉｇｏｍｙｃｏｔｉｎａ）、ツボカビ綱（Ｃｈｒｙｔｒｉｄｉｏｍｙｃｅｔｅｓ）（例えば、オルピヂウム・ブラシカ（Ｏｌｐｉｓｉｕｍ ｂｒａｓｓｉｃａｅ）、フィソデルマ・メイデア（Ｐｈｙｓｏｄｅｒｍａ ｍａｙｄｉａ）、シンチジウム・エンドビオチクム（Ｓｙｎｃｈｙｔｒｉｕｍ ｅｎｄｏｂｉｏｔｉｃｕｍ）、ウロフィリクティス・アルファルファ（Ｕｒｏｐｈｙｌｙｃｔｉｓ ａｌｆａｌｆａｅ）など）、卵菌綱（Ｏｏｍｙｃｅｔｅｓ）、ミズカビ目（Ｓａｐｒｏｌｅｇｎｉａｌｅｓ）（例えば、根腐病菌（Ａｐｈａｎｏｍｙｃｅｓ）など）、ツユカビ目（Ｐｅｒｏｎｏｓｐｏｒａｌｅｓ）、フハイカビ科（Ｐｙｔｈｉａｃｅｓｅ）、フハイカビ属（Ｐｙｔｈｉｕｍ）（例えば、フィトフトラ・インフェスタンス（Ｐｈｙｔｏｐｈｔｈｏｒａ ｉｎｆｅｓｔａｎｓ）など）、シロサビキン科（Ａｌｂｕｇｉｎａｃｅａｅ）（例えば、アルブゴ・カンジダ（Ａｌｂｕｇｏ ｃａｎｄｉｄａ）など）、ツユカビ科（Ｐｅｒｏｎｏｓｐｏｒａｃｅａｅ）（例えば、プラズモパラ・ウィティコラ（Ｐｌａｓｍｏｐａｒａ ｖｉｔｉｃｏｌａ）、ペロノスポラ・ニコチアナ（Ｐｅｒｏｎｏｓｐｏｒａ ｎｉｃｏｔｉａｎａｅ）、ブレミア・ラクトゥア（Ｂｒｅｍｉａ  ｌａｃｔｕｃａｅ）、スクレロスポラ・グラミニコラ（Ｓｃｌｅｒｏｓｐｏｒａ  ｇｒａｍｉｎｉｃｏｌａ）、およびシュードペロノスポラ・クベンシス（Ｐｓｅｕｄｏｐｅｒｏｎｏｓｐｏｒａ  ｃｕｂｅｎｓｉｓ）他）、接合菌類（Ｚｙｇｏｍｙｃｏｔｉｎａ）、接合菌綱（Ｚｙｇｏｍｙｃｅｔｅｓ）、ケカビ目（Ｍｕｃｏｒａｌｅｓ）、クモソスカビ属（Ｐｈｉｚｏｐｕｓ）（例えば、コアネフォラ・ククルビタルム（Ｃｈｏａｎｅｐｈｏｒａ  ｃｕｃｕｒｂｉｔａｒｕｍ）など）、アツ���ケカビ目（Ｅｎｄｏｇｏｎａｌｅｓ）、エンドゴーン（Ｅｎｄｏｇｏｎｅ）、子嚢菌類（Ａｓｃｏｍｙｃｏｔｉｎａ）、半子嚢菌綱（Ｈｅｍｉａｓｃｏｍｙｓｅｔｅｓ）、エンドミケス目（Ｅｎｄｏｍｙｃｅｔａｌｅｓ）（例えば、サッカロミセス・セレビシア（Ｓａｃｃｈａｒｏｍｙｃｅｓ  ｃｅｒｅｖｉｓｉａｅ）など）、タフリナ（Ｔａｐｈｒｉｎａ）、ピテノミセテス（Ｐｙｔｅｎｏｍｙｃｅｔｅｓ）、ウドンコカビ目（Ｅｒｙｓｉｐｈａｌｅｓ）（例えば、エリシフェ（Ｅｒｙｓｉｐｈｅ）、ミクロスファエラ（Ｍｙｃｒｏｓｐｈａｅｒａ）、ポドスファエラ・ロイコトリカ（Ｐｏｄｏｓｐｈａｅｒａ  ｌｅｕｃｏｔｒｉｃｈａ）、スパエロテカ・パンノーサ（Ｓｐａｅｒｏｔｈｅｃａ  ｐａｎｎｏｓａ）、ウキヌラ・ネカトル（Ｕｎｃｉｎｕｌａ  ｎｅｃａｔｏｒ）など）、タマカビ目（Ｓｐｈａｅｒｉａｌｅｓ）（例えば、ボツリオスファエリア・オブトゥサ（Ｂｏｔｒｙｏｓｐｈａｅｒｉａ  ｏｂｔｕｓａ）、セラトシスティス（Ｃｅｒａｔｏｃｙｓｔｉｓ）、ディアポルテ（Ｄｉａｐｏｒｔｈｅ）、エンドティア・パラシティカ（Ｅｎｄｏｔｈｉａ  ｐａｒａｓｉｔｉｃａ）、エウティパ・アルメニアカ（Ｅｕｔｙｐａ  ａｒｍｅｎｉａｃａｅ）、グロメレラ・シングラタ（Ｇｌｏｍｅｒｅｌｌａ  ｃｉｎｇｕｌａｔａ）、グノモニア（Ｇｎｏｍｏｎｉａ）、ヒポキシロン・ママタム（Ｈｙｐｏｘｙｌｏｎ  ｍａｍｍａｔｕｍ）、ロセリニア（Ｒｏｓｅｌｌｉｎｉａ）、バルサ（Ｖａｌｓａ）、クシラリア（Ｘｙｌａｒｉａ）など）、ニクザキン目（Ｈｙｐｏｃｒｅａｌｅｓ）（例えば、クラビセプス・プルプレア（Ｃｌａｖｉｃｅｐｓ  ｐｕｒｐｕｒｅａ）、ギベレラ（Ｇｉｂｂｅｒｅｌｌａ）、ネクトリア（Ｎｅｃｔｒｉａ）など）、小房子子嚢菌綱（Ｌｏｃｕｌｏａｓｃｏｍｙｃｅｔｅｓ）、ミリアンギウム目（Ｍｙｒｉａｎｇｉａｌｅｓ）（例えば、エルシノエ（Ｅｌｓｉｎｏｅ）など）、クロイボタケ目（Ｄｏｔｈｉｄｅａｌｅｓ）（例えば、カルノディウム（Ｃａｐｎｏｄｉｕｍ）、ディディメラ（Ｄｉｄｙｍｅｌｌａ）、グイグナルディア・ビドウエリ（Ｇｕｉｇｎａｒｄｉａ  ｂｉｄｗｅｌｌｉｉ）、ミクロシクルス・エレイ（Ｍｉｃｒｏｃｙｃｌｕｓ  ｅｌｅｉ）、プロウリグティア・モルモスム（Ｐｌｏｗｒｉｇｈｔｉａ  ｍｏｒｂｏｓｕｍ）など）、プレオスポラ（Ｐｌｅｏｓｐｏｒａｌｅｓ）（例えば、コクリオボルス・サティブス（Ｃｏｃｈｌｉｏｂｏｌｕｓ  ｓａｔｉｖｕｓ）、ガエウマノミセス・グラミニス（Ｇａｅｕｍａｎｎｏｍｙｃｅｓ  ｇｒａｍｉｎｉｓ）、ピレノフォラ（Ｐｙｒｅｎｏｐｈｏｒａ）、ベントゥリア・インアエクアリス（Ｖｅｎｔｕｒｉａ  ｉｎａｅｑｕａｌｉｓ）など）、盤菌綱（Ｄｉｓｃｏｍｙｃｅｔｅｓ）、パキジウム（Ｐｈａｃｉｄｉａｌｅｓ）（例えば、リティスマ・アセリウム（Ｒｈｙｔｉｓｍａ  ａｃｅｒｉｕｍ））、ビョウタケ目（Ｈｅｌｏｔｉａｌｅｓ）（例えば、ディプロカルポス・ロザ（Ｄｉｐｌｏｃａｒｐｏｓ  ｒｏｓａｅ）、ヒギンシア・ヒエマリス（Ｈｉｇｇｉｎｓｉａ  ｈｉｅｍａｌｉｓ）、ロフォデルミウム（Ｌｏｐｈｏｄｅｒｍｉｕｍ）、モニリニア・フルクティコラ（Ｍｏｎｉｌｉｎｉａ  ｆｒｕｃｔｉｃｏｌａ）、プセウドペジザ・トゥリフォリ（Ｐｓｅｕｄｏｐｅｚｉｚａ  ｔｒｉｆｏｌｉｉ）、スクレロティニア・スクレロティオルム（Ｓｃｌｅｒｏｔｉｎｉａ  ｓｃｌｅｒｏｔｉｏｒｕｍ）など）、不完全菌類（Ｄｅｕｔｅｒｏｍｔｃｏｔｉｎａ）、分生子果不完全菌（Ｃｏｅｌｏｍｙｃｅｔｅｓ）、スパエロプシス（Ｓｐｈａｅｒｏｐｓｉｄａｌｅｓ）（例えば、アスコチタ・ピシ（Ａｓｃｏｃｈｙｔａ  ｐｉｓｉ）、コニオティリウム（Ｃｏｎｉｏｔｈｙｒｉｕｍ）、シトスポラ（Ｃｙｔｏｓｐｏｒａ）、ディプロディア・マイディス（Ｄｉｐｌｏｄｉａ  ｍａｙｄｉｓ）、ポーマ・リンガム（Ｐｈｏｍａ  ｌｉｎｇａｍ）、ポーマプシス（Ｐｈｏｍｏｐｓｉｓ）、ピロスティカ（Ｐｙｌｌｏｓｔｉｃｔａ）、セプトリア・アッピ（Ｓｅｐｔｏｒｉａ  ａｐｉｉ）など）、メラノコニアレス（Ｍｅｌａｎｃｏｎｉａｌｅｓ）（例えば、セレトトゥリクム（Ｃｅｌｌｅｔｏｔｒｉｃｈｕｍ）、コリネイウム・ベイジェリンキ（Ｃｏｒｙｎｅｉｕｍ  ｂｅｉｊｅｒｉｎｃｋｉ）、シリンドロスポリウム（Ｃｙｌｉｎｄｒｏｓｐｏｒｉｕｍ）、グロエオスポリウム（Ｇｌｏｅｏｓｐｏｒｉｕｍ）、マルソニナ（Ｍａｒｓｓｏｎｉｎａ）、メランコニウム・フリゲヌム（Ｍｅｌａｎｃｏｎｉｕｍ  ｆｕｌｉｇｅｎｕｍ）、スファケロマＳｐｈａｃｅｌｏｍａなど）、糸状不完全菌綱（Ｈｙｐｈｏｍｙｃｅｔｅｓ）、ヒファレス（Ｈｙｐｈａｌｅｓ）（例えば、アルテルナリア（Ａｌｔｅｒｎａｒｉａ）、アスペリギルス（Ａｓｐｅｒｉｇｉｌｌｕｓ）、ビポラリス（Ｂｉｐｏｌａｒｉｓ）、ドレスクスレラ（ｄｒｅｓｃｈｓｌｅｒｅａ）、エクセロフィルム（Ｅｘｃｅｒｏｐｈｉｌｕｍ）、ボツリティス・キネレア（Ｂｏｔｒｙｔｉｓ  ｃｉｎｅｒｅａ）、ケルコスポラ（Ｃｅｒｃｏｓｐｏｒａ）、フルビア・フルバ（Ｆｕｌｖｉａ  ｆｕｌｖａ）、フサリウム（Ｆｕｓａｒｉｕｍ）、ゲオトリクム・カンジダム（Ｇｅｏｔｒｉｃｈｕｍ  ｃａｎｄｉｄｕｍ）、グラフィウム・ウルミ（Ｇｒａｐｈｉｕｍ  ｕｌｍｉ）、ペニキウム（Ｐｅｎｉｃｉｕｕｍ）、フィマトトリケム・オムニボルム（Ｐｈｙｍａｔｏｔｒｉｃｈｕｍ  ｏｍｎｉｖｏｒｕｍ）、フィリクラリア（Ｐｙｒｉｃｕｌａｒｉａ）、スピロカエア（Ｓｐｉｌｏｃａｅａ）、テイラビオプシス・バシコラ（Ｔｈｅｉｌａｖｉｏｐｓｉｓ  ｂａｓｉｃｏｌａ）、トゥリコデルマ（Ｔｒｉｃｈｏｄｅｒｍａ）、ベルティキルム（Ｖｅｒｔｉｃｉｌｌｕｍ）など）、アゴノミセテス（Ａｇｏｎｏｍｙｃｅｔｅｓ）、無胞子不完全菌目（Ａｇｏｎｏｍｙｃｅｔａｌｅｓ）（例えば、リゾトニア（Ｒｈｉｚｏｃｔｏｎｉａ）、スクレロティウム（Ｓｃｌｅｒｏｔｉｕｍ）など）、バシドミコティナ（Ｂａｓｉｄｏｍｙｃｏｔｉｎａ）、ヘミバシディオミケテス（Ｈｅｍｉｂａｓｉｄｉｏｍｙｃｅｔｅｓ）、クロボキン目（Ｕｓｔｉｌａｇｉｎａｌｅｓ）（例えば、スファケルテカ（Ｓｐｈａｃｅｌｔｈｅｃａ）、ティレティア（Ｔｉｌｌｅｔｉａ）、ウロキスティス・ケプラ（Ｕｒｏｃｙｓｔｉｓ  ｃｅｐｕｌａｅ）、ウスティロゴ（Ｕｓｔｉｌａｇｏ）など）、ウレディナレス（Ｕｒｅｄｉｎａｌｅｓ）（例えば、クロナルティウム（Ｃｒｏｎａｒｔｉｕｍ）、ギムノスポランギウム・ユニペリ−ビルギニアナ（Ｇｙｍｎｏｓｐｏｒａｎｇｉｕｍ  ｊｕｎｉｐｅｒｉ−ｖｉｒｇｉｎｉａｎａｅ）、メランプソラ・リニ（Ｍｅｌａｍｐｓｏｒａ  ｌｉｎｉ）、フラグミディウム（Ｐｈｒａｇｍｉｄｉｕｍ）、プキニア（Ｐｕｃｃｉｎｉａ）、ウロミケス・アペンディクラトゥス（Ｕｒｏｍｙｃｅｓ  ａｐｐｅｎｄｉｃｕｌａｔｕｓ）など）、帽菌綱（Ｈｙｍｅｎｏｍｙｃｅｔｅｓ）、モチビョウキン目（Ｅｘｏｂａｓｉｄｉａｌｅｓ）（例えば、エクセノバシディウム（Ｅｘｏｂａｓｉｄｉｕｍ）など）、アフィロコラレス（Ａｐｈｙｌｌｏｃｈｏｒａｌｅｓ）（例えば、アエサリア（Ａｅｔｈａｌｉａ）、コルティキウム（Ｃｏｒｔｉｃｉｕｍ）、ヘテロバシドゥム（Ｈｅｔｅｒｏｂａｓｉｄｕｍ）、レンジテス（Ｌｅｎｚｉｔｅｓ）、ペニオフォラ（Ｐｅｎｉｏｐｈｏｒａ）、ポリポルス（Ｐｏｌｙｐｏｒｕｓ）、ポリア（Ｐｏｒｉａ）、スキゾフィルム（Ｓｃｈｉｚｏｐｈｙｌｌｕｍ）、ステレウム（Ｓｔｅｒｅｕｍ）など）、トゥラスネラ（Ｔｕｌａｓｎｅｌｌａｌｅｓ）（例えば、タナテフォルス（Ｔｈａｎａｔｅｐｈｏｒｕｓ）、ティフラ（Ｔｙｐｈｕｌａ）など）、ハラタケ目（Ａｇａｒｉｃａｌｅｓ）（例えば、アルミラリア・メレア（Ａｒｍｉｌｌａｒｉａ  ｍｅｌｌｅａ）、マラスムウス（Ｍａｒａｓｍｉｕｓ）、フォリオタ（Ｐｈｏｌｉｏｔａ）、プレウロトゥス（Ｐｌｅｕｒｏｔｕｓ）など）、特に、子嚢菌門（Ａｓｃｏｍｙｃｏｔａ）、担子菌門（Ｂａｓｉｄｉｏｍｙｃｏｔａ）、接合菌門（Ｚｙｇｏｍｙｃｏｔａ）、卵菌門（Ｏｏｍｙｃｏｔａ）、ネコブカビ門（Ｐｌａｓｍｏｄｉｏｐｈｏｒｏｍｙｃｏｔａ）、プッキニア・レコンディタ（Ｐｕｃｃｉｎｉａ  ｒｅｃｏｎｄｉｔａ）、リゾ・プスキネンシス（Ｒｈｉｚｏ  ｐｕｓｃｈｉｎｅｎｓｉｓ）、プラスモ・パラビティコラ（Ｐｌａｓｍｏ  ｐａｒａｖｉｔｉｃｏｌａ）、プラスモディフォラ・ブラシカ（Ｐｌａｓｍｏｄｉｏｐｈｏｒａ  ｂｒａｓｓｉｃａｅ）、エルウィニア・アミロボラ（Ｅｒｗｉｎｉａ  ａｍｙｌｏｖｏｒａ）、エルシノエ・ファウケティ（Ｅｌｓｉｎｏｅ  ｆａｗｃｅｔｔｉｉ）、パエオスファエリア・ノドルム（Ｐｈａｅｏｓｐｈａｅｒｉａ  ｎｏｄｏｒｕｍ）、ミコスファエレラ・アラキディス（Ｍｙｃｏｓｐｈａｅｒｅｌｌａ  ａｒａｃｈｉｄｉｓ）、ミコスファエレラ・ベルケレイ（Ｍｙｃｏｓｐｈａｅｒｅｌｌａ  ｂｅｒｋｅｌｅｙｉ）、ミコスファエレラ・フィジエンシス（Ｍｙｃｏｓｐｈａｅｒｅｌｌａ  ｆｉｊｉｅｎｓｉｓ）、ミコスファエレラ・グラミニコラ（Ｍｙｃｏｓｐｈａｅｒｅｌｌａ  ｇｒａｍｉｎｉｃｏｌａ）、ピレノフォラ・テレス（Ｐｙｒｅｎｏｐｈｏｒａ  ｔｅｒｅｓ）、ピイレモフォラ・トゥティキ−レペンティス（Ｐｙｒｅｍｏｐｈｏｒａ  ｔｒｉｔｉｃｉ−ｒｅｐｅｎｔｉｓ）、ベントゥリア・カルポフィラ（Ｖｅｎｔｕｒｉａ  ｃａｒｐｏｐｈｉｌａ）、アルテルナリア・ブラッシカ（Ａｌｔｅｒｎａｒｉａ  ｂｒａｓｓｉｃａｅ）、アルテルナリア・キクチアナ（Ａｌｔｅｒｎａｒｉａ  ｋｉｋｕｃｈｉａｎａ）、アレルナリア・マリ（Ａｌｅｒｎａｒｉａ  ｍａｌｉ）、アルテルナリア・ソラニ（Ａｌｔｅｒｎａｒｉａ  ｓｏｌａｎｉ）、ケロコスポラ・ベティコラ（Ｃｅｒｃｏｓｐｏｒａ  ｂｅｔｉｃ��ｌａ）、クラドスポリウム・ククメリヌム（Ｃｌａｄｏｓｐｏｒｉｕｍ  ｃｕｃｕｍｅｒｉｎｕｍ）、セプトリア・リコペルシキ（Ｓｅｐｔｏｒｉａ  ｌｙｃｏｐｅｒｓｉｃｉ）、ブルマリア・グラミニス（Ｂｌｕｍａｒｉａ  ｇｒａｍｉｎｉｓ）、エリシフェ・キコラケアルム（Ｅｒｙｓｉｐｈｅ  ｃｉｃｈｏｒａｃｅａｒｕｍ）、ポドスファエラ・レウコトゥリカ（Ｐｏｄｏｓｐｈａｅｒａ  ｌｅｕｃｏｔｒｉｃｈａ）、スファエロテカ・フリギネア（Ｓｐｈａｅｒｏｔｈｅｃａ  ｆｕｌｉｇｉｎｅａ）、ウンキニラ・ネカトル（Ｕｎｃｉｎｉｌａ  ｎｅｃａｔｏｒ）、エメリケラ・ニドゥランス（Ｅｍｅｒｉｃｅｌｌａ  ｎｉｄｕｌａｎｓ）、ペニキリウム・ディギタトゥム（Ｐｅｎｉｃｉｌｌｉｕｍ  ｄｉｇｉｔａｔｕｍ）、ペニキリウム・イタリクム（Ｐｅｎｉｃｉｌｌｉｕｍ  ｉｔａｌｉｃｕｍ）、ビベレラ・フジクロイ（Ｇｉｂｂｅｒｅｌｌａ  ｆｕｊｉｋｕｒｏｉ）、ネクトリア・ハエマトコッカ（Ｎｅｃｔｒｉａ  ｈａｅｍａｔｏｃｏｃｃａ）、フサリウム・クモルム（Ｆｕｓａｒｉｕｍ  ｃｕｌｍｏｒｕｍ）、フサリウム・オキシスポルム（Ｆｕｓａｒｉｕｍ  ｏｘｙｓｐｏｒｕｍ）、フサリウム・ロセウム（Ｆｕｓａｒｉｕｍ  ｒｏｓｅｕｍ）、ギリクラディウム・ビレンス（Ｇｌｉｏｃｌａｄｉｕｍ  ｖｉｒｅｎｓ）、ボツリオティニア・フケリアナ（Ｂｏｔｒｙｏｔｉｎｉａ  ｆｕｃｋｅｌｉａｎａ）、モニリニア・フルクティゲナ（Ｍｏｎｉｌｉｎｉａ  ｆｒｕｃｔｉｇｅｎａ）、スクレロティニア・ホモエオカルパ（Ｓｃｌｅｒｏｔｉｎｉａ  ｈｏｍｏｅｏｃａｒｐａ）、スクレロティニア・スクレロティオルム（Ｓｃｌｅｒｏｔｉｎｉａ  ｓｃｌｅｒｏｔｉｏｒｕｍ）、モリシア・ヤルンダ（Ｍｏｌｌｉｓｉａ  ｙａｌｌｕｎｄａｅ）、グロレラ・ラゲナリア（Ｇｌｏｍｅｒｅｌｌａ  ｌａｇｅｎａｒｉａ）、サッカロミセス・セレビシア（Ｓａｃｃａｒｏｍｙｃｅｓ  ｃｅｒｅｖｉｓｉａｅ）、ネウロスポラ・クラサ（Ｎｅｕｒｏｓｐｏｒａ  ｃｒａｓｓａ）、ガエマノミセス・グラミニス（Ｇａｅｍａｎｎｏｍｙｃｅｓ  ｇｒａｍｉｎｉｓ）、マグネポルテ・グリセア（Ｍａｇｎｅｐｏｒｔｈｅ  ｇｒｉｓｅａ）、モノグラフェラ・ニバリス（Ｍｏｎｏｇｒａｐｈｅｌｌａ  ｎｉｖａｌｉｓ）、リンコスポリウム・セカリス（Ｒｈｙｎｃｏｓｐｏｒｉｕｍ  ｓｅｃａｌｉｓ）、アテリア・ロルフシ（Ａｔｈｅｌｉａ  ｒｏｌｆｓｉｉ）、ティフラ・インカルナタ（Ｔｙｐｈｕｌａ  ｉｎｃａｒｎａｔａ）、タナテフォルス・ククメリス（Ｔｈａｎａｔｅｐｈｏｒｕｓ  ｃｕｃｕｍｅｒｉｓ）、リゾクトニア・ソラニ（Ｒｈｉｚｏｃｔｏｎｉａ  ｓｏｌａｎｉ）、ヘミレイア・バスタトリクス（Ｈｅｍｉｌｅｉａ  ｖａｓｔａｔｒｉｘ）、プッキニア・ホルデイ（Ｐｕｃｃｉｎｉａ  ｈｏｒｄｅｉ）、およびウロミセス・アッペンディクラトゥス（Ｕｒｏｍｙｃｅｓ  ａｐｐｅｎｄｉｃｕｌａｔｕｓ）。さらなる真菌は、当該技術分野で既知である（例えば、上記Ｇ． Ｎ． Ａｇｒｉｏｓ、Ｇ． Ｃ． Ａｉｎｓｗｏｒｔｈ、「Ｆｕｎｇａｌ Ｄｉｓｅａｓｅｓ ｏｆ Ａｎｉｍａｌｓ」、Ｃｏｍｍｏｎｗｅａｌｔｈ ａｇｒｉｃｕｌｔｕｒａｌ ｂｕｒｅａｕｘ、Ｆａｒｍｈａｍ Ｒｏｙａｌ Ｂｕｃｋｓ、Ｅｎｇｌａｎｄ、（１９��９）、およびＪｏｎｅｓ，Ｔ． Ｃ．、「Ｖｅｔｅｒｉｎａｒｙ Ｐａｔｈｏｌｏｇｙ」、４ｔｈ Ｅｄｉｔｉｏｎ、Ｌｅａ ａｎｄ Ｆｅｂｉｇｅｒ、Ｐｈｉｌａｄｅｌｐｈｉａ、（１９７２）を参照のこと）。
【０３５２】
上記の任意の門、亜門、綱、目、属、または種に含まれる真菌葉、種々の疾患または症状を引き起こすことができ、一般に、以下が含まれるがこれらに限定されない：壊死（ｎｅｃｒｏｓｉｓ）、植物死（ｐｌａｎｔ ｄｅａｔｈ）、細胞死（ｃｅｌｌ ｄｅａｔｈ）、発育不全（ｈｙｐｏｔｒｏｐｈｙ）、形成不全（ｈｙｐｏｐｌａｓｍｉａ）、矮化病（ｓｔｕｎｔｉｎｇ）、過形成（ｈｙｐｅｒｐｌａｓｉａ）（例えば、根こぶ病（ｃｌｕｂｒｏｏｔ）、擦傷（ｇａｌｌｓ）、こぶ状隆起（ｗａｒｔｓ）、天狗巣病（ｗｉｔｃｈｅｓ ｂｒｏｏｍｓ）、巻葉（ｌｅａｆ ｃｕｒｌｓ）など）、腫瘍（ｔｕｍｏｒｓ）、斑点病（ｌｅａｆ ｓｐｏｔｓ）、葉枯れ病（ｂｌｉｇｈｔ）、根瘤病（ｃａｎｋｅｒｓ）、立ち枯れ病（ｄｉｅｂａｃｋ）、根腐れ（ｒｏｏｔ ｒｏｔ）、立ち枯れ病（ｄａｍｐｉｎｇ ｏｆｆ）、罹病（ｂａｓｅｌ ｓｔｅｍ ｒｏｔ）、腐敗病（ｓｏｆｔ ｒｏｔｓ）、乾燥腐敗（ｄｒｙ ｒｏｔｓ）、炭疽病（ａｎｔｈｒａｃｎｏｓｅ）、瘡痂病（ｓｃａｂ）、衰弱（ｄｅｃｌｉｎｅ）、立枯れ病（ｗｉｌｔ）、サビ病（ｒｕｓｔ）、ウドンコ病（ｍｉｌｄｅｗ）、および黒穂病（ｓｍｕｔ）；特に、結実（ｆｒｕｃｔｉｆｉｃａｔｉｏｎｓ）、ジャガイモ粉状そうか病（ｐｏｗｄｅｒｙ ｓｃａｂ ｏｆ ｐｏｔａｔｏ）、アブラナ根こぶ病（ｃｌｕｂｒｏｏｔ ｏｆ ｃｒｕｃｉｆｅｒｓ）、ジャガイモ黒色こぶ状隆起（ｂｌａｃｋ ｗｏｒｔ ｏｆ ｐｏｔａｔｏ）、アルファルファ根頭こぶ状隆起（ｃｒｏｗｎ ｗａｒｔ ｏｆ ａｌｆａｌｆａ）、トウモロコシ褐色斑（ｂｒｏｗｎ ｓｐｏｔ ｏｆ ｃｏｒｎ）、種子腐敗（ｓｅｅｄ ｒｏｔ）、苗木立枯れ病（ｓｅｅｄｌｉｎｇ ｄａｍｐｉｎｇ ｏｆｆ）、根茎腐敗（ｒｏｏｔ ａｎｄ ｓｔｅｍ ｒｏｔ）、葉枯れ病（ｂｌｉｇｈｔ）、塊根腐敗（ｔｕｂｅｒ ｒｏｔ）、白サビ病（ｗｈｉｔｅ ｒｕｓｔ）、アッパーサイド（ｕｐｐｅｒ ｓｉｄｅ）、べと病（ｄｏｗｎｙ ｍｉｌｄｅｗｓ）、ダイズ種子上の卵胞子（ｏｏｓｐｏｒｅｓ ｏｎ ｓｏｙｂｅａｎ ｓｅｅｄ）、クモノスカビ腐敗病（ｒｈｉｚｏｐｕｓ ｓｏｆｔ ｒｏｔｓ）、クモノスカビ果実腐敗（ｒｈｉｚｏｐｕｓ ｆｒｕｉｔ ｒｏｔ）、ｃｈｏａｎｅｐｈｏｒａカボチャ腐敗（ｓｑｕａｓｈ ｒｏｔ）、パンカビ（ｂｒｅａｄ ｍｏｌｄ）、芽腐敗（ｂｕｄ ｒｏｔ）、茎腐敗（ｓｔｅｍ ｒｏｔ）、頸領腐敗（ｃｏｌｌａｒ ｒｏｔ）、根頭腐敗（ｃｒｏｗｎ ｒｏｔ）、幹腐敗（ｔｒｕｎｋ ｒｏｔ）、黒莢病（ｂｌａｃｋ ｐｏｄ ｄｉｓｅａｓｅ）、ジャガイモ疫病（ｌａｔｅ ｂｌｉｇｈｔ ｏｆ ｐｏｔａｔｏｅｓ）、炭疽病（Ａｎｔｈｒａｃｎｏｓｅ ｄｉｓｅａｓｅ）、Ｃｏｌｌｅｔｏｔｒｉｃｈｕｍ病、タマネギしみ状斑（ｏｎｉｏｎ ｓｍｕｄｇｅ）、麦角病（ｅｒｇｏｔ）、Ｂｏｔｒｙｔｉｓ病、葉脈萎縮（ｖａｓｃｕｌａｒ ｗｉｌｔｓ）、ニレ立枯れ病（Ｄｕｔｃｈ Ｅｌｍ ｄｉｓｅａｓｅ）、Ｇｉｂｂｅｒｅｌｌａ病、Ｓｃｌｅｒｏｔｉｎｉａ病、Ｒｈｉｚｏｃｔｏｎｉａ病、Ｓｃｌｅｒｏｔｉｕｍ病、果実および野菜の収穫後腐敗、光合成の減少、葉あたりの葉緑素の減少、葉緑素効率の減少、植物ホルモン生成の減少、成長速度の減少、可溶性窒素の減少、炭水化物レベルの減少、呼吸の増加または減少、異���な植物代謝、水の転流の減少、栄養素保持時間の減少、蒸散量の増加、収率の減少、植物転写の調整、植物翻訳の調整および異常な細胞代謝；特に、柑橘類瘡痂病（ｃｉｔｒｕｓ ｓｃａｂ）、ブドウ黒腐れ病（ｇｒａｐｅ ｂｌａｃｋ ｒｏｔ）、コムギ  セプトリア・ノドルム（ｓｅｐｔｏｒｉａ  ｎｏｄｏｒｕｍ）汚斑病、ピーナッツの初期斑点病（ｅａｒｌｙ ｌｅａｆ ｓｐｏｔ ｏｆ ｐｅａｎｕｔｓ）、バナナｂｌａｃｋ  ｓｉｇａｔｏｋａ病、コムギ  セプトリア・トゥリティキ（ｓｅｐｔｏｒｉａ  ｔｒｉｔｉｃｉ）汚斑病、オオムギ網斑病（ｂａｒｌｅｙ ｎｅｔ ｂｌｏｔｃｈ）、穀類黄褐色斑（ｃｅｒｅａｌ ｔａｎ ｓｐｏｔ）、リンゴ瘡痂病（ａｐｐｌｅ ｓｃａｂ）、モモ夏日斑（ｐｅａｃｈ ｆｅｃｋｌｅ）、キャベツ黒斑病（ｃａｂｂａｇｅ ｂｌａｃｋｓｐｏｔ）、リンゴ汚斑病（ａｐｐｌｅ ｌｅａｆ ｂｌｏｔｃｈ）、トマトおよびジャガイモ夏疫病（ｔｏｍａｔｏ ａｎｄ ｐｏｔａｔｏ ｅａｒｌｙ ｂｌｏｇｈｔ）、ビーツのｃｅｒｃｏｓｐｏｒａ斑点病、キュウリ瘡痂病（ｃｕｃｕｍｂｅｒ ｓｃａｂ）、トマトｓｅｐｏｒｉａｌ斑点病、コムギウドンコ病（ｗｈｅａｔ ｐｏｗｄｅｒｙ ｍｉｌｄｅｗ）、オオムギウドンコ病（ｂａｒｌｅｔ ｐｏｗｄｅｒｙ ｍｉｌｄｅｒ）、キュウリウドンコ病（ｃｕｃｕｍｂｅｒ ｐｏｗｄｅｒｙ ｍｉｌｄｅｒ）、リンゴウドンコ病（ａｐｐｌｅ ｐｏｗｄｅｒｙ ｍｉｌｄｅｒ）、キュウリウドンコ病（ｃｕｃｕｍｂｅｒ ｐｏｗｄｅｒｙ ｍｉｌｄｅｒ）、ブドウウドンコ病（ｇｒａｐｅ ｐｏｗｄｅｒｙ ｍｉｌｄｅｒ）、ｓａｐｏｒｐｈｙｔｅ、柑橘類緑カビ病（ｇｒｅｅｎ ｍｏｌｄ ｏｆ ｃｉｔｒｕｓ）、柑橘類アオカビ病（ｂｌｕｅ ｍｏｌｄ ｏｆ ｃｉｔｒｕｓ）、イネバカナエ病（ｒｉｃｅ ｂａｋａｎａｅ ｄｉｓｅａｓｅ）、穀類穂先瘡痂病（ｃｅｒｅａｌ ｎｅａｄｓｃａｂ）、キュウリｆｕｓａｒｉｕｍ立枯れ病、トマトｆｕｓａｒｉｕｍ立枯れ病、ハツカダイコンｆｕｓａｒｉｕｍ黄斑、イネ苗立枯れ病（ｒｉｃｅ ｄａｍｐｉｎｇ）、トウガラシｂｏｔｒｙｔｉｓ葉枯れ病、インゲンマメｂｏｔｒｙｔｉｓ葉枯れ病、キュウリｂｏｔｒｙｔｉｓ葉枯れ病、ブドウｂｏｔｒｙｔｉｓ葉枯れ病、マリゴールドｂｏｔｒｙｔｉｓ葉枯れ病、石果褐色腐れ（ｂｒｏｗｎ ｒｏｔ ｏｆ ｓｔｏｎｅ ｆｒｕｉｔ）、芝生ドラースポット（ｔｕｒｆ ｄｏｌｌａｒ ｓｐｏｔ）、コムギ眼状斑点病（ｗｈｅａｔ ｅｙｅ ｓｐｏｔ）、キュウリ炭疽病（ｃｕｃｕｍｂｅｒ ａｎｔｈｒａｃｎｏｓｅ）、ｐｅｓｔａｌｏｔｉａｌ斑点病、イネ枯れ病（ｒｉｃｅ ｂｌａｓｔ）、芝生雪腐れ病（ｔｕｒｆ ｓｎｏｗ ｍｏｌｄ）、オオムギの日焼け（ｂａｒｌｅｙ ｓｃａｌｄ）、ｔｙｐｈｕｌａ葉枯れ病、ｒｈｉｚｏｃｔｏｎｉａ苗立枯れ病、コーヒーサビ病（ｃｏｆｆｅｅ ｒｕｓｔ）、コムギ葉サビ病（ｗｈｅａｔ ｌｅａｄ ｒｕｓｔ）、オオムギ葉サビ病（ｂａｒｌｅｙ ｌｅａｆ ｒｕｓｔ）、インゲンマメサビ病（ｂｅａｎ ｒｕｓｔ）。本発明のポリヌクレオチドもしくはポリペプチドまたはアゴニストもしくはアンタゴニストを直接または間接的に使用して、任意のこれらの症状または疾患を検出し、予防し、そして／または耐性を付与することができる。植物または動物に感染すること���できるさらなる真菌は当該技術分野で既知である（例えば、上記Ｇ． Ｎ． Ａｇｒｉｏｓ、Ｇ． Ｃ． Ａｉｎｓｗｏｒｔｈ、「Ｆｕｎｇａｌ Ｄｉｓｅａｓｅｓ ｏｆ Ａｎｉｍａｌｓ」、Ｃｏｍｍｏｎｗｅａｌｔｈ ａｇｒｉｃｕｌｔｕｒａｌ ｂｕｒｅａｕｘ、Ｆａｒｍｈａｍ Ｒｏｙａｌ Ｂｕｃｋｓ、Ｅｎｇｌａｎｄ、（１９５９）、およびＪｏｎｅｓ，Ｔ． Ｃ．、「Ｖｅｔｅｒｉｎａｒｙ Ｐａｔｈｏｌｏｇｙ」、４ｔｈ Ｅｄｉｔｉｏｎ、Ｌｅａ ａｎｄ Ｆｅｂｉｇｅｒ、Ｐｈｉｌａｄｅｌｐｈｉａ、（１９７２）を参照のこと）。
【０３５３】
さらに、本発明のポリヌクレオチドもしくはポリペプチドおよび／またはアゴニストもしくはアンタゴニストによって検出し、予防し、そして／または態様を付与することができる疾患または症状を引き起こす寄生虫には、以下の科および綱が含まれるが、これらに限定されない：アメーバ症（Ａｍｅｂｉａｓｉｓ）、バベシア病（Ｂｅｂｅｓｉｏｓｉｓ）、コクシジウム症（Ｃｏｃｃｉｄｉｏｓｉｓ）、クリプトスポリジウム症（Ｃｒｙｐｔｏｓｐｏｒｉｄｉｏｓｉｓ）、Ｄｉｅｎｔａｍｏｅｂｉａｓｉｓ、媾疫（Ｄｏｕｒｉｎｅ）、外部寄生（Ｅｃｔｏｐａｒａｓｉｔｉｃ）、ジアルジア症（Ｇｉａｒｄｉａｓｉｓ）、蠕虫病（Ｈｅｌｍｉｎｔｈｉａｓｉｓ）、リーシュマニア症（Ｌｅｉｓｈｍａｎｉａｓｉｓ）、タイレリア症（Ｔｈｅｉｌｅｒｉａｓｉｓ）、トキソプラスマ症（Ｔｏｘｏｐｌａｓｍｏｓｉｓ）、トリパノソーマ症（Ｔｒｙｐａｎｏｓｏｍｉａｓｉｓ）、ならびにトリコモナス属（Ｔｒｉｃｈｏｍｏｎａｓ）および胞子虫（Ｓｐｏｒｏｚｏａｎｓ）（例えば、Ｐｌａｓｍｏｄｉｕｍ  ｖｉｒａｘ、Ｐｌａｓｍｏｄｉｕｍ  ｆａｌｃｉｐａｒｉｕｍ、Ｐｌａｓｍｏｄｉｕｍ  ｍａｌａｒｉａｅ、およびＰｌａｓｍｏｄｉｕｍ  ｏｖａｌｅ）。寄生虫のさらなる例には、例えば、ネナシカズラ科（Ｃｕｓｃｕｔａｃｅａｅ）（例えば、Ｃｕｓｃｕｔａ、Ｄｏｄｄｅｒなど）、ヤドリギ科（Ｖｉｓｃａｃｅａｅ）（例えば、Ａｒｃｅｕｔｈｏｂｉｕｍ属（針葉樹の矮性のヤドリギ）、Ｐｈｏｒａｄｅｎｄｒｏｎ（広葉樹のアメリカヤドリギ）、およびＶｉｓｃｕｍ（欧州ヤドリギ））、ハマウツボ（Ｏｒｏｂａｎｃｈｅ）（例えば、Ｏｒｏｂａｎｃｈｅ（タバコのハマウツボ））、およびゴマノハグサ科（Ｓｃｒｏｐｈｕｌａｒｉａｃｅａｅ）（例えば、Ｓｔｒｉｇａ（単子葉植物のゴマノハグサ））が含まれる。これらの寄生虫は、種々の疾患または症状を引き起こすことができ、以下が含まれるがこれらに限定されない：水貯蔵量の減少、無機塩類の利用可能性の減少、炭水化物貯蔵量の減少、植物防御の減少、および真菌、細菌、ウイルス感染への感受性の増大。さらなる寄生虫病は当該技術分野で既知である（例えば、上記Ｇ． Ｎ． ＡｇｒｉｏｓおよびＪｏｎｅｓ，Ｔ． Ｃ．、「Ｖｅｔｅｒｉｎａｒｙ Ｐａｔｈｏｌｏｇｙ」、４ｔｈ Ｅｄｉｔｉｏｎ、Ｌｅａ ａｎｄ Ｆｅｂｉｇｅｒ、Ｐｈｉｌａｄｅｌｐｈｉａ、（１９７２）を参照のこと）。本発明のポリヌクレオチドもしくはポリペプチドまたはアゴニストもしくはアンタゴニストを使用して、これらの任意の性質または疾患を検出し、予防し、そして／または耐性を付与することができる。
【０３５４】
本発明のポリヌクレオチドもしくはポリペプチドおよび／またはアゴニストもしくはアンタゴニストを使用した治療法または予防法は当該技術分野で周知であるが、有効量のポリペプチドを植物、種子、組織、または細胞に投与することを含み得る。あるいは、本発明のポリヌクレオチドでの植物、種子、組織、または細胞の形質転換によって治療または予防するか、植物から細胞を除去し、形質転換し、操作細胞を植物に戻すことができる（ｅｘ  ｖｉｖｏ治療）。さらに、本発明のポリペプチドまたはポリヌクレオチドを抗原として使用して、特定の感染症の病原性を阻害する抗体を作製することができる（例えば、感染生物の病原性に重要な植物特異的遺伝子またはタンパク質の発現の阻害）。さらに、本発明のポリヌクレオチドもしくはポリペプチドおよび／またはアゴニストもしくはアンタゴニストを使用した感染因子の任意の検出法、予防法、または阻害する方法、耐性を付与する方法を、さらに改変するか改変しないで、ヒト、動物、哺乳動物、または他の生物中の感染因子の検出、予防、耐性の付与または阻害に適用することができる。
【０３５５】
害虫耐性
線虫は、本発明のポリヌクレオチドもしくはポリペプチドまたはアゴニストもしくはアンタゴニストによって検出し、予防し、そして／または耐性を付与することができる疾患または性質を引き起こすことができる害虫の１つの例である。線虫の例には、以下が含まれるが、これらに限定されない：ティレンキダ（Ｔｙｌｅｎｃｈｉｄａ）、ティレンキナ（Ｔｙｌｅｎｃｈｉｎａ）、ティレンコイディア（Ｔｙｌｅｎｃｈｏｉｄｉａ）、ティレンキデア（Ｔｙｌｅｎｃｈｉｄｅａ）、ティレンキダエ（Ｔｙｌｅｎｃｈｉｄａｅ）、アングイナ（Ａｎｇｕｉｎａ）、ディティレンクス（Ｄｉｔｙｌｅｎｃｈｕｓ）、ティレンコリンキダエ（Ｔｙｌｅｎｃｈｏｒｈｙｎｃｈｉｄａｅ）、ティレンコリンクス（Ｔｙｌｅｎｃｈｏｒｈｙｎｃｈｕｓ）、プラティレンキダエ（Ｐｒａｔｙｌｅｎｃｈｉｄａｅ）、プラティレンクス（Ｐｒａｔｙｌｅｎｃｈｕｓ）、ラドフォルス（Ｒａｄｏｐｈｏｌｕｓ）、ホプロラミダエ（Ｈｏｐｌｏｌａｉｍｉｄａｅ）、ホプロラミヌス（Ｈｏｐｌｏｌａｉｍｕｓ）、ロティレンクス（Ｒｏｔｙｌｅｎｃｈｕｓ）、ヘリコティケンクス（Ｈｅｌｉｃｏｔｙｌｅｎｃｈｕｓ）、ベロノラミダエ（Ｂｅｌｏｎｏｌａｉｍｉｄａｅ）、ベロノライムス（Ｂｅｌｏｎｏｌａｉｍｕｓ）、ヘテロデロイデア（Ｈｅｔｅｒｏｄｅｒｏｉｄｅａ）、ヘテロデリダエ（Ｈｅｔｅｒｄｅｒｉｄａｅ）、グロボデラ（Ｇｌｏｂｏｄｅｒａ）、ヘテロデラ（Ｈｅｔｅｒｏｄｅｒａ）、メロイドギネ（Ｍｅｌｏｉｄｏｇｙｎｅ）、ナコビダエ（Ｎａｃｏｂｂｉｄａｅ）、ナコブス（Ｎａｃｏｂｂｕｓ）、ロティレンクルス（Ｒｏｔｙｌｅｎｃｈｕｌｕｓ）、クロコネマトイダエ（Ｃｒｉｃｏｎｅｍａｔｏｉｄａｅ）、クリコネマティダエ（Ｃｒｉｃｏｎｅｍａｔｉｄａｅ）、クリコネメラ（Ｃｒｉｃｏｎｅｍｅｌｌａ）、ヘミシクロフォラ（Ｈｅｍｉｃｙｃｌｉｏｐｈｏｒａ）、パラティレンキダエ（Ｐａｒａｔｙｌｅｎｃｈｉｄａｅ）、パラティレンクス（Ｐａｒａｔｙｌｅｎｃｈｕｓ）、ティレンクイダエ（Ｔｙｌｅｎｃｈｕｉｄａｅ）、ティレンクルス（Ｔｙｌｅｎｃｈｕｌｕｓ）、アフェレンキナ（Ａｐｈｅｌｅｎｃｈｉｎａ）、アフェレンコイデア（Ａｐｈｅｌｅｎｃｈｏｉｄｅａ）、アフェレンコイディアエ（Ａｐｈｅｌｅｎｃｈｏｉｄｉｄａｅ）、アフレネンコイデス（Ａｐｈｌｅｎｅｎｃｈｏｉｄｅｓ）、ブルサフェレンクス（Ｂｕｒｓａｐｈｅｌｅｎｃｈｕｓ）、ダディナフェレンクス（Ｒｈａｄｉｎａｐｈｅｌｅｎｃｈｕｓ）、ドリライミダ（Ｄｏｒｙｌａｉｍｉｄａ）、ロンギドリダエ（Ｌｏｎｇｉｄｏｒｉｄａｅ）、ロンギドルス（Ｌｏｎｇｉｄｏｒｕｓ）、キシフィネマ（Ｘｉｐｈｉｎｅｍａ）、トゥリコドリダエ（Ｔｒｉｃｈｏｄｏｒｉｄａｅ）、パラトゥリコドルス（Ｐａｒａｔｒｉｃｈｏｄｏｒｕｓ）、およびトゥリコドルス（Ｔｒｉｃｈｏｄｏｒｕｓ）。他の線虫門、目、亜目、上科、科、属、および種が当該技術分野で既知である。
【０３５６】
任意の上記の目、亜目、上科、科、属、および／または種に含まれる線虫は、植物の種々の疾患または症状を引き起こすことができ、一般に、以下が含まれるが、これらに限定されない：根瘤、根擦傷、植物成長の低下、植物栄養失調、黄化、立枯れ病、収量の減少、製品の品質低下、植物擦傷、壊死性損傷、腐敗、葉および茎のねじれまたは歪曲、異常な花器形態形成；肥大、発育不全、被覆体、退緑。本発明のポリヌクレオチドもしくはポリペプチドまたはアゴニストもしくはアンタゴニストを直接または間接的に使用して、任意のこれらの症状または疾患を検出し、予防し、そして／または耐性を付与することができる。線虫によって引き起こされるさらなる疾患および／または障害は当該技術分野で既知である。
【０３５７】
昆虫は、本発明のポリヌクレオチドもしくはポリペプチドおよび／またはアゴニストもしくはアンタゴニストによって検出し、予防し、そして／または植物に耐性を付与することができる疾患または性質を引き起こすことができる害虫の別の例である。昆虫の例には、以下が含まれるが、これらに限定されない：コレオプテラ（Ｃｏｌｅｏｐｔｅｒａ）、ディプテラ（Ｄｉｐｔｅｒａ）、ヒメノプテラ（Ｈｙｍｅｎｏｐｔｅｒａ）、レピドプテラ（Ｌｅｐｉｄｏｐｔｅｒａ）、マロファガ（Ｍａｌｌｏｐｈａｇａ）、モモプテラ（Ｈｏｍｏｐｔｅｒａ）、ヘミプテラ（Ｈｅｍｉｐｔｅｒａ）、オルトロプテラ（Ｏｒｔｈｒｏｐｔｅｒａ）、ティサノプテラ（Ｔｈｙｓａｎｏｐｔｅｒａ）、デルマプテラ（Ｄｅｒｍａｐｔｅｒａ）、イソプテラ（Ｉｓｏｐｔｅｒａ）、アノプルラ（Ａｎｏｐｌｕｒａ）、シフォナプテラ（Ｓｉｐｈｏｎａｐｔｅｒａ）、トゥリコプテラ（Ｔｒｉｃｈｏｐｔｅｒａ）などから選択される昆虫（特に、コレオプテラ（Ｃｏｌｅｏｐｔｅｒａ））。
【０３５８】
本発明のポリヌクレオチドもしくはポリペプチドまたはアゴニストもしくはアンタゴニストを直接または間接的に使用して、主要な穀類の昆虫害虫によって引き起こされる以下の任意の非限定的な症状または疾患を検出し、予防し、そして／または耐性を付与することができる：メイズ（Ｍａｉｚｅ）：Ｏｓｔｒｉｎｉａ  ｎｕｂｉｌａｌｉｓ（アワノメイガ（Ｅｕｒｏｐｅａｎ ｃｏｒｎ ｂｏｒｅｒ））；Ａｇｒｏｔｉｓ  ｉｐｓｉｌｏｎ（タマナヤガ（ｂｌａｃｋ ｃｕｔｗｏｒｍ））；Ｈｅｌｉｃｏｖｅｒｐａ  ｚｅａ（オオタバコガ（ｃｏｒｎ ｅａｒｗｏｒｍ））；Ｓｐｏｄｏｐｔｅｒａ  ｆｔｕｇｉｐｅｒｄａ（ヨトーガ（ｆａｌｌ ａｒｍｙｗｏｒｍ））；Ｄｉａｔｒａｅａ  ｇｒａｎｄｉｏｓｅｌｌａ（南西部アワノメイガ（ｓｏｕｔｈｗｅｓｔｅｒｎ ｃｏｒｎ ｂｏｒｅｒ））；Ｅｌａｓｍｏｐａｌｐｕｓ  ｌｉｇｎｏｓｅｌｌｕｓ（マダラメイガ（ｌｅｓｓｅｒ ｃｏｒｎｓｔａｌｋ ｂｏｒｅｒ））；Ｄｉａｔｒａｅａ  ｓａｃｃｈａｒａｌｉｓ（サトウキビメイガ（ｓｕｇａｒｃａｎｅ ｂｏｒｅｒ））；Ｄｉａｂｒｏｔｉｃａ  ｖｉｒｇｉｆｅｒａ（ウェスタンコーンルートワーム（ｗｅｓｔｅｒｎ ｃｏｒｎ ｒｏｏｔｗｏｒｍ））；Ｄｉａｂｒｏｔｉｃａ  ｂａｒｂｅｒｉ（ノーザンコーンルートワーム（ｎｏｒｔｈｅｒｎ ｃｏｒｎ ｒｏｏｔｗｏｒｍ））；Ｄｉａｂｒｏｔｉｃａ  ｕｎｄｅｃｉｍｐｕｎｃｔａｔａ  ｈｏｗａｒｄｉ（スポッティッドキューカンバービートル（ｓｐｏｔｔｅｄ ｃｕｃｕｍｂｅｒ ｂｅｅｔｌｅ））；Ｍｅｌａｎｏｔｕｓ属（コメツキムシの幼虫（ｗｉｒｅｗｏｒｍｓ））；Ｃｙｃｌｏｃｅｐｈａｌａ  ｂｏｒｅａｌｉｓ（ノーザンマスクドチェイファー（ｎｏｒｔｈｅｒｎ ｍａｓｋｅｄ ｃｈａｆｅｒ）（根きり虫（ｗｈｉｔｅ ｇｒｕｂ）））；Ｃｙｃｌｏｃｅｐｈａｌａ  ｉｍｍａｃｕｌａｔａ（サザンマスクドチェイファー（ｓｏｕｔｈｅｒｎ ｍａｓｋｅｄ ｃｈａｆｅｒ）（根きり虫（ｗｈｉｔｅ ｇｒｕｂ）））；Ｐｏｐｉｌｌｉａｊａｐｏｎｉｃａ（マメコガネ（Ｊａｐａｎｅｓｅ ｂｅｅｔｌｅ））；Ｃｈａｅｔｏｃｎｅｍａ  ｐｕｌｉｃａｒｉａ（トウモロコシノミハムシ（ｃｏｒｎ ｆｌｅａ ｂｅｅｔｌｅ））；Ｓｐｈｅｎｏｐｈｏｒｕｓ  ｍａｉｄｉｓ（メイズゾウムシ（ｍａｉｚｅ ｂｉｌｌｂｕｇ））；Ｒｈｏｐａｌｏｓｉｐｈｕｍ  ｍａｉｄｉｓ（トウモロコシアブラムシ（ｃｏｒｎ ｌｅａｆ ａｐｈｉｄ））；Ａｎｕｒａｐｈｉｓ  ｍａｉｄｉｒａｄｉｃｉｓ（トウモロコシ根アブラムシ（ｃｏｒｎ ｒｏｏｔ ａｐｈｉｄ））；Ｂｌｉｓｓｕｓ  ｌｅｕｃｏｐｔｅｒｕｓ（ヒメオオメナガカメムシ（ｃｈｉｎｃｈ ｂｕｇ））；Ｍｅｌａｎｏｐｌｕｓ  ｆｅｍｕｒｒｕｂｒｕｍ（足の赤いバッタ（ｒｅｄｌｅｇｇｅｄ ｇｒａｓｓｈｏｐｐｅｒ））；Ｍｅｌａｎｏｐｌｕｓ  ｓａｎｇｕｉｎｉｐｅｓ（トノサマバッタ（ｍｉｇｒａｔｏｒｙ ｇｒａｓｓｈｏｐｐｅｒ））；Ｄｅｌｉａ  ｐｌａｔｕｒａ（タネバエ（ｓｅｅｄｃｏｒｎ ｍａｇｇｏｔ））；Ａｇｒｏｍｙｚａ  ｐａｒｖｉｃｏｒｎｉｓ（コーンブロッチリーフマイナー（ｃｏｒｎ  ｂｌｏｔｃｈ  ｌｅａｆｍｉｎｅｒ））；Ａｎａｐｈｏｔｒｉｐｓ  ｏｂｓｃｒｕｒｕｓ（クサキイロアザミウマ（ｇｒａｓｓ ｔｈｒｉ��ｓ））；Ｓｏｌｅｎｏｐｓｉｓ  ｍｉｌｅｓｔａ（盗賊アリ（ｔｈｉｅｆ ａｎｔ））；Ｔｅｔｒａｎｙｃｈｕｓ  ｕｒｔｉｃａｅ（ハダニ（ｔｗｏｓｐｏｔｔｅｄ ｓｐｉｄｅｒ ｍｉｔｅ））；Ｂｕｓｓｅｏｌａ  Ｊｕｓｃａ（アメリカンメイズステムボラー（Ａｆｒｉｃａｎ  Ｍａｉｚｅ  Ｓｔｅｍ  Ｂｏｒｅｒ））（ＡＭＢ）；Ｓｅｓａｍｉａ  ｃａｌａｍｉｓｔｉｓ（アフリカンピンクボラー（Ａｆｒｉｃａｎ  Ｐｉｎｋ  Ｂｏｒｅｒ）（ＡＰ１３））；Ｅｌｄａｎａ  ｓａｃｃｈｈａｒｉｎａ（アフリカンシュガーケンボラー（Ａｆｒｉｃａｎ  Ｓｕｇａｒｃａｎｅ  Ｂｏｒｅｒ）（ＡＳＢ））；Ｃｈｉｌｏ  ｐａｒｔｅｌｌｕｓ（ソルガム芯食い虫（Ｓｏｒｇｈｕｍ Ｓｔｅｍ Ｂｏｒｅｒ）（ＳＳＢ））；Ｏｓｔｒｉｎｉａ  ｆｕｒｎａｃａｌｉｓ（アワノメイガ（Ｏｒｉｅｎｔａｌ Ｃｏｒｎ Ｂｏｒｅｒ）（ＯＣＢ））；Ｓｅｓａｍｉａ  ｎｏｎａｇｒｉｏｉｄｅｓ（欧州／北アフリカアワノメイガ（Ｃｏｒｎ ｂｏｒｅｒ ｉｎ Ｅｕｒｏｐｅ／Ｎ． Ａｆｒｉｃａ））；Ｓｙｒａｈｕｍ：Ｃｌｉｌｏ  ｐａｒｔｅｌｌｕｓ（ソーガムボラー（ｓｏｒｇｈｕｍ  ｂｏｒｅｒ））；Ｓｐｏｄｏｐｔｅｒａ  ｆｔｕｇｉｐｅｒｄａ（ヨトーガ（ｆａｌｌ ａｒｍｙｗｏｒｍ））；Ｒｅｌｉｃｏｖｅｒｐａ  ｚｅａ（オオタバコガ（ｃｏｒｎ ｅａｒｗｏｒｍ））；Ｅｌａｓｍｏｐａｌｐｕｓ  ｌｉｇｎｏｓｅｌｌｕｓ（マダラメイガ（ｌｅｓｓｅｒ ｃｏｒｎｓｔａｌｋ ｂｏｒｅｒ））；Ａｇｒｏｔｉｓ  ｓｕｂｔｅｒｒａｎｅａ（グラニュレートカットワーム（ｇｒａｎｕｌａｔｅ  ｃｕｔｗｏｒｍ））；Ｐｈｙｌｌｏｐｈａｇａ  ｃｒｉｎｉｔａ（根切り虫（ｗｈｉｔｅ ｇｒｕｂ））；Ｅｌｅｏｄｅｓ属、Ｃｏｎｏｄｅｒｕｓ属、およびＡｅｏｌｕｓ属（コメツキムシ（ｗｉｒｅｗｏｒｍｓ））；Ｏｕｌｅｍａ  ｍｅｌａｎｏｐｕｓ（クビアカクビボソハムシ（ｃｅｒｅａｌ ｌｅａｆ ｂｅｅｔｌｅ））；Ｃｈａｅｔｏｃｎｅｍａ  ｐｕｌｉｃａｒｉａ（トウモロコシノミハムシ（ｃｏｒｎ ｆｌｅａ ｂｅｅｔｌｅ））；Ｓｐｈｅｎｏｐｈｏｒｕｓ  ｍａｉｄｉｓ（メイズゾウムシ（ｍａｉｚｅ ｂｉｌｌｂｕｇ））；Ｒｈｏｐａｌｏｓｉｐｈｕｍ  ｍａｉｄｉｓ（トウモロコシアブラムシ（ｃｏｒｎ ｌｅａｆ ａｐｈｉｄ））；Ｓｉｐｈａｆｌａｖａ（ヒエノアブラムシ（ｙｅｌｌｏｗ ｓｕｇａｒｃａｎｅ ａｐｈｉｄ））；Ｂｌｉｓｓｕｓ  ｌｅｕｃｏｐｔｅｒｕｓ（ヒメオオメナガカメムシ（ｃｈｉｎｃｈ ｂｕｇ））；Ｃｏｎｔａｒｉｎｉａ  ｓｏｒｇｈｉｃｏｌａ（ソーガムミッジ（ｓｏｒｇｈｕｍ  ｍｉｄｇｅ））；Ｔｅｔｒａｎｙｃｈｕｓ  ｃｉｎｎａｂａｒｉｎｕｓ（カルミンハダニ（ｃａｒｍｉｎｅ ｓｐｉｄｅｒ ｍｉｔｅ））；Ｔｅｔｒａｎｙｃｈｕｓ  ｕｒｔｉｃａｅ（ハダニ（ｔｗｏｓｐｏｔｔｅｄ ｓｐｉｄｅｒ ｍｉｔｅ））；Ｓｃｈｉｚａｐｈｉｓ  ｇｒａｍｉｎｕｍ（ミドリアブラムシ（ｇｒｅｅｎｂｕｇ）（アブラムシ（ａｐｈｉｄ））；コムギ（Ｗｈｅａｔ）：Ｐｓｅｕｄａｌｅｔｉａ  ｕｎｉｐｕｎｃｔａｔａ（アワヨトウ（ａｒｍｙ ｗｏｒｍ））；Ｓｐｏｄｏｐｔｅｒａ  ｆｔｕｇｉｐｅｒｄａ（ヨトーガ（ｆａｌｌ ａｒｍｙ ｗｏｒｍ））；Ｅｌａｓｍｏｐａｌｐｕｓ−ｌｉｇｎｏｓｅｌｌｕｓ（マダラメイガ（ｌｅ���ｓｅｒ ｃｏｒｎｓｔａｌｋ ｂｏｒｅｒ））；Ａｇｒｏｔｉｓ  ｏｒｔｈｏｇｏｎｉａ（プラエウエスタンカットワーム（ｐｌａｅ  ｗｅｓｔｅｒｎ  ｃｕｔｗｏｒｍ））；Ｏｕｌｅｍａ  ｍｅｌａｎｏｐｕｓ（クビボソハムシ（ｃｅｒｅａｌ ｌｅａｆ ｂｅｅｔｌｅ））；Ｈｙｐｅｒａ  ｐｕｎｃｔａｔａ（オオタコゾウ（ｃｌｏｖｅｒ ｌｅａｆ ｗｅｅｖｉｌ））；Ｄｉａｂｒｏｔｉｃａ  ｕｎｄｃｉｍｐｕｎｃｔａｔａ  ｈｏｗａｒｄｉ（ハムシモドキ（ｓｐｏｔｔｅｄ ｃｕｃｕｍｂｅｒ ｂｅｅｔｌｅ））；ロシアコムギアプラムシ（Ｒｕｓｓｉａｎ ｗｈｅａｔ ａｐｈｉｄ）；Ｓｃｈｉｚａｐｈｉｓ  ｇｒａｍｉｎｕｍ（ミドリアブラムシ（ｇｒｅｅｎｂｕｇ））；Ｓｉｔｏｂｉｏｎ  ａｖｅｎａｅ（イングリッシュグレインアフィド（Ｅｎｇｌｉｓｈ  ｇｒａｉｎ  ａｐｈｉｄ））；Ｍｅｌａｎｏｐｌｕｓ  ｆｅｍｕｒｒｕｂｒｕｍ（足の赤いバッタ（ｒｅｄｌｅｇｇｅｄ ｇｒａｓｓｈｏｐｐｅｒ））；Ｍｅｌａｎｏｐｌｕｓ  ｄｉｆｆｅｒｅｎｔｉａｌｉｓ（ディフェレンシャルグラスホッパー（ｄｉｆｆｅｒｅｎｔｉａｌ  ｇｒａｓｓｈｏｐｐｅｒ））；Ｍｅｌａｎｏｐｌｕｓ  ｓａｎｇｕｉｎｉｐｅｓ（トノサマバッタ（ｍｉｇｒａｔｏｒｙ ｇｒａｓｓｈｏｐｐｅｒ））；Ｍａｙｅｔｉｏｌａ  ｄｅｓｔｒｕｃｔｏｒ（コムギタマバエ（Ｈｅｓｓｉａｎ ｆｌｙ））；Ｓｉｔｏｄｉｐｌｏｓｉｓ  ｎｉｏｓｅｌｌａｎａ（小麦虫（ｗｈｅａｔ ｍｉｄｇｅ））；Ｍｅｒｏｍｙｚａ  ａｍｅｒｉｃａｎａ（フィートステムマゴット（ｗｈｅａｔ  ｓｔｅｍ  ｍａｇｇｏｔ））；Ｈｙｌｅｍｙａ  ｃｏａｒｃｔａｔａ（フィートバルブフライ（ｗｈｅａｔ  ｂｕｌｂ  ｆｌｙ））；Ｆｒａｎｋｌｉｎｉｅｌｌａ  ｊｕｓｃａ（タバコアザミウマ（ｗｈｅａｔ ｂｕｌｂ ｆｌｙ））；Ｃｅｐｈｕｓ  ｃｉｎｃｔｕｓ（フィートステムソーフライ（ｗｈｅａｔ  ｓｔｅｍ  ｓａｗｆｌｙ））；Ｅｒｉｏｐｈｙｅｓ  ｔｕｌｉｐａｅ（フィートカールマイト（ｗｈｅａｔ  ｃｕｒｌ  ｍｉｔｅ））；ヒマワリ（Ｓｕｎｆｌｏｗｅｒ）．Ｓｕｌｅｉｍａ  ｈｅｌｉａｎｔｈａｎａ（サンフラワーバドモス（ｓｕｎｆｌｏｗｅｒ  ｂｕｄ  ｍｏｔｈ））；Ｈｏｍｅｏｓｏｍａ  ｅｌｌｅｃｔｅｌｌｕｍ（サンフラワーヘッドモス（ｓｕｎｆｌｏｗｅｒ  ｈｅａｄ  ｍｏｔｈ））；Ｚｙｇｏｒａｍｍａ  ｅｘｃｌａｍａｔｉｏｎｉｓ（サンフラワービートル（ｓｕｎｆｌｏｗｅｒ  ｂｅｅｔｌｅ））；Ｂｏｔｈｙｒｕｓ  ｇｉｂｂｏｓｕｓ（キャロットビートル（ｃａｒｒｏｔ  ｂｅｅｔｌｅ））；Ｎｅｏｌａｓｉｏｐｔｅｒａ  ｍｕｒ−ｆｅｌｄｔｉａｎａ（サンフラワーシードミッジ（ｓｕｎｆｌｏｗｅｒ  ｓｅｅｄ  ｍｉｄｇｅ））；Ｃｏｃｈｙｌｉｓ  ｈｏｓｐｅｓ（バンデドサンフラワーモス（ｂａｎｄｅｄ  ｓｕｎｆｌｏｗｅｒ  ｍｏｔｈ））；Ｒａｃｈｉｐｌｕｓｉａ  ｎｕ（アゲンティナルーパー（ａｇｅｎｔｉｎａ  ｌｏｏｐｅｒ））；Ｓｍｉｃｒｏｎｙｘ  ｊｕｌｖｕｓ（レッドサンフラワーシードウィビル（ｒｅｄ  ｓｕｎｆｌｏｗｅｒ  ｓｅｅｄ  ｗｅｅｖｉｌ））；Ｃｙｌｉｎｄｒｏｃｏｐｔｕｒｕｓ  ａｄｓｐｅｒｓｕｓ（スポッテドサンフラワーステムウィービル（ｓｐｏｔｔｅｄ  ｓｕｎｆｌｏｗｅｒ  ｓｔｅｍ  ｗｅｅｖｉｌ））；ワタ（��ｏｔｔｏｎ）：Ｈｅｌｉｏｔｈｉｓ  ｖｉｒｅｓｃｅｎｓ（ワタオオタバコガ（ｔｏｂａｃｃｏ ｂｕｄｗｏｒｍ））；Ｈｅｌｉｃｏｖｅｒｐａ  ｚｅａ（オオタアコガ（ｂｏｌｌｗｏｒｍ））；Ｓｐｏｄｏｐｔｅｒａ  ｅｘｉｇｕａ（シロイチモジヨトウ（ｂｅｅｔ ａｒｍｙｗｏｒｍ））；Ｐｅｃｔｉｎｏｐｈｏｒａ  ｇｏｓｓｙｐｉｅｌｌａ（ワタキバガ（ｐｉｎｋ ｂｏｌｌｗｏｒｍ））；Ａｎｔｈｏｎｏｍｕｓ  ｇｒａｎｄｉｓ（ワタミハナゾウムシ（ｂｏｌｌ ｗｅｅｖｉｌ））；Ａｐｈｉｓ  ｇｏｓｓｙｐｉｉ（ワタアブラムシ（ｃｏｔｔｏｎ ａｐｈｉｄ））；Ｐｓｅｕｄａｔｏｍｏｓｃｅｌｉｓ  ｓｅｒｉａｔｕｓ（ワタノミハムシ（ｃｏｔｔｏｎ ｆｌｅａｈｏｐｐｅｒ））；Ｔｒｉａｌｅｕｒｏｄｅｓ  ａｂｕｔｉｌｏｎｅａ（バンディドウイングドホワイトフライ（ｂａｎｄｅｄｗｉｎｇｅｄ  ｗｈｉｔｅｆｌｙ））；Ｌｙｇｕｓ  ｌｉｎｅｏｌａｒｉｓ（ミドリメクラガメ（ｔａｒｎｉｓｈｅｄ ｐｌａｎｔ ｂｕｇ））；Ｍｅｌａｎｏｐｌｕｓ  ｆｅｍｕｒｒｕｂｒｕｍ（足の赤いバッタ（ｒｅｄｌｅｇｇｅｄ ｇｒａｓｓｈｏｐｐｅｒ））；Ｍｅｌａｎｏｐｌｕｓ  ｄｉｆｆｅｒｅｎｔｉａｌｉｓ（ディフェレンシャルグラスホッパー（ｄｉｆｆｅｒｅｎｔｉａｌ  ｇｒａｓｓｈｏｐｐｅｒ））；Ｔｈｒｉｐｓ  ｔａｂａｃｉ（オニオンスリップス（ｏｎｉｏｎ  ｔｈｒｉｐｓ））；Ｆｒａｎｋｌｉｎｋｉｅｌｌａ  ｊｕｓｃａ（タバコアザミウマ（ｔｏｂａｃｃｏ ｔｈｒｉｐｓ））；Ｔｅｔｒａｎｙｃｈｕｓ  ｃｉｎｎａｂａｒｉｎｕｓ（カルミンハダニ（ｃａｒｍｉｎｅ ｓｐｉｄｅｒ ｍｉｔｅ））；Ｔｅｔｒａｎｙｃｈｕｓ  ｕｒｔｉｃａｅ（ハダニ（ｔｗｏ））；イネ（Ｒｉｃｅ）：Ｄｉａｔｒａｅａ  ｓａｃｃｈａｒａｌｉｓ（シュガーケーンボラー（ｓｕｇａｒｃａｎｅ  ｂｏｒｅｒ））；Ｓｐｏｄｏｐｔｅｒａ  ｆｔｕｇｉｐｅｒｄａ（ヨトーガ（ｆａｌｌ ａｒｍｙｗｏｒｍ））；Ｈｅｌｉｃｏｖｅｒｐａ  ｚｅａ（オオタバコガ（ｃｏｒｎ ｅａｒｗｏｒｍ））；Ｃｏｌａｓｐｉｓ  ｂｒｕｎｎｅａ（グレープコラプシスｇｒａｐｅ  ｃｏｌａｓｐｉｓ）；Ｌｉｓｓｏｒｈｏｐｔｒｕｓ  ｏｒｙｚｏｐｈｉｌｕｓ（イネミズゾウムシ（ｒｉｃｅ ｗａｔｅｒ ｗｅｅｖｉｌ））；Ｓｉｔｏｐｈｉｌｕｓ  ｏｒｙｚａｅ（ココクゾウムシ（ｒｉｃｅ ｗｅｅｖｉｌ））；Ｎｅｐｈｏｔｅｔｔｉｘ  ｎｉｇｒｏｐｉｃｔｕｓ（イネツマグロヨコバイ（ｒｉｃｅ ｌｅａｆｈｏｐｅｒ））；Ｂｌｉｓｓｕｓ  ｌｅｕｃｏｐｔｅｒｕｓ（コバネナガカメ（ｃｈｉｎｃｈ ｂｕｇ））；Ａｃｒｏｓｔｅｒｎｕｍ  ｈｉｌａｒｅ（アオカムシ（ｇｒｅｅｎ ｓｔｉｎｋ ｂｕｇ））；Ｐｓｅｕｄｏｐｌｕｓｉａ  ｉｎｃｌｕｄｅｎｓ（ダイズシャクトリムシ（ｓｏｙｂｅｅｎ ｌｏｏｐｅｒ））；Ａｎｔｉｃａｒｓｉａ  ｇｅｍｍａｔａｌｉｓ（ベルベットビーンキャタピラー（ｖｅｌｖｅｔｂｅａｎ  ｃａｔｅｒｐｉｌｌａｒ））；Ｐｌａｔｈｙｐｅｎａ  ｓｃａｂｒａ（グリーンクローバーワーム（ｇｒｅｅｎ  ｃｌｏｖｅｒｗｏｒｍ））；Ｏｓｔｒｉｎｉａ  ｎｕｂｉｌａｌｉｓ（アワノメイガ（Ｅｕｒｏｐｅａｎ ｃｏｒｎ ｂｏｒｅｒ））；Ａｇｒｏｔｉｓ  ｉｐｓｉｌｏｎ（タマナヤガ（ｂｌａｃｋ ｃｕｔｗｏｒｍ））；Ｓｐｏｄｏｐｔ���ｒａ  ｅｘｉｇｕａ（シロイチモジヨトウガ（ｂｅｅｔ ａｒｍｙｗｏｒｍ））；Ｈｅｌｉｏｔｈｉｓ  ｖｉｒｅｓｃｅｎｓ（ワタオオタバコガ（ｃｏｔｔｏｎ ｂｏｌｌ ｗｏｒｍ））；Ｈｅｌｉｃｏｖｅｒｐａ  ｚｅａ（ワタオオタバコガ（ｃｏｔｔｏｎ ｂｏｌｌｗｏｒｍ））；Ｅｐｉｌａｃｈｎａ  ｖａｒｉｖｅｓｔｉｓ（マダラテントウムシ（Ｍｅｘｉｃａｎ ｂｅａｎ ｂｅｅｔｌｅ））；Ｍｙｚｕｓ  ｐｅｒｓｉｃａｅ（モモアカアブラムシ（ｇｒｅｅｎ ｐｅａｃｈ ａｐｈｉｄ））；Ｅｍｐｏａｓｃａ  ｊａｂａｅ（ポテトリーフホッパー（ｐｏｔａｔｏ  ｌｅａｆｈｏｐｐｅｒ））；Ａｃｒｏｓｔｅｒｎｕｍ  ｈｉｌａｒｅ（アオカメムシ（ｇｒｅｅｎ ｓｔｉｎｋ ｂｕｇ））；Ｍｅｌａｎｏｐｌｕｓ  ｆｅｍｕｒｒｕｂｒｕｍ（足の赤いバッタ（ｒｅｄｌｅｇｇｅｄ ｇｒａｓｓｈｏｐｐｅｒ））；Ｍｅｌａｎｏｐｌｕｓ  ｄｉｆｆｅｒｅｎｔｉａｌｉｓ（ディフェレンシャルグラスホッパー（ｄｉｆｆｅｒｅｎｔｉａｌ  ｇｒａｓｓｈｏｐｐｅｒ））；Ｄｅｌｉａ  ｐｌａｔｕｒａ（タネバエ（ｓｅｅｄｃｏｒｎ ｍａｇｇｏｔ））；Ｓｅｒｉｃｏｔｈｒｉｐｓ  ｖａｒｉａｂｉｌｉｓ（ダイズアザミウマ（ｓｏｙｂｅａｎ ｔｈｒｉｐｓ））；Ｔｈｒｉｐｓ  ｔａｂａｃｉ（タマネギアザミウマ（ｏｎｉｏｎ ｔｈｒｉｐｓ））；Ｔｅｔｒａｎｙｃｈｕｓ  ｔｕｒｋｅｓｔａｎｉ（イチゴハダニ（ｓｔｒａｗｂｅｒｒｙ ｓｐｉｄｅｒ ｍｉｔｅ））；Ｔｅｔｒａｎｙｃｈｕｓ  ｕｒｔｉｃａｅ（ハダニ（ｔｗｏｓｐｏｔｔｅｄ ｓｐｉｄｅｒ ｍｉｔｅ））；オオムギ（Ｂａｒｌｅｙ）．Ｏｓｔｒｉｎｉａ  ｎｕｂｉｌａｌｉｓ（アワノメイガ（Ｅｕｒｏｐｅａｎ ｃｏｒｎ ｂｏｒｅｒ））；Ａｇｒｏｔｉｓ  ｉｐｓｉｌｏｎ（タマナヤガ（ｂｌａｃｋ ｃｕｔｗｏｒｍ））；Ｓｃｈｉｚａｐｈｉｓ  ｇｒａｍｉｎｕｍ（ミドリアブラムシ（ｇｒｅｅｎｂｕｇ））；Ｂｌｉｓｓｕｓ  ｌｅｕｃｏｐｔｅｒｕｓ（コバネナガカメ（ｃｈｉｎｃｈ ｂｕｇ））；Ａｃｒｏｓｔｅｒｎｕｍ  ｈｉｌａｒｅ（アオカメムシ（ｇｒｅｅｎ ｓｔｉｎｋ ｂｕｇ））；Ｅｕｓｃｈｉｓｔｕｓ  ｓｅｒｖｕｓ（クサギカメムシ（ｂｒｏｗｎ ｓｔｉｎｋ ｂｕｇ））；Ｄｅｌｉａ  ｐｌａｔｕｒａ（タネバエ（ｓｅｅｄｃｏｒｎ ｍａｇｇｏｔ））；Ｍａｙｅｔｉｏｌａ  ｄｅｓｔｒｕｃｔｏｒ（コムギタマバエ（Ｈｅｓｓｉａｎ ｆｌｙ））；Ｐｅｔｒｏｂｉａ  ｌａｔｅｎｓ（ブラウンフィートマイト（ｂｒｏｗｎ  ｗｈｅａｔ  ｍｉｔｅ））；Ｏｉｌ  Ｓｅｅｄ  Ｒｇｐｅ；Ｂｒｅｖｉｃｏｒｙｎｅ  ｂｒａｓｓｉｃａｅ（キャベツアブラムシ（ｃａｂｂａｇｅ ａｐｈｉｄ））；ノミハムシ（Ｆｌｅａ ｂｅｅｔｌｅ）、Ｐｈｙｌｌｏｔｒｅｔａ属；Ｂｅｒｔｈａ  Ａｒｍｙｗｏｒｍ；Ｍａｍｅｓｔｒａ  ｃｏｎｆｉｇｕｒａｔａ；コナガ（Ｄｉａｍｏｎｄｂａｃｋ Ｍｏｔｈ）；Ｐｌｕｔｅｌｌａ  ｘｙｌｏｓｔｅｌｌａ；アルファルファ（Ａｌｆａｌｆａ）：アルファルファシャクトリムシ（ａｌｆａｌｆａ ｌｏｏｐｅｒ）、Ａｕｔｏｇｒａｐｈａ  ｃａｌｉｆｏｒｎｉｃａ；アルファルファスノートビートル（ａｌｆａｌｆａ  ｓｎｏｕｔ  ｂｅｅｔｌｅ）（Ｏｔｉｏｒｈｙｎｃｈｕｓ  Ｌｉｇｕｓｔｉｃｉｉ）；アルファルファキャタピラー（ａｌｆａｌｆａ  ｃａｔ���ｒｐｉｌｌａｒ）（Ｃｏｌｉａｓ  ｅｕｒｙｔｈｅｍｅ）；アルファルファブロッチリーフランナー（ａｌｆａｌｆａ  ｂｌｏｔｃｈ  ｌｅａｆｒｕｎｎｅｒ）（Ａｇｒｏｎｙｚａ  ｆｒｏｎｔｅｌｌａ）；エジプシャンアルファルファウィービル（Ｅｇｙｐｔｉａｎ  ａｌｆａｌｆａ  ｗｅｅｖｉｌ）（ｈｙｐｅｒａ  ｂｒｕｎｎｅｉｐｅｏｎｉｓ）；ホソアワフキ（ｍｅａｄｏｗ ｓｐｉｔｔｌｅｂｕｇ）（Ｐｈｉｌａｅｒｉｕｓ  ｓｐｕｍａｒｉｕｓ）；スポッテドアルファルファアフィド（ｓｐｏｔｔｅｄ  ａｌｆａｌｆａ  ａｐｈｉｄ）（Ｔｈｅｒｉｏｐｈｉｓ  ｍｅｃｕｌａｔａ）；オオタコゾウ（ｃｌｏｖｅｒ ｌｅａｆ ｗｅｅｖｉｌ）（Ｈｙｐｅｒａ  ｐｕｎｃｔａｔａ）；エンドウヒゲナガアブラムシ（ｐｅａ ａｐｈｉｄ）（Ａｃｙｒｔｈｏｓｉｐｈｏｎ  ｐｉｓｕｍ）；コンドウヒゲナガアブラムシ（ｂｌｕｅ ａｌｆａｌｆａ ａｐｈｉｄ）（Ａｃｙｒｔｈｏｓｉｐｈｏｒ  ｋｏｎｄｏｉ）；グリーンクローバーワーム（ｇｒｅｅｎ  ｃｌｏｖｅｒｗｏｒｍ）（Ｐｌａｔｈｙｐｅｎａ  ｓｃａｂｉａ）；ケチビコフキゾウムシ（ｃｌｏｖｅｒ ｒｏｏｔ ｃｕｒｃｕｌｉｏ）（Ｓｉｔｏｎａ  ｈｉｓｐｉｄｕｌｕｓ）；アルファルファシードカルチド（ａｌｆａｌｆａ  ｓｅｅｄ  ｃｈａｌｃｉｄ）（Ｂｒａｃｈｏｐｈａｇｕｓ  ｒｏｄｄｉ）；ミドリメクラガメ（ｔａｒｎｉｓｈｅｄ ｐｌａｎｔｂｕｇ）（Ｌｙｇｕｓ  ｌｉｎｅｏｌａｒｉｓ）；サイスティンクバッグ（Ｓａｙ  ｓｔｉｎｋ  ｂｕｇ）（Ｃｈｌｏｒｏｃｈｒｏａ  ｓａｙｉ）；ベルベットビーンキャタピラー（ｖｅｌｖｅｔｂｅａｎ  ｃａｔｅｒｐｉｌｌａｒ）（Ａｎｔｉｃａｒｓｉａ  ｆｔｉｅｇｉｐｅｒｄａ）；アルファルファタコゾウムシ（ａｌｆａｌｆａ ｗｅｅｖｉｌ）（Ｈｙｐｅｒａ  ｐｏｓｔｉｃａ）；ヨトーガ（ｆａｌｌ ａｒｍｙｗｏｒｍ）（Ｓｐｏｄｏｐｔｅｒａ）；ジャガイモヨコバイ（ｐｏｔａｔｏ ｌｅａｆｈｏｐｐｅｒ）（エンポアカ・ジャバエ（Ｅｍｐｏａｓｃａ  ｊａｂａｅ））；ｓｏｙｂｅａｎ  ｌｏｏｐｅｒ（プスードルシア・インクルデンス（Ｐｓｕｅｄｏｌｕｓｉａ  ｉｎｃｌｕｄｅｎｓ））；Ｔｈｒｅｅ  ｃｏｒｎｅｒｅｄ  ａｌｆａｌｆａ  ｈｏｐｐｅｒ（スピシスティルス・ジェスティヌス（Ｓｐｉｓｓｉｓｔｉｌｕｓ  ｊｅｓｔｉｎｕｓ））など。さらなる昆虫害虫は、当該技術分野で既知である。例えば、Ｍａｎｙａ Ｂ． Ｓｔｏｅｔｚｅｌ、（１９８９）、Ｃｏｍｍｏｎ Ｎａｍｅｓ ｏｆ Ｉｎｓｅｃｔｓ ＆ Ｒｅｌａｔｅｄ Ｏｒｇａｎｉｓｍｓ、Ｅｎｔｏｍｏｌｏｇｉｃａｌ Ｓｏｃｉｅｔｙ ｏｆ Ａｍｅｒｉｃａ（本明細書中に参照により援用される）を参照のこと。
【０３５９】
さらに、本発明のポリヌクレオチドもしくはポリペプチドまたはアゴニストまたはアンタゴニストは、他の植物害虫（昆虫、草本、真菌、細菌、ウイルス、および本明細書中に開示の他の害虫が含まれるが、これらに限定されない）の検出、予防，および／または耐性の付与に有用であり得る。例えば、本発明のポリヌクレオチドもしくはポリペプチドまたはアゴニストまたはアンタゴニストは、害虫の生存に不可欠の栄養素の生合成、蓄積、および／または濃縮を直接または間接的に調整（好ましくは、減少する）することができる。あるいは、本発明のポリヌクレオチドもしくはポリペプチドまたはアゴニストもしくはアンタゴニストは、害虫の生存に不可欠の栄養素の生合成、蓄積、および／または濃縮を減少させることができる代謝産物および／またはタンパク質の生合成を調整（好ましくは、増大させる）することができる。１つの例は、コレステロールオキシダーゼ遺伝子を保有する植物がワタミハナゾウムシ（ｂｏｌｌ ｗｅｅｖｉｌ）（アンソノモス・グランディス  ボーマン（Ａｎｔｈｏｎｏｍｕｓ ｇｒａｎｄｉｓ Ｂｏｈｅｍａｎ））の幼虫に耐性を示す所見に関する（Ｐｕｒｃｅｌｌ， ＪＰ．， Ｂｉｏｃｈｅｍ． Ｂｉｏｐｈｙｓ． Ｒｅｓ． Ｃｏｍｍｕｎ．， １９６（３）， １４０６−１３， １９９３）。コレステロールは昆虫を含むほとんどの生物で必須の栄養素であるので、コレステロール分解酵素（コレステロールオキシダーゼを含む）のレベルおよび／または活性を調整することができる本発明のポリヌクレオチドもしくはポリペプチドまたはアゴニストまたはアンタゴニストは、植物害虫への耐性の付与に有用である。別の例では、一定のラチロゲン（ｌａｔｈｅｒｏｇｅｎｓ）を発現する植物葉、いくつかの病原体への耐性の付与を示した。コラーゲン合成および／または凝集を妨害することができるこのようなラチロゲンを同定した。
【０３６０】
別の実施形態では、本発明のポリヌクレオチドもしくはポリペプチドまたはアゴニストもしくはアンタゴニストを直接または間接的に使用して、保護が所望される植物への直接的局所適用によって本明細書中に記載の任意の害虫および／または疾患を検出し、予防し、かつ／または耐性を付与することができる。例えば、植物に直接散布した場合に害虫に広範な農薬耐性を示すいくつかのタンパク質および／またはペプチドベースの市販の農薬が最近市場に導入されている（Ｅｄｅｎ Ｂｉｏｓｃｉｅｎｃｅの「Ｍｅｓｓｅｎｇｅｒ」およびＮｏｖａｒｔｉｓ Ｃｒｏｐ Ｐｒｏｔｅｃｔｉｏｎの「Ａｃｔｉｇａｒｄ」）（Ｎａｔ． Ｂｉｏｔｅｃｈ．， １８， ５９５， ２０００）。Ｍｅｓｓｅｎｇｅｒは、エルウィニア・アミロバラ（Ｅｒｗｉｎｉａ ａｍｙｌｏｖａｒａ）ハーピン遺伝子に基づいている（Ｗｅｉ， Ｚ．， Ｓｃｉｅｎｃｅ、２５７， ８５−８８， １９９２）。このようなタンパク質／ペプチドベースの農薬を、植物の全身獲得抵抗性（ＳＡＲ）経路を活性化することが示されている。本発明は、植物害虫への耐性を付与するためのさらなる作用様式を含むが、本発明のポリヌクレオチドもしくはポリペプチドまたはアゴニストもしくはアンタゴニストによるＳＡＲ経路の直接または間接的活性化が好ましい。任意の処方要件を含む局所投与法は、本発明の各ポリヌクレオチドもしくはポリペプチドまたはアゴニストまたはアンタゴニストの固有の特徴に基づいて変化する。さらに、植物病原体耐性を付与する本発明のポリヌクレオチドもしくはポリペプチドまたはアゴニストまたはアンタゴニストはまた、他の有利な用途（例えば、植物成長の促進など）を有し得る。
【０３６１】
植物防御
本発明のポリペプチドもしくはポリヌクレオチドおよび／またはアゴニストもしくはアンタゴニストは、環境的または病原性ストレス（例えば、ウイルス、菌類、マイコプラズマ、細菌、線虫、除草剤、殺虫剤、酸性雨、干ばつ、化学製品等）に対する植物の防御メカニズムを増強するのに用いられ得る。このような防御メカニズムは、構造的特性（すなわち、病原体が、例えば、植物中に入って広がることを防ぐように作用するための）、および、植物全体または各細胞の規模のいずれかでの生化学的反応（例えば、病原体に対して毒性を有するか、または病原体の生存について非許容性の環境を創出するかのいずれかの物質を産生するといったもの）の組合せであり得る。
【０３６２】
構造的には、本発明のポリペプチドもしくはポリヌクレオチドおよび／またはアゴニストもしくはアンタゴニストは、毛状突起の数を増大させ、ろうの分泌またはろう様層の厚さおよび／または組成物を増大させ、クチクラの厚さおよび／または組成物を増大させ、表皮細胞壁の構造を変化させ、気孔および皮孔のサイズ、形状および／または位置を変化させ、植物による、厚壁（ｔｈｉｃｋ−ｗａｌｌｅｄ）細胞層（例えば、コルク細胞層等）の創出または増大を誘起し、外表皮細胞壁の厚さおよび／または組成を増大させ、離層の形成を誘起し、チロースの形成を誘起し、ガムの産生および／または堆積を誘起し、細胞壁の外柔組織細胞の厚化を誘起し、細胞壁の厚化を誘起し、細胞壁の内層中のカロース乳頭（ｃａｌｌｏｓｅ ｐａｐｉｌｌａｅ）の堆積を誘起し、細胞および／または組織中のネクローシスまたは過敏（ｈｙｐｅｒｓｅｎｓｉｔｉｖｅ）防御反応（すなわち、細胞死）を誘起し、病原体の広がりを構造的に阻止するための酸化されたフェノール化合物のリグニン様物質への重合を誘起し、かつ／または細胞質防御反応を誘起することに関して有用であり得る。
【０３６３】
生化学的には、本発明のポリペプチドもしくはポリヌクレオチドおよび／またはアゴニストもしくはアンタゴニストは、病原体阻害因子を植物環境中に放し、菌類に有毒な滲出物を放し、かつ／またはフェノール化合物（例えば、プロトカテキュ酸（ｐｒｏｔｏｃａｔｅｃｈｉｏｃ ａｃｉｄ）、カテコール等）を放すことに関して有用であり得る。あるいは、本発明のポリペプチドもしくはポリヌクレオチドおよび／またはアゴニストもしくはアンタゴニストは、植物の細胞および組織内の、フェノール化合物（例えば、クロロゲン酸、カフェー酸、スコポレチン（ｓｃｏｐｏｌｅｔｉｎ）、フェノール化合物の酸化生成物、フィトアレキシン（Ｂｅｌｌら、Ａｎｎ． Ｒｅｖ． Ｐｌａｎｔ Ｐｈｙｓｉｏｌ， ３２， １９８１、フィトアレキシンの特定の例を参照）、ファセオリン（ｐｈａｓｅｏｌｉｎ）、リシチン（ｒｉｓｈｉｔｉｎ）、キエビトン（ｋｉｅｖｉｔｏｎｅ）、ピサチン（ｐｉｓａｔｉｎ）、グリセオリン（ｇｌｙｃｅｏｌｌｉｎ）、ゴシポール、カプシジオール（ｃａｐｓｉｄｉｏｌ）等）、タンニン、および／またはサポニン（例えば、トマチン、アベナシン（ａｖｅｎａｃｉｎ）等）の合成の増強に関して有用であり得る。あるいは、本発明のポリペプチドもしくはポリヌクレオチドおよび／またはアゴニストもしくはアンタゴニストは、病原体の細胞壁等の分解を引き起こす植物の加水分解酵素（例えば、グルカナーゼ、キチナーゼ等）の発現の増強に関して有用であり得る。
【０３６４】
別の実施形態では、本発明のポリペプチドもしくはポリヌクレオチドおよび／またはアゴニストもしくはアンタゴニストは、宿主−病原体相互作用に不可欠な認識要因（例えば、特定のオリゴ糖、炭化水素部分、受容体、リガンド、タンパク質、糖タンパク質、レシチン等）の発現の阻害に関して有用であり得る。例えば、本発明のポリペプチドもしくはポリヌクレオチドおよび／またはアゴニストもしくはアンタゴニストは、病原体の毒素に対する標的として働くことによって宿主に毒素に対する非感受性を付与するタンパク質の発現を阻害することに関して有用であり得る。
【０３６５】
別の実施の形態では、本発明のポリペプチドもしくはポリヌクレオチドおよび／またはアゴニストもしくはアンタゴニストは、植物の代謝機構の、コンピテントな病原体応答に必要とされる不可欠な段階を完成する能力を阻害すること（例えば、植物のリボソームの、ウイルスの核酸のような病原体の核酸を認識する能力を阻害し、かつ／または植物のＤＮＡポリメラーゼ機構の、病原体のＤＮＡを認識および／または合成する能力を阻害し、または植物病原体応答を引き出すのに不可欠な特定の酵素段階を触媒する植物の能力を阻害すること等）において有用であり得る。
【０３６６】
また別の実施形態では、本発明のポリペプチドもしくはポリヌクレオチドおよび／またはアゴニストもしくはアンタゴニストは、許容性病原体感染に必要とされる、不可欠な栄養素の産生または輸送または保持のいずれかを阻害すること（例えば、病原体応答に必要とされる、不可欠ではないミネラル類またはビタミン類の輸送を阻害するといったこと等）に関して有用であり得る。
【０３６７】
一実施形態では、本発明のポリペプチドもしくはポリヌクレオチドおよび／またはアゴニストもしくはアンタゴニストは、フェノール酸化酵素（例えば、ポリフェノールオキシダーゼ、ペルオキシダーゼ等）の発現または活性を増強し、フェニルアラニンアンモニアリアーゼの発現または活性を増強し、ペクチン塩またはペクチン複合体を形成可能なタンパク質の活性または発現を増強すること等に関して有用であり得る。
【０３６８】
他の実施形態では、本発明のポリペプチドもしくはポリヌクレオチドおよび／またはアゴニストもしくはアンタゴニストは、感染の誘導に不可欠な病原体タンパク質の活性を、直接的または間接的に阻害すること（例えば、加水分解酵素についてのようなタンパク質の酵素活性を阻害すること、例えば、このタンパク質が受容体またはリガンドと結合する能力を阻害すること、病原体タンパク質の、タンパク質−タンパク質またはタンパク質−ＤＮＡの相互作用を阻害すること等）に関して有用であり得る。詳細には、本発明のポリペプチドもしくはポリヌクレオチドおよび／またはアゴニストもしくはアンタゴニストは、野火病毒素、白化誘起毒素、タブトキシン（ｔａｂｔｏｘｉｎ）、ファセオロトキシン（ｐｈａｓｅｏｌｏｙｏｘｉｎ）、リゾビトキシン（ｒｈｉｚｏｂｉｔｏｘｉｎ）、萎凋誘起（ｗｉｌｔ−ｉｎｄｕｃｉｎｇ）細菌多糖、アミロボリン（ａｍｙｌｏｖｏｒｉｎ）、グリコペプチド毒素、ペプチド毒素、シリンゴマイシン（ｓｙｒｉｎｇｏｍｙｃｉｎ）、タゲチトキシン（ｔａｇｅｔｉｔｏｘｉｎ）、ヘルミントスポロサイド（ｈｅｌｍｉｎｔｈｏｓｐｏｒｏｓｉｄｅ）、ビクトリン（ｖｉｃｔｏｒｉｎ）、ヘルミントスポリウムマイディスＴ毒素（ｈｅｌｍｉｎｔｈｏｓｐｏｉｕｍ ｍａｙｄｉｓ Ｔ−ｔｏｘｉｎ）、ヘルミントスポリウムカルボヌム（ｈｅｌｍｉｎｔｓｐｏｉｕｍ ｃａｒｂｏｎｕｍ）毒素、連環状ペリコニア（ｐｅｒｉｃｏｎｉａ ｃｉｒｃｉｎａｔａ）毒素、フィロスティクタマイディス（ｐｈｙｌｌｏｓｔｉｃｔａ ｍａｙｄｉｓ）毒素、アルテルナリア毒素、フザリアル萎凋病（ｆｕｓａｒｉａｌ ｗｉｌｔ）毒素、オプヒオボリン（ｏｐｈｉｏｂｏｌｉｎ）、ヘルミントスポラル（ｈｅｌｍｉｎｔｈｏｓｐｏｒａｌ）、テルピノイド（ｔｅｒｐｉｎｏｉｄ）毒素、フジコクシン（ｆｕｓｉｃｏｃｃｉｎ）、ピリキュラリン（ｐｙｒｉｃｕｌａｒｉｎ）、コレトチン（ｃｏｌｌｅｔｏｔｉｎ）、アルテルナル酸（ａｌｔｅｒｎａｌ ａｃｉｄ）、テントキシン（ｔｅｎｔｏｘｉｎ）、植物毒素、ジニオール（ｚｉｎｎｉｏｌ）、テントキシン、アスコキチン（ａｓｃｏｃｈｉｔｉｎｅ）、ディアポルシン（ｄｉａｐｏｒｔｈｉｎ）、スキリン（ｓｋｙｒｉｎ）、ディディメラアプラナタ（Ｄｉｄｙｍｅｌｌａ ａｐｐｌａｎａｔａ）毒素、ミロセシウムロリデュム（Ｍｙｒｏｔｈｅｃｉｕｍ ｒｏｒｉｄｕｍ）毒素、レプトスフェルリナブリオシアナ（Ｌｅｐｔｏｓｐｈａｅｒｕｌｉｎａ ｂｒｉｏｓｉａｎａ）毒素、アルテルナリアテヌイス（Ａｌｔｅｒｎａｒｉａ ｔｅｎｕｉｓ）フェノール毒素、テンサイ褐斑病（Ｃｅｒｃｏｓｐｏｒａ ｂｅｔｉｃｏｌａ）毒素、バーティシリウムアルボアトラム（Ｖｅｒｔｉｃｉｌｌｉｕｍ ａｌｂｏ−ａｔｒｕｍ）毒素、フィトフトラニコチアネー種パラシチカ（Ｐｈｙｔｏｐｈｔｈｏｒａ ｎｉｃｏｔｉａｎｅａ ｖａｒ． ｐａｒａｓｉｔｉｃａ）毒素、フィトフトラメガスペルマ種ソヤエ（Ｐｈｙｔｏｐｈｔｈｏｒａ ｍｅｇａｓｐｅｒｍａ ｖａｒ． ｓｏｊａｅ）毒素、セラトシスティスウルミ（Ｃｅｒａｔｏｃｙｓｔｉｓ ｕｌｍｉ）毒素、ペプチドラムノマナン（ｐｅｐｔｉｄｏｒｈａｍｎｏｍａｎｎａｎ）、ステムフィリウムボトリオスム（Ｓ���ｅｍｐｈｙｌｉｕｍ ｂｏｔｒｙｏｓｕｍ）毒素、斑点病（ｓｔｅｍｐｈｙｌｉｕｍ ｂｏｔｒｙｏｓｕｍ）毒素、ステムフィリン（ｓｔｅｍｐｈｙｌｉｎ）、ステムフィロキシン（ｓｔｅｍｐｈｙｌｏｘｉｎ）、ピレノフォラテレス（Ｐｙｒｅｎｏｐｈｏｒａ ｔｅｒｅｓ）毒素、Ｎ−（２−アミノ−２−カルボキシエチル）アスパラギン酸、アスペルギローマラスミンＡ（ａｓｐｅｒｇｉｌｌｏｍａｒａｓｍｉｎｅ Ａ）、およびリンコスポロシデス（Ｒｈｙｎｃｈｏｓｐｏｒｏｓｉｄｅｓ）毒素などを、直接的または間接的に阻害すること関して有用であり得る。
【０３６９】
別の実施形態では、本発明のポリペプチドもしくはポリヌクレオチドおよび／またはアゴニストもしくはアンタゴニストは、シアン発生性グリコシドまたはエステルの産生を増強または誘導し、シアン発生性グリコシドまたはエステルを加水分解可能な加水分解酵素の活性または発現を増強し、植物細胞または組織中にシアニドを放出可能な酵素の活性または発現を増強し、シアニドを無毒化可能な酵素（例えば、ホルムアミドヒドロリアーゼ等）の活性または発現を増強し、および／またはｂ−タンパク質（ｂ−ｐｒｏｔｅｉｎ）の発現を増強すること等に関して有用であり得る。
【０３７０】
また、さらなる実施形態では、本発明のポリペプチドもしくはポリヌクレオチドおよび／またはアゴニストもしくはアンタゴニストは、本発明のポリヌクレオチド、および／またはその断片のいずれの非コード５’または３’領域の他に、ウイルスコートタンパク質、細菌または菌類のタンパク質、リポタンパク質、多糖、酵母ＲＮＡ、ポリアニオン、ポリアクリル酸、サリチル酸、および／または２−クロロエチルホスホン酸等を例えば植物中で産生することに有用であり得る。このようなタンパク質および／または化合物は、全体にまたは局所的に植物に適用されたときに、植物の病原体に応答する局所的な耐性を引き出すことが示されている。
【０３７１】
別の実施形態では、本発明のポリペプチドもしくはポリヌクレオチドおよび／またはアゴニストもしくはアンタゴニストは、アセチルサリチル酸、アコニチン、アトロピン、シチシン、ジャーミニン（ｇｅｒｍｉｎｉｎｅ）、強心配糖体（例えば、カロトロピン（ｃａｌｏｔｒｏｐｉｎ）、オレアンドリン（ｏｌｅａｎｄｒｉｎ等））、リナリン（ｌｉｎａｒｉｎｅ）、キニン、アトロピン、タクシン（ｔａｘｉｎｅ）、シクトキシン、ヒヨスシアミン、ピレトリン、ロテノン、樟脳等が挙げられるが、これらのものに限定されない二次的代謝物の産生を増強または誘起することのいずれかに有用であり得る。
【０３７２】
別の実施形態では、本発明のポリペプチドもしくはポリヌクレオチドおよび／またはアゴニストもしくはアンタゴニストは、ｂ−シアノアラニン（ｂ−ｃｙａｎｏａｌａｎｉｎｅ）、アゼチジン２−カルボン酸（ａｚｅｔｉｄｉｎｅ ２−ｃａｒｂｏｘｙｌｉｃ ａｃｉｄ）、カナバニン、３，４−ジヒドロキシフェニルアラニン等が挙げられるが、これらのものに限定されない非タンパク質アミノ酸の産生を増強または誘起することのいずれかに有用であり得る。
【０３７３】
別の実施形態では、本発明のポリペプチドもしくはポリヌクレオチドおよび／またはアゴニストもしくはアンタゴニストは、１，８シネオール（１．８ ｃｉｎｅｏｌｅ）、樟脳、ａ−ピネン（ａ−ｐｉｎｅｎｅ）、ｂ−ピネン（ｂ−ｐｉｎｅｎｅ）、カンフェン、ツヨン等が挙げられるが、これらのものに限定されないテルペンの産生を増強または誘起することのいずれかに有用であり得る。
【０３７４】
さらに別の実施形態では、本発明のポリペプチドもしくはポリヌクレオチドおよび／またはアゴニストもしくはアンタゴニストは、植物の防御メカニズムを必ずしも増強させることなく、感染性作用物質を直接的または間接的に阻害し得る。
【０３７５】
本発明は、本明細書中の上記および他に記載された、環境作用物質または感染性作用物質に抗する植物の防御メカニズムを増強させる任意の方法の、１，２、３、４またはそれ以上（これらの任意の組合せを含む）の適用を含む。植物の防御メカニズムを増強する他の方法が、当該技術分野において知られている。あるいは、植物の防御メカニズムを増強する、本発明のポリヌクレオチドまたはポリペプチドの使用による増強された産生または発現のための標的として働き得る化合物および／またはタンパク質のリストが、当該技術分野において知られている（例えば、Ａｇｒｉｏｕｓ， Ｎ．Ｃ．， 上述；Ｇｏｏｄｍａｎ， Ｒ．Ｎ．，「Ｔｈｅ Ｂｉｏｃｈｅｍｉｓｔｒｙ ａｎｄ Ｐｈｙｓｉｏｌｏｇｙ ｏｆ Ｐｌａｎｔ Ｄｉｓｅａｓｅ」， Ｕｎｉｖｅｒｓｉｔｙ ｏｆ Ｍｉｓｓｏｕｒｉ Ｐｒｅｓｓ， Ｃｏｌｕｍｂｉａ， １９８６；Ｌａｍｂｅｒｓ， Ｈ ｅｔ ａｌ．， ｉｎ 「Ｐｌａｎｔ Ｐｈｙｓｉｏｌｏｇｉｃａｌ Ｅｃｏｌｏｇｙ」， Ｓｐｉｎｇｅｒ−Ｖｅｒｌａｇ， Ｎｅｗ Ｙｏｒｋ， （１９９８）を参照。これらはその全体が参照により本明細書に援用される）。
【０３７６】
植物ホルモン
本発明のポリペプチドもしくはポリヌクレオチドおよび／またはアゴニストもしくはアンタゴニストは、植物（任意の細胞、組織、および／または器官等を含む）内部のホルモンレベルを調節することに用いられ得る。本発明により、直接的または間接的に調節され得るホルモンの例は、一般的に、オーキシン、インドール酢酸、ジベルリン（ｇｉｂｅｒｅｌｌｉｎ）、サイトカイニン、エチレン、アブシジン酸、ポリアミン、ジャスモネート（ｊａｓｍｏｎａｔｅ）、テュベロン酸（ｔｕｂｅｒｏｎｉｃ ａｃｉｄ）、サリチル酸、システミン（ｓｙｓｔｅｍｉｎ）、ブラシノリド（ｂｒａｓｓｉｎｏｌｉｄｅ）、ゼアチン；詳細には、インドール−３−酢酸、インドール−３−ブチル酸、４−クロロインドール−３−酢酸、インドール−３−アセチル−１−Ｏ−Ｂ−Ｄ−グルコース、インドール−３−アセチル−ミオイノシトール、ジャスモン酸、ジャスモン酸メチル、カイネチン、上記ホルモンの既知の誘導体等が挙げられるが、これらに限定されない。本文脈中、調節とは、任意の上記ホルモンの発現レベルの、量的または質的な増強、低下、誘起、または停止を意味するために適用されるべきである。植物ホルモンの他の例が当該技術分野において知られている（例えば、Ｄａｖｉｅｓ， Ｐ．Ｊ．， 「Ｐｌａｎｔ Ｈｏｒｍｏｎｅｓ： Ｐｈｙｓｉｏｌｏｇｙ， Ｂｉｏｃｈｅｍｉｓｔｒｙ ａｎｄ Ｍｏｌｅｃｕｌａｒ Ｂｉｏｌｏｇｙ」， Ｋｌｕｗｅｒ Ａｃａｄｅｍｉｃ Ｐｕｂｌｉｓｈｅｒｓ， Ｂｏｓｔｏｎ， １９９５を参照。これはその全体が本明細書中に参照により援用される）。
【０３７７】
植物のオーキシンレベルを調節可能な、本発明のポリペプチドもしくはポリヌクレオチドおよび／またはアゴニストもしくはアンタゴニストは、植物への以下の効果（これに限定されない）、すなわち、細胞の拡大を刺激すること、幹の成長を刺激すること、形成層の細胞分裂を刺激すること、師部および木部の分化を刺激すること、幹切断時の根の開始（ｒｏｏｔ ｉｎｉｔｉａｔｉｏｎ ｏｎ ｓｔｅｍ ｃｕｔｔｉｎｇｓ）を刺激すること、枝の根の広がりを刺激すること、根の分化を刺激すること、重力および光に対する新芽および根の屈性（向性）反応を媒介すること、側生の芽の抑制、葉の知覚（ｓｅｎｓｃｅｎｃｅ）遅延、葉および実の脱落（エチレンを介する）の阻害または促進、実の配置および成長の誘起、木部を介した輸送の同化の強化、実の熟成の遅延、アナナス類（Ｂｒｏｍｅｌｉａｄｓ）の開花の促進、花の成長を刺激すること、雌雄異株の花における雌性の促進、およびエチレン産生を刺激すること等を基本的に有し得る。
【０３７８】
植物のジベレリンレベルを調節可能な、本発明のポリペプチドもしくはポリヌクレオチドおよび／またはアゴニストもしくはアンタゴニストは、植物への以下の効果（これに限定されない）、細胞分裂および細胞伸長を促進すること、超伸長（ｈｙｐｅｒｅｌｏｎｇａｔｉｏｎ）を誘起すること、早咲き（ｂｏｌｔｉｎｇ）を誘起すること、長い日数に応じて幹の伸長を誘起すること、発芽を誘起すること、層積貯蔵または硬化なしに種子の発芽を誘起すること、ａ−アミラーゼの産生を刺激すること、果実の結実および成長を誘起すること、および雌雄異株の花における雄性を誘起すること等を基本的に有し得る。
【０３７９】
植物のサイトカイニンレベルを調整可能な、本発明のポリペプチドもしくはポリヌクレオチドおよび／またはアゴニストもしくはアンタゴニストは、植物へ以下の効果（これに限定されない）、オーキシンの存在下で細胞分裂を誘起すること、冠状菌こぶ隆起（ｃｒｏｗｎ ｇａｌｌ ｔｕｍｏｒ）中の細胞分裂を誘起すること、先端形成層（ａｐｉｃａｌ ｍｅｒｉｓｔｅｍ）中の細胞分裂を誘起すること、高速に分割する細胞中の細胞分裂を誘起すること、新芽の開始（ｓｈｏｏｔ ｉｎｉｔｉａｔｉｏｎ）を促進すること、芽の形成を誘起すること、側生芽の成長を誘起すること、先端優位（ａｐｉｃａｌ ｄｏｍｉｎａｎｃｅ）から側生芽の成長を解放すること、細胞拡大を誘起すること、葉の拡張を誘起すること、小孔開口（ｓｔｏｍａｔａｌ ｏｐｅｎｉｎｇ）を拡大すること、クロロフィルの蓄積を刺激すること、エチオプラストの葉緑体への転換を誘起すること、および葉の知覚を遅延させること等を基本的に有し得る。
【０３８０】
植物のエチレンレベルを調節可能な、本発明のポリペプチドもしくはポリヌクレオチドおよび／またはアゴニストもしくはアンタゴニストは、植物への以下の効果（これに限定されない）、すなわち、睡眠から植物を解放すること、新芽および根の成長および分化を誘起すること、外因性の根形成を誘起すること、葉および果実の脱落を誘起すること、開花を誘起すること、雌雄異株の花における雌性を誘起すること、花の広がりを誘起すること、花および葉の知覚を誘起すること、および果実の熟成を誘起すること等を基本的に有し得る。
【０３８１】
植物のアブシジン酸レベルを調節可能な、本発明のポリヌクレオチドもしくはポリペプチドおよび／またはアゴニストもしくはアンタゴニストは、植物への以下の効果（これに限定されない）、すなわち、小孔の（ｓｔｏｍａｔａｌ）閉鎖を誘起すること、新芽の成長を阻害すること、種子中の貯蔵タンパク質の合成を誘起すること、発芽している穀物中のａ−アミラーゼ産生の阻害、睡眠のいくつかの態様の誘起、およびプロテイナーゼ阻害剤合成の誘起等を基本的に有し得る。
【０３８２】
植物のポラミン（ｐｏｌａｍｉｎｅ）レベルを調節可能な、本発明のポリヌクレオチドもしくはポリペプチドおよび／またはアゴニストもしくはアンタゴニストは、植物への以下の効果、植物の細胞および組織の成長および発生の制御、高分子合成の調節、高分子活性の調節、細胞の形質膜を安定化すること、傷ついた組織からのベータシアニンの漏出を低減すること、切除したオオムギ葉中のチラコイド構造の保存、細胞膜へのホルモンが誘起した影響の拮抗作用、核酸との結合、アルキル化剤からの核酸の保護、染色体濃縮の制御、減数分裂初期間の核膜の分解、およびｔＲＮＡの構造および機能の調節等を基本的に有し得る。
【０３８３】
植物のジャスモネートレベルを調節可能な、本発明のポリペプチドもしくはポリヌクレオチドおよび／またはアゴニストもしくはアンタゴニストは、植物への以下の効果（これに限定されない）、植物の成長の阻害、種子の発芽の阻害、知覚の促進、脱落の促進、隆起形成の促進、果実の熟成の促進、色素形成の促進、巻きひげのらせん形成の促進、プロテイナーゼ阻害剤の誘起、および昆虫の外寄生の阻害等を基本的に有し得る。
【０３８４】
植物のサリチル酸レベルを調節可能な、本発明のポリペプチドもしくはポリヌクレオチドおよび／またはアゴニストもしくはアンタゴニストは、植物への以下の効果（これに限定されない）、病原に関連するタンパク質の誘起を介する病原体に対する耐性を示すこと、花の寿命の拡大、エチレンの生合成の阻害、種子の発芽の阻害、傷害の応答を阻害すること、アブシジン酸に対する植物の応答に対抗すること等を基本的に有し得る。
【０３８５】
植物のブラシノステロイド（ｂａｒｓｓｉｎｏｓｔｅｒｏｉｄ）レベルを調節可能な、本発明のポリヌクレオチドもしくはポリペプチドおよび／またはアゴニストもしくはアンタゴニストは、植物への以下の効果（これに限定されない）、幹の拡大の促進、根の成長の阻害、根の発生の阻害、エチレンの生合成の促進、および上偏成長の促進等を基本的に有し得る。
【０３８６】
本発明のポリヌクレオチドもしくはポリペプチドおよび／またはアゴニストもしくはアンタゴニストは、上記のいずれかの組合せの、１、２、３またはそれ以上の植物中のホルモンを調節し得る。その細胞、組織および器官を含む、植物へのホルモンの他の影響が、当業者に知られており、上述した植物ホルモンの影響は、本発明のポリヌクレオチドまたはポリペプチドのいずれかの使用を制限するものとして理解されるべきではない。
【０３８７】
再生
本発明のポリペプチドもしくはポリヌクレオチドおよび／またはアゴニストもしくはアンタゴニストは、細胞を分化し、増殖させ、かつ／または引き寄せ、組織の再生をもたらすために用いられ得る（Ｓｃｉｅｎｃｅ ２７６： ５９−８７ （１９９７）参照）。組織の再生は、環境的外傷（例えば、除草剤、光退色、酸性雨、干害、線虫、昆虫、化学薬品等）、病気（例えば、菌類、ウイルス、細菌、マイコプラズマ等）、ネクローシス、過敏性反応、および／またはサイトカイン損傷により傷つけられた組織を修復し、置換し、かつ／または保護するために用いられ得る。
【０３８８】
本発明のポリヌクレオチドまたはポリペプチドを用いて再生され得る組織は、組織（例えば、先端形成層、側生新芽、側生芽、葉、ピス、管形成層、幹、師部、木部、皮層、表皮、側生根、根形成層、クチクラ等）だけでなく、細胞器官および組成物（空胞、ミトコンドリア、葉緑体、プラスチド、リソソーム、ペルオキシソーム、グリオキシソーム（ｇｌｙｏｘｙｓｏｍｅ）、細胞質、小胞体、リボゾーム、空胞膜、核、核膜、プラスモデスマータ（ｐｌａｓｍｏｄｅｓｍａｔａ）、シェロソーム（ｓｃｈｅｒｏｓｏｍｅ）、ミクロボディー、第一（ｐｒｉｍａｒｙ）細胞壁等）を含む。
【０３８９】
栄養素
本発明のポリヌクレオチドもしくはポリペプチドおよび／またはアゴニストもしくはアンタゴニストは、多くの異なるメカニズムを介して、植物の栄養状態を調節するために使用され得る。例えば、本発明のポリペプチドもしくはポリヌクレオチドおよび／またはアゴニストもしくはアンタゴニストは、特定の栄養素を保持する植物の能力を調節すること、特定の栄養素を合成する植物の能力を調節すること、栄養素を同化する植物の能力を調節すること、特定の栄養素の吸収または取り込む植物の能力を調節すること、特定の栄養素を輸送する植物の能力を調節すること、特定の栄養素を貯蔵する植物の能力を調節すること、栄養の不足下で生存する植物の能力を調節すること、および、栄養不足の徴候および特徴に対してこれを予防し、検知し、かつ／または耐性に備えることに使用され得る。
【０３９０】
本発明のポリヌクレオチドもしくはポリペプチドおよび／またはアゴニストもしくはアンタゴニストにより、植物中で調節され得る栄養素の特定の例は、以下の栄養素を含むが、これに限定されない。すなわち、炭素、水素、酸素、窒素、リン、イオウ、カリウム、カルシウム、マグネシウム、ホウ素、塩素、銅、鉄、マンガン、亜鉛、モリブデン、コバルト、セレニウム、ケイ素、ナトリウム、ニッケル、水、二酸化炭素、他に、代謝生成物等。植物の恒常性を維持するのに不可欠な他の栄養素が当業者に知られている。
【０３９１】
植物のホウ素レベルを調節可能な、本発明のポリヌクレオチドもしくはポリペプチドおよび／またはアゴニストもしくはアンタゴニストは、これに限定されないが、以下の植物のホウ素不足の徴候に対してこれを予防し、検知し、緩和し、かつ／または耐性を付与することを可能にし得る。すなわち、末端の葉のネクローシス、未熟な葉の脱落層の形成、末端の新芽の短縮、先端形成層組織の黒化および／または死、根の新芽の短縮、植物の矮小化、植物の生育阻害、開花の発生の欠陥、種子の発生の欠陥等。
【０３９２】
植物のカルシウムレベルを調節可能な、本発明のポリヌクレオチドもしくはポリペプチドおよび／またはアゴニストもしくはアンタゴニストは、これに限定されないが、以下の植物のカルシウム不足の徴候に対してこれを予防し、検知し、緩和し、かつ／または耐性を付与することを可能にし得る。すなわち、葉の白化、葉の萎縮、葉の起伏、幹および根における形成層組織の分解、形成層組織の死、減少した根の発生、減少した根の繊維含有率、減少した果実の発達等。
【０３９３】
植物の塩酸レベルを調節可能な、本発明のポリヌクレオチドもしくはポリペプチドおよび／またはアゴニストもしくはアンタゴニストは、これに限定されないが、以下の植物の塩素不足の徴候に対してこれを予防し、検知し、緩和し、かつ／または耐性を付与することを可能にし得る。すなわち、葉の先端のしおれ、葉の白化、葉の褐色化、しおれた領域近くの求基的な葉のネクローシス等。
【０３９４】
植物の銅レベルを調節可能な、本発明のポリヌクレオチドもしくはポリペプチドおよび／またはアゴニストもしくはアンタゴニストは、これに限定されないが、以下の植物の銅不足の徴候に対してこれを予防し、検知し、緩和し、かつ／または耐性を付与することを可能にし得る。すなわち、末端の新芽のしおれ、末端の新芽の死、葉の褪色、植物の細胞および組織中のカロテンの減少、植物の細胞および組織中の他の色素の減少等。
【０３９５】
植物の鉄レベルを調節可能な、本発明のポリヌクレオチドもしくはポリペプチドおよび／またはアゴニストもしくはアンタゴニストは、これに限定されないが、以下の植物の鉄不足の徴候に対してこれを予防し、検知し、緩和し、かつ／または耐性を付与することを可能にし得る。すなわち、最初の若い葉の交差状の白化、気生組織の白化、気生組織のネクローシス、葉の脱色、葉の縁または先端の枯化等。
【０３９６】
植物のマグネシウムレベルを調節可能な、本発明のポリヌクレオチドもしくはポリペプチドおよび／またはアゴニストもしくはアンタゴニストは、これに限定されないが、以下の植物のマグネシウム不足の徴候に対してこれを予防し、検知し、緩和し、かつ／または耐性を付与することを可能にし得る。すなわち、最初に老いた葉に起きる緑の管および葉の網状組織の黄色化または白色化を伴う斑点状の白化、葉のしおれ、しおれ段階の無い葉の脱落層の形成、植物細胞および組織のネクローシス等。
【０３９７】
植物のマンガンレベルを調節可能な、本発明のポリヌクレオチドもしくはポリペプチドおよび／またはアゴニストもしくはアンタゴニストは、これに限定されないが、以下の植物のマンガン不足の徴候に対してこれを予防し、検知し、緩和し、かつ／または耐性を付与することを可能にし得る。すなわち、最初に若い葉に、その後老いた葉に広がる、緑色の葉脈および葉の網状組織に黄色味がかったまたは白色の斑点を形成する白化、黄色味がかった緑色の幹、幹の硬化および／または木化（ｗｏｏｄｉｎｇ）、カロテンの減少等。
【０３９８】
植物のモリブデンレベルを調節可能な、本発明のポリヌクレオチドもしくはポリペプチドおよび／またはアゴニストもしくはアンタゴニストは、これらに限定されないが、以下のモリブデン不足の徴候に対して、これを予防し、検知し、緩和し、かつ／または耐性を付与することを可能とし得る。すなわち、葉の明黄色白化、葉の葉身の拡張不全等。
【０３９９】
植物の窒素レベルを調節可能な、本発明のポリヌクレオチドもしくはポリペプチドおよび／またはアゴニストもしくはアンタゴニストは、これらに限定されないが、以下の窒素不足の徴候に対して、これを予防し、検知し、緩和し、かつ／または耐性を付与することを可能とし得る。すなわち、若い植物の植物の成長を阻害すること、若い植物における黄色味がかった緑色の葉、その後黄化および乾燥または脱落が起こる、比較的老いた葉における明緑色の葉、葉脈中のアントシアニンの増加した蓄積、細い幹、植物のきゃしゃな外観、開花の減少等。
【０４００】
植物のリンレベルを調節可能な、本発明のポリヌクレオチドもしくはポリペプチドおよび／またはアゴニストもしくはアンタゴニストは、これらに限定されないが、以下のリン不足の徴候に対して、これを予防し、検知し、緩和し、かつ／または耐性を付与することを可能とし得る。すなわち、若い植物の成長阻害、紫がかった色調を有する暗い青緑色の葉、細い幹、葉中のアントシアニンの増加した蓄積、葉のネクローシス、メリステムの成長の停止、果実の熟成の減少した速度、成熟期での植物の矮小化等。
【０４０１】
植物のカリウムレベルを調節可能な、本発明のポリヌクレオチドもしくはポリペプチドおよび／またはアゴニストもしくはアンタゴニストは、これらに限定されないが、以下のカリウム不足の徴候に対して、これを予防し、検知し、緩和し、かつ／または耐性を付与することを可能とし得る。すなわち、暗緑色の葉、薄い緑色の単子葉葉、単子葉葉の黄化の広がり、葉の縁の白化、最初に老いた葉に表れる葉のネクローシス、葉脈のしわ化（ｗｒｉｎｋｌｉｎｇ）、葉脈の波型化（ｃｕｒｒｕｇａｔｉｎｇ）、葉脈の縮れ（ｃｒｉｎｋｌｉｎｇ）等。
【０４０２】
植物のイオウレベルを調節可能な、本発明のポリヌクレオチドもしくはポリペプチドおよび／またはアゴニストもしくはアンタゴニストは、これらに限定されないが、以下のイオウ不足の徴候に対して、これを予防し、検知し、緩和し、かつ／または耐性を付与することを可能とし得る。すなわち、最初に若い葉の葉脈に沿って表れる、明るい緑色から黄色の葉、細い幹等。
【０４０３】
植物の亜鉛レベルを調節可能な、本発明のポリヌクレオチドもしくはポリペプチドおよび／またはアゴニストもしくはアンタゴニストは、これらに限定されないが、以下の亜鉛不足の徴候に対して、これを予防し、検知し、緩和し、かつ／または耐性を付与することを可能とし得る。すなわち、最初に若い葉に影響を与える葉の白化および／または葉のネクローシス、ロゼットの形成、葉の離脱（ａｓｃｉｓｓｉｏｎ）層の早期形成、比較的老いた葉における葉脈間の白っぽい白化の広がり、単子葉における上方の葉の白色化、双子葉における下方の葉の白化等。
【０４０４】
植物の栄養素不足の他の徴候は当該技術分野に知られている（例えば、Ｎｏｇｇｌｅ， Ｇ．Ｒ．， 「Ｉｎｔｒｏｄｕｃｔｏｒｙ Ｐｌａｎｔ Ｐｈｙｓｉｏｌｏｇｙ」， ２ｎｄ ｅｄｉｔｉｏｎ， Ｐｒｅｎｔｉｃｅ−Ｈａｌｌ， Ｉｎｃ．， Ｅｎｇｌｅｗｏｏｄ Ｃｌｉｆｆｓ， １９８３）。
【０４０５】
特定の実施形態では、本発明のポリヌクレオチドもしくはポリペプチドおよび／またはアゴニストもしくはアンタゴニストは、輸送タンパク質、イオンチャネル、および／またはイオンキャリアタンパク質の活性、速度論、および／または発現を強化することにより、直接的または間接的に、植物の栄養素レベルを調節し得る。
【０４０６】
別の実施形態では、本発明のポリヌクレオチドもしくはポリペプチドおよび／またはアゴニストもしくはアンタゴニストは、ミネラルの可溶化もしくはミネラルの安定化化合物またはキレート化合物（例えば、クエン酸、リンゴ酸、ピシド酸（ｐｉｓｉｄｉｃ ａｃｉｄ）等）の分泌を、直接的または間接的に増強または誘起することにより、植物の栄養素レベルを調節し得る。また、分泌される化合物は、有機キレート化合物（例えば、フィトメタロフォア（ｐｈｙｔｏｍｅｔａｌｌｏｐｈｏｒｅ）、例えば、Ｃａｋｍａｋら、Ｐｌａｎｔ Ｓｏｉｌ， １８０： １８３−１８９， （１９９６）を参照）であってもよい。また、分泌される化合物は、根の滲出物であり、例えば、有機酸（例えば、乳酸、酢酸、ギ酸、ピルビン酸、コハク酸、酒石酸、シュウ酸、クエン酸、イソクエン酸、アコニット酸（ａｃｏｎｉｔｉｃ ａｃｉｄ）等）、炭化水素、アミノ酸、または炭素を同化可能な多糖（例えば、Ｐａｕｌ， Ｅ．Ａ．およびＣｌａｒｋ， Ｆ．Ｅ．、「土壌の微生物学および生化学」（”Ｓｏｉｌ ｍｉｃｒｏｂｉｏｌｏｇｙ ａｎｄ ｂｉｏｃｈｅｍｉｓｔｒｙ”）、Ａｃａｄｅｍｉｃ Ｐｒｅｓｓ， Ｓａｎ Ｄｉｅｇｏ， （１９８９）を参照）である。
【０４０７】
別の実施形態では、本発明のポリヌクレオチドもしくはポリペプチドおよび／またはアゴニストもしくはアンタゴニストは、ホスファターゼ酵素、窒素レダクターゼ（ｎｉｔｒａｔｅ ｒｅｄｕｃｔａｓｅ）酵素、クエン酸合成酵素等の活性、速度論、および／または発現を、直接的または間接的に、植物の栄養素レベルを調節し得る。
【０４０８】
別の実施形態では、本発明のポリヌクレオチドもしくはポリペプチドおよび／またはアゴニストもしくはアンタゴニストは、植物の能動的輸送および／または受動的輸送メカニズムを調節することにより、植物の栄養素レベルを調節し得る。また、本発明のポリヌクレオチドもしくはポリペプチドおよび／またはアゴニストもしくはアンタゴニストは、植物中の栄養素の、組織間および組織内ならびに／または細胞の輸送を調節することにより、植物の栄養素レベルを調節し得る（例えば、師部、木部、デスモソーム等を介した輸送）。植物の栄養素の輸送を調節する他のメカニズムが、当該技術分野に知られている（例えば、Ｌａｍｂｅｒｓ， Ｈ． ｅｔ ａｌ．， 「Ｐｌａｎｔ Ｐｈｙｓｉｏｌｏｇｉｃａｌ Ｅｃｏｌｏｇｙ」， Ｓｐｒｉｎｇｅｒ−Ｖｅｒｌａｇ， Ｎｅｗ Ｙｏｒｋ， （１９９８）（これは、その全体が本明細書中に参照により援用される。）を参照）。
【０４０９】
生物的関連
本発明のポリヌクレオチドもしくはポリペプチドおよび／またはアゴニストもしくはアンタゴニストは、他の生物との関連を、直接的または間接的のいずれかにより、開始および／または維持する植物の能力を強化し得る。このような関連は、自然中の共生、非共生、内共生、大共生（ｍａｃｒｏｓｙｎｂｉｏｔｉｃ）、および／または小共生（ｍｉｃｒｏｓｙｎｂｉｏｔｉｃ）であってもよい。一般に、本発明のポリペプチドもしくはポリヌクレオチドおよび／またはアゴニストもしくはアンタゴニストは、菌類、細菌、地衣類、菌根、シアノバクテリア、ディノフラゲレート（ｄｉｎｏｆｌａｇｇｅｌｌａｔｅ）、および／または藻類、界、門、科、網、属、および／または種の任意の成員との生物的関連を形成する植物の能力を増強させ得る。
【０４１０】
植物との生物的関連を形成することが知られている生物の、これに限定されない特定の例は、エクトマイコリザ（ｅｃｔｏｍｙｃｏｒｒｈｉｚａ）（例えば、ジペロカルパセー（Ｄｉｐｅｒｏｃａｒｐａｃｅａｅ）、ピナセー（Ｐｉｎａｃｅａｅ）、ファガセー（Ｆａｇａｃｅａｅ）、ミルタセー（Ｍｙｒｔａｃｅａｅ）、サリカセー（Ｓａｌｉｃａｃｅａｅ）、ベツラセー（Ｂｅｔｕｌａｃｅａｅ）、ファバセー（Ｆａｂａｃｅａｅ）等）、エンドマイコリザ（ｅｎｄｏｍｙｃｏｒｒｈｉｚａ）、小嚢アルバスキュラー菌根（ｖｅｓｉｃｕｌａｒ ａｒｂｕｓｃｕｌａｒ ｍｙｃｏｒｒｈｉｚａ）（例えば、グローマルの成員）、非菌根（ｎｏｎｍｙｃｏｒｒｈｉｚａｌ）（例えば、ｔｇｅブラシカセー（ｔｇｅ Ｂｒａｓｓｉｃａｃｅａｅ）、カリオフィラセー（Ｃａｒｙｏｐｈｙｌｌａｃｅａｅ）、ケノポディアセー（Ｃｈｅｎｏｐｏｄｉａｃｅａｅ）、レシチデセー（Ｌｅｃｙｔｈｉｄｅａｃｅａｅ）、プロエアセー（Ｐｒｏｅａｃｅａｅ）、レスティオナセー（Ｒｅｓｔｉｏｎａｃｅａｅ）、サポタセー（Ｓａｐｏｔａｃｅａｅ）、ウルティカセー（Ｕｒｔｉｃａｃｅａｅ）、ジゴフィラセー（Ｚｙｇｏｐｈｙｌｌａｃｅａｅ）等）、共生Ｎ２固定生物（例えば、リゾビウム（Ｒｈｉｚｏｂｉｕｍ）、ブラディリゾビウム（Ｂｒａｄｙｒｈｉｚｏｂｉｕｍ）、シノリゾビウム（Ｓｉｎｏｒｈｉｚｏｂｉｕｍ）、メソリゾビウム（Ｍｅｓｏｒｈｉｚｏｂｉｕｍ）、アゾリゾビウム（Ａｚｏｒｈｉｚｏｂｉｕｍ）等）、非共生Ｎ２固定生物（例えば、アゾスピリリウム（Ａｚｏｓｐｉｒｉｌｌｉｕｍ）等）、内共生生物（例えば、クラビシピタセー（Ｃｌａｖｉｃｉｐｉｔａｃｅａｅ）の成員、アスコマイセテス（Ａｓｃｏｍｙｃｅｔｅｓ）等）である。植物と生物的関連を形成可能な他の生物が当業者に知られており、本発明に包含される（例えば、Ｌａｍｂｅｒｓ， Ｈ． ｅｔ ａｌ．， ｉｎ 「Ｐｌａｎｔ Ｐｈｙｓｉｏｌｏｇｉｃａｌ Ｅｃｏｌｏｇｙ」， Ｓｐｒｉｎｇｅｒ−Ｖｅｒｌａｇ， Ｎｅｗ Ｙｏｒｋ， （１９９８）、Ｒａｖｅｎ， Ｐ．Ｈ． ｅｔ ａｌ．， ｉｎ 「Ｂｉｏｌｏｇｙ ｏｆ Ｐｌａｎｔｓ」， ５ｔｈ ｅｄｉｔｉｏｎ， Ｗｏｒｔｈ Ｐｕｂｌｉｓｈｅｒｓ， Ｎｅｗ Ｙｏｒｋ， （１９９２）を参照（これらはその全体が参照により本明細書中に援用される））。
【０４１１】
本発明のポリヌクレオチドもしくはポリペプチドおよび／またはアゴニストもしくはアンタゴニストは、直接的にまたは間接的のいずれかにより、可変の生物的関連を開始および／または維持する植物の能力を増強し得るが、これは、有機酸、フェノール化合物、栄養素の調節された分泌、または、宿主−生物的生物の相互作用に必要なタンパク質の増強された発現（例えば、受容体、リガンド等）を含み得る。他のメカニズムが当業者に知られており、本発明に含まれる。
【０４１２】
他の実施の形態では、本発明のポリヌクレオチドもしくはポリペプチドおよび／またはアゴニストもしくはアンタゴニストは、植物と生物的関連を形成する植物の能力を低下させ得る。このような低下は、生物的生物が関連を介して植物に供給した不可欠な栄養素を利用し、獲得し、貯蔵し、かつ／または合成する植物の能力を増強することによることもある。
【０４１３】
植物が生物的に関連する生物のコロニー形成を阻害し得るメカニズムが当業者に知られている（例えば、Ｓｍｉｔｈ， Ｓ．Ｅ．およびＲｅａｄ， Ｄ．Ｊ． ”Ｍｙｃｏｒｒｈｉｚａｌ Ｓｙｍｂｉｏｓｉｓ”、Ａｃａｄｅｍｉｃ Ｐｒｅｓｓ， Ｌｏｎｄｏｎ， １９９７、等を参照）。例えば、低リン含有土壌中では、植物はリンを提供可能な種とともに、有益な共生コロニーを形成し得る。しかし、高リン含有率の土壌中では、このようなコロニー形成は、植物により阻害され得る。このため、本発明のポリヌクレオチドまたはポリペプチドは、例えば、元々（ｐｒｅｖｉｏｕｌｙ）植物にとって内在性ではないメカニズムを介して植物にリンを同化させることにより、リンが枯渇した土壌中で生きる植物の能力を強化し得る。
【０４１４】
フェロモン
別の実施形態では、本発明のポリヌクレオチドもしくはポリペプチドおよび／またはアゴニストもしくはアンタゴニストは、フェロモンを合成および／または放出する植物の能力を増強し得る。このようなフェロモンは、植物害虫または感染性病原微生物を餌とし得る、捕食性の生物を植物に誘引し得る。例えば、アブラムシアクリトシフォンピスム（ａｐｈｉｄ Ａｃｒｙｔｈｏｓｉｐｈｏｎ ｐｉｓｕｍ）の最近の研究は、アブラムシを餌とすることは、植物が放出する揮発性物質の組成を変えること、および、これらの化合物がアブラムシを採集する捕食寄生者アフィディウスエルビ（Ａｐｈｉｄｉｕｓ ｅｒｖｉ）に関するシノモン（ｓｙｎｏｍｏｎｅ）として働くということを示している。他の研究は、アブラムシ捕食寄生者への応答として植物によって放出される他のフェロモン、すなわち、（Ｅ）−β−ファルネセン（（Ｅ）−ｂｅｔａ−ｆａｒｎｅｓｅｎｅ）は、同様に、他のアブラムシ捕食寄生者、例えば、クサカゲロウ  クリソペラ・カルネア（ｌａｃｅｗｉｎｇ Ｃｈｒｙｓｏｐｅｌａ ｃａｒｎｅａ）および七点テントウムシ  コッキネラ・セプテムプンクタタ（ｓｅｖｅｎ−ｓｐｏｔ ｌａｄｙｂｉｒｄ， Ｃｏｃｃｉｎｅｌｌａ ｓｅｐｕｔｅｍｐｕｎｃｔａｔａ）を誘引し得ることを示している。
【０４１５】
本発明のポリヌクレオチドもしくはポリペプチドおよび／またはアゴニストもしくはアンタゴニストは、フェロモン、フェロモン様の効果を有する揮発性物質、カイロモン効果を有する揮発性物質、カイロモン効果を有する揮発性物質の生合成および／または放出を調節し、かつ／または、詳細には（Ｅ）−β−ファルネセンを放出し得る。また、本発明のポリヌクレオチドもしくはポリペプチドおよび／またはアゴニストもしくはアンタゴニストは、以下の非限定的な化合物の誘起を介して、間接的に、フェロモンの放出を調節することができ、このような化合物は、オクタデカノイド（ｏｃｔａｄｅｃａｎｏｉｄ）シグナル経路由来の化合物、細菌植物毒素コロナチン（ｃｏｒｏｎａｔｉｎｅ）などの、構造的に関係しないアミノ酸共役物、合成インダノイル−イソロイシン（ｉｎｄａｎｏｙｌ−ｉｓｏｌｅｕｃｉｎｅ）もしくはリノレン酸（ｌｉｎｏｌｅｎｉｃ）のアミノ酸共役物、および／または、セスキテルペノイドおよびジテルペノイドなどの揮発性テルペノイドである。好ましくは、植物から放出され、または、本発明のポリヌクレオチドもしくはポリペプチドおよび／またはアゴニストもしくはアンタゴニストにより誘起される、任意のフェロモンおよび／または揮発性物質は、植物の捕食者および／または害虫に対する行動効果を有する。植物の害虫捕食者および／または植物の害虫に対する行動効果を調節する作用を有する、植物により放出される既知のフェロモンまたは揮発性物質の他の例が、当業者に知られている（Ｂｏｌａｎｄ， Ｗ．ら、Ｎｏｖａｒｔｉｓ Ｆｏｕｎｄ Ｓｙｍｐ， ２２３： １１０−２６ （１９９９）、Ｗａｄｈａｍｓ， ＬＪ．、Ｎｏｖａｒｔｉｓ Ｆｏｕｎｄ Ｓｙｍｐ， ２２３： ６０−７ （１９９９）、Ｔｕｍｌｉｎｓｏｎ ＪＨら、Ｎｏｖａｒｔｉｓ Ｆｏｕｎｄ Ｓｙｍｐ， ２２３： ９５−１０５ （１９９９））。
【０４１６】
また別の実施形態では、本発明のポリヌクレオチドもしくはポリペプチドおよび／またはアゴニストもしくはアンタゴニストは、フラノン（ｆｕｒａｎｏｎｅ）の生合成を調節し得る。フラノンは、種々の生物に対して、フェロモン様効果、抗細菌効果、抗ウイルス効果等を有することが示されている多種の植物において、天然に存在する化合物である。例えば、５−メチル−４−ヒドロキシ−３（２Ｈ）−フラノンは、ゴキブリ  ユーリコリス・フロリンダ（Ｅｕｒｙｃｏｌｉｓ ｆｌｏｒｉｎｄａ）ウォーカー（Ｗａｌｋｅｒ）の、雄性のフェロモンであり、その２，５−ジメチル誘導体はイチゴにおける菌類の増殖を防止し、果実の誘因的芳香の重要な成分である。フジマツモ科イトグサ属デリシア・プルクラ（Ｄｅｌｉｓｅａ ｐｕｌｃｈｒａ）グレビル（Ｇｒｅｖｉｌｌｅ）モンターニュ（Ｍｏｎｔａｇｎｅ）は、集団での感知に関する細菌により使用された、アシル化ホモセリンラクトン（ａｃｙｌａｔｅｄ ｈｏｍｏｓｅｒｉｎｅ ｌａｃｔｏｎｅ）（ＡＨＬ）シグナル系に干渉することにより、細菌による植物のコロニー形成を防止する一連の臭素化フラノンを産生する。加えて、フラノンは、細菌およびウイルスにおいて、変異原性を有し、このため、抗細菌剤および抗ウイルス剤として役立ち得ることが示されている（Ｃｏｌｉｎ， Ｓｌａｕｇｈｔｅｒ Ｊ， Ｂｉｏｌ Ｒｅｖ Ｃａｍｂ Ｐｈｉｌｏｓ Ｓｏｃ， ７４ （３）： ２５９−７６ （１９９９））。
【０４１７】
走化性
本発明のポリヌクレオチドもしくはポリペプチドおよび／またはアゴニストもしくはアンタゴニストは、走化性活性を有し得る。走化性分子は、炎症、感染、または超増殖（ｈｙｐｅｒｐｒｏｌｉｆｅｒａｔｉｏｎ）の部位などの、植物または動物の体内の特定の部位に、細胞を誘引または移動する。移動された細胞は、その後、特定の外傷または異常と戦い、かつ／または治癒し得る。
【０４１８】
本発明のポリヌクレオチドもしくはポリペプチドおよび／またはアゴニストもしくはアンタゴニストは、特定の細胞の走化性活性を増強し得る。これらの走化性分子は、その後、植物の体内の特定の位置を標的とした細胞の数を増加させることにより、炎症、感染、超増殖、病気、疾患、および／または症状あるいは任意の植物の疾患を、検知し、防止し、かつ／または緩和することに用いられ得る。例えば、走化性分子は、傷ついた位置に細胞を誘引することによる、組織への傷および他の外傷を、治療し、防止し、かつ／または診断することに用いられ得る。
【０４１９】
本発明のポリヌクレオチドもしくはポリペプチドおよび／またはアゴニストもしくはアンタゴニストは、走化性活性を阻害し得ることも、同様に理解される。これらの分子はまた、病気、疾患、および／または症状を検知し、防止し、かつ／または緩和することにも用いられ得る。このため、本発明のポリヌクレオチドもしくはポリペプチドおよび／またはアゴニストもしくはアンタゴニストは、走化性の阻害剤として用いられ得る。
【０４２０】
他の実施形態では、本発明のポリヌクレオチドもしくはポリペプチドおよび／またはアゴニストもしくはアンタゴニストは、植物の近隣にあるものを感知する植物の能力（すなわち、化学的知覚（ｃｈｅｍｏｐｅｒｃｅｐｔｉｏｎ））を調節し得る。このような化学的知覚の調節は、植物のホルモン（例えば、ジャスモネート等）の存在を感知すること、熱交換の差、および／またはアレロケミカルの検知という形態で起こり得る（例えば、Ｂｏｌｌｅｒ， Ａｎｎ． Ｒｅｖ． Ｐｌａｎｔ Ｐｈｙｓｉｏｌ． Ｐｌａｎｔ Ｍｏｌ． Ｂｉｏｌ．， ４６： １８９−２１４， （１９９５）を参照）。
【０４２１】
結合活性
本発明のポリペプチドは、ポリペプチドに結合する分子またはポリペプチドが結合する分子のスクリーニングに用いられ得る。ポリペプチドおよび分子の結合は、結合したポリペプチドまたは分子の活性を、活性化し（アゴニスト）、増強し、阻害し（アンタゴニスト）、または低下させ得る。このような分子の例は、抗体、オリゴヌクレオチド、タンパク質（例えば、受容体）、または小分子を含む。
【０４２２】
好ましくは、この分子は、ポリペプチドの天然のリガンド、例えば、リガンドの断片、または天然の基質、リガンド、構造的または機能的類似体に、非常に関係している（例えば、Ｃｏｌｉｇａｎら、Ｃｕｒｒｅｎｔ Ｐｒｏｔｏｃｏｌｓ ｉｎ Ｉｍｍｕｎｏｌｏｇｙ １ （２）： Ｃｈａｐｔｅｒ ５ （１９９１）を参照）。同様に、この分子は、ポリペプチドが結合する天然の受容体、または少なくとも、ポリペプチドにより結合可能な受容体の断片（例えば、活性部位）に非常に関係している。いずれの場合にも、この分子は、既知の技術を用いて合理的にデザインされ得る。
【０４２３】
好ましくは、これらの分子のスクリーニングは、ポリペプチドを分泌タンパク質としてまたは細胞膜上のいずれか一方で、このポリペプチドを発現する適当な細胞を産生することを含む。好ましい細胞は、植物、酵母、または大腸菌由来の細胞を含む。ポリペプチドを発現する細胞（または発現されたポリペプチドを含む細胞膜）は、次いで、好ましくは、この分子を潜在的に含む試験化合物と接触させ、ポリペプチドまたは分子のいずれかの結合、刺激、またはその活性の阻害を調べる。さらに、このような分子の同定は、酵母の２または３ハイブリッド系（ｙｅａｓｔ ２ ｏｒ ３ ｈｙｂｒｉｄ ｓｙｓｔｅｍ）の適用を介して達成され得る（例えば、Ｗａｌｌａｃｈ Ｄら、Ｃｕｒｒ Ｏｐｉｎ Ｉｍｍｕｎｏｌ．， １０ （２）： １３１−６， （１９９８）、Ｙｏｕｎｇ ＫＨ、Ｂｉｏｌ Ｒｅｐｒｏｄ．， ５８ （２）： ３０２−１１， （１９９８）、およびＦｅｒｎａｎｄｅｓ， ＰＢ．， Ｃｕｒｒ Ｏｐｉｎ Ｃｈｅｍ Ｂｉｏｌ．， ２（５）： ５９７−６０３ （１９９８）を参照（これらは、その中で開示された方法および引用された参照を含め、その全体が参照により本明細書中に援用される））。さらに、このような分子の同定は、これに限定されないが、以下の発行された米国特許（第５，２８４，７４６号、第５，５７６，２１０号、第５，６９１，１８８号、第５，８４６，８１９号）および国際公開第９５／３４６４６号（これらは、その中で開示された方法および引用された参照を含め、その全体が参照により本明細書中に援用される）を含む付加的なスクリーニング技術の適用を介して達成され得る。
【０４２４】
アッセイは、候補化合物のポリペプチドに対する結合を簡単に試験することができ、ここで、結合は標識によって、または、標識競合体を用いた競合を含むアッセイにおいて検出される。さらに、アッセイは、ポリペプチドに結合することにより生成されるシグナルとなる候補化合物かどうかの試験であってもよい。
【０４２５】
また、アッセイは、無細胞調製物、固体支持体に固着させたポリペプチド／分子、化学的ライブラリ、または天然産物の混合物を用いて行われ得る。アッセイは、また、候補化合物をポリペプチドを含む溶液と混合し、ポリペプチド／分子活性または結合を測定し、ポリペプチド／分子活性または結合を標準と比較する工程から簡単に構成され得る。
【０４２６】
好ましくは、ＥＬＩＳＡアッセイにより、モノクローナルまたはポリクローナル抗体を用いて、試料（例えば、生物学的試料）中のポリペプチドのレベルまたは活性を測定することができる。抗体は、直接的または間接的にポリペプチドに結合することにより、または、基質に関してポリペプチドと競合することにより、ポリペプチドのレベルまたは活性を測定することができる。
【０４２７】
受容体の同定のための他のアプローチとして、標識ポリペプチドが、受容体分子を発現する細胞膜または抽出調製物と光アフィニティー結合により結合され（ｐｈｏｔｏａｆｆｉｎｉｔｙ ｌｉｎｋｅｄ）得る。架橋された物質は、ＰＡＧＥ分析により解析され、Ｘ線フィルムに暴露される。ポリペプチドの受容体を含む標識複合体は、切断され、ペプチド断片に分解され、タンパク質のマイクロシーケンシングに供される。マイクロシーケンシングから得られたアミノ酸配列は、推定される受容体をコードする遺伝子を同定するための、ｃＤＮＡライブラリをスクリーニングするための、縮重オリゴヌクレオチドの１組のプローブをデザインすることに用いられ得る。
【０４２８】
さらに、遺伝子シャッフリング、モチーフシャッフリング、エクソンシャッフリング、および／またはコドンシャッフリングの技術（総称的に「ＤＮＡシャッフリング」という）は、本発明のポリペプチドの活性を調節し、これにより、本発明のポリペプチドのアゴニストおよびアンタゴニストを効果的に生じさせることに用いられ得る。米国特許第５，６０５，７９３号、第５，８１１，２３８号、第５，８３０，７２１号、第５，８３４，２５２号、および第５，８３７，４８５号、およびＰａｔｔｅｎ， Ｐ．Ａ．ら、Ｃｕｕｒ． Ｏｐｉｎｉｏｎ Ｂｉｏｔｅｃｈｎｏｌ． ８： ７２４−３３ （１９９７）、Ｈａｒａｙａｍａ， Ｓ． Ｔｒｅｎｄｓ Ｂｉｏｔｅｃｈｎｏｌ． １６（２）： ７６−８２ （１９９８）、Ｈａｎｓｓｏｎ， Ｌ．Ｏ．ら、Ｊ． Ｍｏｌ． Ｂｉｏｌ． ２８７：２６５−７６ （１９９９）、Ｌｏｒｅｎｚｏ， Ｍ．Ｍ．およびＢｌａｓｃｏ， Ｒ． Ｂｉｏｔｅｃｈｎｉｑｕｅｓ ２４（２）： ３０８−１３ （１９９８）（これらの特許および刊行物はいずれも、参照により本明細書中に援用される）を参照。ｃＤＮＡのシャッフリング技術が、当業者に知られており、本明細書中のいずこかに、より詳細に記載されている。
【０４２９】
上記、および本明細書のいずれかで参照したすべてのアッセイは、診断または予後マーカーとして用いられ得る。これらのアッセイを用いて発見された分子は、病気を検出し、予防し、かつ／またはこれに対する耐性を付与すること、あるいは、ポリペプチド／分子を活性化または阻害することによる生物における特定の結果（例えば、道管の成長等）をもたらすことに用いられ得る。さらに、アッセイは、適宜操作された細胞または組織由来の、本発明のポリペプチドの産生を阻害または増強し得る因子を発見することができる。
【０４３０】
それゆえ、本発明は、本発明のポリペプチドに結合する化合物を同定する方法を含み、当該方法は、（ａ）ポリペプチドとの候補結合化合物をインキュベートする工程と、（ｂ）結合が生じたかどうかを判別する工程とを含む。さらに、本発明は、アゴニスト／アンタゴニストを同定する方法を含み、当該方法は、（ａ）候補化合物をポリペプチドとともにインキュベートする工程と、（ｂ）生物学的活性をアッセイする工程と、（ｂ）ポリペプチドの生物学的活性が変化したかどうかを判別する工程とを含む。
【０４３１】
アンチセンスおよびリボザイム（アンタゴニスト）
好ましい実施形態では、本発明は、配列番号Ｘに示すポリヌクレオチド配列、その相補鎖、および／または寄託クローン内に含まれるポリヌクレオチド配列に対応するアンタゴニストを含む。アンチセンス技術は、タンパク質ｍＲＮＡの直接の阻害を介した特定のタンパク質の発現の調節（すなわち、完全な、または部分的な阻害）に帰着する。アンチセンス核酸は、ＤＮＡ、ＲＮＡ、ＰＮＡ、三重らせん、四重らせん、これらの上記型の任意のキメラ混合物（例えば、ＤＮＡ：ＲＮＡ、ＰＮＡ：ＲＮＡ、ＰＮＡ：ＤＮＡ等）の形態であってもよく、そして、一本鎖または二本鎖であってもよい。アンチセンス核酸は、対象の遺伝子のＲＮＡに結合することによる遺伝子発現を調節し、効果的に翻訳を阻害する。このような相互作用は、典型的なワトソン−クリック型の塩基対認識による場合があり、または、三重または四重らせんの場合には、フーグスティーン（Ｈｏｏｇｓｔｅｅｎ）型の塩基対認識による場合がある。
【０４３２】
アンチセンス核酸は、生物内で一時的に生成され（例えば、生物細胞中に導入され、誘導的または構成的に発現されたベクター内に含まれる配列）、生物内に定常的に生成され（例えば、ウイルスの組込み等を含む遺伝子組換え法を用いて生物細胞中に導入され、誘導的または構成的に発現されたベクター内に含まれる配列）、または外来的に与えられ得る。核酸がアンチセンスの役割を果たすためには、核酸が対象の遺伝子のセンスＲＮＡ産物に対する配列の相同性を有することのみが必要である。アンチセンス核酸を投与する多くの方法、その組成、およびデザインが、当業者に知られており、本発明により包含される（例えば、Ａｇｒａｗａｌ Ｓ ｅｔ ａｌ．， Ｍｏｌ Ｍｅｄ Ｔｏｄａｙ． ２０００ Ｆｅｂ；６（２）：７２−８１、Ｙａｃｙｓｈｙｎ ＢＲ ｅｔ ａｌ．， Ｃａｎ Ｊ Ｇａｓｔｒｏｅｎｔｅｒｏｌ． １９９９ Ｎｏｖ； １３（９）： ７４５−５１， Ｍｒｓｎｙ ＲＪ．， Ｊ Ｄｒｕｇ Ｔａｒｇｅｔ． １９９９；７（１）： １−１０， Ｔｏｕｌｍｅ ＪＪｅｔ ａｌ．， Ｎｕｃｌｅｉｃ Ａｃｉｄｓ Ｓｙｍｐ Ｓｅｒ． １９９７； （３６）： ３９−４１、Ｏｋａｎｏ， Ｎｅｕｒｏｃｈｅｍ．， ５６：５６０ （１９９１）、Ｏｌｉｇｏｄｅｏｘｙｎｕｃｌｅｏｔｉｄｅｓ ａｓ Ａｎｔｉｓｅｎｓｅ Ｉｎｈｉｂｉｔｏｒｓ ｏｆ Ｇｅｎｅ Ｅｘｐｒｅｓｓｉｏｎ， ＣＲＣ Ｐｒｅｓｓ， Ｂｏｃａ Ｒａｔｏｎ， ＦＬ （１９９８）、Ｃｏｏｐｅｒ ＳＲ ｅｔ ａｌ．， Ｐｈａｒｍａｃｏｌ Ｔｈｅｒ． １９９９ Ｍａｙ−Ｊａｎ； ８２（２−３）： ４２７−３５を参照）。同様に、遺伝子発現を調節するための、三重らせんアンチセンス技術の適用について、多くの方法が開発されている（例えば、Ｇｏｗｅｒｓ ＤＭ ｅｔ ａｌ．， Ｎｕｃｌｅｉｃ Ａｃｉｄｓ Ｒｅｓ． １９９９ Ａｐｒ １； ２７（７）： １５６９−７７， およびＣｈａｎ ＰＰ ｅｔ ａｌ．， Ｊ Ｍｏｌ Ｍｅｄ． １９９７ Ａｐｒ； ７５（４）： ２６７−８２を参照）。
【０４３３】
アンチセンス技術は、植物において広範な適用性を有する。例えば、Ｓｈｉｍａｄａ ｅｔ ａｌ．， Ｔｈｅｏｒ． Ａｐｐｌ． Ｇｅｎｅｔ．， ８６：６６５−６７２， （１９９３）、Ｋｕｌｌｅｔ ａｌ．， Ｊ． Ｇｅｎｅｔ． Ｂｒｅｅｄ．， ４９： ６７−７６， （１９９５）、Ｓｌａｂａｓ ａｎｄ Ｅｌｂｏｒｏｕｇｈ， 国際公開第９７／０７２２２号， Ｋｎｕｔｚｏｎ ｅｔ ａｌ．， Ｐｒｏｃ． Ｎａｔｌ． Ａｃａｄ． Ｓｃｉ． ＵＳＡ， ８９：２６２４−２６２８， （１９９２）， およびＢａｕｌｃｏｍｂｅ ＤＣ．， Ｐｌａｎｔ Ｍｏｌ Ｂｉｏｌ． １９９６ Ｏｃｔ； ３２（１２）：７９−８８に記載されているように、アンチセンスＲＮＡは、種々の植物遺伝子を効果的にダウンレギュレートすることが示されている。
【０４３４】
本発明のアンチセンス核酸は、対象の遺伝子のＲＮＡ転写物の少なくとも一部に対して相補的な配列を含む。しかし、完全な相補性は、好ましいけれども、必要ではない。本明細書中でいう「ＲＮＡの少なくとも一部に対して相補的な」の配列とは、ＲＮＡとハイブリダイズし、安定な二重鎖を形成することができるのに十分な相補性を有する配列を意味する。すなわち、本発明の二本鎖アンチセンス核酸の場合には二重鎖ＤＮＡの一本鎖がそれゆえ試験されるか、あるいは三重鎖の形成がアッセイされ得る。ハイブリダイズする能力は、相補性の程度およびアンチセンス核酸の長さの両方に依存する。一般に、ハイブリダイズする核酸が長いほど、本発明のＲＮＡ配列に不適合な塩基をより多く含み得るが、それでも、安定な二重体（または場合によっては３重体）を形成し得る。当業者は、ハイブリダイズした複合体の融点を決定する標準的な手順の使用により、許容可能な不適合の程度を確認することができる。
【０４３５】
メッセージの５’末端に相補的なアンチセンスオリゴヌクレオチド、例えば、ＡＵＧ開始コドンを含む５’非翻訳配列は、翻訳を阻害する際に最も効果的に働くべきである。しかし、ｍＲＮＡの３’非翻訳配列に対して相補的な配列が、同様に、ｍＲＮＡの翻訳を阻害する際に効果的であることが示されている。概して、Ｗａｇｎｅｒ， Ｒ．， Ｎａｔｕｒｅ， ３７２： ３３３−３３５ （１９９４）を参照。それゆえ、本発明のポリヌクレオチド配列の、５’または３’のいずれかの非翻訳、非コード領域に相補性のオリゴヌクレオチドは、内因性ｍＲＮＡの翻訳を阻害するためのアンチセンスアプローチにおいて用いられ得る。ｍＲＮＡの５’非翻訳領域に相補的なオリゴヌクレオチドは、ＡＵＧ開始コドンの補体を含むべきである。ｍＲＮＡコード領域に対して相補的なアンチセンスオリゴヌクレオチドは、より効果の低い翻訳の阻害剤であるが、本発明に従って用いられ得る。ｍＲＮＡの５’、３’またはコード領域にハイブリダイズするようにデザインするかどうかによらず、アンチセンス核酸は、少なくとも６ヌクレオチド長であるべきであり、好ましくは６〜約５０の範囲のヌクレオチド長のオリゴヌクレオチドである。特定の態様では、オリゴヌクレオチドは、少なくとも１０ヌクレオチド、少なくとも１７ヌクレオチド、少なくとも２５ヌクレオチドまたは少なくとも５０ヌクレオチドである。
【０４３６】
アンチセンスオリゴヌクレオチドは、塩基部分、糖部分、またはホスフェート骨格で修飾され得る。オリゴヌクレオチドは、ペプチド等の他の付加基、または細胞膜（例えば、Ｌｅｔｓｉｎｇｅｒ ｅｔ ａｌ．， １９８９， Ｐｒｏｃ． Ｎａｔｌ． Ａｃａｄ． Ｓｃｉ． ＵＳＡ ８６： ６５５３−６５５６、Ｌｅｍａｉｔｒｅ ｅｔ ａｌ．， １９８７， Ｐｒｏｃ． Ｎａｔｌ． Ａｃａｄ． Ｓｃｉ． ８４： ６４８−６５２、ＰＣＴ公開番号第８８／０９８１０号（１９８８年１２月１５日公開）を参照）、または血液脳関門（例えば、ＰＣＴ公開番号第８９／１０１３４号（１９８８年４月２５日公開）を参照）を介した輸送を容易とする薬剤、ハイブリダイゼーション誘発切断試薬（ｈｙｂｒｉｄｉｚａｔｉｏｎ−ｔｒｉｇｇｅｒｅｄ ｃｌｅａｖａｇｅ ａｇｅｎｔ）（例えば、Ｋｒｏｌ ｅｔ ａｌ．， １９８８， ＢｉｏＴｅｃｈｎｉｑｕｅｓ ６： ９５８−９７６を参照）または挿入剤（ｉｎｔｅｒｃａｌａｔｉｎｇ ａｇｅｎｔ）（例えば、Ｚｏｎ， １９８８， Ｐｈａｒｍ． Ｒｅｓ． ５： ５３９−５４９を参照）を含み得る。
【０４３７】
オリゴヌクレオチドは、ノーマルのＤＮＡ塩基が付加された、結合されたＮ−（２−アミノエチル）グリシン骨格に基づく、ペプチド−核酸（「ＰＮＡ」）（Ｅｇｈｏｌｍｅｔ ａｌ．， １９９３， Ｎａｔｕｒｅ ３６５： ５６６−６７）であってもよい。このＰＮＡは、特定のワトソン−クリック型の塩基対形成に従うが、より大きい結合遊離エネルギーを伴い、これに対応してより高い融点を有する。適したオリゴマーは、完全にＰＮＡから、または、ＰＮＡとＤＮＡの混合物から、および／またはＲＮＡオリゴマーから構築され得る。実際、ＰＮＡ：ＤＮＡのキメラは、同一の配列を有するＤＮＡ：ＤＮＡまたはＤＮＡ：ＲＮＡキメラと比較して、増強された可溶性特性を有する。最も注目すべきことに、ＰＮＡは、ＤＮＡの二重らせんの一本の鎖を置換し、これによりアンチセンスの適用に高度に適するものとする特異な能力を有する（Ｕｈｌｍａｎｎ Ｅ．， Ｂｉｏｌ Ｃｈｅｍ． １９９８ Ａｕｇ−Ｓｅｐ； ３７９ （８−９）： １０４５−５２）。
【０４３８】
好ましい実施形態では、オリゴヌクレオチドは、ホスホロチオエート、ホスホロジチオエート、ホスホルアミドチオエート、ホスホルアミデート（ｐｈｏｓｐｈｏｒａｍｉｄａｔｅ）、ホスホスジアミデート（ｐｈｏｓｐｈｏｒｄｉａｍｉｄａｔｅ）、メチルホスホン酸エステル（ｍｅｔｈｙｌｐｈｏｓｐｈｏｎａｔｅ）、アルキルリン酸トリエステル（ａｌｋｙｌ ｐｈｏｓｐｈｏｔｒｉｅｓｔｅｒ）、およびホルムアセタール（ｆｏｒｍａｃｅｔａｌ）またはこれらの類似体から構成される群から選択される少なくとも１つの修飾されたリン酸エステル骨格を含む。
【０４３９】
別の実施形態では、本発明のアンチセンスオリゴヌクレオチドは、５−フルオロウラシル、５−ブロモウラシル、５−クロロウラシル、５−ヨードウラシル、ヒポキサンチン、キサンチン、４−アセチルシトシン、５−（カルボキシヒドロキシルメチル）ウラシル、５−カルボキシメチルアミノメチル−２−チオウリジン、５−カルボキシメチルアミノメチルウラシル、ジヒドロウラシル、β−Ｄ−ガラクトシルケオシン（ｂｅｔａ−Ｄ−ｇａｌａｃｔｏｓｙｌｑｕｅｏｓｉｎｅ）、イノシン、Ｎ６−イソペンテニルアデニン、１−メチルグアニン、１−メチルイノシン、２，２−ジメチルグアニン、２−メチルアデニン、２−メチルグアニン、３−メチルシトシン、５−メチルシトシン、Ｎ６−アデニン、７−メチルグアニン、５−メチルアミノメチルウラシル、５−メトキシアミノメチル−２−チオウラシル、β−Ｄ−マンノシルケオシン（ｂｅｔａ−Ｄ−ｍａｎｎｏｓｙｌｑｕｅｏｓｉｎｅ）、５’−メトキシカルボキシメチルウラシル、５−メトキシウラシル、２−メチルチオ−Ｎ６−イソペンテニルアデニン、ウラシル−５−オキシ酢酸（ｖ）、ワイブトキソシン（ｗｙｂｕｔｏｘｏｓｉｎｅ）、偽ウラシル（ｐｓｅｕｄｏｕｒａｓｉｌ）、ケオシン（ｑｕｅｏｓｉｎｅ）、２−チオシトシン、５−メチル−２−チオウラシル、２−チオウラシル、４−チオウラシル、５−メチルウラシル、ウラシル−５−オキシ酢酸メチルエステル、３−（３−アミノ−３−Ｎ−２−カルボキシプロピル）ウラシル、および２，６−ジアミノプリンを含むが、これらに限られない群から選択される、少なくとも１つの修飾塩基部分（ｍｏｉｅｔｙ）を含み得る。
【０４４０】
別の実施形態では、アンチセンスオリゴヌクレオチドは、アラビノース、２−フルオロアラビノース、キシルロース、およびヘキソースを含むが、これらに限られない群から選択される、少なくとも１つの修飾糖部分を含む。
【０４４１】
また別の実施形態では、アンチセンスオリゴヌクレオチドは、別の分子、例えば、ペプチド、ハイブリダイゼーションに誘発される架橋剤（ｈｙｂｉｄｉｚａｔｉｏｎ ｔｒｉｇｇｅｒｅｄ ｃｒｏｓｓ−ｌｉｎｋｉｎｇ ａｇｅｎｔ）、輸送剤、ハイブリダイゼーションに誘発される切断剤（ｈｙｂｉｄｉｚａｔｉｏｎ ｔｒｉｇｇｅｒｅｄ ｃｌｅａｖａｇｅ ａｇｅｎｔ）等に結合され得る。。
【０４４２】
本発明のアンチセンスオリゴヌクレオチドは、例えば、自動ＤＮＡ合成装置（例えば、Ｂｉｏｓｅａｒｃｈ， Ａｐｐｌｉｅｄ Ｂｉｏｓｙｓｔｅｍｓ等から市販されているもの）の使用により、当該技術分野で知られている標準的な方法により合成され得る。例として、ホスホロチオエートのオリゴ体（ｏｌｉｇｏｓ）は、Ｓｔｅｉｎらの方法（１９８８， Ｎｕｃｌ． Ａｃｉｄｓ Ｒｅｓ． １６： ３２０９）により合成可能であり、メチルホスホネートのオリゴ体は、制御された細孔性ガラスポリマー担体（ｃｏｎｔｒｏｌｌｅｄ ｐｏｒｅ ｇｌａｓｓ ｐｏｌｙｍｅｒ ｓｕｐｐｏｒｔ）の使用（Ｓａｒｉｎ ｅｔ ａｌ．， １９８８， Ｐｒｏｃ． Ｎａｔｌ． Ａｃａｄ． Ｓｃｉ． ＵＳＡ ８５： ７４４８−７４５１）等により調製可能である。
【０４４３】
特定の実施形態では、オリゴヌクレオチドは、触媒的ＲＮＡ、またはリボザイム（例えば、ＰＣＴ国際公開第９０／１１３６４号（１９９０年１０月４日公開）、Ｓａｒｖｅｒ ｅｔ ａｌ．， １９９０， Ｓｃｉｅｎｃｅ ２４７： １２２２−１２２５、Ｈａｓｓｅｌｈｏｆｆ ｅｔ ａｌ．， Ｎａｔｕｒｅ ３４２： ７６−７９ （１９８８）を参照）を含む。リボザイムは、遺伝子発現をダウンレギュレートするために、より最近は、植物タンパク質のダウンレギュレートするため（例えば、ＰＣＴ国際公開第９７／１０３２８号を参照）に用いられている。別の実施形態では、オリゴヌクレオチドは、２’−０−メチルリボヌクレオチド（Ｉｎｏｕｅ ｅｔ ａｌ．， １９８７， Ｎｕｃｌ． Ａｃｉｄｓ Ｒｅｓ． １５： ６１３１−６１４８）、またはキメラＲＮＡ−ＤＮＡ類似体（Ｉｎｏｕｅ ｅｔ ａｌ．， １９８７， ＦＥＢＳ Ｌｅｔｔ． ２１５： ３２７−３３０）である。
【０４４４】
他の活性
別の実施形態では、ポリペプチド、これらのポリペプチドをコードするポリヌクレオチド、変異体、および／またはこれらの断片は、共抑制の方法論（ｃｏ−ｓｕｐｐｒｅｓｓｉｏｎ ｍｅｔｈｏｄｏｌｏｇｙ）を用いる遺伝子発現の阻害に用いられ得る。共抑制のメカニズムは知られていないが、植物の遺伝子発現を阻害するためのその適用は、実証され、かつ記載されている（例えば、Ｓｅｙｍｏｕｒ ｅｔ ａｌ．， Ｐｌａｎｔ． Ｍｏｌ． Ｂｉｏｌ．， ２３： １−９， （１９９３）、Ｂｒｕｓｓｌａｎ ｅｔ ａｌ．， Ｐｌａｎｔ Ｃｅｌｌ， ５： ６６７−６７７， （１９９３）、Ｖａｕｃｈｅｒｅｔ ｅｔ ａｌ．， Ｍｏｌ． Ｇｅｎ． Ｇｅｎｅｔ．， ２４８： ３１１−３１７， （１９９５）、およびＪｏｒｇｅｎｓｅｎ ｅｔ ａｌ．， Ｐｌａｎｔ Ｍｏｌ． Ｂｉｏｌ．， ３１： ９５７−９７３， （１９９６））。共抑制は、例えば、ＣａＭＶ３５Ｓプロモーター、その阻害された発現が所望される第１の遺伝子（Ｒ）のフレーム内および上流の５’コード領域、その阻害された発現が所望される第２の遺伝子（Ｓ）の完全なコード領域、およびターミネーターを含む、構成的に発現されたベクター構築物の創出を含む。このベクターを用いた植物の正の組換え（ｐｏｓｉｔｉｖｅ ｔｒａｎｓｆｏｒｍａｔｉｏｎ）（すなわち、遺伝子組換え植物）の際、検出可能なｍＲＮＡの発現はＲおよびＳのいずれに関しても検出されないであろう（Ｓｅｙｍｏｕｒ、上述、を参照）。
【０４４５】
本発明のポリペプチドもしくはポリヌクレオチドおよび／またはアゴニストもしくはアンタゴニストは、また、プロトプラスト細胞、エミロブラスト（ｅｍｙｌｏｂｌａｓｔ）細胞等の分化または増殖を増強または低下させ得る。
【０４４６】
本発明のポリペプチドもしくはポリヌクレオチドおよび／またはアゴニストもしくはアンタゴニストは、概して、植物、植物細胞、ならびに真核細胞および生物の、プログラムされた細胞死を調節することに有用であり得る。このような調節は、本発明のポリペプチドもしくはポリヌクレオチドおよび／またはアゴニストもしくはアンタゴニストと、生物のプログラムされた細胞死の調節に重要な遺伝子またはタンパク質と、の間の直接または間接のいずれかの相互作用を介するであろう。特に植物における、プログラムされた細胞死についての相互作用の詳細な標的が、国際公開番号第００／０４１７３号に提供されている（例えば、ポリ−ＡＤＰ−リボースポリメラーゼ（ＰＡＲＰ）遺伝子、詳細にはＺＡＰクラスのＰＡＲＰ遺伝子、等）。
【０４４７】
本発明のポリペプチドもしくはポリヌクレオチドおよび／またはアゴニストもしくはアンタゴニストは、また、植物の特性、例えば、幹の高さ、色素沈着、ストレス耐性等を調節することに用いられ得る。同様に、本発明のポリペプチドもしくはポリヌクレオチドおよび／またはアゴニストもしくはアンタゴニストは、エネルギーの異化作用、合成代謝、処理、利用および貯蔵に影響する植物の代謝の調節に用いられ得る。
【０４４８】
本発明のポリペプチドもしくはポリヌクレオチドおよび／またはアゴニストもしくはアンタゴニストは、また、食物の添加料または保存料として、例えば、貯蔵能力、脂肪含有量、脂質、タンパク質、炭水化物、ビタミン、ミネラル、共同因子または他の栄養成分を増強または低減するために用いられ得る。
【０４４９】
他の好ましい実施形態
特許請求する本発明の他の好ましい実施形態は、配列番号Ｘ（Ｘは第１表に定義されている任意の整数）のヌクレオチド配列中の少なくとも約５０個の連続したヌクレオチドの配列に対して、少なくとも９５％同一のヌクレオチド配列を含む、単離された核酸分子を含む。
【０４５０】
同様に好ましいのは、連続したヌクレオチドの上記配列が、配列番号Ｘに関して定義されているように、「クローンの５’ヌクレオチド」の位置付近のヌクレオチドで開始し、「クローンの３’ヌクレオチド」の位置付近のヌクレオチドで終わる、位置の範囲内で、配列番号Ｘのヌクレオチド配列中に含まれる核酸分子である。
【０４５１】
同様に好ましいのは、連続したヌクレオチドの上記配列が、第１表の配列番号Ｘに関して定義されているように、「クローンＯＲＦの開始コドンの５’ヌクレオチド」の位置付近のヌクレオチドで開始し、「クローンＯＲＦの３’ヌクレオチド」の位置付近のヌクレオチドで終わる、位置の範囲内で、配列番号Ｘのヌクレオチド配列中に含まれる核酸分子である。
【０４５２】
同様に好ましいのは、連続したヌクレオチドの上記配列が、第１表の配列番号Ｘに関して定義されているように、「シグナルペプチドの第１のＡＡの５’ヌクレオチド」の位置付近のヌクレオチドで開始し、「クローンＯＲＦの３’ヌクレオチド」の位置付近のヌクレオチドで終わる、位置の範囲内で、配列番号Ｘのヌクレオチド配列中に含まれる核酸分子である。
【０４５３】
同様に好ましいのは、配列番号Ｘのヌクレオチド配列中の少なくとも約１５０個の連続したヌクレオチドの配列に対して、少なくとも９５％同一のヌクレオチド配列を含む、単離された核酸分子である。
【０４５４】
さらに好ましいのは、配列番号Ｘのヌクレオチド配列中の少なくとも約５００個の連続したヌクレオチドの配列に対して、少なくとも９５％同一のヌクレオチド配列を含む、単離された核酸分子である。
【０４５５】
さらに好ましい実施形態は、連続したヌクレオチドの上記配列が、第１表の配列番号Ｘに関して定義されているように、「クローンＯＲＦの５’ヌクレオチド」の位置付近のヌクレオチドで開始し、「クローンＯＲＦの３’ヌクレオチド」の位置付近のヌクレオチドで終わる、配列番号Ｘのヌクレオチド配列に対して、少なくとも９５％同一のヌクレオチド配列を含む、核酸分子である。
【０４５６】
さらに好ましい実施形態は、配列番号Ｘの完全なヌクレオチド配列に対して、少なくとも９５％同一のヌクレオチド配列を含む、単離された核酸分子である。
【０４５７】
同様に好ましいのは、ストリンジェントなハイブリダイゼーション条件下で核酸分子とハイブリダイズする単離された核酸分子であり、ここで、このハイブリダイズする核酸分子は、ストリンジェントなハイブリダイゼーション条件下では、Ａ残基のみまたはＴ残基のみから構成されるヌクレオチド配列を有する核酸分子とはハイブリダイズしない。
【０４５８】
同様に好ましいのは、第１表にｃＤＮＡクローン識別子（Ｉｄｅｎｔｉｆｉｅｒ）により特定され、ｃＤＮＡのクローンを含むＤＮＡ分子を含む物質の組成物であり、ここで、このＤＮＡ分子は、Ａｍｅｒｉｃａｎ Ｔｙｐｅ Ｃｕｌｔｕｒｅ Ｃｏｌｌｅｃｔｉｏｎに寄託した物質中に含まれ、上記ｃＤＮＡクローン識別子に関して第１表に示すＡＴＣＣ寄託番号を与えられる。
【０４５９】
同様に好ましいのは、第１表にｃＤＮＡクローン識別子により特定されるｃＤＮＡクローンのヌクレオチド配列中の少なくとも５０個の連続したヌクレオチド配列に対して、少なくとも９５％同一のヌクレオチド配列を含む単離された核酸分子であり、そのＤＮＡ分子は、第１表に示されるＡＴＣＣ寄託番号を与えられた寄託物中に含まれる。
【０４６０】
同様に好ましいのは、少なくとも５０個の連続したヌクレオチドの上記配列が、上記ｃＤＮＡクローンによりコードされる完全なオープンリーディングフレーム配列のヌクレオチド配列中に含まれる、単離された核酸分子である。
【０４６１】
同様に好ましいのは、上記ｃＤＮＡクローンによりコードされたヌクレオチド配列中の、少なくとも１５０個の連続したヌクレオチドの配列に対して、少なくとも９５％同一のヌクレオチド配列を含む、単離された核酸分子である。
【０４６２】
さらに好ましい実施形態は、上記ｃＤＮＡクローンによりコードされたヌクレオチド配列中の、少なくとも５００個の連続したヌクレオチドの配列に対して、少なくとも９５％同一のヌクレオチド配列を含む、単離された核酸分子である。
【０４６３】
さらに好ましい実施の形態は、上記ｃＤＮＡクローンによりコードされた完全なヌクレオチド配列に対して、少なくとも９５％同一のヌクレオチド配列を含む、単離された核酸分子である。
【０４６４】
さらに好ましい実施形態は、配列番号Ｘ（Ｘは第１表に定義されているような任意の整数）のヌクレオチド配列、および、第１表中ｃＤＮＡクローン識別子により特定されるｃＤＮＡクローンによりコードされ、第１表中上記ｃＤＮＡクローンについて示されるＡＴＣＣ寄託番号を有する寄託物中に含まれるヌクレオチド配列から構成される群から選択される配列中の少なくとも５０個の連続したヌクレオチドの配列に対して、少なくとも９５％同一であるヌクレオチド配列を有する核酸分子を、生物学的試料中で検出する方法であり、ここで、この方法は、上記試料中の少なくとも１つの核酸分子のヌクレオチド配列を上記群から選択される配列と比較し、上記試料中の上記核酸分子の配列が、上記選択される配列と少なくとも９５％同一であるかどうかを判別する工程を含む。
【０４６５】
同様に好ましいのは、上記配列を比較する工程が、上記試料中の核酸分子と、上記群から選択された上記配列を含む核酸分子との間の核酸ハイブリダイゼーションの程度を判別することを含む、上記方法である。同様に、また好ましいのは、上記配列を比較する工程が、上記試料中の核酸分子から判別したヌクレオチド配列と、上記群から選択した上記配列と、を比較することにより行われる、上記方法である。核酸分子は、ＤＮＡ分子またはＲＮＡ分子を含むことができる。
【０４６６】
さらに好ましい実施形態は、生物学的試料の種、組織または細胞型を同定する方法であって、当該方法は、配列番号Ｘ（Ｘは第１表中で定義されるように任意の整数）のヌクレオチド配列、および、第１表中ｃＤＮＡクローン識別子により特定されるｃＤＮＡクローンによりコードされ、第１表中上記ｃＤＮＡクローンについて示されるＡＴＣＣ寄託番号を有する寄託物中に含まれるヌクレオチド配列から構成される群から選択される配列中の少なくとも５０個の連続したヌクレオチドの配列に対して、少なくとも９５％同一であるヌクレオチド配列を含む、上記試料中の核酸分子（もしあれば）を検出する工程を含む。
【０４６７】
生物学的試料の種、組織または細胞型を同定する方法は、少なくとも２つのヌクレオチド配列のパネル中のヌクレオチド配列を含む核酸分子を検出する工程を含むことが可能であり、ここで、上記パネル中の少なくとも１つの配列は、上記群から選択される配列中の少なくとも５０個の連続したヌクレオチドの配列に対して、少なくとも９５％同一である。
【０４６８】
同様に好ましいのは、第１表中に特定されるタンパク質をコードする遺伝子の異常な構造または発現に付随する、験体中の病理学的症状を診断する方法であり、この方法は、配列番号Ｘ（Ｘは第１表中で定義されるように任意の整数）のヌクレオチド配列、および、第１表中ｃＤＮＡクローン識別子により特定されるｃＤＮＡクローンによりコードされ、第１表中上記ｃＤＮＡクローンについて示されるＡＴＣＣ寄託番号を有する寄託物中に含まれるヌクレオチド配列から構成される群から選択される配列中の少なくとも５０個の連続したヌクレオチドの配列に対して、少なくとも９５％同一であるヌクレオチド配列を含む核酸分子（もしあれば）を、上記検体から得られる生物学的試料中で検出する工程を含む。
【０４６９】
病理学的症状を診断する方法は、少なくとも２つのヌクレオチド配列のパネル中のヌクレオチド配列を含む核酸分子を検出する工程を含むことが可能であり、ここで、上記パネル中の少なくとも１つの配列は、上記群から選択される配列中の少なくとも５０個の連続したヌクレオチドの配列に対して、少なくとも９５％同一である。
【０４７０】
同様に好ましいのは、単離された核酸分子を含む物質の組成物であって、ここで、上記核酸分子のヌクレオチド配列が、少なくとも２つのヌクレオチド配列のパネルを含み、ここで、上記パネル中の少なくとも１つの配列は、配列番号Ｘ（Ｘは第１表に定義されるような任意の整数）のヌクレオチド配列、および、第１表中ｃＤＮＡクローン識別子により特定されるｃＤＮＡクローンによりコードされ、第１表中上記ｃＤＮＡクローンについて示されるＡＴＣＣ寄託番号を有する寄託物中に含まれるヌクレオチド配列から構成される群から選択される配列中の少なくとも５０個の連続したヌクレオチドの配列に対して、少なくとも９５％同一である。核酸分子は、ＤＮＡ分子またはＲＮＡ分子を含むことができる。
【０４７１】
同様に好ましいのは、配列番号Ｙ（Ｙは第１表に定義されるような任意の整数）のアミノ酸配列中の少なくとも約１０個の連続したアミノ酸の配列に対して、少なくとも９０％同一であるアミノ酸配列を含む、単離ポリペプチドである。
【０４７２】
同様に好ましいのはポリペプチドであり、ここで、上記連続したアミノ酸の配列は、第１表中配列番号Ｙに関して上述したように、「オープンリーデングフレーム（ＯＲＦ）の全アミノ酸」位置の範囲内の、配列番号Ｙのアミノ酸配列中に含まれる。
【０４７３】
同様に好ましいのは、配列番号Ｙのアミノ酸配列中の少なくとも約３０個の連続したアミノ酸配列に対して、少なくとも９５％同一のアミノ酸配列を含む、単離ポリペプチドである。
【０４７４】
さらに好ましいのは、配列番号Ｙのアミノ酸配列中の少なくとも約１００個の連続したアミノ酸の配列に、少なくとも９５％同一のアミノ酸配列を含む、単離ポリペプチドである。
【０４７５】
さらに好ましいのは、配列番号Ｙの完全なアミノ酸配列に対して、少なくとも９５％で同一のアミノ酸配列を含む、単離ポリペプチドである。
【０４７６】
さらに好ましいのは、第１表中ｃＤＮＡクローン識別子により特定されるｃＤＮＡクローンによりコードされ、第１表中上記ｃＤＮＡクローンについて示されるＡＴＣＣ寄託番号を有する寄託物中に含まれるタンパク質の完全なアミノ酸配列中の、少なくとも約１０個の連続したアミノ酸の配列に対して、少なくとも９０％で同一のアミノ酸配列を含む、単離ポリペプチドである。
【０４７７】
同様に好ましいのは、上記連続したアミノ酸の配列が、第１表中ｃＤＮＡクローン識別子により特定されるｃＤＮＡクローンによりコードされ、第１表中上記ｃＤＮＡクローンについて示されるＡＴＣＣ寄託番号を有する寄託物中に含まれるタンパク質のアミノ酸配列中に含まれる、ポリペプチドである。
【０４７８】
同様に好ましいのは、第１表中ｃＤＮＡクローン識別子により特定されるｃＤＮＡクローンによりコードされ、第１表中上記ｃＤＮＡクローンについて示されるＡＴＣＣ寄託番号を有する寄託物中に含まれるタンパク質のアミノ酸配列中の、少なくとも約３０個の連続したアミノ酸配列に対して、少なくとも９５％で同一のアミノ酸配列を含む、単離ポリペプチドである。
【０４７９】
同様に好ましいのは、第１表中ｃＤＮＡクローン識別子により特定されるｃＤＮＡクローンによりコードされ、第１表中上記ｃＤＮＡクローンについて示されるＡＴＣＣ寄託番号を有する寄託物中に含まれるタンパク質のアミノ酸配列中の、少なくとも約１００個の連続したアミノ酸配列に対して、少なくとも９５％で同一のアミノ酸配列を含む、単離ポリペプチドである。
【０４８０】
同様に好ましいのは、第１表中ｃＤＮＡクローン識別子により特定されるｃＤＮＡクローンによりコードされ、第１表中上記ｃＤＮＡクローンについて示されるＡＴＣＣ寄託番号を有する寄託物中に含まれるタンパク質のアミノ酸配列に対して、少なくとも９５％で同一のアミノ酸配列を含む、単離ポリペプチドである。
【０４８１】
さらに好ましいのは、配列番号Ｙ（Ｙは第１表に定義されるような任意の整数）のアミノ酸配列、および、第１表中ｃＤＮＡクローン識別子により特定されるｃＤＮＡクローンによりコードされ、第１表中上記ｃＤＮＡクローンについて示されるＡＴＣＣ寄託番号を有する寄託物中に含まれるタンパク質の完全なアミノ酸配列から構成される群から選択される配列中の少なくとも１０個の連続したアミノ酸の配列に対して、少なくとも９０％同一であるアミノ酸配列を含むポリペプチドに特異的に結合する、単離抗体である。
【０４８２】
さらに好ましいのは、配列番号Ｙ（Ｙは第１表に定義されるような任意の整数）のアミノ酸配列、および、第１表中ｃＤＮＡクローン識別子により特定されるｃＤＮＡクローンによりコードされ、第１表中上記ｃＤＮＡクローンについて示されるＡＴＣＣ寄託番号を有する寄託物中に含まれるタンパク質の完全なアミノ酸配列から構成される群から選択される配列中の少なくとも１０個の連続したアミノ酸の配列に対して、少なくとも９０％同一であるアミノ酸配列を含むポリペプチドを、生物学的試料中に検出する方法であり、この方法は、上記試料中の少なくとも１つのポリペプチド分子のアミノ酸配列を、上記群から選択される配列と比較し、上記試料中の上記ポリペプチド分子の配列が、上記少なくとも１０個の連続したアミノ酸配列に対して、少なくとも９０％で同一であるかどうかを判別する工程を含む。
【０４８３】
同様に好ましいのは、上記試料中の少なくとも１つのポリペプチド分子のアミノ酸配列を、上記群から選択される配列と比較する上記工程が、配列番号Ｙ（Ｙは第１表に定義されるような任意の整数）のアミノ酸配列、および、第１表中ｃＤＮＡクローン識別子により特定されるｃＤＮＡクローンによりコードされ、第１表中上記ｃＤＮＡクローンについて示されるＡＴＣＣ寄託番号を有する寄託物中に含まれるタンパク質の完全なアミノ酸配列から構成される群から選択される配列中の少なくとも１０個の連続したアミノ酸の配列に対して、少なくとも９０％同一であるアミノ酸配列を含むポリペプチドに特異的に結合する抗体に対する、上記試料中のポリペプチドが特異的に結合する程度を判別することを含む、上記方法である。
【０４８４】
同様に好ましいのは、配列を比較する上記工程が、上記試料中のポリペプチド分子から判別されたアミノ酸配列を、上記群から選択された上記配列と比較することにより達成される、上記方法である。
【０４８５】
同様に好ましいのは、生物学的試料の種、組織または細胞型を同定する方法であって、この方法は、配列番号Ｙ（Ｙは第１表中で定義されるように任意の整数）のアミノ酸配列、および、第１表中ｃＤＮＡクローン識別子により特定されるｃＤＮＡクローンによりコードされ、第１表中上記ｃＤＮＡクローンについて示されるＡＴＣＣ寄託番号を有する寄託物中に含まれるタンパク質の完全なアミノ酸配列から構成される群から選択される配列中の少なくとも１０個の連続したアミノ酸の配列に対して、少なくとも９０％同一であるアミノ酸配列を含む、上記試料中のポリペプチド分子（もしあれば）を検出する工程を含む。
【０４８６】
同様に好ましいのは、生物学的試料の種、組織または細胞型を同定する上記方法であって、この方法は、少なくとも２つのアミノ酸配列のパネル中のアミノ酸配列を含むポリペプチド分子を検出する工程を含み、ここで、上記パネルの少なくとも１つの配列は、上記群から選択される配列中の少なくとも１０個の連続したアミノ酸の配列に対して、少なくとも９０％同一である。
【０４８７】
同様に好ましいのは、第１表に表わされるタンパク質をコードする遺伝子の異常な構造または発現を有する生物に付随する病理学的症状を診断する方法であり、この方法は、少なくとも２つのアミノ酸配列のパネル中のアミノ酸配列を含むポリペプチド分子を、上記験体から得られる生物学的試料中で検出する工程を含み、ここで、上記パネルの少なくとも１つの配列は、配列番号Ｙ（Ｙは第１表に定義されるような任意の整数）のアミノ酸配列、および、第１表中ｃＤＮＡクローン識別子により特定されるｃＤＮＡクローンによりコードされ、第１表中上記ｃＤＮＡクローンについて示されるＡＴＣＣ寄託番号を有する寄託物中に含まれるタンパク質の完全なアミノ酸配列から構成される群から選択される配列中の少なくとも１０個の連続したアミノ酸配列に対して、少なくとも９０％同一である。
【０４８８】
これらの方法のいずれにおいても、上記ポリペプチド分子を検出する工程は、抗体を使用することを含む。
【０４８９】
同様に好ましいのは、ポリペプチドをコードするヌクレオチド配列に対して、少なくとも９５％同一であるヌクレオチド配列を含む単離された核酸分子であり、ここで、上記ポリペプチドは、配列番号Ｙ（Ｙは第１表に定義されるような任意の整数）のアミノ酸配列、および、第１表中ｃＤＮＡクローン識別子により特定されるｃＤＮＡクローンによりコードされ、第１表中上記ｃＤＮＡクローンについて示されるＡＴＣＣ寄託番号を有する寄託物中に含まれるタンパク質の完全なアミノ酸配列から構成される群から選択される配列中の少なくとも１０個の連続したアミノ酸配列に対して、少なくとも９０％同一であるアミノ酸配列を含む。
【０４９０】
同様に好ましいのは、単離された核酸分子であり、ここで、ポリペプチドをコードする上記ヌクレオチド配列は、原核宿主中の上記ポリペプチドの発現に関して最大限に利用されている。
【０４９１】
同様に好ましいのは、単離された核酸分子であり、上記ポリペプチドは、配列番号Ｙ（Ｙは第１表に定義されるような任意の整数）のアミノ酸配列、および、第１表中ｃＤＮＡクローン識別子により特定されるｃＤＮＡクローンによりコードされ、第１表中上記ｃＤＮＡクローンについて示されるＡＴＣＣ寄託番号を有する寄託物中に含まれるタンパク質の完全なアミノ酸配列から構成される群から選択されるアミノ酸配列を含む。
【０４９２】
さらに好ましいのは、任意の上記単離された核酸分子（複数可）をベクター中に挿入することを含む、組換えベクターを作製する方法である。同様に好ましいのは、本方法により産生された組換えベクターである。同様に好ましいのは、宿主細胞中に上記ベクターを導入することを含む、組換え宿主細胞を作製する方法、ならびに、本方法により産生された組換え宿主細胞である。
【０４９３】
同様に好ましいのは、この組換え宿主細胞を、上記ポリペプチドが発現され、上記ポリペプチドが回収されるような条件下で培養することを含む、単離ポリペプチドを作製する方法である。同様に好ましいのは、単離ポリペプチドを作製する本方法であって、ここで、上記組換え宿主細胞は真核細胞であり、かつ、上記ポリペプチドは、配列番号Ｙ（Ｙは第１表に記載される整数であり、配列番号Ｙの「ＯＲＦの全アミノ酸」の位置は第１表に定義される）のアミノ酸配列、および、第１表中ｃＤＮＡクローン識別子により特定されるｃＤＮＡクローンによりコードされ、第１表中上記ｃＤＮＡクローンについて示されるＡＴＣＣ寄託番号を有する寄託物中に含まれるタンパク質の完全なアミノ酸配列から構成される群から選択されるアミノ酸配列を含むタンパク質である。本方法により産生される、単離ポリペプチドも、同様に好ましい。
【０４９４】
同様に好ましいのは、タンパク質活性の増強されたレベルを必要とする人の治療方法であり、この方法は、このような人に、上記人の上記タンパク質活性のレベルを増強するのに有効な量の、特許請求する本発明の単離ポリペプチド、ポリヌクレオチド、または抗体を含む薬学的組成物を投与することを含む。
【０４９５】
上に挙げた適用は、広範な種類の宿主における使用を有する。このような宿主は、オオムギ、オートムギ、ライムギ、モロコシ、エンドウ、ヒマワリ、タバコ、ワタ、ペチュニア、トマト、ブロッコリ、レタス、リンゴ、プラム、オレンジ、およびレモン、並びに、より好ましくは、イネ、トウモロコシ、コノラ（ｃｏｎｏｌａ）、コムギ、シュガービート（ｓｕｇａｒｂｅｅｔ）、サトウキビ、およびダイズ、さらに、本明細書のいずこかで参照した他の宿主を含むが、これに限られない。
【０４９６】
本発明を概括的に記載したが、同じことが、例示により示され、かつ限定として意図されない、以下の実施例を参照としてより容易に理解されるであろう。
【０４９７】
［実施例］
好ましい実施形態の説明
実施例１？フィスコミトレラ・パテンス培養物の成長
この研究のため、ハンブルグ大学の遺伝研究部門のコレクションより、フィスコミトレラ・パテンス（Ｈｅｄｗ．）Ｂ．Ｓ．Ｇ．種属の植物を使用した。これらは、Ｇｒａｎｓｄｅｎ Ｗｏｏｄ， Ｈｕｎｔｉｎｇｄｏｎｓｈｉｒｅ （Ｅｎｇｌａｎｄ）でＨ． Ｌ． Ｋ． Ｗｈｉｔｅｈｏｕｓｅにより収集された株１６／１４（これはＥｎｇｅｌにより胞子から継代培養された（１９６８， Ａｍ Ｊ Ｂｏｔ ５５，４３８−４４６））に由来する。植物の増殖は、胞子により、および配偶体の再生により行われた。糸状体は、葉緑体に富んだクロロネマ（ｃｈｌｏｒｏｎｅｍａ）および葉緑体の少ないカウロネマ（ｃａｕｌｏｎｅｍａ）として、単相胞子から発生し、約１２日後に芽が形成された。それらは成長して造精器および造卵器を付けた茎葉体となった。受精後、短い剛毛および胞子莢膜をもつ胞子複相胞子体が得られ、その中に還元胞子が成熟する。
【０４９８】
培養は、気候室中、気温２５℃および５５マイクロモル−１ｍ２の光度（白色光；Ｐｈｉｌｉｐｓ  ＴＬ  ６５Ｗ／２５蛍光灯）および１６／８時間の明／暗変化で行われた。コケは、Ｒｅｓｋｉ ａｎｄ Ａｂｅｌ （１９８５， Ｐｌａｎｔａ １６５，３５４−３５８）に従いＫｎｏｐ培地を使用した液体培養に変えられたか、または１％オキソイド（ｏｘｏｉｄ）寒天（Ｕｎｉｐａｔｈ， Ｂａｓｉｎｇｓｔｏｋｅ， Ｅｎｇｌａｎｄ）を使用したＫｎｏｐ固形培地で培養された。
【０４９９】
ＲＮＡおよびＤＮＡ単離のために使用される糸状体を、曝気液体培養で培養した。糸状体を９日ごとに細分し、新鮮な培地へ移した。
【０５００】
実施例２？フィスコミトレラ・パテンスからの全ＲＮＡおよびポリ？（Ａ）＋ＲＮＡの単離ならびにｃＤＮＡライブラリー構築
転写物の調査のため、全ＲＮＡおよびポリ−（Ａ）＋ＲＮＡの両方を単離した。全ＲＮＡを、ＧＴＣ法により野生型９日齢糸状体から得た（Ｒｅｓｋｉ ｅｔ ａｌ． １９９４， Ｍｏｌ． Ｇｅｎ． Ｇｅｎｅｔ．， ２４４： ３５２−３５９）。
【０５０１】
ポリ（Ａ）＋ＲＮＡを、Ｄｙｎａ  Ｂｅａｄｓ（登録商標）（Ｄｙｎａｌ， Ｏｓｌｏ， Ｎｏｒｗａｙ）を使用して製造業者プロトコルの指示に従い単離した。ＲＮＡまたはポリ（Ａ）＋ＲＮＡの濃度決定後、１／１０容積の３Ｍ  酢酸ナトリウム（ｐＨ４．６）および２容量のエタノール（ｅｈａｎｏｌ）を加えて？７０℃で貯蔵することによりＲＮＡを沈殿させた。
【０５０２】
アラビドプシス種子からのＲＮＡ調製？「熱」抽出：
１．緩衝液、酵素、および溶液
？２Ｍ  ＫＣｌ
？プロテイナ？ゼＫ
？フェノール（ＲＮＡ用）
？クロロホルム：イソアミルアルコール
（フェノール：クロロホルムは１：１；ＲＮＡ用にｐＨ調整）
？４Ｍ  ＬｉＣｌ、ＤＥＰＣ処理済み
？ＤＥＰＣ処理水
？３Ｍ  ＮａＯＡｃ、ｐＨ５、ＤＥＰＣ処理済み
？イソプロパノール
？７０％エタノール（ＤＥＰＣ処理水で作成）
？再懸濁緩衝液：０．５％ＳＤＳ、１０ｍＭ  Ｔｒｉｓ  ｐＨ７．５、ＤＥＰＣ処理水で作成した１ｍＭ  ＥＤＴＡ（この溶液はＤＥＰＣ処理できないため）
？抽出緩衝液：
０．２Ｍ  ホウ酸Ｎａ
３０ｍＭ  ＥＤＴＡ
３０ｍＭ  ＥＧＴＡ
１％ＳＤＳ＊（緩衝液２．５ｍｌに対して２５０μｌの１０％ＳＤＳ溶液）
１％デオキシコール酸（緩衝液２．５ｍｌに対して２５ｍｇ）
２％ＰＶＰＰ（不溶性−緩衝液２．５ｍｌに対して５０ｍｇ）
２％ＰＶＰ４０Ｋ（緩衝液２．５ｍｌに対して５０ｍｇ）
１０ｍＭ  ＤＤＴ＊
１００ｍＭ？メルカプトエタノール＊（新鮮なもの、ヒュームフード下で取り扱う？緩衝液５ｍｌに対して３５μｌの１４．３Ｍ溶液）
【０５０３】
２．抽出
抽出緩衝液を８０℃まで熱する。液体窒素で冷却した乳鉢中で組織を粉砕し、組織粉末を１，５ｍｌ管に移す。緩衝液を加えるまで組織は冷凍されたままでなければならず、そのため試料を予冷したスパチュラで移し、かつ管を常に液体窒素中に保つ。３５０μｌの予熱した抽出緩衝液（ここでは１００ｍｇの組織に対して。緩衝液の容量はより大量の試料に対して５００μｌ程度であり得る）を管に加え、８０℃でおよそ１分間ボルテックスおよび加熱する。次いで、氷冷する。試料をボルテックスし、さらに電動乳鉢で粉砕する。
【０５０４】
３．消化
プロテイナーゼＫ（０．１５ｍｇ／１００ｍｇの組織）を加え、３７℃で１時間ボルテックスを保つ。
【０５０５】
４．最初の精製
２７μｌの２Ｍ  ＫＣｌを加える。氷上で１０分間冷やす。室温にて１２．０００ｒｐｍで１０分間遠心分離する。上清を、新しい、ＲＮＡアーゼを含まない管に移し、フェノール抽出を１回、続いてクロロホルム：イソアミルアルコール抽出を行う。１容量のイソプロパノールを上清に加え、氷上で１０分間冷やす。遠心分離（室温にて７０００ｒｐｍで１０分間）によりＲＮＡをペレットにする。１０〜１５分ボルテックスすることにより、ペレットを１ｍｌの４Ｍ  ＬｉＣｌに溶解させる。５分の遠心分離によりＲＮＡをペレットにする。
【０５０６】
４．第２の精製
ペレットを５００μｌの再懸濁緩衝液に再懸濁させる。５００μｌのフェノールを加え、ボルテックスする。２５０μｌのクロロホルム：イソアミルアルコールを加え、ボルテックスする。５分間回転させ、上清を新しい管へ移す。界面が透明になるまで、クロロホルム：イソアミルアルコール抽出を繰り返す。上清を新しい管へ移し、１／１０容量の３Ｍ  ＮａＯＡｃ（ｐＨ５）および６００μｌのイソプロパノールを加える。２０分以上？２０℃に保つ。１０分の遠心分離によりＲＮＡをペレットにする。ペレットを７０％エタノールで１回洗う。残留アルコールを全て除去してから、ペレットを１５〜２０μｌのＤＥＰＣ水で溶解する。１：２００希釈物の２６０および２８０ｎｍにおける吸光度を測定することにより定量および定性する。４０μｇＲＮＡ／ｍｌ＝１ＯＤ２６０
【０５０７】
ｃＤＮＡライブラリー構築のため、マウス白血病ウイルス逆転写酵素（Ｒｏｃｈｅ， Ｍａｎｎｈｅｉｍ， Ｇｅｒｍａｎｙ）およびオリゴ？ｄ（Ｔ）−プライマーを使用して第一鎖合成を達成し、第二鎖合成を、１２℃（２時間）、１６℃（１時間）、および２２℃（１時間）でのＤＮＡポリメラーゼＩ、クレノー酵素、およびＲＮＡｓｅＨ消化でのインキュベーションにより達成した。６５℃でのインキュベーション（１０分）により反応を停止させ、続いて氷へ移した。二本鎖ＤＮＡ分子を、３７℃（３０分）でＴ４−ＤＮＡ−ポリメラーゼ（Ｒｏｃｈｅ， Ｍａｎｎｈｅｉｍ）により平滑末端化した。ヌクレオチドをフェノール／クロロホルム抽出およびＳｅｐｈａｄｅｘＧ５０スピンカラムにより除去した。ＥｃｏＲＩアダプター（Ｐｈａｒｍａｃｉａ， Ｆｒｅｉｂｕｒｇ， Ｇｅｒｍａｎｙ）を、Ｔ４？ＤＮＡ？リガーゼにより（Ｒｏｃｈｅ、１２℃で一晩）ｃＤＮＡ末端に連結し、ポリヌクレオチドキナーゼ（Ｒｏｃｈｅ、３７℃で３０分）でのインキュベーションによりリン酸化した。この混合物を低融点アガロースゲル上で分離にかけた。３００塩基対よりも大きいＤＮＡ分子をゲルから溶出させ、フェノール抽出し、Ｅｌｕｔｉｐ−Ｄ−カラム（Ｓｃｈｌｅｉｃｈｅｒ ａｎｄ Ｓｃｈｕｅｌｌ， Ｄａｓｓｅｌ， Ｇｅｒｍａｎｙ）上で濃縮し、Ｇｉｇａｐａｃｋ  Ｇｏｌｄ  Ｋｉｔ（Ｓｔｒａｔａｇｅｎｅ， Ａｍｓｔｅｒｄａｍ， Ｎｅｔｈｅｒｌａｎｄｓ）を使用して、材料を用い製造業者の説明書に従い、ベクターアームに連結してλＺＡＰＩＩファージまたはλＺＡＰ−発現ファージ内にパックした。
【０５０８】
実施例３？フィスコミトレラ・パテンスＥＳＴの配列決定および機能アノテーション
実施例２に記載されるｃＤＮＡライブラリーを、標準方法に従い、特にＡＢＩ  ＰＲＩＳＭ  Ｂｉｇ  Ｄｙｅ  Ｔｅｒｍｉｎａｔｏｒ  Ｃｙｃｌｅ  Ｓｅｑｕｅｎｃｉｎｇ  Ｒｅａｄｙ  Ｒｅａｃｔｉｏｎ  Ｋｉｔ（Ｐｅｒｋｉｎ− Ｅｌｍｅｒ， Ｗｅｉｔｅｒｓｔａｄｔ， Ｇｅｒｍａｎｙ）を使用して連鎖停止法により、ＤＮＡ配列決定のために使用した。ランダム配列決定が、引き続くｉｎ  ｖｉｖｏ質量切除を介したｃＤＮＡライブラリーからの調製用プラスミド回収、再形質転換、および続くＤＨ１０Ｂの寒天プレート上での平板培養に続いて行われた（Ｓｔｒａｔａｇｅｎｅ， Ａｍｓｔｅｒｄａｍ， Ｎｅｔｈｅｒｌａｎｄｓより材料およびプロトコル詳細。プラスミドＤＮＡを、Ｑｉａｇｅｎｅ  ＤＮＡ調製ロボット（Ｑｉａｇｅｎ， Ｈｉｌｄｅｎ）上で製造業者プロトコルに従い、アンピシリン含有Ｌｕｒｉａ−Ｂｒｏｔｈ培地で成長させた一晩成長大腸菌培養物から調製した（Ｓａｍｂｒｏｏｋ ｅｔ ａｌ． （１９８９）（Ｃｏｌｄ Ｓｐｒｉｎｇ Ｈａｒｂｏｒ Ｌａｂｏｒａｔｏｒｙ Ｐｒｅｓｓ： ＩＳＢＮ ０−８７９６９−３０９−６））参照 。以下のヌクレオチド配列をもつ配列決定プライマーを使用した：
Ｑｉａｇｅｎ１：５’？ＣＡＧＧＡＡＡＣＡＧＣＴＡＴＧＡＣＣ−３’（配列番号：１２）
Ｑｉａｇｅｎ２：５’？ＣＴＡＡＡＧＧＧＡＡＣＡＡＡＡＧＣＴＧ−３’（配列番号：１３）
Ｑｉａｇｅｎ３：５’？ＴＧＴＡＡＡＡＣＧＡＣＧＧＣＣＡＧＴ−３’（配列番号：１４）
Ｂｉｏ−Ｍａｘ （Ｍｕｎｉｃｈ， Ｇｅｒｍａｎｙ）により市販されているソフトウェア・パッケージＥＳＴ−ＭＡＸを使用して、配列のプロセシングおよびアノテーションを行った。そのプログラムは、タンパク質配列の機能および構造特性決定のために重要な生命情報科学法の全てを事実上組み込んでいる。参照として、ｈｔｔｐ：／／ｐｅｄａｎｔ．ｍｉｐｓ．ｂｉｏｃｈｅｍ．ｍｐｇ．ｄｅ．を参照のこと。
【０５０９】
ＥＳＴ−ＭＡＸに組み込まれている最も重要なアルゴリズムは：
ＦＡＳＴＡ：統計的有意性の見積もりと合わせた非常に高精度の配列データベース検索；Ｐｅａｒｓｏｎ Ｗ． Ｒ． （１９９０） Ｒａｐｉｄ ａｎｄ ｓｅｎｓｉｔｉｖｅ ｓｅｑｕｅｎｃｅ ｃｏｍｐａｒｉｓｏｎ ｗｉｔｈ ＦＡＳＴＰ ａｎｄ ＦＡＳＴＡ． Ｍｅｔｈｏｄｓ Ｅｎｚｙｍｏｌ． １８３ ： ６３−９８。
ＢＬＡＳＴ：統計的有意性の見積もりと合わせた非常に高精度の配列データベース検索；Ａｌｔｓｃｈｕｌ Ｓ． Ｆ．， Ｇｉｓｈ Ｗ．， Ｍｉｌｌｅｒ Ｗ．， Ｍｙｅｒｓ Ｅ． Ｗ．， ａｎｄ Ｌｉｐｍａｎ Ｄ． Ｊ． Ｂａｓｉｃ ｌｏｃａｌ ａｌｉｇｎｍｅｎｔ ｓｅａｒｃｈ ｔｏｏｌ． Ｊｏｕｒｎａｌ ｏｆ Ｍｏｌｅｃｕｌａｒ Ｂｉｏｌｏｇｙ ２１５： ４０３−１０。
ＰＲＥＤＡＴＯＲ：単一および複数配列からの高精度二次構造予測。Ｆｒｉｓｈｍａｎ， Ｄ． ａｎｄ Ａｒｇｏｓ， Ｐ． （１９９７） ７５％ ａｃｃｕｒａｃｙ ｉｎ ｐｒｏｔｅｉｎ ｓｅｃｏｎｄａｒｙ ｓｔｒｕｃｔｕｒｅ ｐｒｅｄｉｃｔｉｏｎ． Ｐｒｏｔｅｉｎｓ， ２７： ３２９−３３５。
ＣＬＵＳＴＡＬＷ：複数配列アラインメント。Ｔｈｏｍｐｓｏｎ， Ｊ． Ｄ．， Ｈｉｇｇｉｎｓ， Ｄ． Ｇ． ａｎｄ Ｇｉｂｓｏｎ， Ｔ． Ｊ． （１９９４） ＣＬＵＳＴＡＬ Ｗ： ｉｍｐｒｏｖｉｎｇ ｔｈｅ ｓｅｎｓｉｔｉｖｉｔｙ ｏｆ ｐｒｏｇｒｅｓｓｉｖｅ ｍｕｌｔｉｐｌｅ ｓｅｑｕｅｎｃｅ ａｌｉｇｎｍｅｎｔ ｔｈｒｏｕｇｈ ｓｅｑｕｅｎｃｅ ｗｅｉｇｈｔｉｎｇ， ｐｏｓｉｔｉｏｎｓ−ｓｐｅｃｉｆｉｃ ｇａｐ ｐｅｎａｌｔｉｅｓ ａｎｄ ｗｅｉｇｈｔ ｍａｔｒｉｘ ｃｈｏｉｃｅ． Ｎｕｃｌｅｉｃ Ａｃｉｄｓ Ｒｅｓｅａｒｃｈ， ２２： ４６７３−４６８０。
ＴＭＡＰ：複数の整列した配列からの膜貫通領域予測。Ｐｅｒｓｓｏｎ， Ｂ． ａｎｄ Ａｒｇｏｓ， Ｐ． （１９９４） Ｐｒｅｄｉｃｔｉｏｎ ｏｆ ｔｒａｎｓｍｅｍｂｒａｎｅ ｓｅｇｍｅｎｔｓ ｉｎ ｐｒｏｔｅｉｎｓ ｕｔｉｌｉｓｉｎｇ ｍｕｌｔｉｐｌｅ ｓｅｑｕｅｎｃｅ ａｌｉｇｎｍｅｎｔｓ． Ｊ． Ｍｏｌ． Ｂｉｏｌ． ２３７： １８２−１９２。
ＡＬＯＭ２：単一の配列からの膜貫通領域予測。Ｋｌｅｉｎ， Ｐ．， Ｋａｎｅｈｉｓａ， Ｍ．， ａｎｄ ＤｅＬｉｓｉ， Ｃ． Ｐｒｅｄｉｃｔｉｏｎ ｏｆ ｐｒｏｔｅｉｎ ｆｕｎｃｔｉｏｎ ｆｒｏｍ ｓｅｑｕｅｎｃｅ ｐｒｏｐｅｒｔｉｅｓ： Ａ ｄｉｓｃｒｉｍｉｎａｎｔ ａｎａｌｙｓｉｓ ｏｆ ａ ｄａｔａｂａｓｅ． Ｂｉｏｃｈｉｍ． Ｂｉｏｐｈｙｓ． Ａｃｔａ ７８７： ２２１−２２６ （１９８４）． Ｖｅｒｓｉｏｎ ２ ｂｙ Ｄｒ． Ｋ． Ｎａｋａｉ。
ＰＲＯＳＥＡＲＣＨ：ＰＲＯＳＩＴＥタンパク質配列パターンの検出。Ｋｏｌａｋｏｗｓｋｉ Ｌ． Ｆ． Ｊｒ．， Ｌｅｕｎｉｓｓｅｎ Ｊ． Ａ． Ｍ．， Ｓｍｉｔｈ Ｊ． Ｅ． （１９９２） ＰｒｏＳｅａｒｃｈ： ｆａｓｔ ｓｅａｒｃｈｉｎｇ ｏｆ ｐｒｏｔｅｉｎ ｓｅｑｕｅｎｃｅｓ ｗｉｔｈ ｒｅｇｕｌａｒ ｅｘｐｒｅｓｓｉｏｎ ｐａｔｔｅｒｎｓ ｒｅｌａｔｅｄ ｔｏ ｐｒｏｔｅｉｎ ｓｔｒｕｃｔｕｒｅ ａｎｄ ｆｕｎｃｔｉｏｎ． Ｂｉｏｔｅｃｈｎｉｑｕｅｓ １３，９１９−９２１。
ＢＬＩＭＰＳ：アンギャップドブロックのデータベースに対する類似性検索。 Ｊ． Ｃ． Ｗａｌｌａｃｅ ａｎｄ Ｈｅｎｉｋｏｆｆ Ｓ．， （１９９２）。
ＰＡＴＭＡＴ：配列、パターンおよびブロッククエリ（ｑｕｅｒｉｅｓ）、ならびにデータベースのための検索および抽出プログラム、ＣＡＢＩＯＳ ８ ： ２４９−２５４． Ｗｒｉｔｔｅｎ ｂｙ Ｂｉｌｌ Ａｌｆｏｒｄ。
【０５１０】
実施例４？ＰｒＰａｓｅに対応する、アラビドプシス、ダイズ、およびコーンＯＲＦの同定
フィスコミトレラ・パテンス、ＰｐＰｒＰａｓｅ（配列番号：１）は、ＢＬＡＳＴ分析によってＥＳＴ−ＭＡＸにおいて同定された。ＢＬＡＳＴのトップヒットは、アラビドプシスの未知ＯＲＦである。第２および第３ヒットは、ヒトおよび酵母ｃａａｘプレニルプロテアーゼである。未知のアラビドプシスＯＲＦのさらなる分析は、それが、Ｇｅｎｅｆｉｎｄｅｒプログラム（Ｐ． Ｇｒｅｅｎ ａｎｄ Ｌ． Ｈｉｌｌｉｅｒ， ｗｗｗ．ｎｃｂｉ．ｎｌｍ．ｎｉｈ．ｇｏｖ）を使用したコンピューター分析からの予測ＯＲＦであることを明らかにした。ＯＲＦは、ＢＡＣクローンＡＦ００７２６９（ＧｅｎＢａｎｋ アクセッション番号、ｇｅｎｅ＝”Ａ＿ＩＧ００２Ｎ０１． ２１）の相補鎖上２４９７９〜２８０７６に位置する。
【０５１１】
このコンピューター予測によるアラビドプシスＡｔＰｒＰａｓｅ  ｃＤＮＡをクエリとして使用して、様々なトウモロコシおよびダイズデータベースにおけるＢＬＡＳＴ検索が、１つのコーンＺｍＰＰａｓｅ  ＥＳＴ（配列番号：９）および１つのダイズＧｍＰＰａｓｅ  ＥＳＴ（配列番号：７）を同定した。
【０５１２】
実施例５？ＰｒＰａｓｅをコードするアラビドプシスｃＤＮＡのクローニングアラビドプシス・サリアナからの全ＲＮＡ単離
わずかに改変したＶａｎ Ｓｌｏｇｔｅｒｅｎ （１９８３ Ｐｌａｎｔ Ｍｏｌ． Ｂｉｏｌ． ２： ３２１−３３３．）法に従い、１４日齢の野生型アラビドプシス・サリアナから全ＲＮＡを得た。組織（２００ｍｇ）を液体窒素で凍結し、乳鉢および乳棒で細末に粉砕した。粉末をマイクロチューブに入れ、ＲＮＡを予め９０℃に加熱した５００μｌの抽出緩衝液（フェニル：０．１Ｍ  ＬｉＣｌ、１００ｍＭ  Ｔｒｉｓ？ＨＣｌ［ｐＨ８．０］、１０ｍＭ  ＥＤＴＡ、１％  ＳＤＳ（ｗ／ｖ）１：１）で抽出した。混合物を９０℃でさらに１分間加熱し、次いで５分間ボルテックスした。２５０μｌのクロロホルム：イソアミルアルコール（２４：１）を加えることによりタンパク質を抽出し、混合物をエッペンドルフ遠心分離５４１４中にて４℃で、５分間ボルテックスし、かつ１３，０００ｒｐｍで１５分間遠心分離した。水層を除去し、タンパク質抽出をさらに２回繰り返した。１容量の４ｍＭ  ＬｉＣｌを加え、４℃で一晩かけてＲＮＡを沈殿させた。ＲＮＡを収集するため、混合物をエッペンドルフ遠心分離５４１４中、４℃、１３，０００ｒｐｍで１５分間遠心分離した。ペレットを、２５０μｌの滅菌脱イオン水に再懸濁させた。ＲＮＡを沈殿させるため、０．１容量の３Ｍ酢酸ナトリウム（ｐＨ５．２）および２容量の１００％エタノールを加えた。アリコートを取り、エッペンドルフ遠心分離５４１４中、４℃、１３，０００ｒｐｍで２０分間遠心分離した。ペレットから塩を除去するためにペレットを７０％エタノールで洗い、ｓｐｅｅｄ  ｖａｃを使用して乾燥させた。ペレットを２５μｌのＤＥＰＣ  Ｈ２Ｏに再懸濁させ、電気泳動で完全性を分析した。ＲＮＡはー７０℃で貯蔵された。
【０５１３】
アラビドプシスＡｔＰｒＰａｓｅのＲＴ−ＰＣＲおよびクローニング
ＢＡＣクローン配列（ＧｅｎＢａｎｋアクセッション番号ＡＦ００７２６９、ｇｅｎｅ＝ ”Ａ＿ＩＧ００２Ｎ０１．２１”， ｃｏｍｐｌｅｍｅｎｔ ２４９７９．．．２８０７６）に基づき、合成オリゴヌクレオチドプライマー（ＭＷＧ−Ｂｉｏｔｅｃｈ）を設計した。
ＡＰＰ順方向：５’ＣＣＧＴＴＡＡＣＡＧＣＣＡＴＧＧＣＧＡＴＴＣＣＴＴＴＣＡＴＧＧＡＡ３’（配列番号：１５）
ＡＰＰ逆方向：５’ＧＴＣＣＣＧＧＧＡＣＴＴＡＡＴＣＴＧＴＣＴＴＣＴＴＧＴＣＴＴ３’（配列番号：１６）
【０５１４】
プライマーは、クローニング目的のため、５’領域にＨｐａＩ部位を、および３’領域にＸｍａＩ部位を含むように設計された。
【０５１５】
第一鎖ｃＤＮＡの合成は、ＡＭＶ逆転写酵素（Ｒｏｃｈｅ， Ｍａｎｎｈｅｉｍ， Ｇｅｒｍａｎｙ）を使用して達成された。得られた一本鎖ｃＤＮＡを、２つの遺伝子特異的プライマーを利用するポリメラーゼ連鎖反応（ＰＣＲ）により増幅した。反応条件は、Ｅｘｐａｎｄ  Ｈｉｇｈ  Ｆｉｄｅｌｉｔｙ  ＰＣＲシステム（Ｒｏｃｈｅ）での標準条件であった。反応のパラメーターは：９４℃で５分、続いて９４℃で４０秒、５０℃で４０秒、７２℃で１．５分を５サイクル。これに続いて、９４℃で４０秒、６５℃で４０秒、７２℃で１．５分を３０サイクル行った。これらのＲＴ−ＰＣＲ条件下で生成した断片は、１．３キロベース長であった。
【０５１６】
断片を、製品の説明書に従い、ＱＩＡｑｕｉｃｋゲル抽出キット（Ｑｉａｇｅｎ）でアガロースゲルから抽出して、ＴＯＰＯ  ｐＣＲ  ２．１  ベクター（Ｉｎｖｉｔｒｏｇｅｎ）中に連結した。標準条件を使用して、組換えベクターをＴｏｐ１０細胞（Ｉｎｖｉｔｒｏｇｅｎ）に形質転換した。形質転換細胞を、１００μｇ／ｍｌカルベニシリン、０．８ｍｇＸ−ｇａｌ（５−ブロモ−４−クロロ−３−インドリル−β−Ｄ−ガラクトシド）、および０．８ｍｇＩＰＴＧ（イソプロピルチオ−β−Ｄ−ガラクトシド）を含有するＬＢ寒天上に選択し、３７℃で一晩成長させた。白色コロニーを選択し、３ｍｌの１００μｇ／ｍｌアンピシリン含有液体ＬＢへの播種に使用して、３７℃で一晩成長させた。プラスミドＤＮＡを、製品の説明書に従い、ＱＩＡｐｒｅｐ  Ｓｐｉｎ  Ｍｉｎｉｐｒｅｐ  Ｋｉｔ（Ｑｉａｇｅｎ）を使用して抽出した。
【０５１７】
ＲＴ−ＰＣＲクローンアラビドプシスＡｔＰｒＰａｓｅｌ−２を配列決定して、その完全ｃＤＮＡ配列を得た（配列番号：３および配列番号：５）。
【０５１８】
実施例６？ＳＭ３６１４酵母（ＰｒＰａｓｅ）変異体のｉｎ  ｖｉｖｏ補完
アラビドプシスＡｔＰｒＰａｓｅ１ｃＤＮＡを含む断片を、製品の説明書に従い、ＥｃｏＲＩ（Ｒｏｃｈｅ）での消化により組換えＰＣＲ２．１ＴＯＰＯベクターから切除した。続く断片を、製品の説明書に従い、ＱＩＡｑｕｉｃｋゲル抽出キット（ＱＩＡｇｅｎ）でアガロースゲルから切除し、酵母発現ベクターｐＹＥＳ２（Ｉｎｖｉｔｒｏｇｅｎ）中に連結し、また連結前にＥｃｏＲＩで切断して脱リン酸化した。
【０５１９】
Ｉｎｖｉｔｒｏｇｅｎのプロトコルに従い、酵母ＧＡＬ１プロモーター下でセンス配向性にアラビドプシスＡｔＰｒＰａｓｅ１ｃＤＮＡを含む組換え発現ｐＹＥＳ２ベクターを、酵母変異体ＳＭ３６１４（ＭＡＴａ ｒｃｅｌΔ：：ＴＲＰ１ ｓｔｅ２４Ｄ：：ＬＥＵ２）（Ｔａｍ ｅｔ ａｌ． １９９８）に形質転換した。形質転換細胞を、完全補充混合物（ＣＳＭ）からウラシルを除いた０．８％寒天（Ｂｉｏ １０１， Ｉｎｃ．）上に選択し、３０℃で２日間成長させた。形質転換コロニーを選択して、アラビドプシスＡｔＰｒＰａｓｅ１の発現を誘導するために、ウラシルを除いて２％ガラクトースを補充したＣＳＭプレート上に、形質転換ＳＭ３６１４のパッチを含むマスタープレートを作成した。プレートを３０℃で２日間成長させた。マスタープレートを、種々の交配条件下で、２％ガラクトースを補充したＳＤプレートの野生型酵母ＳＭ１０６８（ＭＡＴａ ｌｙｓｌ）（Ｔａｍ ｅｔ ａｌ． １９９８， Ｔｈｅ Ｊｏｕｒｎａｌ ｏｆ Ｃｅｌｌ Ｂｉｏｌｏｇｙ， １４２，６３５−６４９）の上にレプリカ平板培養し、３０℃で２日間成長させた。
【０５２０】
実施例７？ＰｒＰａｓｅをコードするダイズおよびコーンｃＤＮＡのクローニング
ダイズおよびコーンのｃＤＮＡライブラリーの構築
ダイズおよびコーンからＰｒＰａｓｅをコードするクローンを単離するため、製品の説明書に従い、ＳＭＡＲＴ  ＲＡＣＥ  ｃＤＮＡ増幅キット（Ｃｌｏｎｔｅｃｈ Ｌａｂｏｒａｔｏｒｉｅｓ）でｃＤＮＡライブラリーを作成した。実施例５に記載するようにに作成された全ＲＮＡを、鋳型として使用した。全ＲＮＡ調製のため、３週齢のコーンの葉および茎ならびにダイズの葉がそれぞれ使用された。
【０５２１】
ＰｒＰａｓｅをコードするダイズおよびコーンｃＤＮＡのクローニング
実施例４に記載されるデータベース検索から同定されたＺｍＰｒＰａｓｅおよびＧｍＰｒＰａｓｅのＥＳＴ配列を使用して、ＲＡＣＥのためのオリゴを設計した。製品の説明書に従い、Ａｄｖａｎｔａｇｅ２ＰＣＲキット（Ｃｌｏｎｔｅｃｈ Ｌａｂｏｒａｔｏｒｉｅｓ）およびＢｉｏｍｅｔｒａ  Ｔ３  Ｔｈｅｒｍｏｃｙｃｌｅｒを用いるＳＭＡＲＴ  ＲＡＣＥ  ｃＤＮＡ増幅キット（Ｃｌｏｎｔｅｃｈ Ｌａｂｏｒａｔｏｒｉｅｓ）を使用して、レースポリメラーゼ連鎖反応法（ＲＡＣＥ  ＰＣＲ）を行うことにより、ＺｍＰｒＰａｓｅおよびＧｍＰｒＰａｓｅの延長された部分配列を得た。使用した遺伝子特異的合成オリゴヌクレオチドプライマー（ＭＷＧ−Ｂｉｏｔｅｃｈ）は：
ＺｍＰｒＰａｓｅに対して：
５’ＲＡＣＥオリゴ：５’ＡＧＣＡＧＣＣＡＣＧＡＴＴＧＧＴＧＧＣＣＣＣＡＡＴ３’（配列番号：２１）
３’ＲＡＣＥオリゴ：５’ＧＧＧＣＣＡＣＣＡＡＴＣＧＴＧＧＣＴＧＣＴＡＴＣＡ３’；（配列番号：２２）
ＧｍＰｒＰａｓｅに対して：
５’ＲＡＣＥオリゴ：５’ＣＧＣＡＧＣＣＡＧＴＣＣＴＣＡＴＴＧＧＧＣＴＣＡＴＣ３’（配列番号：２３）
３’ＲＡＣＥオリゴ：５’ＣＧＧＡＴＡＧＴＴＧＡＧＧＧＡＧＧＡＡＧＣＡＡＧ３’（配列番号：２４）
であった。
【０５２２】
ＲＡＣＥ反応から得られた配列を編集して、部分ＧｍＰｒＰａｓｅ（配列番号：７）および部分ＺｍＰｒＰａｓｅ（配列番号：９）のヌクレオチド配列を得た。
【０５２３】
実施例８？内因性ＰｒＰａｓｅ遺伝子活性の減少による乾燥耐性アラビドプシス植物の操作
バイナリーベクター構築：ｐＧＭＳＧおよびｐＧＭＧＧ
ｐＬＭＮＣ５３（Ｍａｎｋｉｎ， ２０００， ＰＨＤ ｔｈｅｓｉｓ）ベクターを、製品の説明書に従い、ＨｉｎｄＩＩＩ（Ｒｏｃｈｅ）で消化し、平滑末端をクレノー酵素および０．１ｍＭ  ｄＮＴＰｓ（Ｒｏｃｈｅ）で満たした。この断片を、製品の説明書に従い、ＱＩＡｑｕｉｃｋゲル抽出キット（Ｑｉａｇｅｎ）でアガロースゲルから抽出した。次いで、精製断片を、製品の説明書に従い、ＥｃｏＲＩ（Ｒｏｃｈｅ）で消化した。この断片を、製品の説明書に従い、ＱＩＡｑｕｉｃｋゲル抽出キット（Ｑｉａｇｅｎ）でアガロースゲルから抽出した。得られた１．４キロベースの断片、ゲンタマイシンカセット（ｇｅｎｔａｍｙｃｉｎ ｃａｓｓｔｔｅ）には、ｎｏｓプロモーター、ａａｃＣＩ遺伝子、およびｇ７ターミネーターが含まれた。
【０５２４】
ベクターｐＢｌｕｅＳｃｒｉｐｔを、製品の説明書に従い、ＥｃｏＲＩおよびＳｍａＩ（Ｒｏｃｈｅ）で消化した。得られた断片を、製品の説明書に従い、ＱＩＡｑｕｉｃｋゲル抽出キット（Ｑｉａｇｅｎ）でアガロースゲルから抽出した。消化されたｐＢｌｕｅＳｃｒｉｐｔベクターおよびゲンタマイシンカセット断片を、製品の説明書に従い、Ｔ４ＤＮＡリガーゼ（Ｒｏｃｈｅ）で連結し、２つの個別のＥｃｏＲＩ部位を結合させ、また平滑末端化ＨｉｎｄＩＩＩ部位をＳｍａＩ部位と結合させた。
【０５２５】
組換えベクター（ｐＧＭＢＳ）を、標準条件を使用して、Ｔｏｐ１０細胞（Ｉｎｖｉｔｒｏｇｅｎ）に形質転換した。形質転換細胞を、１００μｇ／ｍｌカルベニシリン、０．８ｍｇＸ−ｇａｌ（５−ブロモ−４−クロロ−３−インドリル−β−Ｄ−ガラクトシド）、および０．８ｍｇＩＰＴＧ（イソプロピルチオ−β−Ｄ−ガラクトシド）を含有するＬＢ寒天上に選択し、３７℃で一晩成長させた。白色コロニーを選択し、３ｍｌの１００μｇ／ｍｌアンピシリン含有液体ＬＢへの播種に使用して、３７℃で一晩成長させた。プラスミドＤＮＡを、製品の説明書に従い、ＱＩＡｐｒｅｐ  Ｓｐｉｎ  Ｍｉｎｉｐｒｅｐ  Ｋｉｔ（Ｑｉａｇｅｎ）を使用して抽出した。その結果生じたクローンの分析および制限酵素のマッピングを、標準分子生物学手法に従い行った（Ｓａｍｂｒｏｏｋ ｅｔ ａｌ． １９８９）。
【０５２６】
ｐＧＭＢＳベクターおよびｐｌｂｘＳｕｐｅｒＧＵＳベクターの両方を、製品の説明書に従い、ＸｂａＩおよびＫｐｎｌ（Ｒｏｃｈｅ）で消化し、ゲンタマイシンカセットをｐＧＭＢＳから切除し、ｐｌｂｘＳｕｐｅｒＧＵＳベクターからバックボーンを生成した。得られた断片を、製品の説明書に従い、ＱＩＡｑｕｉｃｋゲル抽出キット（Ｑｉａｇｅｎ）でアガロースゲルから抽出した。これらの２つの断片を、製品の説明書に従い、Ｔ４ＤＮＡリガーゼ（Ｒｏｃｈｅ）で連結した。
【０５２７】
得られた組換えベクター（ｐＧＭＳＧ）を、標準条件を使用して、Ｔｏｐ１０細胞（Ｉｎｖｉｔｒｏｇｅｎ）に形質転換した。形質転換細胞を、１００μｇ／ｍｌカルベニシリン、０．８ｍｇＸ−ｇａｌ（５−ブロモ−４−クロロ−３−インドリル−β−Ｄ−ガラクトシド）、および０．８ｍｇＩＰＴＧ（イソプロピルチオ−β−Ｄ−ガラクトシド）を含有するＬＢ寒天上に選択し、３７℃で一晩成長させた。白色コロニーを選択し、３ｍｌの１００μｇ／ｍｌアンピシリン含有液体ＬＢへの播種に使用して、３７℃で一晩成長させた。プラスミドＤＮＡを、製品の説明書に従い、ＱＩＡｐｒｅｐ  Ｓｐｉｎ  Ｍｉｎｉｐｒｅｐ  Ｋｉｔ（Ｑｉａｇｅｎ）を使用して抽出した。その結果生じたクローンの分析および制限酵素のマッピングを、標準分子生物学手法に従い行った（Ｓａｍｂｒｏｏｋ ｅｔ ａｌ． １９８９）。
【０５２８】
孔辺細胞特異的プロモーターＫＳＴ１を含むｐＢｉｎＫベクター（Ｂｅｒｎｄ Ｍｕｌｌｅｒ−Ｒｏｂｅｒ， １９９９）およびｐＧＭＳＧベクターの両方を、製品の説明書に従い、ＸｂａＩおよびＳｍａＩ（Ｒｏｃｈｅ）で消化し、ＫＳＴ１をｐＢｉｎＫから切除し、ｐＧＭＳＧベクターからバックボーンを生成した。得られた断片を、製品の説明書に従い、ＱＩＡｑｕｉｃｋゲル抽出キット（Ｑｉａｇｅｎ）でアガロースゲルから抽出した。これらの２つの断片を、製品の説明書に従い、Ｔ４？ＤＮＡ？リガーゼ（Ｒｏｃｈｅ）で連結した。
【０５２９】
得られた組換えベクター（ｐＧＭＧＧ）を、標準条件を使用して、Ｔｏｐ１０細胞（Ｉｎｖｉｔｒｏｇｅｎ）に形質転換した。形質転換細胞を、１００μｇ／ｍｌカルベニシリン、０．８ｍｇＸ−ｇａｌ（５−ブロモ−４−クロロ−３−インドリル−β−Ｄ−ガラクトシド）、および０．８ｍｇＩＰＴＧ（イソプロピルチオ−β−Ｄ−ガラクトシド）を含有するＬＢ寒天上に選択し、３７℃で一晩成長させた。白色コロニーを選択し、３ｍｌの１００μｇ／ｍｌアンピシリン含有液体ＬＢへの播種に使用して、３７℃で一晩成長させた。プラスミドＤＮＡを、製品の説明書に従い、ＱＩＡｐｒｅｐ  Ｓｐｉｎ  Ｍｉｎｉｐｒｅｐ  Ｋｉｔ（Ｑｉａｇｅｎ）を使用して抽出した。その結果生じたクローンの分析および制限酵素のマッピングを、標準分子生物学手法に従い行った（Ｓａｍｂｒｏｏｋ ｅｔ ａｌ． １９８９）。
【０５３０】
植物バイナリーベクターについてのさらなる例は、ＬＭＰ遺伝子候補がその中にクローニングされるｐＢＰＳ−ＧＢｌベクターである。このバイナリーベクターは、ＡｔＡｃｔ２−Ｉプロモーターの制御下で駆動されるカナマイシン耐性遺伝子、および候補遺伝子の前部にあるＮＯＳｐＡターミネーターをもつＵＳＰ種子特異的プロモーターを含む。部分長または全長ＬＭＰｃＤＮＡが、ＵＳＰ種子特異的プロモーターの後方のセンスまたはアンチセンス配向性に、植物バイナリーベクターの複数クローニング部位中へクローニングされる。所定の遺伝子を含む組換えベクターを、標準条件を使用して、Ｔｏｐ１０細胞（Ｉｎｖｉｔｒｏｇｅｎ）に形質転換する。形質転換細胞を、５０μｇ／ｍｌカナマイシンを含有するＬＢ寒天上に選択し、３７℃で一晩成長させた。プラスミドＤＮＡを、製品の説明書に従い、ＱＩＡｐｒｅｐ  Ｓｐｉｎ  Ｍｉｎｉｐｒｅｐ  Ｋｉｔ（Ｑｉａｇｅｎ）を使用して抽出した。その結果生じたクローンの分析および制限酵素のマッピングを、標準分子生物学手法に従い行った（Ｓａｍｂｒｏｏｋ ｅｔ ａｌ． １９８９， Ｍｏｌｅｃｕｌａｒ Ｃｌｏｎｉｎｇ， Ａ Ｌａｂｏｒａｔｏｒｙ Ｍａｎｕａｌ． ２ｎｄ Ｅｄｉｔｉｏｎ． Ｃｏｌｄ Ｓｐｒｉｎｇ Ｈａｒｂｏｒ Ｌａｂｏｒａｔｏｒｙ Ｐｒｅｓｓ． Ｃｏｌｄ Ｓｐｒｉｎｇ Ｈａｒｂｏｒ， ＮＹ）。
【０５３１】
アラビドプシスＡｔＰｒＰａｓｅ１のバイナリーベクター中へのサブクローニング
アラビドプシスＰＰａｓｅｃＤＮＡを含む断片を、製品の説明書に従い、ＨｐａＩおよびＸｍａＩ（Ｒｏｃｈｅ）での消化により、組換えＰＣＲ２．１ＴＯＰＯベクターから切除した。続く断片を、製品の説明書に従い、ＱＩＡｑｕｉｃｋゲル抽出キット（ＱＩＡｇｅｎ）でアガロースゲルから切除し、バイナリーベクターｐＧＭＳＧおよびｐＧＭＧＧ中に連結し、ＸｍａＩおよびＥｃｌ１３６ＩＩで切断し、連結前に脱リン酸化してから、ＵＳＰプロモーターｐＢＰＳＧＢ０１でバイナリーベクター中に連結し、それぞれ連結前にＡｓＣＩおよびＰａｃＩで切断した。得られた組換えｐＧＭＳＧおよびｐＧＭＧＧベクターは、構成スーパープロモーター下でアンチセンス配向性にアラビドプシスプレニルプロテアーゼ、および孔辺細胞特異的プロモーターＫＳＴ１を含んだ。ｐＢＰＳＧＢ０１ベクターは、種子特異的ＵＳＰプロモーターの制御下で、センスおよびアンチセンス配向性にアラビドプシスＰＰａｓｅｃＤＮＡを含んだ。
【０５３２】
アグロバクテリウム形質転換
組換えベクターを、標準条件に従い、アグロバクテリウム・チュメファシエンスＣ５８Ｃ１およびＰＭＰ９０に形質転換した（Ｈｏｅｆｇｅｎ ａｎｄ Ｗｉｌｌｍｉｔｚｅｒ， １９９０）。
【０５３３】
植物形質転換
アラビドプシス・サリアナ生態型Ｃ２４およびＣｏｌ−２を、標準条件に従い、成長させて形質転換した（Ｂｅｃｈｔｏｌｄ １９９３， Ａｃａｄ． Ｓｃｉ． Ｐａｒｉｓ． ３１６： １１９４−１１９９， Ｂｅｎｔ ｅｔ ａｌ． １９９４， Ｓｃｉｅｎｃｅ ２６５： １８５６−１８６０）。
【０５３４】
形質転換植物のスクリーニング
標準プロトコルに従い、種子を滅菌した（Ｘｉｏｎｇ ｅｔ ａｌ． １９９９， Ｐｌａｎｔ Ｍｏｌｅｃｕｌａｒ Ｂｉｏｌｏｇｙ Ｒｅｐｏｒｔｅｒ １７： １５９−１７０）。種子を、１〜３％ショ糖および５０〜１５０μｇ／ｍｌゲンタマイシン（ｇｅｎｔａｍｙｃｉｎ）を補充した１／２ＭＳ０．６％寒天上に蒔いた。プレートの種子を４℃で２日間春化した。種子は、気候室中にて、気温２２℃および５５マイクロモル−１ｍ２の光度（白色光；Ｐｈｉｌｉｐｓ  ＴＬ  ６５Ｗ／２５  蛍光灯）および２４時間の明かりで発芽した。形質転換した実生を７〜１４日後に選択し、１％ショ糖を補充した１／２ＭＳ０．６％寒天プレートに移して１〜５日間回復させた。
【０５３５】
乾燥耐性スクリーニング
記載されるスクリーニング法（実生を、乾燥した滅菌濾紙に移し、４時間乾燥させる。次いで、実生を取り出して１／２ＭＳ０．６％寒天プレートに蒔き、２日後を記録する）に従い、トランスジェニック植物の改善された乾燥耐性について、それらをスクリーニングする。
【０５３６】
塩耐性スクリーニング
記載されるスクリーニング法（実生を、６００ｍＭ  ＮａＣｌを補充した１／２ＭＳ液に移し、２〜４時間インキュベートする。次いで、実生を取り出して１／２ＭＳ０．６％寒天プレートに蒔き、２日後実生の生存を記録する。）に従い、トランスジェニック植物の改善された塩耐性について、それらをスクリーニングする。
【０５３７】
種子貯蔵化合物スクリーニング
実施例３４に記載されるスクリーニング法（以下を参照）に従い、種子貯蔵化合物（油、糖、タンパク質）の増加量について、トランスジェニック植物のＴ２およびＴ３種子をスクリーニングする。
【０５３８】
実施例９？内因性ＧｍＰｒＰａｓｅ遺伝子活性の減少による乾燥耐性ダイズ植物の操作
クローンＧｍＰｒＰａｓｅ（配列番号：７）を、アンチセンス配向性にベクターｐＧＭＳＧおよびｐＧＭＧＧ中にクローニングした。これらの構築物を、以下に記載するようにダイズの形質転換に使用した。
【０５３９】
ダイズの種子表面を、室温で連続振盪しながら４分間７０％エタノールで、続いて０．０５％（ｖ／ｖ）Ｔｗｅｅｎを補充した２０％（ｖ／ｖ）Ｃｌｏｒｏｘで振盪しながら２０分間滅菌する。次いで、種子を蒸留水で４回すすぎ、室温で６〜３９時間、ペトリ皿中の湿らせた滅菌濾紙に置く。種皮が剥けて、子葉が胚軸から分離する。分裂組織領域が損傷を受けていないことを確認するために、胚軸を検査する。切除した胚軸を半開の滅菌ペトリ皿に集め、その後使用するまで、密閉したペトリ皿中で水分含量が２０％（新鮮な重量）未満になるまで風乾させる。
【０５４０】
アグロバクテリウム・チュメファシエンス培養物を、ＬＢ固形培地の単一コロニー＋適切な抗生物質（例えば、１００μｇ／ｌのストレプトマイシン、５０μｇ／ｌのカナマイシン）、続くＬＢ固形培地の単一コロニーの６００ｎｍで光学濃度０．８への成長から調製する。次いで、細菌培養物を、室温で７分間７０００ｒｐｍでペレットにし、１００μＭのアセトシリンゴンを補充したＭＳ（Ｍｕｒａｓｈｉｇｅ ａｎｄ Ｓｋｏｏｇ， １９６２）培地に再懸濁させる。細菌培養物を、使用前に室温で２時間、この誘導前培地でインキュベートする。約１５％の水分含量のダイズ接合体種子胚の軸に、誘導前アグロバクテリウム懸濁培養物を、室温で２時間吸収させる。吸収培養物から胚を取り出して、２％のショ糖を補充した固体ＭＳ培地を含むペトリ皿に移し、暗中にて室温で２日間インキュベートする。あるいは、胚をペトリ皿中の湿らせた（液体ＭＳ培地）滅菌濾紙の頂部に置き、上記と同じ条件下インキュベートする。この期間後、胚を５００ｍｇ／Ｌのカルベニシリンまたは３００ｍｇ／Ｌのセフォタキシムを補充した固体または液体ＭＳ培地のいずれかに移して、アグロバクテリウムを殺す。液体培地を使用して、滅菌濾紙を湿らせる。胚を、１５０μｍｏｌｍ？２ｓｅｃ？１下かつ１２時間の光周期で、２５℃で４週間インキュベートする。いったん実生が根を張ったら、それらを滅菌メトロミックス（ｍｅｔｒｏｍｉｘ）土壌に移す。植物を土壌に移す前に、ｉｎ  ｖｉｔｒｏの植物培地を洗浄する。植物は、環境順化に有利なように、プラスチックカバー下に１週間置かれる。次いで、植物を成長室に移し、そこでそれらを、１５０μｍｏｌｍ？２ｓｅｃ？１下かつ１２時間の光周期で、２５℃で約８０日間インキュベートする。
【０５４１】
導入遺伝子発現が乾燥耐性を与えることを例証する実施例７において記載されるスクリーニング法に従い、トランスジェニック植物の改善された乾燥耐性について、それらをスクリーニングする。
【０５４２】
実施例１０？ＡｔＰｒＰａｓｅｌクローンをもつ内因性ＰｒＰａｓｅ遺伝子活性の減少による乾燥耐性アブラナ植物の操作
以下に記載するように、構築物ｐＢＰＳＲＣ００３およびｐＢＰＳＲＣ００５を使用してアブラナを形質転換した。
【０５４３】
実施例８に記載される植物形質転換の方法はまた、アブラナ属および他の作物に適用可能である。カノーラの種子表面を、室温で振盪しながら４分間７０％エタノールで、続いて０．０５％（ｖ／ｖ）Ｔｗｅｅｎを補充した２０％（ｖ／ｖ）Ｃｌｏｒｏｘで振盪しながら２０分間滅菌する。次いで、種子を蒸留水で４回すすぎ、室温で１８時間、ペトリ皿中湿らせた滅菌濾紙に置く。次いで、種皮を除去して種子を半開の滅菌ペトリ皿中一晩風乾させる。この期間の間に、種子はその水分含量の約８５％を失う。次いで、種子はさらに使用するまで密閉したペトリ皿中に室温で貯蔵される。ＤＮＡ構築および胚吸収は、実施例８に記載されるとおりである。第１のトランスジェニック植物（Ｔ０）の試料をＰＣＲにより分析して、Ｔ？ＤＮＡの存在を確認する。これらの結果は、ＤＮＡを１％アガロースゲル上で電気泳動して正電荷を帯びたナイロン膜（Ｒｏｃｈｅ Ｄｉａｇｎｏｓｔｉｃｓ）に転写するサザンハイブリダイゼーションにより確認される。ＰＣＲ  ＤＩＧ  プローブ合成キット（Ｒｏｃｈｅ Ｄｉａｇｎｏｓｔｉｃｓ）を使用して、ＰＣＲによりジゴキシゲニン標識プローブを調製し、製造者により推奨されるとおりに使用する。
【０５４４】
導入遺伝子発現が乾燥耐性を与えることを例証する実施例７において記載されるスクリーニング法に従い、トランスジェニック植物の改善された乾燥耐性について、それらをスクリーニングする。
【０５４５】
実施例１１？内因性ＺｍＰｒＰａｓｅ遺伝子活性の減少による乾燥耐性コーン植物の操作
クローンＧｍＰｒＰａｓｅ（配列番号：９）を、アンチセンス配向性にベクターｐＧＭＳＧおよびｐＧＭＧＧ中にクローニングした。これらの構築物を、以下に記載するようにコーンの形質転換に使用した。
【０５４６】
乾燥した胚のアグロバクテリウム培養物での吸収は、トウモロコシ胚軸にもまた適用可能である。実験プロトコルは、実施例８に記載されるものと同様であるが、胚の供給源としてトウモロコシ種子を使用する。
【０５４７】
導入遺伝子発現が乾燥耐性を与えることを例証する実施例７において記載されるスクリーニング法に従い、トランスジェニック植物の改善された乾燥耐性について、それらをスクリーニングする。
【０５４８】
実施例１２？ＡｔＰｒＰａｓｅ１プロモーターの孔辺細胞特異的発現
ＡｔＰｒＰａｓｅのプロモーター領域（配列番号１１）を、スーパープロモーター（ｓｕｐｅｒｐｒｏｍｏｔｅｒ）の代わりにｐＧＭＳＧ中にクローンし、レポーター遺伝子ＧＵＳを駆動した（Ｊｅｆｆｅｒｓｏｎ ｅｔ ａｌ．， １９８７）。得られた構築物ｐＢＰＳＲＣ００６を、実施例７に記載されるように、アラビドプシス植物に形質転換した。
【０５４９】
トランスジェニック植物を、孔辺細胞特異的染色についてスクリーニングし、導入遺伝子発現が孔辺細胞特異的プロモーター活性を与えることを例証する。
【０５５０】
実施例１３？ストレス耐性および植物成長の増加に至る、植物のＰｒＰａｓｅ過剰発現
クローンＡｔＰｒＰａｓｅ１（配列番号：３）、ＡｔＰｒＰａｓｅ２（配列番号：５）を、センス配向性にベクターｐＧＭＳＧ中にクローニングした。これらの構築物を、それぞれ実施例７、８、９、および１０に記載されるようにアラビドプシス、ダイズ、アブラナ、およびコーンの形質転換に使用した。
【０５５１】
導入遺伝子発現がストレス耐性を与えることを例証する実施例７において記載されるスクリーニング法に従い、トランスジェニック植物の改善されたストレス耐性について、それらをスクリーニングする。
【０５５２】
トランスジェニック植物をさらに、その成長速度についてスクリーニングし、導入遺伝子発現が成長速度の増加を与えることを例証する。
【０５５３】
実施例１４？寄託試料からの特異的クローン単離
任意所与のｃＤＮＡクローンに対する、第１表に記載されたＡＴＣＣ寄託番号を割り当てられた試料の寄託材料はまた、１つまたはそれ以上のさらなるプラスミド（それぞれが所与のクローンと異なるｃＤＮＡクローンを含む）を含んでいてもよい。したがって、同じＡＴＣＣ寄託番号を共有する寄託物は、第１表において同定される各ｃＤＮＡクローンに対して少なくとも１つのプラスミドを含む。通常、第１表に記載される各ＡＴＣＣ寄託試料は、ほぼ同量（重量で）の約１〜１０のプラスミドＤＮＡ（それぞれ異なるｃＤＮＡクローンおよび／または部分的ｃＤＮＡクローンを含む）の混合物を含む。しかし、そのような寄託試料は、２つより多いかまたは少ないｃＤＮＡクローンのプラスミドを含んでいてもよい。
【０５５４】
第１表に特定のクローンについて記載されるプラスミドＤＮＡの寄託試料からそのクローンを単離するために、２つのアプローチが使用され得る。第１に、配列番号：Ｘに対応するポリヌクレオチドプローブを使用して、クローンをスクリーニングすることによりプラスミドを直接単離する。
【０５５５】
詳細には、報告された配列に従い、Ａｐｐｌｉｅｄ  Ｂｉｏｓｙｓｔｅｍｓ  ＤＮＡ  ｓｙｎｔｈｅｓｉｚｅｒを使用して、３０〜４０個のヌクレオチドをもつ特異的ポリヌクレオチドを合成する。オリゴヌクレオチドを、例えばＴ４ポリヌクレオチドキナーゼを使用して３２Ｐ−（−ＡＴＰで標識して、日常的な方法に従って精製する（例えば、Ｍａｎｉａｔｉｓ ｅｔ ａｌ．， Ｍｏｌｅｃｕｌａｒ Ｃｌｏｎｉｎｇ： Ａ Ｌａｂｏｒａｔｏｒｙ Ｍａｎｕａｌ， Ｃｏｌｄ Ｓｐｒｉｎｇ Ｈａｒｂｏｒ Ｐｒｅｓｓ， Ｃｏｌｄ Ｓｐｒｉｎｇ， ＮＹ （１９８２）。）プラスミド混合物を、ベクター供給業者により提供されるもの、または上記に記載される関連文献もしくは特許におけるもののような、当業者に既知の方法を使用し、上記のように（例えば、ＸＬ−１Ｂｌｕｅ（Ｓｔｒａｔａｇｅｎｅ））適した宿主に形質転換する。形質転換体を、１．５％寒天プレート（適切な選択剤、例えばアンピシリンを含む）に、１プレートあたり約１５０個の形質転換体（コロニー）の密度で蒔く。これらのプレートを、細菌コロニースクリーニングの日常的な方法（例えば、Ｓａｍｂｒｏｏｋ ｅｔ ａｌ．， Ｍｏｌｅｃｕｌａｒ Ｃｌｏｎｉｎｇ： Ａ Ｌａｂｏｒａｔｏｒｙ Ｍａｎｕａｌ， ２ｎｄ Ｅｄｉｔ．， （１９８９）， Ｃｏｌｄ Ｓｐｒｉｎｇ Ｈａｒｂｏｒ Ｌａｂｏｒａｔｏｒｙ Ｐｒｅｓｓ， ｐａｇｅｓ １．９３ ｔｏ １．１０４）、または当業者に既知の他の方法に従って、ナイロン膜を使用してスクリーニングする。
【０５５６】
あるいは、配列番号：Ｘの両末端に由来する１７〜２０個のヌクレオチドのプライマー２つ（すなわち、第１表に定義されるクローンの５’ＮＴおよび３’ＮＴにより境界される配列番号：Ｘの領域内）を合成し、寄託ｃＤＮＡプラスミドを鋳型として使用して、所望のｃＤＮＡを増幅するのに使用する。決められた条件下、例えば２５μｌ、の反応混合物中に０．５μｇの上記ｃＤＮＡ鋳型を用いて、ポリメラーゼ連鎖反応法を行う。簡便な反応混合物は、１．５〜５ｍＭのＭｇＣｌ２、０．０１％（ｗ／ｖ）ゼラチン、各２０μＭのｄＡＴＰ、ｄＣＴＰ、ｄＧＴＰ、ｄＴＴＰ、各２５ｐｍｏｌのプライマー、および０．２５ユニットのＴａｑポリメラーゼである。３５サイクルのＰＣＲ（９４℃で１分間変性；５５℃で１分間アニーリング；７２℃で１分間延伸）を、Ｐｅｒｋｉｎ−Ｅｌｍｅｒ  Ｃｅｔｕｓ  ａｕｔｏｍａｔｅｄ  ｔｈｅｒｍａｌ  ｃｙｃｌｅｒで行う。増幅された生成物を、アガロースゲル電気泳動により分析し、予想される分子量をもつＤＮＡバンドを切り出して精製する。ＰＣＲ生成物は、ＤＮＡ生成物のサブクローニングおよび配列決定により選択された配列であることが確認される。
【０５５７】
遺伝子の５’または３’非コードおよび／またはコード部分（これは寄託されたクローンに存在しなくてもよい）の同定のために、複数の方法が利用可能である。これらの方法として、フィルタープロ−ビング、特異的プローブを使用するクローンエンリッチメント、および当該技術分野で既知の５’および３’「ＲＡＣＥ」プロトコルと類似または同じプロトコルがあげられるが、それらに限定されない。例えば、５’ＲＡＣＥと類似の方法は、所望の全長転写物の５’末端欠損の生成に利用可能である（Ｆｒｏｍｏｎｔ−Ｒａｃｉｎｅ ｅｔ ａｌ．， Ｎｕｃｌｅｉｃ Ａｃｉｄｓ Ｒｅｓ． ２１ （７）： １６８３−１６８４ （１９９３））。
【０５５８】
簡単には、特異的ＲＮＡオリゴヌクレオチドは、全長遺伝子ＲＮＡ転写物を推定上含むＲＮＡの集団の５’末端に連結する。連結したＲＮＡオリゴヌクレオチドに特異的なプライマーおよび所定の遺伝子の既知配列に特異的なプライマーを含むプライマーセットを使用して、所望の全長遺伝子の５’部分をＰＣＲ増幅する。次いで、この増幅された生成物は、配列決定されて全長遺伝子を生成するために使用され得る。
【０５５９】
この上記の方法は、所望の供給源から単離された全ＲＮＡを用いて開始するが、ｐｏｌｙ−Ａ＋ＲＮＡが使用され得る。次いで、分解または損傷したＲＮＡの５’リン酸基（これは後のＲＮＡリガーゼの工程に干渉し得る）を除去する必要がある場合、ＲＮＡ調製物がホスファターゼで処理され得る。次いで、ホスファターゼは不活性化され、メッセンジャーＲＮＡの５’末端に存在するキャップ構造を除去するために、ＲＮＡはタバコ酸ピロホスファターゼで処理される。この反応は、キャップ切断ＲＮＡの５’末端に５’リン酸基を残し、次いで、これがＴ４ＲＮＡリガーゼを使用してＲＮＡオリゴヌクレオチドに連結し得る。
【０５６０】
この修飾されたＲＮＡ調製物を、遺伝子特異的オリゴヌクレオチドを用いて、第一鎖ｃＤＮＡ合成のための鋳型として使用する。第一鎖合成反応を、連結したＲＮＡオリゴヌクレオチドに特異的なプライマーおよび所定の遺伝子の既知配列に特異的なプライマーを使用して、所望の５’末端のＰＣＲ増幅のための鋳型として使用する。次いで、得られた生成物を配列決定および分析して、５’末端配列が所望の遺伝子に属していることを確認する。その上、さらなる５’または３’コードまたは非コード配列を単離する確率を増加させるためにＲＡＣＥプロトコルを最適化することは有利であり得る。ＲＡＣＥプロトコルを最適化する様々な方法は当該技術分野で既知であるが、これらの方法を要約した詳細な記述が、Ｂ． Ｃ． Ｓｃｈａｅｆｅｒ， Ａｎａｌ． Ｂｉｏｃｈｅｍ．， ２２７： ２５５−２７３， （１９９５）に見られる。
【０５６１】
実施例１５？ポリペプチドの組織分布
本発明のポリヌクレオチドのｍＲＮＡ発現の組織分布を、特にＳａｍｂｒｏｏｋらにより記載されるノーザンブロット分析のプロトコルを使用して決定する。例えば、実施例１に記載される方法により生成されるｃＤＮＡプローブを、製造業者の説明書に従い、ｒｅｄｉｐｒｉｍｅ（商標）ＤＮＡ標識システム（Ａｍｅｒｓｈａｍ Ｌｉｆｅ Ｓｃｉｎｅｃｅ）を使用して、ｐ３２で標識する。標識後、製造業者のプロトコル番号ＰＴ１２００？１に従い、ＣＨＲＯＭＡ  ＳＰＩＮ０−１００カラム（Ｃｌｏｎｔｅｃｈ Ｌａｂｏｒａｔｏｒｉｅｓ， Ｉｎｃ．）を使用してプローブを精製する。次いで、精製した標識プローブを使用して、ｍＲＮＡ発現について様々な組織で試験した。
【０５６２】
様々な組織の結合ｍＲＮＡを含む組織ノーザンブロットを、製造業者のプロトコル番号ＰＴ１１９０？１に従い、ＥｘｐｒｅｓｓＨｙｂ（商標）ハイブリダイゼーション溶液（Ｃｌｏｎｅｔｅｃｈ）を使用して、標識プローブで試験する。ノーザンブロットは、当該技術分野で既知の様々なプロトコルを使用して生成され得る（例えば、Ｓａｍｂｒｏｏｋ ｅｔ ａｌ）。ハイブリダイゼーションおよび洗浄に続いて、ブロットをフィルムに載せて？７℃で一晩露光し、フィルムを標準的な手順に従い現像する。
【０５６３】
実施例１６？ポリヌクレオチドの染色体マッピング
オリゴヌクレオチドプライマーセットを、配列番号：Ｘの５’末端における配列に従って設計する。このプライマーは、好ましくは、約１００ヌクレオチドのスパンである。次いで、このプライマーセットを、以下の条件セット下でポリメラーゼ連鎖反応法に使用する：３０秒、９５℃；１分、５６℃；１分７０℃。このサイクルを３２回繰り返し、続いて７０℃で５分のサイクルを１回行う。個体染色体または染色体断片を含む体細胞ハイブリッドパネル（Ｂｉｏｓ， Ｉｎｃ）に加えて、植物ＤＮＡを鋳型として使用する。反応を、８％ポリアクリルアミドゲルまたは３．５％アガロースゲルのいずれかで分析する。染色体マッピングは、特定の体細胞ハイブリッド中の約１００ｂｐＰＣＲ断片の存在により決定される。
【０５６４】
実施例１７？ポリペプチドの細菌発現
本発明のポリペプチドをコードするポリヌクレオチドを、挿入断片を合成するために、実施例１に概説されるように、ＤＮＡ配列の５’および３’末端に対応するＰＣＲオリゴヌクレオチドプライマーを使用して増幅させる。ｃＤＮＡ挿入物を増幅させるために使用するプライマーは、増幅された生成物を発現ベクター中へクローニングするために、好ましくは、ＢａｍＨＩおよびＸｂａＩのような制限部位をプライマーの５’末端に含む。例えば、ＢａｍＨＩおよびＸｂａＩは、細菌発現ベクターｐＱＥ−９の制限酵素部位に対応する。（Ｑｉａｇｅｎ， Ｉｎｃ．， Ｃｈａｔｓｗｏｒｔｈ， ＣＡ）。このプラスミドベクターは、抗生物質耐性（Ａｍｐｒ）、細菌複製起点（ｏｒｉ）、ＩＰＴＧ−調節可能なプロモーター／オペレーター（Ｐ／Ｏ）、リボソーム結合部位（ＲＢＳ）、６？ヒスチジンタグ（６−Ｈｉｓ）、および制限酵素クローニング部位をコードする。
【０５６５】
ｐＱＥ？９ベクターをＢａｍＨＩおよびＸｂａＩで消化し、増幅された断片を、細菌ＲＢＳで開始されるリーディングフレームを維持するｐＱＥ？９ベクターに連結する。次いで、連結混合物を使用して、プラスミドｐＲＥＰ４（これはｌａｃＩリプレッサーを発現し、またカナマイシン耐性（Ｋａｎｒ）を与える）の複数コピーを含む大腸菌株Ｍ１５／ｒｅｐ４（Ｑｉａｇｅｎ， Ｉｎｃ．）を形質転換する。形質転換体のＬＢプレート上での成長能力により、それらを同定し、アンピシリン／カナマイシン耐性コロニーを選択する。プラスミドＤＮＡを単離して、制限分析により確認する。
【０５６６】
所望の構築物を含むクローンを、Ａｍｐ（１００ｕｇ／ｍｌ）およびＫａｎ（２５ｕｇ／ｍｌ）の両方を補充したＬＢ培地中液体培養で一晩成長させる（Ｏ／Ｎ）。Ｏ／Ｎ培養物を使用して、１：１００〜１：２５０の比で、巨大な培養物を播種する。細胞は、光学濃度６００（Ｏ．Ｄ．６００）の０．４〜０．６に成長する。次いで、ＩＰＴＧ（イソプロピル−Ｂ−Ｄ−チオガラクトピラノシド）を最終濃度１ｍＭまで加える。ＩＰＴＧは、ｌａｃＩリプレッサーを不活性化することにより誘導し、遺伝子発現の増加に至るＰ／Ｏを掃除する。
【０５６７】
細胞をさらに３〜４時間成長させる。次いで、細胞を遠心分離（６０００Ｘｇで２０分）により回収する。細胞ペレットを、３〜４時間４℃で撹拌することにより、カオトロピック剤６モルグアニジンＨＣｌに可溶化させる。細胞残屑を遠心分離により除去し、ポリペプチドを含む上清をニッケル？ニトリロ−三酢酸（「Ｎｉ−ＮＴＡ」）アフィニティ樹脂カラム（ＱＩＡＧＥＮ， Ｉｎｃ．，上記から入手可能）上に付加する。６×Ｈｉｓタグをもつタンパク質は、高い親和性でＮｉ−ＮＴＡ樹脂に結合するので、簡潔な１工程手順で精製され得る（詳細については、Ｔｈｅ ＱＩＡｅｘｐｒｅｓｓｉｏｎｉｓｔ （１９９５） ＱＩＡＧＥＮ， Ｉｎｃ．，上述を参照）。
【０５６８】
簡単には、上清を６Ｍ  グアニジン−ＨＣｌ（ｐＨ８）のカラムにかけ、カラムを最初に１０容量の６Ｍ  グアニジン−ＨＣｌ（ｐＨ８）で洗い、次いで１０容量の６Ｍ  グアニジン−ＨＣｌ（ｐＨ６）で洗い、最後にポリペプチドを６Ｍ  グアニジン−ＨＣｌ（ｐＨ５）で溶出させる。
【０５６９】
次いで、精製したタンパク質を、リン酸緩衝食塩水（ＰＢＳ）または５０ｍＭＮａ−酢酸ｐＨ６緩衝液＋２００ｍＭ  ＮａＣｌに対して透析することにより、復元する。あるいは、タンパク質は、Ｎｉ−ＮＴＡカラムに固定化されている間、首尾良くリフォールディングされ得る。推奨される条件は以下のとおりである：５００ｍＭのＮａＣｌ中６Ｍ〜１Ｍの尿素勾配、２０％グリセロール、２０ｍＭ  Ｔｒｉｓ／ＨＣｌ（ｐＨ７．４）、を使用する復元、プロテアーゼインヒビター含有。再生は、１．５時間以上の時間にわたり行われるべきである。復元後、２５０ｍＭ  イミダゾールを加えることによりタンパク質を溶出する。ＰＢＳまたは５０ｍＭ  Ｎａ−酢酸ｐＨ６緩衝液＋２００ｍＭ  ＮａＣｌに対する最終透析工程によりイミダゾールを除去する。精製したタンパク質を４℃で貯蔵、または？８０℃で冷凍する。
【０５７０】
実施例１８？封入体からのポリペプチドの精製
以下の代替的な方法は、大腸菌が封入体の形態で存在する場合に、大腸菌に発現するポリペプチドを精製するために使用され得る。他に記載されない限り、以下の工程の全てを４〜１０℃で行う。
【０５７１】
大腸菌発酵の生成相の完了に際して、細胞培養物を４〜１０℃に冷却し、細胞を１５，０００ｒｐｍでの連続遠心分離（Ｈｅｒａｅｕｓ Ｓｅｐａｔｅｃｈ）により回収する。細胞ペーストの単位重量あたりの予想タンパク質収量および必要とされる精製タンパク質の量に基づき、適切な量（重量で）の細胞ペーストを１００ｍＭのＴｒｉｓ、５０ｍＭのＥＤＴＡを含む緩衝溶液（ｐＨ７．４）に懸濁させる。高速剪断ミキサーを使用して、細胞を分散させて均質な懸濁液にする。
【０５７２】
次いで、溶液を４０００〜６０００ｐｓｉでマイクロフルイダイザー（ｍｉｃｒｏｆｌｕｉｄｉｚｅｒ）（Ｍｉｃｒｏｆｕｉｄｉｃｓ， Ｃｏｒｐ． または ＡＰＶ Ｇａｕｌｉｎ， Ｉｎｃ．）に２回通すことにより、細胞を溶解する。次いで、ホモジネートを最終的に０．５Ｍ  ＮａＣｌの濃度までＮａＣｌ溶液と混合し、続いて７０００×ｇで１５分間遠心分離する。得られたペレットを、０．５ＭのＮａＣｌ、１００ｍＭのＴｒｉｓ、５０ｍＭのＥＤＴＡ（ｐＨ７．４）を使用して、再び洗う。
【０５７３】
得られた洗浄封入体を、１．５Ｍの塩酸グアニジン（ＧｕＨＣｌ）で２〜４時間可溶化する。７０００×ｇで１５分間の遠心分離後、ペレットを廃棄してポリペプチド含有上清を４℃で一晩インキュベートし、さらにＧｕＨＣｌを抽出する。
【０５７４】
不溶性粒子を除去するための高速遠心分離（３０，０００×ｇ）に続き、激しく撹拌しながらＧｕＨＣｌ抽出物を２０容量の緩衝液（５０ｍＭのナトリウム、ｐＨ４．５、１５０ｍＭのＮａＣｌ、２ｍＭのＥＤＴＡ含有）とすばやく混合することにより、ＧｕＨＣｌ可溶化タンパク質をリフォールディングする。リフォールディングタンパク質の希釈溶液は、さらなる精製工程の１２時間前から混合することなく４℃に保つ。
【０５７５】
リフォールディングポリペプチド溶液を清澄にするため、先に調製した、適切な表面積をもつ０．１６ｕｍ膜フィルター（例えば、Ｆｉｌｔｒｏｎ）を備え、４０ｍＭの酢酸ナトリウム（ｐＨ６．０）で平衡化した接線濾過装置を用いる。濾過した試料を陽イオン交換樹脂（例えば、Ｐｏｒｏｓ  ＨＳ−５０、Ｐｅｒｓｅｐｔｉｖｅ Ｂｉｏｓｙｓｔｅｍｓ）にかける。カラムを４０ｍＭの酢酸ナトリウム（ｐＨ６．０）で洗い、段階的様式で、同じ緩衝液中の２５０ｍＭ、５００ｍＭ、１０００ｍＭ、および１５００ｍＭのＮａＣｌで溶出させる。溶出物の２８０ｎｍにおける吸光度を連続的にモニタリングする。分画を収集して、さらにＳＤＳ？ＰＡＧＥにより分析する。
【０５７６】
次いで、ポリペプチド含有フラクションをプールして、４容量の水と混合する。次いで、希釈した試料を、先に調製した、強陰イオン（Ｐｏｒｏｓ  ＨＱ−５０、Ｐｅｒｓｅｐｔｉｖｅ Ｂｉｏｓｙｓｔｅｍｓ）および弱陰イオン（Ｐｏｒｏｓ  ＣＭ−２０、Ｐｅｒｓｅｐｔｉｖｅ Ｂｉｏｓｙｓｔｅｍｓ）交換樹脂のタンデムカラムのセットにかける。カラムは、４０ｍＭの酢酸ナトリウム（ｐＨ６．０）で平衡化される。両方のカラムを、４０ｍＭの酢酸ナトリウム（ｐＨ６．０）、２００ｍＭのＮａＣｌで洗う。次いで、ＣＭ−２０カラムを、０．２ＭのＮａＣｌ、５０ｍＭの酢酸ナトリウム（ｐＨ６．０）から１．０ＭのＮａＣｌ、５０ｍＭの酢酸ナトリウム（ｐＨ６．５）までの範囲の直線勾配でのカラム１０容量を使用して溶出させる。溶出物の定常Ａ２８０モニタリング下で、フラクションを収集する。次いで、ポリペプチド含有フラクション（例えば、１６％ＳＤＳ−ＰＡＧＥにより決定）をプールする。
【０５７７】
得られたポリペプチドは、上記のリフォールディングおよび精製工程後、９５％より高い純度を示すはずである。５ｕｇの精製タンパク質をロードした場合、主要な混入物バンドはクーマシーブルーで染色した１６％ＳＤＳ−ＰＡＧＥゲルからは観測されないはずである。精製タンパク質はまた、エンドトキシン／ＬＰＳ混入について試験され得て、通常は、ＬＰＳ含量はＬＡＬアッセイにより０．１ｎｇ／ｍｌ未満である。
【０５７８】
実施例１９？バキュロウイルス発現系のポリペプチドのクローニングおよび発現
この実施例において、プラスミドシャトルベクターｐＡｃ３７３を使用して、ポリヌクレオチドをバキュロウイルスに挿入し、ポリペプチドを発現させる。典型的なバキュロウイルス発現ベクターは、オートグラファ・カリフォルニカ（Ａｕｔｏｇｒａｐｈａ ｃａｌｉｆｏｒｎｉｃａ）核多角体病ウイルス（ＡｃＭＮＰＶ）の強力なポリヘドリン（ｐｏｌｙｈｅｄｒｉｎ）プロモーターとそれに続く簡便な制限部位（例えば、ＢａｍＨＩ、ＸｂａＩ、およびＡｓｐ７１８が挙げられる）を含む。効果的なポリアデニル化のため、シミアンウイルス４０（「ＳＶ４０」）のポリアデニル化部位がしばしば使用される。組換えウイルスの簡単な選択のため、プラスミドは、同じ配向性で弱ドロソフィラプロモーターの制御下にある大腸菌由来のβ？ガラクトシダーゼ遺伝子、それに続くポリヘドリン遺伝子のポリアデニル化シグナルを含む。挿入された遺伝子は、野生型ウイルスＤＮＡでの細胞媒介型相同的組換えに対するウイルス配列により両側で隣接し、クローンポリヌクレオチドを発現する生存可能なウイルスを生成する。
【０５７９】
構築物が、転写、翻訳、分泌などのための適切に配置されたシグナル（必要に応じ、シグナルペプチドおよびインフレーム（ｉｎ−ｆｒａｍｅ）ＡＵＧを含む）を提供する限り、当業者が容易に理解するように、多くの他のバキュロウイルスベクターが、上記のベクター（ｐＶＬ９４１およびｐＡｃＩＭ１など）の代わりに使用され得る。そのようなベクターは、例えば、Ｌｕｃｋｏｗ ｅｔ ａｌ．， Ｖｉｒｏｌｏｇｙ １７０： ３１−３９ （１９８９）に記載される。
【０５８０】
本発明のポリペプチドをコードするポリヌクレオチドを、挿入断片を合成するために、実施例１に概説されるように、ＤＮＡ配列の５’および３’末端に対応するＰＣＲオリゴヌクレオチドプライマーを使用して増幅させる。ｃＤＮＡ挿入物を増幅させるために使用するプライマーは、増幅された生成物を発現ベクター中へクローニングするために、好ましくは、制限部位をプライマーの５’末端に含む。詳細には、寄託クローンに含まれるｃＤＮＡ配列（ＡＵＧ開始コドンおよび本明細書中他の箇所で同定される天然に付随するリーダー配列を含む（適用可能であれば））を、実施例１に記載されるＰＣＲプロトコルを使用して増幅する。天然に生じるシグナル配列を使用してタンパク質を生成する場合、使用されるベクターは、第２のシグナルペプチドを必要としない。あるいは、ベクターは、Ｓｕｍｍｅｒｓ ｅｔ ａｌ．， ”Ａ Ｍａｎｕａｌ ｏｆ Ｍｅｔｈｏｄｓ ｆｏｒ Ｂａｃｕｌｏｖｉｒｕｓ Ｖｅｃｔｏｒｓ ａｎｄ Ｉｎｓｅｃｔ Ｃｅｌｌ Ｃｕｌｔｕｒｅ Ｐｒｏｃｅｄｕｒｅｓ，”Ｔｅｘａｓ Ａｇｒｉｃｕｌｔｕｒａｌ Ｅｘｐｅｒｉｍｅｎｔａｌ Ｓｔａｔｉｏｎ Ｂｕｌｌｅｔｉｎ Ｎｏ． １５５５ （１９８７）に記載される標準方法を使用して、バキュロウイルスリーダー配列を含むように修飾され得る。
【０５８１】
増幅された断片を、市販されているキット（”Ｇｅｎｅｃｌｅａｎ，”ＢＩＯ １０１ Ｉｎｃ．， Ｌａ Ｊｏｌｌａ， Ｃａ．）を使用して、１％アガロースゲルから単離する。次いで、断片を適切な制限酵素で消化して、再び１％アガロースゲルで精製する。
【０５８２】
プラスミドを対応する制限酵素で消化し、任意で、当該技術分野で既知の決まった手順を用いて、子ウシ腸管ホスファターゼを使用して脱リン酸化し得る。次いで、ＤＮＡを市販されているキット（”Ｇｅｎｅｃｌｅａｎ，”ＢＩＯ １０１ Ｉｎｃ．， Ｌａ Ｊｏｌｌａ， Ｃａ．）を使用して、１％アガロースゲルから単離する。
【０５８３】
断片および脱リン酸化プラスミドは、Ｔ４ＤＮＡリガーゼと一緒に連結される。大腸菌ＨＢ１０１またはＸＬ−１Ｂｌｕｅ（Ｓｔｒａｔａｇｅｎｅ Ｃｌｏｎｉｎｇ Ｓｙｓｔｅｍｓ， Ｌａ Ｊｏｌｌａ， ＣＡ）細胞などの他の適した大腸菌宿主を、連結混合物で形質転換し、培養プレートに拡げる。個々のコロニーからのＤＮＡを消化してゲル電気泳動により消化生成物を分析することにより、プラスミド含有細菌を同定する。クローン断片の配列を、ＤＮＡ配列決定により確認する。
【０５８４】
５ｕｇのポリヌクレオチド含有プラスミドを、Ｆｅｌｇｎｅｒ ｅｔ ａｌ．， Ｐｒｏｃ． Ｎａｔｌ． Ａｃａｄ． Ｓｃｉ． ＵＳＡ ８４： ７４１３−７４１７ （１９８７）により記載されるリポフェクション法を用いて、１．０ｕｇの市販されている直鎖化バキュロウイルスＤＮＡ（「ＢａｃｕｌｏＧｏｌｄ（商標）ｂａｃｕｌｏｖｉｒｕｓ  ＤＮＡ」、Ｐｈａｒｍｉｎｇｅｎ， Ｓａｎ Ｄｉｅｇｏ， ＣＡ）で同時形質転換する。１ｕｇのＢａｃｕｌｏＧｏｌｄ（商標）ウイルスＤＮＡおよび５ｕｇのプラスミドを、５０ｕｌの無血清グレース培地を含むマイクロタイタープレートの滅菌ウェル中で混合する。その後、１０ｕｌのリポフェクチン＋９０ｕｌのグレース培地を加え、混合し、室温で１５分間インキュベートする。次いで、トランスフェクション混合物を、１ｍｌの無血清グレース培地を含む３５ｍｍ組織培養プレートに蒔いたＳｆ９昆虫細胞（ＡＴＣＣ  ＣＲＬ  １７１１）に滴下する。次いで、プレートを２７℃で５時間インキュベートする。次いで、トランスフェクション溶液をプレートから除去し、１０％ウシ胎児血清を補充した１ｍｌのグレース昆虫培地を加える。次いで、培養を２７℃で４日間続ける。
【０５８５】
４日後、上清を収集し、Ｓｕｍｍｅｒｓ ａｎｄ Ｓｍｉｔｈ（上述）により記載されるように、プラークアッセイを行う。「Ｂｌｕｅ  Ｇａｌ」を加えたアガロースゲル（Ｌｉｆｅ Ｔｅｃｈｎｏｌｏｇｉｅｓ Ｉｎｃ．， Ｇａｉｔｈｅｒｓｂｕｒｇ）を使用して、青く染色されたプラークを形成するｇａｌ−発現クローンの同定および単離をしやすくする。（この型の「プラークアッセイ」の詳細な記述はまた、Ｌｉｆｅ Ｔｅｃｈｎｏｌｏｇｉｅｓ Ｉｎｃ．， Ｇａｉｔｈｅｒｓｂｕｒｇにより配布される昆虫細胞培養およびバキュロウイルス学（ｂａｃｕｌｏｖｉｒｏｌｏｇｙ）のためのユーザーズガイド９〜１０頁に見られ得る。）適切なインキュベーション後、青く染色されたプラークをマイクロピペッター（ｍｉｃｒｏｐｉｐｅｔｔｏｒ）（例えば、エッペンドルフ）のチップで取り出す。次いで、組換えウイルスを含む寒天を、２００ｕｌのグレース培地を含む微量遠心分離管中で再懸濁させ、組換えバキュロウイルスを含む懸濁液を使用して、３５ｍｍ皿に蒔かれたＳｆ９細胞を感染させる。４日後、これらの培養皿の上清を回収し、次いでそれらを４℃で貯蔵する。
【０５８６】
ポリペプチドの発現を検証するため、Ｓｆ９細胞を、１０％の熱不活性化ＦＢＳを補充したグレース培地中で成長させる。細胞を、約２の感染効率（「ＭＯＩ」）でポリヌクレオチドを含む組換えバキュロウイルスで感染させる。放射標識したタンパク質が望まれる場合、６時間後に培地を除去して、メチオニンおよびシステインを除いたＳＦ９００ＩＩ培地（Ｌｉｆｅ Ｔｅｃｈｎｏｌｏｇｉｅｓ Ｉｎｃ．， Ｒｏｃｋｖｉｌｌｅ， ＭＤから入手可能）で置換する。４２時間後、５ｕＣｉの３５Ｓ？メチオニンおよび５ｕＣｉの３５Ｓ？システイン（Ａｍｅｒｓｈａｍから入手可能）を加える。細胞をさらに１６時間インキュベートし、次いで遠心分離により回収する。上清中のタンパク質ならびに細胞内タンパク質を、ＳＤＳ−ＰＡＧＥとそれに続くオートラジオグラフィー（放射標識された場合）により分析する。
【０５８７】
製造したタンパク質のアミノ末端配列を決定するために、精製タンパク質のアミノ末端のアミノ酸配列のミクロシーケンシングが使用され得る。
【０５８８】
実施例２０？ほ乳動物細胞におけるポリペプチドの発現
本発明のポリペプチドは、ほ乳動物細胞において発現され得る。典型的なほ乳動物発現ベクターは、ｍＲＮＡの転写開始、タンパク質コード配列、ならびに転写停止および転写物のポリアデニル化に必要なシグナルを媒介するプロモーターエレメントを含む。さらなるエレメントとして、エンハンサー、コザック配列、およびＲＮＡスプライシングのためのドナーおよびアクセプター部位に隣接する介在配列が挙げられる。効率の高い転写が、ＳＶ４０由来の初期および後期プロモーター、レトロウイルス（例えば、ＲＳＶ、ＨＴＬＶＩ、ＨＩＶＩ）由来の末端反復配列（ＬＴＲ）、およびサイトメガロウイルス（ＣＭＶ）の初期プロモーターで達成される。しかしながら、細胞エレメントもまた使用され得る（例えば、ヒトアクチンプロモーター）。
【０５８９】
本発明の実施において使用するのに適した発現ベクターとして、例えば、ｐＳＶＬおよびｐＭＳＧ（Ｐｈａｒｍａｃｉａ， Ｕｐｐｓａｌａ， Ｓｗｅｄｅｎ）、ｐＲＳＶｃａｔ（ＡＴＣＣ  ３７１５２）、ｐＳＶ２ｄｈｆｒ（ＡＴＣＣ  ３７１４６）、ｐＢＣ１２ＭＩ（ＡＴＣＣ  ６７１０９）、ｐＣＭＶＳｐｏｒｔ２．０、およびｐＣＭＶＳｐｏｒｔ３．０などのベクターが挙げられる。使用され得るほ乳動物宿主細胞として、ヒトＨｅｌａ、２９３、Ｈ９、およびジャーカット細胞、マウスＮＩＨ３Ｔ３およびＣ１２７細胞、Ｃｏｓ１、Ｃｏｓ７およびＣＶ１、ウズラＱＣ１？３細胞、マウスＬ細胞、ならびにチャイニーズハムスター卵巣（ＣＨＯ）細胞が挙げられる。
【０５９０】
あるいは、ポリペプチドは、染色体に組み込まれたポリヌクレオチドを含む安定細胞系において発現され得る。ｄｈｆｒ、ｇｐｔ、ネオマイシン、ハイグロマイシンなどの選択マーカーでの同時形質転換は、形質転換細胞の同定および単離を可能にする。
【０５９１】
形質転換遺伝子はまた、増幅されて大量のコードタンパク質を発現し得る。ＤＨＦＲ（ジヒドロ葉酸還元酵素）マーカーは、所定の数百または数千コピーの遺伝子さえも運ぶ細胞系を確立するのに有用である（例えば、Ａｌｔ， Ｆ． Ｗ．， ｅｔ ａｌ．， Ｊ． Ｂｉｏｌ． Ｃｈｅｍ． ２５３： １３５７−１３７０ （１９７８）； Ｈａｍｌｉｎ， Ｊ． Ｌ． ａｎｄ Ｍａ， Ｃ．， Ｂｉｏｃｈｅｍ． ｅｔ Ｂｉｏｐｈｙｓ． Ａｃｔａ， １０９７： １０７−１４３ （１９９０）； Ｐａｇｅ， Ｍ． Ｊ． ａｎｄ Ｓｙｄｅｎｈａｍ， Ｍ． Ａ．， Ｂｉｏｔｅｃｈｎｏｌｏｇｙ ９： ６４−６８ （１９９１）を参照）。別の有用な選択マーカーは、酵素グルタミン合成酵素（ＧＳ）である（Ｍｕｒｐｈｙ ｅｔ ａｌ．， Ｂｉｏｃｈｅｍ Ｊ． ２２７： ２７７−２７９ （１９９１）； Ｂｅｂｂｉｎｇｔｏｎ ｅｔ ａｌ．， Ｂｉｏ／Ｔｅｃｈｎｏｌｏｇｙ １０： １６９−１７５ （１９９２）。これらのマーカーを使用して、ほ乳動物細胞を選択培地で成長させ、最も高い耐性をもつ細胞を選択する。これらの細胞系は、染色体に組み込まれた増幅された遺伝子（単数または複数）を含む。タンパク質の産生のために、チャイニーズハムスター卵巣（ＣＨＯ）およびＮＳＯ細胞がしばしば使用される。
【０５９２】
本発明のポリヌクレオチドを、実施例１に概説されるプロトコルに従い増幅させる。タンパク質を生成するために天然に生じるシグナル配列を使用する場合、ベクターは第２のシグナルペプチドを必要としない。あるいは、天然に生じるシグナル配列を使用しない場合、ベクターは異種シグナル配列を含むように修飾され得る。（例えば、国際公開第９６／３４８９１号を参照。）増幅断片を、市販されているキット（”Ｇｅｎｅｃｌｅａｎ，”ＢＩＯ １０１ Ｉｎｃ．， Ｌａ Ｊｏｌｌａ， Ｃａ．）を使用して、１％アガロースゲルから単離する。次いで、断片を適切な制限酵素で消化して、再び１％アガロースゲルで精製する。
【０５９３】
次いで、増幅断片を同じ制限酵素で消化して、１％アガロースゲルで精製する。次いで、単離した断片および脱リン酸化ベクターをＴ４ＤＮＡリガーゼと連結する。次いで、大腸菌ＨＢ１０１またはＸＬ−１Ｂｌｕｅ細胞を形質転換し、例えば制限酵素分析を使用して、プラスミドｐＣ６に挿入された断片を含む細菌を同定する。
【０５９４】
活性ＤＨＦＲ遺伝子を欠如するチャイニーズハムスター卵巣細胞が形質転換のために使用される。５μｇの発現プラスミドを、リポフェクチンを使用して、０．５ｕｇのプラスミドｐＳＶｎｅｏで同時形質転換する（Ｆｅｌｇｎｅｒ ｅｔ ａｌ．，上述）。プラスミドｐＳＶｎｅｏは、優性の選択マーカー、Ｇ４１８を含む抗生物質群に対する耐性を与える酵素をコードするＴｎ５からのｎｅｏ遺伝子を含む。細胞を、１ｍｇ／ｍｌのＧ４１８を補充したα？ＭＥＭに蒔く。２日後、細胞をトリプシン処理して、１０、２５、または５０ｎｇ／ｍｌのメトトレキセート（ｍｅｔｏｔｈｒｅｘａｔｅ）＋１ｍｇ／ｍｌのＧ４１８を補充したα？ＭＥＭ中のハイブリドーマクローニングプレート（Ｇｒｅｉｎｅｒ， Ｇｅｒｍａｎｙ）に蒔く。約１０〜１４日後、単一のコロニーをトリプシン処理し、次いで異なる濃度のメトトレキセート（５０ｎＭ、１００ｎＭ、２００ｎＭ、４００ｎＭ、８００ｎＭ）を使用して６？ウェルペトリ皿または１０ｍｌフラスコに蒔く。次いで、最も高い濃度のメトトレキセートで成長するクローンを、さらに高い濃度のメトトレキセート（１ｕＭ、２ｕＭ、５ｕＭ、１０ｍＭ、２０ｍＭ）を含む新たな６？ウェルプレートに移す。１００〜２００ｕＭの濃度で成長するクローンが得られるまで、同様の手順を繰り返す。所望の遺伝子生成物の発現を、例えばＳＤＳ−ＰＡＧＥおよびウェスタンブロットにより、または逆相ＨＰＬＣ分析により分析する。
【０５９５】
上記に提供される方法に加えて、ポリペプチド、好ましくは本発明のポリペプチドを発現させる他の方法が当該技術分野で既知である。例えば、米国特許第６，０６６，７８１号（その全文が本明細書中に参照により援用される）は、所定のタンパク質（この場合、本発明のポリペプチド）のコードポリヌクレオチド配列に作動的に連結した、コメα？アミラーゼシグナル配列ペプチド（ＭＫＮＴＳＳＬＣＬＬＬＬＶＶＬＣＳＬＴＣＮＳＧＱＡ（配列番号：２０））の部分に対応するＮ？末端部分のためのコードポリヌクレオチドからなるキメラ遺伝子を記載する。このシグナル配列ペプチドは、異種シグナル配列として、本発明のポリペプチドの自然シグナル配列と操作的に置換され得る。本発明のポリペプチドの成熟した形態を生成するそのような方法は、本発明により包含され、単独で、あるいは、当該技術分野で既知の、かつ／または本明細書中に開示される他の方法と組み合わせてのいずれかで使用され得る。
【０５９６】
さらに、高等植物における組換えタンパク質のタンパク質生成の向上が、最近、ユビキチンまたはキュウリモザイクウイルスコートタンパク質ペプチドのＮ？末端融合によりなされた（国際公開番号第００／３６１２９号を参照）。そのような方法は、適した植物宿主において、本発明のポリペプチドの発現を増加させるために適用され得る。
【０５９７】
実施例２１？タンパク質融合
本発明のポリペプチドは、好ましくは、他のタンパク質と融合される。これらの融合タンパク質は、様々な用途に使用され得る。例えば、本発明のポリペプチドとＨｉｓ？タグ、ＨＡ？タグ、プロテインＡ、ＩｇＧドメイン、およびマルトース結合タンパク質との融合は、精製を促進する。（本明細書中に記載さえる実施例を参照；また、ＥＰ Ａ ３９４，８２７； Ｔｒａｕｎｅｃｋｅｒ， ｅｔ ａｌ．， Ｎａｔｕｒｅ ３３１： ８４−８６ （１９８８）を参照。）同様に、ＩｇＧ？１、ＩｇＧ？３、およびアルブミンとの融合は、ｉｎ  ｖｉｖｏ半減期を増加させる。本発明のポリペプチドと融合した核局在化シグナルは、特異的細胞成分局在化に対してタンパク質を標的とすることができ、一方共有ヘテロ二量体またはホモ二量体は融合タンパク質の活性を増加または減少させることができる。融合タンパク質はまた、２つ以上の機能を有するキメラ分子を作成し得る。最後に、融合タンパク質は、非融合タンパク質と比較して、融合タンパク質の溶解性および／または安定性を増加させ得る。上記に記載される融合タンパク質の全ての型が、ポリペプチドのＩｇＧ分子との融合を概説する以下のプロトコルを変更することで作成され得る。
【０５９８】
簡単には、以下に記載される配列の５’および３’末端にわたるプライマーを使用して、ＩｇＧ分子のヒトＦｃ部分がＰＣＲ増幅され得る。これらのプライマーはまた、発現ベクター、好ましくはほ乳動物発現ベクターへのクローニングを促進する簡便な制限酵素部位を有するべきである。ポリヌクレオチドは停止コドン無しでクローンされ、そうでなければ融合タンパク質が生成されないことが留意されたい。
【０５９９】
天然に生じるシグナル配列が、タンパク質を生成するために使用され得る（適用可能であれば）。あるいは、天然に生じるシグナル配列が使用されない場合、ベクターは異種シグナル配列を含むように修飾され得る（例えば、国際公開第９６／３４８９１号および／または米国特許第６，０６６，７８１号、上記を参照）。
【０６００】
ヒトＩｇＧ  Ｆｃ領域
ＧＧＧＡＴＣＣＧＧＡＧＣＣＣＡＡＡＴＣＴＴＣＴＧＡＣＡＡＡＡＣＴＣＡＣＡＣＡＴＧＣＣＣＡＣＣＧＴＧＣＣＣＡＧＣＡＣＣＴＧＡＡＴＴＣＧＡＧＧＧＴＧＣＡＣＣＧＴＣＡＧＴＣＴＴＣＣＴＣＴＴＣＣＣＣＣＣＡＡＡＡＣＣＣＡＡＧＧＡＣＡＣＣＣＴＣＡＴＧＡＴＣＴＣＣＣＧＧＡＣＴＣＣＴＧＡＧＧＴＣＡＣＡＴＧＣＧＴＧＧＴＧＧＴＧＧＡＣＧＴＡＡＧＣＣＡＣＧＡＡＧＡＣＣＣＴＧＡＧＧＴＣＡＡＧＴＴＣＡＡＣＴＧＧＴＡＣＧＴＧＧＡＣＧＧＣＧＴＧＧＡＧＧＴＧＣＡＴＡＡＴＧＣＣＡＡＧＡＣＡＡＡＧＣＣＧＣＧＧＧＡＧＧＡＧＣＡＧＴＡＣＡＡＣＡＧＣＡＣＧＴＡＣＣＧＴＧＴＧＧＴＣＡＧＣＧＴＣＣＴＣＡＣＣＧＴＣＣＴＧＣＡＣＣＡＧＧＡＣＴＧＧＣＴＧＡＡＴＧＧＣＡＡＧＧＡＧＴＡＣＡＡＧＴＧＣＡＡＧＧＴＣＴＣＣＡＡＣＡＡＡＧＣＣＣＴＣＣＣＡＡＣＣＣＣＣＡＴＣＧＡＧＡＡＡＡＣＣＡＴＣＴＣＣＡＡＡＧＣＣＡＡＡＧＧＧＣＡＧＣＣＣＣＧＡＧＡＡＣＣＡＣＡＧＧＴＧＴＡＣＡＣＣＣＴＧＣＣＣＣＣＡＴＣＣＣＧＧＧＡＴＧＡＧＣＴＧＡＣＣＡＡＧＡＡＣＣＡＧＧＴＣＡＧＣＣＴＧＡＣＣＴＧＣＣＴＧＧＴＣＡＡＡＧＧＣＴＴＣＴＡＴＣＣＡＡＧＣＧＡＣＡＴＣＧＣＣＧＴＧＧＡＧＴＧＧＧＡＧＡＧＣＡＡＴＧＧＧＣＡＧＣＣＧＧＡＧＡＡＣＡＡＣＴＡＣＡＡＧＡＣＣＡＣＧＣＣＴＣＣＣＧＴＧＣＴＧＧＡＣＴＣＣＧＡＣＧＧＣＴＣＣＴＴＣＴＴＣＣＴＣＴＡＣＡＧＣＡＡＧＣＴＣＡＣＣＧＴＧＧＡＣＡＡＧＡＧＣＡＧＧＴＧＧＣＡＧＣＡＧＧＧＧＡＡＣＧＴＣＴＴＣＴＣＡＴＧＣＴＣＣＧＴＧＡＴＧＣＡＴＧＡＧＧＣＴＣＴＧＣＡＣＡＡＣＣＡＣＴＡＣＡＣＧＣＡＧＡＡＧＡＧＣＣＴＣＴＣＣＣＴＧＴＣＴＣＣＧＧＧＴＡＡＡＴＧＡＧＴＧＣＧＡＣＧＧＣＣＧＣＧＡＣＴＣＴＡＧＡＧＧＡＴ（配列番号１８）
【０６０１】
実施例２２？ポリペプチドからの抗体の生成
本発明の抗体は、種々の方法により調製され得る。（Ｃｕｒｒｅｎｔ Ｐｒｏｔｏｃｏｌｓ、第２章を参照。）そのような方法の１つの例として、本発明のポリペプチドを発現する細胞を動物に投与して、ポリクローナル抗体を含む血清の生成を誘導する。好適な方法において、タンパク質調整物は、それが実質的に自然の混入物を含まないようにするために生成および精製される。次いで、より大きな特異的活性のポリクローナル抗血清を生成するために、そのような調整物を動物に導入する。
【０６０２】
最も好適な方法において、本発明の抗体はモノクローナル抗体（またはそのタンパク質結合断片）である。そのようなモノクローナル抗体は、ハイブリドーマ技術を使用して調製され得る。（Ｋｏｈｌｅｒ ｅｔ ａｌ．， Ｎａｔｕｒｅ ２５６： ４９５ （１９７５）； Ｋｏｈｌｅｒ ｅｔ ａｌ．， Ｅｕｒ． Ｊ． Ｉｍｍｕｎｏｌ． ６： ５１１ （１９７６）； Ｋｏｈｌｅｒ ｅｔ ａｌ．， Ｅｕｒ． Ｊ． Ｉｍｍｕｎｏｌ． ６： ２９２ （１９７６）； Ｈａｍｍｅｒｌｉｎｇ ｅｔ ａｌ．， ｉｎ： Ｍｏｎｏｃｌｏｎａｌ Ａｎｔｉｂｏｄｉｅｓ ａｎｄ Ｔ−Ｃｅｌｌ Ｈｙｂｒｉｄｏｍａｓ， Ｅｌｓｅｖｉｅｒ， Ｎ． Ｙ．， ｐｐ． ５６３−６８１ （１９８１）。）一般に、そのような手順は動物（好ましくはマウス）を、ポリペプチドで、または好ましくはポリペプチド発現細胞で免疫化する手順を含む。そのような細胞は、任意の適した組織培地で培養され得る；しかしながら、１０％ウシ胎児血清（約５６℃で不活性化）を補充し、また約１０ｇ／ｌの非必須アミノ酸、約１，０００Ｕ／ｍｌのペニシリン、および約１００ｕｇ／ｍｌのストレプトマイシンを補充した、アール修飾イーグル培地で細胞を培養することが好ましい。
【０６０３】
そのようなマウスの脾細胞を抽出して、適したミエローマ細胞系と融合させる。任意の適したミエローマ細胞系が、本発明に従い用いられ得る。しかしながら、ＡＴＣＣから入手可能な親ミエローマ細胞系（ＳＰ２Ｏ）を用いることが好ましい。融合後、Ｗａｎｄｓら（Ｇａｓｔｒｏｅｎｔｅｒｏｌｏｇｙ ８０ ： ２２５−２３２ （１９８１））により記載されるように、得られたハイブリドーマ細胞をＨＡＴ培地に選択的に維持し、次いで限界希釈によりクローニングする。そのような選択を通じて得られたハイブリドーマ細胞を、次いでアッセイして、ポリペプチドに結合可能な抗体を分泌するクローンを同定する。
【０６０４】
あるいは、ポリペプチドに結合可能なさらなる抗体が、抗イディオタイプ抗体を使用して２工程手順で生成され得る。そのような方法は、抗体がそれ自身抗原であり、したがって第２の抗体に結合する抗体を得ることが可能であるという事実を利用している。この方法に従い、タンパク質特異的抗体を使用して動物、好ましくはマウスを免疫化する。次いで、そのような動物の脾細胞を使用して、ハイブリドーマ細胞を生成し、ハイブリドーマ細胞をスクリーニングして、タンパク質特異的抗体に結合する能力がポリペプチドにより遮断され得る抗体を生成するクローンを同定する。そのような抗体は、タンパク質特異的抗体に対する抗イディオタイプ抗体を含み、さらなるタンパク質特異的抗体の形成を誘導するよう動物を免疫化するために使用され得る。
【０６０５】
本発明の抗体のＦａｂおよびＦ（ａｂ’）２ならびに他の断片が、本明細書中に記載される方法に従って使用され得ることが理解される。そのような断片は、通常、パパイン（Ｆａｂ断片を生成するため）またはペプシン（Ｆ（ａｂ’）２断片を生成するため）のような酵素を使用して、タンパク質分解切断により生成される。あるいは、組換えＤＮＡ技術の適用によって、または合成化学を通じて、タンパク質結合断片が生成され得る。
【０６０６】
ヒトにおける抗体のｉｎ  ｖｉｖｏ使用のため、「ヒト化」キメラモノクローナル抗体を使用することが好ましい。そのような抗体は、上記に記載されるモノクローナル抗体を生成するハイブリドーマ細胞由来の遺伝子構築物を使用して生成され得る。キメラ抗体を生成するための方法は当該技術分野で既知である。（概観のために、Ｍｏｒｒｉｓｏｎ， Ｓｃｉｅｎｃｅ ２２９： １２０２ （１９８５）； Ｏｉ ｅｔ ａｌ．， ＢｉｏＴｅｃｈｎｉｑｕｅｓ ４： ２１４ （１９８６）； Ｃａｂｉｌｌｙ ｅｔ ａｌ．， Ｕ． Ｓ． Ｐａｔｅｎｔ Ｎｏ． ４，８１６，５６７； Ｔａｎｉｇｕｃｈｉ ｅｔ ａｌ．， ＥＰ １７１４９６； Ｍｏｒｒｉｓｏｎ ｅｔ ａｌ．， ＥＰ １７３４９４； Ｎｅｕｂｅｒｇｅｒ ｅｔ ａｌ．， ＷＯ ８６０１５３３； Ｒｏｂｉｎｓｏｎ ｅｔ ａｌ．， ＷＯ ８７０２６７１ ； Ｂｏｕｌｉａｎｎｅ ｅｔ ａｌ．， Ｎａｔｕｒｅ ３１２： ６４３ （１９８４）； Ｎｅｕｂｅｒｇｅｒ ｅｔ ａｌ．， Ｎａｔｕｒｅ ３１４： ２６８ （１９８５）を参照。）
【０６０７】
さらに、より好適な方法において、本発明のポリペプチドに向いた抗体が植物で生成され得る。特定の方法が、米国特許第５，９５９，１７７号および第６，０８０，５６０号に開示され、その全文が本明細書中に援用される。方法は、抗体を発現する方法だけではなく、植物の外来性多量体タンパク質（すなわち、抗体など）を構築する手段、およびそれに続くそのような抗体の植物からの分泌も記載する。
【０６０８】
実施例２３？抗体媒介型の植物タンパク質ダウンレギュレーション
特定の特性を調節するため、新規形質を導入するため、または内因性形質を阻害するために植物を遺伝子的に調節するプロセスは、農学分野における研究の重要（ｓｉｇｎｆｉｃａｎｔ）な領域を表す。最近、抗体を使用した、内因性遺伝子発現を調節する新規方法が解明された（国際公開番号第００／０５３９１号を参照、その全文が本明細書中に援用される）。この例において、研究者らは、植物タンパク質に向けられた一本鎖抗体構築物の使用によって、内因性植物タンパク質の４０〜７０％の阻害を達成することができた。
【０６０９】
この方法は、植物中の内因性輸送ペプチドの定常状態レベルを減少させるために、植物内の内因性輸送ペプチドに特異的なモノクローナル抗体、特に一本鎖抗体の生成を指向している。この方法は、以下の工程を含む：Ｉ）特定の植物に対するモノクローナル抗体を生成する工程、ＩＩ）上記モノクローナル抗体の遺伝子をクローニングする工程、ＩＩＩ）上記モノクローナル抗体遺伝子下流のｐ６７リーダーペプチドの重鎖および軽鎖遺伝子配列の融合を含み、構成（ｃｏｎｓｉｔｉｔｕｔｉｖｅ）植物プロモーターの制御下にある、発現ベクターを作製する工程、ＩＶ）上記重鎖および軽鎖融合ベクターをコードする遺伝子の植物における効率的な発現のため、そのコドンを最適化する工程、およびＶ）上記重鎖および軽鎖融合発現ベクターで植物を形質転換する工程。
【０６１０】
当業者は、その明細書中（国際公開第００／０５３９１号）に記載される方法を理解し、任意の本発明のポリペプチド（それらの変異体および断片を含む）の定常状態の発現レベルを阻害する工程にそのような方法を応用する能力を有するだろう。当業者はまた、重鎖および軽鎖融合ベクターを作成する工程において、植物タンパク質由来の任意のリーダーペプチド（すなわち、シグナル配列）が使用され得ることを理解するだろう。当業者はまた、異なる植物種が異なるコドン使用用件を有し得るため、重鎖および軽鎖融合ベクターのコドンを最適化するための判定が特定の植物種に必要とされるコドンに応じて左右されることを理解するだろう。
【０６１１】
この方法は、輸送ペプチドだけではなく、分泌タンパク質、膜タンパク質、レセプター、およびリガンドに適用され得る。この方法はまた、植物における他の抗体生成法と組み合わせて適用され得る。例えば、本発明のポリペプチドを指向する抗体は、植物の病原に対する防衛機構を増加させ得る、植物中の特定の形質を阻害し得る。したがって、そのような抗体が発現される場合、別の抗体が、病原性タンパク質（例えば、エム・グリセア（Ｍ．Ｇｒｉｓｅａ）由来のＢＵＦ１遺伝子、ジー・ロストキエンシス（Ｇ． ｒｏｓｔｏｃｈｉｅｎｓｉｓ）由来のｓｖｐ３０、ｓｃｐ３１ａ、ｓｃｐ３１ｂ、ｓｃｐ３２、ｓｃｐ３２、ｓｃｐ３９、およびｓｃｐ４９を含む第２段階幼若唾液腺（国際公開第９６／２２３７２号）などの、感染事象を開始させるのに決定的であるタンパク質）を指向する抗体の発現を導くことにより植物病原体の病原性を阻害するために、最初のものと組み合わせて発現され得る。そのような組合せはまた、第２の「抗病原性」抗体が、病原体を指向する抗体でありかつ毒性タンパク質（ここで、そのような毒素は、例えば、キチナーゼ、グルカナーゼ、リゾチーム、ＢＴ、またはコリシンＦであり得る（国際公開第９６／０９３９８号を参照））と融合している場合に価値があるだろう。
【０６１２】
本明細書中の他の箇所で記載されるように、この方法はまた、植物中の植物抗原に対して特異的な一本鎖抗体構築物の生成を導く（遺伝子組換え法を介して）ことにより、ヒト、ほ乳動物、動物などにおける、上記植物抗原に対するアレルギー反応を阻害する手段として使用され得る。後者の例において、植物は食用植物に制限されず、これは、そのような植物抗原の生成の阻害が、たとえば植物を摂取したかどうかに関わらず、ヒトの環境から抗原を除去することによりヒトに利益をもたらすからである。
【０６１３】
この例で特に興味が持たれるのは、植物細胞の原形質膜を通した機能性抗体の分泌が、トランスジェニック植物から単離されたプロトプラストについて、および懸濁培養物に適合させたカルス細胞について報告されたという事実である（Ｈｅｉｎ ｅｔ ａｌ．， Ｂｉｏｔｅｃｈｎｏｌ． Ｐｒｏｇ． ７： ４５５−５６１，１９９１）。しかしながら、両方の培養システムにおいて検出された抗体分泌の濃度は極端に低かった。他の研究において、培養タバコ細胞が、可とう性ペプチドリンカーにより連結されたインタクト免疫グロブリンの重鎖および軽鎖可変ドメインの両方からなる一本鎖として発現される、合成抗体誘導体をコードする遺伝子で形質転換された（Ｐｌｕｃｋｔｈｕｎ， Ｉｍｍｕｎｏｌ． Ｒｅｖ． １３０： １５１−１８８， １９９１； ａｎｄ Ｂｉｒｄ ｅｔ ａｌ．， Ｓｃｉｅｎｃｅ ２４２： ４２３−４２６，１９８８）。この合成一本鎖抗体は、インタクト免疫グロブリンの抗原結合可能性を全て保持していたが、形質転換細胞の細胞外アポプラスト空間に蓄積されており（Ｆｉｒｅｋ ｅｔ ａｌ．， Ｐｌａｎｔ Ｍｏｌｅｃｕｌａｒ Ｂｉｏｌｏｇｙ ２３： ８６１−８７０， １９９３）、抗体が細胞壁を通してではなく原形質膜を通して外部環境へ輸送されたことを示している。さらに、最近の研究は、植物における抗体生成の増加、および異種タンパク質発現が、一般に、植物培地にタンパク質安定化剤（例えばポリビニルピロリドン）を含ませることにより増加することができることを示した（米国特許第６，０２０，１６９号を参照、その全文が本明細書中に参照により援用される）。
【０６１４】
実施例２４？小胞体における凝集制御を介したタンパク質分泌の調節
本明細書中により詳細に記載されるように、タンパク質は、急速な代謝変更から成長および分化に及ぶ、高等生物の多様な細胞プロセスを調節する。特定のタンパク質の分泌増加は、特定の疾患および／または疾患状態を予防するために使用され得る。類推によって、タンパク質がまた、環境的、病原性、除草性、および殺虫性損傷の間、植物防衛機構において重要な役割を果たすことが予想される。したがって、生物における特定タンパク質の発現を調整する能力は優れた利益をもたらすだろう。
【０６１５】
今日まで、誘導性、構成的に活性な、または内因性プロモーターのいずれかの制御下で、生物中に外来性遺伝子を導入するために、数多くの方法が開発されてきた。特に興味が持たれるのは誘導性プロモーターである（参照、Ｍ． Ｇｏｓｓｅｎ， ｅｔ ａｌ．， Ｐｒｏｃ． Ｎａｔｌ． Ａｃａｄ． Ｓｃｉ． ＵＳＡ．， ８９： ５５４７ （１９９２）； Ｙ． Ｗａｎｇ， ｅｔ ａｌ．， Ｐｒｏｃ． Ｎａｔｌ． Ａｃａｄ． Ｓｃｉ． ＵＳＡ， ９１： ８１８０ （１９９４）， Ｄ． Ｎｏ．， ｅｔ ａｌ．， Ｐｒｏｃ． Ｎａｔｌ． Ａｃａｄ． Ｓｃｉ． ＵＳＡ， ９３： ３３４６ （１９９６）； ａｎｄ Ｖ． Ｍ． Ｒｉｖｅｒａ， ｅｔ ａｌ．， Ｎａｔｕｒｅ Ｍｅｄ， ２： １０２８ （１９９６）；本明細書中の他の箇所で開示されるさらなる例に加えて）。１つの例において、エリスロポエチン（Ｅｐｏ）の遺伝子が、発現のための小分子インデューサー（例えば、テトラサイクリンまたはラパマイシン）の制御下で、マウスおよび霊長類に移入された（参照、Ｄ． Ｂｏｈｌ， ｅｔ． ａｌ．， Ｂｌｏｏｄ， ９２： １５１２， （１９９８）； Ｋ． Ｇ． Ｒｅｎｄａｈｌ， ｅｔ ａｌ．， Ｎａｔ． Ｂｉｏｔｅｃｈ， １６： ７５７， （１９９８）； Ｖ． Ｍ． Ｒｉｖｅｒａ， ｅｔ ａｌ．， Ｐｒｏｃ． Ｎａｔｌ． Ａｃａｄ． Ｓｃｉ． ＵＳＡ， ９６： ８６５７ （１９９９）； ａｎｄ Ｘ． Ｙｅ ｅｔ ａｌ．， Ｓｃｉｅｎｃｅ， ２８３： ８８ （１９９９））。そのようなシステムは誘導剤（すなわち、テトラサイクリン、ラパマイシンなど）の添加に際して、生物における所定の遺伝子の効果的な誘導を可能にするが、発現レベルは２４時間でピークを迎える傾向にあり、４〜１４日後にバックグラウンド（ｂａｃｋｇｒｏｎｄ）レベルに下がってしまう。したがって、制御された一過性の発現は、そのような制御が望ましくても、これらのシステムを使用しては事実上不可能である。
【０６１６】
導入遺伝子由来タンパク質（すなわち、安定および過渡的形質転換体を含む）の遺伝子発現レベルを制御する新規の代替的方法が、最近解明された（Ｖ． Ｍ． Ｒｉｖｅｒａ．， ｅｔ ａｌ．， Ｓｃｉｅｎｃｅ， ２８７： ８２６−８３０， （２０００））。この方法は、上記のシステムのようにｍＲＮＡレベルで遺伝子発現を制御しない。むしろ、このシステムは活性な分泌形態にあるタンパク質のレベルを制御する。誘導剤の不在下で、タンパク質はＥＲ中に凝集し、分泌されない。しかしながら、誘導剤の添加は、タンパク質の脱凝集および続くＥＲからの分泌をもたらす。そのようなシステムは、低い基礎分泌、誘導剤存在下の急速で高い分泌レベル、および誘導剤除去に際した分泌の急速な休止をもたらす。実際、タンパク質分泌は、誘導の３０分以内に最高レベルに達し、誘導剤除去の１時間以内に分泌が急速に休止する。この方法はまた、膜タンパク質の生成レベルを制御するために適用可能である。
【０６１７】
詳細な方法は、Ｖ． Ｍ． Ｒｉｖｅｒａ．， ｅｔ ａｌ．， Ｓｃｉｅｎｃｅ， ２８７： ８２６−８３０， （２０００））に記載され、簡単には：
融合タンパク質構築物を、当該技術分野で既知の、かつ本明細書中の他の箇所で記載される分子生物学方法を使用して、リガンド可逆性様式で（すなわち、誘導剤の存在下で）自らと相互作用する条件性凝集ドメイン（ＣＡＤ）のドメインのコピーを１つまたはそれ以上（好ましくは、少なくとも２、３、４、またはそれより多く）もつ、本発明のポリヌクレオチド配列を使用して作成する。ＣＡＤドメインは、ヒトＦＫＢＰ１２タンパク質から単離された変異体ドメイン（Ｐｈｅ３６からＭｅｔ）（Ｖ． Ｍ． Ｒｉｖｅｒａ．， ｅｔ ａｌ．， Ｓｃｉｅｎｃｅ， ２８７： ８２６−８３０， （２０００）に開示されるように）、または代替的に、類似のリガンド可逆性自己凝集特性をもつドメインを有する他のタンパク質であり得る。設計の原則として、融合タンパク質ベクターは、本発明のポリヌクレオチドとＣＡＤドメインとの間に作動可能に連結されたフリン（ｆｕｒｉｎ）切断配列を含む。そのような切断部位は、本発明のポリペプチドからのＣＡＤドメインのタンパク質分解性切断を可能にし、続いてＥＲから、およびｔｒａｎｓ−Ｇｏｌｇｉへの浸入に際して分泌させ得る（Ｊ． Ｂ． Ｄｅｎａｕｌｔ， ｅｔ ａｌ．， ＦＥＢＳ Ｌｅｔｔ．， ３７９： １１３， （１９９６））。あるいは、当業者は、置換配列が内因的（例えば、フリン配列）または外因的（例えば、分泌後、精製後、産生後など）のいずれかで切断可能ならば、任意のタンパク質分解性切断配列がフリン配列と置換されることを理解するだろう。融合タンパク質構築物の各特長のに好適な配列（５’から３’方向で他のものに作動可能に連結された各特色をもつ）は、プロモーター、シグナル配列、（ＣＡＤ）ｘドメインの数「Ｘ」、フリン配列（または他のタンパク質分解配列）、および本発明のポリペプチドのコード配列である。当業者は、プロモーターおよびシグナル配列が、互いに独立して、内因性プロモータまたは本発明のポリペプチドのシグナル配列であり得るか、または代替的に、異種シグナル配列およびプロモーターであり得ることを理解するだろう。
【０６１８】
本明細書中に記載される、制御されたＥＲ凝集を通してタンパク質分泌レベルを制御するための特定の方法は、制限することを意図せず、一般に、変異体、相同体、オルソログ、およびそれらの断片を含む任意の本発明のポリヌクレオチドおよびポリペプチドに適用可能である。
【０６１９】
実施例２５？本発明のポリペプチドの分泌特性を向上させるためのタンパク質グリコシル化部位の変更
多くの真核生物細胞表面およびタンパク質は、翻訳後にプロセシングされてＮ？連結または０？連結炭水化物を組み込む（Ｋｏｍｆｅｌｄ ａｎｄ Ｋｏｒｎｆｅｌｄ （１９８５） Ａｎｎｕ． Ｒｅｖ． Ｂｉｏｃｈｅｍ． ５４： ６３１−６４； Ｒａｄｅｍａｃｈｅｒ ｅｔ ａｌ．， （１９８８） Ａｎｎｕ． Ｒｅｖ． Ｂｉｏｃｈｅｍ． ５７： ７８５−８３８）。タンパク質グリコシル化は、以下に挙げられる種々の機能を担うと考えられる：タンパク質フォールディングの増強、タンパク質凝集の阻害、オルガネラへの細胞内輸送の調節、タンパク質分解に対する耐性の増加、タンパク質抗原性の調節、および細胞接着の媒介（Ｆｉｅｌｄｌｅｒ ａｎｄ Ｓｉｍｏｎｓ （１９９５） Ｃｅｌｌ， ８１： ３０９−３１２； Ｈｅｌｅｎｉｕｓ （１９９４） Ｍｏｌ． Ｂｉｏｌ． Ｏｆ ｔｈｅ Ｃｅｌｌ ５： ２５３−２６５； Ｏｌｄｅｎ ｅｔ ａｌ．， （１９７８） Ｃｅｌｌ， １３： ４６１−４７３； Ｃａｔｏｎ ｅｔ ａｌ．， （１９８２） Ｃｅｌｌ， ３７： ４１７−４２７； Ａｌｅｘａｍｎｄｅｒ ａｎｄ Ｅｌｄｅｒ （１９８４）， Ｓｃｉｅｎｃｅ， ２２６： １３２８−１３３０； ａｎｄ Ｆｌａｃｋ ｅｔ ａｌ．， （１９９４）， Ｊ． Ｂｉｏｌ． Ｃｈｅｍ．， ２６９： １４０１５−１４０２０）。高等生物において、グリコシル化の性質および程度は、レセプター媒介型取り込みおよびクリアランスを含む機構により、タンパク質の循環半減期および生物学的利用能に著しい影響を及ぼし得る（Ａｓｈｗｅｌｌ ａｎｄ Ｍｏｒｒｅｌｌ， （１９７４）， Ａｄｖ． Ｅｎｚｙｍｏｌ．， ４１： ９９−１２８； Ａｓｈｗｅｌｌ ａｎｄ Ｈａｒｆｏｒｄ （１９８２）， Ａｎｎ． Ｒｅｖ． Ｂｉｏｃｈｅｍ．， ５１： ５３１−５４）。糖タンパク質の様々な炭水化物構造の認識を通して、血清タンパク質のクリアランスに主要な役割を果たしていると考えられるレセプター系が同定されている（Ｓｔｏｃｋｅｒｔ （１９９５）， Ｐｈｙｓｉｏｌ． ｒｅｖ．， ７５： ５９１− ６０９； Ｋｅｒｙ ｅｔ ａｌ．， （１９９２）， Ａｒｃｈ． Ｂｉｏｃｈｅｍ． Ｂｉｏｐｈｙｓ．， ２９８： ４９−５５）。したがって、末端シアル酸の不完全な付着をもたらす生成戦略は、糖タンパク質の生物学的利用能および半減期を短縮する手段を提供し得る。逆に、末端シアル酸付着部位の飽和をもたらす発現戦略は、タンパク質の生物学的利用能および半減期を延長し得る。
【０６２０】
薬学的生成物として使用するための組換え糖タンパク質の開発において、例えば、組換えタンパク質の薬力学が糖タンパク質一次構造からのグリコシル化部位の付加または欠失により調節され得ることが考えられてきた（Ｂｅｒｍａｎ ａｎｄ Ｌａｓｋｙ （１９８５ａ） Ｔｒｅｎｄｓ ｉｎ Ｂｉｏｔｅｃｈｎｏｌ．， ３： ５１−５３）。しかしながら、研究からは、Ｎ？連結グリコシル化部位の削除がしばしば細胞内輸送を障害し、グリコシル化部位変異体の細胞内蓄積をもたらすことが報告されている（Ｍａｃｈａｍｅｒ ａｎｄ Ｒｏｓｅ （１９８８）， Ｊ． Ｂｉｏｌ Ｃｈｅｍ．， ２６３： ５９５５−５９６０； Ｇａｌｌａｇｈｅｒ ｅｔ ａｌ．， （１９９２）， Ｊ． Ｖｉｏｌｏｇｙ．， ６６： ７１３６−７１４５； Ｃｏｌｌｉｅｒ ｅｔ ａｌ．， （１９９３）， Ｂｉｏｃｈｅｍ．， ３２： ７８１８−７８２３； Ｃｌａｆｆｅｙ ｅｔ ａｌ．， （１９９５） Ｂｉｏｃｈｅｍｉｃａ ｅｔ Ｂｉｏｐｈｙｓｉｃａ Ａｃｔａ， １２４６： １−９； Ｄｕｂｅ ｅｔ ａｌ．， （１９８８）， Ｊ． Ｂｉｏｌ． Ｃｈｅｍ． ２６３： １７５１６−１７５２１）。タンパク質のグリコシル化部位変異体は細胞内で発現可能であるものの、有用な量を成長条件の細胞培地から回収することは難しいことが判明している。
【０６２１】
さらに、ある種におけるグリコシル化部位がどの程度別の種のグリコシル化機構部分により認識されるのかは明らかではない。タンパク質代謝、特にタンパク質の分泌および／または発現におけるグリコシル化の重要性のため、グリコシル化シグナルが認識されるかどうかは、別の生物において内因性または組換えのいずれかでタンパク質が発現される能力（すなわち、大腸菌でトウモロコシタンパク質、またはトウモロコシで大腸菌タンパク質を発現する、など）を大きく左右する。したがって、グリコシル化部位を付加、削除、または修飾する、およびおそらくある種のグリコシル化部位を別の種のタンパク質へ付加して、タンパク質の機能、バイオプロセス精製、および／または構造的特性を改善することが望ましい場合がある（例えば、本発明のポリペプチド）。
【０６２２】
いくつかの方法が、タンパク質中のグリコシル化部位の位置を同定するために用いられ得る。１つの好適な方法は、翻訳されたタンパク質配列をＰＲＯＳＩＴＥコンピュータープログラム（Ｓｗｉｓｓ Ｉｎｓｔｉｔｕｔｅ ｏｆ Ｂｉｏｉｎｆｏｒｍａｔｉｃｓ）に通すことである。いったん同定されると、その部位は、当該技術分野で既知の、かつ当業者に利用可能な突然変異誘発方法を使用して、好ましくはＰＣＲ指向性突然変異誘発を使用して、ＤＮＡレベルで系統的に欠失または障害され得る（参照、Ｍａｎｉａｔｉｓ， Ｍｏｌｅｃｕｌａｒ Ｃｌｏｎｉｎｇ： Ａ Ｌａｂｏｒａｔｏｒｙ Ｍａｎｕａｌ， Ｃｏｌｄ Ｓｐｒｉｎｇ Ｈａｒｂｏｒ Ｐｒｅｓｓ， Ｃｏｌｄ Ｓｐｒｉｎｇ， ＮＹ （１９８２））。同様に、グリコシル化部位は、同様な方法、好ましくはＰＣＲ法を使用して、ＤＮＡレベルで付加または改変され得る（参照、Ｍａｎｉａｔｉｓ、上述）。特定のタンパク質についてのグリコシル化部位の修飾の結果（例えば、溶解性、分泌可能性、活性、凝集、タンパク質分解耐性、など）が、次いで当該技術分野で既知の方法を使用して分析され得る。
【０６２３】
実施例２６？双子葉類の形質転換
本発明のポリペプチドに対する抗体をコードするポリヌクレオチドに加えて、本発明のポリペプチドをコードするポリヌクレオチドを含む本発明のポリヌクレオチドが、特定の形質を植物へ与える目的で、単子葉類の形質転換に使用され得る。そのようなポリヌクレオチドは、全長ポリヌクレオチド、断片、相補鎖、またはそれらの変異体のいずれかであり得、本明細書中の他の箇所でより詳細に記載されるように、自身で、または作動可能に、異種ポリヌクレオチドと融合し得る。
【０６２４】
双子葉類についての形質転換技法は、当該技術分野で既知であり、アグロバクテリウムベースの技法およびアグロバクテリウムを必要としない技法が挙げられる。非アグロバクテリウム技法は、プロトプラストまたは細胞による直接の外因性遺伝子材料の取り込みを含む。これは、ＰＥＧまたはエレクトロポレーション媒介型取り込み、粒子衝撃媒介型送達、または微量注入法により達成され得る。これらの技法の例は、Ｐａｓｚｋｏｗｓｋｉ ｅｔ ａｌ．， ＥＭＢＯ Ｊ ３： ２７１７−２７２２ （１９８４）， Ｐｏｔｒｙｋｕｓ ｅｔ ａｌ．， Ｍｏｌ． Ｇｅｎ． Ｇｅｎｅｔ． １９９： １６９−１７７ （１９８５）， Ｒｅｉｃｈ ｅｔ ａｌ．， Ｂｉｏｔｅｃｈｎｏｌｏｇｙ ４： １００１−１００４ （１９８６）， ａｎｄ Ｋｌｅｉｎ ｅｔ ａｌ．， Ｎａｔｕｒｅ ３２７： ７０−７３ （１９８７）により記載される。各場合において、当該技術分野で既知の標準技法を使用して、形質転換細胞は全植物を再形成する。
【０６２５】
アグロバクテリウム媒介型形質転換は、その高い形質転換効率および多くの異なる種での広い利用可能性から、好ましくは双子葉類の形質転換のための技法である。アグロバクテリウムにより日常的に形質転換可能な多くの作物種として、タバコ、トマト、ヒマワリ、ワタ、脂肪種子、アブラナ、ジャガイモ、ダイズ、アルファルファ、およびポプラが挙げられる（欧州特許第０３１７５１１号（ワタ），欧州特許第０２４９４３２号（トマト、Ｃａｌｇｅｎｅに対して），国際公開第８７／０７２９９号（アブラナ属、Ｃａｌｇｅｎｅに対して），米国特許第４，７９５，８５５号（ポプラ））。アグロバクテリウム形質転換は、典型的には、所定の外来性ＤＮＡ（例えば、ｐＣＩＢ２００またはｐＣＩＢ２００１）を適切なアグロバクテリウム株へ運ぶバイナリーベクターの移送を含み、これは同時常在（ｃｏ−ｒｅｓｉｄｅｎｔ））Ｔｉプラスミド上で、または染色体で宿主アグロバクテリウム株により運ばれるｖｉｒ遺伝子の補体に依存し得る（例えば、ｐＣＩＢ２００またはｐＣＩＢ２００１に対する株ＣＩＢ５４２（Ｕｋｎｅｓ ｅｔ ａｌ． Ｐｌａｎｔ Ｃｅｌｌ ５： １５９−１６９ （１９９３））。組換えバイナリーベクターのアグロバクテリウムへの移送は、組換えバイナリーベクターを運ぶ大腸菌、ｐＲＫ２０１３のようなプラスミドを運び、かつ組換えバイナリーベクターを標的アグロバクテリウム株へ移動させ得るヘルパー大腸菌を使用して、トリパレンタル・メイティング技法により達成する。あるいは、組換えバイナリーベクターは、ＤＮＡ形質転換によりアグロバクテリウムへ移送され得る（Ｈｏｆｇｅｎ ＆ Ｗｉｌｌｍｉｔｚｅｒ， Ｎｕｃｌ． Ａｃｉｄｓ Ｒｅｓ． １６： ９８７７ （１９８８））。
【０６２６】
標的植物種の組換えアグロバクテリウムによる形質転換は、通常、アグロバクテリウムと植物からの外植体との同時培養（ｃｏ−ｃｕｌｔｉｖａｔｉｏｎ）を含み、当該技術分野で既知のプロトコルに従う。形質転換された組織を、バイナリープラスミドＴ？ＤＮＡ境界の間に存在する抗生物質または除草剤耐性マーカーをもつ選択培地で再生させる。
【０６２７】
双子葉類の形質転換のための他の方法が当該技術分野で既知である。したがって、この実施例は、本明細書中の上記または他の箇所に例示される実施例に本発明の範囲を制限するとして解釈されるべきではない。
【０６２８】
実施例２７？単子葉類の形質転換
本発明のポリペプチドに対する抗体をコードするポリヌクレオチドに加えて、本発明のポリペプチドをコードするポリヌクレオチドを含む本発明のポリヌクレオチドが、特定の形質を植物へ与える目的で、単子葉類の形質転換に使用され得る。そのようなポリヌクレオチドは、全長ポリヌクレオチド、断片、相補鎖、またはそれらの変異体のいずれかであり得、本明細書中他の箇所でより詳細に記載されるように、自身で、または作動可能に、異種ポリヌクレオチドと融合し得る。
【０６２９】
大部分の単子葉類の形質転換もまた、現在日常的になっている。好適な方法として、ＰＥＧまたはエレクトロポレーション技法、およびカルス組織への粒子衝撃を使用した、プロトプラストへの遺伝子直接輸送が挙げられる。形質転換は、単一のＤＮＡ種または複数のＤＮＡ種（すなわち、同時形質転換（ｃｏ−ｔｒａｎｓｆｏｒｍａｔｉｏｎ））で行われることができ、これらの方法の両方が、本発明で使用するのに適している。同時形質転換は、複雑なベクター構築物を避けること、ならびに所定の遺伝子および選択マーカーのための連結していない座位を持ち、生成に続いて選択マーカーの除去を可能にする（これが望ましいとみなされる場合）トランスジェニック植物を生成するという利点を有し得る。しかしながら、同時形質転換の使用の不利点は、分離ＤＮＡ種がゲノムに組み込まれる頻度が１００％未満であるということである（Ｓｃｈｏｃｈｅｒ ｅｔ ａｌ． Ｂｉｏｔｅｃｈｎｏｌｏｇｙ ４： １０９３− １０９６ （１９８６））。
【０６３０】
特許出願欧州特許第０２９２４３５号（Ｃｉｂａ−Ｇｅｉｇｙに対し）、欧州特許第０３９２２２５号（Ｃｉｂａ−Ｇｅｉｇｙに対し）、および国際公開第９３／０７２７８号（Ｃｉｂａ−Ｇｅｉｇｙに対し）は、トウモロコシの精鋭近交系からのカルスおよびプロトプラストの調製、ＰＥＧまたはエレクトロポレーションを使用したプロトプラストの形質転換、および形質転換プロトプラストからのトウモロコシ植物の再生の技法を記載する。Ｇｏｒｄｏｎ−Ｋａｍｍ ｅｔ ａｌ．， Ｐｌａｎｔ Ｃｅｌｌ ２： ６０３−６１８ （１９９０）） および Ｆｒｏｍｍ ｅｔ ａｌ．， Ｂｉｏｔｅｃｈｎｏｌｏｇｙ ８： ８３３−８３９ （１９９０））は、粒子衝撃法を使用したＡ１８８由来トウモロコシ系統の形質転換技法を公開している。さらに、出願国際公開第９３／０７２７８号（Ｃｉｂａ−Ｇｅｉｇｙに対し）およびＫｏｚｉｅｌ ｅｔ ａｌ．， Ｂｉｏｔｅｃｈｎｏｌｏｇｙ １１： １９４−２００ （１９９３））は、粒子衝撃法によるトウモロコシの精鋭近交系の形質転換技法を記載している。この技法は、受粉後１４〜１５日のトウモロコシの穂から切り取った１．５〜２．５ｍｍ長の未熟なトウモロコシ胚および衝撃のためのＰＤＳ？１０００Ｈｅ遺伝子銃デバイスを利用する。
【０６３１】
コメの形質転換もまた、プロトプラストまたは粒子衝撃法を利用した遺伝子直接移入技法により行われ得る。プロトプラスト媒介型形質転換は、日本型およびインド型について記載される（Ｚｈａｎｇ ｅｔ ａｌ．， Ｐｌａｎｔ Ｃｅｌｌ Ｒｅｐ ７： ３７９−３８４ （１９８８）； Ｓｈｉｍａｍｏｔｏ ｅｔ ａｌ． Ｎａｔｕｒｅ ３３８： ２７４−２７７ （１９８９） ； Ｄａｔｔａ ｅｔ ａｌ． Ｂｉｏｔｅｃｈｎｏｌｏｇｙ ８： ７３６−７４０ （１９９０））。どちらの型もまた、粒子衝撃法を使用して日常的に形質転換され得る（Ｃｈｒｉｓｔｏｕ ｅｔ ａｌ．， Ｂｉｏｔｅｃｈｎｏｌｏｇｙ ９： ９５７−９６２ （１９９１））。
【０６３２】
特許出願欧州特許第０３３２５８１号（Ｃｉｂａ−Ｇｅｉｇｙに対し）は、イチゴツナギ亜科プロトプラストの生成、形質転換、および再生のための方法を記載している。これらの技法は、カモガヤ属およびコムギの形質転換を可能にする。さらに、コムギ形質転換が、Ｃ型長期再生可能カルスの細胞に粒子衝撃法を使用するものについてＶａｓｉｌ ｅｔ ａｌ．， Ｂｉｏｔｅｃｈｎｏｌｏｇｙ １０： ６６７−６７４ （１９９２）により、また未熟胚および未熟胚由来カルスの粒子衝撃法を使用するものについてＶａｓｉｌ ｅｔ ａｌ．， Ｂｉｏｔｅｃｈｎｏｌｏｇｙ １１： １５５３−１５５８ （１９９３）） およびＷｅｅｋｓ ｅｔ ａｌ．， Ｐｌａｎｔ Ｐｈｙｓｉｏｌ． １０２： １０７７− １０８４ （１９９３）により記載された。しかしながら、コムギ形質転換に好適な方法として、未熟胚の粒子衝撃法によるコムギの形質転換が挙げられ、遺伝子送達の前に高ショ糖または高マルトース工程のいずれかを含む。衝撃法の前に、任意の数の胚（０．７５〜１ｍｍ長）が、体細胞胚を誘導するために、３％ショ糖（Ｍｕｒａｓｈｉｇｅ ＆ Ｓｋｏｏｇ， Ｐｈｙｓｉｏｌｏｇｉａ Ｐｌａｎｔａｒｕｍ １５： ４７３−４９７ （１９６２））および３ｍｇ／ｌの２，４？Ｄを含むＭＳ培地上へ蒔かれ、暗中で進行させられる。衝撃法の選ばれた日に、胚を誘導培地から除去して浸透圧調節物質（すなわち、所望の濃度、典型的には１５％でショ糖またはマルトースを加えた誘導培地）上に蒔く。胚を２〜３時間原形質分離させ、次いで衝撃を与える。１標的プレートあたり２０の胚が典型的であるが、決定的ではない。適切な遺伝子運搬プラスミド（ｐＣＩＢ３０６４またはｐＳＧ３５など）を、標準手順を使用して、ミクロンサイズの金粒子上に沈殿させる。胚の各プレートをＤｕＰｏｎｔ遺伝子銃、標準８０メッシュスクリーンを使用して約１０００ｐｓｉの破裂圧を使用するヘリウムデバイスで撃つ。衝撃法後、胚を約２４時間暗中に戻し置き回復させる（依然として浸透圧調整物質上）。２４時間後、胚を浸透圧調整物質から除去して、誘導培地へ戻し置き、再生前の約１ヶ月間それらを放置する。約１ヶ月後、発生中の胚形成カルスをもつ胚外植体を、適切な選択剤（ｐＣＩＢ３０６４の場合１０ｍｇ／ｌのバスタ（ｂａｓｔａ）、およびｐＳＯＧ３５の場合２ｍｇ／ｌのメトトレキセート）をさらに含有する再生培地（ＭＳ＋１ｍｇ／リットルのＮＡＡ、５ｍｇ／リットルのＧＡ）へ移す。約１ヶ月後、発生した根を「ＧＡ７」として知られるより大きな滅菌コンテナー（半分の長さのＭＳ、２％のショ糖、および同濃度の選択剤を含む）に移す。
【０６３３】
単子葉植物を形質転換するさらなる方法が、国際公開番号第００／１２７３４号に見いだされ、植物への導入遺伝子挿入へのＡｃ？Ｄｓトランスポゾンシステムの適用が記載される。
【０６３４】
単子葉類の形質転換の他の方法が当該技術分野で既知である。したがって、この実施例は、本明細書中の上記または他の箇所に例示される実施例に本発明の範囲を制限するとして解釈されるべきではない。
【０６３５】
実施例２８？分子進化を通した発明の生物活性／機能特性の向上法
既知である大部分の生物学的に活性なタンパク質の多くが、生物中でのその特定された機能について非常に効果的であり、それらはしばしば、自らを遺伝子組換え、治療上、農業的、および／または工業的応用のために望ましくないものにしている特性を有する。これらの形質のうち、短い生理学的半減期が最も顕著な問題であり、タンパク質レベルで、またはタンパク質ｍＲＮＡのレベルでのいずれかで存在する。半減期を延長させる能力は、例えば、中でも遺伝子治療に使用されるタンパク質、トランスジェニック植物または動物生成、タンパク質のバイオプロセス生成および精製、ならびに化学モジュレーターとしてのタンパク質の使用（例えば、除草剤、殺虫剤など）にとって特に重要である。それ故、一般的な工業および農業用途に適用可能なタンパク質に加えて、植物および動物起源の両方の疾患を処置するための治療としてそれらの応用を向上させる特性を有する単離タンパク質の新規変異体を同定する必要がある。
【０６３６】
したがって、本発明の１つの態様は、指向性分子進化を通した発明の特異的特性を向上する能力に関する。そのような向上性は、非制限的な例として、キットにおける不可欠な成分としての本発明の有用性、その溶解性、構造、またはコドン最適化のような本発明の物理的属性、本発明の特異的生物活性の利益となり得て、この活性としては、任意の付随する酵素活性、タンパク質酵素動態、タンパク質Ｋｉ、Ｋｃａｔ、Ｋｍ、Ｖｍａｘ、Ｋｄ、タンパク質？タンパク質活性、タンパク質？ＤＮＡ結合活性、アンタゴニスト／抑制活性（直接または間接相互作用を含む）、アゴニスト活性（直接または間接相互作用を含む）、タンパク質抗原性（例えば、タンパク質の抗原可能性の増加または減少のいずれかが望ましい場合）、タンパク質の免疫原性、自身または他のタンパク質いずれかと二量体、三量体、または多量体を形成するタンパク質の能力、本発明の抗原性効率（疾患または疾患状態の予防処置への、または標的となる患部遺伝子に対するエフェクターとしてのその後のその使用を含む）が挙げられる。さらに、タンパク質の特異的特性を向上させる能力はまた、酵素の特性決定された活性を、その最初に特性決定された活性と全く関連しない活性へ変化させるのに適用可能である。本発明の他の望ましい向上性は、個々のタンパク質それぞれに特異的であり、したがって当該技術分野で既知であり、本発明により熟慮される。
【０６３７】
指向性進化は、複数の工程で構成される。第１の工程は、所定遺伝子またはタンパク質について変異体のライブラリーを確立することである。最も重要な工程は、次いで、これらの変異体について同定したいと思う活性を伴うものを選択することである。スクリーニングは有用ではない変異体を除去するのに十分選択的でなければならないが、全ての変異体を除去してしまうほどストリンジェントではいけないので、スクリーニングの計画は重要である。次いで、最終工程は、先のスクリーニングからのベスト変異体を使用して上記工程を繰り返すことである。各連続したサイクルは、次いで、必要に応じて、例えばスクリーニングの厳密さを増加させるなど、調整され（ｔａｉｌｏｒｅｄ）得る。
【０６３８】
長年にわたり、巨大分子に突然変異を導入するために多数の方法が開発されてきた。これらの方法のいくつかとして、無作為変異誘発、「エラープローン」ＰＣＲ、化学的突然変異誘発、部位指向性突然変異誘発、および当該技術分野で既知の他の方法が挙げられる（現在の突然変異誘発法の包括的な列挙については、Ｍａｎｉａｔｉｓ， Ｍｏｌｅｃｕｌａｒ Ｃｌｏｎｉｎｇ： Ａ Ｌａｂｏｒａｔｏｒｙ Ｍａｎｕａｌ， Ｃｏｌｄ Ｓｐｒｉｎｇ Ｈａｒｂｏｒ Ｐｒｅｓｓ， Ｃｏｌｄ Ｓｐｒｉｎｇ， ＮＹ （１９８２）を参照）。典型的には、例えばタンパク質のコア機能領域（単数または複数またはタンパク質の特定ドメインの機能（マルチドメインタンパク質の場合）を同定するための道具として、そのような方法が使用されてきた。しかしながら、そのような方法は、近年、特定の、または向上した特性をもつ巨大分子変異体の同定に適用されてきている。
【０６３９】
無作為変異誘発は、今日まで最も広く認識されている方法である。典型的には、これは、「エラープローン」ＰＣＲの使用によって（Ｍｏｏｒｅ， Ｊ．， ｅｔ ａｌ， Ｎａｔｕｒｅ Ｂｉｏｔｅｃｈｎｏｌｏｇｙ １４： ４５８， （１９９６）に記載されるように）、または所定の特定領域に対応する無作為合成オリゴヌクレオチドの適用によって（Ｄｅｒｂｙｓｈｉｒｅ， Ｋ． Ｍ． ｅｔ ａｌ， Ｇｅｎｅ， ４６： １４５−１５２， （１９８６）， ａｎｄ Ｈｉｌｌ， ＤＥ， ｅｔ ａｌ， Ｍｅｔｈｏｄｓ Ｅｎｚｙｍｏｌ．， ５５： ５５９−５６８， （１９８７）に記載されるように）行われてきた。両方のアプローチが、得られ得る突然変異のレベルに制限を有している。しかしながら、いずれのアプローチも研究者が突然変異の率を効果的に制御することを可能にする。このことは、酵素活性に有利な変異がきわめてまれであるという事実を考慮すると、特に重要である。事実、高すぎる突然変異誘発レベルは有用な突然変異の望ましい利点をうち消すかまたは阻害し得る。
【０６４０】
上記の方法の両方が巨大分子変異体の無作為化プールを作成するために有効であるものの、「ＤＮＡシャッフリング」または「セクシャルＰＣＲ」と呼ばれる第３の方法（ＷＰＣ， Ｓｔｅｍｍｅｒ， ＰＮＡＳ， ９１： １０７４７， （１９９４））が、最近解明された。ＤＮＡシャッフリングはまた、「指向性分子進化」「エクソン？シャッフリング」「指向性酵素進化」「ｉｎ  ｖｉｔｒｏ進化」および「人工進化」と呼ばれる。このような指示語は当該技術分野で既知であり、本発明により包含される。この新規の好適な方法は、それが、得られる子孫においてポジティブ形質を広めるだけではなく同時にネガティブ形質を除去する点で、先の方法の限界を明らかに超えている。
【０６４１】
ＤＮＡシャッフリングは、「エラープローン」ＰＣＲ法と一緒に、ｉｎ  ｖｉｔｒｏ組換えの主を組み合わせることにより、このタスクを達成する。実質的には、ＤｎａｓｅＩ消化により作成された、遺伝子の小さな断片の無作為に消化されたプールで開始し、次いで上記無作為断片を「エラープローン」ＰＣＲアセンブリー反応に導入する。ＰＣＲ反応の間、無作為の大きさにされたＤＮＡ断片は、それらの同族鎖にハイブリダイズするだでけではなく、所定のポリヌクレオチドの異なる領域（ポリヌクレオチド全体のハイブリダイゼーションを介しては通常到達できない領域）に対応する他のＤＮＡ断片にもまたハイブリダイズし得る。さらに、ＰＣＲアセンブリー反応は「エラープローン」ＰＣＲ反応条件を利用するので、断片全てについて、無作為の突然変異が、ＰＣＲ反応のＤＮＡ合成工程の間に誘導され、反応のアニーリング工程の間に潜在的なハイブリダイゼーション部位をさらに多様化する。
【０６４２】
ＤＮＡシャッフリング反応を実行するために、様々な反応条件が利用され得る。しかしながら、ＤＮＡシャッフリングの特定の反応条件が、例えばＰＮＡＳ， ９１： １０７４７， （１９９４）において提供される。簡単には：
【０６４３】
ＤＮＡシャッフリング反応にかけられるべきＤＮＡ基質を調製する。調製物は、混入する細胞材料、化学物質、緩衝液、オリゴヌクレオチドプライマー、デオキシヌクレオチド、ＲＮＡなどからＤＮＡを単に精製した形態であってもよく、また例えばＱｉａｇｅｎ， Ｉｎｃ．により、もしくはＰｒｏｍｅｇａ， Ｃｏｒｐ．により提供されるもののようなＤＮＡ精製キットの使用を必要としてもよい。
【０６４４】
いったんＤＮＡ基質が精製されると、それはＤｎａｓｅＩ消化にかけられる。約２〜４ｕｇのＤＮＡ基質（単数または複数）を、室温で、１００ｕｌの５０ｍＭ  Ｔｒｉｓ？ＨＣＬ（ｐＨ７．４）／１ｍＭＭｇＣｌ２中、１０〜２０分間、１ｕｌあたり０．００１５ユニットのＤｎａｓｅＩ（Ｓｉｇｍａ）で消化する。次いで、得られた１０〜５０ｂｐの断片は、当該技術分野で既知の他の方法に加えて、ＤＥ８１イオン交換紙（Ｗｈａｔｍａｎ）上の電気泳動により２％の低融点アガロースゲルを通して流すことにより精製し得るか、または適切な分子量カットオフ（ｃｕｔｔｏｆｆ）のＭｉｃｒｏｃｏｎ濃縮機（Ａｍｉｃｏｎ）を使用して精製し得るか、またはオリゴヌクレオチド精製カラム（Ｑｉａｇｅｎ）を使用し得る。ＤＥ８１イオン交換紙を使用する場合、１０〜５０ｂｐの断片は、１ＭのＮａＣｌを使用して上記紙から溶出し得、続いてエタノール沈殿する。
【０６４５】
次いで、得られた精製断片は、２ｍＭの各ｄＮＴＰ、２．２ｍＭのＭｇＣｌ２、５０ｍＭのＫＣｌ、１０ｍＭのＴｒｉｓ・ＨＣＬ（ｐＨ９．０）、および０．１％のＴｒｉｔｏｎ  Ｘ−１００を、１０〜３０ｎｇ／ｕｌの最終断片濃度で含むＰＣＲ混合物に再懸濁させることにより、ＰＣＲアセンブリー反応にかけられる。この時点ではプライマーは加えられない。１００ｕｌの反応混合物あたり２．５ユニットで、ＴａｑＤＮＡポリメラーゼ（Ｐｒｏｍｅｇａ）を使用する。ＭＪ Ｒｅｓｅａｒｃｈ （Ｃａｍｂｒｉｄｇｅ， ＭＡ） ＰＴＣ−１５０ サーモサイクラーを使用して、９４℃で６０秒間；９４℃で３０秒間、５０〜５５℃で３０秒間、および７２℃で３０秒間のＰＣＲプログラムを３０〜４５サイクル使用し、続いて７２℃で５分間行った。アセンブリー反応が完了した後、得られたプライマーを含まない生成物の１：４０希釈物を、０．８ｕｍの各プライマーを含むＰＣＲ混合物（アセンブリー反応のために使用されたのと同じ緩衝液混合物を使用する）に導入し、この混合物を１５サイクルのＰＣＲにかける（９４℃で３０秒間、５０℃で３０秒間、および７２℃で３０秒間を使用する）。関連するプライマーは、シャッフリング反応において利用されるポリヌクレオチド（単数または複数）の核酸配列に対応するプライマーである。上記プライマーは、当該技術分野で既知の方法を使用して、修飾核酸塩基対から構成され得、本明細書中の他の箇所で示されるか、またはさらなる配列（すなわち、制限部位を加えるため、特定の塩基対を突然変異させるためなど）を含み得る。
【０６４６】
シャッフルされ、アセンブルされ、増幅された得られた生成物は、当該技術分野で既知の方法を使用して精製され（例えば、Ｑｉａｇｅｎ  ＰＣＲ精製キット）、次いで引き続き適切な制限酵素を使用してクローニングされ得る。
【０６４７】
いくつかのＤＮＡシャッフリングの改変例が今日までに公開されてきたが、そのような改変は当業者に明らかであり、本発明により包含される。ＤＮＡシャッフリング法はまた、Ｚｈａｏらにより記載される方法（Ｎｕｃｌ Ａｃｉｄ Ｒｅｓ．， ２５ （６）： １３０７− １３０８， （１９９７））を使用して、所望のレベルの突然変異誘発に調節され得る。
【０６４８】
上記で記載されるように、いったん無作為化プールが作成されると、それは次いで特異的スクリーニングにかけられて、所望の特性（単数または複数）を有する変異体が同定される。いったん変異体が同定されると、次いで、変異体に対応するＤＮＡが、ＤＮＡシャッフリングの別のラウンドを開始するためにＤＮＡ基質として使用され得る。シャッフリング、所定の最適化変異体の選択、および再シャッフリングのこのサイクルは、究極の変異体が得られるまで繰り返され得る。ＤＮＡシャッフリング技術を使用して作成された変異体を同定するために適用されるモデルスクリーニングの例は、以下の文献に見いだされ得る：Ｊ． Ｃ．， Ｍｏｏｒｅ， ｅｔ ａｌ．， Ｊ． Ｍｏｌ． Ｂｉｏｌ．， ２７２： ３３６−３４７， （１９９７）， Ｆ． Ｒ．， Ｃｒｏｓｓ， ｅｔ ａｌ．， Ｍｏｌ． Ｃｅｌｌ． Ｂｉｏｌ．， １８ ： ２９２３−２９３１， （１９９８）， およびＡ． Ｃｒａｍｅｒｉ．， ｅｔ ａｌ．， Ｎａｔ． Ｂｉｏｔｅｃｈ．， １５： ４３６−４３８， （１９９７）．
【０６４９】
ＤＮＡシャッフリングはいくつかの利点を有する。第１に、それは有利な突然変異体を使用させる。スクリーニングと組み合わせた場合、ＤＮＡシャッフリングは最適な突然変異性組合せの発見を可能にし、最適な組合せが集団中の全突然変異を含むと想定しない。第２に、組換えはポイント突然変異誘発で同時に生じる。小断片ＤＮＡプールから全長遺伝子を合成するようにＤＮＡポリメラーゼを促成する効果は、バックグラウンド突然変異誘発率である。ストリンジェントな選択法と組み合わせて、酵素活性を、野生型酵素の１６０００倍に増加するまで進化させた。基本的に、バックグラウンド突然変異誘発は、組換えが活性を向上させるように作用する遺伝子変動性を与えた。
【０６５０】
組換えの第３の特徴は、それが有害な突然変異誘発を除去するように使用され得るということである。上記のように、無作為化のプロセスの間、有利な変異体１つごとに対して、少なくとも１つまたはそれ以上の中立的または阻害的突然変異が存在する。そのような突然変異は、先の選択から選択された突然変異体のサイズ無作為断片に加えて、アセンブリー反応に過剰の野生型サイズ無作為断片を含むことにより除去され得る。次の選択の間、ポリヌクレオチド／ポリペプチド／酵素の最も活性な変異体のいくつかが阻害的変異対を失うはずである。
【０６５１】
最後に、組換えは、平行プロセシングを可能にする。このことは、タンパク質をより望ましいものにする多重特性（例えば、溶解性、活性、など）がある可能性が高いことから、顕著な利点を表す。１つより多い所望の形質について同時にスクリーニングすることはますます困難であることから、分子進化の他の方法は阻害性の傾向にある。しかしながら、組換えを使用して、種々の形質に対する最適な代表的変異体の無作為化断片を組み合わせ、次いで複数の性質について一度に選択することは可能である。
【０６５２】
ＤＮＡシャッフリングはまた、特定された宿主における、ポリヌクレオチドおよび本発明のポリペプチドの免疫原性を減少させるために、それらに適用され得る。例えば、ＤＮＡシャッフリング技術を使用して、本発明の特定の変異体が作成されて単離され得る。そのような変異体は、その新規の固有構造のため宿主において非常に免疫原性であり得るが、所望の特性の全てを有し得る。詳細には、所望の特性は、もはや「自己」分子として認識されずにむしろ「異質」として認識される非天然構造をポリペプチドに持たせ、したがって新規変異体に対する宿主免疫応答を活性化させ得る。そのような限界が、例えば、ＤＮＡシャッフリングの１またはそれより多いサイクルにおいて、新規変異体遺伝子の遺伝子配列とともに自然タンパク質の生体異物オーソログの遺伝子配列のコピーを１つ含むことにより、克服され得る。オーソログと新規変異体のＤＮＡのモル比は、相応に変更され得る。理想的には、同定された得られたハイブリッド変異体は、生体異物タンパク質が宿主免疫システムを逃れることを可能にするコード配列を少なくとも複数、およびさらに所望の特性を提供する最初の新規変異体のコード配列を含む。
【０６５３】
同様に、本発明は、本発明のポリヌクレオチドおよびポリペプチドの進化への、ＤＮＡシャッフリング技術の応用を包含し、ここでＤＮＡシャッフリングの１つまたはそれより多いサイクルが、遺伝子鋳型ＤＮＡに加えて、既知の対立形質配列、最適化コドン配列、既知の変異体配列、既知のポリヌクレオチド多型配列、既知のオルソログ配列、既知の相同体配列、さらなる相同配列、さらなる非相同配列、別の種由来の配列、および上記の任意の数および組合せをコードするオリゴヌクレオチドを含む。
【０６５４】
上記の方法に加えて、多数の関連する方法があり、それらもまた適用可能であるか、または特定の場合において望ましいものであり得る。それらの中で代表的なものは、ＰＣＴ出願ＷＯ９８／３１７００およびＷＯ９８／３２８４５において記載される方法であり、これらは本明細書により参照として援用される。さらに、関連する方法はまた、遺伝子治療、タンパク質工学、変異体を含む分子全体の進化、または本発明のポリヌクレオチドを含む酵素経路全体の進化における使用に理想的な変異体を作成するために発明を発展させる目的で、それぞれＰＣＴ出願ＷＯ９８／１３４８５、ＷＯ９８／１３４８７、ＷＯ９８／２７２３０、ＷＯ９８／３１８３７、およびＣｒａｍｅｒｉ， Ａ．， ｅｔ ａｌ．， Ｎａｔ． Ｂｉｏｔｅｃｈ．， １５： ４３６−４３８， （１９９７）に記載されるように、本発明のポリヌクレオチド配列に適用され得る。
【０６５５】
「ＤＮＡシャッフリング」技術を、本発明のポリヌクレオチドおよびポリペプチドに適用するさらなる方法は、それらの提案される適用を含めて、以下に見いだされ得る；米国特許第５，６０５，７９３号；ＰＣＴ出願番号ＷＯ９５／２２６２５；ＰＣＴ出願番号ＷＯ９７／２００７８；ＰＣＴ出願番号ＷＯ９７／３５９６６；およびＰＣＴ出願番号ＷＯ９８／４２８３２；ＰＣＴ出願番号ＷＯ００／０９７２７。特にＤＮＡシャッフリングを除草剤選択的作物の同定に適用するための方法を提供し、本発明のポリヌクレオチドおよびポリペプチドに適用され得る。さらに、ＰＣＴ出願番号ＷＯ００／１２６８０は、植物種に検出可能な表現型性質を与えるポリヌクレオチド配列を、生成、修飾、適合、および最適化するための方法および組成物を提供する。上記のそれぞれの全文が、本明細書中にその全目的のために、参照として本明細書により援用される。
【０６５６】
実施例２９？マイクロアレイを使用したタンパク質の機能決定
ＤＮＡマイクロアレイの調製
ＹＴＫ１２酵母細胞中のクローンを、ＣＭＤ−Ｗプレート上で３０℃で成長させる。９６ウェルプレートにおけるＰＣＲを使用して、以下のように挿入を増幅する：１クローンあたり、８０ｕｌの滅菌水、１０ｕｌの１０ＸＲｅｄＴａｑ緩衝液（Ｓｉｇｍａ）、２ｕｌの１０ｍＭｄＮＴＰＭｉｘ（Ｂｏｅｈｒｉｎｇｅｒ Ｍａｎｈｅｉｍ）、２ｕｌの本発明のポリヌクレオチドに対応する順方向プライマー、１００ｎｇ／ｕｌ、２ｕｌのＴ７プライマー１００ｎｇ／ｕｌ、４ｕｌのＲｅｄＴａｑＤＮＡポリメラーゼ（Ｓｉｇｍａ）からなる１００ｕｌの反応混合物、および酵母コロニーのアリコートを混合して、９５℃で２分（１回）、次いで９４℃で３０秒、続いて５０℃で３０秒、および７２℃で３０秒（３５〜４０サイクル）、および最後に７分間の７２℃工程にかける。ＰＣＲ生成物を、ゲル濾過カートリッジ（Ｅｄｇｅ ＢｉｏＳｙｔｅｍｓ）を２回使用して精製し、過剰なプライマーを完全に除去する。全てのＰＣＲ生成物を、アガロースゲル電気泳動により評価する。ロボット（ＴＥＣＡＮ）を使用して、ＰＣＲ生成物を３８４のウェルプレートに移し、次いで試料を減圧乾燥して、２０ｕｌの５０％ＤＭＳＯに再懸濁させる。
【０６５７】
ＤＮＡ試料を、Ｍｏｌｅｃｕｌａｒ Ｄｙｎａｍｉｃｓ／Ａｍｅｒｓｈａｍ Ｐｈａｒｍａｃｉａ Ｂｉｏｔｅｃｈ提供のマイクロアレイＧＥＮＩＩＩスポッターを使用して、アミノシリカ化合（ｓｉｌｉｎａｔｅｄ）被覆ガラス鏡検スライド上に整列させる。試料を空気乾燥させた後、スライドを５０ｍＪ波長２５４ｎｍの光パルスに露光させることにより、試料のスライドに対するＵＶ架橋が行われ得る。
【０６５８】
ｃＤＮＡのｉｎ  ｖｉｔｒｏ転写によるＲＮＡ単離および標識ｍＲＮＡの調製
全ＲＮＡを、Ｑｉａｇｅｎ提供のＲＮｅａｓｙキットを使用して、様々な組織（化学薬品で処理または未処理の、あるいは生物的または非生物的ストレスを受けたまたは受けていない、葉、根、花、茎、成長点、細胞培養物）から単離する。全ＲＮＡを、以下に記載されるようにｃＤＮＡへ転換する。第一鎖ｃＤＮＡ合成は以下のように行われ得る：
３〜５ｕｇの全ＲＮＡを１ｕｌのＴ７？オリゴ（ｄＴ）２４プライマー５’？ＧＧＣＣＡＧＴＧＡＡＴＴＧＴＡＡＴＡＣＧＣＴＣＡＣＴＡＴＡＧＧＧＡＧＧＣＧＧＴＴＴＴＴＴＴＴＴＴＴＴＴＴＴＴＴＴＴＴＴＴＴＴ？３’（配列番号：１９）と混合し、最終容量をＤＥＰＣ−Ｈ２０で１２ｕｌにする。管を７０℃で５分間加熱した後、４ｕｌの５Ｘ第一鎖緩衝液（Ｌｉｆｅ ｔｅｃｈｎｏｌｏｇｙ）、１ｕｌの０．１ＭＤＴＴおよび１ｕｌの１０ｍＭＤＮＴＰを加える。３７℃で２分間インキュベートした後、３ｕｌの逆転写酵素（ＳＳＩＩ ＲＴ， ２００−ｕｎｉｔ／ｕｌ， Ｌｉｆｅ Ｔｅｃｈｎｏｌｏｇｙ）を加え、続けて３７℃で１時間インキュベートした。
【０６５９】
第二鎖合成を以下のように行う：第一鎖反応混合物に、８９ｕｌのＤＥＰＣ−Ｈ２０、３ｕｌの１０ｍＭ  ｄＮＴＰ、１ｕｌの１０Ｕ／ｕｌ大腸菌ＤＮＡリガーゼ、４ｕｌの１０Ｕ／ｕｌ大腸菌ＤＮＡポリメラーゼ、および２ｕｌの２Ｕ／ｕｌ大腸菌ＲＮａｓｅＨを加えて１６℃で２時間インキュベートした。次いで、２ｕｌの５Ｕ／ｕｌＴ４ＤＮＡポリメラーゼを加えて１６℃で５分間インキュベートした。フェノール／クロロホルム抽出１回により反応を停止させ、上清が２．５容量の１００％エタノールおよび１／１０容量の５ＭＮＨ４Ａｃの存在下で沈殿した。試料を混合した後、それを直ちに室温で１２０００ｇで５分間遠心分離する。ペレットを８０％エタノールで２回洗い、風乾してから、２ｕｌのＲＮａｓｅを含まない水に溶解する。Ｃｙ色素標識をもつｉｎ  ｖｉｔｒｏ転写を以下のように行う：
１反応あたり、１ｕｌのＴ７  １０Ｘ反応緩衝液（Ａｍｂｉｏｎ）、３ｕｌの２５ｍＭ
ＡＴＰ、ＣＴＰ、ＧＴＰ混合物、１ｕｌの２０ｍＭＵＴＰ（Ａｍｂｉｏｎ）、１ｕｌのｃＤＮＡ、３ｕｌの５ｍＭのＣｙ３またはＣｙ５（Ａｍｅｒｓｈａｍ）、０．５ｕｌの内部標準ＰＣＲ生成物（すなわち、ヒトＣＣＲ５）、１ｕｌの酵素混合物（Ａｍｂｉｏｎ、ＭＥＧＡｓｃｒｉｐｔ（商標））および１ｕｌのＴ７ＲＮＡポリメラーゼ（ＵＳＢ、１００ユニット／ｕｌ）を合わせて、暗下水浴中で、３７℃で４〜６時間インキュベートする。次いで、１ｕｌのＲＮａｓｅを含まないＤＮａｓｅＩを用いて３７℃で１５分間インキュベートすることにより、鋳型ｃＤＮＡを除去する。次いで、ＲＮＡプローブ精製のためのＲｎｅａｓｙミニプロトコル（Ｑｉａｇｅｎ）を使用して、ＲＮＡプローブを精製する。各プローブを光から保護してー７０℃で貯蔵する。
【０６６０】
マイクロアレイハイブリダイゼーションおよびデータ分析
比較する２つのｍＲＮＡプールを混合し、５０％ホルムアミド、５ＸＳ
ＳＣ、０．１％ＳＤＳを含むハイブリダイゼーション混合物３６ｕｌでマイクロアレイスライドにかける。ハイブリダイゼーションは、蓋付きの加湿されたプラスチック管中で、４２℃で１４〜１８時間にわたり、ガラスカバースリップ下で行われ得る。次いで、スライドを、０．５ＸＳＳＣ、０．１％ＳＤＳ中４２℃で５分間で２回、０．２５ＸＳＳＣ、０．１％ＳＤＳ中４２℃で１０分間で１回、０．２５ＸＳＳＣ、０．１％ＳＤＳ中５５℃で３０分間で１回洗い、それからＮ２の穏やかな気流下乾燥させる。
【０６６１】
スライドのスキャニングを、Ｃｙ３標識プローブに対して６６５ＶのＰＭＴおよびＣｙ５標識プローブに対して６８５ＶのＰＴＭで、Ｇｅｎｅｒａｔｉｏｎ  ＩＩＩ  Ａｒｒａｙ  Ｓｃａｎｎｅｒ （Ｍｏｌｅｃｕｌａｒ Ｄｙｎａｍｉｃ）で行う。データの獲得および分析（バックグランド除去、規格化、および平均値・・・）を、ソフトウェアＡｒｒａｙＶｉｓｉｏｎ（商標）（Ｉｍａｇｉｎｇ Ｒｅｓｅａｒｃｈ， Ｉｎｃ．）を使用して行う。Ｃｙ５／Ｃｙ３蛍光比およびｌｏｇ１０変換比を、規格化された値から計算する。ソフトウェアＳｐｏｔＦｉｒｅ（商標）（Ｓｐｏｔｆｉｒｅ， Ｉｎｃ．）およびＧｅｎｅＳｐｒｉｎｇ（商標）（Ｓｉｌｉｃｏｎ Ｇｅｎｅｔｉｃｓ， Ｉｎｃ．）を、データ視覚化およびクラスタリング分析のために使用する。
【０６６２】
実施例３０？真空浸潤を使用する植物の形質転換法
植物の形質転換は、特定のポリヌクレオチドまたはポリペプチドの生物学的機能を評価するのに欠かせないツールとして役に立ち得る。例えば、植物は、アンチセンス調節を介して、特定の遺伝子をダウンレギュレート可能なベクターで形質転換され得る（すなわち、ベクターはアンチセンス方向に、所定の遺伝子の転写物を発現し得る）か、または例えば、ベクターは単に特定のポリペプチドを過剰発現可能であり得る。得られた転写物の表現型を観測することにより、当該技術分野で既知のおよび本明細書中の他の箇所で記載される技法を使用してタンパク質の機能が誘導され得る。形質転換法として他に使用されるものは本明細書中他の箇所で記載される。
【０６６３】
以下の、植物材料を形質転換する方法は任意の植物種に適用可能であり得るが、アラビドプシスに使用するのに特に適している。
【０６６４】
アラビドプシスを、形質転換のために必要になるまで、２０℃８時間明期、１８℃１６暗期で成長させる。週に１度、下から肥料を施す。１平方インチあたり細い植物約１。抽薹したら直ちに使用する。短日は、より強い栄養植物成長および種子収量の増加を可能にする。
【０６６５】
植物を、２０℃１６時間明期、１８℃８時間暗期に移す。植物はすぐに抽薹するはずであり、最初の花序が１０〜１５ｃｍの高さになり、第２の花序がロゼットに現れてきたら、植物をすぐに浸潤させる。
【０６６６】
その合間に、構築物をアグロバクテリウム・チュメファシエンス株ＥＨＡ１０５に形質転換する（Ｋｏｎｃｚ ａｎｄ Ｓｃｈｅｌｌ， １９８６）（以下のアグロバクテリウム直接形質転換：凍結融解法を参照）。植物を形質転換する準備ができた時点で、１ｍｌの一晩培養物を使用して、構築物に適切な抗生物質および５０ｕｇ／ｍＬのリファンピシン（Ｃ５８  Ａｇｒｏ＿および、または２５ｍｇ／ｍＬゲンタマイシン（ｐＭＰ９０））を含有するＹＥＢ培地（２Ｌフラスコ）の培養物５００ｍｌに接種する。培養物を、２８℃で２日間、およそ２７５ｒｍｐで成長させる。ＹＥＢ培地は以下に記載される。
【０６６７】
ＯＤ６００が２．０よりも大きい場合、培養物を３０分３５００ｒｐｍで遠心分離し、それを以下に記載される浸潤培地０．５〜１．０ｍｌに再懸濁させる。
【０６６８】
再懸濁培養物を、大きなベルジャーをもつ容器におき、浸潤されるべき植物を含むポットを、植物全体が覆われる（ロゼットを含むが、多すぎる土壌を含まない）ように、浸潤培地中にひっくり返す。植物下の大きな気泡を全て除去する。真空に引く（およそ７００Ｈｇ）。吸い込みを閉じ、植物を真空下で５分間座らせる。真空圧を直ちに解除する。ポットを簡単にドレン排出する。
【０６６９】
浸潤植物を上記のように２０℃１６時間明期、１８℃８時間暗期で成長させる。抽薹が成長するように植物を杭で支える。植物の開花が終了した時点で、Ｔ０種子を収穫する。
【０６７０】
種子を滅菌し、以下に記載される選択培地で形質転換体についてスクリーニングする。発芽１週間後、暗緑色（耐性）植物を第２の選択プレートに移し、次いで６〜１０日後土壌に移す。数日間、新しい移植片を覆われたままにする。
【０６７１】
2004521610.tif 000011
【０６７２】
当業者は、他の植物種に適用するために、上記の形質転換法が変更され得ることを理解するだろう。そのような変更は、新規工程の追加、任意の記載される工程の削除、および／または試薬の置換を含み得る。
【０６７３】
アグロバクテリウム直接形質転換：凍結融解法
適切なヘルパーＴｉプラスミドを含むアグロバクテリウム株を、５ｍＬのＹＥＰ培地（ＹＥＰ培地は、本明細書中の他の箇所で記載される）中、２８℃で一晩成長させる。２ｍｌの一晩培養物を、２５９ｍＬフラスコ中、５０ｍｌのＹＥＰ培地に加え、培養物が０．５〜１．０のＯＤ６００に成長するまで、２８℃で激しく振盪（２５０ｒｐｍ）する。培養物を氷上で冷却する。細胞懸濁液を、４℃で５分間３０００ｇで遠心分離する。
【０６７４】
上清溶液を廃棄する。細胞を、１ｍＬの２０ｍＭ  ＣａＣｌ２溶液に再懸濁させる（氷冷）。０．１ｍＬアリコートを予め冷却したエッペンドルフ管に分配する。約１ｕｇのプラスミドＤＮＡを細胞へ加える。
【０６７５】
細胞を液体窒素中で凍結させる。試験管を３７℃の水浴中で５分間インキュベートすることにより、細胞を融解する。１ｍＬのＹＥＰ培地を試験管に加え、穏やかに揺すりながら２８℃で２〜４時間インキュベートする。この期間は、細菌に抗生物質耐性遺伝子を発現させる。試験管をエッペンドルフ遠心分離中で３０秒管遠心分離する。上清溶液を廃棄する。細胞を、１ｍＬのＹＥＰ培地に再懸濁させる。
【０６７６】
細胞を、３〜５ｕｇ／ｍＬのテトラサイクリンおよび１０〜２５ｕｇ／ｍＬのカナマイシンを含むＹＥＰ寒天プレートに薄く広げる。プレートを２８℃でインキュベートする。形質転換コロニーが２〜３日のうちに出現するはずである。
【０６７７】
当業者は、他の植物種に適用するために、上記の形質転換法が修飾され得ることを理解するだろう。そのような修飾は、新規工程の追加、任意の記載される工程の削除、および／または試薬の置換を含み得る。
【０６７８】
実施例３１−代謝産物プロファイリングを使用したタンパク質機能の同定
本発明は、本発明のポリペプチドの遺伝子機能の同定のための代謝産物プロファイリングの適用を含む。１つの例では、本発明のタンパク質を発現できないか、本発明のタンパク質の発現レベルが減少したトランスジェニック植物を作製することができる。このようなトランスジェニック植物を、例えば、当該技術分野で既知の方法および本明細書中に記載の方法を使用して内因性遺伝子を不活化または欠失するためのノックアウト構築物の作製によって得ることができる。あるいは、トランスジェニック植物を、植物への本発明のタンパク質のアンタゴニストを発現する構築物（例えば、アンチセンスオリゴヌクレオチド、アニセンス遺伝子、抗体など）の挿入によって作製することができる。特異的ストラテジーを含むトランスジェニック植物の作製法の他の例は、当該技術分野で既知であり、そのいくつかは本明細書中に記載されている。
【０６７９】
いったん本発明のタンパク質が不活化されるかその発現が阻害されると、得られた植物の代謝産物プロフィールを確認し、タンパク質機能を割り当てることができる。植物における本発明のタンパク質発現の予想した代謝阻害または不活化プロフィールは、既知の栄養失調、病原性疾患、生物ストレス、または無生物ストレス（例えば、その多くが本明細書中に開示されている）に類似し得る。さらに、本発明のトランスジェニック植物の代謝プロフィールは、本発明のポリペプチドがその成員である特異的経路の同定、さらに、潜在的な上流および／または下流のエフェクターまたはアフェクターそれぞれの同定に有用である。さらに、本発明のポリペプチドの作用様式を同定可能である。
【０６８０】
植物の代謝産物プロフィールの多数の同定法が当該技術分野で既知である。非限定的な例は、Ｓａｕｔｅｒ， Ｈ．他、「Ｍｅｔａｂｏｌｉｃ Ｐｒｏｆｉｌｉｎｇ ｏｆ Ｐｌａｎｔｓ： Ａ Ｎｅｗ Ｄｉａｇｎｏｓｔｉｃ Ｔｅｃｈｎｉｑｕｅ」、Ｓｙｎｔｈｅｓｉｓ ａｎｄ Ｃｈｅｍｉｓｔｒｙ ｏｆ Ａｇｒｏｃｈｅｍｉｃａｌｓ ＩＩ， Ｂａｋｅｒ， Ｄ． Ｒ．， Ｆｅｎｙｅｓ， Ｊ． Ｇ．， ａｎｄ Ｍｏｂｅｒｇ， Ｗ． Ｋ．， 編、ＡＣＳシンポジウムシリーズ、４３３、第２４章、頁２８８〜２９、１９９１に記載されている。簡単に述べれば、本発明のトランスジェニック植物または本発明のポリペプチド発現が阻害または不活化された植物を、成長チャンバーで成長させる。シュートを採取し、さらなる処理まで直ちに凍結する。凍結植物試料を秤量し、３倍量（Ｗ：Ｗ）のエタノールを添加する。次いで、混合物をミキサー中で粉砕し、抽出のために得られた懸濁液を２時間静置する。次の工程は、濾過、蒸発、およびＮ−メチル−Ｎ−（トリメチルシリル）トリフルオロアセトアミド（ＭＳＴＦＡ）でのシリル化である。内部標準アルカンも添加し、それにより保持係数を計算し、定量する。次いで、粗混合物を、メチルシリコンゴム融合シリカキャピラリーカラムでのガスクロマトグラフィーに供する（３０ｍ  ＤＢ−１。注入温度：２３０℃、オーブン温度：１００〜３２０℃、４℃／分；１５分で３２０℃）。次いで、保持係数を内部標準（ｎ−Ｃ１０Ｈ２２＝１０００、ｎ−Ｃ２８Ｈ５８＝２８００）と比較して計算する。
【０６８１】
上記のプロトコールを、多数の試験植物、さらに対照に適用することができる。得られたプロフィール由来のデータを、１つのグループにし（すなわち、一方のグループは試験植物、他方のグループを対照）、各群について平均プロフィールを得る。後者の工程では、対応するピーク（すなわち、等しい保持係数を有するピーク）を、１つのグループにし、ピークの高さを統計分析に供する。
【０６８２】
試験植物と対照植物との間の代謝プロフィールの相違を、２つのグループの間の「プロフィールの差」の計算によって同定する。プロフィールの相違を、ピークの高さで割ることによって計算する。このプロフィールの相違により、１つの代謝の大きさの他の代謝に対する変化を半定量的に評価される。
【０６８３】
いったん上記が完了すると、ピークを特定の代謝産物と関連付けることができる（すなわち、各ピークの代謝産物同一性が同定される）。植物の特異的経路を調整することが既知のタンパク質の代謝プロフィールと本発明のプロフィールとの比較によって、本発明のポリペプチドの機能の手がかりおよび／または同一性を決定することができる。当該技術分野で他の方法が既知であり、任意の１つまたは複数の工程をこのような方法と同等にかえることができる。
【０６８４】
実施例３２−生態学的表現型分類を使用したタンパク質機能の同定
本発明は、本発明のポリペプチドの遺伝子機能を同定するための形態学的表現型分類の適用を含む。１つの例では、本発明のタンパク質を発現できないか、本発明のタンパク質の発現レベルが減少したトランスジェニック植物を作製することができる。このようなトランスジェニック植物を、例えば、当該技術分野で既知の方法および本明細書中に記載の方法を使用して、内因性遺伝子を不活化または欠失するためのノックアウト構築物の作製によって得ることができる。あるいは、トランスジェニック植物を、植物への本発明のタンパク質のアンタゴニストを発現する構築物（例えば、アンチセンスオリゴヌクレオチド、アンチセンス遺伝子、抗体など）の挿入によって作製することができる。特異的ストラテジーを含むトランスジェニック植物の作製法の他の例は、当該技術分野で既知であり、そのいくつかは本明細書中に記載されている。
【０６８５】
いったん本発明のタンパク質が不活化されるかその発現が阻害されると、得られた植物の形態学的表現形を確認し、タンパク質機能を割り当てることができる。植物における本発明のタンパク質発現の予想した阻害または不活化表現形は、既知の栄養失調、病原性疾患、生物ストレス、または無生物ストレス（例えば、その多くが本明細書中に開示されている）に類似し得る。
【０６８６】
実施例３３−トランスゲノム法（ＴＧＴ）を使用したタンパク質機能の同定
本発明は、本発明のポリペプチドの遺伝子機能を同定するためのトランスゲノム法（ＴＧＴ）の適用を含む（Ｃａｍｂｉａ Ｂｉｏｓｙｓｔｅｍｓ， Ｂｅｌｌｅｖｕｅ， ＷＡ）。ＴＧＴは、ゲノム学および機能的ゲノム学の両方を組み合わせ、特定の表現型または形質を有する遺伝子配列（例えば、本発明のポリヌクレオチド配列）の会合が可能である。この技法は、植物（特に、イネおよびＡｒａｂｉｄｏｐｓｉｓ属）のゲノム中のレポーター遺伝子（例えば、βグルクロニダーゼ（ＧＵＳ）、ＢｏＧＵＳ、ＧＦＰ）トランスポゾンの無作為な組み込みに基づいている。
【０６８７】
トランスポゾンは、転写アクチベーターおよびトランスアクチベーターに応答することができるレポーター遺伝子を含むエンハンサートラップベクターを含み得る。組み込みが無作為であるので、トランスポゾンは遺伝子調節エレメント付近で組み込まれてトランスアクチベーター遺伝子を有効にオンにし、この遺伝子の活性がレポーター遺伝子の活性化を促進すると予想される。したがって、上記のプロセスの反復により、固有の発現パターンを有する他の数の細胞系集団を作製することができる。これらの「パターン系」は、一般に、所望の発現パターンを有する系を選択する作業によって特徴付けられる。パターン系を逆遺伝子研究に使用して、所定の遺伝子中に突然変異を含む系を同定することができ、これを遺伝背景として使用して機能獲得型（ＧＯＦ）突然変異および機能欠失型（ＬＯＦ）突然変異を得ることができる。さらに、新規の発現（または発現の喪失）パターンは、新規の表現型および形質を対象とすることができない。さらに、所望の発現パターンを示すパターン系を遺伝子の基礎として使用して、標的組織中または所望の発生段階での遺伝子の発現を指示する。
【０６８８】
上記のＴＧＴ法を使用して、本発明のポリヌクレオチドおよび／またはポリペプチドの機能を同定することができる。例えば、本発明のポリヌクレオチド配列を使用して、ＴＧＴ法を使用して本発明のポリヌクレオチドの上流に正にタグ化した細胞系のスクリーニングおよび同定に適切なＰＣＲプライマーを作製することができる。いったん同定されると、ポリヌクレオチド配列の機能を、ＴＧＴ法でタグ化した本発明の遺伝子の、特定の細胞系（すなわち、パターン系）で認められる特異的表現型または形質への関連付けによって確認することができる。本発明のポリヌクレオチドへのＴＧＴの別の可能な適用は、本発明の選択ポリヌクレオチドの遺伝子発現のターゲティングである。例えば、当該技術分野で既知の技術および本明細書中に記載の技術を使用して、上流調節配列に隣接した本発明のポリヌクレオチド配列を所望の発現パターンを示すパターン系に移入することができる。
【０６８９】
上記技術の多数の変形形態が当該技術分野で既知であり、当業者に認識される。例えば、当業者は、他のトランスポゾン、レポーター遺伝子、活性化配列などを置換するかＴＧＴ技術と組み合わせて使用することができることを認識する。特定のＴＧＴ技術適用法は、例えば、Ｗｉｌｓｏｎ ＫＪ， 他 ， Ｍｉｃｒｏｂｉｏｌ， １４１： １６９１−１７０５， （１９９５）ならびに米国特許第５，８７９，９０６号、同第５，５９９，６７０号、および同第５，４３２，０８１号（その全体が本明細書中で参照により援用される）に見出すことができる。
【０６９０】
実施例３４−所望の種子貯蔵化合物の生成に対する組換えタンパク質の影響についての分析
所望の種子貯蔵化合物（糖、脂質、および脂肪酸）に対する植物の遺伝子改変の効果を、適切な条件下での改変植物の成長および所望の生成物（すなわち、脂質または脂肪酸）の増産のための種子または任意の他の植物器官の分析によって評価することができる。このような分析技術は当業者に既知であり、分光学、薄層クロマトグラフィー、種々の染色法、酵素および微生物学的方法、および高速液体クロマトグラフィーなどの分析用クロマトグラフィーが含まれる（例えば、Ｕｌｌｍａｎ １９８５、「Ｅｎｃｙｃｌｏｐｅｄｉａ ｏｆ Ｉｎｄｕｓｔｒｉａｌ Ｃｈｅｍｉｓｔｒｙ」、ｖｏｌ．Ａ２、ｐｐ８９−９０ａｎｄ４４３〜６１３、ＶＣＨ： Ｗｅｉｎｈｅｉｍ； Ｆａｌｌｏｎ， Ａ他、１９８７、Ａｐｐｌｉｃａｔｉｏｎ ｏｆ ＨＰＬＣ ｉｎ Ｂｉｏｃｈｅｍｉｓｔｒｙ ｉｎ：「Ｌａｂｏｒａｔｏｒｙ Ｔｅｃｈｎｉｑｕｅｓ ｉｎ Ｂｉｏｃｈｅｍｉｓｔｒｙ ａｎｄ Ｍｏｌｅｃｕｌａｒ Ｂｉｏｌｏｇｙ」、ｖｏｌ．１７；Ｒｅｈｍ ｅｔ ａｌ．、１９９３、「Ｐｒｏｄｕｃｔ ｒｅｃｏｖｅｒｙ ａｎｄ ｐｕｒｉｆｉｃａｔｉｏｎ， Ｂｉｏｔｅｃｈｎｏｌｏｇｙ」、ｖｏｌ．３、ＣｈａｐｔｅｒＩＩＩ、ｐｐ４６９−７１４、ＶＣＨ： Ｗｅｉｎｈｅｉｍ； Ｂｅｌｔｅｒ， Ｐ． Ａ．他、１９８８、「Ｂｉｏｓｅｐａｒａｔｉｏｎｓ： ｄｏｗｎｓｔｒｅａｍ ｐｒｏｃｅｓｓｉｎｇ ｆｏｒ ｂｉｏｔｅｃｈｎｏｌｏｇｙ」、Ｊｏｈｎ Ｗｉｌｅｙ ＆ Ｓｏｎｓ； Ｋｅｎｎｅｄｙ Ｊ． Ｆ． ＆ Ｃａｂｒａｌ Ｊ． Ｍ． Ｓ． １９９２、「Ｒｅｃｏｖｅｒｙ ｐｒｏｃｅｓｓｅｓ ｆｏｒ ｂｉｏｌｏｇｉｃａｌ ｍａｔｅｒｉａｌｓ」、Ｊｏｈｎ Ｗｉｌｅｙ ａｎｄ Ｓｏｎｓ； Ｓｈａｅｉｗｉｔｚ Ｊ． Ａ． ＆ Ｈｅｎｒｙ Ｊ． Ｄ．， １９８８、Ｂｉｏｃｈｅｍｉｃａｌ ｓｅｐａｒａｔｉｏｎｓ ｉｎ：「Ｕｌｍａｎｎ’ｓ Ｅｎｃｙｃｌｏｐｅｄｉａ ｏｆ Ｉｎｄｕｓｔｒｉａｌ Ｃｈｅｍｉｓｔｒｙ， Ｓｅｐａｒａｔｉｏｎ ａｎｄ ｐｕｒｉｆｉｃａｔｉｏｎ ｔｅｃｈｎｉｑｕｅｓ ｉｎ ｂｉｏｔｅｃｈｎｏｌｏｇｙ」、ｖｏｌ． Ｂ３、Ｃｈａｐｔｅｒ １１、ｐｐ．１−２７、ＶＣＨ： Ｗｅｉｎｈｅｉｍ；ａｎｄ Ｄｅｃｈｏｗ Ｆ．Ｊ． １９８９を参照のこと）。
【０６９１】
上記方法に加えて、Ｃａｈｏｏｎ他（１９９９， Ｐｒｏｃ． Ｎａｔｌ． Ａｃａｄ． Ｓｃｉ． ＵＳＡ， ９６， ２２， １２９３５−１２９４０）およびＢｒｏｗｓｅ他（１９８６， Ａｎａｌ． Ｂｉｏｃｈｅｍｉｓｔｒｙ， ４４２， １４１−４５）に記載のように、植物脂質を植物材料から抽出する。脂質または脂肪酸の定性分析および定量分析は、Ｃｈｒｉｓｔｉｅ， Ｗｉｌｌｉａｍ Ｗ．、「Ａｄｖａｎｃｅｓ ｉｎ Ｌｉｐｉｄ Ｍｅｔｈｏｄｏｌｏｇｙ」。Ａｙｒ／ Ｓｃｏｔｌａｎｄ、Ｏｉｌｙ Ｐｒｅｓｓ、（Ｏｉｌｙ Ｐｒｅｓｓ Ｌｉｐｉｄ Ｌｉｂｒａｒｙ ２）； Ｃｈｒｉｓｔｉｅ， Ｗｉｌｌｉａｍ Ｗ．、「Ｇａｓ Ｃｈｒｏｍａｔｏｇｒａｐｈｙ ａｎｄ Ｌｉｐｉｄｓ． Ａ Ｐｒａｃｔｉｃａｌ Ｇｕｉｄｅ」、Ａｙｒ， Ｓｃｏｔｌａｎｄ： Ｏｉｌｙ Ｐｒｅｓｓ， １９８９， １９９２再版、ＩＸ， ３０７Ｓ。（Ｏｉｌｙ Ｐｒｅｓｓ Ｌｉｐｉｄ Ｌｉｂｒａｒｙ； １）；「Ｐｒｏｇｒｅｓｓ ｉｎ Ｌｉｐｉｄ Ｒｅｓｅａｒｃｈ」Ｏｘｆｏｒｄ： Ｐｅｒｇａｍｏｎ Ｐｒｅｓｓ， １ （１９５２）−１６ （１９７７）、「Ｐｒｏｇｒｅｓｓ ｉｎ ｔｈｅ Ｃｈｅｍｉｓｔｒｙ ｏｆ Ｆａｔｓ ａｎｄ Ｏｔｈｅｒ Ｌｉｐｉｄｓ ＣＯＤＥＮ」に記載されている。
【０６９２】
脂肪酸生成物の存在の決定的な証拠を、以下の標準的分析手法によるトランスジェニック植物の分析によって得ることができる：Ｃｈｒｉｓｔｉｅおよびその参考文献に多様に記載のＧＣ、ＧＣ−ＭＳ、またはＴＬＣ（１９９７、「Ａｄｖａｎｃｅｓ ｏｎ Ｌｉｐｉｄ Ｍｅｔｈｏｄｏｌｏｇｙ」、４ｔｈ ｅｄ．： Ｃｈｒｉｓｔｉｅ， Ｏｉｌｙ Ｐｒｅｓｓ， Ｄｕｎｄｅｅ， １１９−１６９， １９９８）。詳細な方法は、葉についてはＬｅｍｉｅｕｘ他（１９９０， Ｔｈｅｏｒ． Ａｐｐｌ． Ｇｅｎｅｔ．， ８０， ２３４−２４０）に記載されており、種子についてはＦｏｃｋｓ ＆ Ｂｅｎｎｉｎｇ（１９９８， Ｐｌａｎｔ Ｐｈｙｓｉｏｌ．， １１８， ９１−１０１）に記載されている。
【０６９３】
グリセロール骨格のＣ−１、Ｃ−２、またはＣ−３位脂肪酸組成の位置分析を、リパーゼ消化によって同定する（例えば、Ｓｉｅｂｅｒｔｚ ＆ Ｈｅｉｎｚ， １９７７， Ｚ． Ｎａｔｕｒｆｏｒｓｃｈ． ３２ｃ： １９３−２０５およびＣｈｒｉｓｔｉｅ １９８７ 「Ｌｉｐｉｄ Ａｎａｌｙｓｉｓ」、２ｎｄ Ｅｄｉｔｉｏｎ、Ｐｅｒｇａｍｏｎ Ｐｒｅｓｓ、Ｅｘｅｔｅｒ、ＩＳＢＮ ０−０８−０２３７９１−６を参照のこと）。
【０６９４】
脂質および糖生合成経路に対するタンパク質活性の増減の影響についての典型的な情報収集法は、例えば、１４Ｃ酢酸塩または１４Ｃピルビン酸塩を使用した葉または種子を用いた標識研究による炭素溶解（ｃａｒｂｏｎ ｆｌｕｘｅｓ）の分析による（例えば、Ｆｏｃｋｓ ＆ Ｂｅｎｎｉｎｇ， １９９８， Ｐｌａｎｔ Ｐｈｙｓｉｏｌ．， １１８： ９１−１０１； Ｅｃｃｌｅｓｔｏｎ ＆ Ｏｈｌｒｏｇｇｅ， １９９８， Ｐｌａｎｔ Ｃｅｌｌ， １０： ６１３−６２１を参照のこと）。１４Ｃの脂質および水溶性成分への分配を、１４Ｃスクロースおよび１４Ｃマルトースなどの標準を含む個別の分離（例えば、ＴＬＣプレート）後に液体シンチレーションカウンティングによって同定することができる（Ｅｃｃｌｅｓｔｏｎ ＆ Ｏｈｌｒｏｇｇｅ， １９９８， Ｐｌａｎｔ Ｃｅｌｌ １０： ６１３−６２１）。
【０６９５】
分析すべき材料を、超音波処理、ガラスミル、液体窒素、および粉砕、または他の適用可能な方法によって崩壊させることができる。崩壊後に材料を遠心分離する必要がある。沈殿物を蒸留水で再懸濁し、１００℃で１０分間加熱し、氷上で冷却し、再度遠心分離し、２％ジメトキシプロパンを含む０．５Ｍ硫酸のメタノール溶液で９０℃で１時間抽出して、油および脂質化合物を加水分解し、トランスメチル化脂質を得る。これらの脂肪酸メチルエステルを石油エーテル中に抽出し、最後にキャピラリーカラム（Ｃｈｒｏｍｐａｃｋ、ＷＣＯＴ融合シリカ、ＣＰ−Ｗａｘ−５２ＣＢ、２５ｍ、０．３２ｍｍ）を使用し、１７０℃と２４０℃の間で２０分間および２４０℃で５分間の温度勾配のＧＣ分析に供する。得られた脂肪酸メチルエステルの同一性を、市販（すなわち、Ｓｉｇｍａ）の標準の仕様によって定義する。
【０６９６】
標準を利用できない脂肪酸の場合、分子の同一性を、誘導化およびＧＣ−ＭＳ分析によって示す。例えば、脂肪酸の三重結合の位置付けを、４，４−ジメトキシ−オキサゾリン−デリバテン（Ｃｈｒｉｓｔｉｅ， Ｏｉｌｙ Ｐｒｅｓｓ， Ｄｕｎｄｅｅ， １９９８）を介した誘導後にＧＣ−ＭＳによって示す。
【０６９７】
標準的な糖、特にデンプンの分析する一般的な標準方法は、Ｓｔｉｔｔ Ｍ．， Ｌｉｌｌｅｙ Ｒ． Ｍｃ． Ｃ．， Ｇｅｒｈａｒｄｔ Ｒ． ａｎｄ Ｈｅｌｄｔ Ｍ． Ｗ．（１９８９、「Ｄｅｔｅｒｍｉｎａｔｉｏｎ ｏｆ ｍｅｔａｂｏｌｉｔｅ ｌｅｖｅｌｓ ｉｎ ｓｐｅｃｉｆｉｃ ｃｅｌｌｓ ａｎｄ ｓｕｂｃｅｌｌｕａｒ ｃｏｍｐａｒｔｍｅｎｔｓ ｏｆ ｐｌａｎｔ ｌｅａｖｅｓ」、Ｍｅｔｈｏｄｓ Ｅｎｚｙｍｏｌ． １７４： ５１８−５５２；他の方法については、Ｈａｒｔｅｌ他、１９９８， Ｐｌａｎｔ Ｐｈｙｓｉｏｌ． Ｂｉｏｃｈｅｍ． ３６： ４０７−４１７およびＦｏｃｋｓ ＆ Ｂｅｎｎｉｎｇ、 １９９８， Ｐｌａｎｔ Ｐｈｙｓｉｏｌ． １１８： ９１−１０１を参照のこと）に公開されている。
【０６９８】
可溶性糖およびデンプンの抽出のために、５０個の種子を１．５ｍｌのポリプロピレン製試験管中の５００μｌの８０％（ｖ／ｖ）エタノール中で均質化し、７０℃で９０分間インキュベートした。１６，０００ｇで５分間の遠心分離後、上清を新しい試験管に移す。ペレットを５００μｌの８０％エタノールで２回抽出する。合わせた上清の溶媒を室温で真空蒸発させる。残渣を５０μｌの水に溶解し、可溶性炭水化物画分を示す。デンプンを含む可溶性炭水化物を含むエタノール抽出から静置したペレットを、２００μｌの０．２Ｎ  ＫＯＨ中で均質化し、懸濁液を９５℃で１時間インキュベートしてデンプンを溶解する。３５μｌの１Ｎ酢酸の添加および１６，０００ｇで５分間の遠心分離後、上清をデンプン定量に使用する。
【０６９９】
可溶性糖を定量するために、１０μｌの糖抽出物を、１００ｍＭイミダゾール（ｐＨ６．９）、５ｍＭ  ＭｇＣｌ２、２ｍＭ  ＮＡＤＰ、１ｍＭ  ＡＴＰ、および２単位の２ｍｌ−１グルコース６−Ｐ−デヒドロゲナーゼを含む９９０μｌの反応緩衝液に添加する。グルコース、フルクトース、およびスクロースの酵素同定のために、４．５単位のヘキソキナーゼ、１単位のホスホグルコイソメラーゼ、および２μｌの飽和フルクトシダーゼ溶液を連続的に添加する。ＮＡＤＰＨの生成を、３４０ｎｍの波長で分光学的にモニターする。同様に、デンプンを、Ｂｏｅｈｒｉｎｇｅｒ Ｍａｎｎｈｅｉｍのキットを使用して、３０μｌの不溶性炭水化物画分でアッセイする。
【０７００】
葉中および種子中のタンパク質含有量の分析例を、Ｂｒａｄｆｏｒｄ Ｍ． Ｍ．（１９７６、「Ａ ｒａｐｉｄ ａｎｄ ｓｅｎｓｉｔｉｖｅ ｍｅｔｈｏｄ ｆｏｒ ｔｈｅ ｑｕａｎｔｉｆｉｃａｔｉｏｎ ｏｆ ｍｉｃｒｏｇｒａｍ ｑｕａｎｉｔｉｔｉｅｓ ｏｆ ｐｒｏｔｅｉｎ ｕｓｉｎｇ ｔｈｅ ｐｒｉｎｃｉｐｌｅ ｏｆ ｐｒｏｔｅｉｎ ｄｙｅ ｂｉｎｄｉｎｇ」、Ａｎａｌ． Ｂｉｏｃｈｅｍ． ７２： ２４８−２５４）に見出すことができる。全種子タンパク質の定量化のために、１５〜２０個の種子を、１．５ｍｌのポリプロピレン試験管中の２５０μｌのアセトン中で均質化する。１６，０００ｇで遠心分離後、上清を捨て、真空乾燥ペレットを、５０ｍＭ  Ｔｒｉｓ−ＨＣｌ（ｐＨ８．０）、２５０ｍＭ  ＮａＣｌ、１ｍＭ  ＥＤＴＡ、および１％（ｗ／ｖ）ＳＤＳを含む２５０μｌの抽出緩衝液に再懸濁する。２５℃で２時間のインキュベーション後、ホモジネートを１６，０００ｇで５分間遠心分離し、２００ｍｌの上清をタンパク質測定に使用する。このアッセイでは、較正のためにγグロブリンを使用する。タンパク質測定のために、Ｌｏｗｒｙ  ＤＣタンパク質アッセイ（Ｂｉｏ−Ｒａｄ）またはＢｒａｄｆｏｒｄアッセイ（Ｂｉｏ−Ｒａｄ）を使用する。
ヘキソキナーゼおよびフルクロキナーゼの酵素アッセイを、Ｒｅｎｚ他（１９９３， Ｐｌａｎｔａ， １９０： １５６−１６５）にしたがって行い、ホスホグルコイソメラーゼ、ＡＴＰ依存性６−ホスホフルクロキナーゼ、ピロリン酸依存性６−ホスホフルクロキナーゼ、フルクトース−１，６−二リン酸アルドラーゼ、トリオースリン酸イソメラーゼ、グリセラル−３−Ｐデヒドロゲナーゼ、ホスホグリセリン酸キナーゼ、ホスホグリセリン酸ムターゼ、エノラーゼ、およびピルビン酸キナーゼの酵素アッセイを、Ｂｕｒｒｅｌｌ他（１９９４， Ｐｌａｎｔａ， １９４： ９５−１０１）にしたがって行い、ＵＤＰ−グルコース−ピロホスホリラーゼの酵素アッセイを、Ｚｒｅｎｎｅｒ他（１９９５， Ｐｌａｎｔ Ｊ． ７：  ９７−１０７）にしたがって行う。
【０７０１】
グルコース−１−リン酸、グルコース−６−リン酸、フルクトース−６−リン酸、ホスホエノールピルビン酸、ピルビン酸、およびＡＴＰなどの炭水化物代謝の中間体を、Ｈａｒｔｅｌ他（１９９８， Ｐｌａｎｔ Ｐｈｙｓｉｏｌ．， Ｂｉｏｃｈｅｍ． ３６： ４０７−４１７）に記載のように測定し、代謝産物を、Ｊｅｌｉｔｔｏ他（１９９２， Ｐｌａｎｔａ， １８８： ２３８−２４４）に記載のように測定する。
【０７０２】
最終種子貯蔵化合物（すなわち、脂質、デンプン、または貯蔵タンパク質）の測定に加えて、化合物の全生成効率を同定するために、中間体または副産物などの所望の種子貯蔵化合物の生成に使用される代謝経路の他の成分を分析することも可能である（Ｆｉｅｈｎ他、２０００， Ｎａｔｕｒｅ Ｂｉｏｔｅｃｈ． １８： １４４７−１１６１）。
【０７０３】
例えば、本明細書中に開示の核酸またはそれらの断片を含む酵母発現ベクターを標準的なプロトコールを使用して構築し、Ｓａｃｃｒｏｍｙｃｅｓ  ｃｅｒｅｖｉｓｉｅに形質転換する。次いで、得られたトランスジェニック細胞を、糖、油、脂質、または脂肪酸含有量の変化についてアッセイすることができる。
【０７０４】
同様に、標準的なプロトコール細胞を使用して、本明細書中に開示の核酸またはその断片を含む植物発現ベクターを標準的なプロトコールを使用して構築し、ａアラビドプシス属、ダイズ、ナタネ、メイズ、コムギ、メディカゴ・トルンカトゥラ（Ｍｅｄｉｃａｇｏ  ｔｒｕｎｃａｔｕｌａ）などの適切な植物細胞に形質転換することができる。次いで、それに由来する得られたトランスジェニック細胞および／または植物を、糖、油、脂質、または脂肪酸含有量をアッセイすることができる。
【０７０５】
さらに、本明細書中に開示の配列またはそれらの断片を使用して、細菌、哺乳動物細胞、酵母細胞、および植物細胞などの種々の器官のゲノム中にノックアウト突然変異を作製することができる（Ｇｉｒｋｅ他、１９９８， Ｐｌａｎｔ Ｊ．， １５， ３９−４８）。次いで、得られたノックアウト細胞を、種子貯蔵化合物中の組成物および含有量、および突然変異の表現型および／または遺伝子型に対する効果について評価することができる。他の遺伝子不活化法には、米国特許第６，００４，８０４号、「非キメラ突然変異ベクター（Ｎｏｎ−Ｃｈｉｍｅｒｉｃ Ｍｕｔａｔｉｏｎａｌ Ｖｅｃｔｏｒｓ）」およびＰｕｔｔａｒａｊｕ等（１９９９， 「Ｓｐｌｉｃｅｏｓｏｍｅ−ｍｅｄｉａｔｅｄ ＲＮＡ ｔｒａｎｓ−ｓｐｌｉｃｉｎｇ ａｓ ａ ｔｏｏｌ ｆｏｒ ｇｅｎｅ ｔｈｅｒａｐｙ」、Ｎａｔｕｒｅ Ｂｉｏｔｅｃｈ． １７： ２４６−２５２）が含まれる。
【図面の簡単な説明】
【図１】
タンパク質ファルネシル化経路の概要図。この図は、タンパク質ファルネシル化経路に関与する既知の酵素を、その機能的関連性と併せて特定する。説明の目的で、生じ得る標的タンパク質を点線で表しており、一方実線は、「ＣａａＸ」部位で標的タンパク質のＣ末端に付加された１５炭素原子鎖を表す。１５炭素鎖は、酵素ファルネシルトランスフェラーゼ（Ｆｔａｓｅ）による保存システイン（Ｃ）に付加される。最後の３個のアミノ酸残基（ａａＸ）は、酵素プレニルペプチダーゼ（ＰｒＰａｓｅ）により切断される。最後に、修飾システインが、メチラーゼによりメチル化されて、タンパク質ファルネシル経路の最終活性産物を創出する。
【図２】
本発明のフィスコミトレラ・パテンス（Ｐｈｙｓｃｏｍｉｔｒｅｌｌａ ｐａｔｅｎｓ）由来の部分ＰｒＰａｓｅのポリヌクレオチド配列（配列番号１）（クローン識別番号：ＰｐＰｒＰａｓｅ１）を示す。このポリヌクレオチド配列は、１３９８個のヌクレオチド配列を含有する。
【図３】
配列番号１の推定アミノ酸配列（配列番号２）を示す。このポリペプチド配列は、３９４個のアミノ酸配列を含有する。標準的なアミノ酸の一文字略記を用いて、推定アミノ酸配列を示す。
【図４】
本発明のアラビドプシス・サリアナ由来の完全長ＰｒＰａｓｅ（ＡｔＰｒＰａｓｅ１）のヌクレオチド配列（配列番号１）（クローン識別番号：ＡｔＰｒＰａｓｅ１）。このポリヌクレオチド配列は、１２７５個のヌクレオチド配列を含有する。
【図５】
配列番号３の推定アミノ酸配列（配列番号４）。このポリペプチド配列は、４２４個のアミノ酸配列を含有する。標準的なアミノ酸の一文字略記を用いて、推定アミノ酸配列を示す。
【図６】
本発明のアラビドプシス・サリアナ由来の完全長ＰｒＰａｓｅ（ＡｔＰｒＰａｓｅ２）のヌクレオチド配列（配列番号５）（クローン識別番号：ＡｔＰｒＰａｓｅ２）。このヌクレオチド配列は、１２７５個のヌクレオチド配列を含有する。配列番号３および配列番号５は、ヌクレオチド位置：２７６、５０４、１０４６、１０６２、１０６８、１１４２、１１８２、および１１９０で８個のヌクレオチド差異を有する完全長アラビドプシスＡｔＰｒＰａｓｅである。
【図７】
配列番号５の推定アミノ酸配列（配列番号６）。このポリペプチド配列は、４２４個のアミノ酸配列を含有する。標準的なアミノ酸の一文字略記を用いて、推定アミノ酸配列を示す。配列番号４および配列番号６は、アミノ酸位置：３４９、３８１、および３９７で３個のアミノ酸差異を有する完全長アラビドプシスＡｔＰｒＰａｓｅである。
【図８】
本発明のダイズの完全長ＰｒＰａｓｅ（ＧｍＰｒＰａｓｅ１）のヌクレオチド配列（配列番号７）（クローン識別番号：ＧｍＰｒＰａｓｅ２）。このポリヌクレオチド配列は、１４３４個のヌクレオチド配列を含有する。
【図９】
配列番号７の推定アミノ酸配列（配列番号８）。このポリペプチド配列は、４００個のアミノ酸配列を含有する。標準的なアミノ酸の一文字略記を用いて、推定アミノ酸配列を示す。
【図１０】
本発明のトウモロコシの部分ＰｒＰａｓｅ（ＺｍＰｒＰａｓｅ１）のヌクレオチド配列（配列番号９）（クローン識別番号：ＺｍＰｒＰａｓｅ２）。このポリヌクレオチド配列は、１３０１個のヌクレオチド配列を含有する。
【図１１】
配列番号９の推定アミノ酸配列（配列番号１０）。このポリペプチド配列は、３２９個のアミノ酸配列を含有する。標準的なアミノ酸の一文字略記を用いて、推定アミノ酸配列を示す。
【図１２】
配列番号２、４、６、８、１０、ならびにサッカロミセス・セレビシエ（Ｓａｃｃｈａｒｏｍｙｃｅｓ ｃｅｒｅｖｉｓｉｅｓ）ＰｒＰａｓｅ（Ｓｗｉｓｓ−Ｐｏｒｔアクセッション番号第Ｐ４７１５４号）およびヒトＰｒＰａｓｅ（Ｓｗｉｓｓ−Ｐｏｒｔアクセッション番号第Ｏ７５８４４号）の配列のアミノ酸複数配列のアラインメント（ＣＬＵＳＴＡＬ  Ｗアルゴリズム、Ｂｌｏｓｕｍ６２スコアリングマトリックス）。活性部位に、斜線を施した。
【図１３】
アラビドプシスＰｒＰａｓｅのコンピュータ（Ｇｅｎｅｆｉｎｄｅｒ（Ｐ．Ｇｒｅｅｎ ａｎｄ Ｌ．Ｈｉｌｌｉｅｒ， ｗｗｗ．ｎｃｂｉ．ｎｌｍ．ｎｉｈ．ｇｏｖ））で予測したＯＲＦおよび実験的に実証したＯＲＦ（配列番号４および６）のエクソン／イントロン構造の比較。エクソンは、両方のクローンにおいて、順次番号を付けた。対応するエクソンは、互いに下に位置している。イントロンを結ぶ線は、生物学的に意味をもたない。この図を作成するために、改行を配列に導入した。
【図１４】
アラビドプシスＰｒＰａｓｅアンチセンス遺伝子の発現を制御する種々の植物プロモーターを含有する植物発現ベクターｐＢＲＳＲＣ００３、ｐＢＰＳＲＣ００５、およびｐＢＰＳＧＢ０１の図。ｐＢＰＳＲＣ００３では、アンチセンスＰｒＰａｓｅ遺伝子の発現は、構成的スーパープロモーター（Ｎｉ ｅｔ ａｌ．， Ｔｈｅ Ｐｌａｎｔ Ｊｏｕｒｎａｌ ７：６６１−７６（１９９５））の制御下にある。それに対して、ｐＢＰＳＲＣ００５では、孔辺細胞特異的プロモーターＫＳＴ１（Ｇ， Ｐｌｅｓｃｈ ｅｔ ａｌ， 未公表の結果）が、またｐＢＰＳＧＢ０１では、種子特異的プロモーターＵＳＰ（未知の種子タンパク質、Ｂａｕｍｌｅｉｎ ｅｔ ａｌ， Ｍｏｌ Ｇｅｎ Ｇｅｎｅｔ １１５：４５９−４６７， １９９１）が、同じ遺伝子の発現を駆動する。成分は、ａａｃＣＩゲンタマイシン耐性遺伝子（Ｈａｊｄｕｋｉｅｗｉｃｚ ｅｔ ａｌ．， １９９４ Ｐｌａｎｔ Ｍｏｌｅｃｕｌａｒ Ｂｉｏｌｏｇｙ ２５：９８９−９４）、ＮＯＳプロモーター（Ｂｅｃｋｅｒ ｅｔ ａｌ．， １９９２ Ｐｌａｎｔ Ｍｏｌｅｃｕｌａｒ Ｂｉｏｌｏｇｙ ２０：１１９５−７）、ｇ７Ｔターミネーター（Ｂｅｃｋｅｒ ｅｔ ａｌ．， １９９２）、ＮＯＳｐＡターミネーター（Ｊｅｆｆｅｒｓｏｎ ｅｔ ａｌ．， ＥＭＢＯ Ｊ ６：３９０１−７ １９８７）、およびｎｐｔＩＩ（ネオマイシンホスホトランスフェラーゼＩＩ）カナマイシン耐性遺伝子、ＡｔＡｃｔ２−ｉアクチンプロモーター、ＯＣＳ３オクトピンシンターゼ（ＭａｃＤｏｎａｌｄ ｅｔ ａｌ．， Ｎｕｃｌｅｉｃ Ａｃｉｄｓ Ｒｅｓ． １９：５５８７５−５５８１）ターミネーター、種子特異的ＵＳＰプロモーター、ＮＯＳｐＡターミネーター（Ｊｅｆｆｅｒｓｏｎ ｅｔ ａｌ．， ＥＭＢＯ Ｊ ６：３９０１−７ １９８７）。
【図１５】
本発明のアラビドプシスＡｔＰｒＰａｓｅ１プロモーター（Ｐｒｏｍｏｔｅｒ／ＡｔＰｒＰａｓｅ１）のヌクレオチド配列（配列番号１１）（クローン識別番号：Ｐｒｏｍｏｔｅｒ／ＡｔＰｒＰａｓｅ１）。このポリヌクレオチドは、２０４７個のヌクレオチド配列を含有する。
【図１６】
本発明のＰｒＰａｓｅポリペプチド（配列番号２，４，６，８，１０）の、酵母ＰｒＰａｓｅ（Ｓｗｉｓｓ−Ｐｏｒｔアクセッション番号第Ｐ４７１５４号）およびヒトＰｒｐａｓｅ（Ｓｗｉｓｓ−Ｐｏｒｔアクセッション番号第Ｏ７５８４４号）とのアミノ酸配列比較（ｆａｓｔａ：ペアワイズアラインメント、ｂｌｏｓｕｍ６２スコアリングマトリックス、ギャップ開始ペナルティ：１０、ギャップ伸長ペナルティ：０．１）。％同一性および％類似性の値は、括弧内に示す。
【図１】
2004521610.tif 000012
【図２】
2004521610.tif 000013
【図３】
2004521610.tif 000014
【図４】
2004521610.tif 000015
【図５】
2004521610.tif 000016
【図６】
2004521610.tif 000017
【図７】
2004521610.tif 000018
【図８】
2004521610.tif 000019
【図９】
2004521610.tif 000020
【図１０】
2004521610.tif 000021
【図１１】
2004521610.tif 000022
【図１２】
2004521610.tif 000023
2004521610.tif 000024
2004521610.tif 000025
2004521610.tif 000026
【図１３】
2004521610.tif 000027
【図１４】
2004521610.tif 000028
【図１５】
2004521610.tif 000029
2004521610.tif 000030
【図１６】
2004521610.tif 000031
【国際公開パンフレット】
2004521610.tif 000032
2004521610.tif 000033
2004521610.tif 000034
2004521610.tif 000035
2004521610.tif 000036
2004521610.tif 000037
2004521610.tif 000038
2004521610.tif 000039
2004521610.tif 000040
2004521610.tif 000041
2004521610.tif 000042
2004521610.tif 000043
2004521610.tif 000044
2004521610.tif 000045
2004521610.tif 000046
2004521610.tif 000047
2004521610.tif 000048
2004521610.tif 000049
2004521610.tif 000050
2004521610.tif 000051
2004521610.tif 000052
2004521610.tif 000053
2004521610.tif 000054
2004521610.tif 000055
2004521610.tif 000056
2004521610.tif 000057
2004521610.tif 000058
2004521610.tif 000059
2004521610.tif 000060
2004521610.tif 000061
2004521610.tif 000062
2004521610.tif 000063
2004521610.tif 000064
2004521610.tif 000065
2004521610.tif 000066
2004521610.tif 000067
2004521610.tif 000068
2004521610.tif 000069
2004521610.tif 000070
2004521610.tif 000071
2004521610.tif 000072
2004521610.tif 000073
2004521610.tif 000074
2004521610.tif 000075
2004521610.tif 000076
2004521610.tif 000077
2004521610.tif 000078
2004521610.tif 000079
2004521610.tif 000080
2004521610.tif 000081
2004521610.tif 000082
2004521610.tif 000083
2004521610.tif 000084
2004521610.tif 000085
2004521610.tif 000086
2004521610.tif 000087
2004521610.tif 000088
2004521610.tif 000089
2004521610.tif 000090
2004521610.tif 000091
2004521610.tif 000092
2004521610.tif 000093
2004521610.tif 000094
2004521610.tif 000095
2004521610.tif 000096
2004521610.tif 000097
2004521610.tif 000098
2004521610.tif 000099
2004521610.tif 000100
2004521610.tif 000101
2004521610.tif 000102
2004521610.tif 000103
2004521610.tif 000104
2004521610.tif 000105
2004521610.tif 000106
2004521610.tif 000107
2004521610.tif 000108
2004521610.tif 000109
2004521610.tif 000110
2004521610.tif 000111
2004521610.tif 000112
2004521610.tif 000113
2004521610.tif 000114
2004521610.tif 000115
2004521610.tif 000116
2004521610.tif 000117
2004521610.tif 000118
2004521610.tif 000119
2004521610.tif 000120
2004521610.tif 000121
2004521610.tif 000122
2004521610.tif 000123
2004521610.tif 000124
2004521610.tif 000125
2004521610.tif 000126
2004521610.tif 000127
2004521610.tif 000128
2004521610.tif 000129
2004521610.tif 000130
2004521610.tif 000131
2004521610.tif 000132
2004521610.tif 000133
2004521610.tif 000134
2004521610.tif 000135
2004521610.tif 000136
2004521610.tif 000137
2004521610.tif 000138
2004521610.tif 000139
2004521610.tif 000140
2004521610.tif 000141
2004521610.tif 000142
2004521610.tif 000143
2004521610.tif 000144
2004521610.tif 000145
2004521610.tif 000146
2004521610.tif 000147
2004521610.tif 000148
2004521610.tif 000149
2004521610.tif 000150
2004521610.tif 000151
2004521610.tif 000152
2004521610.tif 000153
2004521610.tif 000154
2004521610.tif 000155
2004521610.tif 000156
2004521610.tif 000157
2004521610.tif 000158
2004521610.tif 000159
2004521610.tif 000160
2004521610.tif 000161
2004521610.tif 000162
2004521610.tif 000163
2004521610.tif 000164
2004521610.tif 000165
2004521610.tif 000166
2004521610.tif 000167
2004521610.tif 000168
2004521610.tif 000169
2004521610.tif 000170
2004521610.tif 000171
2004521610.tif 000172
2004521610.tif 000173
2004521610.tif 000174
2004521610.tif 000175
2004521610.tif 000176
2004521610.tif 000177
2004521610.tif 000178
2004521610.tif 000179
2004521610.tif 000180
2004521610.tif 000181
2004521610.tif 000182
2004521610.tif 000183
2004521610.tif 000184
2004521610.tif 000185
2004521610.tif 000186
2004521610.tif 000187
2004521610.tif 000188
2004521610.tif 000189
2004521610.tif 000190
2004521610.tif 000191
2004521610.tif 000192
2004521610.tif 000193
2004521610.tif 000194
2004521610.tif 000195
2004521610.tif 000196
2004521610.tif 000197
2004521610.tif 000198
2004521610.tif 000199
2004521610.tif 000200
2004521610.tif 000201
2004521610.tif 000202
2004521610.tif 000203
2004521610.tif 000204
2004521610.tif 000205
2004521610.tif 000206
2004521610.tif 000207
2004521610.tif 000208
2004521610.tif 000209
2004521610.tif 000210
2004521610.tif 000211
2004521610.tif 000212
2004521610.tif 000213
2004521610.tif 000214
2004521610.tif 000215
2004521610.tif 000216
2004521610.tif 000217
2004521610.tif 000218
2004521610.tif 000219
2004521610.tif 000220
2004521610.tif 000221
2004521610.tif 000222
2004521610.tif 000223
2004521610.tif 000224
2004521610.tif 000225
2004521610.tif 000226
2004521610.tif 000227
2004521610.tif 000228
2004521610.tif 000229
2004521610.tif 000230
2004521610.tif 000231
2004521610.tif 000232
2004521610.tif 000233
2004521610.tif 000234
2004521610.tif 000235
2004521610.tif 000236
2004521610.tif 000237
2004521610.tif 000238
2004521610.tif 000239
2004521610.tif 000240
2004521610.tif 000241
2004521610.tif 000242
2004521610.tif 000243
2004521610.tif 000244
2004521610.tif 000245
2004521610.tif 000246
2004521610.tif 000247
2004521610.tif 000248
2004521610.tif 000249
2004521610.tif 000250
2004521610.tif 000251
2004521610.tif 000252
2004521610.tif 000253
2004521610.tif 000254
2004521610.tif 000255
2004521610.tif 000256
2004521610.tif 000257
2004521610.tif 000258
2004521610.tif 000259
2004521610.tif 000260
2004521610.tif 000261
2004521610.tif 000262
2004521610.tif 000263
2004521610.tif 000264
2004521610.tif 000265
2004521610.tif 000266
2004521610.tif 000267
2004521610.tif 000268
2004521610.tif 000269
2004521610.tif 000270
2004521610.tif 000271
2004521610.tif 000272
2004521610.tif 000273
2004521610.tif 000274
2004521610.tif 000275
2004521610.tif 000276
【国際公開パンフレット（コレクトバージョン）】
2004521610.tif 000277
2004521610.tif 000278
【国際調査報告】
2004521610.tif 000279
2004521610.tif 000280
2004521610.tif 000281
2004521610.tif 000282
2004521610.tif 000283